(57)【要約】【課題】興趣性が高い演出を実行可能な遊技機を提供すること。【解決手段】パチンコ遊技機１では、特別遊技を実行するか否かの判定結果を報知する演出として、当たり報知演出またはハズレ報知演出が実行される。ここで、判定結果を報知する図柄の変動表示中に行われる所定のリーチ演出によってハズレ報知演出が実行され、且つ、当たり報知演出が実行されることになる判定の権利が保留されている場合に、特別遊技が実行されることを遊技者に期待させる期待演出が実行される場合がある。【選択図】図１０７
2020171416.tif 000002
【特許請求の範囲】
【請求項１】
遊技者に有利な特別遊技を実行するか否かの判定を行う判定手段と、
前記判定が行われると、所定の図柄表示手段に図柄を変動表示させてから前記判定の結果を示す図柄を停止表示させる図柄表示制御手段と、
前記判定手段によって前記特別遊技を実行すると判定されたことを示す図柄が前記図柄表示手段に停止表示された場合に、当該特別遊技を実行する特別遊技実行手段と、
前記判定の権利を所定数まで保留可能な保留手段と、
演出の実行を制御する演出制御手段とを備えることを特徴とする遊技機。
【発明の詳細な説明】
【技術分野】
【０００１】
本発明は、遊技機に関し、特にパチンコ遊技機等に適用することができる。
【背景技術】
【０００２】
例えばパチンコ遊技機では、始動口に遊技球が入賞すると、遊技者に有利な特別遊技を実行するか否かが判定され、その判定結果を報知する図柄が変動表示されているときに、遊技者に大当たりを期待させる様々な演出が行われる（例えば特許文献１参照）。
【先行技術文献】
【特許文献】
【０００３】
【特許文献１】特開２０１６−１６３８２４号公報
【発明の概要】
【発明が解決しようとする課題】
【０００４】
ところで、従来の遊技機で行われる演出は必ずしも興趣性が高い演出であるとは言えず、興趣性の向上という点において改善の余地があった。
【０００５】
それ故に、本発明の目的は、興趣性が高い演出を実行可能な遊技機を提供することである。
【課題を解決するための手段】
【０００６】
前述の課題を解決するための第１発明の遊技機は、
遊技者に有利な特別遊技を実行するか否かの判定を行う判定手段と、
前記判定が行われると、所定の図柄表示手段に図柄を変動表示させてから前記判定の結果を示す図柄を停止表示させる図柄表示制御手段と、
前記判定手段によって前記特別遊技を実行すると判定されたことを示す図柄が前記図柄表示手段に停止表示された場合に、当該特別遊技を実行する特別遊技実行手段と、
前記判定の権利を所定数まで保留可能な保留手段と、
演出の実行を制御する演出制御手段とを備えることを特徴とするものである。
【発明の効果】
【０００７】
この発明によれば、興趣性が高い演出を実行可能である。
【図面の簡単な説明】
【０００８】
【図１】本発明の実施例に係る遊技機の正面図である。
【図２】本発明の実施例に係る遊技機の裏面図である。
【図３】本発明の実施例の遊技盤の構成を示す正面図である。
【図４】図３に示す主表示器の拡大図であり、同遊技機が備える表示器類を示す図である。
【図５】同遊技機の電気的な構成を示すブロック図である。
【図６】当りの種別と大入賞口の開放パターンとの対応等を示す表である。
【図７】遊技制御用マイコンが取得する各種乱数を示す表である。
【図８】（Ａ）は大当り判定テーブルであり、（Ｂ）は大当り種別判定テーブルであり、（Ｃ）はリーチ判定テーブルであり、（Ｄ）は普通図柄当り判定テーブルであり、（Ｅ）は普通図柄変動パターン選択テーブルである。
【図９】変動パターンテーブルを示す表である。
【図１０】主制御メイン処理のフローチャートである。
【図１１】割り込み処理のフローチャートである。
【図１２】始動口センサ検知処理のフローチャートである。
【図１３】始動入球時処理のフローチャートである。
【図１４】普図動作処理のフローチャートである。
【図１５】普通図柄待機処理のフローチャートである。
【図１６】普通図柄当否判定処理のフローチャートである。
【図１７】普通図柄乱数シフト処理のフローチャートである。
【図１８】普通図柄変動中処理のフローチャートである。
【図１９】普通図柄確定処理のフローチャートである。
【図２０】普通電動役物処理のフローチャートである。
【図２１】特図１動作処理のフローチャートである。
【図２２】特別図柄１待機処理のフローチャートである。
【図２３】特図１当否判定処理のフローチャートである。
【図２４】特図１変動パターン選択処理のフローチャートである。
【図２５】特図１変動パターン選択処理のフローチャートである。
【図２６】特図１乱数シフト処理のフローチャートである。
【図２７】特別図柄１変動中処理のフローチャートである。
【図２８】特図１変動中断処理のフローチャートである。
【図２９】特別図柄１確定処理のフローチャートである。
【図３０】特図２動作処理のフローチャートである。
【図３１】特別図柄２待機処理のフローチャートである。
【図３２】特図２当否判定処理のフローチャートである。
【図３３】特図２変動パターン選択処理のフローチャートである。
【図３４】特図２変動パターン選択処理のフローチャートである。
【図３５】特図２乱数シフト処理のフローチャートである。
【図３６】特別図柄２変動中処理のフローチャートである。
【図３７】特図２変動中断処理のフローチャートである。
【図３８】特別図柄２確定処理のフローチャートである。
【図３９】特別電動役物処理１（大当り遊技）のフローチャートである。
【図４０】大当り遊技開始処理のフローチャートである。
【図４１】遊技状態設定処理のフローチャートである。
【図４２】特図動作ステータス設定処理１のフローチャートである。
【図４３】特別電動役物処理２（小当り遊技）のフローチャートである。
【図４４】特図動作ステータス設定処理２のフローチャートである。
【図４５】保留球数処理のフローチャートである。
【図４６】電源断監視処理のフローチャートである。
【図４７】副制御メイン処理のフローチャートである。
【図４８】受信割り込み処理のフローチャートである。
【図４９】２ｍｓタイマ割り込み処理のフローチャートである。
【図５０】１０ｍｓタイマ割り込み処理のフローチャートである。
【図５１】受信コマンド解析処理のフローチャートである。
【図５２】変動演出開始処理のフローチャートである。
【図５３】演出図柄の図柄種を示す表である。
【図５４】状態Ａの演出図柄遊技演出の流れを示す説明図である。
【図５５】状態Ｂの演出図柄遊技演出の流れを示す説明図である。
【図５６】（ａ）は演出モードＣの表示画面の一例を示す図であり、（ｂ）は演出モードＤの表示画面の一例を示す図である。
【図５７】演出モードＣの演出図柄遊技演出の流れを示す説明図である。
【図５８】演出モードＤの演出図柄遊技演出の流れを示す説明図である。
【図５９】（ａ）は演出モードＤにおける小当り変動中の表示画面の一例を示す図であり、（ｂ）は演出モードＤにおける小当り遊技中の表示画面の一例を示す図である。
【図６０】小当り先読み演出処理のフローチャートである。
【図６１】特定期間が開始された場合の演出の流れを示す説明図である。
【図６２】エンディング期間中のモード選択画面の一例を示す図である。
【図６３】大当り遊技中のモード選択期間の開始前から開始後にかけての表示画面の一例を示す図である。
【図６４】（ａ）は第２演出パターン（演出モードＣのバトル演出パターン）の種類を示す表であり、（ｂ）は第３演出パターン（演出モードＤのバトル演出パターン）の種類を示す表である。
【図６５】演出モードＤにおける予告画像の表示例を示す図である。
【図６６】予告画像の表示パターン決定テーブルである。
【図６７】演出図柄遊技演出の表示内容の一例を示す図である。
【図６８】第１特定演出の表示内容の一例を示す図である。
【図６９】第１特定演出の表示内容の一例を示す図である。
【図７０】第２特定演出の表示内容の一例を示す図である。
【図７１】第２特定演出Ａの表示内容の一例を示す図である。
【図７２】第２特定演出Ｂの表示内容の一例を示す図である。
【図７３】第２特定演出Ｃの表示内容の一例を示す図である。
【図７４】（ａ）第１予告演出（演出保留予告）の表示内容の一例を示す図であり、（ｂ）は演出保留予告決定テーブルである。
【図７５】第３予告演出（花火予告）の表示内容の一例を示す図である。
【図７６】第４予告演出（チャンスゾーン予告）の表示内容の一例を示す図である。
【図７７】第５予告演出（全回転予告）および全回転演出の表示内容の一例を示す図である。
【図７８】特定リーチ演出の実行態様を示す図である。
【図７９】特定リーチ演出の実行態様を示す図である。
【図８０】予告演出の一例を示す表である。
【図８１】予告演出の実行態様を示す図である。
【図８２】獲得利益表示演出の実行態様を示す図である。
【図８３】獲得利益表示演出の実行態様を示す図である。
【図８４】遊技状態及び大当り遊技の移行態様を示す図である。
【図８５】各演出モードにおける遊技演出を示す表である。
【図８６】各演出モードの実行態様を示す図である。
【図８７】対決リーチの演出態様を示す図である。
【図８８】獲得利益表示演出の他の実行態様を示す図である。
【図８９】獲得利益表示演出の他の実行態様を示す図である。
【図９０】獲得利益表示演出の他の実行態様を示す図である。
【図９１】獲得利益表示演出の他の実行態様を示す図である。
【図９２】獲得利益表示演出の他の実行態様を示す図である。
【図９３】獲得利益表示演出の他の実行態様を示す図である。
【図９４】獲得利益表示演出の他の実行態様を示す図である。
【図９５】第１発射方向報知演出を示す図である。
【図９６】第１発射方向報知演出を示す図である。
【図９７】第２発射方向報知演出を示す図である。
【図９８】第２発射方向報知演出を示す図である。
【図９９】第３発射方向報知演出を示す図である。
【図１００】第３発射方向報知演出を示す図である。
【図１０１】第４発射方向報知演出を示す図である。
【図１０２】第４発射方向報知演出を示す図である。
【図１０３】変動回数の表示態様を示す図である。
【図１０４】変動回数の表示態様を示す図である。
【図１０５】変動回数の表示態様を示す図である。
【図１０６】低確低ベース状態のときに行われる演出の流れを例示する説明図である。
【図１０７】前兆演出の実行条件について説明するための説明図である。
【図１０８】前兆演出の具体例を示す画面図（その１）である。
【図１０９】前兆演出の具体例を示す画面図（その２）である。
【図１１０】演出制御用ＲＡＭ９１３の構成例を示すブロック図である。
【図１１１】前兆演出パターン設定処理を例示するフローチャートである。
【発明を実施するための形態】
【０００９】
次に、本発明の実施の形態を、実施例を用いて説明する。尚、以下では、図柄の変動表示の終了に伴い当り図柄が停止表示されると、遊技者に所定量の遊技利益（例えば、賞球）を付与可能な当り遊技を実行可能なパチンコ遊技機に、本発明を適用した例を説明する。
【実施例１】
【００１０】
図１乃至図３に示すように、実施例１のパチンコ遊技機１は、遊技機枠５０と、遊技機枠５０内に取り付けられた遊技盤２とを備えており、遊技盤２は遊技機枠５０から着脱自在に構成されている。図３は、遊技盤２を遊技機枠５０から取り外した状態のものを示す。遊技機枠５０は、装飾面を有する前面枠５１と、遊技盤２等を取り付ける本体枠５２と、パチンコ遊技機１をホールの島設備に取り付けるための外枠５３と、を有して構成されている。そして、外枠５３は島設備に対して固定され、前面枠５１及び本体枠５２は、外枠に対して、上下の枠ヒンジ５６、５６を介して取り付けられている。また、前面枠５１及び本体枠５２は、上下方向の一側端側（図１紙面左側）で軸支されており、一側端側を軸にして、外枠５３に対して夫々開閉可能に構成されている。また、図１及び図２に示す閉状態から、前面枠５１だけを開状態（開放する）こともできるし、前面枠５１及び本体枠５２の両方を開状態（開放する）こともできる。
【００１１】
また、前面枠５１には、遊技者の操作量（回転角度）に応じた発射強度で遊技球を発射させるための発射ハンドル６０、遊技球を貯留し貯留した遊技球を発射装置側に供給可能な打球供給皿（上皿）６１、及び打球供給皿６１に収容しきれない遊技球を貯留する余剰球受皿（下皿）６２が設けられている。また前面枠５１には、遊技の進行に伴って実行される遊技演出の実行中などに、遊技者が操作可能な第１演出ボタン６３ａ、第２演出ボタン６３ｂ（これら２個の演出ボタンを総称して単に「演出ボタン６３」ともいう）が設けられている。複数の演出ボタンは、遊技演出の種類に応じて使用する演出ボタンを使い分けることができる。尚、演出ボタン６３の構成は本実施例１の態様に限らず、遊技者からの入力を検知できるものであればたり、遊技者が直接ボタン部に接触して入力を行う入力検知手段（例えば、出没式、タッチセンサ式等）であってもよいし、遊技者の身体の一部が近接したことを検知して入力を行う非接触式の入力検知手段（光電式等）であってもよい。
【００１２】
また、前面枠５１には、装飾用の枠ランプ６６、スピーカ６７及び画像表示装置（第２画像表示装置７１、第３画像表示装置７２）が設けられている。また、図１に示すように、第２画像表示装置７１及び第３画像表示装置７２は、その表示画面７１ａ、７２ａを遊技者が視認し易いように、前面枠５１の前方（遊技者側）に向けて突出するように、且つ、外側方向に傾斜状に設置されている。また、第２画像表示装置７１及び第３画像表示装置７２は、後述する画像表示装置７と同様に、遊技の実行・非実行や、遊技の状況や、実行される遊技演出等に応じて、遊技演出（キャラクタや演出図柄等）や、デモ演出や、遊技に関する情報（獲得出玉情報、ラウンド数、連荘回数、遊技状態の残り期間、遊技モード、遊技演出の信頼度・説明等）や、遊技機の設定に関する情報（音量設定情報、輝度設定情報等）が表示される。また、第２画像表示装置７１と、第３画像表示装置７２とで、これらの情報のうち、異なる情報を表示する場合と、同じ情報を表示する場合とがある。また、画像表示装置７（第１画像表示装置）と、第２画像表示装置７１と、第３画像表示装置７２とで、これらの情報のうち、異なる情報を表示する場合と、同じ情報を表示する場合とがある。また、画像表示装置７（第１画像表示装置）と、第２画像表示装置７１と、第３画像表示装置７２とのうち、何れか２個で同じ情報を表示し、残り１個で異なる情報を表示する場合もある。尚、画像表示装置７、第２画像表示装置７１および第３画像表示装置７２のいずれか又は全部を指して単に「画像表示装置」ということもある。
【００１３】
また、画像表示装置７は遊技盤２に形成される遊技領域３の内側領域に設けられており、第２画像表示装置７１及び第３画像表示装置７２は、遊技領域３の外側領域に設けられている。また、図１に示すように、（非開放側端部に設けられる）第２画像表示装置７１は、前面枠５１に対して、第２画像表示装置用ヒンジ７５（ヒンジ部）を介して取り付けられている。そのため、上下の第２画像表示装置用ヒンジ７５を軸として、左右方向に回動可能となっている。より具体的には、図１に示す状態（通常状態）から右方向に所定角度（４５度程度）回動可能な構成とされている。これは、前面枠５１や本体枠５２を、上下の枠ヒンジ５６、５６を軸として開状態とした際に、前面枠５１の前方に突出して設けられている第２画像表示装置７１が、パチンコ遊技機１の枠ヒンジ５６側（図１紙面左側）に隣接して設けられているホール設備（球貸機、台間設備等）に衝突して破損してしまうのを防ぐための構成である。一方、（開放側端部に設けられる）第３画像表示装置７２は、前面枠５１に対して、固定して設けられ、回動不能となっている。
【００１４】
遊技盤２には、発射ハンドル６０の操作により発射された遊技球が流下する遊技領域３が、レール部材４で囲まれて形成されている。また遊技盤２には、装飾用の盤面ランプ５が設けられている。遊技領域３には、遊技球を誘導する複数の遊技釘１６が突設されている。また、レール部材４の先端には球戻り防止片６が設けられており、一旦遊技領域へ誘導された遊技球が発射装置側へ戻るのを防止することが可能となる。
【００１５】
また、遊技領域３の中央付近には、液晶表示装置からなる画像表示装置７が設けられている。尚、画像表示装置７は遊技盤２の裏面側から遊技盤２に対して取り付けられている。画像表示装置７の表示画面７ａには、演出図柄８Ｌ、８Ｃ、８Ｒ（単に「演出図柄」ともいう）が左右方向に並んで表示される演出図柄表示領域７ｂ（「演出図柄表示部」ともいう）が設けられており、演出図柄８Ｌ、８Ｃ、８Ｒは、遊技状態（低確低ベース状態、高確低ベース状態、低確高ベース状態、高確高ベース状態）に応じて、当該遊技状態で遊技の主体として設定されている特別図柄（後述の第１特別図柄又は第２特別図柄）の変動表示に同期して変動表示を行う。尚、演出図柄８Ｌのことを「左図柄」ともいい、演出図柄８Ｃのことを「中図柄」ともいい、演出図柄８Ｒのことを「右図柄」ともいう。
【００１６】
図３に示す演出図柄表示領域７ｂの表示態様は、遊技状態が通常状態（後述する低確低ベース状態、状態Ａ）にあるときの１場面を示すものである。詳しくは後述するが、この低確低ベース状態では、始動口（第２始動口２１）への遊技球の入球頻度が高ベース状態と比較して低く設定されていると共に、特別図柄の当否判定確率（第１特別図柄当否判定及び第２特別図柄当否判定）が低確率（「所定確率」ともいう）で、且つ、第２特別図柄の変動時間が第１特別図柄の変動時間よりも長く（２倍以上）設定されている（外れ変動は全て１０分）。そのため、通常状態では、右遊技領域３Ｂ（第２遊技領域）に遊技球を発射して第２始動口２１に入球させて第２特別図柄を変動表示させるよりも、左遊技領域３Ａ（第１遊技領域）に遊技球を発射して第１始動口２０に入球させて第１特別図柄を変動表示させる遊技を行う方が、遊技者に有利とされている。すなわち、通常状態では、第１特別図柄（演出図柄）が主体となって変動表示する遊技状態といえる。このため、通常状態（状態Ａ）では、演出図柄表示領域７ｂ上の演出図柄８Ｌ、８Ｃ、８Ｒは、第１特別図柄と同期して変動表示及び停止表示を行うものとされている。
【００１７】
また、演出図柄８Ｌ、８Ｃ、８Ｒはそれぞれ、例えば「１」〜「９」までの数字をあらわした複数の図柄（識別情報）からなる。演出図柄表示領域７ｂに停止表示（導出表示）される左、中、右の演出図柄の表示態様（停止表示態様）によって、後述（図４参照）の第１特別図柄表示器４１ａ（「第１特別図柄表示部」ともいう）に表示される第１特別図柄の変動表示の結果、及び、第２特別図柄表示器４１ｂ（「第２特別図柄表示部」ともいう）に表示される第２特別図柄の変動表示の結果（特別図柄当否判定の結果）を、遊技者が認識し易いように表示（報知）する。尚、第１特別図柄、第２特別図柄、及び、演出図柄のいずれか（又は全部）を指して単に「図柄」や「識別情報」ということもある。また、特別図柄当否判定を単に「当否判定」や「第１当否判定」ともいう。また、特別図柄当否判定を実行する制御部（主制御部８０）を「当否判定実行手段」や「第１当否判定実行手段」ともいう。
【００１８】
例えば、特別図柄当否判定の結果が大当り（第１特定当り）となった場合には、「７７７」等の３桁同一の図柄（ゾロ目）で演出図柄を停止表示する（「大当り図柄」ともいう）。また、小当り（第２特定当り）となった場合には、「１３５」等の予め設定したチャンス図柄や「３★３」などの小当り専用図柄（「小当り図柄」ともいう）で演出図柄を停止表示する。尚、小当りとなった際に、小当り専用図柄を停止表示する態様に変えて、小当り図柄と外れ図柄とで同じ態様の図柄を停止表示してもよい。また、小当りとして、複数の小当り（第１小当り、第２小当り等）を有する場合には、それらを区別可能に、異なる小当り図柄（第１小当り図柄、第２小当り図柄）を停止表示してもよいし、それらを区別困難なように、同じ（共通の）小当り図柄を停止表示してもよい。
【００１９】
また、特別図柄当否判定の結果が外れとなった場合には、「６３７」や「３７３」などの３つの図柄のうち少なくとも１つの図柄が異なるバラケ図柄で演出図柄を停止表示する（「外れ図柄」ともいう）。これにより、遊技者は停止表示した演出図柄を見ることで、遊技の進行状況（特別図柄当否判定の結果）を容易に把握することができる。つまり遊技者は、一般的には特別図柄当否判定の結果を第１特別図柄表示器４１ａや第２特別図柄表示器４１ｂに表示される特別図柄を見て直接的に把握するのではなく、演出図柄表示領域７ｂに表示される演出図柄を見て把握する。また、演出図柄の変動表示の態様としては、例えば上下、左右、斜め方向等にスクロール表示する態様や、第１演出図柄表示部７ｂのみを用いて演出表示する態様や第１演出図柄表示部７ｂに加えて第２演出図柄表示部７１ａ及び第３演出図柄表示部７２ａの一方又は両方を用いて演出表示する態様を有している。また、これに加えて、第２演出図柄表示部７１ａ又は第３演出図柄表示部７２ａのみを用いて演出表示する態様を有していてもよい。
【００２０】
また、画像表示装置７の表示画面７ａ上では、前述のような演出図柄を用いた遊技演出（演出図柄遊技演出）を表示するほか、当り遊技（大当り遊技、小当り遊技）に伴って実行される当り遊技演出（大当り遊技演出、小当り遊技演出）や、客待ち用のデモ演出などが表示される。尚、演出図柄遊技演出や当り遊技演出やデモ演出では、数字等の演出図柄のほか、背景画像やキャラクタ画像などの演出図柄以外の演出画像も表示される。また、詳細は後述するが、遊技状態（状態Ａ、状態Ｂ又は状態Ｃ）や、左遊技領域３Ａに遊技球を発射して遊技を行う状態か、右遊技領域３Ｂに遊技球を発射して遊技を行う状態か等によって、演出図柄表示領域７ｂ上の表示態様が異なる態様とされる。また、本実施例１のパチンコ遊技機１は、第１特別図柄と第２特別図柄との両方を並行して（同時に）変動表示することが可能な遊技機であり、この様なタイプの遊技機を「同時変動機（並行変動機）」ともいう。
【００２１】
また画像表示装置７の表示画面７ａには、後述の第１特図保留の記憶数に応じて第１演出保留９ａを表示する第１演出保留表示領域９ｃ（第１演出保留表示部）と、後述の第２特図保留の記憶数に応じて第２演出保留９ｂを表示する第２演出保留表示領域９ｄ（第２演出保留表示部）とがある。演出保留表示領域における第１演出保留９ａ又は第２演出保留９ｂの表示態様（表示数）により、後述の第１特図保留表示器４３ａ（図４参照）にて表示される第１特図保留の記憶数及び第２特図保留表示器４３ｂにて表示される第２特図保留の記憶数を、遊技者にわかりやすく示すことができる。尚、第１演出保留表示部の表示位置や第２演出保留表示部の表示位置は、遊技状態、遊技モード又は実行する遊技演出（リーチ演出等）によって変化する場合がある。また、第１演出保留表示部及び第２演出保留表示部のうち、何れか一方だけ（例えば、主体となる特別図柄に対応する演出保留表示部だけ）を表示する場合がある。
【００２２】
また、図３に示すように、遊技領域３の中央付近であって画像表示装置７の前方には、演出図柄表示領域７ｂを取り囲むように、センター装飾体１０が設けられている。センター装飾体１０の下部には、遊技球が転動可能な遊技球転動面を有するステージ部１１が設けられている。またセンター装飾体１０の左部には、中空状のワープ部１２が設けられている。ワープ部１２にはワープ入口とワープ出口とが設けられており、遊技領域３を流下する遊技球をワープ入口から受け入れ、当該遊技球をワープ出口から排出しステージ部１１へと誘導する。ステージ部１１の転動面に誘導された遊技球は、ステージ部１１に誘導されない遊技球と比して高い可能性で、後述の第１始動口２０に入球可能とされている。さらにセンター装飾体１０の上部には、ＬＥＤ等の電飾部材（盤面ランプ５）を有し遊技状態に応じて点灯可能であって、文字や図形等を象った装飾部材１３が配されている。
【００２３】
また、センター装飾体１０の上部であって、装飾部材１３の後方には、遊技演出に伴って動作可能な可動装飾部材１４が設けられている。図３では、可動装飾部材１４の一部分のみが視認可能となっているが、例えば、比較的当りの可能性の高い遊技演出の実行に伴って、可動装飾部材１４が下方に落下し（所定の動作態様で動作し）、当該可動装飾部材１４が表示画面７ａの前面を覆い、当該可動装飾部材１４の大部分が視認可能となる。これにより、遊技者は遊技興趣を高めると共に、当りへの期待感を高める。
【００２４】
遊技領域３における画像表示装置７の下方には、遊技球の入球し易さが変化しない非可変式の第１始動口２０を備える固定入賞装置１９が設けられている。第１始動口２０への遊技球の入球に基づいて、特別図柄当否判定用乱数等が取得され、予め定められた所定条件（変動開始条件）が成立すると第１特別図柄に係る当否判定（第１特別図柄当否判定）が実行されると共に、第１特別図柄が変動表示を開始し、所定時間経過後に当否判定の結果に基づいて第１特別図柄が停止表示する。
【００２５】
遊技領域３におけるセンター装飾体１０の右側領域（右遊技領域３Ｂ）の上方には、遊技球が通過可能（入球可能）なゲート２８（普図始動口や通過口や入球口や特定始動口ともいう）が設けられている。ゲート２８の上流側から入球した遊技球は、ゲート２８を通過し、遊技領域３を下流方向に流下する。尚、このゲート２８は、大当り遊技を開始するための開始ゲート２９（役連ゲートや作動ゲートともいう）を兼用している。つまり、本ゲートは、ゲート２８であり、開始ゲート２９でもある。ゲート２８に遊技球が入球（通過）すると、当該遊技球がゲートセンサ２８ａで検知され、普通図柄当否判定用乱数等が取得され、予め定められた所定条件（変動条件）が成立すると、普通図柄当否判定（「第２当否判定」ともいう）を実行すると共に、普通図柄が変動表示を開始し、所定時間経過後に普通図柄当否判定の結果に基づいて普通図柄が停止表示する。当り普通図柄が停止表示すると、可動部材２３が動作（開動作）して第２始動口２１が開状態となる。また、可動部材２３を動作（開動作）させて第２始動口２１を開状態とするか否かの普通図柄当否判定を実行する制御部（主制御部８０）を「当否判定実行手段」や「第２当否判定実行手段」ともいう。尚、このゲートセンサ２８ａは、大当り遊技を開始するための開始ゲートセンサ２９ａを兼用している。つまり、本ゲートへの入球を検知するセンサは、ゲートセンサ２８ａであり、開始ゲートセンサ２９ａでもある。
【００２６】
また、詳しくは後述するが、ゲート２８（開始ゲート２９）を通過した際に、開始ゲート２９としての機能が発揮されるのは、大当り遊技を実行可能な条件が成立しているとき（大当り実行可能状態や大当り待機状態ともいう）だけである。そのため、当該条件（大当り待機状態）が成立していないときに、ゲート２８（開始ゲート２９）を遊技球が通過した場合には、普通図柄に関する制御処理がなされ、大当り開始処理は実行されない。また、当該条件が成立しているときに（大当り待機状態で）、開始ゲート２９（ゲート２８）を遊技球が通過した場合には、待機中の大当り遊技が開始し、所定の大入賞口（第１大入賞口３０）が開状態（入球可能状態）となるラウンド遊技が開始する。
【００２７】
遊技領域３におけるセンター装飾体１０の右側領域（右遊技領域３Ｂ）であって、ゲート２８（開始ゲート２９）の下方（下流）の遊技領域には、第１大入賞口３０を備えた第１大入賞装置３１（「第１可変入球口」ともいう）が設けられている。第１大入賞装置３１は、開閉部材３２を備え、開閉部材３２の作動により第１大入賞口３０を開閉する。開閉部材３２は、上面が略長方形状（長板状）の遊技球通路とされており、閉状態では、第１大入賞口３０の入口を閉鎖すると共に、当該開閉部材３２上面を遊技球が通過可能となっている。また、図３に示すように、開閉部材３２の上面は、上流側から下流側へ（紙面左から右へ）傾斜状に形成されている。これにより、開閉部材３２が閉状態のとき、第１大入賞口３０の入口部に流下してきた遊技球は、第１大入賞口３０に入球することなく、開閉部材３２の上面を通過して、遊技領域の下流方向に流下する。
【００２８】
また、開閉部材３２は、第１大入賞口ソレノイド３３（図５参照）により駆動され、開閉部材３２が遊技盤３裏面方向に引っ込むことで、遊技球通路を形成していた開閉部材３２の上面がなくなる。これにより、開閉部材３２が開状態のとき、第１大入賞口３０の入口部に流下してきた遊技球は、第１大入賞口３０に入球することとなる。このように、第１大入賞口３０の入口を開閉する開閉部材３２は、出没式の開閉部材とされており、開状態（開放時）のときは流下してきた遊技球を円滑に第１大入賞口３０内に入球させると共に、閉状態（閉鎖時）のときは流下してきた遊技球を、傾斜状の上面通路によって、任意の方向（後述する第２始動口２１）に誘導することが可能となる。尚、第１大入賞口３０は、開閉部材３２が開状態にあるときだけ遊技球が入球可能となる。すなわち、第１大入賞装置３１（第１可変入球口）は、開閉部材３２の開閉動作により、遊技球が入球不能な入球不能状態（閉状態）と遊技球が入球可能な入球可能状態（開状態）とに変化可能である。
【００２９】
遊技領域３におけるセンター装飾体１０の右側領域（右遊技領域３Ｂ）であって、第１大入賞口３０の下方（下流）の遊技領域には、遊技球の入球し易さが変化しない非可変式の第３始動口２６を備える第２固定入賞装置２５が設けられている。第３始動口２６への遊技球の入球に基づいて、特別図柄当否判定用乱数等が取得され、予め定められた所定条件（変動開始条件）が成立すると第２特別図柄に係る当否判定（第２特別図柄当否判定）が実行されると共に、第２特別図柄が変動表示を開始し、所定時間経過後に当否判定の結果に基づいて第２特別図柄が停止表示する。尚、第１大入賞口３０の下方（下流）で遊技球通路が分岐しており（上段、下段）、第３始動口２６が設けられる上段側遊技球通路と、第２始動口３１及び第２大入賞口３５が設けられる下段側遊技球通路と、が形成されている。また、図３に示す通り、上段側遊技球通路に誘導された遊技球は、第３始動口２６の近傍に設けられた遊技釘１６に接触する等して第３始動口２６に入球するか、第３始動口２６に入球することなく下流に流下して、アウト口３４に流入する。また、第３始動口２６は常時入球可能な固定式の入賞装置であるので、左打ち遊技で大当りとなって（所謂、初当り）、１回目の大当り遊技を右打ち遊技で実行した場合、当該大当り遊技中に遊技球を第３始動口２６に入球させ（保留し）、当該大当り遊技終了直後から第２特別図柄の変動表示を実行することが可能となる。
【００３０】
遊技領域３におけるセンター装飾体１０の右側領域（右遊技領域３Ｂ）であって、第１大入賞口３０の下方（下流）の遊技領域には、遊技球の入球し易さが変化する可変式の第２始動口２１を備える可変入賞装置２２（「可変式始動口」や「可変始動口」ともいう）が設けられている。第２始動口２１への遊技球の入球に基づいて、特別図柄当否判定用乱数等が取得され、予め定められた所定条件（変動開始条件）が成立すると第２特別図柄の当否判定（第２特別図柄当否判定）が実行されると共に、第２特別図柄が変動表示を開始し、所定時間経過後に当否判定の結果に基づいて第２特別図柄が停止表示する。
【００３１】
可変入賞装置２２は、可動部材２３（「開閉部材」ともいう）を備え、可動部材２３の作動によって第２始動口２１を開閉するものである。この開閉動作によって、第２始動口２１は、第１の態様（閉状態）から当該第１の態様よりも遊技球の入球可能性が高い第２の態様（開状態）へと変化可能である。本実施例１では、第２始動口２１は、可動部材２３が開状態にあるときだけ遊技球が入球可能とされ、可動部材２３が閉状態にあるときには遊技球が入球不能となっている。尚、第２始動口２１は、可動部材２３が閉状態にあるときは開状態にあるときよりも遊技球が入球困難となるものであれば、可動部材２３が閉状態にあるときに完全に入球不能となるものでなくてもよい。
【００３２】
また、可動部材２３は、開閉部材３２と同様に、上面が略長方形状（長板状）の遊技球通路とされており、閉状態では、第２始動口２１の入口を閉鎖すると共に、当該可動部材２３上面を遊技球が通過可能となっている。また、図３に示すように、可動部材２３の上面は、上流側から下流側へ（紙面右から左へ）傾斜状に形成されている。これにより、可動部材２３が閉状態のとき、第２始動口２１の入口部に流下してきた遊技球は、第２始動口２１に入球することなく、可動部材２３の上面を通過して、遊技領域の下流方向に流下する。
【００３３】
また、可動部材２３は、第２始動口ソレノイド２４（図５参照）により駆動され、可動部材２３が遊技盤３裏面方向（遊技盤面と垂直方向）に引っ込むことで、遊技球通路を形成していた可動部材２３が第２始動口２１の入口部からなくなる。これにより、可動部材２３が開状態のとき、第２始動口２１の入口部に流下してきた遊技球は、第２始動口２１に入球することとなる。このように、第２始動口２１の入口を開閉する可動部材２３は、開閉部材３２と同様の出没式の開閉部材とされており、開状態（開放時）のときは流下してきた遊技球を円滑に第２始動口２１内に入球させると共に、閉状態（閉鎖時）のときは流下してきた遊技球を、傾斜状の上面通路によって、任意の方向（後述する第２大入賞口３５）に誘導する。
【００３４】
また、遊技領域３におけるセンター装飾体１０の右側領域（右遊技領域３Ｂ）であって、第２始動口２１の下方（下流）の遊技領域には、第２大入賞口３５を備えた第２大入賞装置３６（「第２可変入球口」ともいう）が設けられている。第２大入賞装置３６は、開閉部材３７を備え、開閉部材３７の作動により第２大入賞口３５を開閉する。開閉部材３７は、開閉部材３２と同様に、上面が略長方形状（長板状）の遊技球通路とされており、閉状態では、第２大入賞口３５の入口を閉鎖すると共に、当該開閉部材３７上面を遊技球が通過可能となっている。また、図３に示すように、開閉部材３７の上面は、上流側から下流側へ（紙面右から左へ）傾斜状に形成されている。これにより、開閉部材３７が閉状態のとき、第２大入賞口３５の入口部に流下してきた遊技球は、第２大入賞口３５に入球することなく、開閉部材３７の上面を通過して、遊技領域の下流方向に流下する。
【００３５】
また、開閉部材３７は、第２大入賞口ソレノイド３８（図５参照）により駆動され、開閉部材３７が遊技盤３裏面方向（遊技盤面と垂直方向）に引っ込むことで、遊技球通路を形成していた開閉部材３７が第２大入賞口３５の入口部からなくなる。これにより、開閉部材３７が開状態のとき、第２大入賞口３５の入口部に流下してきた遊技球は、第２大入賞口３５に入球することとなる。このように、第２大入賞口３５の入口を開閉する開閉部材３７は、開閉部材３２と同様の出没式の開閉部材とされており、開状態（開放時）のときは流下してきた遊技球を円滑に第２大入賞口３５内に入球させると共に、閉状態（閉鎖時）のときは流下してきた遊技球を、傾斜状の上面通路によって、任意の方向（アウト口３４）に誘導することが可能となる。尚、第２大入賞口３５は、開閉部材３７が開状態にあるときだけ遊技球が入球可能となる。すなわち、第２大入賞装置３６（第２可変入球口）は、開閉部材３７の開閉動作により、遊技球が入球不能な入球不能状態（閉状態）と遊技球が入球可能な入球可能状態（開状態）とに変化可能である。
【００３６】
また、遊技領域３におけるセンター装飾体１０の左側領域（左遊技領域３Ａ）の下方の遊技領域には、複数（３個）の一般入球口２７が設けられている。このように各種入球口等が配されている遊技領域３を、左右方向の中央より左側の左遊技領域（第１遊技領域）３Ａと、右側の右遊技領域（第２遊技領域）３Ｂと、に分けることができる。左遊技領域３Ａを遊技球が流下するように遊技球を発射する打方を、左打ちといい、右遊技領域３Ｂを遊技球が流下するように遊技球を発射する打方を、右打ちという。本パチンコ遊技機１では、遊技開始の際の通常状態（低確低ベース状態、状態Ａ）は左打ちにて第１始動口２０への入球を狙う。すなわち、遊技開始時の通常状態は、左打ちによる第１始動口２０への入球（第１特別図柄当否判定）を主体とした左打ち遊技となる。
【００３７】
一方、第１始動口２０への入球に基づく当否判定（第１特別図柄当否判定）において大当りとなると、大当り遊技、並びに、大当り遊技（特別遊技）終了後（低確高ベース状態又は高確低ベース状態）は、右打ちにて、ゲート２８、第１大入賞口３０、第２始動口２１、又は、第２大入賞口３５への入球を狙う遊技となる。すなわち、大当り遊技、並びに、低確高ベース状態（状態Ｂ）又は高確低ベース状態（状態Ｃ）は、右打ちによって第２始動口２１への入球（第２特別図柄当否判定）を主体とする右打ち遊技となる。そして、第１始動口２０、第２始動口２１、第１大入賞口３０、第２大入賞口３５、及び一般入球口２７に遊技球が入球した場合には、夫々の入球口において予め定められた数の遊技球（「賞球」、「遊技利益」ともいう）が払い出される（付与される）。本実施例では、第１大入賞口３０への入球に基づいて払い出される賞球の個数（遊技利益の量）を、第２大入賞口３５への入球に基づいて払い出される賞球の個数（遊技利益の量）よりも多く設定している。具体的に、第１大入賞口３０は、１個の入球に対して１５個の賞球を払い出すものとしており、第２大入賞口３５は、１個の入球に対して１０個の賞球を払い出すものとしている。
【００３８】
また、図３及び図４に示すように、遊技盤２の右下部には主表示器４０が配置されている。主表示器４０には、第１特別図柄を変動表示及び停止表示する第１特別図柄表示器４１ａ（第１特別図柄表示部）、第２特別図柄を変動表示及び停止表示する第２特別図柄表示器４１ｂ（第２特別図柄表示部）、及び、普通図柄（「特定識別情報」ともいう）を変動表示及び停止表示する普通図柄表示器４２（普通図柄表示部）が含まれている。また主表示器４０には、第１特別図柄に係る当否判定情報（第１特図保留）の記憶数を表示する第１特図保留表示器４３ａ、第２特別図柄に係る当否判定情報（第２特図保留）の記憶数を表示する第２特図保留表示器４３ｂ、及び、普通図柄表示器４２の作動保留（普図保留）の記憶数を表示する普図保留表示器４４が含まれている。
【００３９】
また主表示器４０には、第１特別図柄当否判定又は第２特別図柄当否判定の結果が当りになったことを示す当り表示器４８、第１特別図柄当否判定又は第２特別図柄当否判定の結果が当りになった場合に、実行される当り遊技のラウンド数を示すラウンド表示器４５、確率変動機能が作動することを示す遊技状態表示器４６、及び、遊技球の発射方向、すなわち右打ちすべき状態か左打ちすべき状態かを示す発射方向表示器４７が含まれている。これら主表示器４０に含まれる各種表示器は後述の主制御部によって表示制御される。
【００４０】
第１特別図柄の変動表示は、第１始動口２０への遊技球の入球に基づいて行われる。第２特別図柄の変動表示は、第２始動口２１への遊技球の入球に基づいて行われる。尚、以下の説明では、第１特別図柄及び第２特別図柄を総称して特別図柄ということがある。また、第１特別図柄表示器４１ａ及び第２特別図柄表示器４１ｂを総称して特別図柄表示部４１ということがある。また、第１特図保留表示器４３ａ及び第２特図保留表示器４３ｂを総称して特図保留表示部４３ということがある。
【００４１】
特別図柄表示部４１では、特別図柄（識別情報）を所定時間変動表示した後停止表示し、停止表示（導出表示）された特別図柄（停止図柄）によって、第１始動口２０又は第２始動口２１への入球に基づく当否判定（特別図柄当否判定、大当り抽選）の結果を報知する。停止表示される特別図柄は、特別図柄当否判定によって複数種類の特別図柄の中から選択された一つの特別図柄である。停止図柄が予め定めた特定特別図柄（特定識別情報）である場合（すなわち、大当り図柄や小当り図柄である場合）には、停止表示された特定特別図柄の種類に応じた開放パターンで、第１大入賞口３０又は第２大入賞口３５を開放させる特別遊技（大当り遊技、小当り遊技）が行われる。尚、特別遊技における大入賞口（第１大入賞口３０及び第２大入賞口３５）の開放パターンについては後述する。
【００４２】
具体的に、図４に示すとおり、第１特別図柄表示器４１ａは、「ｉ〜ｐ」で示す８個のＬＥＤで構成されており、第１特別図柄当否判定の結果に応じた特別図柄を表示する。例えば、第１特別図柄当否判定の結果が、第１大当り（４Ｒ第１大当り）となった場合には、「ｉｊｎ」の３個のＬＥＤを点灯し残りを消灯する。また、第２大当り（４Ｒ第２大当り）となった場合には、「ｊｎｋｌ」の４個のＬＥＤを点灯し、残りを消灯する。また、外れとなった場合には、「ｌｏ」の２個のＬＥＤを点灯し、残りを消灯することができる。また、第２特別図柄表示器４１ｂは、「ａ〜ｈ」で示す８個のＬＥＤで構成されており、第２特別図柄当否判定の結果に応じた特別図柄を表示する。停止表示態様については、第１特別図柄表示器４１ｂと同様に、第２特別図柄当否判定の結果（大当り、小当り、外れ）に応じて夫々異なる表示態様に定められている。また、特別図柄が停止表示される前（導出表示前）には所定の変動時間にわたって特別図柄の変動表示がなされるが、その変動表示の態様は、例えば予め定められた順序で、左から右へ光が繰り返し流れるように各ＬＥＤが点灯する態様とすることができる。
【００４３】
ここで、特別図柄や演出図柄の停止表示態様（変動表示の表示結果）のうち、特別図柄当否判定の結果が当り（大当り又は小当り）の場合に対応する停止表示態様のことを「当り態様」、「特定態様」、「特定表示態様」又は「特定表示結果」ともいい、特別図柄当否判定の結果が外れの場合に対応する停止表示態様のことを「外れ態様」、「非特定態様」、「非特定表示態様」又は「非特定表示結果」ともいう。また、特別図柄当否判定の結果が大当りの場合に対応する停止表示態様のことを「大当り態様」ともいい、特別図柄当否判定の結果が小当りの場合に対応する停止表示態様のことを「小当り態様」ともいう。さらに、画像表示装置、第１特別図柄表示器４１ａ（第１特別図柄表示部）、第２特別図柄表示器４１ｂ（第２特別図柄表示部）及び特別図柄表示部４１の何れか又は全部を指して「変動表示手段」や「識別情報表示手段」ともいう。
【００４４】
本パチンコ遊技機１では、第１始動口２０又は第２始動口２１への遊技球の入球があると、その入球に基づいて特別図柄当否判定用乱数等の各種情報（「取得情報」ともいう）を取得し、取得した各種情報は、主制御部８０のＲＡＭに形成される特図保留記憶部８５に一旦記憶される。詳細には、第１始動口２０への入球に基づいて取得した情報であれば第１特図保留（「第１取得情報」ともいう）として第１特図保留記憶部８５ａに記憶され、第２始動口２１への入球に基づいて取得した情報であれば第２特図保留（「第２取得情報」ともいう）として第２特図保留記憶部８５ｂに記憶される。各々の特図保留記憶部８５に記憶可能な特図保留の数には上限が設定されており、本実施例１における上限値はそれぞれ４個となっている。これら第１特図保留記憶部８５ａ及び第２特図保留記憶部８５ｂを、夫々「第１取得情報記憶手段」及び「第２取得情報記憶手段」ともいい、総じて「取得情報記憶手段」ともいう。
【００４５】
特図保留記憶部８５に記憶された特図保留は、その特図保留に基づく特別図柄の変動表示が可能となったときに消化される。特図保留の消化とは、その特図保留に対応する特別図柄当否判定用乱数等を判定して、その判定結果を示すための特別図柄の変動表示を実行することをいう。従って、本パチンコ遊技機１では、第１始動口２０又は第２始動口２１への遊技球の入球に基づく特別図柄の変動表示がその入球時にすぐに実行できない場合、すなわち、夫々の特別図柄の変動表示の実行中や、何れかの特別図柄当否判定に基づく特別遊技の実行中は、所定個数（夫々４個）を上限として、その入球に対する特別図柄当否判定の権利を留保（保留）することができるようになっている。
【００４６】
そしてこのような特図保留の数は、第１特図保留表示器４３ａ及び第２特図保留表示器４３ｂに表示される。具体的に、第１特図保留表示器４３ａは、「ｕｖ」の２個のＬＥＤで構成されており、第１特図保留の数に応じてＬＥＤを表示制御することにより、第１特図保留の数を表示するものである。例えば、保留数が０の場合は「ｕ□ｖ□」（例えば、□：消灯、●：赤点灯、▲：緑点灯とする）というように両ＬＥＤを消灯する表示態様とし、保留数が１の場合は「ｕ□ｖ●」というようにｕのＬＥＤを消灯ｖのＬＥＤを赤色で点灯させる表示態様とすることができる。また、保留数が２の場合は「ｕ●ｖ□」というようにｕのＬＥＤを赤色で点灯させｖのＬＥＤを消灯する表示態様とすることができる。また、保留数が３の場合は「ｕ●ｖ●」というように両方のＬＥＤを赤色で点灯させる表示態様とすることができる。また、保留数が４（上限数）の場合は「ｕ▲ｖ▲」というように両方のＬＥＤを緑色で点灯させ表示態様とすることができる。また、第２特図保留表示器４３ｂは、「ｗｘ」の２個のＬＥＤで構成されており、第２特図保留の数に応じてＬＥＤを表示制御することにより、第２特図保留の数を表示するものである。例えば、保留数が０の場合は「ｗ□ｘ□」（例えば、□：消灯、●：赤点灯、▲：緑点灯とする）というように両ＬＥＤを消灯する表示態様とし、保留数１〜４についても第１特図保留表示器４３ａと同様に定められている。
【００４７】
普通図柄の変動表示は、ゲート２８への遊技球の通過（ゲートセンサ２８ａでの検知）に基づいて行われる。普通図柄表示器４２では、普通図柄を所定時間変動表示した後、停止表示し、停止表示された普通図柄（停止図柄）によって、ゲート２８への遊技球の通過に基づく普通図柄当否判定の結果を報知する。停止表示される普通図柄は、普通図柄当否判定によって複数種類の普通図柄の中から選択された一つの普通図柄である。停止表示された普通図柄が予め定めた特定普通図柄（当り普通図柄）である場合には、現在の遊技状態に応じた開放パターンにて第２始動口２１を開放させる補助遊技（「特定遊技」ともいう）が行われる。また、補助遊技（特定遊技）を実行する手段（主制御部）を補助遊技実行手段（特定遊技実行手段）ともいう。尚、第２始動口２１の開放パターンについては後述する。
【００４８】
具体的に、図４に示す通り、普通図柄表示器４２は、「ｓｔ」の２個のＬＥＤから構成されており、その点灯態様によって普通図柄当否判定の結果に応じた普通図柄を表示するものである。例えば、判定結果が当りである場合には、「ｓ■ｔ■」（例えば、■：点灯、□：消灯とする）というように両ＬＥＤが点灯した当り普通図柄を停止表示する。また、判定結果が外れである場合には、「ｓ□ｔ■」というようにｔのＬＥＤのみが点灯した態様の外れ普通図柄を表示する。普通図柄が停止表示する前には、予め定められた所定の変動時間にわたって普通図柄の変動表示が実行される。その変動表示の態様は、例えば両ＬＥＤが交互に点灯・消滅を繰り返す態様である。
【００４９】
本パチンコ遊技機１は、ゲート２８への遊技球の通過があると、その通過に基づいて普通図柄当否判定用乱数等の各種情報（「取得情報」ともいう）を取得し、取得した各種情報は主制御部８０のＲＡＭに形成される普図保留記憶部８６に普図保留として一旦記憶される。普図保留記憶部８６に記憶可能な普図保留の数には上限が設定されており、本実施例１における上限値は４個となっている。普図保留記憶部８６に記憶された普図保留は、その普図保留に基づく普通図柄の変動表示が可能となったときに消化される。普図保留の消化とは、その普図保留に対応する普通図柄当否判定用乱数を判定して、その判定結果を示すための普通図柄の変動表示を実行することをいう。従って、本パチンコ遊技機１では、ゲート２８への遊技球の通過に基づく普通図柄の変動表示が、その通過時にすぐ実行できない場合、すなわち、普通図柄の変動表示の実行中や補助遊技の実行中は、所定個数を上限として、その通過に対する普通図柄当否判定の権利を留保（保留）することができる。
【００５０】
この普図保留の数は、普図保留表示器４４に表示される。具体的に、普図保留表示器４４は、「ｑｒ」の２個のＬＥＤで構成されており、普図保留の数に応じてＬＥＤを点灯させることにより普図保留の数を表示する。例えば、保留数が０の場合は「ｑ□ｒ□」（例えば、□：消灯、●：赤点灯、▲：緑点灯とする）というように両ＬＥＤを消灯する表示態様とし、保留数が１の場合は「ｑ□ｒ●」というようにｑのＬＥＤを消灯し、ｒのＬＥＤを赤色で点灯させる表示態様とすることができる。また、保留数２〜４についても第１特図保留表示器４３ａと同様に定められている。
【００５１】
次に、図２及び図５に基づいて、本パチンコ遊技機１における電気的な構成を説明する。本実施例１のパチンコ遊技機１は、特別図柄当否判定や普通図柄当否判定や遊技状態の移行などの遊技利益に関する制御を行う主制御基板８０（「主制御部」や「メイン制御部」や「遊技制御部」ともいう）、遊技の進行に伴って実行する演出に関する制御を行う副制御基板９０（「副制御部」や「サブ制御部」や「演出制御部」ともいう）、遊技球の払い出しに関する制御を行う払出制御基板１１０（「払出制御部」ともいう）、画像表示装置７に表示される演出図柄８、演出表示器１０２に表示される図柄、第３演出保留表示器１０３ａ、及び第４演出保留表示器１０３ｂ等の表示制御を行う画像制御基板１００（画像制御部）等を備えている。図２に示すように、パチンコ遊技機１の後面側（裏面側）の略中央部には主制御基板８０を収納した主制御基板収納ケースが設けられ、この主制御基板ケースの上方には、音声制御基板１０６、ランプ制御基板１０７及び画像制御基板１００を収納した画像制御基板等収納ケースが設けられ、その画像制御基板等収納ケース上には副制御基板９０を収納した副制御基板収納ケースが設けられている。また、主制御基板ケースの下方左側には、払出制御基板を収納する払出制御基板ケースが設けられ、その右側には、電源基板１０９を収納する電源基板ケースが設けられている。
【００５２】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ、ワークメモリとして使用されるＲＡＭ、ＲＯＭに記憶されたプログラムを実行するＣＰＵが含まれている。遊技制御用マイコン８１は、入出力回路８７（Ｉ／Ｏポート部）を介して他の基板等とデータ（情報）の送受信を行う。入出力回路８７は、遊技制御用マイコン８１に内蔵されていてもよい。また、ＲＯＭは外付けであってもよい。遊技制御用マイコン８１のＲＡＭには、上述した特図保留記憶部８５（第１特図保留記憶部８５ａ及び第２特図保留記憶部８５ｂ）と普図保留記憶部８６とが設けられている。
【００５３】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ（開始ゲートセンサ２９ａ）、第１大入賞口センサ３０ａ、第２大入賞口センサ３５ａ、及び一般入球口センサ２７ａが接続されている。これら各種センサを「検知手段」ともいう。
【００５４】
第１始動口センサ２０ａは、第１始動口２０内に設けられて第１始動口２０に入球した遊技球を検知するものである。第２始動口センサ２１ａは、第２始動口２１内に設けられて第２始動口２１に入球した遊技球を検知するものである。ゲートセンサ２８ａ（開始ゲートセンサ２９ａ）は、ゲート２８内に設けられてゲート２８を通過した遊技球を検知するものである。第１大入賞口センサ３０ａは、第１大入賞口３０内に設けられて第１大入賞口３０に入球した遊技球を検知するものである。第２大入賞口センサ３５ａは、第２大入賞口３５内に設けられて第２大入賞口３５に入球した遊技球を検知するものである。一般入球口センサ２７ａは、各一般入球口２７内にそれぞれ設けられて一般入球口２７に入球した遊技球を検知するものである。
【００５５】
またソレノイド類としては、第２始動口ソレノイド２４、第１大入賞口ソレノイド３３、及び、第２大入賞口ソレノイド３８が接続されている。第２始動口ソレノイド２４は、可変入賞装置２２の可動部材２３を駆動するためのものである。第１大入賞口ソレノイド３３は、第１大入賞装置３１の開閉部材３２を駆動するためのものである。第２大入賞口ソレノイド３８は、第２大入賞装置３６の開閉部材３７を駆動するためのものである。さらに、主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、ラウンド表示器４５、遊技状態表示器４６、発射方向表示器４７、及び当り表示器４８が接続されている。すなわち、これらの主表示器４０の表示制御は、遊技制御用マイコン８１（主制御部８０）によりなされる。
【００５６】
また、主制御基板８０は、払出制御基板１１０に各種コマンドを送信するとともに、払い出し監視のために払出制御基板１１０から信号を受信する。払出制御基板１１０には、賞球や貸球を払い出す払出装置１２０、及び、カードユニット１３５が接続されているとともに、発射制御基板１１１（「発射制御部」ともいう）を介して発射装置１１２が接続されている。発射装置１１２には、発射ハンドル６０（図１参照）が含まれる。尚、カードユニット１３５とは、パチンコ遊技機１の一端側（通常は図１紙面左側）に隣接して設置され、遊技者が所定の球貸出操作を行うことで、挿入されたプリペイドカード（遊技価値記憶媒体）等に記憶されている情報に基づいて球貸しを可能にするものである。
【００５７】
払出制御基板１１０は、プログラムに従ってパチンコ遊技機１の遊技球の払い出しを制御する払出制御用ワンチップマイコン１１６（「払出制御用マイコン」ともいう）が実装されている。払出制御用マイコン１１６には、遊技球の払い出しを制御するためのプログラム等を記憶したＲＯＭ、ワークメモリとして使用されるＲＡＭ、ＲＯＭに記憶されたプログラムを実行するＣＰＵが含まれている。払出制御用マイコン１１６は、入出力回路１１７を介し、遊技制御用マイコン８１からの信号や、パチンコ遊技機１に接続されたカードユニット１３５からの信号に基づいて、払出装置１２０の払出モータ１２１を駆動して賞球の払い出しを行ったり、貸球の払い出しを行ったりする。払い出される遊技球は、その計数のため払出センサ１２２、１２３により検知される。尚、遊技者による発射装置１１２のハンドル６０（図１参照）の操作があった場合には、タッチスイッチ１１４が発射ハンドル６０への遊技者の接触を検知し、発射ボリューム１１５が発射ハンドル６０の回転量を検知する。そして、発射ボリューム１１５の検知信号の大きさに応じた強さで遊技球が発射されるよう発射モータ１１３が駆動制御される。
【００５８】
また、主制御基板８０は、副制御基板９０に対し各種コマンドを送信する。主制御基板８０と副制御基板９０との接続は、主制御基板８０から副制御基板９０への信号の送信のみが可能な単方向（一方向）通信接続となっている。すなわち、主制御基板８０と副制御基板９０との間には、通信方向規制手段としての図示しない単方向性回路（例えばダイオードを用いた回路）が介在している。また、図５に示すように、副制御基板９０には、プログラムに従ってパチンコ遊技機１の演出を制御する演出制御用ワンチップマイコン９１（「演出制御用マイコン」）が実装されている。演出制御用マイコン９１には、遊技の進行に伴って遊技演出を制御するためのプログラム等を記憶したＲＯＭ、ワークメモリとして使用されるＲＡＭ、ＲＯＭに記憶されたプログラムを実行するＣＰＵが含まれている。演出制御用マイコン９１は、入出力回路９５を介して他の基板等とデータの送受信を行う。入出力回路９５は、演出制御用マイコン９１に内蔵されていてもよい。また、ＲＯＭは外付けであってもよい。
【００５９】
副制御基板９０には、画像制御基板１００、音声制御基板１０６、ランプ制御基板１０７が接続されている。副制御基板９０の演出制御用マイコン９１は、主制御基板８０から受信したコマンドに基づいて、画像制御基板１００の画像制御用ワンチップマイコン１０１（「画像制御用マイコン」）のＣＰＵ（ＶＤＰ）に、画像表示装置７（第１画像表示装置）、第２画像表示装置７１、第３画像表示装置７２、演出表示器１０２、第３演出保留表示器１０３ａ、及び第４演出保留表示器１０３ｂの表示制御を行わせる。画像制御基板１００のＲＡＭは、画像データを展開するためのメモリである。画像制御基板１００のＲＯＭには、画像表示装置に表示される静止画データや動画データ、具体的にはキャラクタ、アイテム、図形、文字、数字および記号等（演出図柄、保留図柄等を含む）や背景画像等の画像データが格納されている。画像制御基板１００のＣＰＵ（ＶＤＰ）は、演出制御用マイコン９１からの指令に基づいてＲＯＭから画像データを読み出す。そして、読み出した画像データに基づいて表示制御を実行する。
【００６０】
演出表示器１０２は、２個のＬＥＤからなり、そのうち一方のＬＥＤが第１特別図柄の変動表示及び停止表示にあわせて変動表示及び停止表示を行い、他方のＬＥＤが第２特別図柄の変動表示及び停止表示にあわせて変動表示及び停止表示を行い、対応するＬＥＤの点灯・消灯、又は色により、第１特別図柄又は第２特別図柄の表示結果（特別図柄当否判定の結果）を示す表示態様で停止表示する。また、第３演出保留表示器１０３ａ、及び第４演出保留表示器１０３ｂも同様に、夫々２個のＬＥＤからなる。そして、２個のＬＥＤの点灯・消灯、又は色の組合せにより、第３演出保留表示器１０３ａは第１演出保留表示領域９ｃに表示される保留個数及び第１特図保留表示器４３ａで表示される保留個数と同じ保留個数を示す表示態様で表示制御される。また、第４演出保留表示器１０３ｂは第２演出保留表示領域９ｄに表示される保留個数及び第２特図保留表示器４３ｂで表示される保留個数と同じ保留個数を示す表示態様で表示制御される。
【００６１】
キャラクタ図柄を表示画面７ａ（演出図柄表示部）の一部又は略全体に表示したり、可動装飾部材１４を表示画面７ａ（演出図柄表示部）の前方に動作させて表示画面７ａ（演出図柄表示部）の一部又は略全体を被覆したりすることで、演出図柄８、第１演出保留表示部９ｃ、又は、第２演出保留表示部９ｄの一部又は全部が視認できない状態になることがある。このような被覆状態となった際も、確実に演出図柄の変動表示及び停止表示、保留個数等を確認可能なように、補助的に、これら演出表示器１０２、第３演出保留表示器１０３ａ、及び、第４演出保留表示器１０３ｂを設けている。尚、演出表示器１０２、第３演出保留表示器１０３ａ、及び、第４演出保留表示器１０３ｂの表示態様は、可動装飾部材１４の動作等によって視認が阻害されることなく、常に視認できる状態となっている。また、画像制御基板１００の画像制御用ワンチップマイコン１０１に換えて、または加えてＶＤＰ（Video Display Processor）を設けてもよい。
【００６２】
また、演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、副制御基板９０のＲＯＭに格納されている。尚、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵに音声制御を実行させてもよい。さらにこの場合、画像制御基板１００のＲＯＭに音響データを格納してもよい。また、演出制御用マイコン９１は、主制御基板８０から受信したコマンドに基づいて、枠ランプ６６や盤面ランプ５等のランプの発光態様を決める発光パターンデータ（点灯/消灯や発光色等を決めるデータ、ランプデータともいう）を、ＲＯＭに格納されているデータから決定し、ランプ制御基板１０７を介して枠ランプ６６や盤面ランプ５等のランプ（ＬＥＤ）の点灯制御を行う。
【００６３】
さらに、演出制御用マイコン９１は、主制御基板８０から受信したコマンドに基づいて、ランプ制御基板１０７に中継基板１０８を介して接続された可動装飾部材１４を動作させる。尚、可動装飾部材１４は、図１では一部分のみ視認可能となっているが、センター装飾体１０に設けられた可動式のいわゆるギミック（可動部材）のことである。演出制御用マイコン９１は、可動装飾部材１４所定の動作態様で動作させるための動作パターンデータ（「駆動データ」ともいう）を、副制御基板９０のＲＯＭに格納されているデータから決定し、決定した動作パターンデータに基づいて可動装飾部材１４の動作を制御する。尚、ランプ制御基板１０７にＣＰＵを実装してもよく、その場合、そのＣＰＵにランプの点灯制御や可動装飾部材１４の動作制御を実行させてもよい。さらにこの場合、ランプ制御基板１０７にＲＯＭを実装してもよく、そのＲＯＭに発光パターンや動作パターンに関するデータを格納してもよい。
【００６４】
また、副制御基板９０には、第１演出ボタン６３ａ又は第２演出ボタン６３ｂ（図１参照）が操作（押す、回転、引く等）されたことを検知する第１演出ボタン検知スイッチ６３ｃ及び第２演出ボタン検知スイッチ６３ｄが接続されている。従って、第１演出ボタン６３ａ又は第２演出ボタン６３ｂに対して遊技者が所定の入力操作を行うと、対応する演出ボタン検知スイッチから副制御基板９０に対して信号が出力される。
【００６５】
次に、本実施例１のパチンコ遊技機１における特別図柄当否判定に係る制御について説明する。特別図柄当否判定の結果として、「大当り」、「小当り」、「外れ」を有している。「大当り」のときには、特別図柄表示部４１に「大当り図柄」が停止表示される。また「小当り」のときには、特別図柄表示部４１に「小当り図柄」が停止表示される。また「外れ」のときには、特別図柄表示部４１に「外れ図柄」が停止表示される。大当り又は小当りと判定されると、停止表示された特別図柄の種類に応じた開放パターンにて、第１大入賞口３０又は第２大入賞口３５を開放する「特別遊技」が実行される。大当りとなって実行される特別遊技を「大当り遊技」と言い、小当りとなって実行される特別遊技を「小当り遊技」と言う。
【００６６】
当りには複数の種別があり、特別図柄当否判定の結果（特定結果）によって、当該結果（特定結果）に対応する当り種別が実行される。すなわち、特別図柄当否判定の結果が、第１特定結果であるのか、第２特定結果であるのか、第３特定結果であるのか、若しくは他の特定結果であるのか等によって、異なる当り種別（大当り、小当り含む）となる。また、当り種別によって、実行される特別遊技も異なる場合があり、当該特別遊技によって獲得可能な遊技利益量が異なったり、特別遊技終了後の遊技状態が異なったりする。具体的に、図６に示すように当りの種別としては、「４Ｒ（ラウンド）第１大当り」、「４Ｒ第２大当り」、「１５Ｒ第３大当り」、「４Ｒ第４大当り」、「２Ｒ第５大当り」、「２Ｒ第６大当り」、「２Ｒ第７大当り」、及び、「２Ｒ第８大当り」がある。「１５Ｒ第３大当り」は、大入賞口（第１大入賞口３０）の開放回数（ラウンド数）が１５回である。また、「４Ｒ第１大当り」、「４Ｒ第２大当り」、「４Ｒ第４大当り」は、大入賞口（第１大入賞口３０）の開放回数（ラウンド数）が４回である。「２Ｒ第５大当り」、「２Ｒ第６大当り」、「２Ｒ第７大当り」、及び、「２Ｒ第８大当り」は、大入賞口（第１大入賞口３０）の開放回数（ラウンド数）が２回である。このように、大当りでは、全て第１大入賞口３０を開放し、第２大入賞口３５を開放しない。このことから、第１大入賞口３０を「大当り用大入賞口（大当り用可変入球口）」ともいう。
【００６７】
また、「４Ｒ第１大当り」、「１５Ｒ第３大当り」、「４Ｒ第４大当り」、「２Ｒ第５大当り」、「２Ｒ第６大当り」は、その大当り遊技の終了後の遊技状態を、後述の高確率状態に移行させる（確変機能を作動させる）。従って、この５種類の大当りを「確変大当り（高確率大当り）」ともいう。この高確率状態（確変機能）は、次回の大当りが発生するまで継続する。また、「４Ｒ第２大当り」、「２Ｒ第７大当り」、「２Ｒ第８大当り」は、その大当り遊技の終了後の遊技状態を、後述の低確率状態に移行させる（確変機能を作動しない）。従って、この３種類の大当りを「低確大当り（低確率大当り、通常大当り）」ともいう。
【００６８】
また、「４Ｒ第１大当り」、「１５Ｒ第３大当り」、「４Ｒ第４大当り」は、その大当り遊技の終了後に、第２特別図柄の変動時間を短時間に設定する「第２特別図柄時短機能」を作動させ、高ベース発生機能を作動させない。これにより、これらの大当り遊技終了後の遊技状態は、高確低ベース状態（状態Ｃ）となる。この高確低ベース状態は、次回の大当りが発生するまで継続する。また、高確低ベース状態（状態Ｃ）の遊技性については、詳しくは後述するが、前述したように各種入球口を配置した右遊技領域３Ｂに右打ち遊技を行うことで、第２特別図柄当否判定を行って、小当りを発生させ、前回の大当りと次回の大当りとの間の期間（大当り間）に遊技球を増加させることが可能な期間である。また、この大当り間の高確低ベース状態において小当りを頻発させることで、小当りによって短期間に多くの遊技球の獲得も期待できる。すなわち、遊技者にとって有利な期間であり、遊技興趣を高めることが可能な期間である。
【００６９】
また、「４Ｒ第２大当り」、「２Ｒ第７大当り」、「２Ｒ第８大当り」は、その大当り遊技の終了後に、「第２特別図柄時短機能」及び「高ベース発生機能」を作動させる。これにより、これらの大当り遊技終了後の遊技状態は、低確高ベース状態となる。「４Ｒ第２大当り」及び「２Ｒ第８大当り」の場合、低確高ベース状態は、次回の大当りが発生するか、若しくは、特別図柄の変動表示が１００回実行されることに基づいて終了する。特別図柄の変動表示が１００回実行されることに基づいて終了した場合には、遊技状態は、低確低ベース状態（通常状態）に設定される。また、「２Ｒ第７大当り」の場合、低確高ベース状態は、次回の大当りが発生するか、若しくは、特別図柄の変動表示が５０回実行されることに基づいて終了する。特別図柄の変動表示が５０回実行されることに基づいて終了した場合には、遊技状態は、低確低ベース状態（通常状態）に設定される。また、詳しくは後述するが、低確高ベース状態では、前述したように各種入球口を配置した右遊技領域３Ｂに右打ち遊技を行うことで、第２特別図柄当否判定を行って、次の大当りの発生に期待して遊技を行う期間である。
【００７０】
また、「２Ｒ第５大当り」及び「２Ｒ第６大当り」は、その大当り遊技の終了後に、「第２特別図柄時短機能」及び「高ベース発生機能」を作動させる。これにより、これらの大当り遊技終了後の遊技状態は、高確高ベース状態となる。「２Ｒ第５大当り」の場合、「第２特別図柄時短機能」は次回の大当りが発生するまで継続し、「高ベース発生機能」は、次回の大当りが発生するか、若しくは、特別図柄の変動表示が５０回実行されることに基づいて終了する。また前述した通り、「確変機能」は次回の大当りが発生するまで継続する。すなわち、「２Ｒ第５大当り」の場合、大当り遊技終了後、特別図柄の変動表示が５０回を経過するまでは、高確高ベース状態とされ、５０回を経過しても大当りが発生しないと、遊技状態が高確低ベース状態に設定される。
【００７１】
高確高ベース状態は、低確高ベース状態と同様に、右遊技領域３Ｂに右打ち遊技を行うことで、第２特別図柄当否判定を行って、次の大当りの発生に期待して遊技を行う期間であり、高確低ベース状態は、前述した通り、右打ち遊技によって小当りを頻発させることで、小当りによって短期間に多くの遊技球の獲得も期待できる遊技者にとって有利な期間である。尚、高確高ベース状態において獲得可能な遊技球よりも、高確低ベース状態において獲得可能な遊技球の方が多いものとされる。従って、大当り遊技終了後の特別図柄の変動表示回数が５０回を経過するまで大当りが発生しない場合、遊技状態がそれまでよりも有利な遊技状態（特定遊技状態）に変化することとなる。
【００７２】
また、「２Ｒ第６大当り」は、大当り遊技終了後、特別図柄の変動表示が１００回を経過するまでは、高確高ベース状態とされ、１００回を経過しても大当りが発生しないと、遊技状態が高確低ベース状態に設定される点、すなわち、遊技状態が変化する期間が異なることを除き、「２Ｒ第５大当り」と同様である。また、「２Ｒ第５大当り」は、「２Ｒ第６大当り」よりも、遊技状態が高確高ベース状態から高確低ベース状態に変化する時期が早く設定されている。従って、「２Ｒ第５大当り」は、「２Ｒ第６大当り」よりも、遊技者にとって有利な大当りであるといえる。
【００７３】
また、「２Ｒ第５大当り」に係る大当り遊技（２Ｒ第５大当り遊技）終了後の高確高ベース状態と、「２Ｒ第７大当り」に係る大当り遊技（２Ｒ第７大当り遊技）終了後の低確高ベース状態と、において、共通の遊技演出（第１遊技演出：背景や遊技モードやキャラクタ絵柄やリーチ演出等）を実行することで、遊技者に何れの遊技状態かを認識困難とする。図９に示すように、これらの遊技状態を状態Ｂとして、共通の変動パターン決定テーブルを用いて変動パターンを決定する。これにより、両遊技状態を、遊技状態（高確高ベース状態又は低確高ベース状態）を報知しない（認識困難とする）非報知状態とする。
【００７４】
大当りの種別が「２Ｒ第５大当り」であった場合には、特別図柄の変動表示が５０回経過した後に、遊技状態が高確低ベース状態（遊技者にとって有利な有利状態）となり、「２Ｒ第７大当り」であった場合には、特別図柄の変動表示が５０回経過した後に、遊技状態が低確低ベース状態（遊技者にとって不利な通常状態）となるため、遊技者は、非報知状態において、何れの遊技状態であったとしても、高確低ベース状態に移行することに期待して遊技し、遊技興趣を高めることとなる。
【００７５】
また、「２Ｒ第６大当り」に係る大当り遊技（２Ｒ第６大当り遊技）終了後の高確高ベース状態と、「２Ｒ第８大当り」に係る大当り遊技（２Ｒ第８大当り遊技）終了後の低確高ベース状態と、において、共通の遊技演出（第２遊技演出：背景や遊技モードやキャラクタ絵柄やリーチ演出等）を実行することで、遊技者に何れの遊技状態かを認識困難とする。図９に示すように、これらの遊技状態を状態Ｂとして、共通の変動パターン決定テーブルを用いて変動パターンを決定する。これにより、両遊技状態を、遊技状態（高確高ベース状態又は低確高ベース状態）を報知しない（認識困難とする）非報知状態とする。
【００７６】
大当りの種別が「２Ｒ第６大当り」であった場合には、特別図柄の変動表示が１００回経過した後に、遊技状態が高確低ベース状態（遊技者にとって有利な有利状態）となり、「２Ｒ第８大当り」であった場合には、特別図柄の変動表示が１００回経過した後に、遊技状態が低確低ベース状態（遊技者にとって不利な通常状態）となるため、遊技者は、非報知状態において、何れの遊技状態であったとしても、高確低ベース状態に移行することに期待して遊技し、遊技興趣を高めることとなる。
【００７７】
また、「２Ｒ第５大当り」に係る大当り遊技（２Ｒ第５大当り遊技）終了後の高確高ベース状態と、「２Ｒ第７大当り」に係る大当り遊技（２Ｒ第７大当り遊技）終了後の低確高ベース状態と、「２Ｒ第６大当り」に係る大当り遊技（２Ｒ第６大当り遊技）終了後の高確高ベース状態と、「２Ｒ第８大当り」に係る大当り遊技（２Ｒ第８大当り遊技）終了後の低確高ベース状態と、において、共通の遊技演出（第２遊技演出：背景や遊技モードやキャラクタ絵柄やリーチ演出等）を実行することで、遊技者に何れの遊技状態かを認識困難とする。図９に示すように、これらの遊技状態を状態Ｂとして、共通の変動パターン決定テーブルを用いて変動パターンを決定する。これにより、これらの遊技状態を、遊技状態（高確高ベース状態又は低確高ベース状態）を報知しない（認識困難とする）非報知状態とする。
【００７８】
大当りの種別が「２Ｒ第５大当り」であった場合には、特別図柄の変動表示が５０回経過した後に、遊技状態が高確低ベース状態（遊技者にとって有利な有利状態）となり、「２Ｒ第７大当り」であった場合には、特別図柄の変動表示が５０回経過した後に、遊技状態が低確低ベース状態（遊技者にとって不利な通常状態）となる。また、大当りの種別が「２Ｒ第６大当り」であった場合には、特別図柄の変動表示が１００回経過した後に、遊技状態が高確低ベース状態（遊技者にとって有利な有利状態）となり、「２Ｒ第８大当り」であった場合には、特別図柄の変動表示が１００回経過した後に、遊技状態が低確低ベース状態（遊技者にとって不利な通常状態）となる。このため、遊技者は、非報知状態において、何れの遊技状態であったとしても、特別図柄の変動表示が５０回経過する際に、高確低ベース状態に移行することに期待して遊技し、遊技興趣を高めることとなる。
【００７９】
また、高確低ベース状態に移行しない場合であっても、低確低ベース状態に移行することなく、少なくとも高ベース状態が継続する（すなわち、非報知状態が継続する）ことに期待して遊技を行う。特別図柄の変動表示が５０回経過後に、非報知状態が継続した場合には、大当りの発生に期待すると共に、特別図柄の変動表示が１００回を経過する際に、高確低ベース状態に移行することに期待して遊技し、遊技興趣を高めることとなる。このように、非報知状態において、遊技者の期待感を高めるポイントが複数回設定されており、より遊技興趣を高めると共に、高い遊技興趣を長期間維持することが可能となる。
【００８０】
また、第２特別図柄当否判定の結果として発生しうる小当りは、大入賞口（第２大入賞口３５）の開放回数が６回とされ、他の大当りと比較して、１回（及びトータル）の開放時間も短く設定されている。具体的に、０．３秒の６回開放で、合計１．８秒の開放を行う。そのため、大当り遊技（例えば、１５Ｒ第３大当り遊技や４Ｒ第４大当り遊技等）と比較して、１回の小当り遊技で獲得可能な遊技球は少なく設定されている。しかしながら、小当りを複数回（多数回）発生させることで、複数回の小当り遊技を実行し、より多くの遊技球を獲得可能となっている。また、小当りでは、全て第２大入賞口３５を開放し、第１大入賞口３０を開放しない。このことから、第２大入賞口３５を「小当り用大入賞口（小当り用可変入球口）」ともいう。尚、小当り（小当り遊技）では、大当り（大当り遊技）と異なり、大入賞口の開放回数をラウンド数とは言わず、単に開放回数という。また、小当りの発生に基づいて、確変機能が作動することはなく、小当り発生時の遊技状態が高確率状態であれば、小当り遊技終了後も高確率状態とされ、小当り発生時の遊技状態が低確率状態であれば、小当り遊技終了後も低確率状態とされる。また同様に、第２特別図柄の時短機能及び高ベース発生機能についても、小当りの発生に基づいて作動しないものとしている。
【００８１】
尚、第１特別図柄（特図１）の当否判定における各大当りへの振分確率は、４Ｒ第１大当りが６５％、４Ｒ第２大当りが３５％となっている。これに対して、第２特別図柄（特図２）の当否判定における大当りは、１５Ｒ第３大当りが５０％、４Ｒ第４大当りが５％、２Ｒ第５大当りが５％、２Ｒ第６大当りが５％、２Ｒ第７大当りが２５％、２Ｒ第８大当りが１０％となっている。すなわち、後述の第２特別図柄時短機能の作動により、変動頻度が向上した第２始動口２１への入球に基づく当否判定（第２特別図柄当否判定）により大当りとなった場合には、１５Ｒ大当り（１５Ｒ第３大当り）となって、短期間に多量の遊技球を獲得可能となる。このように、本パチンコ遊技機１では、第１始動口２０に遊技球が入球して行われる当否判定（第１特別図柄当否判定）において大当りとなるよりも、第２始動口２１に遊技球が入球して行われる当否判定（第２特別図柄当否判定）において大当りとなる方が、遊技者にとって有利となる（多量の遊技球を獲得できる）可能性が高くなるように設定されている。また、遊技者は、１５Ｒ第３大当りの発生と共に、小当りによって遊技球を増加可能な高確低ベース状態の発生に期待して遊技を行う。
【００８２】
ここで本パチンコ遊技機１では、大当りか、小当りか、外れかの判定は「特別図柄当否判定用乱数（「当否判定用情報」ともいう）」に基づいて行われ、大当りとなった場合の大当りの種別の判定は「大当り種別決定用乱数（「図柄決定用乱数」、「図柄決定用情報」ともいう）」に基づいて行われる。図７（Ａ）に示すように、特別図柄当否判定用乱数は０〜６２９までの範囲で値をとる。大当り種別決定用乱数は、０〜９９までの範囲で値をとる。尚、第１始動口２０又は第２始動口２１への入球に基づいて取得される乱数（取得情報）には、特別図柄当否判定用乱数及び大当り種別決定用乱数の他に、「変動パターン乱数（「変動パターン情報」ともいう）」がある。また、変動パターン乱数は、特別図柄の変動時間を含む変動パターン（変動態様）を決めるための乱数である。変動パターン乱数は、０〜１９８までの範囲で値をとる。また、ゲート２８の通過に基づいて取得される乱数には、図７（Ｂ）に示す普通図柄当否判定用乱数がある。普通図柄当否判定用乱数は、第２始動口２１を開放させる補助遊技を行うか否かの判定（普通図柄当否判定）のための乱数である。普通図柄乱数は、０〜２４０までの範囲で値をとる。
【００８３】
次に、本実施例１のパチンコ遊技機１の遊技状態に関して説明する。パチンコ遊技機１は、特別図柄及び普通図柄に対する確率変動機能（確変機能）、特別図柄及び普通図柄に対する変動時間短縮機能、及び、第２始動口の開放延長機能の各機能が作動状態又は非作動状態となる組合せにより、複数の遊技状態を有している。特別図柄（第１特別図柄及び第２特別図柄）について確率変動機能が作動している状態を「高確率状態」といい、作動していない状態を「低確率状態」という。高確率状態（大当り確率：１／３１５）では、特別図柄当否判定において大当りと判定される確率が低確率状態（大当り確率：１／６３）よりも高くなっている。すなわち、低確率状態では低確率状態用の大当り判定テーブルを用いて当否判定を行うものの、高確率状態では、大当りと判定される特別図柄当否判定用乱数の値が多い高確率状態用の大当り判定テーブルを用いて、当否判定を行う（図８（Ａ）参照）。つまり、特別図柄の確率変動機能が作動すると、作動していないときに比して、特別図柄の変動表示の結果が大当りとなる（停止図柄が大当り図柄となる）確率が高くなる。尚、特別図柄当否判定の確率（大当り確率）として高確率又は低確率を設定する手段（主制御部）を「確率設定手段」という。
【００８４】
また、特別図柄（第１特別図柄及び第２特別図柄）について変動時間短縮機能が作動している状態を「時短状態」といい、作動していない状態を「非時短状態」という。時短状態では、特別図柄の変動時間（変動表示の開始時から確定表示時までの時間）の平均値が、非時短状態における特別図柄の変動時間の平均値よりも短くなっている。すなわち、時短状態においては、変動時間の短い変動パターンが選択されることが非時短状態よりも多くなるように定められた変動パターンテーブルを用いて、変動パターンの判定を行う（図９参照）。その結果、時短状態では、特図保留の消化のペースが速くなり、始動口への有効な入球（特図保留として記憶され得る入球）が発生しやすくなる。そのため、スムーズな遊技の進行のもとで大当りを狙うことができる。
【００８５】
本実施例のパチンコ遊技機１では、第２特別図柄の変動時間の長短が遊技者の有利・不利に特に関係するため、図６に示すように「第２特別図柄時短機能」として設定している。第２特別図柄時短機能が作動していない場合、すなわち、図９に示す状態Ａのとき、遊技者が右打ち遊技を行って第２始動口２１に遊技球を入球させると、第２特別図柄当否判定が実行されると共に、第２特別図柄が変動表示する。しかしながら、状態Ａにおける第２特別図柄の変動時間は、非常に長い時間（外れ１０分、大当り３分、小当り２分）に設定しているため、スムーズに遊技を進行できない（このような状態を「第１条件状態」ともいう）。従って、状態Ａにおいて右打ち遊技を行っても、遊技者が多量の遊技球を獲得することは困難となっている。そのため、状態Ａでは、特別図柄の変動時間が適切な長さに設定される第１始動口２０を狙って、左打遊技で遊技を進行することとなる。一方で、本実施例のパチンコ遊技機１は、第１特別図柄の変動表示と、第２特別図柄の変動表示とを、同時に（並行して）実行することが可能な遊技機であるので、状態Ａのときに、誤って第２特別図柄を変動表示させた場合でも、当該第２特別図柄の変動表示が終了するのを待つことなく、第１始動口２０に遊技球を入球させて、第１特別図柄を変動表示させることが可能となっている。
【００８６】
第２特別図柄時短機能が作動している場合、すなわち、図９に示す状態Ｂ又は状態Ｃのとき（このような状態を「第２条件状態」ともいう）、図９に示すように、第２特別図柄の変動時間が短時間となるため、遊技者は、右打ち遊技を行うことで、左打ち遊技に比して持ち球を減らすことなく（状態Ｂにおいては維持又は微減で、状態Ｃにおいては増加させながら）、円滑に遊技（第２特別図柄当否判定、第２特別図柄の変動遊技）を実行することが可能となる。また、本実施例では、第２特別図柄時短機能が作動している期間は、第１特別図柄時短機能も作動させているが、第１特別図柄時短機能については作動させなくともよい。
【００８７】
特別図柄（第１特別図柄及び第２特別図柄）についての確率変動機能と変動時間短縮機能（第２特別図柄時短機能）とは同時に作動する。そして、普通図柄についての確率変動機能及び変動時間短縮機能は、高ベース発生機能に同期して作動するようになっている。すなわち、普通図柄の確率変動機能及び変動時間短縮機能は、遊技状態が高ベース状態（低確高ベース状態、高確高ベース状態）において作動し、低ベース状態（低確低ベース状態、高確低ベース状態）において作動しない。よって、高ベース状態（状態Ｂ）では、普通図柄当否判定における当り確率は、低ベース状態よりも高くなっている（「普図高確率状態」ともいう）。すなわち、高ベース状態（状態Ｂ）では、当りと判定される普通図柄乱数（当り乱数）の値が、低ベース状態（状態Ａ、Ｃ）で用いる普通図柄当り判定テーブルよりも多い状態Ｂ用の普通図柄当り判定テーブルを用いて、普通図柄当否判定（普通図柄の判定）を行う（図８（Ｃ）参照）。つまり、普通図柄表示器４２の確率変動機能が作動すると、作動していないときに比して、普通図柄の変動表示の結果が当りとなる（停止図柄が普通当り図柄となる）確率が高くなる。
【００８８】
また、高ベース状態では、普通図柄の変動時間が低ベース状態よりも短くなっている。本実施例１では、普通図柄の変動時間は低ベース状態では３秒であるが、高ベース状態では１秒である（図８（Ｅ）参照）。さらに、高ベース状態では、補助遊技における第２始動口２１の開放時間が、低ベース状態よりも長くなっている。すなわち、可変入賞装置２２の開放時間延長機能が作動している。具体的に、低ベース状態において普通図柄当否判定の結果が当りになると、可変入賞装置２２の開閉部材３７が０．９秒の開放動作を３回（開放時間：２．７秒）行い、開放動作を行っている期間において第２始動口が開状態となる。また、高ベース状態において普通図柄当否判定の結果が当りになると、可変入賞装置２２の開閉部材３７が６．０秒の開放動作を１回（開放時間：６．０秒）行うものとされる。また、低ベース状態における開放動作間の閉鎖時間は０．１秒とされている。尚、本実施例では、低ベース状態のときと高ベース状態のときとで、開閉部材３７の開放動作の回数を異ならせたが、開放動作の回数を同じにしてもよい。例えば、低ベース状態の開放動作を２．７秒の一回開放としたり、高ベース状態の開放動作を２．０秒の３回開放としたりしてもよい。また、高ベース状態の開放動作を１．０秒の６回開放とし、低ベース状態の開放回数よりも多くしてもよい。このような場合を、可変入賞装置２２の開放回数増加機能が作動するともいう。
【００８９】
高ベース状態では、普通図柄についての確率変動機能、変動時間短縮機能、並びに、可変入賞装置２２の開放時間延長機能が作動することにより、これらの機能が作動していない低ベース状態に比して、第２始動口２１が開放している期間が長くなり（単位時間当りの開放時間が長くなる）、第２始動口２１へ遊技球の入球頻度が高くなる（「高頻度状態」ともいう）。その結果、第２特別図柄当否判定の実行頻度が高くなる。尚、前述した通り、高ベース状態では、手持ちの遊技球を大きく減らすことなく大当りを狙うことができる。
【００９０】
また、同じ開放時間であれば、開放回数が少ない方が、遊技球が第２始動口２１を通過する可能性を低減することが可能となる。本実施例では、高ベース状態における第２始動口２１の開放態様を、６．０秒の１回開放とし、更に普通図柄の変動時間を極短時間（１秒）としている。尚、普通図柄の変動中は、第２始動口２１が閉状態となるため、普通図柄の変動時間は、閉状態の第２始動口２１の可動部材２３の上面を、遊技球が流下し始めてから当該上面を通過してしまう前に、第２始動口２１の可動部材２３が開動作する程度の時間に設定する。閉状態の可動部材２３の上面を流下中に、可動部材２３が開状態となると、可動部材２３の上面を流下中の遊技球は開状態となった第２始動口２１に入球する。また、可動部材２３の上面を流下中の遊技球が可動部材２３の上面を通過してしまうのを防ぐため、可動部材２３の上面（遊技球通路）を構成する素材を、その手前側の遊技球通路を構成する素材よりも、摩擦係数の高い素材としている（素材が異なる）。これにより、可動部材２３の上面の遊技球流下速度を、その手前側の遊技球通路の遊技急流か速度よりも遅い速度としている。また、流下速度を低減する態様として、その他、傾斜角度を緩くしてもよいし、流下速度を低減する阻害部材（突起等）を設けてもよい。またこれにより、高ベース状態において、第２始動口２１まで流下してきた遊技球が、第２始動口２１に入球することなく（可動部材２３の上面を流下して）、第２大入賞口３５に流下する可能性をより低減している。すなわち、高ベース状態においては、小当りとなり第２大入賞口３５が開状態（入球可能状態）となったとしても、流下してきた遊技球は第２始動口２１に入球し、第２大入賞口３５に入球するのが困難となっている。
【００９１】
高ベース状態は、上記の全ての機能が作動するものでなくてもよい。すなわち、普通図柄についての確率変動機能、変動時間短縮機能、並びに、可変入賞装置２２の開放時間延長機能のうち少なくとも一つの機能の作動によって、その機能が作動していないときよりも第２始動口２１が開放され易く（入球頻度が高く）なっていればよい。また、高ベース状態は、特別図柄の時短状態に付随せずに独立して制御されるようにしてもよい。この様な高ベース状態を発生する機能を「高ベース発生機能」という。
【００９２】
前述した通り、本実施例１のパチンコ遊技機１では、第１特別図柄の当否判定よりも第２特別図柄の当否判定の方が遊技者にとって有利であるので、遊技者は第１特別図柄を変動表示させることなく、第２特別図柄を変動表示させようとする可能性がある。すなわち、通常状態（低確低ベース状態）であっても、右打ち遊技を行おうとする可能性がある。しかしながら、前述したように、通常状態（低確低ベース状態）では、第２特別図柄の変動時間（平均変動時間）を、第１特別図柄の変動時間（平均変動時間）と比べて極めて長期間に設定しているため、通常状態で第２特別図柄を変動表示させても、多くの回数変動表示させることができず、遊技効率が非常に悪いものとなっている。すなわち、右打ち遊技により第２特別図柄を変動表示させるよりも、左打ち遊技によって第１特別図柄を変動表示させる方が、遊技者に有利となる。ここで、「第１特別図柄が遊技中でない状態（非遊技状態）」とは、第１特別図柄が変動表示中でなく（確定停止表示時間含む）且つ第１特別図柄の保留数が「０」であることをいう。また、「第２特別図柄が遊技中でない状態（非遊技状態）」とは、第２特別図柄が変動表示中でなく（確定停止表示時間含む）且つ第２特別図柄の保留数が「０」であることをいう。
【００９３】
また、高確高ベース状態や低確高ベース状態といった高ベース状態、並びに、高確低ベース状態では、第２特別図柄時短機能により、第２特別図柄の変動時間が短時間となり、右打ち遊技による遊技効率がよくなる。このような場合には、右打ち遊技を行って遊技者にとって有利な第２特別図柄当否判定を行った方が、有利に遊技を進行できる。また、高ベース状態では、低ベース状態と比べて第２始動口２１が開放されやすくなっており、第１始動口２０への入球よりも第２始動口２１への入球の方が容易となっているからである。そのため、普通図柄当否判定の契機となるゲート２８へ遊技球を通過させつつ、第２始動口２１へ遊技球を入球させるべく右打ちを行う。
【００９４】
また、高確低ベース状態においては、第２始動口２１への入球頻度は、低確低ベース状態（通常状態）と同様であるものの、第２始動口２１への入球に基づいて実行される第２特別図柄の変動時間が短時間に変化しているため、第１特別図柄当否判定よりも遊技者に有利な第２特別図柄当否判定を実行可能な右打ち遊技を行う。また、高確低ベース状態では、普通図柄についての確率変動機能、変動時間短縮機能、並びに、可変入賞装置２２の開放時間延長機能が何れも作動していないため、第２始動口２１への入球頻度が高ベース状態と比較して低い。そのため、第２始動口２１への入球に基づく賞球は、高ベース状態ほど得ることができない。しかしながら、その代わりに、第２特別図柄当否判定によって、高い確率で発生する小当り（小当り確率：３００／６３０）によって、大当り間に遊技球が減少することを防ぎ、むしろ小当りを頻発させる（複数回発生させる）ことによって、持ち球を増加させることも可能である。
【００９５】
すなわち、高ベース状態（低確高ベース状態、高確高ベース状態）においては、右打ち遊技によって、第２始動口２１への入球を頻発させることで、持ち球を大きく減らすことなく、第２特別図柄当否判定によって次の大当りの発生を狙う。尚、本実施例では、第２始動口２１への入球に基づく賞球数が１個に設定されており、右打ちした遊技球が全て第２始動口２１に入球したとしても、遊技球が増加することはない（維持となる）。また、本実施例では、右打ちした遊技球の約９０〜９５％が第２始動口２１に入球するような設定とされているため、他の入球口に入球しない限り、高ベース状態を長期間継続すると、若干ではあるが持ち球を減少する仕様となっている。
【００９６】
一方、高確低ベース状態においては、右打ち遊技によって、第２始動口２１への入球に基づく第２特別図柄当否判定によって高頻度で小当りを発生させて小当り遊技での持ち球の増加を図ると共に、第２特別図柄当否判定によって次の大当りの発生を狙う。尚、本実施例１のパチンコ遊技機では、高確低ベース状態においては、次の大当りが発生しない期間が長いほど（高確低ベース状態の期間が長く続くほど）、多数の小当り発生させる（小当り遊技を実行する）機会が多くなり、遊技者に有利となる。
【００９７】
［盤面構成と遊技状態の説明］
また、図３に示すように、右遊技領域３Ｂ（第２遊技領域）には、各種入球口が、遊技領域の上流側からゲート２８（開始ゲート２９）、第１大入賞口３０、第２始動口２１、第２第入賞口３５の順に、最適な順序で配置されている。また、右遊技領域３Ｂの遊技球流下通路が図３に示すように形成されているため、これらの各入賞口が閉状態のときは、右遊技領域３Ｂに発射した遊技球のほとんど（９０％以上）は、ゲート２８（開始ゲート２９）を通過し、その後第１大入賞口３０の開閉部材３２上面を流下し、その後第２始動口２１の可動部材２３上面を流下し、その後第２第入賞口３５の開閉部材３７上面を流下し、アウト口３４への流下する構成とされている。そして、その流下途中に開状態の入賞口がある場合には、当該入賞口に入球し、当該入賞口から遊技盤裏面に排出され、入球した遊技球は、それより下流の遊技領域にはいかない構成となっている。
【００９８】
ゲート２８を最上流に配置したことで、開放した第２始動口２１等によって、ゲート２８に遊技球が到達するのが阻害されるといった事態の発生を防止することができる。また、普通図柄保留が「０」となって、待ち時間（普通図柄が変動しないといった状態）が発生してしまうのを極力防止できる。すなわち、右遊技領域の最上流にゲート２８を配置したことで、他の入賞口の開放の有無に関係なく、右打ちしたほとんど全ての遊技球をゲート２８に通過させることができる。また、ゲート２８を通過した遊技球は、そのまま右遊技領域を下流側に流下するため、ゲート２８の存在が他の入賞口への入球を阻害することもない。
【００９９】
高ベース状態（低確高ベース状態、高確高ベース状態）において右打ち遊技を行うと、まず遊技球がゲート２８を通過し、第２始動口２１を開状態とするかどうかの判定が実行される。高ベース状態では、普通図柄の変動時間が短時間（１秒）に設定され、且つ、普通図柄当り確率もほぼ当りとなる高確率（239/240）に設定されているため、遊技球がゲートを通過した後すぐに（１秒後に）、可動部材２３が動作して第２始動口２１が開状態となる。すなわち、ゲート２８を遊技球が通過して普通図柄当否判定が実行され、普通図柄が変動表示する場合、当該ゲートを通過した当該遊技球が第２始動口２１の入口に到達する前に、第２始動口２１は開状態となる。また、第２始動口２１の開放時間も６．０秒の１回開放とされるため、右打ち遊技を継続する限り、第２始動口２１は、１秒の普通図柄変動時間中は閉鎖し、その後６．０秒の１回開放を行う、１秒の普通図柄変動時間中は閉鎖し、その後６．０秒の１回開放を行う、というサイクルを繰り返すこととなる（１秒閉鎖→６．０秒開放→１秒閉鎖→約６．０秒開放→・・・）。
【０１００】
従って、高ベース状態で右打ち遊技を行うと、第２始動口２１がほぼ開放した状態となり、右遊技領域３Ｂを流下する遊技球は、ほとんど（約８０〜９０％）第２始動口２１に入球することとなる。また、遊技球が第２始動口２１に入球すると、第２特別図柄当否判定が実行される。第２特別図柄当否判定では、高確高ベース状態においては、１／６３の確率で大当りとなり、３０／６３の確率で小当りとなり、３２／６３の確率で外れとなる。
【０１０１】
まず、第２特別図柄当否判定の結果が外れとなった場合、右遊技領域３Ｂを流下する遊技球は、ゲート２８を通過した後、ほとんど（約８０〜９０％）の遊技球は開状態となる第２始動口２１に入球し、その他の遊技球は第２始動口２１の手前で分岐する遊技球通路から下流に流下し、第２始動口２１に流下することなく、第３始動口２６に入球するか、アウト口３４に流入する。これにより、第２特別図柄当否判定が連続的に実行される。尚、第２始動口２１に１個入球したことによって、１個の賞球が排出されるため、持ち球をほとんど減らすことなく、第２特別図柄当否判定を実行し、次の大当りを狙うことが可能となる。また、第３始動口２６に１個入球したことによっても、１個の賞球が排出される。
【０１０２】
次に、第２特別図柄当否判定の結果が大当りとなった場合、第２始動口２１の上流側の第１大入賞口３０が、図６に示す大当り種別に応じた態様で開状態となる。また、第２始動口２１の下流側に設けられた第２大入賞口３５は、大当り遊技において開状態としない。これにより、大当り遊技か開始されると、右打ちに遊技よって流下する遊技球は、第２始動口２１等の他の入賞口によって入球を阻害されることなく、円滑に第１大入賞口３０に入球する。ここで、第２始動口２１を第１大入賞口３０よりも上流に配置した場合、大当り遊技中は低ベース状態に移行するものの、本実施例では、低ベース状態でも第２始動口２１が頻繁に開状態となる仕様としているため、大当り遊技中に右遊技領域を流下する遊技球が、第２始動口２１に先に入球してしまい、第２始動口２１に入球しなかった遊技球だけが第２大入賞口３０に入球するといった事態が生じる。
【０１０３】
しかも、第２始動口２１への入球に基づく賞球は１個とされているため、大当り遊技の実行時間が徒に長期間化するだけで、遊技者には何らのメリットもない。むしろ、遊技が冗長となり、円滑に進まず、遊技興趣を低下させる虞がある。そこで、本実施例のように、第１大入賞口３０を、第２始動口２１の上流側に配置することで、そのような事態を防止し、大当り遊技を円滑に進行することが可能となる。尚、大当り遊技中以外は第１大入賞口３０が開放することはないため、大当り遊技中以外のときに、第１大入賞口３０が第２始動口２１への入球を阻害することもない。
【０１０４】
次に、第２特別図柄当否判定の結果が小当りとなった場合、第２始動口２１の下流側の第２大入賞口３５が、図６に示す小当り用の開閉態様で開状態となる。具体的には、０．３秒の開動作を６回実行する（開動作間の閉鎖時間は０．１秒）。しかしながら、前述した通り、高ベース状態では、ほとんどの期間、第２始動口２１が開状態となっている。そのため、第２始動口２１まで流下する遊技球のうち、およそ９９％（ほとんど全て）の遊技球が、第２大入賞口３５の上流側に配置される第２始動口２１に入球する。従って、高ベース状態においては、小当りとなり、第２大入賞口３５を開状態とする小当り遊技が実行された場合でも、上流側の第２始動口２１によって、下流側の第２大入賞口３５への入球が阻害され、第２大入賞口３５への入球が困難な状態となっている。尚、数は少ないが（可能性は低いが）、高ベース状態であっても、第２始動口２１が閉状態のときに第２始動口２１の可動部材２３の上面を通過した遊技球が第２大入賞口３５に到達した際に、第２大入賞口３５が開状態となっていれば当該遊技球は第２大入賞口３５に入球しうる。
【０１０５】
次に、高確低ベース状態について説明する。高確低ベース状態は、低ベース状態であるが、第２特別図柄の変動時間が短時間となるため、右打ちで遊技を進行するのが遊技者にとって有利となっている。高確低ベース状態において右打ち遊技を行うと、まず遊技球がゲート２８を通過し、第２始動口２１を開状態とするかどうかの判定（普通図柄当否判定）が実行される。低ベース状態（高確低ベース状態）では、普通図柄の変動時間が高ベース状態と比べて長時間（３秒）に設定され、且つ、普通図柄当り確率も高ベース状態の半分ほどの確率（１２０／２４０）に設定されているため、遊技球がゲートを通過した後、少し時間をおいて（３秒後に）、当りとなれば可動部材２３が動作して第２始動口２１が開状態となる。当りとなる確率は１／２程度であるので、当りと外れがおよそ半々で発生する。
【０１０６】
すなわち、ゲート２８を遊技球が通過して普通図柄当否判定が実行され、普通図柄が変動表示する場合、当該ゲートを通過した当該遊技球が第２始動口２１の入口を通過した後に、第２始動口２１は開状態となる。また、第２始動口２１の開放時間も０．９秒の３回開放（開放間の閉鎖時間は０．１秒）とされるため、右打ち遊技を継続する限り、第２始動口２１は、３秒の普通図柄変動時間中は閉鎖し、当りになると、その後０．９秒の３回開放を行い、外れになると再度３秒の普通図柄変動時間となる。当りと外れとが交互に発生する例でみると、第２始動口２１は、３秒の普通図柄変動時間中は閉鎖し、その後０．９秒の３回開放を行い、３秒の普通図柄変動時間中は閉鎖し、外れとなり、３秒の普通図柄変動時間中は閉鎖し、というサイクルを繰り返すこととなる（３秒閉鎖→約２．７秒開放→３秒閉鎖→３秒閉鎖→約２．７秒開放→３秒閉鎖→３秒閉鎖→約２．７秒開放→・・・・・・）。
【０１０７】
従って、高確低べース状態で右打ち遊技を行うと、第２始動口２１が開状態となる期間がおよそ３０％程度、閉状態となる期間がおよそ７０％程度で発生することとなる。従って、高確低ベース状態は、第２始動口２１が開状態となる期間がおよそ９０％程度、閉状態となる期間がおよそ１０％程度で発生する高ベース状態と比較して、第２始動口２１入口まで流下してきた遊技球が、第２始動口２１に入球することなく、可動部材２３の上面を通過して第２大入賞口３５入口まで到達する可能性が高く設定されている。尚、第２特別図柄当否判定の結果が小当りとなる可能性は、高ベース状態（低確高ベース状態、高確高ベース状態）であっても、高確低ベース状態であっても変わらない。すなわち、小当り確率は遊技状態にかかわらず、変化しない（小当り確率：３００／６３０）。また、左打ち遊技において実行される第１特別図柄当否判定の結果には小当りを有しておらず、右打ち遊技において実行される第２特別図柄当否判定の結果にだけ小当りを有している。
【０１０８】
前述した通り、高確低ベース状態では、右遊技領域を流下する（第２始動口２１まで流下した）遊技球のうち、およそ７０％程度の遊技球が、第２始動口２１に入球することなく、第２始動口２１の下流に設けられた第２大入賞口３５まで流下する。これにより、第２特別図柄当否判定の結果が小当りとなった場合には、第２始動口２１の下流側の第２大入賞口３５が、図６に示す小当り用の開閉態様で開状態となる。具体的には、０．３秒の開動作を６回実行する（開動作間の閉鎖時間は０．１秒、総開放時間１．８秒）。そして、ゲート２８を通過した遊技球は、第１大入賞口３０の開閉部材３２の上面を通過して第２始動口２１まで流下し、第２始動口２１が開状態となっていれば第２始動口２１に入球し、第２始動口２１が閉状態となっていれば第２始動口２１の可動部材２３の上面を通過して第２大入賞口３５まで流下し、小当り遊技によって開状態の第２大入賞口３５に入球する。
【０１０９】
第２大入賞口３５への入球に基づく賞球は、１個の入球に対して１０個の賞球とされているため、小当り遊技中に第２大入賞口３５に入球させることで、高確低ベース状態中に持ち球を増加させることが可能となる。また、高確低ベース状態は、少なくとも、特別図柄当否判定（右打ち遊技を続ける限り第２特別図柄当否判定だけ実行される）によって次の大当りが発生するまで継続するため、高確低ベース状態が長期間継続するほど、遊技者は、持ち球を増加させることが可能となる。尚、本実施例では、１回の小当り遊技の発生により、平均して約２０個の賞球（２個の入球）を獲得可能としている。この小当り遊技を次の大当りが発生するまでの期間に複数回（多数回）発生させることで、多量の遊技球を増加させる（例えば、１０回で２００個）ことも可能となる。またこれにより、右打ち遊技を継続する「連荘期間」の総獲得球として、大当り遊技の獲得球に加えて小当り遊技の獲得球を加算でき、より大量の遊技球を獲得可能となる。またこれにより、遊技興趣を高めることが可能となる。
【０１１０】
また、ゲート２８、大当り用（大当り専用）の第１大入賞口３０及び第２始動口２１よりも下流（これらのなかで最下流）に配置した第２大入賞口３５は、小当り用（小当り専用）の大入賞口とされている。また、小当り用の大入賞口である第２大入賞口３５を、第２始動口２１よりも下流に配置することで、第２始動口２１の開動作（開閉制御）によって、第２大入賞口３５に到達する遊技球の数（割合）を制御可能としている。具体的には、第２始動口２１の開閉制御（開状態となる時間、普通図柄の変動時間、普通図柄当否判定の当り確率）によって、小当り遊技が実行された場合に、高ベース状態（低確高ベース状態、高確高ベース状態）よりも、高確低ベース状態の方が、第２大入賞口３５に遊技球が入球する可能性を高くしている。また、本実施例では、図３に示すように、第２始動口２１を（入球することなく）通過しない限り、第２大入賞口３５へは到達しない流路を形成することで、第２始動口２１の開閉制御による効果を、より効果的なものとしている。
【０１１１】
またこれにより、同じ右打ち遊技であっても、第２始動口２１に遊技球を入球させて持ち球をほぼ維持（微増又は微減を含む）しながら（又は、持ち球減少の速度を抑制しながら）、第２特別図柄当否判定の結果が大当り（有利な大当り）となることに期待して遊技する状態（高ベース状態）と、第２始動口２１に遊技球を入球させて小当り発生時に第２大入賞口３５に入球させて持ち球を増加させながら、第２特別図柄当否判定の結果が大当り（有利な大当り）となることに期待して遊技する状態（高確低ベース状態）と、を有し、遊技性を多様化している。またこれにより、遊技興趣を高めることが可能となる。尚、遊技者にとっては、高ベース状態よりも、持ち球の増加を図ることが可能な高確低ベース状態の方が有利な遊技状態となる。
【０１１２】
また、図６に示すように、大当り遊技後の遊技状態が高確高ベース状態に設定された場合、当該高確高ベース状態において、予め定められた回数（５０又は１００）の特別図柄の変動表示が終了するまで大当りにならなかったときは、遊技状態が高確低ベース状態に変化するものとしている。また、大当り遊技終了後の遊技状態が、高ベース状態に設定された場合、演出図柄表示部等において、当該高ベース状態が、低確高ベース状態なのか高確高ベース状態なのかを認識困難な表示態様で遊技演出を実行する。これにより、大当り遊技終了後の遊技状態が、高確低ベース状態でなく、高ベース状態であったとしても、その後、予め定められた変動回数の後に、高確低ベース状態に変化することに期待して遊技を行うことが可能となる。またこれにより、遊技興趣を長期間維持することが可能となる。
【０１１３】
また、本実施例では、高確高ベース状態から高確低ベース状態に移行する大当りの種別として、「２Ｒ第５大当り」と「２Ｒ第６大当り」とを有している。「２Ｒ第５大当り」は、５０回の特別図柄の変動表示を経過すると高確高ベース状態から高確低ベース状態に移行し、「２Ｒ第６大当り」は、１００回の特別図柄の変動表示を経過すると高確高ベース状態から高確低ベース状態に移行する。また、高確低ベース状態として、「２Ｒ第７大当り」と「２Ｒ第８大当り」とを有している。「２Ｒ第７大当り」は、５０回の特別図柄の変動表示を経過すると低確高ベース状態から低確低ベース状態（通常状態）に移行し、「２Ｒ第８大当り」は、１００回の特別図柄の変動表示を経過すると低確高ベース状態から低確低ベース状態（通常状態）に移行する。本実施例では、これら「２Ｒ第５大当り」と「２Ｒ第６大当り」と「２Ｒ第７大当り」と「２Ｒ第８大当り」との４個の大当り種別に係る大当り遊技及び大当り遊技後の高ベース状態において、共通演出を実行することで、何れの遊技状態であるかを遊技者が認識困難としている。すなわち、遊技状態を報知しない非報知状態としている。
【０１１４】
本実施例では、非報知状態となるこれら「２Ｒ第５大当り」、「２Ｒ第６大当り」、「２Ｒ第７大当り」、「２Ｒ第８大当り」の振分率（発生率）により、５０回を経過しても高ベース状態（非報知状態）が継続した場合には、５０回で高ベース状態が終了する場合よりも、高い可能性で１００回経過の際に高確低ベース状態に移行するものとしている。これにより、遊技者は、５０回経過の際に高確低ベース状態に移行することに期待すると共に、５０回経過後も高確低ベース状態に移行することなく高ベース状態が継続した場合（非報知状態が継続した場合）であっても、高確低ベース状態への期待感をより高めることが可能となる。これにより、遊技興趣を長期間維持することが可能となる。
【０１１５】
尚、このような態様に変えて、５０回経過時に移行する場合であっても１００回経過時に移行する場合であっても、高確低ベース状態に移行する可能性を同じに設定してもよいし、逆に、５０回経過時に移行する場合の方が、１００回経過時に移行する場合よりも、高確低ベース状態に移行する可能性を高くしてもよい。これにより、５０回を経過しても高ベース状態が継続する場合には、高確低ベース状態移行への期待感を低下させることとなる。また、更に他の大当り種別を設け、第１所定回数の特別図柄の変動表示を経過しても高ベース状態が継続する場合には、第１所定回数よりも多い第２所定回数の経過後に（それまでに大当りとならなければ）高確低ベース状態に移行することを確定させてもよい。また逆に、第１所定回数の特別図柄の変動表示を経過しても高ベース状態が継続する場合には、第１所定回数よりも多い第２所定回数の経過後に（それまでに大当りとならなければ）高確低ベース状態に移行しないことを確定させてもよい。また、高ベース状態の非報知状態の途中で、所定条件（乱数抽選等）が成立すると、遊技者に遊技状態を認識容易なキャラクタや文字を表示する（確定演出を実行する）ことで、遊技状態を報知してもよい。
【０１１６】
また、高確低ベース状態において、第２特別図柄当否判定の結果が、大当りとなった場合、及び、外れとなった場合については、前述した高ベース状態において第２特別図柄当否判定の結果が大当りとなった場合、及び、外れとなった場合と同様である。
【０１１７】
また、開始ゲート２９は、ゲート２８と兼用することで、右遊技領域３Ｂにおいて最上流に設けている。これにより、大当り待機状態となった場合に、第２始動口２１等によって開始ゲート２９への通過を阻害されることなく、任意のタイミングで遊技球を開始ゲート２９に通過させ、大当り遊技を開始することが可能となる。尚、開始ゲート２９及びゲート２８は別個に設けてもよいが、その場合、開始ゲート２９はゲート２８より上流であっても下流であっても構わないが、第１大入賞口３０、第２始動口２１、第２大入賞口３５よりは上流に設けることを要する。
【０１１８】
また、右打ち遊技を行うべき状態のとき、発射方向表示器４７が所定の態様で点灯制御され、右遊技領域へ発射すべきことを報知する。また、左打遊技を行うべき状態のとき、発射方向表示器４７が所定の態様で点灯制御（表示制御）され、左遊技領域へ発射すべきことを報知する。具体的に、発射方向表示器４７は、「ｙｚ」の２個のＬＥＤで構成されており、遊技状態に応じてＬＥＤを点灯させることにより発射方向を示すものである。例えば、低ベース状態では、「ｙ□ｚ□」（例えば、□：消灯、■：点灯とする）というように両ＬＥＤを消灯する表示態様として左遊技領域へ発射すべきことを報知することができる。また、高ベース状態では、「ｙ■ｚ■」（例えば、□：消灯、■：点灯とする）というように両ＬＥＤを点灯する表示態様として右遊技領域へ発射すべきことを報知することができる。
【０１１９】
ここで、本実施例のパチンコ遊技機１では、識別情報（特別図柄、演出図柄）の変動表示が行われるときの遊技状態を「低確低ベース状態」、「高確低ベース状態」、「低確高ベース状態」及び「高確高ベース状態」の何れかに制御可能としているが、そのうち、低確低ベース状態のことを「通常遊技状態」ともいい、高確低ベース状態のことを「特定遊技状態」ともいう。
【０１２０】
［主制御メイン処理］
次に、図１０〜図４６に基づいて遊技制御用マイコン８１の動作（主制御部による制御処理）について説明する。尚、遊技制御用マイコン８１の動作説明にて登場するカウンタ、フラグ、ステータス、バッファ等は、主制御基板８０のＲＡＭに設けられている。主制御基板８０に備えられた遊技制御用マイコン８１は、パチンコ遊技機１の電源がオンされると、主制御基板８０のＲＯＭから図１０に示した主制御メイン処理のプログラムを読み出して実行する。図１０に示すように、主制御メイン処理では、まず初期設定を行う（S101）。初期設定では、例えば、スタックの設定、定数設定、割り込み時間の設定、主制御基板８０のＣＰＵの設定、ＳＩＯ、ＰＩＯ、ＣＴＣ（割り込み時間用コントローラ）の設定や、各種のフラグ、ステータス及びカウンタのリセット等を行う。フラグの初期値は「０」つまり「ＯＦＦ」であり、ステータスの初期値は「１」であり、カウンタの初期値は「０」である。また、初期設定（S101）は、電源投入後に一度だけ実行され、それ以降は実行されない。尚、実施例及び図面において、普通図柄を「普図」、特別図柄を「特図」、第１特別図柄を「特図１」や「第１特図」、第２特別図柄を「特図２」や「第２特図」ということがある。
【０１２１】
初期設定（S101）に次いで、割り込みを禁止し（S102）、普通図柄・特別図柄主要乱数更新処理（S103）を実行する。この普通図柄・特別図柄主要乱数更新処理（S103）では、図７に示した種々の乱数カウンタの値を１加算する更新を行う。各乱数カウンタの値は上限値に至ると「０」に戻って再び加算される。尚各乱数カウンタの初期値は「０」以外の値であってもよく、ランダムに変更されるものであってもよい。更新された乱数カウンタ値は主制御基板８０のＲＡＭの所定の更新値記憶領域（図示せず）に逐次記憶される。
【０１２２】
普通図柄・特別図柄主要乱数更新処理（S103）が終了すると、割り込みを許可する（S104）。割り込み許可中は、割り込み処理（S105）の実行が可能となる。この割り込み処理（S105）は、例えば４ｍｓｅｃ周期で主制御基板８０のＣＰＵに繰り返し入力される割り込みパルスに基づいて実行される。そして、割り込み処理（S105）が終了してから、次に割り込み処理（S105）が開始されるまでの間に、普通図柄・特別図柄主要乱数更新処理（S103）による各種カウンタ値の更新処理が繰り返し実行される。尚、割り込み禁止状態のときにＣＰＵに割り込みパルスが入力された場合は、割り込み処理（S105）はすぐには開始されず、割り込み許可（S104）がされてから開始される。
【０１２３】
［割り込み処理］
次に、図１１を用いて割り込み処理（S105）について説明する。割り込み処理（S105）では、まず出力処理（S201）を実行する。出力処理（S201）では、以下に説明する各処理において主制御基板８０のＲＡＭに設けられた出力バッファにセットされたコマンド（制御信号）等を、副制御基板９０や払出制御基板１１０等に出力する。ここで出力するコマンド等には、遊技状態、特別図柄当否判定の結果、大当り種別としての図柄、変動パターン等に関する情報等が挙げられる。尚コマンドは、例えば２バイトの情報からなる。上位１バイトは、コマンドの種類に関する情報であり、下位１バイトはコマンドの内容に関する情報である。
【０１２４】
出力処理（S201）に次いで行われる入力処理（S202）では、主にパチンコ遊技機１に取り付けられている各種センサ（第１始動口センサ２０ａ，第２始動口センサ２１ａ、第１大入賞口センサ３０ａ、第２大入賞口センサ３５ａ、一般入球口センサ２７ａ等（図５参照））が検知した検知信号を読み込み、賞球情報としてＲＡＭの出力バッファに記憶する。また、余剰球受皿６２（「下皿」ともいう）の満杯を検知する下皿満杯スイッチからの検知信号も取り込み、下皿満杯データとしてＲＡＭ８４の出力バッファに記憶する。
【０１２５】
次いで、普通図柄・特別図柄主要乱数更新処理（S203）を実行する。普通図柄・特別図柄主要乱数更新処理（S203）は、図１０の主制御メイン処理で行う普通図柄・特別図柄主要乱数更新処理（S103）と同様の処理である。即ち、図７に示した各種乱数カウンタ値（普通図柄乱数カウンタ値も含む）の更新処理は、タイマ割り込み処理（S105）の実行期間と、それ以外の期間（割り込み処理（S105）の終了後、次の割り込み処理（S105）が開始されるまでの期間）との両方で行われている。これにより、各種乱数の取得値にランダム性を持たせている。
【０１２６】
普通図柄・特別図柄主要乱数更新処理（S203）に次いで、後述する始動口センサ検知処理（S204）、始動入球時処理（S205）、普図動作処理（S206）、特図１動作処理（S207）、特図２動作処理（S208）、保留球数処理（S209）、及び、電源断監視処理（S210）を実行する。その後、その他の各種処理（S211）を実行して、割り込み処理（S105）を終了する。そして、次に主制御基板８０（主制御部）のＣＰＵに割り込みパルスが入力されるまでは、主制御メイン処理のS102〜S104の処理が繰り返し実行され（図１０参照）、割り込みパルスが入力されると（約４ｍｓｅｃ後）、再び割り込み処理（S105）が実行される。再び実行された割り込み処理（S105）の出力処理（S201）においては、前回の割り込み処理（S105）にてＲＡＭの出力バッファにセットされたコマンド等が出力される。
【０１２７】
［始動口センサ検知処理］
次に、図１２を用いて、始動口センサ検知処理（S204）について説明する。始動口センサ検知処理（S204）ではまず、ゲート２８に遊技球が通過したか否か、即ち、ゲートセンサ２８ａによって遊技球が検知されたか否かを判定する（S301）。ゲート２８を遊技球が通過したと判定した場合（S301でYES）、次いで、普通図柄保留球数（普図保留の数、具体的にはＲＡＭに設けた普図保留の数をカウントするカウンタの値）が４以上であるか否か判定する（S302）。一方、S301、遊技球がゲート２８を通過していないと判定した場合（S301でNO）、S305に進む。
【０１２８】
S302で、普通図柄保留球数が４以上であると判定した場合（S302でYES）、S305に進む。一方、普通図柄保留球数が４以上でないと判定した場合（S302でNO）、記憶されている普通図柄保留球数に「１」を加算し（S303）、普通図柄乱数取得処理（S304）を行い、S305に進む。普通図柄乱数取得処理（S304）では、ＲＡＭの更新値記憶領域（図示せず）に記憶されている普通図柄当否判定用乱数カウンタの値（ラベル−ＴＲＮＤ−Ｈ、図７（Ｂ））を取得し、その取得乱数値（取得情報、普図取得情報）を、主制御基板８０のＲＡＭに設けられた普図保留記憶部のうち現在の普通図柄保留球数に応じたアドレス空間に格納する。
【０１２９】
S305では、第１始動口２０に遊技球が入球したか否か、即ち、第１始動口センサ２０ａによって遊技球が検知されたか否かを判定する（S305）。S305で、第１始動口２０に遊技球が入球していないと判定した場合（S305でNO）、S309に進む。一方、S305で、第１始動口２０に遊技球が入球したと判定した場合（S305でYES）、特図１保留球数（第１特図保留の数、具体的には主制御部８０のＲＡＭに設けた第１特図保留の数をカウントするカウンタの数値）が４個（上限数）に達しているか否か判定する（S306）。そして、S306で、特図１保留球数が４個に達していると判定した場合（S306でYES）、S309に進む。S306で、特図１保留球数が４個未満であると判定した場合（S306でNO）、記憶されている特図１保留球数に１を加算し（S307）、特図１関係乱数取得処理を行い（S308）、S309に進む。
【０１３０】
特図１関係乱数取得処理（S308）では、ＲＡＭの更新値記憶領域（図示せず）に記憶されている特別図柄当否判定用乱数カウンタの値（ラベル−ＴＲＮＤ−Ａ）、大当り種別決定用乱数カウンタの値（ラベル−ＴＲＮＤ−ＡＳ）、及び変動パターン乱数カウンタの値（ラベル−ＴＲＮＤ−Ｔ１）を取得し（図７（Ａ）に示す乱数の値）、それら取得乱数値（取得情報、特図取得情報）を第１特図保留記憶部８５ａのうち現在の特図１保留球数に応じたアドレス空間に格納する。
【０１３１】
S309では、第２始動口２１に遊技球が入球したか否か、即ち、第２始動口センサ２１ａによって遊技球が検知されたか否かを判定する（S309）。S309で、第２始動口２１に遊技球が入球していないと判定した場合（S309でNO）、処理を終える。一方、S309で、第２始動口２１に遊技球が入球したと判定した場合（S309でYES）、次いで、特図２保留球数（第２特図保留の数、具体的には主制御部８０のＲＡＭに設けた第２特図保留の数をカウントするカウンタの数値）が４個（上限数）に達しているか否か判定する（S310）。そして、S310で、特図２保留球数が４個に達していると判定した場合（S310でYES）、処理を終える。S310で、特図２保留球数が４個未満であると判定した場合（S310でNO）、記憶されている特図２保留球数に「１」を加算し（S311）、特図２関係乱数取得処理を行い（S312）、処理を終える。
【０１３２】
特図２関係乱数取得処理（S312）では、特図１関係乱数取得処理（S308）と同様に、ＲＡＭの更新値記憶領域（図示せず）に記憶されている特別図柄当否判定用カウンタの値（ラベル−ＴＲＮＤ−Ａ）、大当り種別決定用乱数カウンタの値（ラベル−ＴＲＮＤ−ＡＳ）、及び、変動パターン乱数カウンタの値（ラベル−ＴＲＮＤ−Ｔ１）を取得し（図７（Ａ）に示す乱数値）、それら取得乱数値を第２特図保留記憶部８５ｂのうち現在の特図２保留球数に応じたアドレス空間に格納する。
【０１３３】
［始動入球時処理］
次に、図１３を用いて、始動入球時処理（S205）について説明する。遊技制御用マイコン８１は、始動口センサ検知処理（S204）に次いで始動入球時処理（S205）を行う。図１３に示すように、始動入球時処理（S205）ではまず、特図２保留球数が「１」増加したか否かを判定する（S315）。そして、特図２保留球数が「１」増加したと判定した場合（S315でYES）、S316の処理に移行する。これは、第２始動口に遊技球が入球したことに基づいて、始動口センサ検知処理(S204)におけるS307で特図２保留球数に「１」を加算した場合が該当する。一方、特図２保留球数が増加していないと判定した場合(S315でNO)、S319の処理に移行する。
【０１３４】
S316では、直前の始動口センサ検知処理(S204)における特図２関係乱数取得処理（S308）で取得して第２特図保留記憶部に記憶した最新の取得乱数値（取得情報）を読み出す（S316）。次いで、読み出した第２特別図柄に係る取得乱数値を判定する（S317）。S317では、読み出した取得乱数値のうち、特別図柄当否判定用乱数カウンタの値（特別図柄当否判定用乱数値）については、現在の遊技状態（低確率状態か高確率状態か）に応じて大当りか外れかを判定（事前判定）し、当該判定の結果が大当りである場合には、さらに大当りの種別を判定（事前判定）する。このS317による判定（事前判定）は、特図２保留についての当否判定（大当りか否かの判定）を、後述の特図２当否判定処理における当否判定に先立って行う事前判定（所謂「保留先読み」）に相当するものである。
【０１３５】
尚、大当りか否かの事前判定は、大当り判定テーブル（図８（Ａ）を参照）、すなわち、高確率状態であれば高確率状態用の大当り判定テーブル、通常状態（低確率状態）であれば通常状態用の大当り判定テーブルに基づいて、大当り判定値と一致するか否かを判定することが可能である。また、他の事前判定態様として、変動パターン情報を判定可能な変動パターン情報判定テーブルとして、通常状態用（低確率状態用）の変動パターン情報判定テーブルと、高確率状態用（高確率状態用）の変動パターン情報判定テーブルと、を有するものとする。そして、事前判定においては、取得乱数値（特別図柄当否判定用乱数カウンタの値等）と、遊技状態に応じた変動パターン情報判定テーブルと、に基づいて、所定の変動パターン情報を選択するものとすることが可能である。そして、この選択した変動パターン情報から、大当りかどうかや大当り種別、大当り信頼度の高い遊技演出が実行されるかどうか等を識別可能とすることができる。
【０１３６】
次いでS318では、S317による判定の結果に係る遊技情報（事前判定情報）、具体的には、特別図柄当否判定用乱数値が大当り判定値と一致するか否かを示す情報（大当り情報）や、大当り種別決定用乱数カウンタの値（大当り種別決定用乱数値）を示す情報（大当り種別情報）、特別図柄当否判定用乱数値が小当り判定値と一致するか否かを示す情報（小当り情報）、変動パターン乱数カウンタの値（変動パターン乱数値）を示す情報等を含むコマンドデータを、特図２始動入球コマンドとして生成し、当該コマンドをＲＡＭの出力バッファにセットする（S318）。尚、特図２始動入球コマンドとして、S316で読み出した特図２取得乱数の値の一部または全部を、そのまま副制御基板に送信するようにしてもよいし、特図２取得乱数の値はそのまま送信せず、特図２取得乱数の値に基づいて取得した遊技情報（例えば、前述の変動パターン情報等）を送信するようにしてもよい。
【０１３７】
また、主制御部８０から送信した特図２始動入球コマンドをサブ制御部９０で解析することで、大当りに係る情報であるかどうか、大当り種別は何れであるか、小当りに係る情報であるかどうか等を、サブ制御部９０が識別できる。また、本実施例では、これに加えて、特図２始動入球コマンドを解析することで、取得した特図２取得乱数が高確率状態で判定した場合に大当りとなるかどうか、及び、低確率状態で判定した場合に大当りとなるかどうか、を特定可能としている。これにより、サブ制御部９０は、受信した特図２始動入球コマンドを保留（演出保留情報）として記憶し、特定のタイミングで当該演出保留情報を事前判定し、低確率状態で当否判定した場合に大当りと判定される演出保留情報が記憶されているかどうかを判定することが可能となる。
【０１３８】
尚、不正防止の観点から、S316で読み出した取得乱数値のうち特別図柄当否判定用乱数値を、そのままサブ制御部に送信することはせず、その他の大当り種別決定用乱数カウンタの値（大当り種別決定用乱数値）と変動パターン乱数カウンタの値（変動パターン乱数値）を示す情報と、事前判定の結果を示す情報と、を含むコマンドデータを特図２始動入球コマンドとして生成し、これをセットすることが可能である。
【０１３９】
次いでS319では、前述の特図２に係る処理と同様に、特図１保留球数が「１」増加したか否かを判定する（S319）。そして、特図１保留球数が「１」増加したと判定した場合（S319でYES）、S321の処理に移行する。これは、第１始動口に遊技球が入球したことに基づいて、始動口センサ検知処理(S204)におけるS311で特図１保留球数に「１」を加算した場合が該当する。一方、S319で、特図１保留球数が増加していないと判定した場合（S319でNO）、そのまま処理を終える。S321〜S323の処理は、前述したS316〜S318と同様の処理を特図１について行うものである。すなわち、始動口センサ検知処理(S204)における特図１関係乱数取得処理（S312）で取得して第１特図保留記憶部に記憶した最新の取得乱数値（取得情報）を読み出し（S321）、読み出した取得乱数値について事前判定を行う（S322）。そして、この事前判定に係る遊技情報を含むコマンドデータを特図１始動入球コマンドとして生成し、当該コマンドをＲＡＭの出力バッファにセットする（S323）。尚、S322の事前判定（保留先読み）は、後述の特図１当否判定処理における当否判定に先立って行うものである。
【０１４０】
[普図動作処理]
遊技制御用マイコン８１は、始動入球時処理（S205）に次いで、図１４に示す普図動作処理（S206）を行う。普図動作処理（S206）では、普通図柄表示器４２および可変入賞装置２２に関する処理を４つの段階に分け、それらの各段階に「普図動作ステータス１、２、３、４」を割り当てている。そして、「普図動作ステータス」が「１」である場合には（S401でYES）、普通図柄待機処理（S402）を行い、「普図動作ステータス」が「２」である場合には（S401でNO、S403でYES）、普通図柄変動中処理（S404）を行い、「普図動作ステータス」が「３」である場合には（S401,S403で共にNO、S405でYES）、普通図柄確定処理（S406）を行い、「普図動作ステータス」が「４」である場合には（S401,S403,S405の全てがNO）、普通電動役物処理（S407）を行う。尚、普図動作ステータスは、初期設定では「１」である。
【０１４１】
［普通図柄待機処理］
次に、図１５を用いて普通図柄待機処理（S402）について説明する。普通図柄待機処理（S402）ではまず、普通図柄の保留球数が「０」であるか否かを判定し（S501）、S501で「０」であると判定した場合（S501でYES）、処理を終える。一方、S501で、「０」でないと判定した場合（S501でNO）、後述の普通図柄当否判定処理を行い（S502）、次いで、普通図柄変動パターン選択処理を行う（S503）。普通図柄変動パターン選択処理では、図８（Ｄ）に示す普通図柄変動パターン選択テーブルを参照して、遊技状態が高ベース状態（状態Ｂ）であれば、普通図柄の変動時間が１秒の普通図柄変動パターンを選択する。一方、遊技状態が低ベース状態（状態Ａ、Ｃ）であれば、普通図柄の変動時間が３秒の普通図柄変動パターンを選択する。また、普通図柄変動パターン選択処理（S503）に次いで、後述の普通図柄乱数シフト処理を行い（S504）、次いで、普通図柄変動開始処理を行い（S505）、処理を終える。普通図柄変動開始処理（S505）では、S503で選択した普通図柄変動パターンにて普通図柄の変動表示を開始すると共に、普通動作ステータスを「２」にセットする。また、普通図柄変動開始処理では、副制御基板９０に普通図柄の変動開始を知らせるため、普通図柄変動開始コマンドをセットする。
【０１４２】
［普通図柄当否判定処理］
次に、図１６を用いて普通図柄当否判定処理（S502）について説明する。普通図柄当否判定処理（S502）ではまず、普図保留記憶部に格納されている普通図柄当否判定用乱数カウンタの値（ラベル−ＴＲＮＤ−Ｈ）を読み出す（S601）。次いで、状態ＢフラグがＯＮか否か、すなわち、遊技状態が高ベース状態（低確高ベース状態又は高確高ベース状態）であるか否かを判定する（S602）。S602で、状態ＢフラグがＯＮである、すなわち高ベース状態であると判定された場合（S602でYES）、図８（Ｃ）に示す普通図柄当り判定テーブルのうち状態Ｂ用のテーブル（当り判定値が「０」〜「２３８」）に基づく高確率普図当否判定により、当りか否かを判定し（S604）、S605の処理に移行する。すなわち、読み出した普通図柄当否判定用乱数カウンタの値（ラベル−ＴＲＮＤ−Ｈ）が当り判定値の何れかと一致するか否かを判定する。
【０１４３】
一方、S602で、状態ＢフラグがＯＮでない、すなわち、低ベース状態であると判定された場合（S602でNO）、図８（Ｃ）に示す普通図柄当り判定テーブルのうち状態Ａ（状態Ｃ）用のテーブル（当り判定値が「０」〜「１１９」）に基づく低確率普図当否判定により、当りか否かを判定し（S603）、S605の処理に移行する。そして、S605で、普図当否判定（S603、S604）の結果が、当り（普図当り）か否かを判定し（S605）、外れと判定された場合（S605でNO）、停止表示する外れ普通図柄（普図外れ図柄）を決定し（S606）、処理を終える。一方、S605で当り（普図当り）と判定された場合（S605でYES）、停止表示する当り普通図柄（普図当り図柄）を決定し（S607）、普図当りフラグをＯＮにして（S608）、処理を終える。
【０１４４】
［普通図柄乱数シフト処理］
次に、図１７を用いて普通図柄乱数シフト処理（S504）について説明する。普普通図柄乱数シフト処理（S504）ではまず、普通図柄保留球数を１ディクリメントする（S701）。次いで、普図保留記憶部における各普図保留の格納場所を、現在の位置から読み出される側に一つシフトする（S702）。そして、普図保留記憶部における最上位の保留記憶の格納場所であるアドレス空間を空（「０」）にして、即ち普図保留の４個目に対応するＲＡＭ領域を０クリアして（S703）、処理を終える。このようにして、普図保留が保留順に消化されるようにしている。
【０１４５】
［普通図柄変動中処理］
次に、図１８を用いて普通図柄変動中処理（S404）について説明する。図１８に示すように、普通図柄変動中処理（S404）ではまず、普通図柄の変動時間が経過したか否か判定し（S801）、経過していないと判定した場合（S801でNO）処理を終える。一方、経過したと判定した場合（S801でYES）、普通図柄変動停止コマンドをセットし（S802）、普図動作ステータスを「３」にセットし（S803）、次いで、普通図柄の変動表示を、普通図柄当否判定用乱数の判定結果に応じた表示結果（当り普通図柄又は外れ普通図柄）で停止させる等のその他の処理を行い（S804）、処理を終える。
【０１４６】
［普通図柄確定処理］
次に、図１９を用いて普通図柄確定処理（S406）について説明する。普通図柄確定処理（S406）ではまず、普図当りフラグがＯＮであるか否かを判定する（S901）。普図当りフラグがＯＮでないと判定した場合（S901でNO）、普図動作ステータスを「１」にセットして（S905）、処理を終える。一方、普図当りフラグがＯＮであると判定した場合（S901でYES）、次いで、状態ＢフラグがＯＮであるか否か、すなわち、高ベース状態か否かを判定する（S902）。S902で、状態ＢフラグがＯＮであると判定した場合（S902でYES）、可変入賞装置２２（第２始動口２１）の開放パターンとして状態Ｂ用（高ベース状態用）の開放パターンをセットし（S903）、S904に移行する。状態Ｂ用（高ベース状態用）の開放パターンとは、前述の通り、１．８秒の開放を３回繰り返す開放パターンである。従って、第２始動口２１の開放回数をカウントする第２始動口開放カウンタに「３」をセットする。
【０１４７】
これに対して、状態ＢフラグがＯＮでないと判定した場合（S902でNO）、可変入賞装置２２（第２始動口２１）の開放パターンとして状態Ａ及び状態Ｃ用（低ベース状態用）の開放パターンをセットし（S906）、S904に移行する。状態Ａ及び状態Ｃ用（低ベース状態用）の開放パターンとは、前述の通り、０．９秒の開放を３回行う開放パターンである。従って、第２始動口開放カウンタに「３」をセットする。S904では、普図動作ステータスを「４」にセットし（S904）、この処理を終える。
【０１４８】
［普通電動役物処理］
次に、図２０を用いて普通電動役物処理（S407）について説明する。普通電動役物処理（S407）ではまず、普図当り終了フラグがＯＮであるか否かを判定する（S1001）。普図当り終了フラグは、当りとなって実行された補助遊技において、第２始動口２１の開放が終了したことを示すフラグである。普図当り終了フラグがＯＮでないと判定した場合（S1001でNO）、第２始動口２１の開放中か否かを判定する（S1002）。S1002で、第２始動口が開放中でないと判定した場合（S1002でNO）、次いで、第２始動口２１を開放させる時期に至ったか否かを判定し（S1003）、開放時期に至っていないと判定した場合（S1003でNO）、処理を終える。一方、S1003で、第２始動口の開放時期であると判定した場合（S1003でYES）、第２始動口を開放する制御を実行し（S1004）、処理を終える。また、S1002で、第２始動口２１の開放中であると判定した場合（S1002でYES）、第２始動口２１を閉鎖する時期かどうか（すなわち、第２始動口２１を開放してから予め定められた開放時間が経過したかどうか）を判定し（S1005）、第２始動口の閉鎖時期でないと判定した場合（S1005でNO）、処理を終える。S1005で、第２始動口の閉鎖時期であると判定した場合（S1005でYES）、第２始動口２１を閉状態（閉鎖）とする処理を行い（S1006）、第２始動口開放カウンタの値を１ディクリメントし（S1007）、S1008の処理に移行する。
【０１４９】
S1008では、第２始動口開放カウンタの値が「０」であるか否か判定する（S1008）。S1008で、開放カウンタの値が「０」でないと判定した場合（S1008でNO）、再び第２始動口２１を開放させるためにそのまま処理を終える。一方、S1008で、開放カウンタの値が「０」であると判定した場合（S1008でYES）、補助遊技を終了させる普図当り終了処理を行い（S1009）、普図当り終了フラグをセットし（S1010）、処理を終える。尚、第２始動口開放カウンタは、状態Ｂ（高ベース状態）中であれば第２始動口２１の開放（可動部材２３の開放動作）が３回なされると「０」になり、状態Ａ及び状態Ｃ（低ベース状態）中も第２始動口２１の開放が３回なされると「０」になる。これに対してS1001で、普図当り終了フラグがＯＮであると判定した場合（S1001でYES）、S903又はS906にてセットされた回数の第２始動口２１の開放動作は終了しているので、普図当り終了フラグをＯＦＦにし（S1011）、普図当りフラグをＯＦＦにし（S1012）、普図動作ステータスを「１」にセットし（S1013）、処理を終える。これにより、次回の割り込み処理において、普図動作処理（図１４）として再び普通図柄待機処理（S402）が実行されることになる。
【０１５０】
［特図１動作処理］
図１１に示すように遊技制御用マイコン８１は、普図動作処理（S206）に次いで特図１動作処理（S207）を行う。この特図１動作処理を図２１〜図２９を用いて説明する。特図１動作処理（S207）では、図２１に示すように、特別図柄表示部４１及び大入賞装置（第１大入賞装置３１及び第２大入賞装置３６）に関する処理を５つの段階に分け、それらの各段階に「特図１動作ステータス１、２、３、４、５」を割り当てている。そして、「特図１動作ステータス」が「１」である場合には（S1101でYES）、特別図柄１待機処理（S1102）を行い、「特図１動作ステータス」が「２」である場合には（S1101でNO、S1103でYES）、特別図柄１変動中処理（S1104）を行い、「特図１動作ステータス」が「３」である場合には（S1101、S1103で共にNO、S1105でYES）、特別図柄１確定処理（S1106）を行い、「特図１動作ステータス」が「４」である場合には（S1101、S1103、S1105で共にNO、S1107でYES）、大当り遊技としての特別電動役物処理１（S1108）を行い、「特図１動作ステータス」が「５」である場合には（S1101、S1103、S1105、S1107の全てがNO）、処理を終える。尚、特図１動作ステータスは、初期設定では「１」である。また、第１特別図柄当否判定の結果として小当りを設定していないため、特図１動作処理では特別電動役物処理２を実行しないが、第１特別図柄当否判定の結果として小当りを設定してもよい。この場合、「特図１動作ステータス」が「５」のときに、小当り遊技としての特別電動役物処理２を実行する。
【０１５１】
［特別図柄１待機処理］
次に、図２２を用いて特別図柄１待機処理（S1102）について説明する。特別図柄１待機処理（S1102）ではまず、第１始動口２０の保留球数（即ち特図１保留球数）が「０」であるか否かを判定する（S1201）。S1201で、特図１保留球数が「０」である、すなわち、第１始動口２０への入球に基づいて取得した乱数カウンタ値の記憶がないと判定した場合（S1201でYES）、次いで、特図２が遊技中か否かを判定する（S1207）。そして、S1207で、特図２が遊技中であると判定した場合（S1207でYES）、処理を終える。一方、S1207で、特図２が遊技中でないと判定した場合（S1207でNO）、画像表示装置７の表示画面７ａを待機画面とする処理中（客待ち用のデモ画面の実行中）であるか否かを判定し（S1208）、待機画面中であると判定した場合（S1208でYES）、処理を終える。一方、S1208で、待機画面中でないと判定した場合（S1208でNO）、待機画面を表示するための待機画面設定処理を実行し（S1209）、処理を終える。
【０１５２】
また、S1201で、特図１保留球数が「０」でない、すなわち、第１始動口２０への入球に基づいて取得した乱数カウンタ値の記憶が１つ以上あると判定した場合（S1201でNO）、後述する特図１当否判定処理（S1203）、特図１変動パターン選択処理（S1204）、特図１乱数シフト処理（S1205）、特図１変動開始処理（S1206）をこの順に行う。ここで「特図２（第２特別図柄）が遊技中でない」とは、特図２が変動表示中でなく（確定停止表示時間を含む）且つ特図２保留球数が「０」であることを意味する。もちろん、特図２に係る大当り遊技や小当り遊技も実行されていないことを意味する。
【０１５３】
［特図１当否判定処理］
次に、図２３を用いて特図１当否判定処理（S1203）について説明する。特図１当否判定処理（S1203）ではまず、判定値として、ＲＡＭの第１特図保留記憶部８５ａの最下位の領域（即ち第１特図保留の１個目に対応するＲＡＭ領域）に記憶されている（最も古い記憶の）特別図柄当否判定用乱数カウンタの値（ラベル−ＴＲＮＤ−Ａ）を読み出す（S1601）。次いで、特図２大当り変動フラグがＯＮか否か、すなわち、第２特別図柄が大当りに係る変動表示を実行中であるか否かを判定する（S1602）。S1602で、特図２大当り変動フラグがＯＮであると判定した場合（S1602でYES）、S1607の処理に移行する。
【０１５４】
すなわち、本実施例１のパチンコ遊技機１では、一方の特別図柄が大当りに係る変動表示を実行中の場合、他方の特別図柄の当否判定において、大当りかどうかの判定を行わず、小当り又は外れのいずれかとされる（すなわち、大当りと判定されることはない）。尚、第１特別図柄当否判定の結果として小当りを有していないので、第２特別図柄が大当りに係る変動表示を実行中の場合、その間に実行する第１特別図柄当否判定の結果は、全て外れとなる。S1602で、特図２大当り変動フラグがＯＮでない、すなわち第２特別図柄は大当りに係る変動表示を実行していないと判定した場合（S1602でNO）、次いで、確変フラグがＯＮか否か、すなわち高確率状態であるか否かを判定する（S1603）。S1603で、確変フラグがＯＮでない、すなわち、低確率状態であると判定した場合（S1603でNO）、大当り判定テーブル（図８（Ａ））のうち通常状態用（低確率状態用）の大当り判定テーブル（大当り判定値が「３」及び「３９７」）に基づいて当否判定を行う（S1604）。一方、確変フラグがＯＮであると判定した場合（S1603でYES）、大当り判定テーブル（図８（Ａ））のうち高確率状態用の大当り判定テーブルに基づいて当否判定を行う（S1605）。高確率状態用の大当り判定テーブルでは、大当り判定値は、「３」、「５３」、「１１３」、「１７３」、「２２７」、「２８１」、「３３７」、「３９７」、「４４９」、「５０３」とされている。
【０１５５】
S1606では、大当り判定（S1604、S1605）の結果が「大当り」かどうかを判定し（S1606）、大当りと判定された場合（S1606でYES）、大当り種別決定用乱数カウンタの値（ラベル−ＴＲＮＤ−ＡＳ）を読み出して、図８（Ｂ）に示す大当り種別判定テーブルに基づいて大当り種別を判定し（S1608）、当該大当り種別決定用乱数の値に基づいて大当り図柄を決定し（S1609）、特図１大当り変動フラグをＯＮにし（S1610）、処理を終える。尚、第１特別図柄に係る当否判定の場合は、第１特別図柄用の大当り種別判定テーブルを用いて大当り種別を判定し、第２特別図柄に係る当否判定の場合は、第２特別図柄用の大当り種別判定テーブルを用いて大当り種別を判定する。また、第１特別図柄（特図１）の当否判定で大当りと判定した場合、４Ｒ第１大当り、及び、４Ｒ第２大当りのうち何れかが実行される。また、第２特別図柄（特図２）の当否判定にて大当りと判定された場合は、１５Ｒ第３大当り、４Ｒ第４大当り、２Ｒ第５大当り、２Ｒ第６大当り、２Ｒ第７大当り、２Ｒ第８大当りのうち何れかが実行される（図８（Ｂ））。一方、大当り判定（S1604、S1605）の結果が「大当り」でないと判定した場合（S1606でNO）、S1607の処理に移行する。S1607では、外れ図柄を決定し（S1607）、処理を終える。
【０１５６】
ここで、本実施例１では、大当り変動フラグとして、第１特別図柄が大当りに係る変動表示（大当り図柄が停止表示することとなる変動表示）を実行中であることを示す第１大当り変動フラグと、第２特別図柄が大当りに係る変動表示（大当り図柄が停止表示することとなる変動表示）を実行中であることを示す第２大当り変動フラグと、を有しており、主制御部８０のＲＡＭに設けられる大当り変動フラグ記憶手段に該当するフラグがセットされる。また、小当り変動フラグとして、第２特別図柄が小当りに係る変動表示（小当り図柄が停止表示することとなる変動表示）を実行中であることを示す第２小当り変動フラグと、を有しており、主制御部８０のＲＡＭに設けられる小当り変動フラグ記憶手段に該当するフラグがセットされる。そして、一方の特別図柄について、大当り変動フラグがセットされている場合（すなわち、大当りに係る変動表示中の場合）には、他方の特別図柄当否判定においては、大当りか否かを判定する処理を行わない。すなわち、両方の特別図柄が大当りに係る変動表示を並行して実行するような制御は行われない。これにより、遊技者に対して極短時間であまりに多量の遊技利益を付与するといった事態を防止し、射幸性を適度に抑制することが可能となる。
【０１５７】
［特図１変動パターン選択処理］
特別図柄１待機処理（図２２）では、特図１当否判定処理（S1203）に次いで、特図１変動パターン選択処理を行う（S1204）。図２４及び図２５に示すように、特図１変動パターン選択処理（S1204）ではまず、遊技状態が状態Ａか否か（低確低ベース状態か否か）を判定する（S1701）。そして、S1701で、状態Ａであると判定した場合（S1701でYES）、次いで、特図１大当り変動フラグがＯＮか否かを判定し（S1702）、特図１大当り変動フラグがＯＮであると判定した場合（S1702でYES）、状態Ａ大当り用テーブル（図９に示す変動パターンテーブルのうち状態Ａ且つ大当りに該当する部分）を参照して、変動パターン乱数カウンタ値（ラベル−ＴＲＮＤ−Ｔ１）に基づいて変動パターンを選択する（S1703）。尚、変動パターンが決まれば変動時間も決まる。また、本実施例１では、状態Ａ大当り用テーブルによって、変動時間の長さが異なる変動パターンＰ１乃至Ｐ３の何れかが選択される。
【０１５８】
一方、特図１大当り変動フラグがＯＮでないと判定した場合（S1702でNO）、次いで、保留球数（保留数）が１又は２の何れかであるかどうかを判定する（S1705）。S1705で、保留数が１又は２の何れかであると判定した場合（S1705でYES）、状態Ａ第１保留数外れ用テーブル（図９に示す変動パターンテーブルのうち状態Ａ且つ外れ且つ保留数１，２に該当する部分）を参照して、変動パターン乱数カウンタ値（ラベル−ＴＲＮＤ−Ｔ１）に基づいて変動パターンを選択する。また、S1705で、保留数が１又は２の何れでもない、すなわち、保留数が３又は４の何れかであると判定した場合（S1705でNO）、状態Ａ第２保留数外れ用テーブル（図９に示す変動パターンテーブルのうち状態Ａ且つ外れ且つ保留数３，４に該当する部分）を参照して、変動パターン乱数カウンタ値（ラベル−ＴＲＮＤ−Ｔ１）に基づいて変動パターンを選択する。
【０１５９】
これにより、第１特別図柄の保留球数が「３」又は「４」のときは、第１特別図柄の保留球数が「１」又は「２」のときと比較して、変動時間の短い変動パターンが選択される可能性が高くなっている。本実施例１では、変動パターンＰ８乃至Ｐ１１が選択される。これにより、保留球数に応じた短縮変動の機能が働き、平均変動時間が短くなる。
【０１６０】
また、S1701で、遊技状態が状態Ａ（低確低ベース状態）でないと判定した場合（S1701でNO）、次いで、遊技状態が状態Ｂ（低確高ベース状態、高確高ベース状態）かどうかを判定する（S1708）。S1708で、状態Ｂであると判定した場合（S1708）、次いで、特図１大当り変動フラグがＯＮか否かを判定し（S1709）、特図１大当り変動フラグがＯＮであると判定した場合（S1709でYES）、状態Ｂ大当り用テーブル（図９に示す変動パターンテーブルのうち状態Ｂ且つ大当りに該当する部分）を参照して、変動パターン乱数カウンタ値（ラベル−ＴＲＮＤ−Ｔ１）に基づいて変動パターンを選択する（S1710）。S1709で、特図１大当り変動フラグがＯＦＦであると判定した場合（S1709でNO）、状態Ｂ外れ用テーブル（図９に示す変動パターンテーブルのうち状態Ｂ且つ外れに該当する部分）を参照して、変動パターン乱数カウンタ値（ラベル−ＴＲＮＤ−Ｔ１）に基づいて変動パターンを選択する（S1711）。
【０１６１】
また、S1708で、遊技状態が状態Ｂ（低確高ベース状態、高確高ベース状態）でない、すなわち、遊技状態が状態Ｃ（高確低ベース状態）であると判定した場合（S1708でNO）、次いで、特図１大当り変動フラグがＯＮか否かを判定し（S1712）、特図１大当り変動フラグがＯＮであると判定した場合（S1712でYES）、状態Ｃ大当り用テーブル（図９に示す変動パターンテーブルのうち状態Ｃ且つ大当りに該当する部分）を参照して、変動パターン乱数カウンタ値（ラベル−ＴＲＮＤ−Ｔ１）に基づいて変動パターンを選択する（S1710）。S1712で、特図１大当り変動フラグがＯＦＦであると判定した場合（S1712でNO）、状態Ｃ外れ用テーブル（図９に示す変動パターンテーブルのうち状態Ｃ且つ外れに該当する部分）を参照して、変動パターン乱数カウンタ値（ラベル−ＴＲＮＤ−Ｔ１）に基づいて変動パターンを選択する（S1714）。
【０１６２】
尚、状態Ｂ及び状態Ｃにおいては、右打ち遊技によって第２特別図柄の変動表示を主体として遊技を行う遊技状態であるため、遊技指示（右打ち又は左打ち）に従って遊技を行えば、第１特別図柄の変動表示が実行されることはほとんどない。そのため、状態Ｂ及び状態Ｃにおける第１特別図柄の変動時間は、簡易なものとしている（種類を少なく、変動時間も短時間としている）。状態Ｂにおいて、大当りの場合は変動パターンＰ１５とされ、外れの場合は変動パターンＰ１６とされる。また状態Ｃにおいて、大当りの場合は変動パターンＰ２３とされ、外れの場合は変動パターンＰ２４とされる。
【０１６３】
前述のようにして変動パターンの選択を行った後は、図２４に示すその他の処理を実行し（S1704）、処理を終える。尚、その他の処理（S1704）では、選択した変動パターンに応じた変動パターン指定コマンドをＲＡＭの出力バッファにセットする。セットした変動パターン指定コマンドは、後述の変動開始コマンドに含められて、出力処理（S201）により副制御基板９０に送られる。
【０１６４】
［特図１乱数シフト処理］
次に、図２６を用いて特図１乱数シフト処理（S1205）について説明する。特図１乱数シフト処理（S1205）ではまず、特図１保留球数を１ディクリメントする（S1801）。次いで、第１特図保留記憶部８５ａにおける各種カウンタ値の格納場所を、１つ下位側（例えば第１特図保留記憶部８５ａがアドレス「００００」〜「０００３」に対応するアドレス空間からなる場合、アドレス「００００」側）にシフトする（S1802）。そして、第１特図保留記憶部８５ａの最上位のアドレス空間に「０」をセットして、即ち、（上限数まで記憶されていた場合）第２特図保留の４個目に対応するＲＡＭ領域を０クリアして（S1803）、この処理を終える。特図１乱数シフト処理（S1205）を実行した後は、図２２の特図１変動開始処理（S1206）を実行する。特図１変動開始処理（S1206）では、特図１動作ステータスを「２」にセットすると共に、変動開始コマンドをＲＡＭの出力バッファにセットして、第１特別図柄の変動表示を開始する。
【０１６５】
［特別図柄１変動中処理］
次に、図２７を用いて特別図柄１変動中処理（S1104）について説明する。図２７に示すように、特別図柄１変動中処理（S1104）ではまず、特図１の変動時間（図２２のS1204で選択された変動パターンに応じて決まる変動時間、図９参照）が経過したか否かを判定する（S1901）。S1901で、特図１の変動時間が経過していないと判定した場合（S1901でNO）、特図１変動中断処理を行い（S1914）、処理を終える。一方、S1901で、特図１の変動時間が経過したと判定した場合（S1901でYES）、S1903に移行する。S1903では、特図１変動停止コマンドをセットし（S1903）、S1904の処理に移行する。
【０１６６】
次に、S1904では、状態ＢフラグがＯＮか否かを判定する（S1905）。S1904で、状態ＢフラグがＯＮであると判定した場合（S1904でYES）、状態Ｂ（高ベース状態）中に実行した特別図柄の変動回数をカウントする状態Ｂカウンタ（状態Ｂ変動カウンタ）の値を１減算し（S1905）、次いで、状態Ｂカウンタの値が「０」か否かを判定する（S1906）。S1906で、状態Ｂカウンタの値が「０」であると判定した場合（S1906でYES）、状態ＢフラグをＯＦＦにし（S1907）、S1908の処理に進む。状態ＢフラグをＯＦＦにすることで、遊技状態が高ベース状態から低ベース状態に移行する。具体的に、低確高ベース状態であれば低確低ベース状態（通常状態）に移行し、高確高ベース状態であれば高確低ベース状態（有利状態）に移行する。
【０１６７】
S1908では、特図１動作ステータスを「３」にセットし（S1908）、特別図柄の変動表示を、特別図柄当否判定乱数及び大当り種別決定用乱数の判定結果に応じた結果で停止させる等のその他の処理を行い（S1909）、処理を終える。
【０１６８】
［特図１変動中断処理］
図２７及び図２８に示すように、特図１変動中断処理（S1902）は、特図１の変動表示中に、特図２に係る大当り遊技又は小当り遊技が実行された場合、変動表示中の特別図柄１の変動時間の計測を一時的に中断し、大当り遊技又は小当り遊技が終了すると、中断していた計測を再開する処理である。これにより、一方の特別図柄に係る大当り遊技又は小当り遊技の実行中は、他方の特別図柄に係る当否判定処理や変動表示を実行しないものとしている。
【０１６９】
図２８を用いて特図１変動中断処理（S1902）について説明する。特図１変動中断処理（S1902）ではまず、特図１中断フラグがＯＮか否かを判定し（S2901）、特図１中断フラグがＯＮでないと判定した場合（S2901でNO）、次いで、特図２大当りフラグがＯＮであるか否か、すなわち、特図２に係る大当り遊技が実行中であるか否かを判定する（S2902）。S2902で、特図２大当りフラグがＯＮでないと判定した場合（S2902でNO）、次いで、特図２小当りフラグがＯＮであるか否か、すなわち、特図２に係る小当り遊技が実行中であるか否かを判定する（S2909）。S2909で、特図２小当りフラグがＯＮでない、すなわち、特図２に係る大当り遊技も小当り遊技も実行されていないと判定した場合（S2909でNO）、処理を終了する。そして、特図１の変動表示を継続する。一方、S2902で、特図２大当りフラグがＯＮであると判定した場合（S2902でYES）、及びS2909で特図２小当りフラグがＯＮであると判定した場合（S2909でYES）、特図１中断フラグをＯＮにし（S2903）、特図１変動時間の計測を中断し（S2904）、処理を終える。これにより、特図１の変動表示を一時的に中断することができる。
【０１７０】
また、S2901で、特図１中断フラグがＯＮである、すなわち、既に第１特別図柄の変動表示を中断中であると判定した場合（S2901でYES）、特図２大当りフラグがＯＮか否かを判定する（S2905）。S2905で、特図２大当りフラグがＯＮであると判定した場合（S2905でYES）、未だ特図２に係る大当り遊技の実行中であると判断して、処理を終える。一方、S2905で特図２大当りフラグがＯＮでないと判定した場合（S2905でNO）、次いで、特図２小当りフラグがＯＮであるか否かを判定する（S2906）。S2906で、特図２小当りフラグがＯＮであると判定した場合（S2906でYES）、未だ特図２に係る小当り遊技の実行中であると判断して、処理を終える。一方、S2906で、特図２小当りフラグがＯＮでないと判定した場合（S2906でNO）、特図２に係る大当り遊技又は小当り遊技が終了したと判断し、特図１中断フラグをＯＦＦにし（S2907）、特図１変動時間の計測を再開し（S2908）、処理を終える。これにより、中断していた第１特別図柄の変動表示（変動時間の時間計測）を再開することができる。
【０１７１】
ここで、本実施例１では、中断フラグとして、第１特別図柄の変動表示が中断中であることを示す特図１中断フラグ（「第１中断フラグ」ともいう）と、第２特別図柄の変動表示が中断中であることを示す特図２中断フラグ（「第２中断フラグ」ともいう）と、を有しており、主制御部８０のＲＡＭに設けられる中断フラグ記憶手段に該当するフラグがセット（記憶）される。
【０１７２】
［特別図柄１確定処理］
次に、図２９を用いて特別図柄１確定処理（S1106）について説明する。図２９に示すように、特別図柄１確定処理（S1106）ではまず、特図１大当り変動フラグがＯＮであるか否かを判定する（S2001）。特図１大当り変動フラグがＯＮであると判定した場合（S2001でYES）、第１特別図柄に係る大当り変動表示中であることを示す特図１大当り変動フラグをＯＦＦにし（S2002）、第１特別図柄に係る大当り遊技の実行を示す特図１大当りフラグをＯＮにし（S2003）、S2004の処理に移行する。これにより、特図１において、大当りに係る変動表示を終了し（大当りを確定し）、大当り遊技に移行することを示すことができる。
【０１７３】
S2004では、大当り遊技中に実行するラウンド（１ラウンド１回開放の態様では、１回のラウンドは大入賞口の開放から閉塞まで）の回数をカウントするラウンドカウンタの値を「４」にセットし（S2004）、大当り遊技を開始するべく、大当りのオープニングコマンドをセットし（S2005）、特図１動作ステータスを「４」にセットし（S2006）、処理を終える。また、変動表示する特別図柄の停止タイミングで、停止コマンドを副制御基板９０に送信する。副制御基板９０は、この停止コマンドを受信することで、特別図柄の変動表示が終了したことを把握することが可能となる。尚、これにより、大当り待機状態となる。また、S2001で、特図１大当り変動フラグがＯＮでないと判定した場合（S2001でNO）、大当り遊技も小当り遊技も開始しない、すなわち、外れに係る変動表示であるため、特図１動作ステータスを「１」にセットし（S2007）、処理を終える。
【０１７４】
ここで、本実施例１では、大当りフラグとして、第１特別図柄に係る当否判定の結果が大当りとなり当該大当りに係る大当り遊技が実行中であることを示す特図１大当りフラグ（「第１大当りフラグ」ともいう）と、第２特別図柄に係る当否判定の結果が大当りとなり当該大当りに係る大当り遊技が実行中であることを示す特図２大当りフラグ（「第２大当りフラグ」ともいう）と、を有し、大当り遊技が実行される際には、主制御部８０のＲＡＭに設けられた大当りフラグ記憶手段に対応する大当りフラグがセット（記憶）される。また、小当りフラグとして、第２特別図柄に係る当否判定の結果が小当りとなり当該小当りに係る小当り遊技が実行中であることを示す特図２小当りフラグ（「小当りフラグ」ともいう）を有し、小当り遊技が実行される際には、主制御部８０のＲＡＭに設けられた小当りフラグ記憶手段に対応する小当りフラグがセット（記憶）される。
【０１７５】
ここで、ラウンド表示器４５は、２Ｒ用ランプと４Ｒ用ランプと１５Ｒ用ランプとの３個のＬＥＤで構成されており、大当り図柄が確定表示するタイミングで、対応するランプが点灯表示される。具体的には、４Ｒ第１大当りとなった場合、「２Ｒ△４Ｒ▲１５Ｒ△」（例えば、▲：点灯、△：消灯とする）の様な表示態様となる。次に、図３０〜図３９を用いて、特図２動作処理（S211）等について説明するが、特図２動作処理（S211）では、図２１〜図２９に示した特図１動作処理（S206）等と同様の流れで処理を行うため、以下簡略化して説明する。
【０１７６】
［特図２動作処理］
図３０に示すとおり、特図２動作処理（S208）は、図２１に示す特図１動作処理（S207）と同様の流れで処理を行う。図１１に示すように遊技制御用マイコン８１は、特図１動作処理（S207）に次いで特図２動作処理（S208）を行う。本実施例１のパチンコ遊技機１は、これら特図１動作処理と特図２動作処理とにより、第１特別図柄と第２特別図柄とが並行して変動表示を実行可能としている。すなわち、第１特図保留の消化と第２特図保留の消化と（「第１特別図柄の変動表示と第２特別図柄の変動表示と」、「第１特別図柄当否判定と第２特別図柄当否判定と」）が並行して実行可能とされている。また、本実施例１では、第２始動口への入球に基づく当否判定（第２特別図柄当否判定）の方が、第１始動口への入球に基づく当否判定（第１特別図柄当否判定）よりも、遊技者にとって利益の大きい（獲得可能な利益量が多い）大当りになりやすくなっている（図８（Ｂ））。
【０１７７】
図３０に示すように、特図１動作処理（S207）と同様に、特別図柄表示部４１及び大入賞装置（第１大入賞装置３１及び第２大入賞装置３６）に関する処理を５つの段階に分け、それらの各段階に「特図２動作ステータス１、２、３、４、５」を割り当てている。そして、「特図２動作ステータス」が「１」である場合には（S1151でYES）、特別図柄２待機処理（S1152）を行い、「特図２動作ステータス」が「２」である場合には（S1151でNO、S1153でYES）、特別図柄２変動中処理（S1154）を行い、「特図２動作ステータス」が「３」である場合には（S1151、S1153で共にNO、S1155でYES）、特別図柄２確定処理（S1156）を行い、「特図２動作ステータス」が「４」である場合には（S1151、S1153、S1155で共にNO、S1157でYES）、大当り遊技としての特別電動役物処理１（S1108）を行い、「特図２動作ステータス」が「５」である場合には（S1151、S1153、S1155、S1157の全てがNO）、小当り遊技としての特別電動役物処理２（S1109）を行う。尚、特図２動作ステータスは、初期設定では「１」である。第２特別図柄当否判定の結果に小当りがあるため、特図２動作処理では、特図１動作処理にはない特別電動役物処理２（S1109）を有している。
【０１７８】
ここで、特別電動役物処理１（S1108）は、特図１動作処理（S206）と特図２動作処理（S211）とで共通の処理とされ、特別電動役物処理２（S1109）は、特図２動作処理（S211）のみの処理とされる。これは、本実施例１のパチンコ遊技機１は、第１特別図柄の変動表示と第２特別図柄の変動表示とを並行して実行可能とするものの、第１特別図柄に係る大当り遊技と第２特別図柄に係る大当り遊技とは並行して実行不能（何れか一方のみを実行可能）としているからである。尚、本実施例では第１特別図柄当否判定の結果に小当りを有していないが、他の態様として、第１特別図柄当否判定の結果に小当りを有してもよい。この場合には、大当り遊技と同様に、第１特別図柄に係る小当り遊技と第２特別図柄に係る小当り遊技とも並行して実行不能（何れか一方のみを実行可能）とする。
【０１７９】
［特別図柄２待機処理］
図３１に示す特別図柄２待機処理（S1152）は、図２２に示す特別図柄１待機処理（S1102）と同様の流れで処理を行うものであるので、説明を省略する。
【０１８０】
［特図２当否判定処理］
図３２に示す特図２当否判定処理（S1253）は、図２３に示す特図１当否判定処理（S1203）と同様の流れで処理を行うものである。但し、本処理は特別図柄２に関する処理であるので、S1301では、ＲＡＭの第２特図保留記憶部８５ｂの最下位の領域（即ち第２特図保留の１個目に対応するＲＡＭ領域）に記憶されている特別図柄当否判定用乱数カウンタ値（ラベル−ＴＲＮＤ−Ａ）を読み出す。また、第２特別図柄当否判定の結果に小当りを有しているので、第２特別図柄当否判定の結果が大当りでないと判定した場合（S1304）、次いで、S1305で、第２特別図柄当否判定の結果が小当りどうかを判定する（S1305）。S1305で小当りであると判定した場合（S1305でYES）、小当り図柄を決定し（S1306）、特図２小当り変動フラグをＯＮにし（S1307）、処理を終える。その他の処理は、特図１当否判定処理（S1203）と同様である。
【０１８１】
［特図２変動パターン選択処理］
図３３及び図３４に示すように、特図２変動パターン選択処理（S1254）では、図２４及び図２５に示した特図１変動パターン選択処理（S1204）と同様の流れで処理（S1401〜S1420）を行う。従って、本処理の詳細な説明は省略する。但し、本処理は第２特別図柄に関する処理であるので、図９に示す変動パターンテーブルの第２特別図柄に該当する欄を参照して、変動パターン乱数カウンタ値（ラベル−ＴＲＮＤ−Ｔ１）に基づいて変動パターンを選択する。また、第２特別図柄当否判定の結果に小当りを有しているので、小当り変動フラグがＯＮであると判定した場合、遊技状態に応じて小当り用テーブルから変動パターンを選択する。
【０１８２】
また、状態Ｂ及び状態Ｃでは、第２特別図柄の変動表示（第２特別図柄当否判定）を主体として遊技を行う。そのため、状態Ｂ及び状態Ｃでは、第１特別図柄の変動パターンよりも変動パターン（変動時間）の種類が多く、比較的長い時間の変動パターンを選択可能としている。一方、状態Ａでは、第１特別図柄の変動表示（第１特別図柄当否判定）を主体として遊技を行う。そのため、状態Ａでは、第１特別図柄の変動パターンの方が、第２特別図柄の変動パターンよりも変動パターン（変動時間）の種類が多く、比較的長い時間の変動パターンを選択可能としている。従って、状態Ａでは、第２特別図柄の変動パターンを簡易（種類が少なく、時間も短い）なものとしている。
【０１８３】
この特図２変動パターン選択処理（S1254）において、変動パターンの選択を行った後は、その他の処理（S1404）を行って、この処理を終える。その他の処理（S1404）では、選択した変動パターンに応じた変動パターン指定コマンドをＲＡＭの出力バッファにセットする。セットした変動パターン指定コマンドは、後述の変動開始コマンドに含められて、出力処理（S201）により副制御基板９０に送られる。
【０１８４】
［特図２乱数シフト処理］
図３５に示すように、特図２乱数シフト処理（S1255）ではまず、特図２保留球数を１ディクリメントする（S1501）。次いで、第２特図保留記憶部８５ｂにおける各種カウンタ値の格納場所を、１つ下位側にシフトする（S1502）。そして、第２特図保留記憶部８５ｂの最上位のアドレス空間に「０」をセットして、即ち、（上限数まで記憶されていた場合）第２特図保留の４個目に対応するＲＡＭ領域を０クリアして（S1503）、この処理を終える。特図２乱数シフト処理（S1255）を実行した後は、図３１の特図２変動開始処理（S1256）を実行する。特図２変動開始処理（S1256）では、特図２動作ステータスを「２」にセットすると共に、特図２変動開始コマンドをＲＡＭの出力バッファにセットして、第２特別図柄の変動表示を開始する。
【０１８５】
［特別図柄２変動中処理］
図３６に示す特別図柄２変動中処理（S1154）は、図２７に示す特別図柄１変動中処理（S1104）と同様の流れで処理（S1951〜S1959）を行う。従って、本処理の詳細な説明は省略する。
【０１８６】
［特図２変動中断処理］
図３７に示す特図２変動中断処理（S1952）は、図２８に示す特図１変動中断処理（S1902）と同様の流れで処理（S2951〜S2959）を行う。従って、本処理の詳細な説明は省略する。
【０１８７】
［特別図柄２確定処理］
図３８に示す特別図柄２確定処理（S1156）は、図２９に示す特別図柄１確定処理（S1106）と同様の流れで処理（S2051〜S2067）を行う。従って、本処理の詳細な説明は省略する。但し、特別図柄２確定処理（S1156）は、特図２に関する処理であるので、特別図柄１確定処理（S1106）とは、大当り種別（ラウンドカウンタ設定処理）や、特図２小当り変動フラグがＯＮであると判定した場合の処理が異なっているが、図３８に示す通りである。
【０１８８】
［特別電動役物処理１（大当り遊技）］
次に、図３９を用いて、特別電動役物処理１（S1108）について説明する。特別電動役物処理１（S1108）ではまず、後述する大当り遊技開始処理を実行し（S2101）、S2102の処理に移行する。S2102では、大当り開始フラグがＯＮかどうかを判定し（S2102）、大当り開始フラグがＯＮでないと判定した場合（S2102でNO）、処理を終える。一方、S2102で、大当り開始フラグがＯＮであると判定した場合（S2102でYES）、次いで、大当り終了フラグがＯＮであるか否かを判定する（S2105）。ここで、大当り開始フラグは、大当り待機状態で、遊技者が任意のタイミングで遊技球を右遊技領域３Ｂに発射し、開始ゲート２９に遊技球を通過させた場合に、ＯＮとなるフラグである。特別図柄が大当り図柄で確定停止表示して大当りとなった後に、遊技球を開始ゲートに通過させることで、大当り開始フラグをＯＮにし、大当り遊技が進行する（ラウンド遊技が開始する）。ここで、大当りとなった後に、開始ゲート２９に遊技球を通過させない場合、遊技機は大当りを実行可能な大当り待機状態のまま維持される。この間に、遊技者は席を離れ、トイレやドリンクや電話等の休憩をとることが可能となる。そして、休憩終了後に、遊技者の任意のタイミングで遊技球を発射し、開始ゲート２９に遊技球を通過させることで、大当り遊技を進行することが可能となる。また、大当り終了フラグは、大当り遊技において大入賞装置（第１大入賞装置３１）の開放が全て終了（大当り遊技が終了）したことを示すフラグである。
【０１８９】
S2103で、大当り終了フラグがＯＮでないと判定した場合（S2103でNO）、次いで、大入賞口（第１大入賞口３０）が開放中か否かを判定し（S2104）、開放中でないと判定した場合（S2104でNO）、大入賞口（第１大入賞口３０）を開放する時期（ラウンド開始時期）かどうか、すなわち、開始ゲート２９を通過させて１ラウンド目を開始する時期に至ったか、又は、ラウンド間のインターバルの時間が経過して次ラウンド（次の開放）を開始する時期に至ったかを判定する（S2105）。S2105で、ラウンド開始時期でないと判定した場合（S2105でNO）、処理を終える。一方、S2105で、ラウンド開始時期であると判定した場合（S2105でYES）、ラウンド開始コマンドをセットし（S2106）、大入賞口開放処理を行い（S2107）、処理を終える。これにより、大当りの種類に応じた開放パターン（図６参照）に従って第１大入賞口３０を開放させる。
【０１９０】
S2104で、大入賞口（第１大入賞口３０）の開放中であると判定した場合（S2104でYES）、そのラウンドにおける大入賞口への入球個数が規定の最大入球個数（本実施例１では１ラウンド当り１０個）に達しているか否かを判定する（S2111）。規定入球個数（１０個）に達していないと判定した場合（S2111でNO）、次いで、大入賞口（第１大入賞口３０）を閉鎖させる時期に至ったか否か、すなわち、大入賞口を開放してから予め定められた開放時間（図６参照）が経過したか否かを判定する（S2112）。S2112で、大入賞口の開放時間が経過していないと判定した場合（S2112でNO）、処理を終える。
【０１９１】
これに対して、S2111で、規定入球個数（１０個）に達したと判定した場合（S2111でYES）、又は、大入賞口の開放時間が経過したと判定した場合（S2112でYES）、すなわち、２つのラウンド終了条件のうちの何れかが成立したと判定した場合、大入賞口（第１大入賞口３０）を閉鎖する処理を行う（S2113）。次いで、ラウンドカウンタの値を１ディクリメントし（S2114）、ラウンドカウンタの値が「０」であるか否か判定する（S2115）。S2115で、ラウンドカウンタの値が「０」でないと判定された場合（S2115でNO）、次のラウンドを開始するため、処理を終える。
【０１９２】
一方、S2115で、ラウンドカウンタの値が「０」であると判定した場合（S2115でYES）、大当り遊技を終了させる大当り終了処理として、大当りのエンディングコマンドをセットし（S2116）、大当りのエンディング期間を開始し（S2117）、大当り終了フラグをＯＮにし（S2118）、処理を終える。また、S2105で、大当り終了フラグがＯＮであると判定した場合（S2103でYES）、最終ラウンドが終了しているので、次いで、大当りのエンディング期間が経過したか否かを判定する（S2119）。S2119で、予め定めたエンディング時間が経過していないと判定した場合（S2119でNO）、処理を終える。一方、S2119で、エンディング期間が経過したと判定した場合（S2119でYES）、大当り終了フラグをＯＦＦにし（S2120）、後述の遊技状態設定処理を行い（S2121）、大当りフラグをＯＦＦにし（S2122）、大当り開始フラグをＯＦＦにし（S2123）、後述の特図動作ステータス設定処理１を行い（S2124）、処理を終える。
【０１９３】
［大当り遊技開始処理］
次に、図４０を用いて、大当り遊技開始処理（S2101）について説明する。大当り遊技開始処理（S2101）ではまず、大当り開始フラグがＯＮか否かを判定し（S2151）、大当り開始フラグがＯＮでない、すなわち、未だ大当り待機状態において開始ゲート２９を通過させていないと判定した場合（S2151でNO）、次いで、確変フラグがＯＮか否かを判定し（S2152）、確変フラグがＯＮであると判定した場合（S2152でYES）、確変フラグをＯＦＦとし（S2102）、S2154の処理に移行する。S2154では、状態ＢフラグがＯＮか否かを判定し（S2103）、状態ＢフラグがＯＮである判定した場合（2154でYES）、状態ＢフラグをＯＦＦとし（S2104）、S2156の処理に移行する。つまり、大当り遊技の実行中は、低確率状態、且つ、低ベース状態に制御するため、大当り遊技（ラウンド遊技）の開始前に、確変フラグ及び状態ＢフラグをＯＦＦにする。
【０１９４】
また、S2152で確変フラグがＯＮでないと判定した場合（S2152でNO）、確変フラグをＯＦＦにすることなく、S2154の処理に移行する。また、S2154で状態ＢフラグがＯＮでないと判定した場合（S2154でNO）、状態ＢフラグをＯＦＦにすることなく、S2156の処理に移行する。S2156では、開始ゲートを遊技球が通過したか否かを判定し（S2156）、開始ゲートを通過したと判定した場合（S2156でYES）、大当り遊技を開始する（ラウンド遊技を開する）ための大当り開始フラグをＯＮにし（S2157）、処理を終える。一方、S2156で、開始ゲートを通過していないと判定した場合（S2156でNO）、処理を終える。これにより、遊技機を大当り待機状態のまま継続する。また、S2151で、大当り開始フラグがＯＮであると判定した、すなわち、既に大当り遊技を開始していると判定した場合（S2151）、処理を終える。これにより、遊技者は任意のタイミングで大当り遊技を開始する（進行させる）ことが可能となる。
【０１９５】
［遊技状態設定処理］
次に、図４１を用いて、遊技状態設定処理（S2121）について説明する。遊技状態設定処理（S2121）ではまず、今回終了した大当り遊技が確変大当りに係るものであるか否かを判定する（S2201）。本実施例では、前述したように、４Ｒ第１大当り、１５Ｒ第３大当り、４Ｒ第４大当り、２Ｒ第５大当り、及び、２Ｒ第６大当りの５種類を確変大当りとしており、S2201では、大当り遊技がこれら５種類のうちの何れかに該当するか否かを判定する。そして、今回終了したのが確変大当りであると判定した場合（S2201でYES）、確変フラグをＯＮにし（S2202）、次いで、終了した大当り遊技が２Ｒ第５大当りであるかを判定する（S2203）。S2203で、終了した大当り遊技が２Ｒ第５大当りであると判定した場合（S2203でYES）、状態ＢフラグをＯＮにし（S2204）、状態Ｂカウンタに「５０」をセットし（S2205）、処理を終える。これにより、大当り遊技終了後に最長５０回の高ベース状態が設定され、高確高ベース状態となる。
【０１９６】
一方、S2203で、終了した大当り遊技が２Ｒ第５大当りでないと判定した場合（S2203でNO）、次いで、終了した大当り遊技が２Ｒ第６大当りか否かを判定する（S2209）。S2209で、終了した大当り遊技が２Ｒ第６大当りであると判定した場合（S2209でYES）、状態ＢフラグをＯＮにし（S2210）、状態Ｂカウンタに「１００」をセットし（S2211）、処理を終える。これにより、大当り遊技終了後に最長１００回の高ベース状態が設定され、高確高ベース状態となる。S2209で、終了した大当り遊技が２Ｒ第６大当りでない、すなわち、４Ｒ第１大当り、１５Ｒ第３大当り、４Ｒ第４大当りの何れかであると判定した場合（S2209でNO）、状態ＢフラグをＯＦＦのまま、処理を終える。これにより、大当り遊技終了後の遊技状態が高確低ベース状態となる。
【０１９７】
S2201で、終了したのが確変大当りでない、すなわち、低確大当り（低確率大当り、通常大当り）であると判定した場合（S2201でNO）、次いで、終了した大当り遊技が２Ｒ第７大当りであるかを判定する（S2206）。S2206で、終了した大当り遊技が２Ｒ第７大当りであると判定した場合（S2206でYES）、状態ＢフラグをＯＮにし（S2207）、状態Ｂカウンタに「１００」をセットし（S2208）、処理を終える。これにより、大当り遊技終了後に最長１００回の高ベース状態が設定され、低確高ベース状態となる。一方、S2206で、終了した大当り遊技が２Ｒ第７大当りでない、すなわち、４Ｒ第２大当り又は２Ｒ第８大当りであると判定した場合（S2206でNO）、状態ＢフラグをＯＮにし（S2204）、状態Ｂカウンタに「５０」をセットし（S2205）、処理を終える。これにより、大当り遊技終了後に最長５０回の高ベース状態が設定され、低確高ベース状態となる。
【０１９８】
［特図動作ステータス設定処理１］
次に、図４２を用いて、特図動作ステータス設定処理１（S2122）について説明する。特図動作ステータス設定処理１（S2122）ではまず、特図１大当りフラグがＯＮか否かを判定し（S3001）、特図１大当りフラグがＯＮである、すなわち、今回発生した大当り遊技は特別図柄１に係るものであると判定した場合（S3001でYES）、特図１大当りフラグをＯＦＦにし（S3002）、特図１動作ステータスを「１」にセットし（S3003）、処理を終える。これにより、次回の割り込み処理において、特図１動作処理として再び特別図柄１待機処理が実行されることになる。一方、S3001で、特図１大当りフラグがＯＮでない、すなわち、特図２大当りフラグがＯＮである、すなわち、今回発生した大当り遊技は特別図柄２に係るものであると判定した場合（S3001でNO）、特図２大当りフラグをＯＦＦにし（S3004）、特図２動作ステータスを「１」にセットし（S3005）、処理を終える。これにより、次回の割り込み処理において、特図２動作処理として再び特別図柄２待機処理が実行される。
【０１９９】
［特別電動役物処理２（小当り遊技）］
次に、図４３を用いて、特別電動役物処理２（S1109）について説明する。特別電動役物処理２（S1109）ではまず、小当り終了フラグがＯＮであるか否かを判定する（S2301）。小当り終了フラグは、小当り遊技において大入賞装置（第２大入賞装置３６）の開放が全て終了したことを示すフラグである。小当り終了フラグがＯＮでないと判定した場合（S2301でNO）、大入賞口（第２大入賞口３５）の開放中か否かを判定する（S2302）。S2302で、大入賞口が開放中でないと判定した場合（S2302でNO）、大入賞口（第２大入賞口３５）を開放させる時期に至ったか否か、すなわち、小当りのオープニング時間が経過して１回目の開放動作を開始する時期に至ったか、又は、複数回にわたる開放の間のインターバルの時間が経過して次の開放動作を開始する時期に至ったか否かを判定する（S2303）。尚、小当り遊技については、開始ゲートの通過にかかわらず、小当り図柄の確定停止表示後、所定時間経過後に小当り遊技（開放動作）が開始する。つまり、遊技者は大当り遊技の開始時期は開始ゲートによって任意に決定できるが、小当りの開始時期については任意に決定することはできない。
【０２００】
S2303で、大入賞口の開放時期でないと判定した場合（S2303でNO）、そのまま処理を終える。一方、S2303で、大入賞口の開放時期であると判定した場合（S2303でYES）、小当りの開放パターン（図６参照）に従って第２大入賞口３５の開放処理を行い（S2304）、処理を終える。S2302で、大入賞口（第２大入賞口３５）の開放中であると判定した場合（S2302でYES）、６回の開放動作中における大入賞口への入球個数、すなわち、６回の開放動作において入球した遊技球を全て足した数が、規定の最大入球個数（本実施例１では１０個）に達しているか否かを判定する（S2306）。S2306で、規定入球個数（１０個）に達していないと判定した場合（S2306でNO）、大入賞口を閉鎖させる時期に至ったか否か、すなわち、大入賞口を開放してから所定の開放時間（図６参照）が経過したか否かを判定する（S2307）。そして、S2307で、大入賞口の開放時間が経過していないと判定した場合（S2307でNO）、処理を終える。
【０２０１】
これに対して、６回の開放動作中における大入賞口への入球個数が規定入球個数（１０個）に達したと判定した場合（S2306でYES）、大入賞口（第２大入賞口３５）を閉鎖し（S2314）、S2311の小当り終了処理に移行する。一方、S2307で、大入賞口の開放時間が経過したと判定した場合（S2307でYES）、大入賞口（第２大入賞口３５）を閉鎖し（S2308）、小当り用開放カウンタの値を１ディクリメントし（S2309）、小当り用開放カウンタの値が「０」であるか否か判定する（S2310）。S2310で、小当り用開放カウンタの値が「０」でないと判定した場合（S2310でNO）、次の開放動作を開始するため、そのまま処理を終える。
【０２０２】
一方、S2310で、小当り用開放カウンタの値が「０」であると判定した場合（S2310でYES）、S2311の小当り終了処理に移行する。S2311では、小当り遊技を終了させる小当り終了処理として、小当りのエンディングコマンドをセットし（S2311）、小当りのエンディング期間を開始し（S2312）、小当り終了フラグをセットし（S2313）、処理を終える。尚、小当り用開放カウンタは、大入賞口の開放が６回なされると「０」になる。
【０２０３】
また、S2301で、小当り終了フラグがＯＮであると判定した場合（S2301でYES）、６回の開放動作が終了している（若しくは、規定数の遊技球が入球している）ので、小当りのエンディングの時間が経過したか否かを判定し（S2315）、エンディング時間が経過していないと判定した場合（S2315でNO）、処理を終える。一方、S2315で、エンディング時間が経過したと判定した場合（S2315でYES）、小当り終了フラグをＯＦＦにし（S2316）、特図動作ステータス設定処理２を行い（S2317）、処理を終える。高確低ベース状態において、小当り遊技を発生させることで、持ち球を増やしながら次の大当りを狙うことが可能となり、遊技興趣を高める。尚、小当り遊技の開始に際して確変フラグや状態ＢフラグをＯＮからＯＦＦに切り変えたり、ＯＦＦからＯＮに切替えたりすることはない。また、小当り遊技の終了に際しては、遊技状態設定処理を行わない。すなわち、本パチンコ遊技機１では、小当り遊技の実行前と実行後において遊技状態（確率状態、ベース状態）を変化させない。
【０２０４】
［特図動作ステータス設定処理２］
次に、図４４を用いて、特図動作ステータス設定処理２（S2317）について説明する。特図動作ステータス設定処理２（S2317）ではまず、特図１小当りフラグがＯＮか否かを判定し（S3101）、特図１小当りフラグがＯＮである、すなわち、今回発生した小当り遊技は特別図柄１に係るものであると判定した場合（S3101でYES）、特図１小当りフラグをＯＦＦにし（S3102）、特図１動作ステータスを「１」にセットし（S3103）、処理を終える。これにより、次回の割り込み処理において、特図１動作処理として再び特別図柄１待機処理が実行される。一方、特図１小当りフラグがＯＮでない、すなわち、特図２小当りフラグがＯＮである、すなわち、今回発生した小当り遊技は特別図柄２に係るものであると判定した場合（S3101でNO）、特図２小当りフラグをＯＦＦにし（S3104）、特図２動作ステータスを「１」にセットし（S3105）、処理を終える。これにより、次回の割り込み処理において、特図２動作処理として再び特別図柄２待機処理が実行される。
【０２０５】
［保留球数処理］
図１１に示すように遊技制御用マイコン８１は、特図２動作処理（S208）に次いで保留球数処理（S209）を行う。図４５に示すように、保留球数処理（S209）ではまず、主制御基板８０のＲＡＭに記憶されている特図１保留球数、特図２保留球数及び普通図柄保留球数を読み出す（S2501）。次いで、その保留球数のデータ（その保留球数情報を副制御基板９０等に送信するための保留球数コマンド）を、ＲＡＭの出力バッファにセットし（S2502）、処理を終える。
【０２０６】
［電源断監視処理］
図１１に示すように遊技制御用マイコン８１は、保留球数処理（S209）に次いで電源断監視処理（S210）を行う。図４８に示すように、電源断監視処理（S210）ではまず、電源断信号の入力の有無を判定し（S2601）、入力がないと判定した場合（S2601でNO）、処理を終える。一方、S2601で、電源断信号の入力があると判定した場合（S2601でYES）、現在の遊技機の状態（確変かどうか、当り遊技中かどうか、保留球数はいくつか、確変・時短の残り変動回数はいくつか等）に関するデータをＲＡＭに記憶し（S2602）、電源断フラグをＯＮし（S2603）、その後は割り込み処理（図１１）に戻ることなくループ処理（無限ループ）を行う。
【０２０７】
以上詳細に説明したように、本実施例１のパチンコ遊技機１は前述した特徴的な構成を備えることで、従来のパチンコ遊技機にはない特有の効果、乃至、従来のパチンコ遊技機に比して顕著な効果を奏する。本実施例１のパチンコ遊技機１は、特別図柄当否判定において大当りとなること（第１特別図柄（「第１識別情報」ともいう）又は第２特別図柄（「第２識別情報」ともいう）が大当り図柄（「特定の表示態様」ともいう）で停止表示すること）に基づいて、高確率状態が発生し（特典が付与され）、予め定められた所定の条件が成立すると高確率状態（特典）が終了するものとされる。
【０２０８】
この高確率状態（特典）を付与する処理（遊技状態設定処理（S2121））を「特典付与手段」ということもできる。尚、第１特別図柄と演出図柄８とが連動（同期）して、第２特別図柄と演出図柄８とが連動（同期）して、変動表示及び停止表示し、同じ当否判定結果を示すので、「特別図柄（第１特別図柄又は第２特別図柄）が大当り図柄で停止表示すること」を、「演出図柄が当り演出図柄（特定の表示態様）で停止表示すること」と置き換えることができる。
【０２０９】
［サブ制御メイン処理］
次に、図４７〜図５２に基づいて、演出制御用マイコン９１の動作（サブ制御部９０による制御処理）について説明する。尚、演出制御用マイコン９１の動作説明にて登場するカウンタ、フラグ、ステータス、バッファ、タイマ等は、副制御基板９０（サブ制御部）のＲＡＭに設けられている。副制御基板９０に備えられた演出制御用マイコン９１は、パチンコ遊技機１の電源がオンされると、副制御基板９０のＲＯＭから図４７に示すサブ制御メイン処理のプログラムを読み出して実行する。同図に示すように、サブ制御メイン処理では、まず、ＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間用コントローラ）等の設定や各種のフラグ、ステータス及びカウンタのリセット等を行う。
【０２１０】
続いて、S4002で、電源断信号がＯＮでかつ副制御基板９０のＲＡＭの内容が正常であるか否かを判定する（S4002）。そして、この判定結果がＮＯであれば（S4002でNO）、副制御基板９０のＲＡＭの初期化をし（S4003）、S4004に進む。一方、判定結果がＹＥＳであれば（S4002でYES）、副制御基板９０のＲＡＭを初期化することなくS4004に進む。すなわち、電源断信号がＯＮでない場合、又は電源断信号がＯＮであってもＲＡＭの内容が正常でない場合には（S4002でNO）、副制御基板９０のＲＡＭを初期化するが、停電などで電源断信号がＯＮとなったがＲＡＭの内容が正常に保たれている場合には（S4002でYES）、ＲＡＭを初期化しない。ＲＡＭを初期化すれば、各種のフラグ、ステータス及びカウンタの値はリセットされる。尚、このS4001〜S4003は、電源投入後に（電源投入に際して）一度だけ実行され、それ以降は実行されない。また、本実施例１では、演出制御用マイコン９１においても、図１１に示す遊技制御用マイコン８１による電源断監視処理（S209）と同様の処理を行うこととしており、停電などで電源断信号がＯＮになると、そのときの演出制御に係るデータが副制御基板９０のＲＡＭに記憶されるものとなっている。つまり、停電などの電源断発生時における演出制御に係るデータがバックアップされるものとなっている。このため、停電等の電源断から復帰した後の電源投入時（電断復帰時）に、副制御基板９０のＲＡＭの初期化（S4003）が行われない限り、演出制御用マイコン９１による演出制御の状態は電源断発生前の状態に復帰する。
【０２１１】
S4004では、割り込みを禁止する。次いで、乱数シード更新処理を実行する（S4005）。乱数シード更新処理（S4005）では、種々の演出決定用乱数カウンタの値を更新する。更新された乱数カウンタ値は、副制御基板９０のＲＡＭの所定の更新値記憶領域（図示せず）に逐次記憶される。演出決定用乱数には、実行する演出図柄遊技演出の態様（変動演出パターン）を決定する変動演出決定用乱数や、予告演出を決定する予告演出決定用乱数、演出図柄を決定する演出図柄決定用乱数等がある。乱数の更新方法は、前述の主制御基板８０が行う乱数更新処理と同様の方法をとることができる。尚、乱数の更新に際して、乱数値を１ずつ加算するのではなく、２ずつ加算するなどしてもよい。演出決定用乱数は、予め定められたタイミングで取得される。このタイミングとしては、例えば主制御基板８０から始動入球があった旨を通知する制御信号（始動入球コマンド）が送信されてきたときや、主制御基板８０から変動開始を通知する制御信号（変動開始コマンド）が送信されてきたときや、後述の変動演出パターンを決定するときなどとすることができる。取得した演出決定用乱数の格納場所は、副制御基板９０のＲＡＭの所定の乱数カウンタ値記憶領域（図示せず）である。
【０２１２】
乱数シード更新処理（S4005）が終了すると、コマンド送信処理を実行する（S4006）。コマンド送信処理では、副制御基板９０のＲＡＭ内の出力バッファ（「サブ出力バッファ」ともいう）に格納されている各種のコマンド（制御信号）を、画像制御基板１００、音声制御基板１０６およびランプ制御基板１０７のうち、対応するコマンド送信先となる制御基板に送信する。コマンドを受信した各制御基板（各制御部）は、受信したコマンドに従い各種の演出装置（画像表示装置、スピーカ６７、盤面ランプ５、枠ランプ６６及び可動装飾部材１４等）を用いて各種の演出（演出図柄遊技演出や、当り遊技に係る特別遊技演出等）を実行する。演出制御用マイコン９１は続いて、割り込みを許可する（S4007）。以降、S4004〜S4007をループさせる。割り込み許可中においては、受信割り込み処理（S4008）、２ｍｓタイマ割り込み処理（S4009）、及び１０ｍｓタイマ割り込み処理（S4010）の実行が可能となる。これらの制御処理を実行することで、画像表示装置７（第１画像表示装置）、第２画像表示装置７１及び第３画像表示装置７２の各表示画面上で実行される演出図柄等の表示制御や、各種ランプの点灯制御や、可動装飾部材の動作制御や、スピーカからの音声出力制御等を行うことが可能となる。
【０２１３】
［受信割り込み処理］
次に、図４８を用いて、受信割り込み処理（S4008）について説明する。受信割り込み処理（S4008）ではまず、ストローブ信号（ＳＴＢ信号）がＯＮか否か、すなわち主制御基板８０から送られたストローブ信号が演出制御用マイコン９１の外部ＩＮＴ入力部に入力されたか否かを判定する（S4101）。そして、S4101で、ストローブ信号がＯＮでないと判定した場合（S4101でNO）、処理を終える。一方、S4101で、ストローブ信号がＯＮであると判定した場合（S4101でYES）、主制御基板８０から送信されてきた各種のコマンドを副制御基板９０のＲＡＭに格納し（S4102）、処理を終える。この受信割り込み処理（S4008）は、他の割り込み処理（S4009、S4010）に優先して実行される処理である。
【０２１４】
［２ｍｓタイマ割り込み処理］
次に、図４９を用いて、２ｍｓタイマ割り込み処理（S4009）について説明する。２ｍｓタイマ割り込み処理（S4009）では、副制御基板９０に２ｍｓｅｃ周期の割り込みパルスが入力する度に実行する処理である。２ｍｓタイマ割り込み処理（S4009）ではまず、演出ボタン検知スイッチ６３ｃ、６３ｄからの検知信号に基づいてスイッチデータ（エッジデータ及びレベルデータ）を作成する入力処理を行う（S4201）。次いで、枠ランプ６６や盤面ランプ５等のランプを発光させるためのランプデータを出力するランプデータ出力処理（S4202）と、可動装飾部材１４（電気的駆動源）を駆動するための駆動データを出力する駆動データ出力処理（S4203）とを行う。尚、ランプデータおよび駆動データは、後述の１０ｍｓタイマ割り込み処理で作成される。そして、ウォッチドッグタイマのリセット処理を行うウォッチドッグタイマ処理を行う（S4204）。
【０２１５】
［１０ｍｓタイマ割り込み処理］
次に、図５０を用いて、１０ｍｓタイマ割り込み処理（S4010）について説明する。１０ｍｓタイマ割り込み処理（S4010）は、副制御基板９０に１０ｍｓｅｃ周期の割り込みパルスが入力する度に実行する処理である。１０ｍｓタイマ割り込み処理（S4010）ではまず、後述する受信コマンド解析処理（S4302）を行う。次いで、２ｍｓタイマ割り込み処理で作成したスイッチデータを１０ｍｓタイマ割り込み処理用のスイッチデータとして副制御基板９０のＲＡＭに格納するスイッチ状態取得処理を行い（S4303）、当該スイッチ状態取得処理にて格納したスイッチデータに基づいて表示画面７ａの表示内容等を設定するスイッチ処理を行う（S4304）。その後、ランプデータ（盤面ランプ５や枠ランプ６６の点灯を制御するデータ）を作成したり、演出決定用乱数を更新したりするなどのその他の処理を実行する（S4305）。
【０２１６】
［受信コマンド解析処理］
次に、図５１を用いて、受信コマンド解析処理（S4302）について説明する。受信コマンド解析処理（S4302）ではまず、主制御基板８０から始動入球コマンドを受信したか否かを判定し（S4401）、始動入球コマンドを受信していないと判定した場合（S4401でNO）、S4403の処理に移行し、始動入球コマンドを受信したと判定した場合（S4401でYES）、演出保留情報記憶処理（S4402）を行って、S4403の処理に移行する。演出保留情報記憶処理（S4402）は、S4401で受信した始動入球コマンド（特図１始動入球コマンド又は特図２始動入球コマンド）に含まれる各種情報（事前判定結果、大当り種別決定用乱数値、変動パターン乱数値等の遊技情報）を、特別図柄の種類（第１特別図柄、第２特別図柄）及び始動入球コマンドの送受信時（コマンド生成時）の特図保留球数に応じて、シフトメモリ形式で副制御基板９０のＲＡＭの所定の演出保留情報記憶領域に記憶する。例えば、受信した始動入球コマンドが特図１の保留球数「４」に対応する特図１始動入球コマンドである場合、その特図１始動入球コマンドに含まれる事前判定結果や当り種別等の情報を、特図１演出保留情報記憶領域のうち保留数４に対応する領域に、特図１演出保留情報として記憶する。こうして記憶される演出保留情報は、後述する変動演出や予告演出、演出モード等の各種演出の実行に用いられる。副制御基板９０における演出保留情報記憶領域の記憶内容（演出保留情報）は、前述の主制御基板（主制御部）８０における特図保留記憶部（第１特図保留記憶部、第２特図保留記憶部）の記憶内容（取得情報）と一致するものである。このことから、副制御基板９０の演出保留情報記憶領域も「取得情報記憶手段」といえる。
【０２１７】
次に、S4403では、主制御基板８０から変動開始コマンドを受信したか否かを判定し（S4403）、変動開始コマンドを受信したと判定した場合（S4403でYES）、後述する変動演出開始処理（S4404）を行って、S4405の処理に移行し、変動開始コマンドを受信していないと判定した場合（S4403でNO）、変動演出開始処理を行うことなく、S4405の処理に移行する。S4405では、主制御基板８０から変動停止コマンドを受信したか否かを判定し（S4405）、変動停止コマンドを受信したと判定した場合（S4405でYES）、演出図柄を停止表示して変動演出を終了させる変動演出終了処理を行う（S4406）。変動演出終了処理（S4406）では、演出図柄８を停止表示して変動演出を終了させるための変動演出終了コマンドをサブ出力バッファにセットする。セットした変動演出終了コマンドがコマンド送信処理（S4006）により画像制御基板１００に送信されると、画像制御用マイコン１０１は、画像表示装置７の表示画面７ａ上で変動表示していた演出図柄８を停止表示して、変動演出（演出図柄遊技演出）を終了させる。一方、S4405で、変動停止コマンドを受信していないと判定した場合（S4405でNO）、変動演出終了処理を行うことなく、S4407の処理に移行する。尚、変動演出とは、特別図柄の変動表示に合わせて行われる種々の演出を指す。
【０２１８】
続いて、S4407では、主制御基板８０から当り遊技関連コマンドを受信したか否かを判定する（S4407）。ここで、当り遊技関連コマンドとは、当り遊技（大当り遊技、小当り遊技）の実行にあたり主制御基板８０から送信されるコマンドのことであり、具体的には、大当り遊技の開始（大当りの発生）に際して送信されるオープニングコマンド、ラウンドの開始に際して送信されるラウンド開始コマンド、ラウンドの終了に際して送信されるラウンド終了コマンド、大当り遊技の終了に際して送信されるエンディングコマンド、ラウンド遊技での第１大入賞口３０への入球に基づき送信される第１大入賞口入球コマンド、小当り遊技での第２大入賞口への入球に基づき送信される第２大入賞口入球コマンド等が該当する。S4407では、これらの大当り遊技関連コマンドの何れかを受信したか否かを判定し、受信していなければ（S4407でNO）、S4409の処理に移行し、受信していれば（S4407でYES）、当該受信したコマンドの種類に応じた演出（大当り遊技演出、小当り遊技演出）の実行に係る処理を行う（S4408）。
【０２１９】
例えば、受信したコマンドがオープニングコマンドであれば、当該コマンドに基づき特定される大当りの種別に応じたオープニング演出を指定するオープニング演出コマンドをサブ出力バッファにセットし、ラウンド開始コマンドであれば、当該コマンドに基づき特定されるラウンドに応じたラウンド演出を指定するラウンド演出コマンドをサブ出力バッファにセットし、エンディングコマンドであれば、当該コマンドに基づき特定される大当りの種別に応じたエンディング演出を指定するエンディング演出コマンドをサブ出力バッファにセットする。また、受信したコマンドが大入賞口入球コマンド（第１大入賞口入球コマンド、第２大入賞口入球コマンド）であれば、当該コマンドに基づき特定される大入賞口（第１大入賞口３０、第２大入賞口３５）への入球に応じた入球演出を指定する入球演出コマンドをサブ出力バッファにセットする。これらのセットした当り遊技に係る各種の演出コマンドがコマンド送信処理（S4006）により画像制御基板１００に送信されると、画像制御用マイコン１０１は、当り遊技の進行状況に合わせて、オープニング演出やラウンド演出、入球演出等を画像表示装置７の表示画面７ａ上で実行する。最後にS4409の処理を行い、本処理を終える。S4409では、その他の処理として、前述した各種コマンドを除いた他の受信コマンド（例えば、普通図柄変動開始コマンドや普通図柄変動停止コマンド）に基づく処理を行う（S4409）。
【０２２０】
［変動演出開始処理］
次に、図５２を用いて、受信コマンド解析処理（S4302）にて実行される変動演出開始処理（S4402）について説明する。変動演出開始処理（S4402）ではまず、変動演出決定用乱数や予告演出決定用乱数、演出図柄決定用乱数等の各種演出決定用乱数を取得する演出決定用乱数処理（S4501）を行う。本実施例では、主制御部８０から変動開始コマンドを受信したタイミングでS4501の処理を行い、夫々の乱数から所定の値（取得情報）を取得する。この取得した値（取得情報）に基づいて、実行する演出図柄遊技演出（変動演出）の態様や予告演出の態様（予告演出の有無を含む）、停止表示する演出図柄等を決定する。
【０２２１】
次いで、S4502では、受信した変動開始コマンドを解析する（S4502）。変動開始コマンドには、第１特別図柄または第２特別図柄の変動パターン選択処理で選択された変動パターンを指定する変動パターン指定コマンド（変動パターンを指定する情報）が含まれている。そして、変動パターン指定コマンドには、図９に示す変動パターン情報（Ｐ１乃至Ｐ３３）や、現在の遊技状態を指定する遊技状態情報や、第１特別図柄当否判定または第２特別図柄当否判定の判定結果や、大当り種別を指定する図柄情報等が含まれている（図８を参照）。また、変動パターン指定コマンドには、第１特別図柄に対応するものと第２特別図柄に対応するものとが存在することから、変動パターン指定コマンドを解析することで、今回開始する演出図柄遊技演出（演出図柄の変動表示）が特図１に係るものなのか特図２に係るものなのかを判別することが可能となる。尚、変動パターン情報や遊技状態情報や図柄情報等は、これ以降に実行する変動演出開始処理以外の他の処理においても利用可能である。
【０２２２】
次いで、S4503では、演出制御用マイコン９１が現在のモードステータスを参照する（S4503）。モードステータスは、実行する演出モードを決めるためのものである。モードステータスは「１」〜「５」までの何れかの値とされ、各値は演出モードＡ〜Ｅに対して割り当てられている。具体的には、モードステータス「１」が演出モードＡに対応し、モードステータス「２」が演出モードＢに対応し、モードステータス「３」が演出モードＣに対応し、モードステータス「４」が演出モードＤに対応し、モードステータス「５」が演出モードＥに対応する。現在のモードステータスを参照することで、現在の演出モードを特定することが可能である。
【０２２３】
ここで演出モードとは、画像表示装置７を主とする演出の態様であり、演出モードが異なると、予告演出やリーチ演出等の遊技演出の演出態様の一部又は全部が異なるものとされる。具体的に、演出図柄８の態様（例えば、図柄デザイン、数字デザインなど）が異なったり、登場するキャラクタ、アイテム、背景画像が異なったりする等、画像表示装置７に表示される画像が演出モードによって異なるものとされる。また、演出図柄遊技演出も演出モードに応じた態様で実行されるものとすることができ、複数の遊技演出（予告演出やリーチ演出等）を設ける場合に、演出モードによって異なる遊技演出を実行可能とすることができる。本実施例では、演出モードＡ，Ｂは低確低ベース状態に制御されているときに実行され、演出モードＣ，Ｄは高確低ベース状態に制御されているときに実行され、演出モードＥは低確高ベース状態に制御されているときと高確高ベース状態に制御されているときに実行される。従って、演出モードがＡ〜Ｄの何れかである場合、遊技者は演出モードを確認することで、現在の遊技状態が低確低ベース状態であるのか高確低ベース状態であるのかを把握することが可能となる。一方、演出モードがＥである場合、遊技者は演出モードを確認しても、現在の遊技状態が低確高ベース状態であるのか、高確高ベース状態であるのかを把握することは困難である。その意味において演出モードＥは、遊技状態非報知モードといえる。
【０２２４】
次いで、S4504では、画像表示装置７、盤面ランプ５、可動装飾部材１４等を用いて行うものであって、サブ制御部９０が主体となって制御する変動演出のパターン（変動演出パターン、演出図柄遊技演出）を決定するための変動演出パターン決定テーブル（図示を省略）及び予告演出決定テーブルをセットする（S4504）。具体的には、S4503で参照したモードステータス（現在の演出モード）と主制御部８０から受信した変動パターン指定コマンドに基づいて、使用する変動演出パターン決定テーブル、及び、予告演出決定テーブルをセットする。すなわち、複数の変動演出パターン決定テーブル、及び、複数の予告演出決定テーブルを備えており、それらから遊技状態（演出モード）等に基づいて、所定の変動演出パターン決定テーブル及び予告演出決定テーブルをセットする。例えば、受信した変動パターン指定コマンドが指定する変動パターン情報が「Ｐ１（変動パターンＰ１）」（図９を参照）であった場合、変動演出パターン決定テーブルとして、現在の演出モードに対応した大当り時変動演出パターン決定テーブル及び予告演出決定テーブルがセットされる。変動演出パターン決定テーブルは、主に、演出図柄遊技演出の実行態様（演出図柄の変動態様等）を決定するためのもので、演出モード（モードステータス）に対応する複数の変動演出パターン決定テーブル（図示せず）が副制御基板９０のＲＯＭに予め格納されている。S4504では、それらの変動演出パターン決定テーブルの中から、S4503で参照したモードステータス（現在の演出モード）に対応するテーブルが選択されてセットされる。
【０２２５】
次いで、S4505では、S4501において取得した変動演出決定用乱数、及び、S4504においてセットした変動演出パターン決定テーブルに基づいて、指定された変動パターンに適合した変動演出パターンを選択し、これを設定する（S4505）。変動演出パターンとしては、主に演出図柄表示領域７ｂで表示される演出図柄８の変動態様（演出図柄遊技演出の実行態様）が設定される。これにより、演出図柄遊技演出において、リーチ演出を実行する場合（リーチ有演出図柄遊技演出）や、特定のキャラクタを用いて行うキャラクタ演出を実行する場合（キャラクタ演出図柄遊技演出）、リーチ演出やキャラクタ演出を実行しない場合（リーチ無演出図柄遊技演出）等が決定される。尚、リーチ演出とは、例えば、特別図柄当否判定の結果が大当りであることを示す場合の演出図柄８の表示態様として、３個の演出図柄８Ｌ、８Ｃ、８Ｒがすべて同一（ゾロ目）となる態様（大当り態様、特定態様）を設けている場合において、３個の演出図柄８Ｌ、８Ｃ、８Ｒのうちの２個が大当り態様を構成する図柄（同じ演出図柄）で停止表示（仮停止表示）され、残り１個が変動表示（スクロール表示）を続けている状態で、当該残り１個の演出図柄が大当り態様を完成させる図柄（３個の同じ演出図柄）で停止表示されるか否かを示す演出のことをいう。この際、演出図柄の変動表示に伴って所定のキャラクタを用いて遊技演出を実行し、演出図柄が大当り態様で停止表示されるかどうかを、当該所定のキャラクタが所定の目的を達成するかどうかの演出で示すことも可能である。このような遊技演出（後述するリーチ演出やキャラクタ演出）を、ストーリー演出（特定遊技演出）や目的演出（特定遊技演出）ということもできる。これにより、遊技者の大当りへの期待感を高め、遊技興趣を高めることが可能となる。
【０２２６】
また、S4505では、S4501において取得した演出図柄決定用乱数および図示しない停止図柄決定テーブルに基づいて、停止表示する演出図柄８（「停止演出図柄」ともいう）を決定し、これを設定する。演出図柄遊技演出の結果として停止表示される演出図柄８は、特別図柄当否判定の結果が外れであって、リーチ有り外れの場合は「７８７」等の３個の演出図柄８Ｌ、８Ｃ、８Ｒのうち１個の演出図柄が他の演出図柄と異なるバラケ目とされ、リーチ無し外れのときは「６３５」等の３個の演出図柄８Ｌ、８Ｃ、８Ｒのうち少なくとも１個の演出図柄が他の演出図柄が異なるバラケ目とされる
【０２２７】
また、S4506では、変動演出パターン（演出図柄遊技演出）に伴って実行される予告演出を決定する。また、この実行される予告演出を含めて演出図柄遊技演出ともいう。この予告演出は、実行中の演出図柄遊技演出の結果が大当り態様で停止表示する可能性を、演出図柄が停止表示（確定停止表示）する前（演出図柄の変動表示中）に示す演出（事前報知演出）である。S4506では、S4501において取得した予告演出決定用乱数およびS4504においてセットした予告演出決定テーブルに基づいて、指定された変動パターン及び決定された変動演出パターンに適合した予告演出を選択し、これを設定する（S4506）。
【０２２８】
そして、S4507で、S4505及びS4506において設定した変動演出パターン及び予告演出に基づいて、演出図柄遊技演出等を開始するための変動演出開始コマンドを副制御基板９０のＲＡＭ内の出力バッファにセットし（S4507）、変動演出開始処理を終了する。S4507でセットされた変動演出開始コマンドが、コマンド送信処理（S4006）により画像制御基板１００に送信されると、画像制御用マイコン１０１は、変動演出開始コマンドに基づき特定される変動演出パターン、すなわちS4505で設定された変動演出パターンに対応する所定の画像データを画像制御基板１００のＲＯＭから読み出して、該読み出した画像データによる変動演出等を画像表示装置７の表示画面７ａ上で実行する。また、演出表示器１０２での２個のＬＥＤによる変動表示（点滅表示）も実行する。
【０２２９】
［演出図柄遊技演出の概要］
次に、本実施例の演出図柄遊技演出（変動演出）の概要について説明する。前述したように、S4505で設定された変動演出パターン等に基づく演出図柄遊技演出等を開始するための変動演出開始コマンドが副制御基板９０から画像制御基板１００に送信されると、画像表示装置７の表示画面７ａ上で演出図柄８の変動表示が開始される。この演出図柄８の変動表示の開始から終了（停止）までの一連の演出として、演出図柄遊技演出（変動演出）が構成される。
【０２３０】
演出図柄８の変動表示は、原則、「１」→「２」→「３」・・・→「７」→「８」→「９」の順（昇順）で図柄を縦方向にスクロール表示（縦スクロール）し、「９」まで到達したら再度「１」に戻って縦スクロールを繰り返すことにより行われる。こうした演出図柄８の変動表示の態様は、前述の変動演出パターン決定テーブルに格納される変動演出パターンによって定められる。このため、変動表示の態様については、縦スクロールの他にも、例えば、横方向のスクロール表示（横スクロール）や、図柄（数字）がスクロールせずにその場で順次切り替わる切替表示等、種々の態様を変動演出パターンとして設けることが可能である。また、「１」〜「９」の図柄が降順で変動表示する態様を設けることも可能である。さらに、演出モードや遊技状態によって変動表示の態様を設定することも可能である。
【０２３１】
また、演出図柄８の変動表示は、特別図柄の変動パターンにより定まる変動時間にしたがって行われ、変動時間の経過に伴って変動表示を停止するが、本実施例では、変動表示を停止する際の態様として複数の停止態様（停止パターン）を有している。具体的に、主な停止態様として、（１）演出図柄８Ｌ（左図柄）、８Ｃ（中図柄）、８Ｒ（右図柄）の各図柄の停止順序（「停止順」ともいう）が「左図柄→中図柄→右図柄」とされる停止態様（「第１停止態様」ともいう）と、（２）各図柄の停止順が「左図柄→右図柄→中図柄」とされる停止態様（「第２停止態様」ともいう）と、（３）各図柄のすべての停止時期（停止タイミング）が略同じ（「同時停止」ともいう）とされる停止態様（「第３停止態様」ともいう）と、（４）左図柄と右図柄の停止時期が略同じでその後に中図柄が停止するものとされる停止態様（「第４停止態様」ともいう）と、を有している。これら停止態様（停止パターン）は、演出図柄遊技演出の実行態様に含まれるものであり、S4505にて選択（設定）される変動演出パターンによって、何れの停止態様で変動表示を停止するのかが決まるものとなっている。つまり、本実施例では、変動演出パターンの選択・決定（設定）が、停止態様（停止パターン）の選択・決定（設定）を兼ねている。但し、変動演出パターンの選択・決定（設定）と停止態様（停止パターン）の選択・決定（設定）を分けて処理することも可能である。尚、停止順が１番目の停止図柄のことを「第１停止図柄」ともいい、停止順が２番目の停止図柄のことを「第２停止図柄」ともいい、停止順が３番目の停止図柄のことを「第３停止図柄」や「最終停止図柄」ともいう。
【０２３２】
第１乃至第４停止態様のうち、第１停止態様（左図柄→中図柄→右図柄）は、主に演出モードＣ（状態Ｃ）のときに、第２特別図柄当否判定の結果が「小当り」であることに基づいて演出図柄８の変動表示が行われる場合の当該変動表示の停止に際して実行可能な停止態様である。
【０２３３】
第２停止態様（左図柄→右図柄→中図柄）は、主に（１）演出モードＡ、Ｂ（状態Ａ）のときに、第１特別図柄当否判定の結果が「外れ」又は「大当り」であることに基づいて演出図柄８の変動表示が行われる場合、（２）演出モードＥ（状態Ｂ）のときに、第２特別図柄当否判定の結果が「外れ」又は「大当り」であることに基づいて演出図柄８の変動表示がリーチ有りの変動態様（「リーチ変動」ともいう）又はリーチ無しの変動態様（「ノーマル変動」ともいう）で行われる場合、及び（３）演出モードＣ、Ｄ（状態Ｃ）のときに、第２特別図柄当否判定の結果が「外れ」又は「大当り」であることに基づいて演出図柄８の変動表示がリーチ変動又はノーマル変動で行われる場合の、当該変動表示の停止に際して実行可能な停止態様である。
【０２３４】
第３停止態様（全図柄同時停止）は、主に（１）演出モードＡ、Ｂ（状態Ａ）のときに、特図保留球数に応じた短縮変動の機能が働く状況下（変動開始時の特図１保留球数が「３」又は「４」）で第１特別図柄当否判定の結果が「外れ」となり、かつ、これに基づいて演出図柄８の変動表示がノーマル変動で行われる場合、（２）演出モードＥ（状態Ｂ）のときに、第２特別図柄当否判定の結果が「外れ」又は「小当り」であることに基づいて演出図柄８の変動表示がノーマル変動で行われる場合、（３）演出モードＣ、Ｄ（状態Ｃ）のときに、第２特別図柄当否判定の結果が「外れ」であることに基づいて演出図柄８の変動表示がノーマル変動で行われる場合、及び（４）演出モードＤ（状態Ｃ）のときに、第２特別図柄当否判定の結果が「小当り」であることに基づいて演出図柄８の変動表示が行われる場合の、当該変動表示の停止に際して実行可能な停止態様である。
【０２３５】
第４停止態様（左・右図柄同時停止→中図柄）は、主に演出モードＤ（状態Ｃ）のときに、第２特別図柄当否判定の結果が「外れ」又は「大当り」であることに基づいて演出図柄８の変動表示がリーチ変動で行われる場合の当該変動表示の停止に際して実行可能な停止態様である。
【０２３６】
このように演出図柄８の変動表示を停止する際の停止態様を、演出モード（遊技状態）や特別図柄当否判定の結果に基づく変動表示の態様、結果（停止表示態様）に応じて複数設けることで、停止態様を遊技の状況に応じて異ならせて多様にすることが可能となる。また、遊技者にとっては、演出図柄８の変動表示が停止する際の停止態様に注目して、その後に表示（導出表示）される演出図柄８の表示態様（停止表示態様）を推測することが可能となり、その停止態様を通じて、実行され得る特別遊技の種類やその実行有無、可能性等を推測することも可能となる。これにより、変動表示が停止する際の停止態様に遊技者を注目させて、その後の特別遊技に対する期待感を煽ることが可能となる。
【０２３７】
尚、上記第１乃至第４停止態様の他にも、例えば、演出図柄８を構成する３つの図柄の停止順が「右図柄→左図柄→中図柄」とされる停止態様（第５停止態様）や、左図柄と中図柄の停止時期が略同じでその後に右図柄が停止するものとされる停止態様（第６停止態様）等、種々の停止態様を設けることが可能であり、各停止態様が実行される条件も本実施例に限定されるものではなく、様々に定めることが可能である。
【０２３８】
また、本実施例では、演出図柄８を構成する「１」〜「９」の図柄を色別に分類できるように彩色を施しており、その色により図柄の種類（図柄種）を定めている。この図柄種は、図５３に示すように、遊技状態（演出モード）に対応するものとなっている。具体的に、状態Ａ（演出モードＡ、Ｂ）では、奇数図柄のうち「７」を赤色の図柄（以下「赤図柄」ともいう）、これ以外の奇数図柄である「１」、「３」、「５」、「９」を緑色の図柄（以下「緑図柄」ともいう）とし、偶数図柄である「２」、「４」、「６」、「８」を青色の図柄（以下「青図柄」ともいう）としている。一方、状態Ｂ、Ｃ（演出モードＣ、Ｄ、Ｅ）では、奇数図柄のうち「３」、「５」、「７」を赤図柄、これ以外の奇数図柄である「１」、「９」を緑図柄とし、偶数図柄である「２」、「４」、「６」、「８」を青図柄としている。
【０２３９】
尚、図５３に示す本実施例に係る図柄と色の対応関係はあくまでも一例であり、これ以外の対応関係を採ることが可能であり、色の種類も本実施例に限定されるものではなく、他の色を用いることが可能である。また、本実施例では色により図柄種（赤図柄、緑図柄、青図柄）を定めているが、色以外の要素によっても定めることが可能である。例えば、演出図柄にキャラクタが付されている場合のキャラクタの種類や、数字を表した演出図柄（数字図柄）の他に所定の文字を表した演出図柄（文字図柄）を有する場合の数字図柄と文字図柄によって、図柄種を定めてもよく、さらには、単に奇数図柄と偶数図柄によって図柄種を定めもよい。
【０２４０】
演出図柄８の変動表示が行われ、前述した停止態様にしたがって変動表示を停止したときに表示（導出表示）される演出図柄８（８Ｌ、８Ｃ、８Ｒ）の図柄組合せ（停止表示態様）により、当該変動表示の結果が報知される。本実施例では、基本的な図柄組合せ（停止表示態様）として、３つの演出図柄８Ｌ、８Ｃ、８Ｒがすべて異なる図柄（数字）となる「完全バラケ目」（「１２４」等）と、演出図柄８Ｌ（左図柄）と演出図柄８Ｒ（右図柄）とが同じ図柄（数字）であり残りの演出図柄８Ｃ（中図柄）が他と異なる図柄（数字）である「リーチバラケ目」（「３４３」等）を、当り遊技の実行契機とならない外れ態様（非特定態様）としている。一方、３つの演出図柄８Ｌ、８Ｃ、８Ｒがすべて同一となる「ゾロ目」（「７７７」等）を、４Ｒ以上の大当り遊技（図６参照）の実行契機となる大当り態様（特定態様）としている。
【０２４１】
このような基本的な図柄組合せを前提に、本実施例では、バラケ目のうち「リーチバラケ目」を、２Ｒの大当り遊技（図６参照）の実行契機となる２Ｒ大当り態様にも兼用している。これは、２Ｒの大当り遊技は、４Ｒ以上の大当り遊技（４Ｒ大当り遊技、１５Ｒ大当り遊技）に比べて遊技者が獲得できる賞球の個数（獲得賞球数）が少ないことや、状態Ｃ（高確低ベース状態）に比して小当り遊技での賞球獲得（持ち球増加）が困難となる状態Ｂ（高ベース状態）の設定契機となる特別遊技であること、すなわち、遊技者にとっての有利度合（利益量）が相対的に低い特別遊技であること等の理由によるものである。また、バラケ目のうち「完全バラケ目」を、状態Ｂ（高ベース状態）での小当り遊技（第２特別図柄）の実行契機となる小当り態様にも兼用している。これは、前述したように、状態Ｂでは、ほとんどの期間、第２始動口２１が開状態となっているため、第２始動口２１の下流側に位置する小当り用大入賞口（第２大入賞口３５）への入球は困難となり、小当りによる利益を得られる可能性が極めて低い（限りなくゼロに近い）からである（実質的に外れと同等）。さらに、バラケ目のうち後述する「特定のバラケ目」を、状態Ｃ（高確低ベース状態）での小当り遊技（第２特別図柄の小当り）の実行契機となる小当り態様としている。ここで、小当り態様（特定のバラケ目）のことを「第１表示態様」ともいい、大当り態様（ゾロ目）のことを「第２表示態様」ともいい、外れ態様（完全バラケ目、リーチバラケ目）のうちリーチバラケ目のことを「第３表示態様」ともいい、外れ態様（完全バラケ目、リーチバラケ目）のうち完全バラケ目のことを「第４表示態様」ともいう。
【０２４２】
尚、状態Ａ（低確低ベース状態）は、左打ち遊技を行うのが基本とされる遊技状態であるため、主として第１特別図柄当否判定（第１特別図柄の変動表示）が行われるのであり、第１特別図柄の変動表示中に第２特別図柄当否判定（第２特別図柄の変動表示）が行われることは稀であることから、このような状況下で第２特別図柄当否判定が行われた場合には、これに対応する演出図柄８の変動表示を画像表示装置７の表示画面７ａ上で行うことはなく、演出表示器１０２による変動表示（及び停止表示）だけを行うものとしている。同様に、状態Ｂ（高ベース状態）及び状態Ｃ（高確低ベース状態）は、右打ち遊技を行うのが基本とされる遊技状態であるため、主として第２特別図柄当否判定（第２特別図柄の変動表示）が行われるのであり、第２特別図柄の変動表示中に第１特別図柄当否判定（第１特別図柄の変動表示）が行われることは稀であることから、このような状況下で第１特別図柄当否判定が行われた場合には、これに対応する演出図柄８の変動表示を画像表示装置７の表示画面７ａ上で行うことはなく、演出表示器１０２による変動表示（及び停止表示）だけを行うものとしている。但し、現在の遊技状態（左打ち遊技、右打ち遊技）に反する特別図柄当否判定が行われて「大当り」の判定結果が得られた場合（例えば、状態Ｃにて第１特別図柄当否判定が行われて大当りとなった場合）、画像表示装置７、第２画像表示装置７１及び第３画像表示装置７２のうち一又は二以上の表示装置にて、その大当りの発生を示唆する演出表示を行う。これにより、現在の遊技状態（主たる特別図柄の変動表示）に対応する演出図柄８の演出表示（変動演出）が表示画面７ａ上で主として行われるなか、主たる特別図柄の変動表示と並行して行われる特別図柄の変動表示の結果が大当りである旨を遊技者に知らしめることが可能となる。また、そうした大当りの発生の示唆を行うことで、大当りの発生に遊技者が気付くことなく遊技を止める等して利益獲得の機会を逸してしまうといった事態を回避することが可能となる。
【０２４３】
［状態Ａの遊技演出］
次に、遊技状態が状態Ａ（低確低ベース状態）に制御されているときに行われる遊技演出について説明する。状態Ａで行われる遊技演出は、主に、第１特別図柄当否判定の結果に基づいて、第１特別図柄の変動表示に同期して行われる演出図柄遊技演出（変動演出）である。前述したように、状態Ａでは、演出モードとして「Ａ」又は「Ｂ」が設定される。このため、状態Ａの演出図柄遊技演出は、画像表示装置７の表示画面７ａに演出モードＡ又はＢに対応する背景画像等（図示せず）が表示された状況下で行われる。本実施例では、状態Ａでの演出モードの設定や移行を、サブ制御部９０（演出制御用マイコン９１）による制御のもと、予め定められたモード制御条件にしたがって自動的に行うものとしている。このため、状態Ａにおける演出モードの設定について遊技者が関与することはできないものとなっている。
【０２４４】
また、状態Ａでは、演出図柄８として、青図柄からなる「２」、「４」、「６」、「８」の図柄と、緑図柄からなる「１」、「３」、「５」、「９」の図柄と、赤図柄からなる「７」の図柄が表示される（図５３参照）。これら各図柄の表示は、画像制御用マイコン１０１が、画像制御基板１００のＲＯＭから対応する図柄の画像データ（図柄データ）を読み出して、これを画像表示装置７の表示画面７ａに表示することにより実行される。
【０２４５】
こうした演出モードおよび図柄種のもと、図５４に示すように、演出図柄８の変動表示が開始されると（図５４（ａ）参照）、その変動表示は、基本的には第２停止態様（左図柄→右図柄→中図柄）で停止され（図５４（ｂ）→（ｃ）→（ｄ）、（ｅ）→（ｆ）参照）、特図１保留球数に応じた短縮変動の機能が働くとき（図９、図２４のS1707を参照）には第３停止態様（同時停止）で停止される（図５４（ｇ）参照）。ここで、左図柄（演出図柄８Ｌ）と右図柄（演出図柄８Ｒ）とが同じ図柄で停止するとリーチ成立となり（図５４（ｆ）参照）、その後、中図柄（演出図柄８Ｃ）が変動表示を停止するまでの間、画像表示装置等でリーチ演出が実行される。リーチ演出では主に、中図柄（最終停止図柄）が、先に停止した図柄と同じ図柄で停止するか否か（大当り態様が表示されるか否か）を示す演出が展開される。このリーチ成立やリーチ演出に関しては、状態Ｂ、Ｃにおいても同様である。
【０２４６】
こうして演出図柄８の変動表示が行われるなか、変動表示の結果として演出図柄８がバラケ目（完全バラケ目またはリーチバラケ目）で表示された場合は「外れ」となる。一方、変動表示の結果として演出図柄８が大当り態様（ゾロ目）で表示されると、大当り遊技が実行可能となり、大当り遊技が開始されると、画像表示装置７の表示画面７ａ上の表示内容が、第１特別図柄に係る４Ｒ大当り用の大当り遊技演出に切り換わる。そして、当該大当り遊技が「４Ｒ第１大当り」に係るものである場合には、その大当り遊技終了後の遊技状態が状態Ｃ（高確低ベース状態）となり、「４Ｒ第２大当り」に係るものである場合には、その大当り遊技終了後の遊技状態が状態Ｂ（低確高ベース状態）となる（図６参照）。
【０２４７】
［状態Ｂの遊技演出］
次に、遊技状態が状態Ｂ（低確高ベース状態又は高確高ベース状態）に制御されているときに行われる遊技演出について説明する。尚、高確高ベース状態は、状態Ｃ（高確低ベース状態）において「２Ｒ第５大当り」又は「２Ｒ第６大当り」が発生した場合に、これに基づく大当り遊技の終了後に設定される。
【０２４８】
状態Ｂで行われる遊技演出は、主に、第２特別図柄当否判定の結果に基づいて、第２特別図柄の変動表示に同期して行われる演出図柄遊技演出（変動演出）である。前述したように、状態Ｂでは、演出モードとして「Ｅ」が設定される。このため、状態Ｂの演出図柄遊技演出は、画像表示装置７の表示画面７ａに演出モードＥに対応する背景画像等（図示せず）が表示された状況下で行われる。本実施例では、状態Ｂに対応する演出モードＥの設定を、サブ制御部９０（演出制御用マイコン９１）による制御のもと、状態Ｂへの移行に伴って自動的に行うものとしている。このため、演出モードＥの設定について遊技者が関与することはできないものとなっている。
【０２４９】
また、状態Ｂでは、演出図柄８として、青図柄からなる「２」、「４」、「６」、「８」の図柄と、緑図柄からなる「１」、「９」の図柄と、赤図柄からなる「３」、「５」、「７」の図柄が表示される（図５３参照）。これら各図柄の表示は、画像制御用マイコン１０１が、画像制御基板１００のＲＯＭから対応する図柄の画像データ（図柄データ）を読み出して、これを画像表示装置７の表示画面７ａに表示することにより実行される。尚、本実施例では、状態Ａと状態Ｂとで演出図柄８の態様（デザイン）が異なるものとしている。
【０２５０】
こうした演出モードおよび図柄種のもと、図５５に示すように、演出図柄８の変動表示が開始されると（図５５（ａ）参照）、その変動表示は、基本的には第３停止態様（同時停止）で停止される（図５５（ｂ）参照）。これは、状態Ｂでは、第２特別図柄時短機能および高ベース発生機能が作動することから、リーチ無しの外れ変動や小当り変動を極力短時間で消化して遊技を円滑に進行できるようにするためである。変動表示が第３停止態様（同時停止）で停止する場合、遊技者にとっては、その停止をもって直ぐに特別遊技（大当り遊技）の実行可能性がないことが明らかになるので、遊技者の期待感を徒に煽ることはない。一方、リーチ有りの外れ変動または大当り変動（つまり「リーチ変動」）が行われる場合や、リーチ変動と見せかけて実はノーマル変動である「リーチ煽り外れ変動」（リーチ無しの変動態様の一種）が行われる場合には、演出図柄８の変動表示は第２停止態様（左図柄→右図柄→中図柄）で停止される（図５５（ｃ）→（ｄ）、（ｃ）→（ｅ）→（ｆ）参照）。
【０２５１】
こうして演出図柄８の変動表示が行われるなか、変動表示の結果として演出図柄８が外れ態様（バラケ目）で表示された場合は「外れ」となる。一方、変動表示の結果として演出図柄８が大当り態様（ゾロ目）で表示されると大当り遊技が実行可能となり、大当り遊技が開始されると、表示画面７ａ上の表示内容が大当り遊技演出に切り換わり、大当り遊技の進行に合わせてラウンド演出等が行われる。状態Ｂにて演出図柄８がゾロ目の大当り態様で表示された場合の大当り遊技は「１５Ｒ第３大当り」又は「４Ｒ第４大当り」に係るものであるため、大当り遊技演出としては、１５Ｒ第３大当り用の大当り遊技演出又は４Ｒ第４大当り用の大当り遊技演出が行われる。そして、当該大当り遊技終了後の遊技状態は状態Ｃ（高確低ベース状態）となる（図６参照）。
【０２５２】
また、変動表示の結果として演出図柄８が２Ｒ大当り態様（リーチバラケ目）で表示された場合には、大当り遊技の開始に伴い、表示画面７ａ上の表示内容が２Ｒ大当り用の大当り遊技演出に切り換わる。そして、開始された大当り遊技が「２Ｒ第５大当り」又は「２Ｒ第６大当り」に係るものである場合には、当該大当り遊技終了後の遊技状態は高確高ベース状態（状態Ｂ）となり、その大当り遊技が「２Ｒ第７大当り」又は「２Ｒ第８大当り」に係るものである場合には、当該大当り遊技終了後の遊技状態は低確高ベース状態（状態Ｂ）となる（図６参照）。
【０２５３】
さらに、状態Ｂにて第２特別図柄当否判定の結果が小当りとなり、これに基づく演出図柄８の変動表示が行われる場合、その変動表示はノーマル変動で行われて第３停止態様で停止される。そして、変動表示の結果として演出図柄８が完全バラケ目（外れ態様）で表示される（図５５（ｂ）参照）。状態Ｂにて小当りとなった場合、小当り遊技が実行されるが、当該小当り遊技が開始されても、表示画面７ａ上の表示内容は演出図柄遊技演出ののまま（ここでは演出図柄８が完全バラケ目で表示された状態）となり、小当り遊技中の演出（小当り遊技演出）は特に行われない。これは、前述したように、状態Ｂにおける小当りは実質的に外れと同等だからである。そして、当該小当り遊技終了後の遊技状態は、特別図柄の変動回数に基づく遊技状態の移行タイミングと重ならない限り、状態Ｂのままとなる。
【０２５４】
尚、状態Ｂである低確高ベース状態において、大当りが発生することなく特別図柄（主に第２特別図柄）の変動表示が所定回数（本実施例では５０回又は１００回）行われた場合、その所定回数目の変動表示（外れ変動）の終了（停止）をもって遊技状態が状態Ａ（低確低ベース状態）に移行し、演出モードが「Ｅ」から「Ａ」又は「Ｂ」に移行する。また、状態Ｂである高確高ベース状態において大当りが発生することなく特別図柄（主に第２特別図柄）の変動表示が所定回数（本実施例では５０回又は１００回）行われた場合、その所定回数目の変動表示（外れ変動）の終了（停止）をもって遊技状態が状態Ｃ（高確低ベース状態）に移行し、演出モードが「Ｅ」から「Ｃ」又は「Ｄ」に移行する。
【０２５５】
［状態Ｃの遊技演出］
次に、遊技状態が状態Ｃ（高確低ベース状態）に制御されているときに行われる遊技演出について説明する。状態Ｃで行われる遊技演出は、主に、第２特別図柄当否判定の結果に基づいて、第２特別図柄の変動表示に同期して行われる演出図柄遊技演出（変動演出）と、小当り発生に伴う演出（小当り遊技演出）である。状態Ｃは、次の大当りが発生するまで小当りを頻発させることで、大当り間において小当りによる多くの賞球獲得が期待できる有利な遊技状態（特定遊技状態）である。このことから、状態Ｃでは、演出図柄遊技演出と小当り遊技演出とを連携させた特別な演出を行うこととしている。この点についての詳細は後述する。
【０２５６】
また、前述したように、状態Ｃでは、演出モードとして「Ｃ」又は「Ｄ」が設定される。このため、状態Ｃの遊技演出は、画像表示装置７の表示画面７ａに演出モードＣ又はＤに対応する背景画像等が表示された状況下で行われる。状態Ｃにおける演出モードの設定等は、前述の状態Ａや状態Ｂと同様にサブ制御部９０（演出制御用マイコン９１）による制御下で行われるが、本実施例では、後述するモード選択期間中に遊技者が第１演出ボタン６３ａを操作して演出モードを選択することが可能となっており、その選択結果に基づいて演出モードＣ又はＤが設定されるものとなっている。また、状態Ｃでは、状態Ｂと同様に、演出図柄８として、青図柄からなる「２」、「４」、「６」、「８」の図柄と、緑図柄からなる「１」、「９」の図柄と、赤図柄からなる「３」、「５」、「７」の図柄が表示される（図５３参照）。尚、本実施例では、状態Ｂと状態Ｃとで演出図柄８の態様（デザイン）を同様のものとしている。
【０２５７】
ここで、状態Ｃにおける「演出モードＣ」と「演出モードＤ」とでは、画像表示装置７の表示画面７ａ上で展開される遊技演出の内容（演出の仕様）が大きく異なるものとなっている。そこで、以下では、「演出モードＣ」と「演出モードＤ」に分けて、各演出モードにおける遊技演出について説明する。
【０２５８】
［演出モードＣ］
図５６（ａ）に示すように、演出モードＣでは、画像表示装置７の表示画面７ａの中央近傍に演出図柄８が表示され、演出図柄８の背後に、演出モードＣに対応する背景画像として所定のキャラクタが表示される。ここで表示されるキャラクタには、味方キャラクタ（第１キャラクタ）と敵キャラクタ（第２キャラクタ）があり、両キャラクタが対峙するようにして表示される。これらのキャラクタは、図柄の変動表示が行われていないときにも表示される。味方キャラクタと敵キャラクタには、それぞれ複数種のキャラクタが存在し、そのうちの一の味方キャラクタ（「味方キャラ」ともいう）及び一の敵キャラクタ（「敵キャラ」ともいう）が、演出モードＣの設定の際に表示される。キャラクタによる演出（キャラクタ演出）としては、例えば、味方キャラが敵キャラに攻撃を加えたり、味方キャラが敵キャラからの攻撃を受けたりする等の態様で演出表示が行われる。こうしたキャラクタによる演出（キャラクタ演出）は、変動演出パターンに基づく変動演出として行われる場合（識別情報の変動表示に伴って行われる場合）と、変動表示の結果が小当りとなって小当り遊技が行われるときの小当り遊技演出として行われる場合（変動表示終了後の特別遊技に伴って行われる場合）とがある。
【０２５９】
また、表示画面７ａの右上部には、右打ちを指示する右打ち指示画像Ｍが表示され、表示画面７ａの右下部（第１表示部）には、獲得賞球数（獲得利益量）を示す賞球カウント画像Ｃ１が表示される。本実施例の賞球カウント画像Ｃ１は、「０００００」〜「９９９９９」の５桁の数字を表示可能な画像（数字画像）と、「ｐｔ」の文字画像とからなる。この賞球カウント画像Ｃ１は、主に、大当り遊技や小当り遊技等により遊技者が獲得した賞球数（獲得賞球数）を示すものであり、大当り遊技後の遊技状態が状態Ｂ又は状態Ｃとなった場合には、その後に遊技状態が状態Ａ（大当り遊技中を除く）に戻るまで、その間の獲得賞球数（所謂、連荘期間中の獲得賞球数）を示すものとしている。また、状態Ｃ（高確低ベース状態）は、小当りが頻発する（小当り遊技の実行頻度が高くなる）有利状態であることから、小当り遊技での賞球獲得（持ち球増加）を演出するために賞球カウント画像Ｃ１を表示することとしている。つまり、小当り遊技演出として、賞球カウント画像Ｃ１による演出表示（入球演出）を行うこととしている。小当り発生に伴う演出についての詳細は後述する。
【０２６０】
こうした画面構成の演出モードＣにおける演出図柄８の変動表示（変動演出）の基本的な流れについて、図５７を用いて説明する。尚、図５７では、説明の便宜上、演出保留（保留図柄）や右打ち指示画像Ｍ、背景等の一部表示内容を省略している。図５７に示すように、演出図柄８の変動表示が開始されると（図５７（ａ）参照）、その変動表示は、基本的には第３停止態様（同時停止）で停止される（図５７（ｂ）参照）。これは、状態Ｃでは、第２特別図柄時短機能が作動することから、リーチ無しの外れ変動を極力短時間で消化して遊技を円滑に進行できるようにするためである。演出図柄８の変動表示が第３停止態様（同時停止）で停止した場合、遊技者にとっては、その停止をもって直ちに特別遊技（大当り遊技、小当り遊技）の実行可能性がないことが明らかとなる。このため、変動表示が第３停止態様で停止する場合は遊技者の期待感を高めるための演出（煽り演出）が行われることはない。一方、リーチ変動（外れ又は大当り）やリーチ煽り外れ変動が行われる場合には、演出図柄８の変動表示は第２停止態様（左図柄→右図柄→中図柄）で停止される（図５７（ｃ）→（ｄ）、（ｃ）→（ｅ）→（ｆ）参照）。また、第２特別図柄当否判定の結果が「小当り」であることに基づいて演出図柄８の変動表示が行われる場合、演出図柄８の変動表示は第１停止態様（左図柄→中図柄→右図柄）で停止される（図５７（ｇ）→（ｈ）→（ｉ）参照）。
【０２６１】
こうして演出図柄８の変動表示が行われるなか、変動表示の結果として演出図柄８が外れ態様（バラケ目）で表示された場合は「外れ」となる。一方、変動表示の結果として演出図柄８が大当り態様（ゾロ目）で表示されると大当り遊技が実行可能となり、大当り遊技が開始されると、表示画面７ａ上の表示内容が大当り遊技演出に切り換わり、大当り遊技の進行に合わせてラウンド演出等が行われる。状態Ｃにて演出図柄８がゾロ目の大当り態様で表示された場合の大当り遊技は「１５Ｒ第３大当り」又は「４Ｒ第４大当り」に係るものであるため、この場合、１５Ｒ第３大当り用の大当り遊技演出又は４Ｒ第４大当り用の大当り遊技演出が行われる。そして、当該大当り遊技終了後の遊技状態は状態Ｃ（高確低ベース状態）となる（図６参照）。
【０２６２】
また、変動表示の結果として演出図柄８が２Ｒ大当り態様（リーチバラケ目）で表示された場合には、大当り遊技の開始に伴い、表示画面７ａ上の表示内容が２Ｒ大当り用の大当り遊技演出に切り換わる。この場合の大当り遊技演出としては、状態Ｃの終了、すなわち、小当りが頻発する有利状態の終了を示す内容の演出表示が、２Ｒ大当り遊技の開始から終了にかけて行われる。そして、開始された大当り遊技が「２Ｒ第５大当り」又は「２Ｒ第６大当り」に係るものである場合には、当該大当り遊技終了後の遊技状態は高確高ベース状態（状態Ｂ）となり、その大当り遊技が「２Ｒ第７大当り」又は「２Ｒ第８大当り」に係るものである場合には、当該大当り遊技終了後の遊技状態は低確高ベース状態（状態Ｂ）となる（図６参照）。
【０２６３】
また、演出モードＣ（状態Ｃ）にて第２特別図柄当否判定の結果が小当りとなり、これに基づく演出図柄８の変動表示が行われる場合、その変動表示はノーマル変動で行われて第１停止態様（左図柄→中図柄→右図柄）で停止される。そして、変動表示の結果として演出図柄８が特定のバラケ目（小当り態様）で表示される（図５７（i）参照）。ここで、本実施例では、左図柄、中図柄および右図柄がすべて赤図柄であって３つの図柄のうち隣り合う２つの図柄が同じで残り１つが異なる図柄組合せ（「３３５」、「３５５」、「５５７」等）を、特定のバラケ目（小当り態様）としている。特定のバラケ目（小当り態様）を構成する図柄組合せは、リーチ成立とはならないものの、隣り合う２つの図柄が同じ図柄（数字）となる組合せを構成することから、このような図柄組合せのことを「リーチ配列」ともいう。
【０２６４】
特定のバラケ目（第１表示態様）を構成する図柄（「３」、「５」、「７」）のうち、「３」と「５」の図柄は、状態Ａでは特定のバラケ目を構成し得ない緑図柄（第１図柄種）であるが、状態Ｃでは、特定のバラケ目を構成し得る赤図柄（第２図柄種）となっている（図５３参照）。つまり、「３」と「５」の図柄は、遊技状態によって図柄種が変化する図柄となっている。これにより、演出図柄の図柄種（本例では色の種類）に遊技者を注目させて、遊技に対する興味を惹くことが可能となる。
【０２６５】
尚、本実施例では、状態Ａにて緑図柄とされる演出図柄（「１」、「３」、「５」、「９」）の一部を、状態Ｃでは特定のバラケ目（第１表示態様）を構成し得る赤図柄としているが、例えば、状態Ａにて青図柄とされる演出図柄（「２」、「４」、「６」、「８」）の一部を赤図柄としたり、状態Ａにて青図柄とされる演出図柄（「２」、「４」、「６」、「８」）と、緑図柄とされる演出図柄（「１」、「３」、「５」、「９」）のそれぞれの一部（例えば「４」と「５」）を赤図柄としたりすることも可能である。また、図柄種として、状態Ａでは存在しない状態Ｃ専用の図柄種を設け、この専用の図柄種に属する図柄により特定のバラケ目（第１表示態様）を構成するようにしてもよい。例えば、状態Ｃ専用の図柄種として金色の図柄（金図柄）を設け、状態Ａにて緑図柄とされる演出図柄の一部を、状態Ｃにおいて金図柄とすることができる。これにより、特定のバラケ目を構成し得る図柄種をより際立たせて、遊技者の注目を集めやすくすることが可能となる。あるいは、本実施例では、状態Ａで緑図柄（第１図柄種）とされる「３」と「５」の図柄が状態Ｃでは赤図柄（第２図柄種）とされるが、この場合において、状態Ａでは当初から赤図柄（第２図柄種）であった「７」の図柄を、状態Ｃでは金図柄とするように構成してもよい。この場合、赤図柄（第２図柄種）である「３」と「５」の図柄を、特定のバラケ目を構成し得る図柄とし、金図柄（第３図柄種）である「７」の図柄を、大当りのうち１５Ｒ第３大当りに対応する１５Ｒ大当り態様（「７」のゾロ目）とすることができる。これにより、特定のバラケ目（小当り態様）を構成し得る図柄種（赤図柄）と、特定のゾロ目（１５Ｒ大当り態様）を構成する図柄種（金図柄）とを明確に区別して、当り種別と図柄種との対応を分かりやすく示すことが可能となる。
【０２６６】
また、本実施例では、演出モードＣでの小当り態様（赤図柄のリーチ配列）の導出表示（変動表示の停止）に際して、他の演出モードでは出現し得ない第１停止態様（左図柄→中図柄→右図柄の停止順）で、演出図柄８の変動表示を停止するものとしている。このため、小当り態様（赤図柄のリーチ配列）だけでなく、その小当り態様が表示される契機となる変動表示の停止態様にも遊技者を注目させるものとなっている。さらに、演出モードＣでは、小当り態様の導出表示（変動表示の停止）に際して、小当り態様（赤図柄のリーチ配列）の表示を強調する演出表示を行うものとしている。具体的には、小当り態様を構成する各図柄（赤図柄）の中央を通って第１停止態様の停止順に沿って横方向（水平方向）に延びる一本のライン画像と、各図柄の周囲を飾る画像（飾り画像）とからなる、エフェクト画像Ｅ（演出効果画像）を表示するものとしている。これにより、小当り態様の表示（小当り遊技が実行されること）を、第１停止態様による変動表示の停止に際して強調して示すことが可能となり、変動表示が第１停止態様で停止する際の演出効果を高めることが可能となる。尚、エフェクト画像Ｅの態様は本実施例に限定されるものではなく、他の様々な態様を採ることが可能である。
【０２６７】
加えて、小当り態様の表示を契機として実行される小当り遊技にて遊技球が第２大入賞口３５に入球すると、その入球ごとに、賞球カウント画像Ｃ１により示される獲得賞球数（数字画像）が加算表示（更新）される。本実施例では、第２大入賞口３５への入球に基づく賞球は、１個の入球に対して１０個の賞球とされているため、賞球カウント画像Ｃ１により示される獲得賞球数は１０個単位で加算される。さらに、小当り態様の表示を契機として小当り遊技が実行される場合、当該小当り遊技の実行に伴って、表示画面７ａに背景画像として表示される味方キャラ（第１キャラクタ）と敵キャラ（第２キャラクタ）による演出表示（キャラクタ演出）を行うものとしている。具体的には、味方キャラと敵キャラの何れか一方（例えば味方キャラ）が他方（例えば敵キャラ）に攻撃を加えたり仕掛けたりする態様の演出表示（「第１演出」ともいう）を行うものとしている。この場合のキャラクタ演出（「キャラクタ演出表示」ともいう）は、両キャラクタの対決シーンを描いた後述のバトル演出を含まない。小当り遊技の実行期間は、小当り用大入賞口（第２大入賞口３５）の開放時間に準じて定まるが、小当り遊技での第２大入賞口３５の開放時間は通じて１．８秒であるため、この時間でバトル演出の実行時間を確保するのは困難だからである。このように実行時間の短い小当り遊技に伴ってキャラクタ演出を行うことにより、当該キャラクタ演出と、後述の変動演出として行うキャラクタ演出とを関連性のある演出とすることが容易となり、変動表示から小当り遊技にかけて、味方キャラと敵キャラによる一体感のある演出（キャラクタ演出）を得ることが可能となる。ここで、小当りに伴う賞球カウント画像Ｃ１の加算表示は、第２大入賞口センサ３５ａによる遊技球の検知に基づいて主制御部８０から送信される第２大入賞口入球コマンドをサブ制御部９０が受信することに基づいて行われ、小当りに伴うキャラクタ演出表示は、主制御部８０から送信される小当りのオープニングコマンド（S2066）をサブ制御部９０が受信することに基づいて行われることから、これらの演出は何れも小当り遊技演出に該当するものである（S4407,S4408）。尚、賞球カウント画像Ｃ１により示す獲得賞球数（獲得利益量）を加算表示する演出のことを「第１利益演出」ともいう。
【０２６８】
このように演出モードＣ（状態Ｃ）では、演出図柄８の第１停止態様での停止や小当り態様（赤図柄のリーチ配列）の表示が高頻度で発生し、これに伴い小当り遊技での賞球カウント画像Ｃ１の加算表示やキャラクタ演出表示が高頻度で実行され得るため、こうした演出図柄遊技演出（変動演出）と小当り遊技演出との連携により、小当りの発生を遊技者に強く印象付けることが可能となる。これにより、小当り頻発による賞球獲得（持ち球増加）に対する期待感を煽り、演出モードＣ（状態Ｃ）の遊技興趣を高めることが可能となる。尚、小当りに伴うキャラクタ演出表示を、賞球カウント画像Ｃ１の加算表示と同様に、主制御部８０からの第２大入賞口入球コマンドをサブ制御部９０が受信することに基づいて行うように構成してもよい。この場合、小当り遊技にて遊技球が第２大入賞口３５に入球しなければキャラクタ演出は行われないため、第２大入賞口３５に遊技球が入球した場合の当該入球を遊技者に強く印象付けることが可能となり、また、小当り遊技にて遊技球が第２大入賞口３５に入球したか否かの判別が容易となる。
【０２６９】
次に、演出モードＣでリーチ変動（外れ又は大当り）やリーチ煽り外れ変動が行われる場合の演出表示の内容（演出態様）について説明する。前述したように、演出モードＣでは、味方キャラ（第１キャラクタ）と敵キャラ（第２キャラクタ）が表示画面７ａに背景として表示された状態で、演出図柄遊技演出（演出図柄８の変動表示等）が行われる（図５６（ａ）参照）。また、リーチ変動（外れ又は大当り）が行われる場合と、リーチ煽り外れ変動が行われる場合には、演出図柄８の変動表示が第２停止態様（左図柄→右図柄→中図柄）で停止する（図５７（ｃ）→（ｄ）、（ｃ）→（ｅ）→（ｆ）参照）。こうした状況下で、リーチ変動またはリーチ煽り外れ変動の変動演出パターンに基づいて演出図柄８の変動表示が開始されると、その後、第２停止態様にしたがって左図柄（演出図柄８Ｌ）が最初に停止するが（図５７（ｃ）参照）、左図柄（第１停止図柄）が停止すると、背景に表示される味方キャラと敵キャラの何れかが相手方に対して攻撃を仕掛けるシーンを描いた演出表示（第１演出）が行われる。この場合の第１演出は、右図柄（演出図柄８Ｒ、第２停止図柄）が停止する前に行われるキャラクタ（味方キャラ、敵キャラ）による演出（キャラクタ演出）である。この第１演出には、大別すると、味方キャラが敵キャラに対して攻撃を仕掛けるパターン（「第１演出パターンＡ」ともいう）と、敵キャラが味方キャラに対して攻撃を仕掛けるパターン（「第１演出パターンＢ」ともいう）の２つのパターンがあり、さらに、各パターンについて、それぞれ、仕掛ける攻撃の内容（種類）やその攻撃の成否等を定めた複数のパターンが存在する。こうした複数種のパターンを設けることで、第１演出が行われたときの当該演出内容により、今回の変動表示（当該変動）に関する情報（大当り信頼度、後に実行され得る演出の内容等）の示唆（予告）を行うものとしている。尚、第１演出は、味方キャラと敵キャラの何れか一方が他方に攻撃を仕掛けて終わる演出であり、後述のバトル演出を含まない。
【０２７０】
例えば、第１演出のパターン（「第１演出パターン」ともいう）が第１演出パターンＡ（味方キャラが攻撃を仕掛けるパターン）である場合、少なくとも、当該変動表示の結果として２Ｒ大当り態様が表示されないこと、すなわち、小当りが頻発する有利状態である状態Ｃの終了契機となる大当りが発生しないことを示唆する。この場合、当該変動では、その後、リーチが成立することなく右図柄（第２停止図柄）、中図柄（第３停止図柄）が停止して演出図柄８が完全バラケ目（外れ態様）で表示されるか（リーチ煽り外れ変動）、リーチ成立となってリーチ演出に発展したものの最終的に中図柄が左右図柄と異なる図柄で停止して演出図柄８がリーチバラケ目（外れ態様）で表示されるか（リーチ外れ変動）、または、リーチ演出を経て演出図柄８がゾロ目（大当り態様）で表示される（大当り変動）。一方、第１演出パターンが、それとは逆の第１演出パターンＢ（敵キャラが攻撃を仕掛けるパターン）である場合、当該変動表示の結果として状態Ｃの終了契機となる２Ｒ大当り態様が表示される可能性があることを示唆する。この場合、当該変動では、その後、リーチが成立することなく右図柄（第２停止図柄）、中図柄（第３停止図柄）が停止して演出図柄８が完全バラケ目（外れ態様）で表示されるか（リーチ煽り外れ変動）、リーチ成立となってリーチ演出に発展したものの最終的に中図柄が左右図柄と異なる図柄で停止して演出図柄８がリーチバラケ目（外れ態様又は２Ｒ大当り態様）で表示されるか（リーチ外れ変動又は２Ｒ大当り変動）、または、リーチ演出を経て演出図柄８がゾロ目（大当り態様）で表示される（大当り変動）。このように、左図柄（第１停止図柄）が停止することで行われる第１演出により、当該変動のその後の展開（リーチ成立の有無、遊技者にとって有利な展開となるか否か等）を示唆することが可能となっている。そして、第１演出パターンＢよりも第１演出パターンＡの方が、その後の展開が遊技者にとって有利となる可能性が高いことを示唆するものとなっている。このような第１演出パターンは、変動演出パターンに含まれるものであり、前述のS4505にて設定（選択）される変動演出パターンによって、複数種のパターンのうち何れのパターンで第１演出を実行するのかが決まるものとなっている。
【０２７１】
こうして左図柄（演出図柄８Ｌ、第１停止図柄）が停止した後（第１演出の実行後）、第２停止態様にしたがって右図柄（演出図柄８Ｒ、第２停止図柄）が停止するが、このとき停止する右図柄が左図柄と異なる図柄（数字）となれば、リーチ不成立となり、その後、中図柄（演出図柄８Ｃ、第３停止図柄）が停止して変動表示の終了となり、演出図柄８が完全バラケ目（外れ態様）で表示される。この場合、当該変動はリーチ煽り外れ変動ということになる（図５７（ｃ）→（ｅ）→（ｆ）参照）。
【０２７２】
一方、左図柄に続いて停止する右図柄が左図柄と同一の図柄（数字）となれば、リーチ成立となる。この時点で当該変動はリーチ変動ということになる（図５７（ｃ）→（ｄ）参照）。リーチが成立すると、表示画面７ａでは、所定のリーチ演出（「第２演出」ともいう）が行われる。第２演出は、リーチ成立後（第１演出の実行後）、中図柄（演出図柄８Ｃ、第３停止図柄）が未だ変動している状態で行われるキャラクタ（味方キャラ、敵キャラ）による演出（キャラクタ演出）であり、本実施例では、それまで背景として表示されていた味方キャラと敵キャラとの対決シーンを描いたバトル演出として行われる。この第２演出（バトル演出）には、大別すると、味方キャラが対決（バトル）に勝利するパターン（「第２演出パターンＡ」ともいう）と、味方キャラが対決（バトル）に敗北するパターン（「第２演出パターンＢ」ともいう）と、勝敗が決することなく対決（バトル）を終えるパターン（「第２演出パターンＣ」ともいう）との３つのパターンがあり、さらに各パターンについて、敵キャラの種類、味方キャラと敵キャラのどちらが先に攻撃をするのか（先制攻撃するキャラクタの種類）、その攻撃の内容、成否等を定めた複数のパターンが存在する。こうした複数種のパターンを設けることで、第２演出（バトル演出）が行われたときの当該演出内容により、今回の変動表示（当該変動）に関する情報（大当り信頼度等）の示唆を行うものとしている。
【０２７３】
例えば、図６４（ａ）に示すように、第２演出のパターン（「第２演出パターン」ともいう）のうち、第２演出パターンＡ（味方勝利パターン）には、味方キャラが先制攻撃をしてそのまま勝利するパターンと、敵キャラが先制攻撃をして最終的に味方キャラが勝利するパターンとがある。また、第２演出パターンＢ（味方敗北パターン）には、敵キャラが先制攻撃をして味方キャラが敗北するパターンがある。さらに、第２演出パターンＣ（勝敗未決着パターン）には、味方キャラが先制攻撃をするものの敵キャラがその攻撃をかわすパターンと、敵キャラが先制攻撃をして味方キャラがその攻撃に耐えるパターンとがある。これらの第２演出パターンに基づく第２演出（バトル演出）は、いずれも味方キャラ又は敵キャラの先制攻撃から始まるものとなり、その後の対決結果（バトル結果）が明らかになるまでの演出内容（対決シーン等）が、各パターンに応じて予め定められている。このような第２演出パターンは、変動演出パターンに含まれるものであり、前述のS4505にて設定（選択）される変動演出パターンによって、複数種のパターンのうち何れのパターンで第２演出（バトル演出）を実行するのかが決まるものとなっている。
【０２７４】
本実施例では、演出モードＣでのリーチ変動が、第２特別図柄当否判定の結果が大当り（１５Ｒ第３大当り又は４Ｒ第４大当り）であることに基づく大当り変動として行われる場合、すなわち、変動表示の結果として演出図柄８がゾロ目（大当り態様）で表示される場合、その大当り態様の表示前（導出表示前）に、第２演出パターンＡ（味方勝利パターン）に基づく第２演出（バトル演出）が行われる。この場合、当該変動表示の停止後（大当り態様の表示後）に１５Ｒ又は４Ｒの大当り遊技が行われ、当該大当り遊技後に遊技状態が再び状態Ｃ（高確低ベース状態）となる。このため、遊技者は、大当り遊技後に、再び、小当りが頻発する有利状態（状態Ｃ）での遊技を行うことが可能となる。このように大当り遊技を経て状態Ｃでの遊技を引き続き行えることから、第２演出パターンＡは味方キャラが勝利するパターンとなっている。
【０２７５】
また、演出モードＣでのリーチ変動が、第２特別図柄当否判定の結果が外れであることに基づく外れ変動（リーチ外れ変動）として行われる場合、すなわち、変動表示の結果として演出図柄８がリーチバラケ目（外れ態様）で表示される場合、その外れ態様の表示前（導出表示前）に、第２演出パターンＣ（勝敗未決着パターン）に基づく第２演出（バトル演出）が行われる。この場合、当該変動表示の停止後（外れ態様の表示後）は、状態Ｃでの遊技が継続されることとなる。このように状態Ｃでの遊技が継続することから、第２演出パターンＣは勝敗が決することなく対決（バトル）を終えるパターンとなっている。
【０２７６】
さらに、演出モードＣでのリーチ変動が、第２特別図柄当否判定の結果が２Ｒ大当り（２Ｒ第５乃至第８大当りの何れか）であることに基づく２Ｒ大当り変動として行われる場合、すなわち、変動表示の結果として演出図柄８がリーチバラケ目（２Ｒ大当り態様）で表示される場合、その２Ｒ大当り態様の表示前（導出表示前）に、第２演出パターンＢ（味方敗北パターン）に基づく第２演出（バトル演出）が行われる。この場合、当該変動表示の停止後（２Ｒ大当り態様の表示後）に２Ｒの大当り遊技が行われ、当該大当り遊技後に遊技状態が状態Ｂ（高ベース状態）となる。このため、遊技者にとっては、２Ｒ大当りの発生を契機として、小当りが頻発する有利状態（状態Ｃ）での遊技を終えることとなる。このように遊技状態が状態Ｃから２Ｒ大当りを経由して状態Ｂに移行することから、第２演出パターンＢは味方キャラが敗北するパターンとなっている。
【０２７７】
ここで、第２演出パターンＡ〜Ｃのうち、味方キャラが先制攻撃をする内容を含むパターンは、第２演出パターンＡ（味方勝利パターン）と第２演出パターンＣ（勝敗未決着パターン）であるため（図６４（ａ）参照）、遊技者にしてみれば、表示画面７ａ上でリーチ成立後にバトル演出（第２演出）が開始され、そのバトル演出での対決（バトル）が味方キャラの先制攻撃から始まった場合には、その時点で、少なくとも、２Ｒ大当りの可能性、すなわち、状態Ｃの終了の可能性はないと推測することができる。一方、敵キャラが先制攻撃をする内容を含むパターンは、第２演出パターンＡ〜Ｃのすべてが該当するため（図６４（ａ）参照）、遊技者にしてみれば、表示画面７ａ上でリーチ成立後にバトル演出（第２演出）が開始され、そのバトル演出での対決（バトル）が敵キャラの先制攻撃から始まった場合には、その時点で２Ｒ大当りの可能性（状態Ｃの終了の可能性）を排除することはできない。そして、敵キャラの先制攻撃の後、味方キャラが敗北してバトル演出が終了した場合、当該バトル演出（第２演出）のパターンは第２演出パターンＢということになるので、当該変動は２Ｒ大当り変動ということになり、その結果、状態Ｃでの遊技は終了となる。これに対し、敵キャラの先制攻撃の後、味方キャラが最終的に勝利してバトル演出が終了した場合、当該バトル演出（第２演出）のパターンは第２演出パターンＡということになるので、当該変動は１５Ｒ又は４Ｒの大当り変動ということになり、また、味方キャラが敵キャラの先制攻撃をかわしてバトル演出が終了した場合、当該バトル演出（第２演出）のパターンは第２演出パターンＣということになるので、当該変動は外れ変動ということになり、これらの場合は、何れも状態Ｃでの遊技が引き続き実行可能となる。このように演出モードＣにおけるリーチ変動では、第２演出パターンＡ〜Ｃに基づく第２演出（バトル演出）を行うことで、小当りが頻発する有利状態（状態Ｃ）が継続（勝利、未決着）するのか終了（敗北）するのかといった、遊技者の期待と不安を掻き立てる演出効果を得ることが可能となる。これにより、第１演出から第２演出（バトル演出）にかけての変動演出（キャラクタ演出）に遊技者の興味を惹きつけることが可能となり、演出モードＣ（状態Ｃ）の遊技興趣を高めることが可能となる。
【０２７８】
［演出モードＤ］
図５６（ｂ）に示すように、演出モードＤでは、画像表示装置７の表示画面７ａの右上に演出図柄８が演出モードＣ等の他の演出モードに比して小さいサイズ（縮小サイズ）で表示され（「縮小表示」ともいう）、表示画面７ａの略中央に戦闘機を模した主画像Ｘが表示される。このような画面構成を採る演出モードＤでは、普段は、画面右上にて演出図柄８の変動表示を行いつつ、主として戦闘機が飛行する様子を表した演出表示が表示画面７ａ上で展開されるものとなっている。そして、リーチ変動が行われる場合に、演出図柄８が前述した演出モードＣのように画面略中央に大きく表示され、リーチ成立を経て所定のリーチ演出（発展演出等）が表示画面の略全体を使って実行可能とされている。尚、本実施例では、演出モードＤでの主たる演出画像として戦闘機を模した主画像Ｘを表示するものとしているが、これ以外のものをモチーフとした画像を主たる演出画像として表示することも可能である。また、演出モードＤにおいても、演出モードＣと同様に、右打ち指示画像Ｍおよび賞球カウント画像Ｃ１が表示される。
【０２７９】
こうした画面構成の演出モードＤにおける演出図柄８の変動表示（変動演出）の基本的な流れについて、図５８を用いて説明する。尚、図５８においても、説明の便宜上、演出保留（保留図柄）等の一部表示内容を省略している。まず、演出モードＤでは、通常、主画像Ｘが飛行するシーンを描いた動画像が表示される。この動画像は図柄の変動表示が行われていないときにも表示される。演出図柄８の変動表示が開始されると（図５８（ａ）参照）、その変動表示は、基本的には、ノーマル変動（外れ又は小当り）の場合に第３停止態様（同時停止）で停止される（図５８（ｂ）参照）。第３停止態様で停止するのは、前述した演出モードＣと同様の趣旨によるものである。尚、演出モードＤでは、表示画面７ａの右上で演出図柄８の変動表示を行う場合の当該変動表示の態様を、図柄（数字）がスクロールせずにその場で順次切り替わっていく切替表示としている。一方、リーチ変動（外れ又は大当り）やリーチ煽り外れ変動が行われる場合には、主画像Ｘが非表示となって、それまで画面右上に小さく表示（縮小表示）されていた演出図柄８が表示画面７ａの略中央に大きく表示され、その変動表示が縦スクロールで行われる（図５８（ｃ）参照）。その後、演出図柄８の変動表示が第２停止態様（左図柄→右図柄→中図柄）又は第４停止態様（左・右図柄同時停止→中図柄）で停止される（図５８（ｃ）→（ｄ）→（ｅ）、（ｃ）→（ｅ）、（ｄ）→（ｆ）→（ｇ）参照）。尚、変動表示が第４停止態様（左・右図柄同時停止→中図柄）で停止する場合、主画像Ｘが非表示となった後、演出図柄８が表示画面７ａの略中央に大きく表示されるタイミングで、左図柄と右図柄とが略同時に停止して中図柄が変動表示（スクロール表示）するようしてもよい。
【０２８０】
こうして演出図柄８の変動表示が行われるなか、変動表示の結果として演出図柄８が外れ態様（バラケ目）で表示された場合は「外れ」となる。一方、変動表示の結果として演出図柄８が大当り態様（ゾロ目）で表示されると４Ｒ又は１５Ｒ大当り遊技が実行可能となり、２Ｒ大当り態様（リーチバラケ目）で表示されると２Ｒ大当り遊技が実行可能となる。これらの大当り遊技中の演出や大当り遊技後の遊技状態については、演出モードＣの場合と同様であるので、ここでの詳細な説明は省略する。
【０２８１】
また、演出モードＤ（状態Ｃ）にて第２特別図柄当否判定の結果が小当りとなり、これに基づく演出図柄８の変動表示（小当り変動）が行われる場合、その変動表示は画面右上にてノーマル変動で行われて第３停止態様（同時停止）で停止される（図５８（ｂ）参照）。このとき、変動表示の結果として演出図柄８が特定のバラケ目（小当り態様）で表示される（図５８（ｂ）参照）。ここで、演出モードＣでは、小当りに伴う変動表示を他の演出モードでは出現し得ない第１停止態様で停止したり、その停止に際してエフェクト画像Ｅ（演出効果画像）を表示したりする等、演出図柄８の表示を主にして小当りの発生を強調して示すものとしていた。これに対し、演出モードＤでは、表示画面７ａの右上に演出図柄８を特定のバラケ目（小当り態様）で表示することで、演出図柄８の停止表示態様による小当り発生の報知は然程目立たない態様で行うものとしているが、その際、演出図柄８とは別の演出画像を表示可能としており、当該演出画像の表示により小当りの発生を遊技者に示唆（予告）することがあるものとしている。
【０２８２】
具体的に、図５９（ａ）に示すように、小当り変動の開始に伴い、表示画面７ａの略中央に標的画像Ｙを複数表示することが可能となっている。標的画像Ｙは、１回の小当り遊技で第２大入賞口３５に入球し得る遊技球の数に準じて表示されるもので、本実施例では、１回の小当り遊技につき概ね２乃至３個の遊技球が第２大入賞口３５に入球し得る設計（ゲージ構成）としているので、このことに対応して、３個の標的画像Ｙを表示するものとしている。この標的画像Ｙの表示は、演出モードＤでの変動演出パターンに基づくもの（演出図柄遊技演出）であり、前述のS4505にて標的画像Ｙの表示を含む変動演出パターン（演出モードＤ用の小当り変動演出パターン）が選択（設定）された場合に、その変動演出の実行にあたり標的画像Ｙが表示される。このように標的画像Ｙが表示されることで、遊技者は当該変動表示の結果が小当りであることを推測することが可能となる。したがって、標的画像Ｙは、小当りの発生を予告する予告演出画像ともいえる。尚、標的画像Ｙの表示を変動演出パターンに含めずに、前述のS4506にて設定される予告演出パターンに含めることも可能である。
【０２８３】
そして、小当り変動（演出図柄８の変動表示）が停止して小当り態様（「３５５」等）が表示されると小当り遊技が開始され、当該小当り遊技にて開放する第２大入賞口３５に遊技球が入球すると、その入球ごとに標的画像Ｙが破壊される様子を表した演出表示（「破壊演出」ともいう）が行われる（図５９（ｂ）参照）。破壊演出は、第２大入賞口センサ３５ａによる遊技球の検知に基づいて主制御部８０から送信される第２大入賞口入球コマンドをサブ制御部９０が受信することに基づいて行われるものであり、小当り遊技演出に該当する（S4407,S4408）。尚、本実施例では、破壊演出を、戦闘機（主画像Ｘ）からのミサイル攻撃により標的画像Ｙが破壊される様子を表したものとしている。また、演出モードＣと同様に、第２大入賞口３５への入球に基づく賞球カウント画像Ｃ１の加算表示も行われる。
【０２８４】
こうした小当り変動の開始から小当り遊技にかけての演出が、演出モードＤにおける小当り発生に伴う基本的な演出であるが、これに加えて演出モードＤでは、小当りに係る演出として、前述のS4402で記憶された演出保留情報に基づく演出、すなわち、所謂「保留先読み演出」を行うものとしている。この小当りに係る保留先読み演出（「小当り先読み演出」ともいう）は、図６０に示す小当り先読み演出処理（S5000）により実現される。すなわち、サブ制御部９０（演出制御用マイコン９１）は、演出モードＤにて演出図柄８の変動表示（変動演出）を開始するときに、図６０に示す小当り先読み演出処理（S5000）を行うように構成されており、具体的には、前述の変動演出開始処理（S4402）における変動演出パターンの設定（S4505）に際して、図６０に示す小当り先読み演出処理（S5000）を行う。
【０２８５】
小当り先読み演出処理（S5000）では、まず、特定期間フラグがＯＦＦであるか否かを判定する（S5001）。詳細は後述するが、特定期間フラグは、演出モードＤ（状態Ｃ）での遊技中に所定の特定期間開始条件が成立した場合に、後述のS5006にてＯＮに設定され得るフラグであり、特定期間中は小当りに関し特別な演出が行われるものとなっている。S5001にて特定期間フラグがＯＮであると判定した場合（S5001でNO）、S5002以降の処理を行うことなく本処理を終える。一方、特定期間フラグがＯＦＦである（特定期間中でない）と判定した場合（S5001でYES）、現在記憶されている第２特別図柄の保留（第２特図保留）として、第２特別図柄当否判定結果が小当りとなる保留（「小当り保留」ともいう）が記憶されているか否かを判定する（S5002）。この判定は、前述のS4402にて記憶した演出保留情報（事前判定結果等）、すなわち、副制御基板９０の演出保留情報記憶領域（取得情報記憶手段）の記憶内容を参照して行うものであり、これから開始する演出図柄８の変動表示（「当該変動」ともいう）に対応する第２特図保留を含めて、小当り保留の有無を判定する（S5002）。尚、小当り保留のことを「特定取得情報」ともいう。
【０２８６】
S5002にて小当り保留（特定取得情報）が記憶されていないと判定した場合（S5002でNO）、S5003以降の処理を行うことなく本処理を終え、小当り保留（特定取得情報）が記憶されていると判定した場合（S5002でYES）、当該変動（これから開始する変動表示）を含め、変動表示の結果として小当りが３回以上連続して発生するか否かを判定する（S5003）。つまり、当該変動に対応する第２特図保留を含め、小当り保留が３個以上連続して記憶されているか否かを判定する（S5003）。この判定も、前述のS4402にて記憶した演出保留情報（演出保留情報記憶領域の記憶内容）を参照して行うことができる。
【０２８７】
S5003にて、小当り保留が３個以上連続して記憶されていないと判定した場合（S5003でNO）、S5004以降の処理を行うことなく本処理を終える。この場合、小当り先読み演出処理（S5000）に基づく小当り先読み演出（小当り連続予告）が開始されることはない。但し、当該変動が小当り保留に対応する小当り変動である場合には、前述したように、当該変動に係る変動演出パターンとして標的画像Ｙの表示を含む変動演出パターンが設定されることで、当該変動（小当り変動）にて、複数（本例では３つ）の標的画像Ｙの表示を伴う変動演出が行われる（図５９（ａ）参照）。つまり、当該変動での小当り発生を示唆する演出（当該変動予告）として、３個の標的画像Ｙが表示される場合がある。
【０２８８】
これに対し、S5003にて小当り保留が３個以上連続して記憶されていると判定した場合（S5003でYES）、特定期間を開始するか否かを判定する（S5004）。ここで、特定期間とは、小当りに係る演出として特別な演出が行われる期間のことを指す。本実施例では、小当り遊技が連続して３回以上行われることが確定している場合、すなわち、連続する３回以上の変動表示の各々の結果として小当りが導出されることが確定している場合に（S5003でYES）、特定期間を開始可能（実行可能）としている。サブ制御部９０（演出制御用マイコン９１）は、その特定期間を開始するか否かの判定として、特定期間の開始抽選（演出決定用の乱数抽選の一種）を行うものとしており、当該開始抽選に当選した場合に（S5004でYES）、特定期間を開始するにあたってのS5005〜S5007の処理を行うものとしている。したがって、本実施例では、（１）小当り保留が３個以上連続して記憶されていること及び（２）特定期間の開始抽選に当選することの２つの条件を満たした場合に、特定期間が開始される。つまり、それら（１）及び（２）２つの条件が特定期間の開始条件となっている。
【０２８９】
S5004にて特定期間を開始すると判定した場合（S5004でYES）、特定期間カウンタをセットするとともに（S5005）、特定期間フラグをＯＮにし（S5006）、小当り先読み演出パターンＡをセットする（S5007）。一方、特定期間を開始しないと判定した場合（S5004でNO）、特定期間カウンタ等をセットすることなく、小当り先読み演出パターンＢをセットする（S5008）。ここで、特定期間カウンタとは、特定期間の終期を定めるためのカウンタであり、S5005では、S5003にて判定した小当り保留の個数に相当する値がセットされる。本実施例では「３」または「４」がセットされる（S5005）。S5005にて特定期間カウンタをセットした後、その特定期間カウンタの値は、その後に変動表示（小当り変動）が停止（終了）するごとに１減算される。また、特定期間フラグとは、特定期間中であることを示すフラグであり、主に、変動演出の開始時（S4404,S5001等）や第２特図保留発生（特図２始動入球コマンド受信）に基づく演出保留情報の記憶時（S4402）等に参照されるフラグである。特定期間フラグは、S5006にてＯＮになった後、特定期間カウンタの値がゼロになることでＯＦＦになる。
【０２９０】
尚、本実施例では、小当り保留が３個以上連続して記憶されており（S5003でYES）、かつ、特定期間を開始しない場合（S5004でNO）、小当り先読み演出パターンＢをセットすることとしているが、さらに、小当り先読み演出パターンＢをセットするか否かについて判定し、肯定判定の場合に当該演出パターンＢをセットするように構成してもよい。こうすれば、小当り保留が３個以上連続して記憶されているときに、小当り先読み演出が実行される場合と実行されない場合とを設けることが可能となり、演出の多様化を図れるようになる。
【０２９１】
S5007又はS5008にて小当り先読み演出パターン（Ａ又はＢ）をセットすると、当該セットした演出パターンに基づく小当り先読み演出を演出図柄遊技演出とともに開始するための変動演出開始コマンドが画像制御基板１００に送信され、これにより画像表示装置７の表示画面７ａ上で小当り先読み演出が演出図柄遊技演出とともに開始される。このとき、特定期間が開始され、小当り先読み演出パターンＡに基づく演出が行われる場合には、図６１に示すように、演出図柄８の変動表示（１回目の小当り変動）の開始に伴い、主画像Ｘ（図５６（ｂ）参照）が非表示となり、表示画面７ａ上に「連続ＧＥＴしろ！！」の文字が表示される（図６１（ａ）参照）。
【０２９２】
その後、当該変動表示の停止による１回目の小当り態様（「３５５」等）の表示に伴って、特定期間中の獲得賞球数を示す賞球カウント画像Ｃ２を表示する特定期間表示領域Ｔ（第２表示部）が、表示画面７ａ上の左側に出現する（図６１（ｂ）参照）。特定期間表示領域Ｔに表示される賞球カウント画像Ｃ２は、「０００」〜「９９９」の３桁の数字を表示可能な画像（数字画像）と「ｐｔ」の文字画像とからなる。そして、小当り態様の表示を契機に実行される小当り遊技にて第２大入賞口３５に遊技球が１個入球するごとに、その１個の入球に対して払い出される賞球数（本実施例では１０個）を示す賞球数画像Ｓが特定期間表示領域Ｔの右側に表示され（図６１（ｃ）参照）、その賞球数画像Ｓにより示された賞球数が、特定期間表示領域Ｔの賞球カウント画像Ｃ２（獲得賞球数）に加算表示される（図６１（ｄ）参照）。また、特定期間中は、第２大入賞口３５だけでなく、第３始動口２６に遊技球が入球した場合にも、その入球ごと（１個入球するごと）に払い出される賞球数（本実施例では１個）を示す賞球数画像Ｓが表示画面７ａに表示され（図６１（ｃ）参照）、その賞球数画像Ｓにより示された賞球数が賞球カウント画像Ｃ２（獲得賞球数）に加算表示される（図６１（ｄ）参照）。これにより、特定期間中は賞球数画像Ｓの表示および賞球カウント画像Ｃ２の加算表示が行われやくなり、これら入球演出による演出効果を高めることが可能となる。尚、賞球カウント画像Ｃ２により示す獲得賞球数（獲得利益量）を加算表示する演出のことを「第２利益演出」ともいう。
【０２９３】
こうした賞球数画像Ｓの表示および賞球カウント画像Ｃ２の加算表示は、第３始動口センサ２６ａや第２大入賞口センサ３５ａによる遊技球の検知に基づいて主制御部８０から送信される入球コマンド（特図２始動入球コマンド、第２大入賞口入球コマンド）をサブ制御部９０が受信することに基づいて行われる（S4407,S4408）。尚、第３始動口２６への入球は小当り遊技中以外にも発生し得るため、第３始動口２６への入球に基づく賞球数画像Ｓの表示および賞球カウント画像Ｃ２の加算表示は、例えば先の小当り遊技とこれに続く後の小当り遊技との間における変動表示中の演出としても実行され得る。また、特定期間中は、画面右下部（第１表示部）に表示している賞球カウント画像Ｃ１の加算表示は行わないものとしている。これは、小当り遊技が３回以上連続して行われる特定期間中（小当り連荘期間中）の獲得賞球数を、特定期間でないときの小当り遊技による獲得賞球数と区別して示すためである。
【０２９４】
以上のような賞球数画像Ｓの表示および賞球カウント画像Ｃ２の加算表示が、特定期間の開始時に記憶されていた小当り保留の全部（本実施例では３個又は４個の小当り保留）に対応する小当り変動および小当り遊技が完了するまで行われる。そして、すべての小当り保留に対応する小当り変動および小当り遊技が完了すると、特定期間が終了し、当該終了に基づいて、それまで表示していた特定期間表示領域Ｔが画面上から消去されるとともに賞球カウント画像Ｃ２が画面上に拡大して表示され（図６１（ｅ）参照）、その賞球カウント画像Ｃ２により示された獲得賞球数が、画面右下（第１表示部）に表示される賞球カウント画像Ｃ１により示された獲得賞球数に加算（合算）される演出表示が行われる（図６１（ｅ）→（ｆ）参照）。このような小当り先読み演出パターンＡに基づく演出によれば、獲得賞球数（獲得利益量）の表示態様に変化を持たせて、利益演出（第１利益演出、第２利益演出）の演出効果を高めることが可能となる。尚、表示画面７ａに表示される小当り先読み演出パターンＡに基づく演出表示の態様（文字画像、特定期間表示領域Ｔ、賞球数画像Ｓ等の表示位置、大きさ、形状等）は図６１に示す例に限定されるものではなく、例えば、特定期間表示領域Ｔを横長として表示画面７ａ上の左上部寄りに表示するとともに、その特定期間表示領域Ｔの下部に賞球数画像Ｓを表示する等、種々の表示態様を採ることが可能である。
【０２９５】
一方、特定期間が開始されず（S5004でNO）、小当り先読み演出パターンＢに基づく演出（所定演出）が行われる場合には、演出図柄８の変動表示（小当り変動）の開始に伴い、前述の標的画像Ｙ（図５９（ａ）参照）が表示画面７ａに複数表示される。この場合に表示される標的画像Ｙは、当該変動表示が開始される時点で記憶されている小当り保留の数（３個又は４個）に相当する回数の小当り遊技で第２大入賞口３５に入球し得る遊技球の数に準じて表示される。前述したように、本実施例では、１回の小当り遊技につき３個の標的画像Ｙを表示することから（図５９（ａ）参照）、小当り先読み演出パターンＢに基づく演出（所定演出）では９個又は１２個の標的画像Ｙが表示される。つまり、記憶されている小当り保留の数によって標的画像Ｙの表示数（所定演出の演出態様）が異なるものとなっている。こうした標的図柄Ｙの表示により、当該変動表示を含めて複数回（本例では３回又は４回）連続して行われる変動表示の結果がいずれも小当り（特定表示結果）となること（小当りの連続発生）を、遊技者に示唆することが可能となる。この後、小当り先読み演出パターンＢに基づく演出の開始時点での小当り保留数に相当する回数分の小当り遊技が行われる間、第２大入賞口３５に遊技球が入球するごとに、標的画像Ｙの破壊演出（図５９（ｂ）参照）が行われる。
【０２９６】
尚、小当り先読み演出パターンＢに基づく演出（所定演出）は、本実施例のような標的画像Ｙの表示やその標的画像Ｙの破壊演出に限定されるものではない。例えば、記憶されている小当り保留の個数を直接的に示す数字やレベルメータ等の画像を表示画面に表示し、その数字やレベルメータの表示態様を第２大入賞口３５への入球に基づいて更新していく演出や、小当り保留に基づく小当り変動が行われる間にわたって所定のキャラクタ画像を表示し、そのキャラクタ画像の表示態様（キャラクタの動き等）が第２大入賞口３５への入球に基づいて変化する演出等、様々な演出を所定演出とすることが可能である。また、小当り先読み演出パターンＢに相当する演出パターン（所定演出の演出パターン）を複数種設け、そのうちの何れかを選択して設定するように構成することも可能である。こうすれば、小当り先読み演出を多様にすることが可能となる。
【０２９７】
このように演出モードＤ（状態Ｃ）では、主画像Ｘによる演出表示が主として行われるなか（図５６（ｂ）参照）、小当りが頻発することで、第２大入賞口３５への入球に基づく演出（第１利益演出、第２利益演出）も高頻度で実行され得るため、小当りに係る演出に遊技者の興味を惹きつけて、遊技興趣の向上を図ることが可能となる。特に、小当り保留が複数（本実施例では「３」以上）存在する状況下で、小当り先読み演出の一種として特定期間が開始されて特定期間表示領域Ｔが表示された場合には、その小当り保留がすべて消化されて特定期間が終了するまで、賞球数画像Ｓの表示と賞球カウント画像Ｃ２の加算表示（第２利益演出）が行われるため、賞球数画像Ｓの表示および賞球カウント画像Ｃ２の加算表示の実行機会を確保し、それら表示が行われることの確実性を増すことが可能となる。そして、特定期間の終了後には、賞球カウント画像Ｃ２により示された獲得賞球数（特定期間中の獲得賞球数）が、元々画面右下（第１表示部）に表示されている賞球カウント画像Ｃ１の獲得賞球数に加算（合算）される。また、小当り保留が複数（本実施例では「３」以上）存在する状況下で、特定期間が開始されないとしても、小当り先読み演出の一種として複数の標的画像Ｙが表示画面７ａに表示される演出（小当り先読み演出パターンＢ、所定演出）が行われ、その演出態様（本実施例では標的画像Ｙの表示数）は小当り保留の記憶数によって異なるものとなっている。これにより、小当りに伴い実行される演出（小当り先読み演出、第１利益演出、第２利益演出等）による演出効果を高め、演出モードＤ（状態Ｃ）の遊技興趣を高めることが可能となる。
【０２９８】
次に、演出モードＤでリーチ変動（外れ又は大当り）やリーチ煽り外れ変動が行われる場合の演出表示の内容（演出態様）について説明する。前述したように、演出モードＤでは、表示画面７ａの略中央に主画像Ｘが表示され、表示画面７ａの右上に演出図柄８が縮小表示された状態で、演出図柄遊技演出（演出図柄８の変動表示等）が行われる（図５６（ｂ）、図５８（ａ）参照）。また、リーチ変動（外れ又は大当り）が行われる場合と、リーチ煽り外れ変動が行われる場合には、演出図柄８の変動表示の開始後に主画像Ｘが非表示となって、それまで画面右上に表示されていた演出図柄８が画面略中央に大きく表示されて縦スクロールで変動表示を行い、その後、演出図柄８の変動表示が第２停止態様（左図柄→右図柄→中図柄）又は第４停止態様（左・右図柄同時停止→中図柄）で停止する（図５８（ｃ）以降を参照）。このとき、左図柄と右図柄が同じ図柄（数字）で停止した場合（図５８（ｅ）参照）、リーチ成立となり、この後、変動表示の結果が表示（導出表示）される前に所定のリーチ演出が行われる。リーチ演出は、前述のS4505にて設定される変動演出パターンに基づいて実行されるもので、変動演出パターンの種類に応じてリーチ演出の内容が異なる。
【０２９９】
ここで、演出モードＤで実行されるリーチ演出（「第３演出」ともいう）は、前述の演出モードＣにてリーチ演出として実行される第２演出と同様に、味方キャラと敵キャラとの対決シーンを描いたバトル演出（対決演出）となっており、当該バトル演出の内容が異なるパターンを複数の第３演出パターン備えている。すなわち、図６４（ｂ）に示すように、演出モードＤにおける第３演出（バトル演出）についても、大別すると、味方キャラが勝利するパターン（「第３演出パターンＡ」ともいう）と、味方キャラが敗北するパターン（「第３演出パターンＢ」ともいう）と、勝敗が決することなく対決（バトル）を終えるパターン（「第３演出パターンＣ」ともいう）との３つのパターンがある。そして、これら３つのパターンの各々について、敵キャラの種類、先制攻撃するキャラクタの種類、その攻撃の成否等を定めた複数のパターンが存在する。尚、第３演出パターンＡ（味方勝利パターン）のことを「第１変動演出パターン」ともいい、第３演出パターンＢ（味方敗北パターン）のことを「第２変動演出パターン」ともいい、第３演出パターンＣ（勝敗未決着パターン）のことを「第３変動演出パターン」ともいう。加えて、第３演出（バトル演出）パターンには、味方キャラと敵キャラのそれぞれの攻撃内容（例えば攻撃の際に使用する武器の種類、技の種類等）について、攻撃力の強いパターン（「強パターン」ともいう）と、攻撃力の弱いパターン（「弱パターン」ともいう）と、を設けてある。本実施例では、味方キャラが敵キャラを攻撃するパターンのうち強パターン（「味方強パターン」ともいう）は、弱パターン（「味方弱パターン」ともいう）に比して味方キャラが勝利する可能性の高いことを示すものとしている。また、敵キャラが味方キャラを攻撃するパターンのうち強パターン（「敵強パターン」ともいう）は、弱パターン（「敵弱パターン」ともいう）に比して敵キャラが勝利する可能性の高いことを示すものとしている。これらの強パターンや弱パターンにより、バトル演出の展開や結果等を遊技者に示唆することが可能となっている。
【０３００】
また、演出モードＤでリーチ変動又はリーチ煽り外れ変動が行われる場合、当該変動におけるリーチ演出を経て実行される可能性のあるその後の遊技の内容を予告（示唆）する画像（「予告画像」ともいう）が表示可能に構成されている（図６５参照）。予告画像の表示は、前述のS4505にて設定される演出モードＤでの変動演出パターンに応じて、前述のS4506で設定される予告演出（予告演出パターン）の一種であり、予め設けられた予告演出決定テーブル（図示せず）に基づいて当該予告画像の表示による予告演出（演出モードＤ用の予告演出パターン）が選択（設定）された場合に、その変動表示（変動演出）の実行にあたり所定の予告画像が表示される。予告画像の表示開始タイミングは、変動表示の開始時やリーチ成立時、リーチ成立後等、様々なタイミングがあり、このタイミングも予告演出の態様（予告演出パターン）に応じて設定される。但し、リーチ煽り外れ変動での予告画像の表示開始タイミングは、変動表示の開始からリーチが成立しないこと（リーチ不成立）が確定するまで（例えば第２停止図柄が停止するまで）の間に定められる。リーチ煽り外れ変動ではリーチが成立しないからである。本実施例では、リーチ煽り外れ変動での予告画像の表示開始タイミングを変動表示の開始時としている。予告画像の表示により、遊技者は当該変動の後に実行され得る遊技の展開を推測することが可能となる。尚、予告画像の表示を予告演出パターンによるものとせず、前述のS4505にて設定される変動演出パターンに含めることも可能である。また、予告画像は「当該変動表示の終了後の遊技に関する情報」といえ、その予告画像を表示する演出のことを「情報表示演出」ともいう。
【０３０１】
本実施例では、予告画像を表示する場合、図６５（ａ）に示すように、表示画面７ａの下部を予告画像表示領域Ｕとし、当該領域に予告画像を表示するように構成されている。尚、図６５（ａ）では、リーチ成立により停止した左図柄（演出図柄８Ｌ）及び右図柄（演出図柄８Ｒ）がそれぞれ表示画面７ａの左右上部に小さく表示されて、画面中央を主としてリーチ演出が行われる状態（リーチ状態）を示している。予告画像表示領域Ｕに表示可能な予告画像として、図６５（ｂ）に示すように、大当り（１５Ｒ第３大当り又は４Ｒ第４大当り）の発生（実行）を予告（示唆）する第１予告画像５０１（第１情報）と、演出モードＤ（状態Ｃ）の継続を予告（示唆）する第２予告画像５０２（第２情報）と、演出モードＥ（状態Ｂ）への移行を予告（示唆）する第３予告画像５０３（第３情報）との３種類の予告画像を有している。そして、予告画像の表示開始（情報表示演出の開始）にあたっては、そのうちの少なくとも２種類の予告画像が予告画像表示領域Ｕに表示可能となっている。こうした予告画像の表示により、遊技者にとっては、後の遊技展開に関し択一的な推測が可能となるため、表示される予告画像の内容（種類）に遊技者の興味を惹きつけることが可能となる。また、第１乃至第３予告画像が示唆する内容は、演出モードＤ（状態Ｃ）での遊技を基準（ベース）とする内容であるため、こうした予告画像の表示により、演出モードＤ（状態Ｃ）での遊技を基準とした後の遊技展開を予告（示唆）することとなり、演出モードＤ（状態Ｃ）の遊技興趣を高めることが可能となる。尚、予告画像表示領域Ｕの態様（表示位置、大きさ、形状等）は図６５に示す例に限定されるものではなく、例えば、図６５に示す横長の予告画像表示領域Ｕを表示画面７ａの上部に設けたり、縦長の予告画像表示領域Ｕを表示画面７ａの左部又は右部に設けるとともに、その予告画像表示領域Ｕ内に第１〜第３予告画像を縦方向（上下方向）に並べて表示可能としたりする等、種々の態様を採ることが可能である。
【０３０２】
第１予告画像５０１は「大当り」の文字を含んで構成され、第２予告画像５０２は「継続」の文字を含んで構成され、第３予告画像５０３は「モードＥ」の文字を含んで構成される。本実施例では、予告画像を表示する場合、２種類の予告画像を表示するが、その表示パターン（予告画像組合せ）、すなわち予告演出パターンとして、図６５（ｃ）に示す「第１予告画像５０１及び第２予告画像５０２」を表示する第１表示パターンと、図６５（ｄ）に示す「第２予告画像５０２及び第３予告画像５０３」を表示する第２表示パターンと、を有している。尚、この他にも、「第１予告画像５０１及び第３予告画像５０３」を表示する表示パターンを設けてもよい。また、本実施例では３種類の予告画像を有するものとしているが、例えば、１５Ｒ第３大当りと４Ｒ第４大当りとを分けて（区別して）予告したり、さらに大当りの種類が存在する場合にその大当りの種類に応じて予告画像を設けたりする等、より多くの種類の予告画像を備えていてもよい。この場合にも、少なくとも２種類の予告画像が予告画像表示領域Ｕに表示されるように構成すればよく、予告画像の表示パターン（予告演出パターン）も任意に定めることが可能である。
【０３０３】
第１予告画像５０１、第２予告画像５０２及び第３予告画像５０３のうち、どの予告画像を表示するかは、前述のS4506にて設定する予告演出の種類（予告演出パターン）により決まる。例えば、リーチ煽り外れ変動が行われる場合（リーチ煽り外れ変動演出パターン）、当該変動の開始時から、第１予告画像５０１及び第２予告画像５０２（第１表示パターン）又は第２予告画像５０２及び第３予告画像５０３（第２表示パターン）が予告画像表示領域Ｕ（表示画面７ａの上部）に表示され、この表示が、左図柄（演出図柄８Ｌ）と右図柄（演出図柄８Ｒ）の停止によりリーチ不成立が確定するまで行われる。そして、予告画像の表示開始後（情報表示演出の開始後）、リーチ不成立が確定すると、それまで表示されていた予告画像が画面上から消去される。この場合、その後にリーチ演出が行われることなく演出図柄８の変動表示は終了（停止）する。
【０３０４】
ここで、予告画像を表示する場合の表示パターンの決定（選択）は、S4506にて当該予告画像の表示による予告演出を設定する際に参照される図６６に示す表示パターン決定テーブルと、０〜９９の範囲で値をとる表示パターン決定用乱数とに基づいて行うものとしている。この表示パターン決定テーブルにより定められる第１表示パターン及び第２表示パターンの各々の選択率に準じて、各表示パターンの実行可能性が定められる。図６６に示すように、リーチ煽り外れ変動では、第１表示パターンによる予告画像の表示と、第２表示パターンによる予告画像の表示の何れもが実行可能となっており、本実施例では、前者よりも後者の方が実行可能性を高くしている（第１表示パターンの選択率「３０％」、第２表示パターンの選択率「７０％」）。
【０３０５】
一方、リーチ変動が行われる場合（リーチ変動演出パターン）であって、当該変動が、第２特別図柄当否判定の結果が大当り（１５Ｒ第３大当り又は４Ｒ第４大当り）であることに基づく大当り変動として行われる場合、すなわち、変動表示の結果として演出図柄８がゾロ目（大当り態様）で表示される場合（大当り変動演出パターン）、その大当り態様の表示前（導出表示前）に、第３演出パターンＡ（味方勝利パターン）に基づく第３演出（第１変動演出パターンに基づく変動演出）が行われる。尚、当該変動表示の停止後（大当り態様の表示後）は、大当り遊技が行われるとともに、その後に状態Ｃでの遊技を引き続き行えることから、第３演出パターンＡ（第１変動演出パターン）は味方キャラが勝利するパターンとなっている。そして、当該変動（大当り変動）では、例えば当該変動の開始時やリーチ成立時など、第３演出（バトル演出）が開始する前の当該変動中の所定時期に予告画像の表示（情報表示演出）が開始される。この場合の予告画像の表示は、第１表示パターン又は第２表示パターンに基づいて実行可能である。そのうち第１表示パターンに基づいて第１予告画像５０１及び第２予告画像５０２の表示が開始された場合（図６５（ｃ）参照）、遊技者は、当該変動（バトル演出）の結果として、少なくとも２Ｒ大当りが発生する可能性、すなわち、状態Ｃでの遊技が終了する可能性（後の遊技展開が不利になる可能性）はないと推測することができる。これに対し、第２表示パターンに基づいて第２予告画像５０２及び第３予告画像５０３の表示が開始された場合（図６５（ｄ）参照）、その時点で遊技者は、２Ｒ大当りが発生する可能性（後の遊技展開が不利になる可能性）を排除することはできないこととなる。
【０３０６】
ここで、本実施例では、大当り変動にて第３演出パターンＡに基づく第３演出（味方勝利となるバトル演出）が実行される場合の予告画像の表示を、第２表示パターンよりも第１表示パターンで実行する可能性が高くなるようにしている（図６６参照）。このため、第１表示パターンによる予告画像の表示の方が、第２表示パターンによる予告画像の表示に比べ、バトル演出での味方勝利の期待度、すなわち演出図柄８が大当り態様で表示されて大当り遊技（１５Ｒ大当り遊技又は４Ｒ大当り遊技）が実行される期待度（大当り信頼度）が高いといえる。また、大当り変動にて第３演出パターンＡに基づくバトル演出が「味方強パターン」に基づいて実行される場合には、第１表示パターンによる予告画像の表示の実行可能性がより高くなるようにしている（図６６参照）。
【０３０７】
また、第３演出パターンＡに基づく第３演出が「味方強パターン」であって予告画像の表示が第１表示パターンである場合、その予告画像の表示開始後の所定時期（例えば味方キャラと敵キャラの対決開始時、対決中等のバトル終了前の所定時期）に、予告画像表示領域Ｕ内で第１予告画像５０１（大当り）が表示開始当初に比べ拡大して表示される場合があるものとしている（図６５（ｅ）参照）。この予告画像の拡大表示は、前述のS4506で設定される予告演出パターンに基づくものであり、予告画像の拡大表示を含む予告演出パターンが選択（設定）された場合に、予告画像の拡大表示が行われる。また、第１予告画像５０１の拡大表示に伴って、第２予告画像５０２（継続）が表示開始当初に比べ小さくして表示されるか、もしくは、消去される（本実施例では消去）。つまり、予告画像表示領域Ｕに表示中の予告画像の表示態様が変化する。これにより、実行される第３演出（バトル演出）が味方強パターンによるものであることや、当該変動（バトル演出）の結果として大当り（１５Ｒ第３大当り又は４Ｒ第４大当り）が発生する可能性の高いことを遊技者に示唆して、遊技者の期待感や安心感等を高めることが可能となる。尚、第１予告画像５０１を拡大表示して第２予告画像５０２を消去する場合、当該表示をもって大当り確定を予告するもの（大当り確定報知）としてもよい。また、第１予告画像５０１を拡大するとともに第２予告画像５０２を縮小して表示した後、さらに第１予告画像５０１を拡大したり第２予告画像５０２を消去したりする等、予告画像表示領域Ｕに表示中の予告画像の表示態様を段階的に変化させてもよい。また、予告画像の表示態様の変化として、例えば、第１予告画像５０１の「大当り」の文字を、１５Ｒ大当りを示唆する「超大当り」としたり、「大当り」の文字やその背景の色を他の色に変更したりする等、予告画像を構成する文字や色、形状等を変化させるものであってもよい。さらに、こうした文字等の変化と本実施例の表示サイズ変化（拡大表示、縮小表示等）とを組み合わせて実行可能に構成してもよい。
【０３０８】
一方、第３演出パターンＡに基づく第３演出が「味方強パターン」以外のパターン、すなわち、「味方弱パターン」、「敵強パターン」又は「敵弱パターン」に基づいて実行される場合には、それら３つのパターンの何れにおいても、第１予告画像５０１の拡大表示は行われず、予告画像の表示態様は変化しない。こうした予告画像表示領域Ｕにおける予告画像の表示は、第３演出（バトル演出）または当該変動表示の終了まで行われる。尚、第３演出パターンＡに基づく第３演出が「味方強パターン」以外の場合にも、第１予告画像５０１の拡大表示を行うことは可能であり、この場合、「味方強パターン」の場合に比べ拡大表示（表示態様変化）の実行可能性を低くすればよい。こうすれば、バトル演出パターン（強パターン、弱パターン）と予告画像の拡大表示（表示態様変化）との関係性が分かりやすくなる。
【０３０９】
また、リーチ変動が行われる場合（リーチ変動演出パターン）であって、当該変動が、第２特別図柄当否判定の結果が外れであることに基づく外れ変動（リーチ外れ変動）として行われる場合、すなわち、変動表示の結果として演出図柄８がリーチバラケ目（外れ態様）で表示される場合（リーチ外れ変動演出パターン）、その外れ態様の表示前（導出表示前）に、第３演出パターンＣ（勝敗未決着パターン）に基づく第３演出（第３変動演出パターンに基づく変動演出）が行われる。尚、当該変動表示の停止後（外れ態様の表示後）は、状態Ｃでの遊技が継続されるため、第３演出パターンＣ（第３変動演出パターン）は勝敗が決することなく対決（バトル）を終えるパターンとなっている。そして、当該変動（リーチ外れ変動）では、例えば当該変動の開始時やリーチ成立時など、第３演出（バトル演出）が開始する前の当該変動中の所定時期に、第１予告画像５０１及び第２予告画像５０２（第１表示パターン）の表示または第２予告画像５０２及び第３予告画像５０３（第２表示パターン）の表示が開始される。このとき、第１表示パターンによる予告画像の表示が行われた場合、遊技者は、当該変動（バトル演出）の結果として、少なくとも２Ｒ大当りが発生する可能性（状態Ｃの終了可能性）はないと推測することができる。一方、第２表示パターンによる予告画像の表示が行われた場合、遊技者は、当該変動（バトル演出）の結果として、少なくとも大当り（１５Ｒ第３大当り又は４Ｒ第４大当り）が発生する可能性はないと推測することができる。尚、本実施例では、リーチ外れ変動にて第３演出パターンＣに基づく第３演出（勝敗未決着のバトル演出）が実行される場合の予告画像の表示を、第１表示パターンと第２表示パターンとで実行可能性が同じとなるように、各パターンの選択率をそれぞれ５０％としている（図６６参照）。
【０３１０】
ここで、第１表示パターンによる予告画像の表示（大当り又は継続）は、その後も状態Ｃでの遊技が実行可能である旨を示唆する表示でもあることから、状態Ｃでの遊技が終了してしまうといった不安を遊技者に与えることはない。これに対し、第２表示パターンによる予告画像の表示（継続又は演出モードＥ）は、２Ｒ大当りが発生する可能性を排除することはできず、状態Ｃでの遊技を継続することができなくなる可能性も含んでいることから、そうした不安を遊技者に与えるものとなる。このようなリーチ外れ変動における第１表示パターン又は第２表示パターンによる予告画像の表示は、その表示開始後の所定時期（例えば味方キャラと敵キャラの対決中や対決終了時等の所定時期）に、第２予告画像５０２（継続）だけが表示され、他の予告画像（第１予告画像５０１又は第３予告画像５０３）は消去される（予告画像の表示態様変化）。これにより、遊技者は、当該変動（バトル演出）の結果として大当り（１５Ｒ第３大当り又は４Ｒ第４大当り）が発生せずに外れとなり、状態Ｃでの遊技が引き続き行われることを認識することができる。このように第２予告画像５０２（継続）だけが予告画像表示領域Ｕに最終的に残る予告画像の表示は、当該変動表示の終了まで行われる。
【０３１１】
尚、リーチ外れ変動では、当該変動表示の結果として大当り態様が表示されること（大当りが発生すること）はないので、第１表示パターンによる予告画像の表示にて前述のような第１予告画像５０１の拡大表示が行われることはない。また、リーチ外れ変動において、第１表示パターン又は第２表示パターンによる予告画像の表示を開始した後、そのうちの第２予告画像５０２の拡大表示を実行可能に構成してもよい。第２予告画像５０２は、小当りが頻発する状態Ｃの継続を予告（示唆）する予告画像であり、第２予告画像５０２の拡大表示は、遊技者にとっては大当り発生による利益は得られないもの状態Ｃの継続可能性が高いことを予告（示唆）することになるため、状態Ｃでの遊技が終了してしまうといった遊技者の不安を緩和することが可能となる。
【０３１２】
また、リーチ変動が行われる場合（リーチ変動演出パターン）であって、当該変動が、第２特別図柄当否判定の結果が２Ｒ大当り（２Ｒ第５乃至第８大当りの何れか）であることに基づく２Ｒ大当り変動として行われる場合、すなわち、変動表示の結果として演出図柄８がリーチバラケ目（２Ｒ大当り態様）で表示される場合（２Ｒ大当り変動演出パターン）、その２Ｒ大当り態様の表示前（導出表示前）に、第３演出パターンＢ（味方敗北パターン）に基づく第３演出（第２変動演出パターンに基づく変動演出）が行われる。尚、当該変動表示の停止後（２Ｒ大当り態様の表示後）には２Ｒの大当り遊技が行われ、当該大当り遊技後の遊技状態が状態Ｂ（高ベース状態）となり、状態Ｃでの遊技を継続できなくなるため、第３演出パターンＢ（第２変動演出パターン）は味方キャラが敗北するパターンとなっている。そして、当該変動（２Ｒ大当り変動）では、例えば当該変動の開始時やリーチ成立時など、第３演出（バトル演出）が開始する前の当該変動中の所定時期に、第２予告画像５０２及び第３予告画像５０３（第２表示パターン）の表示が開始される。この第２予告画像５０２及び第３予告画像５０３の表示により、遊技者は、当該変動（バトル演出）の結果として、２Ｒ大当りの発生可能性（状態Ｃの終了可能性）があることを推測することができる。尚、本実施例では、２Ｒ大当り変動にて第３演出パターンＢに基づく第３演出（味方敗北のバトル演出）が実行される場合の予告画像の表示を、第１表示パターンでは実行せず、第２表示パターンだけで実行するものとしている（図６６参照）。これは、第１表示パターンによる予告画像の表示（相対的に有利な遊技展開を示唆する予告演出）が行われたにもかかわらず、２Ｒ大当りの発生により状態Ｃでの遊技が終了する（相対的に不利な遊技展開となる）のでは、遊技者にとって酷だからである。こうすることで、予告画像の表示と第３演出（バトル演出）との整合図り、予告画像の表示（情報表示演出）および第３演出（バトル演出）を実行するに際し、遊技者に違和感や不信感等を抱かせないようにすることが可能となる。
【０３１３】
この後、当該変動（２Ｒ大当り変動）における第２表示パターンによる予告画像の表示は、その表示開始後の所定時期（例えば味方キャラと敵キャラの対決中や対決終了時等の所定時期）に、第３予告画像５０３（演出モードＥ）だけが表示され、第２予告画像５０２（継続）は消去される（予告画像の表示態様変化）。これにより、遊技者は、当該変動（バトル演出）の結果として２大当り（２Ｒ第５乃至第８大当りの何れか）が発生し、状態Ｃでの遊技が終了を迎えたことを認識することができる。このように第３予告画像５０３（演出モードＥ）だけが予告画像表示領域Ｕに最終的に残る予告画像の表示は、当該変動表示の終了まで行われる。
【０３１４】
このように、演出モードＤでは、リーチ変動又はリーチ煽り外れ変動が行われる場合、当該変動に係る変動演出パターンに基づいて、当該変動後に実行され得る遊技の内容（遊技展開）を予告（示唆）する予告画像が表示画面７ａ（予告画像表示領域Ｕ）に表示される。この予告画像には、状態Ｃ（高確低ベース状態）の設定契機となる大当り（１５Ｒ第３大当り又は４Ｒ第４大当り）の発生を予告（示唆）する第１予告画像５０１（第１情報）と、状態Ｃの継続を予告（示唆）する第２予告画像５０２（第２情報）と、２Ｒ大当りを契機に遊技状態が状態Ｂに移行すること（状態Ｃでの遊技終了）を予告（示唆）する第３予告画像５０３（第３情報）とがあり、これら予告画像の表示パターンには、第１予告画像５０１及び第２予告画像５０２の組合せからなる第１表示パターンと、第２予告画像５０２及び第３予告画像５０３の組合せからなる第２表示パターンとがある。このような第１表示パターン又は第２表示パターンに基づく予告画像の表示を、リーチ煽り外れ変動では当該変動の開始時からリーチ不成立が確定する前、リーチ変動では当該変動の開始時から第３演出（バトル演出）の結果が明らかになる前（バトル演出または当該変動の終了前）の所定時期に開始することで、当該変動を契機として状態Ｃ（小当りが頻発する有利状態）が継続（勝利、未決着）するのか終了（敗北）するのかといった、遊技者の期待と不安を掻き立てる演出効果を得ることが可能となる。また、リーチ変動が大当り変動である場合には、当該変動での第３演出（バトル演出）の態様（味方強パターン、味方弱パターン等）によっては、予告画像の表示開始後、第３演出実行中（バトル演出中）の所定時期に、そのとき表示されている予告画像の表示態様が変化し得るものとなっている。こうした表示態様の変化により、表示中の予告画像に遊技者の興味を惹きつけ、後の遊技展開が遊技者にとって有利となる可能性が高いことを当該変動終了前の早い段階で示唆したり、遊技者の期待感や安心感等を高めたりすることが可能となる。
【０３１５】
［モード選択期間］
次に、状態Ｃの演出モードを選択するモード選択期間について説明する。前述のように、遊技状態が状態Ｃ（高確低ベース状態）に制御されているときには、演出モードＣ，Ｄの何れかが設定されるものとなっており、その設定される演出モードの選択を、遊技者による第１演出ボタン６３ａの操作に基づいて行えるように構成されている。この演出モードの選択は、状態Ｃ（高確低ベース状態）の設定契機となる大当りが発生した場合の所定時期に実行可能となる。本パチンコ遊技機１では、「４Ｒ第１大当り」、「１５Ｒ第３大当り」及び「４Ｒ第４大当り」が状態Ｃ（高確低ベース状態）の設定契機となる大当りであるため（図６参照）、これらの大当りが発生した場合の所定時期に演出モードＣ，Ｄの選択が可能となる。
【０３１６】
本実施例では、大当り遊技開始後の所定時期に、当該大当り遊技が終了した後の演出モードを、２つの演出モードＣ，Ｄの中から選択することが可能となるモード選択期間を発生させる。このモード選択期間の発生時期（発生タイミング）は、「４Ｒ第１大当り」及び「４Ｒ第４大当り」と、「１５Ｒ第３大当り」とで異なるものとなっている。尚、モード選択期間の発生や、モード選択期間中における第１演出ボタン６３ａの操作に基づく演出モードの選択等、演出モード選択に係る制御処理は、サブ制御部９０（演出制御用マイコン９１）による制御下で実行され、具体的には、受信コマンド解析処理（S4302）の当り遊技演出処理（S4408）により実行される。
【０３１７】
まず、状態Ａ（左打ち遊技）にて大当り図柄（特定表示結果）が表示されて「４Ｒ第１大当り」が発生した場合、すなわち初当りとして「４Ｒ第１大当り」が発生した場合と、状態Ｂ又はＣ（右打ち遊技）にて大当り図柄（特定表示結果）が表示されて「４Ｒ第４大当り」が発生した場合、すなわち連荘当りとして「４Ｒ第４大当り」が発生した場合のモード選択期間は、４Ｒ大当り遊技のすべてのラウンドが終了した後のエンディング期間にて発生する。ここで、前述したように、大当り遊技の最終ラウンドが終了すると（ラウンドカウンタの値が「０」になると）、主制御部８０（遊技制御用マイコン８１）は、大当りのエンディングコマンドをセットするとともに（S2116）、大当りのエンディング期間を開始する（S2117）。そのエンディングコマンドをサブ制御部９０が受信することにより、サブ制御部側でエンディング期間の開始を認識することが可能となる。尚、エンディングコマンドは、例えば、「４Ｒ第１大当り」及び「４Ｒ第４大当り」に対しては「４Ｒエンディングコマンド」、「１５Ｒ第３大当り」に対しては「１５Ｒエンディングコマンド」のように、大当りの種類に応じて設けられている。エンディング期間は、予め定められたエンディング時間が経過するまで実行されるもので、本実施例では、４Ｒ大当り遊技に係るエンディング時間を「１５秒」としており、１５Ｒ大当り遊技に係るエンディング時間を「５秒」としている。尚、本実施例で示すエンディング時間は一例であり、遊技機のスペックや遊技性等を考慮して任意に定めることが可能である。
【０３１８】
サブ制御部９０は、エンディングコマンドを受信すると、その受信したエンディングコマンドに対応するエンディング演出コマンドを画像制御基板１００（画像制御部）に送信する。これを受けて、画像表示装置７の表示画面７ａではエンディング演出が実行される。このエンディング演出が４Ｒエンディングコマンドを契機とするものである場合、図６２に示すように、エンディング演出としてモード選択画面７００が表示画面７ａの全体に表示される。モード選択画面は、主に、「演出モードＣ」を示す画像７０１（以下「モードＣ選択画像」ともいう）と、「演出モードＤ」を示す画像７０２（以下「モードＤ選択画像」ともいう）とを左右に並べて配置し、その左右の間に第１演出ボタン６３ａを模した画像７０３（以下「ボタン画像」ともいう）を配した画面構成となっている。このようなモード選択画面７００の表示により、モード選択期間中であることが遊技者に報知される。
【０３１９】
モード選択画面７００の表示中、遊技者が第１演出ボタン６３ａを操作すると、その操作毎に、選択対象となる画像７０１（モードＣ選択画像）と画像７０２（モードＤ選択画像）とが交互に強調して表示され、その強調表示されている画像（つまり、演出モード）を選択中として表すものとしている（図６２（ａ）、（ｂ）参照）。本実施例では、選択中のモード選択画像（演出モード）を太枠で囲む態様として表示（強調表示）し、未選択のモード選択画像（演出モード）を暗めに表示（暗転表示）するものとしている。よって、遊技者は、所望する演出モードに対応するモード選択画像が強調表示されるように第１演出ボタン６３ａを操作することで、その後の状態Ｃ（高確低ベース状態）の演出モードを選択することができる。
【０３２０】
また、本実施例では、４Ｒ終了後のモード選択期間を、エンディング期間の開始から１０秒間としている。そして、モード選択期間の開始（エンディング期間の開始）から１２秒が経過したタイミングで、モード選択期間終了までの残り期間を示すカウントダウン表示が、ボタン画像の上側で開始される（図６２（ｃ）参照）。カウントダウン表示は、数字画像７０４を「３」→「２」→「１」と１ずつ減算して表示する態様で行われる。このカウントダウン表示により、モード選択期間が間もなく終了することが遊技者に報知される（選択期間終了前報知）。カウントダウン表示にて数字画像７０４が「１」になると、その後間もなくしてカウントダウン表示が終了し、これによりモード選択期間が終了する。このとき、強調表示されている（太枠で囲まれている）モード選択画像が、選択済の演出モード（選択結果）として表示される。この後、エンディング期間が終了するまで、状態Ｃへの移行を示す演出表示（図示せず）が表示画面７ａ上で実行される。こうして選択された演出モード（Ｃ又はＤ）が、その後に実行（開始）される状態Ｃの演出モードとして設定され、以後、状態Ｃでは、その設定（選択）された演出モード（Ｃ又はＤ）のもと演出図柄遊技演出が実行される。
【０３２１】
これに対し、状態Ｂ又はＣ（右打ち遊技）にて大当り図柄（特定表示結果）が表示されて「１５Ｒ第３大当り」が発生した場合、すなわち連荘当りとして「１５Ｒ第３大当り」が発生した場合のモード選択期間は、１５Ｒ大当り遊技中の所定ラウンド遊技にて発生する。具体的に、本実施例では、１Ｒ〜１５Ｒのうち、１４Ｒの開始時から１５Ｒの途中までを、モード選択期間としている。ここで、前述したように、ラウンド遊技の開始に伴い、主制御部８０（遊技制御用マイコン８１）はラウンド開始コマンドをセットし（S2106）、そのラウンド開始をサブ制御部９０が受信することにより、サブ制御部側でラウンド遊技の開始を認識することが可能となる。ラウンド開始コマンドは、例えば、「１Ｒ開始コマンド」、「２Ｒ開始コマンド」・・・「１５Ｒ開始コマンド」のように、開始（実行）するラウンド数に応じて設けられている。
【０３２２】
サブ制御部９０は、モード選択期間の開始ラウンドである１４Ｒ（所定ラウンド遊技）の１つ前のラウンド遊技の開始、すなわち、１３Ｒの開始を指定する「１３Ｒ開始コマンド」を受信すると、これに対応するラウンド演出コマンドを画像制御基板１００（画像制御部）に送信する。これを受けて、画像表示装置７の表示画面７ａでは、１３Ｒのラウンド演出が実行される。１３Ｒのラウンド演出では、図６３（ａ）に示すように、表示画面７ａの全体に１３Ｒのラウンド演出画面８００が表示されるとともに、ラウンド演出画面８００の一部（本実施例では画面左上側）に次ラウンド（１４Ｒ）からモード選択が可能となる旨を示す報知画面８１０が表示される。この報知画面８１０の表示により、次ラウンド（本実施例では１４Ｒ）からモード選択期間が開始されることが遊技者に報知される（選択期間開始前報知、第１報知手段）。このように、演出モードの選択が可能なる（モード選択期間が開始される）ことを事前に報知した上で、演出モードの選択期間の発生（開始）を迎えるといった新規な態様での演出モードの選択が可能となる。これにより、演出モード選択に遊技者の興味を惹きつけることが可能となる。
【０３２３】
尚、ラウンド演出画面８００には、所定のラウンド演出画像（図示せず）や、現在のラウンド数を示す画像、賞球カウント画像Ｃ１等も表示される。ここで表示される賞球カウント画像Ｃ１は、大当り遊技中の第１大入賞口３０への入球（第１大入賞口入球コマンドの受信）に基づいて、その入球ごとに加算表示されるようになっており、当該大当り遊技が終了した後の状態Ｃにおいても継続して表示され、その後の小当り遊技での第２大入賞口３５への入球や大当り遊技での第１大入賞口３０への入球によっても加算表示される。したがって、賞球カウント画像Ｃ１は、初当りから連荘期間中の通算の獲得賞球数を表示することとなる。
【０３２４】
次いで、サブ制御部９０は、モード選択期間の開始ラウンドである１４Ｒの開始を指定する「１４Ｒ開始コマンド」を受信すると、これに対応するラウンド演出コマンドを画像制御基板１００（画像制御部）に送信する。これを受けて、画像表示装置７の表示画面７ａでは、１４Ｒのラウンド演出が実行される。１４Ｒのラウンド演出では、図６３（ｂ）に示すように、表示画面７ａの全体に１４Ｒのラウンド演出画面８００が表示されるとともに、ラウンド演出画面８００の一部（本実施例では画面左上側）にモード選択画面９００が表示される。このモード選択画面９００は、前述した４Ｒ大当り遊技のエンディング期間中に発生するモード選択期間でのモード選択画面７００（図６２参照）と同様の画面構成としており、モード選択画面７００を縮小したものとしている。このモード選択画面９００の表示により、モード選択期間中であることが遊技者に報知される（選択期間中報知、第２報知手段）。モード選択画面９００での演出モード選択（モード選択画像の上下入れ替え）は、図６２（ａ）、（ｂ）に基づいて説明した前述のモード選択画面７００での演出モード選択と同じ要領である。よって、１４Ｒでの演出モード選択についての詳細な説明は省略する。尚、モード選択画面９００の画面構成（表示内容）を、エンディング期間中のモード選択期間で表示するモード選択画面７００の一部又は全部と異なるものとしてもよく、また、表示画面７ａの全体にモード選択画面９００を表示するようにしてもよい。
【０３２５】
次いで、サブ制御部９０は、モード選択期間の開始ラウンド（１４Ｒ）に続く１５Ｒの開始を指定する「１５Ｒ開始コマンド」を受信すると、これに対応するラウンド演出コマンドを画像制御基板１００（画像制御部）に送信する。これを受けて、画像表示装置７の表示画面７ａでは、１５Ｒのラウンド演出が実行される。１５Ｒのラウンド演出では、図６３（ｃ）に示すように、表示画面７ａの全体に１５Ｒのラウンド演出画面８００が表示されるとともに、ラウンド演出画面８００の一部（本実施例では画面左上側）にモード選択画面９００が表示される。このときモード選択画面９００では、１５Ｒの開始とともにカウントダウン表示が開始される。このカウントダウン表示は、前述したエンディング期間中のモード選択画面７００でのカウントダウン表示（図６２（ｃ）を参照）と同様であり、１５Ｒの進行に伴って数字画像が「３」→「２」→「１」と減っていく（図６３（ｄ）を参照）。このカウントダウン表示により、モード選択期間が間もなく終了することが遊技者に報知される（選択期間終了前報知、第３報知手段）。そして、１５Ｒの途中（１５Ｒの開始から約３秒が経過した時点）でカウントダウン表示が終了し、これによりモード選択期間が終了する。
【０３２６】
この後、１５Ｒが終了するまで、表示画面７ａにはラウンド演出画面８００とともにモード選択画面９００が表示され、モード選択画面９００に選択済の演出モード（選択結果）が表示される。この選択済の演出モード（Ｃ又はＤ）が、その後に実行（開始）される状態Ｃの演出モードとして設定され、以後、状態Ｃでは、その設定（選択）された演出モード（Ｃ又はＤ）のもと演出図柄遊技演出が実行される。
【０３２７】
このように、状態Ｃ（高確低ベース状態）の設定契機となる大当りが発生した場合、その大当りに係る大当り遊技が開始された後の所定時期に、状態Ｃの演出モードを「演出モードＣ」又は「演出モードＤ」の中から選択するモード選択期間が発生する。このモード選択期間の発生時期（開始時期）に関し、状態Ａ（左打ち遊技）にて４Ｒ第１大当りが発生した場合と、状態Ｂ又はＣ（右打ち遊技）にて１５Ｒ第３大当りが発生した場合とで、その発生時期が異なるものとなっている。つまり、左打ち遊技を行う遊技状態である状態Ａでの初当りと、右打ち遊技を行う遊技状態である状態Ｂ又はＣでの連荘当りの場合とで、モード選択期間の発生時期が異なるものとなっている。また、別の捉え方をすると、実行される大当り遊技の種類（大当りの種類）、すなわち、４Ｒ大当り遊技（４Ｒ第１大当り、４Ｒ第４大当り）であるか１５Ｒ大当り遊技（１５Ｒ第３大当り）であるかによって、モード選択期間の発生時期が異なるものとなっている。このため、大当りが発生したときの遊技状態（初当りなのか連荘当りなのか）や、実行される大当り遊技の種類によって、演出モード選択が可能となる時期を異ならせたり、演出モード選択の態様を異ならせたりすることが可能となる。
【０３２８】
特に、本実施例では、４Ｒ大当り遊技が実行される場合、すべてのラウンド遊技が終了した後のエンディング期間中にモード選択期間が発生してモード選択画面７００が表示される（図６２参照）。一方、１５Ｒ大当り遊技が実行される場合、その大当り遊技中の１４Ｒから１５Ｒ（最終Ｒ）の途中にかけてモード選択期間が発生（開始）するが、モード選択期間の発生前（開始前）の１３Ｒでは、次ラウンドからモード選択期間が開始される旨を報知する報知画面８１０が表示され（選択期間開始前報知、図６３（ａ）参照）、１４Ｒではモード選択期間が発生してモード選択画面９００が表示され（選択期間中報知、図６３（ｂ）参照）、１５Ｒではカウントダウン表示が実行される（選択期間終了前報知、図６３（ｃ）、（ｄ）参照）。このように、４Ｒ大当り遊技では、すべてのラウンド遊技の終了後に演出モード選択の機会が遊技者に与えられ、１５Ｒ大当り遊技では、すべてのラウンド遊技が終了するまでに演出モード選択の機会が遊技者に与えられる。これにより、演出モード選択が単調になるのを防ぐことが可能となり、演出モード選択に関し遊技者に違った印象を与えることが可能となる。
【０３２９】
また、ラウンド数が相対的に少ない４Ｒ大当りのエンディング期間を、ラウンド数が相対的に多い１５Ｒ大当りのエンディング期間よりも長くし、４Ｒ大当りでは、そのエンディング期間を利用してモード選択期間を発生させている。このため、１５Ｒ大当りに比してラウンド数（獲得賞球数）が少なく大当り遊技の実行期間が短いといった遊技者にとってのマイナスイメージをできる限り払拭し、遊技興趣の低下を抑制することが可能となる。
【０３３０】
また、本実施例では、１５Ｒ大当り遊技が実行される場合、複数のラウンド遊技（本実施例では１３Ｒ〜１５Ｒ）に亘って当該大当り遊技後の演出モードの選択を遊技者に促すようになっている。このため、演出モード選択に遊技者の興味を惹きつけることが可能となる。また、モード選択期間は１４Ｒ（所定ラウンド遊技）の開始から１５Ｒ（次のラウンド遊技）の途中までとなっており、そのモード選択期間の開始前から終了にかけて、演出モード選択に係る報知（選択期間開始前報知、選択期間中報知、選択期間終了前報知）が行われるものとなっている。これにより、遊技者がモード選択期間の発生に気付かずに演出モード選択の機会を逸してしまうことのないようにすることが可能となる。
【０３３１】
［画像表示装置の配置態様］
次に、本実施例のパチンコ遊技機１が備える画像表示装置の配置態様について説明する。前述したように、本実施例のパチンコ遊技機１は、第１画像表示装置７、第２画像表示装置７１及び第３画像表示装置７２の３つの画像表示装置（表示手段）を備えている。それら３つの画像表示装置のうち、第１画像表示装置７は、その表示画面７ａ（表示面）が遊技盤２（遊技領域３）の略中央に設けられた開口を臨むようにして、遊技盤２の裏面側に設けられている（図３参照）。一方、第２画像表示装置７１及び第３画像表示装置７２は、それぞれ前面枠５１の前面左右に設けられている（図１参照）。
【０３３２】
ここで、図１に示すように、縦長の長方形状の前面枠５１には、当該前面枠５１を閉鎖した状態（閉状態）で遊技盤２の表面（遊技盤面）を遊技機前方（手前側）から視認可能とする視認窓５１ａ（視認部）が設けられている。視認窓５１ａは、透明のガラス板によって構成されるもので、打球供給皿６１より上方の大半を占める縦長の略楕円形状とされている。遊技者は、この視認窓５１ａ（ガラス板）を通して、遊技盤２の表面に形成される遊技領域３や、遊技盤２の裏側に配置される第１画像表示装置７の表示画面７ａ（表示内容）等を視認することができる。また、前述したように、前面枠５１は、その一側端側（本実施例では左辺側）の上下角部に設けられる枠ヒンジ５６、５６によって開閉可能（回動可能）に軸支されている。
【０３３３】
本実施例では、このような前面枠５１の前面であって、当該前面枠５１が軸支される一側端側（左辺側）の上部に第２画像表示装置７１が設けられ、その一側端側（左辺側）と対向する他側端側（右辺側）の上部に第３画像表示装置７２が設けられている（図１参照）。第２画像表示装置７１及び第３画像表示装置７２は、いずれも第１画像表示装置７（図３参照）に比して小型の液晶表示装置からなるもので、略正方形に近い四角形状の表示画面７１ａ、７２ａを有している。また、第２画像表示装置７１及び第３画像表示装置７２は、それぞれの表示画面７１ａ、７２ａが、正面視で上下方向（鉛直方向）に略真っ直ぐな状態（姿勢）を保ちつつ、前面枠５１の視認窓５１ａの側（前面枠５１の内側）へ傾斜した状態となるように構成されている。表示画面７１ａ、７２ａの傾斜の度合いは、図１に示すように、各表示画面について、視認窓５１ａの窓面（あるいは第１画像表示装置７の表示画面７ａ）とのなす角が鈍角の範囲内となる所定の角度（例えば１３０度〜１５０度）とされており、本パチンコ遊技機１を遊技する遊技者が、遊技機前方（手前側）から表示画面７１ａ、７２ａを視認できるようになっている。このように、表示画面７１ａ、７２ａがそれぞれ視認窓５１ａの側（前面枠５１の内側）へ傾斜した状態となっているため、視認窓５１ａを介して遊技領域３や第１画像表示装置７の表示画面７ａ（表示内容）を視認しながら遊技を行う遊技者にとっては、少ない視線移動で第２画像表示装置７１や第３画像表示装置７２の表示画面７１ａ、７２ａ（表示内容）を視認することが可能となる。第１画像表示装置７、第２画像表示装置７１及び第３画像表示装置７２の表示内容については後述する。
【０３３４】
尚、遊技盤２の裏側（遊技領域３の内側）に設けられる第１画像表示装置７のことを「盤側表示手段」や「第１表示手段」ともいい、前面枠５１（遊技領域３の外側）に設けられる第２画像表示装置７１及び第３画像表示装置７２のことを「枠側表示手段」や「第２表示手段」ともいい、第２画像表示装置７１のことを「第１枠側表示手段」や「左表示手段」ともいい、第３画像表示装置７２のことを「第２枠側表示手段」や「右表示手段」ともいう。
【０３３５】
また、図１に示すように、枠側表示手段のうち、第２画像表示装置７１（第１枠側表示手段）は、前面枠５１の一側端側（左辺側）の前面上部に設けられる第２画像表示装置用ヒンジ７５により前面枠５１に対して回動可能に軸支されている。一方、第３画像表示装置７２（第２枠側表示手段）は、第２画像表示装置７１のように回動可能に軸支されるものではなく、前面枠５１の他側端側（右辺側）の前面上部に固着されている。前述したように、第２画像表示装置７１及び第３画像表示装置７２は、それぞれ表示画面７１ａ、７２ａが視認窓５１ａの側（前面枠５１の内側）へ傾斜した状態となるように構成（配置）されているが、第２画像表示装置７１については、第２画像表示装置用ヒンジ７５の軸を中心として水平方向に回動可能となっているため、その傾斜した状態（初期状態、第１状態）と、その状態から更に視認窓５１ａ側へ傾斜した状態（傾倒状態、第２状態）とを採り得るものとなっている。つまり、第２画像表示装置７１の表示画面７１ａと視認窓５１ａの窓面（又は第１画像表示装置７の表示画面７ａ）とのなす角が所定の第１角度（例えば１３０度〜１５０度）とされる初期状態（第１状態）と、そのなす角が第１角度よりも小さい所定の第２角度（例えば８０度〜１００度）とされる傾倒状態（第２状態）とを採り得るものとなっている。一方、第３画像表示装置７２は前面枠５１に固着されているため、その表示画面７２ａと視認窓５１ａの窓面（又は第１画像表示装置７の表示画面７ａ）とのなす角が所定の角度（例えば１３０度〜１５０度）とされる状態で固定されている。
【０３３６】
このように、第２画像表示装置７１を回動可能として初期状態（第１状態）と傾倒状態（第２状態）とを採り得るように構成しているのは次の理由による。すなわち、遊技ホールにおいてパチンコ遊技機１が設置される島設備には、プリペイドカード等の記録媒体（遊技価値記憶媒体）に記録されている価値情報に基づいて遊技球の貸出（球貸し）を可能とするカードユニット１３５（遊技球等貸出装置）が設けられており、そのカードユニット１３５とパチンコ遊技機１（払出制御基板１１０）が接続される（図５参照）。パチンコ遊技機１に接続されるカードユニット１３５は、通常、そのパチンコ遊技機１の左側に隣接する。つまり、パチンコ遊技機１の前面枠５１及び本体枠５２が軸支される一側端側（左側）にカードユニット１３５が位置する。このため。前面枠５１を開放したり、前面枠５１及び本体枠５２の両方を開放したりする場合、その前面枠５１は、パチンコ遊技機１の一側端側（左側）の枠ヒンジ５６、５６の軸を中心として、カードユニット１３５側（パチンコ遊技機１の左側）へ水平に回動することとなる。このとき、前面枠５１等が軸支される一側端側（前面枠５１の左辺側前面）に、枠側表示手段や枠側可動役物等の枠側演出手段が設けられている場合、その枠側演出手段がカードユニット１３５と接触して、前面枠５１等の開放（カードユニット１３５側への回動）の妨げとなる虞がある。この点、本実施例のように、第２画像表示装置７１を、カードユニット１３５と対向する側である視認窓５１ａ側へ傾倒（回動）させることができるように構成すれば、前面枠５１等を開放させる際に第２画像表示装置７１を視認窓５１ａ側へ傾倒させる（傾倒状態とする）ことで、その第２画像表示装置７１の存在が前面枠５１等の開放の妨げとなることを回避し、何ら支障なく前面枠５１等を開放することが可能となる。
【０３３７】
また、前面枠５１及び本体枠５２の両方を閉じた状態、すなわち、本パチンコ遊技機１を遊技することができる状態において、カードユニット１３５の操作部を操作して、カード（記録媒体）に記録されている持ち球情報に基づく持ち球の払い出しを受けたり、カード（記録媒体）をカードユニット１３５から取り出したりする際、その操作位置やカード取り出し位置が第２画像表示装置７１の近傍であるとしても、第２画像表示装置７１を視認窓５１ａ側へ傾倒させる（傾倒状態とする）ことで、その操作や取り出し等をスムーズに行うことが可能となる。こうした前面枠５１等の開放やカードユニット１３５に対する操作等を鑑みて、第２画像表示装置７１を回動可能としているのである。これにより、前面枠５１が軸支される一側端側（前面枠５１の左辺側）に、枠側表示手段として第２画像表示装置７１（第１枠側表示手段、左表示手段）を設けるといった斬新な配置態様を採ることが可能となり、遊技機の外観上、従来にはない目新しさを感じさせることが可能となる。特に、本実施例のように、前面枠５１が軸支される一側端側（前面枠５１の左辺側）だけでなく、その一側端側と対向する他側端側（前面枠５１の右辺側）にも、枠側表示手段として第３画像表示装置７２（第２枠側表示手段、右表示手段）を設けることで、遊技機の正面（前面）を構成する前面枠５１が斬新なものとなり、遊技機の外観上の目新しさは一層顕著となる。こうした外観上の目新しさは、遊技者の遊技意欲を喚起させるのに効果的である。
【０３３８】
また、本実施例のパチンコ遊技機１は、初期状態と傾倒状態とを採り得る第２画像表示装置７１を初期状態に維持するための機構（維持手段）を備えている。具体的に、第２画像表示装置７１を初期状態に維持する手段として、第２画像表示装置７１を前面枠５１の一側端側（左端側）へ付勢するねじりコイルばね（図示せず）が、第２画像表示装置用ヒンジ７５の近傍に設けられている。第２画像表示装置７１は、ねじりコイルばね（付勢手段）の付勢力により、初期状態に保たれるようになっている。したがって、第２画像表示装置７１を傾倒状態とするには、例えば、第２画像表示装置７１の裏面側（表示画面７１ａと反対側の面）を手で押して、ねじりコイルばね（付勢手段）の付勢力に反する力を第２画像表示装置７１に加えることで、第２画像表示装置７１を視認窓５１ａ側へ傾倒（回動）させることができる。また、前面枠５１等を開放して第２画像表示装置７１の裏面がカードユニット１３５に接触した際、その接触により第２画像表示装置７１の裏面に加わる力によって、第２画像表示装置７１は視認窓５１ａ側へ傾倒（回動）することとなる。一方、第２画像表示装置７１を視認窓５１ａ側へ傾倒（回動）させる力（ねじりコイルばねの付勢力に反する力）が解かれると、第２画像表示装置７１は、ねじりコイルばね（付勢手段）の付勢力により元の初期状態に復帰する。これにより、前面枠５１が閉状態とされた状況下では、第２画像表示装置７１を初期状態に保つことが可能となり、第２画像表示装置７１の表示画面７１ａ（表示内容）の良好な視認性を確保することができる。また、視認窓５１ａ側へ傾倒した第２画像表示装置７１は、その傾倒させる力が解かれることで自動的に初期状態に復帰するので、特段の操作や処置等を施すことなく第２画像表示装置７１を確実に初期状態とすることが可能となる。
【０３３９】
［画像表示装置の表示内容］
次に、本実施例のパチンコ遊技機１が備える３つの画像表示装置の表示内容について説明する。本パチンコ遊技機１が備える画像表示装置（第１画像表示装置７、第２画像表示装置７１及び第３画像表示装置７２）では、演出図柄遊技演出（変動演出）、予告演出（示唆演出）、大当り遊技演出、デモ演出等の各種の演出表示が実行可能となっている（演出表示実行手段）。以下では、遊技状態が状態Ａ（低確低ベース状態）に制御されているときの演出図柄遊技演出（変動演出）と予告演出（示唆演出）を中心に、画像表示装置の表示内容を説明する。
【０３４０】
［演出図柄遊技演出の表示内容］
まず、状態Ａにて演出図柄遊技演出が実行される場合の画像表示装置の表示内容について説明する。演出図柄遊技演出に係る演出表示は、主として、第１画像表示装置７（表示画面７ａ）で実行される（図５４参照）。状態Ａでは、前述したように、演出モードとして「Ａ」又は「Ｂ」が設定されるため、第１画像表示装置７の表示画面７ａには、その演出モードＡ又はＢに対応する背景画像が表示され、この背景表示のもと表示画面７ａ上で演出図柄８の変動表示が行われる。そして、演出図柄８の変動表示の開始に際して設定される変動演出パターンや予告演出パターンによっては、リーチ演出や予告演出等に係る演出表示が、第１画像表示装置７（表示画面７ａ）に加えて第２画像表示装置７１（表示画面７１ａ）や第３画像表示装置７２（表示画面７２ａ）においても実行される場合がある。つまり、第１画像表示装置７の表示画面７ａにおける演出表示を主として、第２画像表示装置７１の表示画面７１ａや第３画像表示装置７２の表示画面７２ａにて演出表示が補助的に行われる場合がある。このことから、第１画像表示装置７（表示画面７ａ）のことを「主表示装置」や「メイン液晶」ともいい、第２画像表示装置７１（表示画面７１ａ）及び第３画像表示装置７２（表示画面７２ａ）のことを「副表示装置」や「サブ液晶」ともいう。
【０３４１】
本実施例では、演出図柄８の変動態様（変動演出パターン）として、リーチ無しの変動態様（ノーマル変動）とリーチ有りの変動態様（リーチ変動）とが設けられており、リーチ演出の種類として、ノーマルリーチ演出とスーパーリーチ演出（「ＳＰリーチ」ともいう）とが設けられている。このため、リーチ変動が実行される場合には、前述のS4505において、変動パターン指定コマンド及び変動演出パターン決定テーブルに基づいて何れかのリーチ演出が設定される。そして、スーパーリーチ演出が実行される場合には、ノーマルリーチ演出が実行される場合と比較して、大当りとなる可能性（大当り信頼度）が高くなるように設定されている。
【０３４２】
このような変動演出の仕様のもと、主制御部８０からの変動開始コマンドをサブ制御部９０が受信すると（S4403）、これを受けて設定される変動演出パターンに基づいて、第１画像表示装置７の表示画面７ａにて演出図柄８の変動表示が開始される（変動表示開始手段）。その変動表示が、リーチ無しのノーマル変動である場合と、ノーマルリーチ演出によるリーチ変動（「ノーマルリーチ変動」ともいう）と、スーパーリーチ演出によるリーチ変動（「ＳＰリーチ変動」ともいう）のうち後述する特定ＳＰリーチ変動を除いたＳＰリーチ変動である場合、当該変動表示や当該変動に係るリーチ等の演出表示は、図６７に示すように、その開始から終了まで第１画像表示装置７（表示画面７ａ）で行われ、第２画像表示装置７１（表示画面７１ａ）及び第３画像表示装置７２（表示画面７２ａ）で行われることはない。但し、後述するように、当該変動表示や後の変動表示（特図保留に基づく変動表示）に関する予告演出（示唆演出、示唆表示）が、第２画像表示装置７１（表示画面７１ａ）及び第３画像表示装置７２（表示画面７２ａ）のいずれか一方または両方で行われる場合がある。尚、図６７はリーチ無しのノーマル変動の一例を示している。また、リーチ演出（ノーマルリーチ変動、ＳＰリーチ変動）に係る演出表示のことを「特定表示」ともいう。
【０３４３】
ここで、第２画像表示装置７１及び第３画像表示装置７２の各表示画面７１ａ、７２ａには普段、所定の背景画像（所定表示）が表示される（所定表示実行手段）。この背景画像は、演出図柄８の変動表示等が行われる第１画像表示装置７の表示画面７ａに表示される背景画像（図示せず）とは異なり、演出モードＡとＢとで共通の背景画像であり、第２画像表示装置７１及び第３画像表示装置７２で変動演出や予告演出等に係る演出表示が行われない場合の固有（専用）の背景画像（所定表示）である。このことから、表示画面７ａ（メイン液晶）に表示される背景画像のことを「主背景」や「メイン背景」ともいい、表示画面７１ａ、７２ａに表示される背景画像のことを「副背景」や「サブ背景」ともいう。尚、図６７等では、表示画面７１ａ、７２ａに表示される背景画像（副背景、サブ背景）を網掛けで示している。
【０３４４】
また、本実施例では、図６７に示すように、第２画像表示装置７１及び第３画像表示装置７２の各表示画面７１ａ、７２ａに副背景が表示されるとき、そのうちの表示画面７１ａ（左表示手段）には、図柄変動回数を示す変動回数画像７１０（所定表示）を表示するものとしている。この変動回数画像７１０は、次の大当りが発生するまでに行われる特別図柄（および演出図柄）の変動表示の実行回数（変動回数）を示すものであり、特別図柄の変動表示が１回行われる毎（本実施例では変動表示の終了毎）に、その変動回数画像７１０が示す変動回数を１加算して表示するように構成されている。この変動回数画像７１０の表示は、主制御部８０からの変動停止コマンドに基づいてサブ制御部９０（演出制御用マイコン９１）の制御下で行われる（所定表示実行手段）。一方、副背景が表示される表示画面７２ａ（右表示手段）には、現在の演出モードを示す演出モード画像７２０（所定表示）を表示するものとしている。この演出モード画像７２０は、状態Ａにて現在設定されている演出モードの種類を示す演出モードの名称（例えば演出モードＡに対応する○○モード、演出モードＢに対応する△△モード等）を示すものであり、サブ制御部９０（演出制御用マイコン９１）の制御下で設定されるモードステータスに基づいて、その表示が行われる（所定表示実行手段）。
【０３４５】
これに対し、実行される演出図柄８の変動表示が、ＳＰリーチ変動のうち特定ＳＰリーチ変動である場合、その特定ＳＰリーチ変動に係る変動表示（演出表示）の実行態様として、本実施例では大別して２つの態様が設けられている。具体的に、そのうちの一の態様は、特定ＳＰリーチ変動に係る変動表示の開始当初からリーチ状態となり、当該変動に係るリーチ演出（特定ＳＰリーチ演出）を第１画像表示装置７（表示画面７ａ）、第２画像表示装置７１（表示画面７１ａ）及び第３画像表示装置７２（表示画面７２ａ）で実行する態様（「第１態様」ともいう）である。また、他の態様は、特定ＳＰリーチ変動に係る変動表示の開始当初は、当該変動に係る演出表示を第１画像表示装置７（表示画面７ａ）のみで実行し、リーチ成立後、演出内容がＳＰリーチに発展するのに際して、当該変動に係る演出表示を第１画像表示装置７に加えて、第２画像表示装置７１（表示画面７１ａ）及び第３画像表示装置７２（表示画面７２ａ）のいずれか一方または両方で実行する態様（「第２態様」ともいう）である。
【０３４６】
本実施例では、状態Ａ（演出モードＡまたはＢ）で実行される特定ＳＰリーチ演出の内容（演出態様）を、味方キャラと敵キャラが対決し、味方キャラが勝利すれば大当りとなり、敗北すれば外れとなる内容としている。このような特定ＳＰリーチ演出のことを「特定演出」ともいう。この特定演出として、前述の第１態様（当初から３画面表示）に基づいて実行される第１特定演出（第１態様に基づく演出表示）と、前述の第２態様（当初は１画面表示で後に２画面表示又は３画面表示）に基づいて実行される第２特定演出と、を備えている。また、第２特定演出（第２態様に基づく演出表示）として、当該演出（特定ＳＰリーチ演出）を含む変動表示（特定ＳＰリーチ変動）が当初は第１画像表示装置７で実行（開始）されて後に第２画像表示装置７１でも実行される「第２特定演出Ａ」と、当初は第１画像表示装置７で実行（開始）されて後に第３画像表示装置７２でも実行される「第２特定演出Ｂ」と、当初は第１画像表示装置７で実行（開始）されて後に第２画像表示装置７１及び第３画像表示装置７２でも実行される「第２特定演出Ｃ」と、を備えている。このため、特定ＳＰリーチ変動が実行される場合には、それら特定演出（第１特定演出、第２特定演出Ａ〜Ｃ）のうちのいずれかが、前述のS4505において、変動パターン指定コマンド及び変動演出パターン決定テーブルに基づいて設定され、その設定された特定演出が実行される（特定表示実行手段、演出表示実行手段）。
【０３４７】
次に、特定演出が実行される場合の画像表示装置の表示内容について説明する。まず、第１特定演出が実行される場合、図６８に示すように、当該変動表示（演出表示）の開始当初から第１画像表示装置７の表示画面７ａにてリーチが成立した状態（リーチ状態）となり、味方キャラと敵キャラの対決開始を示す演出表示が行われる。このとき、リーチ状態にある左図柄（演出図柄８Ｌ）及び右図柄（演出図柄８Ｒ）がそれぞれ表示画面７ａの左右上部に小さく表示され、当該表示画面７ａの略全体にて対決開始を示す演出表示が行われる（図６８の中段を参照）。また、このとき、第２画像表示装置７１の表示画面７１ａには、副背景および変動回数画像７１０に代えて、当該特定演出に係る対決（バトル）に関与する味方キャラ側のサブキャラクタ（「味方サブキャラ」ともいう）が表示され、第３画像表示装置７２の表示画面７２ａには、副背景および演出モード画像７２０に代えて、当該特定演出に係る対決（バトル）に関与する敵キャラ側のサブキャラクタ（「敵サブキャラ」ともいう）が表示される（図６８の中段を参照）。そして、当該変動表示の進行に伴って、表示画面７ａでは味方キャラと敵キャラの対決シーンが表示されるとともに、その進行過程において、「表示画面７１ａに表示される味方サブキャラが味方キャラを応援する演出表示」や「表示画面７２ａに表示される敵サブキャラが敵キャラを応援する演出表示」、「表示画面７１ａに表示される味方サブキャラが表示画面７ａに移動して対決（味方キャラ側）に加わる演出表示」、「表示画面７２ａに表示される敵サブキャラが表示画面７ａに移動して対決（敵キャラ側）に加わる演出表示」等が行われる。
【０３４８】
その後、当該第１特定演出にて、図６９に示すように、味方キャラ側（味方キャラ、味方サブキャラ）が敵キャラ側（敵キャラ、敵サブキャラ）に勝利する演出表示（味方勝利シーン）が行われると、当該変動は大当り変動ということになり、演出図柄８がゾロ目（大当り態様）で表示（停止表示）される（図６９（ａ）参照）。これに対し、味方キャラ側（味方キャラ、味方サブキャラ）が敵キャラ側（敵キャラ、敵サブキャラ）に敗北する演出表示（味方敗北シーン）が行われると、当該変動は外れ変動（リーチ外れ変動）ということになり、演出図柄８がリーチバラケ目（外れ態様）で表示（停止表示）される（図６９（ｂ）参照）。
【０３４９】
ここで、本実施例では、特定演出（第１特定演出、第２特定演出Ａ〜Ｃ）における対決の結末を示す決着シーン（味方勝利シーンまたは味方敗北シーン）の演出表示は、主として表示画面７ａ（メイン液晶）で実行される。そして、第１特定演出および後述する第２特定演出Ｃの場合において、表示画面７ａ（メイン液晶）で味方勝利シーンが表示されるときには、図６９（ａ）に示すように、左側の表示画面７１ａに「勝」、右側の表示画面７２ａに「利」の文字がそれぞれ表示され、２つのサブ液晶の表示画面により「勝利」の文字が表示される。一方、第１特定演出および後述する第２特定演出Ｃの場合において、表示画面７ａ（メイン液晶）で味方敗北シーンが表示されるときには、図６９（ｂ）に示すように、左側の表示画面７１ａに「敗」、右側の表示画面７２ａに「北」の文字がそれぞれ表示され、２つのサブ液晶の表示画面により「敗北」の文字が表示される。
【０３５０】
また、第２特定演出が実行される場合、図７０に示すように、当該変動表示（演出表示）は第１画像表示装置７の表示画面７ａにて開始され、その後、リーチが成立すると、そのリーチ成立により停止（仮停止）した左図柄（演出図柄８Ｌ）及び右図柄（演出図柄８Ｒ）がそれぞれ表示画面７ａの左右上部に小さく表示されて、当該表示画面７ａの略全体にて味方キャラと敵キャラの対決開始を示す演出表示が行われ、これに続いて味方キャラと敵キャラの対決シーンを示す演出表示が開始される。この間、第２画像表示装置７１の表示画面７１ａ及び第３画像表示装置７２の表示画面７２ａでは、当該変動表示に関連する特段の演出表示が行われることなく、副背景等が表示される（後述の予告演出が行われる場合を除く）。ここまでは、第２特定演出Ａ〜Ｃに共通の表示内容である。
【０３５１】
そして、実行される第２特定演出が第２特定演出Ａ（表示画面７ａ→表示画面７ａ、７１ａ）である場合、図７１に示すように、表示画面７ａにて対決シーンの演出表示が開始されて間もなくすると、第２画像表示装置７１の表示画面７１ａにて、その表示画面７１ａに表示されている副背景の表示領域が段階的に減っていき、その減っていく領域に、味方サブキャラのシルエットが現れてくる演出表示（味方サブキャラ登場演出）が行われる。この味方サブキャラ登場演出を経て表示画面７１ａの全体に味方サブキャラが表示されると、以後、当該変動表示の進行に伴って、表示画面７ａにて味方キャラと敵キャラの対決シーンが表示されるとともに、「表示画面７１ａに表示される味方サブキャラが味方キャラを応援する演出表示」や「表示画面７１ａに表示される味方サブキャラが表示画面７ａに移動して対決（味方キャラ側）に加わる演出表示」等が行われる。こうした第２特定演出Ａにて、味方キャラ側（味方キャラ、味方サブキャラ）が敵キャラに勝利する演出表示（味方勝利シーン）が行われると、当該変動は大当り変動ということになり、演出図柄８がゾロ目（大当り態様）で表示（停止表示）される（図６９（ａ）の表示画面７ａを参照）。これに対し、味方キャラ側（味方キャラ、味方サブキャラ）が敵キャラに敗北する演出表示（味方敗北シーン）が行われると、当該変動は外れ変動（リーチ外れ変動）ということになり、演出図柄８がリーチバラケ目（外れ態様）で表示（停止表示）される（図６９（ｂ）の表示画面７ａを参照）。
【０３５２】
尚、表示画面７１ａにて味方サブキャラ登場演出が開始されたものの、表示画面７１ａの全体に味方サブキャラが表示される前に味方サブキャラ登場演出が終了して、表示画面７１ａの表示領域全体が副背景の表示に戻るパターンを設けることも可能である。つまり、ガセの味方サブキャラ登場演出を設けることも可能である。この場合、表示画面７１ａ、７２ａ（サブ液晶）を用いることなく、表示画面７ａ（メイン液晶）に対決シーンが表示されるＳＰリーチ演出ということになる。
【０３５３】
また、実行される第２特定演出が第２特定演出Ｂ（表示画面７ａ→表示画面７ａ、７２ａ）である場合、図７２に示すように、表示画面７ａにて対決シーンの演出表示が開始されて間もなくすると、第３画像表示装置７２の表示画面７２ａにて、その表示画面７２ａ全体に表示される副背景の表示領域が段階的に減っていき、その減っていく領域に、敵サブキャラのシルエットが現れてくる演出表示（敵サブキャラ登場演出）が行われる。この敵サブキャラ登場演出を経て表示画面７２ａ全体に敵サブキャラが表示されると、以後、当該変動表示の進行に伴って、表示画面７ａにて味方キャラと敵キャラの対決シーンが表示されるとともに、「表示画面７２ａに表示される敵サブキャラが敵キャラを応援する演出表示」や「表示画面７２ａに表示される敵サブキャラが表示画面７ａに移動して対決（敵キャラ側）に加わる演出表示」等が行われる。こうした第２特定演出Ｂにて、味方キャラが敵キャラ側（敵キャラ、敵サブキャラ）に勝利する演出表示（味方勝利シーン）が行われると、当該変動は大当り変動ということになり、演出図柄８がゾロ目（大当り態様）で表示（停止表示）される（図６９（ａ）の表示画面７ａを参照）。これに対し、味方キャラが敵キャラ側（敵キャラ、敵サブキャラ）に敗北する演出表示（味方敗北シーン）が行われると、当該変動は外れ変動（リーチ外れ変動）ということになり、演出図柄８がリーチバラケ目（外れ態様）で表示（停止表示）される（図６９（ｂ）の表示画面７ａを参照）。
【０３５４】
尚、表示画面７２ａにて敵サブキャラ登場演出が開始されたものの、表示画面７２ａの全体に敵サブキャラが表示される前に敵サブキャラ登場演出が終了して、表示画面７２ａの表示領域全体が副背景の表示に戻るパターンを設けることも可能である。つまり、ガセの敵サブキャラ登場演出を設けることも可能である。この場合、表示画面７１ａ、７２ａ（サブ液晶）を用いることなく、表示画面７ａ（メイン液晶）に対決シーンが表示されるＳＰリーチ演出ということになる。
【０３５５】
さらに、実行される第２特定演出が第２特定演出Ｃ（表示画面７ａ→表示画面７ａ、７１ａ、７２ａ）である場合、図７３に示すように、表示画面７ａにて対決シーンの演出表示が開始されて間もなくすると、第２画像表示装置７１及び第３画像表示装置７２の表示画面７１ａ、７２ａにて、各表示画面の全体に表示される副背景の表示領域が段階的に減っていき、その減っていく領域に、味方サブキャラのシルエット（表示画面７１ａ）及び敵サブキャラのシルエット（表示画面７２ａ）が現れてくる演出表示（サブキャラ登場演出）が行われる。このサブキャラ登場演出を経て各表示画面７２ａ全体にサブキャラが表示されると、当該変動表示の進行に伴って、表示画面７ａにて味方キャラと敵キャラの対決シーンが表示されるとともに、「表示画面７１ａに表示される味方サブキャラが味方キャラを応援する演出表示」や「表示画面７２ａに表示される敵サブキャラが敵キャラを応援する演出表示」、「表示画面７１ａに表示される味方サブキャラが表示画面７ａに移動して対決（味方キャラ側）に加わる演出表示」、「表示画面７２ａに表示される敵サブキャラが表示画面７ａに移動して対決（敵キャラ側）に加わる演出表示」等が行われる。こうした第２特定演出Ｃにて、味方キャラ側（味方キャラ、味方サブキャラ）が敵キャラ側（敵キャラ、敵サブキャラ）に勝利する演出表示（味方勝利シーン）が行われると、当該変動は大当り変動ということになり、演出図柄８がゾロ目（大当り態様）で表示（停止表示）される（図６９（ａ）の表示画面７ａを参照）。これに対し、味方キャラ側（味方キャラ、味方サブキャラ）が敵キャラ側（敵キャラ、敵サブキャラ）に敗北する演出表示（味方敗北シーン）が行われると、当該変動は外れ変動（リーチ外れ変動）ということになり、演出図柄８がリーチバラケ目（外れ態様）で表示（停止表示）される（図６９（ｂ）の表示画面７ａを参照）。
【０３５６】
尚、表示画面７１ａ、７２ａにてサブキャラ登場演出が開始されたものの、それぞれの表示画面の全体に味方サブキャラ及び敵サブキャラが表示されるサブキャラ登場演出が終了して、表示画面７１ａ、７２ａの表示領域全体が副背景の表示に戻るパターンを設けることも可能である。つまり、ガセのサブキャラ登場演出を設けることも可能である。この場合、表示画面７１ａ、７２ａ（サブ液晶）を用いることなく、表示画面７ａ（メイン液晶）に対決シーンが表示されるＳＰリーチ演出ということになる。
【０３５７】
このような第２特定演出Ａ〜Ｃの大当り信頼度は、味方キャラ勝利で大当りとなる点に鑑み、第２特定演出Ａ（味方キャラ、味方サブキャラＶＳ敵キャラ）の大当り信頼度が最も高くなるように設定されており、以下、第２特定演出Ｃ（味方キャラ、味方サブキャラＶＳ敵キャラ、敵サブキャラ）、第２特定演出Ｂ（味方キャラＶＳ敵キャラ、敵サブキャラ）の順で大当り信頼度が低くなるように設定されている。
【０３５８】
以上、状態Ａにて実行可能な演出図柄遊技演出を例示したが、本パチンコ遊技機１では、その他にも表示内容（演出態様）が異なる種々の変動演出（変動演出パターン）を備えており、これについても第１画像表示装置７、第２画像表示装置７１及び第３画像表示装置７２のうちの１又は２以上の表示装置を用いて実行可能とされることは言うまでもない。特に、リーチ演出に係る演出表示（特定表示）については、前述した第１特定演出や第２特定演出のように、第１画像表示装置７に加え、第２画像表示装置７１や第３画像表示装置７２の一または両方を用いて実行する態様を設けることで、より演出効果を高めることが可能である。
【０３５９】
以上のように、状態Ａにて演出図柄遊技演出（変動演出）が実行される場合、第１画像表示装置７（表示画面７ａ）を主として、第２画像表示装置７１（表示画面７１ａ）及び第３画像表示装置７２（表示画面７２ａ）のいずれか一方または両方を加えた演出表示が実行され得るものとなっている。このため、第１画像表示装置７にて演出図柄８の変動表示が開始された後、当該変動に係る演出表示に関し、第１画像表示装置７に加え、第２画像表示装置７１や第３画像表示装置７２にも遊技者を注目させることが可能となり、遊技領域の内外にわたる広範な表示が可能となる。これにより、インパクトのある演出表示が可能となり、演出表示のバリエーションを増やして興趣を高めることが可能となる。
【０３６０】
特に、本実施例では、特定ＳＰリーチ変動に基づく変動表示が実行される場合、すなわち、特定演出（第１特定演出、第２特定演出Ａ〜Ｃ）が実行される場合には、当該変動表示の開始当初から３つの画像表示装置で演出表示が実行される態様（第１態様）もあれば、当該変動表示の開始当初は第１画像表示装置７で演出表示が実行され、後に第２画像表示装置７１及び第３画像表示装置７２のいずれか一方または両方で演出表示が実行される態様（第２態様）もある。これにより、変動表示に関連する演出表示の実行態様が画一的になることを回避し、変動表示に関連する演出表示が行われる場合の興趣を高めることが可能となる。
【０３６１】
また、第２特定演出を含む変動表示が実行される場合、その変動表示は当初第１画像表示装置７で開始され、その後、リーチが成立して味方キャラと敵キャラの対決シーンを示す演出表示が表示画面７ａ上で開始されると、第２画像表示装置７１及び第３画像表示装置７２のいずれか一方または両方の副背景の表示領域が段階的に減っていき、その減った分の表示領域がサブキャラ登場演出の表示領域に変化していくものとなっている。つまり、当該変動に係る演出表示の表示領域が、第１画像表示装置７から第２画像表示装置７１及び第３画像表示装置７２のいずれか一方または両方に徐々に拡大していくといった演出が実行可能となっている。これにより、第２特定演出を含む変動表示が実行される場合の興趣を高めることが可能となる。
【０３６２】
［予告演出の表示内容］
次に、状態Ａ（低確低ベース状態）にて予告演出が実行される場合の画像表示装置の表示内容について説明する。前述したように、本実施例のパチンコ遊技機１では、S4402で記憶される演出保留情報（事前判定結果等）や、S4506（図５２参照）で設定される予告演出パターンに基づいて、予告演出（示唆演出、示唆表示）を実行することが可能となっている（示唆表示実行手段）。本実施例では、状態Ａ（低確低ベース状態）において、画像表示装置（第１画像表示装置７、第２画像表示装置７１、第３画像表示装置７２）を用いて実行可能な予告演出として、複数種の予告演出を備えている。以下では、それら予告演出のうち、第１予告演出から第５予告演出の５種類について説明する。尚、以下で説明する予告演出には、現在実行中の変動表示（当該変動）の表示結果が大当り（特定表示結果）となる可能性を示唆する予告演出（当該変動予告）と、現在記憶されている特図保留に基づいて実行される変動表示の表示結果が大当り（特定表示結果）となる可能性を示唆する予告演出（保留先読み予告）とがある。
【０３６３】
まず、第１予告演出は、第１画像表示装置７（表示画面７ａ）にて実行されるもので、第１演出保留表示領域９ｃ（第１演出保留表示部）に表示される第１演出保留９ａの表示態様による予告演出（「演出保留予告」ともいう）である。この第１予告演出（演出保留予告）は、保留先読み予告として実行されるものである。状態Ａは低確低ベース状態であるため、通常、第１特別図柄の変動表示が主として行われる。このことに対応して、状態Ａでは、第１始動口２０への入球に基づき取得される取得情報（第１特図保留）の事前判定（S322）の結果に基づいて保留予告を実行することが可能となっている。第１予告演出（演出保留予告）の実行に係る制御は、サブ制御部９０（演出制御用マイコン９１）により行われるところ、第１特図保留の事前判定結果は、サブ制御部９０（演出制御用マイコン９１）がS4402にて記憶する演出保留情報を参照することで、サブ制御側において認識することが可能である。
【０３６４】
図７４（ａ）に示すように、本実施例では、演出保留予告を第１演出保留９ａの表示色により行うものとしている。このことから、第１演出保留９ａの表示色には、演出保留予告が行われていない場合に対応する通常色と、演出保留予告が行われている場合に対応する予告色とが設けられている。通常色は「白色」の１種類であり、予告色は「青色」、「緑色」及び「赤色」の３種類である。サブ制御部９０（演出制御用マイコン９１）は、第１始動口２０への遊技球の入球（第１特図保留の発生）を契機として演出保留予告を実行するか否かの判定を行い、実行する旨の判定結果が得られると、演出保留予告が実行される。演出保留予告が実行される条件としては、例えば、第１特図保留が少なくとも１個記憶されており（特図１保留球数≧１）、かつ、そのとき記憶されている第１特図保留について演出保留予告が行われていない場合に所定の実行抽選を行い、その抽選に当選することを定めることができる。尚、演出保留予告の実行条件はこれに限定されるものではなく、例えば、第１特図保留が２個以上記憶されていることを条件としたり、演出保留予告が行われていても更に演出保留予告を実行可能としたりしてもよい。
【０３６５】
演出保留予告を実行する場合、サブ制御部９０（演出制御用マイコン９１）はその実行にあたって、第１演出保留９ａの表示色（予告色）、すなわち演出保留予告の実行パターン（第１予告演出パターン）を決定する。この決定は、予告演出決定テーブルの一種である図７４（ｂ）に示す演出保留予告決定テーブルと、０〜９９の範囲で値をとる演出保留予告決定用乱数とに基づいて行われる。サブ制御部９０（演出制御用マイコン９１）は、事前判定結果（演出保留情報）に基づいて、演出保留予告の対象となる第１特図保留を選択し、その第１特図保留が「外れ保留１」、「外れ保留２」、「外れ保留３」、「大当り保留」の何れであるかを特定して、これに対応する第１演出保留９ａの表示色（第１予告演出パターン）を、演出保留予告決定テーブルを参照して決定（選択）する。ここで、「外れ保留１」はノーマル変動（外れ）が行われる第１特図保留であり、「外れ保留２」はノーマルリーチ変動（外れ）が行われる第１特図保留であり、「外れ保留３」はＳＰリーチ変動（外れ）が行われる第１特図保留であり、「大当り保留」は大当り変動が行われる第１特図保留である。本実施例では、第１演出保留９ａの表示色が「赤色」となる場合の大当り信頼度が最も高くなるように設定されており、以下、「緑色」、「青色」の順で大当り信頼度が低くなるように設定されている（図７４（ｂ）参照）。尚、演出保留予告は、演出保留の色の他にも、例えば、演出保留の形状（デザイン）や大きさの違いによって行うことが可能であり、また、色、形状、大きさ等の各要素の組合せによって行うことも可能である。また、演出保留予告の実行タイミングは、第１始動口２０への遊技球の入球時（第１特図保留の発生時）や表示画面７ａでの演出図柄８の変動表示中など、様々タイミングとすることが可能である。
【０３６６】
第２予告演出は、第２画像表示装置７１（表示画面７１ａ）にて実行されるもので、表示画面７１ａに表示される変動回数画像７１０の表示態様による予告演出（「回数表示予告」ともいう）である。前述したように、第１画像表示装置７で演出図柄８の変動表示等の演出表示が行われ、第２画像表示装置７１の表示画面７１ａに副背景が表示されるとき、その表示画面７１ａには変動回数画像７１０が表示される（図６７等を参照）。第２予告演出（回数表示予告）は、その変動回数画像７１０（変動回数表示）を利用したものであり、第１画像表示装置７にて実行中の演出図柄８の変動表示に関し、その変動表示の表示結果が大当りとなる（演出図柄８が大当り態様で表示される）可能性が通常よりも高いことを示唆する当該変動予告として実行されるものである。
【０３６７】
第２予告演出（回数表示予告）の実行に係る制御は、サブ制御部９０（演出制御用マイコン９１）により行われるところ、演出図柄８の変動表示（変動演出）を開始する際、第２画像表示装置７１に副背景が表示されている場合に、その開始する変動表示に係る当否判定結果や変動態様（変動演出パターン）等を参照して、回数表示予告を実行するか否かの判定（実行抽選等）を行う。そして、回数表示予告を実行する場合は、当該変動表示に係る予告演出として第２予告演出パターン（回数表示予告パターン）を設定することにより（S4506）、表示画面７ａでの演出図柄８の変動表示とともに、表示画面７１ａにて回数表示予告を実行することが可能となっている。回数表示予告は、その実行契機となる変動表示がノーマル変動（外れ）である場合よりも、ＳＰリーチ変動（外れ）や大当り変動である場合の方が、実行可能性が高くなるように設定されている。本実施例では、変動回数画像７１０の表示色を普段は「白色」としており、その表示色を「赤色」に変化させることにより、回数表示予告を行うものとしている。尚、回数表示予告の態様は変動回数画像７１０の表示色の変化に限られず、例えば、回数表示のサイズ、方法（算用数字、漢数字等）、位置等の変化であってもよい。
【０３６８】
第３予告演出は、第１画像表示装置７（表示画面７ａ）及び第２画像表示装置７１（表示画面７１ａ）にて実行されるもので、当該変動予告として実行される場合と保留先読み予告として実行される場合とがある。この第３予告演出は、図７５に示すように、打ち上げ花火をモチーフにした予告演出（「花火予告」ともいう）であり、表示画面７ａにて演出図柄８の変動表示が開始されると、それに伴い表示画面７ａから表示画面７１ｂに向かって花火が打ち上げられるとともに表示画面７１ｂの背景が星空の背景となり、その後、表示画面７１ｂ上で花火が弾ける様子を描いた演出表示となっている。そして、その花火の色により大当り信頼度を示唆するものとなっている。本実施例では、花火の色として「白色」、「青色」、「緑色」及び「赤色」の４色を設けており、そのうち「赤色」の大当り信頼度が最も高く、以下、「緑色」、「青色」、「白色」の順で大当り信頼度が低くなるように設定されている。
【０３６９】
第３予告演出（花火予告）の実行に係る制御は、サブ制御部９０（演出制御用マイコン９１）により行われるところ、保留先読み予告として実行する場合は、前述の第１予告演出（演出保留予告）と略同じ要領で、花火予告を実行することが可能となっている。すなわち、演出図柄８の変動表示を開始する際、そのとき記憶されている第１特図保留（演出保留情報）を参照して、花火予告の実行契機となった第１特図保留の種類（例えば、前述の外れ保留１〜３、大当り保留など）を特定し、その特定した種類に応じて、第３予告演出パターン（花火予告パターン）として花火の色を決定（選択）することにより、表示画面７ａでの演出図柄８の変動表示とともに、表示画面７ａ及び表示画面７１ａにて花火予告を実行することが可能となっている。この場合、花火予告（保留先読み予告）の実行契機となった予告対象保留が消化されるまで、変動表示の開始毎に花火予告が実行される。
【０３７０】
また、花火予告を当該変動予告として実行する場合は、演出図柄８の変動表示（変動演出）を開始する際、その開始する変動表示に係る当否判定結果や変動態様（変動演出パターン）等を参照して、第３予告演出パターン（花火予告パターン）として花火の色を決定（選択）することにより（S4506）、表示画面７ａでの演出図柄８の変動表示とともに、表示画面７ａ及び表示画面７１ａにて花火予告を実行することが可能となっている。尚、第３予告演出パターン（花火予告パターン）の決定（選択）は、例えば、前述の演出保留予告で説明したように、花火予告決定テーブル（図示せず）を参照することにより行うことができる。
【０３７１】
第４予告演出は、第３画像表示装置７２（表示画面７２ａ）にて実行されるもので、当該変動予告として実行される場合と保留先読み予告として実行される場合とがある。この第４予告演出は、図７６に示すように、表示画面７２ａに「チャンスゾーン」の文字および背景を表示する予告演出（「チャンスゾーン予告」ともいう）であり、当該第４予告演出（チャンスゾーン予告）を実行する場合、表示画面７ａでの演出図柄８の変動表示の開始に伴って開始される。本実施例では、第４予告演出（チャンスゾーン予告）の演出態様（予告演出パターン）を１種類（チャンスゾーンの文字表示）としている。但し、前述の第１予告演出（演出保留予告）や第３予告演出（花火予告）のように複数の態様を設けることも当然可能である。
【０３７２】
第４予告演出（チャンスゾーン予告）の実行に係る制御は、サブ制御部９０（演出制御用マイコン９１）により行われるところ、保留先読み予告として実行する場合は、少なくとも、演出図柄８の変動表示を開始する際に第１特図保留が２個以上記憶されていることを条件として、表示画面７ａでの演出図柄８の変動表示とともに、表示画面７２ａにてチャンスゾーン予告を実行することが可能となっている。この場合、チャンスゾーン予告（保留先読み予告）の実行契機となった予告対象保留が消化されるまで継続してチャンスゾーン予告が実行される。例えば、第１特図保留が３個記憶されており、その３個目の第１特図保留を対象にチャンスゾーン予告を実行する場合、その３個目の第１特図保留に基づく演出図柄８の変動表示が実行されるまで、表示画面７２ａに「チャンスゾーン」の文字が表示され続ける。また、チャンスゾーン予告を当該変動予告として実行する場合は、演出図柄８の変動表示（変動演出）を開始する際、当該変動表示に係る予告演出として第４予告演出パターン（チャンスゾーン予告パターン）を設定することにより（S4506）、表示画面７ａでの演出図柄８の変動表示とともに、表示画面７２ａにてチャンスゾーン予告を実行することが可能となっている。チャンスゾーン予告は、保留先読み予告として実行する場合と当該変動予告として行う場合のいずれにおいても、その実行契機となる第１特図保留又は変動表示が、ノーマル変動（外れ）である場合よりも、ＳＰリーチ変動（外れ）や大当り変動である場合の方が、実行可能性が高くなるように設定されている。
【０３７３】
第５予告演出は、第１画像表示装置７（表示画面７ａ）、第２画像表示装置７１（表示画面７１ａ）及び第３画像表示装置７２（表示画面７２ａ）のすべてを用いて実行されるもので、大当り変動に伴う当該変動予告として実行されるものである。つまり、大当り確定の予告演出である。本実施例では、大当り変動として行われる演出図柄８の変動表示の態様（変動演出パターン）として、演出図柄８の変動表示の開始から間もなくして、３つの演出図柄８Ｌ、８Ｃ、８Ｒがゾロ目で揃った状態で低速変動を行う全回転演出を有しており、第５予告演出は、その全回転演出の実行（発生）を予告（示唆）する演出（「全回転予告」）である。
【０３７４】
第５予告演出（全回転予告）の実行に係る制御は、サブ制御部９０（演出制御用マイコン９１）により行われるところ、演出図柄８の変動表示（変動演出）を開始する際、当該変動が大当り変動であって全回転演出を含む演出態様である場合、第５予告演出パターン（全回転予告パターン）を設定することにより（S4506）、全回転予告を実行することが可能となっている。本実施例では、全回転演出を所謂「プレミア演出」としての位置付けとしていることから、全回転予告および全回転演出の実行可能性は極めて低いものとなっている。
【０３７５】
本実施例の第５予告演出（全回転予告）は、図７７に示すように、演出図柄８の変動表示の開始に伴って、第２画像表示装置７１（表示画面７１ａ）に「全」、第１画像表示装置７（表示画面７ａ）に「回」、第３画像表示装置７２（表示画面７２ａ）に「転」の文字をそれぞれ表示するものであり、遊技領域３の内側に位置する表示画面７ａ（メイン液晶）と、その表示画面７ａの左右であって遊技領域３の外側に位置する表示画面７１ａ、７２ａ（サブ液晶）の３つの表示画面により「全回転」の文字を表示するものとなっている。こうした全回転予告の実行（「全回転」の文字の表示）からしばらくすると、３つの表示画面の各々に、同じ数字の演出図柄が１桁ずつ表示され、それら３つの表示画面によりゾロ目（大当り態様）が表示される。すなわち、正面視で左側の表示画面７１ａ（左サブ液晶）に左図柄（演出図柄８Ｌ）、中央の表示画面７ａ（メイン液晶）に中図柄（演出図柄８Ｃ）、右側の表示画面７２ａ（右サブ液晶）に右図柄（演出図柄８Ｒ）が、それぞれ同じ数字で表示される。これが全回転演出の開始に相当する。その後、３つの表示画面により表示される演出図柄８Ｌ、８Ｃ、８Ｒがゾロ目で揃った状態で、各画面の上方から下方に向かってゆっくりとスクロール表示する（「１１１」〜「９９９」を昇順で低速変動する）。このスクロール表示（全回転）を経て、「１１１」〜「９９９」のうちの何れかの組合せが３つの表示画面の各々で停止表示された後、３つの演出図柄８Ｌ、８Ｃ、８Ｒが最終的に表示画面７ａに大当り態様で表示（確定表示）される。
【０３７６】
以上の第１乃至第５予告演出は、ぞれぞれ単独で実行することもあれば、予告演出の実行に用いる画像表示装置が重複しないことを条件に、複数の予告演出を同時期に実行することもある。複数の予告演出を同時期に実行する態様としては、例えば、第１画像表示装置７で第１予告演出（演出保留予告）を実行しつつ第２画像表示装置７１で第２予告演出（回数表示予告）を実行する態様や、第１画像表示装置７及び第２画像表示装置７１で第３予告演出（花火予告）を実行しつつ第３画像表示装置で第４予告演出（チャンスゾーン予告）を実行する態様がある。
【０３７７】
以上、状態Ａにて実行可能な予告演出（示唆演出、示唆表示）を例示したが、本パチンコ遊技機１では、その他にも表示内容（演出態様）が異なる種々の予告演出（予告演出パターン）を備えており、これらについても第１画像表示装置７、第２画像表示装置７１及び第３画像表示装置７２のうちの１又は２以上の表示装置を用いて実行することが可能である。また、状態Ａ（演出モードＡ，Ｂ）だけでなく、状態Ｂ（演出モードＥ）や状態Ｃ（演出モードＣ，Ｄ）にて実行可能な予告演出についても、第１画像表示装置７、第２画像表示装置７１及び第３画像表示装置７２のうちの１又は２以上の表示装置を用いて実行することが可能である。さらに、前述した第１乃至第５予告演出のうちの一部又は全部を状態Ｂ（演出モードＥ）や状態Ｃ（演出モードＣ，Ｄ）においても実行可能に構成してもよい。
【０３７８】
以上のように、第１画像表示装置７（表示画面７ａ）で演出図柄８の変動表示が開始されるなか、変動表示に関する予告演出（示唆演出、示唆表示）が実行される場合、第１画像表示装置７はもちろんのこと、それに加えて第２画像表示装置７１（表示画面７１ａ）や第３画像表示装置７２（表示画面７２ａ）においても、予告演出が実行され得るものとなっている。これにより、第１画像表示装置７や第２画像表示装置７１、第３画像表示装置７２による予告演出に遊技者を注目させることが可能となる。
【０３７９】
特に、本実施例では、遊技盤２の略中央（遊技領域３の内側）に位置する第１画像表示装置７（表示画面７ａ）と、前面枠５１の左辺側（遊技領域３の外側）に位置する第２画像表示装置７１（表示画面７１ａ）および前面枠５１の右辺側（遊技領域３の外側）に位置する第３画像表示装置７２（表示画面７２ａ）のうち１又は２以上の画像表示装置により予告演出を実行することが可能となっているため、遊技領域３の内外にわたる広範な表示が可能となる。これにより、インパクトのある予告演出が可能となり、予告演出のバリエーションを増やして興趣を高めることが可能となる。なかでも、全回転演出の実行を予告する全回転予告（第５予告演出）では、第１乃至第３画像表示装置の３つの表示画面７ａ、７１ａ、７２ａにより「全回転」の文字が表示され、その後、３つの表示画面７ａ、７１ａ、７２ａの各々に同じ数字の演出図柄が１桁ずつ表示されてゾロ目を維持した状態で全回転演出が行われ、「１１１」〜「９９９」のうちの何れかの組合せが３つの表示画面７ａ、７１ａ、７２ａにより停止表示された後、演出図柄８（８Ｌ、８Ｃ、８Ｒ）が最終的に表示画面７ａに大当り態様で停止表示（確定表示）される。これにより、主として第１画像表示装置７（表示画面７ａ）で行われる演出図柄８の停止表示（停止演出図柄の表示）に関し、停止演出図柄の表示のバリエーションを増やして、停止演出図柄が表示される際の興趣を高めることが可能となる。
【０３８０】
また、第１乃至第３画像表示装置による第１乃至第５予告演出の実行にあたり、使用する画像表示装置が重複しないことを条件に複数の予告演出を同時期に（同一の変動表示にて）実行することが可能となっている。この場合、各画像表示装置で異なる態様の予告演出が実行されるため、複合的に実行される予告演出に遊技者の注目を集めることが可能となる。これにより、遊技者の期待感を効果的に高めることが可能となる。
【０３８１】
［その他の表示内容］
前述のように、演出図柄遊技演出（変動演出）や予告演出は、通常、メイン液晶に相当する第１画像表示装置７において実行され、特定の変動演出や予告演出が実行される場合に、サブ液晶に相当する第２画像表示装置７１及び第３画像表示装置７２の一方または両方が用いられる。そして、そのような特定の変動演出や予告演出が実行されないときには、第２画像表示装置７１及び第３画像表示装置７２には、副背景や変動回数画像７１０、演出モード画像７２０が表示されるものとなっている（図６７等を参照）。本実施例では、そのような変動回数画像７１０や演出モード画像７２０の他にも、第２画像表示装置７１及び第３画像表示装置７２に様々な情報を表示することが可能となっている。
【０３８２】
例えば、第２画像表示装置７１（表示画面７１ａ）には、遊技中や客待ち中（待機中）において、遊技機の設定に関する情報を表示することが可能となっている。遊技機の設定に関する情報としては、例えば、スピーカ６７から出力される効果音（演出音）の音量や表示画面７ａ、７１ａ、７２ａの明るさ（輝度）、所定の変動演出や予告演出の出現率など、演出環境に関する情報がある。本実施例では、打球供給皿６１（上皿）の上面左側（第１演出ボタン６３ａの左方）に、第１演出ボタン６３ａとは別に、遊技者が操作可能な操作レバー等の操作手段（図示せず）が設けられており、その操作手段を客待ち中（待機中）や遊技中に操作することで、前述の演出環境に関する情報が第２画像表示装置７１（表示画面７１ａ）に表示されるものとなっている。遊技者は、その表示された情報に基づく演出環境について、その操作手段を操作して、自分の好みに応じた設定とすることが可能となっている。尚、打球供給皿６１（上皿）の上面左側に設けられた操作手段を操作することとしているのは、遊技中は、遊技機前面の右下部に設けられた発射ハンドル６０を右手で操作して遊技球を発射することから、遊技者の右手はふさがっており、左手が空いているのが通常と考えられるからである。このように、演出環境に係る設定を、遊技機の中心より左側に位置する操作手段や第２画像表示装置７１（表示画面７１ａ）を用いて行うようにすることで、遊技中（発射ハンドルの操作中）であっても支障なく設定に係る操作を行えるようにして、利便性を高めることが可能となる。
【０３８３】
また、例えば、第３画像表示装置７２（表示画面７２ａ）には、客待ち中（待機中）において、本パチンコ遊技機１の大当り確率や確変割合（確変突入率）等のスペックに関する情報が表示可能となっている。このようにスペックに関する情報を、前面枠５１に設けられた第３画像表示装置７２（表示画面７２ａ）に表示することで、例えば、遊技ホールにおいて遊技をする遊技機（機種）を選ぶ者にとっては、客待ち状態（待機状態）にある遊技機の遊技盤裏側（遊技領域の内側）に設けられた画像表示装置（メイン液晶）を遊技機前方（正面）から覗き込まなくても、遊技機前面側に突出している（遊技領域外の）画像表示装置の表示画面を一見するだけでスペックを確認することが可能となる。これにより、遊技ホールにて遊技する機種を選びやすくすることが可能となる。尚、スペックに関する情報を第２画像表示装置７１（表示画面７１ａ）に表示するように構成してもよい。
【０３８４】
このように、第２画像表示装置７１及び第３画像表示装置７２にて特定の変動演出や予告演出に係る演出表示が実行されないときには、それら表示装置（表示画面７１ａ、７２ａ）において、副背景や変動回数画像７１０、演出モード画像７２０、遊技機の設定に関する情報、スペックに関する情報等、第１画像表示装置７で実行される演出の妨げとならない他の表示（所定表示）を行うことが可能となっている。これにより、第２画像表示装置７１及び第３画像表示装置７２を有効に活用することが可能となる。
【実施例２】
【０３８５】
［特定リーチ演出］
次に、図７８及び図７９を用いて、実施例２のパチンコ遊技機１が有するリーチ演出の一態様である特定リーチ演出（サンダーリーチ）１４９について説明する。実施例２のパチンコ遊技機１は、当否判定確率等のスペックや制御面については、実施例１のパチンコ遊技機１と同様であるので、この点については説明を省略する。特定リーチ演出１４９では、リーチ演出の実行中に（リーチ演出実行当初からであてもよいし、リーチ演出の実行途中からであってもよい）、必ず特定演出図柄（本実施例では「７」）でのリーチ演出が実行される。そのため、特定リーチ演出１４９が実行されて大当りとなった場合には、特定演出図柄の大当り図柄が停止表示することとなる。また、この特定演出図柄が大当り図柄として停止表示した場合の大当り（大当り種）は、遊技者にとって有利な大当り（特定大当り）とされている。具体的に、本実施例では、この特定大当りは、大当り遊技終了後の遊技状態が、低確率高ベース状態となる大当り（第１特定結果）とされている。従って、遊技者は、特定リーチ演出（サンダーリーチ）１４９が発生すると、有利な大当りの発生に対する期待感を高め、遊技興趣を高めることが可能となる。
【０３８６】
尚、本実施例のパチンコ遊技機１は、リーチ演出（遊技演出）として、特定リーチ演出（サンダーリーチ）１４９を含む、実行態様（演出態様）の異なる複数のリーチ演出（遊技演出）を有している。また、実行されるリーチ演出（遊技演出）によって、演出図柄（特別図柄）が大当り態様で停止表示する（演出図柄の変動表示の結果が大当りとなる）可能性、すなわち、大当り信頼度が異なるものとされる。
【０３８７】
図７８（ａ）は、演出図柄８の変動表示を開始した場面を示している。図７８（ｂ）は、図７８（ａ）と同じ演出図柄８の変動表示の実行途中において、左演出図柄８Ｌと右演出図柄８Ｒとが同じ演出図柄（「７」）で停止表示して、リーチ態様となった場面を示している。尚、演出図柄「７」は、第１特定図柄１４６（特定図柄）ともいう。第１特定図柄１４６で大当りとなった場合（「７７７」）、第２特定図柄１４７（非特定図柄）で大当りとなった場合（例えば「４４４」）よりも、遊技者にとって有利な大当りが実行される。また、第１特定図柄１４６で大当りとなった場合、当該大当りは、大当り遊技終了後に高確低ベース状態を確実に発生させる遊技者にとって有利な大当り（第１特定結果）となる。一方、第２特定図柄１４７で大当りとなった場合、当該大当りは、大当り遊技終了後に高確低ベース状態を発生させない場合がある不利な大当り（第２特定結果）となる（場合がある）。
【０３８８】
図７８（ｃ）は、図７８（ｂ）と同じ演出図柄８の変動表示の実行途中において、リーチ演出（遊技演出）として、キャラクタＡが出現する「サンダーリーチ（特定リーチ演出、特定遊技演出）」が実行された場面を示している。図７８（ｃ）に示すように、表示画面７ａの中央上部には、実行するリーチ演出の種類（名称）を示すリーチ種表示部１４１（遊技演出種表示部）が表示され、「サンダーリーチ」と表示されている。また表示画面７ａの略中央部にはサンダーリーチ中に所定の動作を行うキャラクタＡが表示されている。また、表示画面７ａの左右上部には、リーチ図柄（リーチ演出図柄）である「７」の演出図柄（第１特定図柄１４６）が表示されている。尚、リーチ図柄（第１特定図柄１４６）は、表示画面７ａの左右上部に表示される際、図７８（ｂ）に示すように表示画面７ａの中央付近に表示される場合よりも、小さいサイズで表示される。
【０３８９】
図７８（ｄ）は、図７８（ｃ）と同じ演出図柄８の変動表示の実行途中において、サンダーリーチ（特定リーチ演出）の実行態様を示している。具体的に、キャラクタＡ１４４が変動表示する中演出図柄８Ｌに対して雷絵柄１４５を投げ、所定の中演出図柄８Ｌに雷絵柄１４５を刺す演出である。そして、雷絵柄１４５が、リーチ図柄（第１特定図柄１４６）と同じ中演出図柄（「７」）に刺さった場合には大当りとなり、リーチ図柄（第１特定図柄１４６）と異なる中演出図柄に刺さった場合には外れとなる。図７８（ｄ）では、雷絵柄１４５がリーチ図柄（第１特定図柄１４６）と同じ中演出図柄（「７」）に刺さった場面（すなわち、大当りの確定が遊技者に報知された場面）を示している。
【０３９０】
図７８（ｅ）は、サンダーリーチの結果、左中右の演出図柄が全て第１特定図柄１４６（「７」）で停止表示（確定停止表示）し、大当りが確定した場面を示している。図７８（ｆ）は、図７８（ｃ）と同じ演出図柄８の変動表示の実行途中において、雷絵柄１４５がリーチ図柄（第１特定図柄１４６）と異なる中演出図柄（「６」）に刺さった場面（すなわち、外れが遊技者に報知された場面）を示している。図７８（ｇ）は、サンダーリーチの結果、左右の演出図柄が第１特定図柄１４６（「７」）で、中演出図柄がリーチ図柄と異なる演出図柄（「６」）で停止表示（確定停止表示）し、外れが確定した場面を示している。このように、特定リーチ演出１４９（サンダーリーチ）では、演出図柄が、必ず第１特定図柄（特定図柄）でリーチ態様となり、リーチ演出が実行される。そして、特定リーチ演出１４９（サンダーリーチ）で大当りとなる場合には、必ず第１特定図柄（特定図柄）で大当りとなり、遊技者にとって比較的有利な大当りが実行される。
【０３９１】
次に、図７９を用いて、特定リーチ演出１４９（サンダーリーチ）の他の実行態様について説明する。図７９（ａ）は、演出図柄８の変動表示を開始した場面を示している。図７９（ｂ）は、図７９（ａ）と同じ演出図柄８の変動表示の実行途中において、左演出図柄８Ｌと右演出図柄８Ｒとが同じ演出図柄（「６」）で停止表示して（中演出図柄が変動表示を継続する）、リーチ態様となった場面を示している。尚、演出図柄「６」は、第２特定図柄１４７（特定図柄）ともいう。この第２特定図柄１４７で大当り（「６６６」）となった場合には、第１特定図柄で大当りとなった場合よりも遊技者にとって有利度の低い（不利な）大当りが実行される可能性が高い。具体的に、必ず遊技者にとって有利度の低い大当りが実行されるものとしてもよいし、有利度の低い大当りが実行される場合と第１特定図柄で大当りとなったときと同様の大当りが実行される場合とがあってもよい。
【０３９２】
図７９（ｃ）は、図７９（ｂ）と同じ演出図柄８の変動表示の実行途中において、リーチ演出（遊技演出）として、「サンダーリーチ（特定リーチ演出）」が実行された場面を示している。このように、本実施例において、「サンダーリーチ（特定リーチ演出）」は演出図柄８が第１特定図柄１４６でリーチ態様となった場合も、第２特定図柄１４７でリーチ態様となった場合も、何れも実行可能なリーチ演出（遊技演出）とされている。しかしながら、「サンダーリーチ（特定リーチ演出）」は、演出図柄が、必ず第１特定図柄（特定図柄）でリーチ態様となり、「サンダーリーチ（特定リーチ演出）」で大当りとなる場合には、必ず第１特定図柄（特定図柄）で大当りとなり、遊技者にとって比較的有利な大当りが実行されるものである。
【０３９３】
図７９（ｄ）乃至（ｆ）は、図７９（ｃ）と同じ演出図柄８の変動表示の実行途中において、リーチ図柄（「６」）を、第２特定図柄１４７（「６」）から第１特定図柄１４６（「７」）に変化する図柄変化演出１４８（変化演出）を実行する場面を示している。図７９（ｄ）は、表示画面７ａの左右上部の第１位置１４２（第１表示領域）に表示される左右のリーチ図柄（「６」）が、図柄を拡大して揺れ表示すると共に、表示画面７ａの中央部よりの下方の第２位置１４３（第２表示領域）に移動する場面を示している。リーチ図柄を拡大表示すると共に、表示画面の中央部により近い位置に移動表示することで、図柄変化演出１４８の発生（変化演出自体）を遊技者に確実に報知する（視認させる）ことが可能となる。
【０３９４】
図７９（ｅ）及び（ｆ）は、図柄変化演出１４８において、第２特定図柄１４７（「６」）から第１特定図柄１４６（「７」）に変化する実行態様（演出態様）を示している。図７９（ｇ）は、図柄変化演出１４８において、第２位置１４３において拡大表示した状態で変化後のリーチ図柄（「７」）を表示する場面を示している。これにより、遊技者に、「サンダーリーチ（特定リーチ演出）」におけるリーチ図柄が、第２特定図柄１４７（「６」）から第１特定図柄１４６（「７」）に変化したことを確実に報知することが可能となる。これにより、遊技者は遊技興趣を高める。また、図７９（ｈ）は、図柄変化演出１４８を終了し、変化後のリーチ図柄（「７」）を第２位置１４３から第１位置に移動表示する（元の位置に戻す）と共に、リーチ図柄を縮小表示し（元のサイズに戻し）た場面を示している。
【０３９５】
この後、リーチ図柄を第１特定図柄１４６の「７」として、「サンダーリーチ（特定リーチ演出）」を開始する。尚、図７９（ｈ）以後の実行態様は、前述した図７８（ｄ）乃至（ｇ）と同様であるので説明を省略する。また、「サンダーリーチ（特定リーチ演出）」の実行途中において、左右演出図柄を、第２表示画面７１ａ及び第３表示画面７２ａのみに表示する時期を有してもよい。すなわち、特定リーチ演出において、左右中演出図柄の全てを表示画面７ａに表示する時期と、左演出図柄を遊技領域外の第２表示画面７１ａに表示し、右演出図柄を遊技領域外の第３表示画面７２ａに表示する時期と、を有してもよい。これにより、演出図柄の一部又は全部を表示領域外の第２表示画面７１ａ及び第３表示画面７２ａに表示することで、表示画面７ａにおいて、キャラクタ演出をより目立たせ、遊技者に特定リーチ演出を注目させることが可能となる。
【０３９６】
また、本実施例２では、特定リーチ演出１４９は、複数の遊技状態のうち、特定の遊技状態で実行可能な遊技演出としている。具体的に、特定リーチ演出は、低確低ベース状態（後述の通常演出モード）において実行可能な遊技演出とされ、その他の遊技状態（低確高ベース状態、高確低ベース状態、高確高ベース状態）では、特定リーチ演出は実行されない設定とされている。すなわち、キャラクタＡが出現する特定リーチ演出は、通常演出モードでのみ実行可能な遊技演出とされ、スーパー演出モード（第１スーパー演出モード、第２スーパー演出モード）、第１カウント演出モード、第２カウント演出モードでは実行されない。これにより、各遊技状態（実行中の演出モードによって）で実行可能な遊技演出を異ならせ、遊技の飽きを防止することが可能となる。
【０３９７】
［予告演出］
次に、図８０及び図８１を用いて、実施例２のパチンコ遊技機１が有する予告演出について説明する。実施例２では、実施例１と同様に、演出図柄（特別図柄）の変動表示に伴って、当該演出図柄（特別図柄）の変動表示の結果が大当りとなる（大当り図柄で停止表示する）可能性（大当り遊技実行可能性）を示す予告演出を実行する。実施例２では、図８０に示す４種類の予告演出（第４予告演出、第５予告演出、第６予告演出、第７予告演出）を有しており、これら予告演出を、演出図柄の変動表示に伴って、所定のタイミングで表示画面７ａに表示する。また、これらの予告演出は、当該予告演出が示す大当り遊技実行可能性（「大当り信頼度」ともいう）が異なっている。具体的には、図８０に示すように、第４予告演出＜第５予告演出＜第６予告演出＜第７予告演出に設定されており、第４予告演出の大当り信頼度が最も低く、第７予告演出の大当り信頼度が最も高く設定されている。
【０３９８】
これにより、演出図柄の変動表示に伴って、第４予告演出や第５予告演出が実行された場合には大当りとなる期待度が低いため、遊技興趣を高めることは難しいが、第６予告演出や第７予告演出が実行された場合には、比較的大当りとなる期待度が高いため、遊技興趣を高めることが可能となる。従って、遊技者は、演出図柄の変動表示中に、予告演出として、第６予告演出や第７予告演出が実行されることに期待して遊技を行う。
【０３９９】
具体的に、第４予告演出１５１は、大当り信頼度が２％に設定され、所定タイミングで男の子を模したキャラクタＢ１５２が出現する演出態様とされている。第５予告演出１５３は、大当り信頼度が４％に設定され、所定タイミングで魚を模したキャラクタＣ１５４が出現する演出態様とされている。第６予告演出１５５は、大当り信頼度が３３％に設定され、所定タイミングで走る人間のシルエットを模したキャラクタＤ１５６及び南の島を模したキャラクタＥ１５７が出現する演出態様とされている。尚、第６予告演出１５５（第１遊技演出）は大当り信頼度が３３％に設定されており、第４予告演出１５１（第２遊技演出）及び第５予告演出１５３（第２遊技演出）と比較して、かなり大当りの可能性が高い予告演出とされている。
【０４００】
また、第６予告演出１５１で出現する複数のキャラクタ（キャラクタＤ及びＥ）のうち、キャラクタＤ（特定キャラクタ）は、特定キャラクタをシルエット態様で表しており、後述する遊技利益（賞球）獲得演出においても出現するキャラクタとされる。このキャラクタＤ（特定キャラクタ）は、遊技者に有利となる可能性が比較的高い状況（遊技演出が実行されたとき）や遊技者に有利な状況において、共通して出現する。また、キャラクタＤ（特定キャラクタ）は複数の場面で共通して出現するように設定されているが、これは同じキャラクタデータを兼用して使用してもよいし、出現場面によって使用するデータは異なるが形状（遊技者からの見た目）が同じキャラクタであってもよいし、形状は同じであるが大きさが異なる相似形状のキャラクタであってもよい。また、同じ形状（相似形状含む）のキャラクタを含んでいれば、そのほかの部分に他のキャラクタ（装飾）が付加されていてもよい。また色が異なっていてもよい。複数の場面で出現するキャラクタが遊技者が同様のキャラクタ（何れも、走る人間のシルエット状のキャラクタ）であることを認識可能な程度に似通っていれば足りる。
【０４０１】
また、第７予告演出１５８は、大当り信頼度が４５％に設定され、鳥を模したキャラクタＦ１５９が複数（多数）出現する演出態様とされている。尚、第７予告演出１５８は大当り信頼度が４５％に設定されており、第４予告演出１５１及び第５予告演出１５３と比較して、かなり大当りの可能性が高い予告演出とされている。
【０４０２】
また、図８１を用いて、第４予告演出１５１乃至第７予告演出１５８の実行態様について説明する。図７０（ａ）は、演出図柄８の変動表示を開始した場面を示している。図８１（ｂ）乃至図８１（ｅ）は夫々異なる変動表示で、図８１（ａ）の場面から、図８１（ｂ）乃至図８１（ｅ）の何れかを経たうえで、図８１（ｆ）のリーチ態様へと移行する。また、予告演出によって大当り信頼度が異なるため、何れの予告演出を経たうえで、図８１（ｆ）の場面に移行したかによって、図８１（ｆ）に示すリーチ態様の結果が大当りになる可能性（期待度）が異なる。
【０４０３】
図８１（ｂ）は、図８１（ａ）と同じ変動表示において、図８１（ａ）の場面から所定時間経過後に、第４予告演出１５１のキャラクタＢ１５２が表示された場面を示している。図８１（ｃ）は、図８１（ａ）と同じ変動表示において、図８１（ａ）の場面から所定時間経過後に、第５予告演出１５３のキャラクタＣ１５４が表示された場面を示している。図８１（ｄ）は、図８１（ａ）と同じ変動表示において、図８１（ａ）の場面から所定時間経過後に、第６予告演出１５５のキャラクタＤ１５６及びキャラクタＥ１５７が表示された場面を示している。図８１（ｅ）は、図８１（ａ）と同じ変動表示において、図８１（ａ）の場面から所定時間経過後に、第７予告演出１５８のキャラクタＦ１５９が表示された場面を示している。
【０４０４】
［遊技利益獲得演出］
次に、図８２及び図８３を用いて、実施例２の遊技利益獲得演出について説明する。遊技利益獲得演出は、遊技状態が特定状態にあるときに、当該特定状態において、どれくらいの遊技利益を獲得したかを示す演出である。特定状態（特定期間）とは、所謂連荘状態（連荘期間）であり、低確低ベース状態（状態Ａ）において、大当りとなったときから、再度遊技状態が低確低ベース状態となるまで（大当り遊技状態を除く）の状態をいう。この特定状態において獲得した遊技利益の量を示す演出である。
【０４０５】
図８２（ａ）は、低確低ベース状態で大当り（４Ｒ第１大当り）となり、当該大当りに係る大当り遊技（４Ｒ第１大当り遊技）を実行中であって、ラウンド表示部１６１に表示されている通り、最終ラウンド（（Ｆ）は最終ラウンドを示す）である４Ｒ目のラウンド遊技の実行場面を示している。すなわち、低確低ベース状態（通常状態）において発生した大当りであり、所謂初当りといわれる大当りである。そして、この大当り（大当り遊技）から特定状態が開始する。また、表示画面７ａの中央下部には、大当り遊技において獲得した遊技利益量（賞球数）を示す獲得利益表示部１６６が設けられており、「００５５０ｐｔ」の表示により、およそ５５０球の遊技利益（賞球）が払い出された（獲得した）ことが示されている。尚、図８２（ａ）に示す大当りは、特定状態における１回目の大当り遊技であるため、この獲得利益表示部１６６に表示される獲得遊技利益が特定状態（特定期間）における総獲得遊技利益となる。従って、図８２（ａ）に示される獲得利益表示部１６６は、総獲得利益表示部１６４ともいう。
【０４０６】
また、大当り遊技中の表示画面７ａの略中央部には、味方キャラクタと敵キャラクタとが戦いを行う大当り遊技用演出１６３が表示される。そして、図８２（ａ）では、味方キャラクタが敵キャラクタを倒す演出が表示されているため、大当り遊技終了後の遊技状態が、遊技者にとって比較的有利な遊技状態へ移行することが遊技者に示されている。尚、大当り遊技用演出で、味方キャラクタが敵キャラクタを倒す演出が表示された場合には、大当り遊技終了後の遊技状態が、遊技者にとって比較的有利な遊技状態（高確低ベース状態）への移行し、敵キャラクタが味方キャラクタを倒す演出が表示された場合には、大当り遊技終了後の遊技状態が、遊技者にとって比較的不利な遊技状態（低確高ベース状態）へ移行する。また、高確高ベース状態に移行する場合（２Ｒ第５大当り、２Ｒ第６大当り）には、敵キャラクタが味方キャラクタを倒す演出を表示して、一旦は不利な遊技状態に移行したと遊技者に見せておいて、大当り遊技終了後に演出図柄（特別図柄）の変動表示回数が所定回数（５０回又は１００回）に到達した際に、有利状態であることが報知される。
【０４０７】
図８２（ｂ）は、図８２（ａ）に示す大当り遊技（４Ｒ第１大当り遊技）の最終ラウンド（４ラウンド）終了後のエンディング期間を示している。表示画面７ａには、大当り遊技が終了したこと、大当り遊技終了後の遊技状態が遊技者に有利な状態Ｃ（高確低ベース状態）に移行すること、大当り遊技における獲得遊技利益は「００６００ｐｔ」であったことが示されている。図８２（ｃ）は、図８２（ｂ）から状態Ｃに移行し、所定回数の演出図柄（特別図柄）の変動表示を行った場面を示している。図８２（ｃ）では、図８２（ａ）から続く特定状態（連荘状態）が継続しており、表示画面７ａの中央下部に示される総獲得利益表示部１６４には「Ｔ：００６５０ｐｔ」の表示がなされており、前述した大当り遊技及びそれに続く状態Ｃにおける総獲得遊技利益が「６５０ｐｔ」であることが示されている。尚、本実施例では、大当り遊技中だけでなく、状態Ｃにおいても獲得遊技利益を増加させることが可能となっている。尚、表示画面７ａの右上部には発射方向表示部１６２が設けられており、遊技球の発射方向が遊技者に報知されている。また、表示画面７ａの略中央部には状態Ｃ用演出が所定の表示態様で表示される。
【０４０８】
図８２（ｄ）は、図８２（ｃ）から所定回数の演出図柄（特別図柄）の変動表示を実行した後に、所定の演出図柄（特別図柄）の変動表示の結果が大当りとなり、大当り図柄（「７７７」）が停止表示した場面を示している。図８２（ｅ）は、図８２（ｄ）に示す大当りに係る大当り遊技（１５Ｒ第３大当り遊技）を実行中であって、２ラウンド目のラウンド遊技の実行場面を示している。表示画面７ａの中央上部には、特定状態（特定期間）における総獲得遊技利益を示す総獲得利益表示部１６４が設けられており、表示画面７ａの中央下部には、実行中の大当り遊技（１５Ｒ第３大当り遊技）における現在の獲得遊技利益を示す獲得利益表示部１６６が設けられている。また、表示画面７ａの略中央部には、味方キャラクタと敵キャラクタとが戦闘中の大当り遊技用演出１６３が表示されている。
【０４０９】
図８２（ｆ）は、図８２（ｅ）と同じ大当り遊技においてラウンド遊技が最終ラウンドである１５Ｒ目まで進行した場面を示している。獲得利益表示部１６６の表示は「０２０５０ｐｔ」まで増加し、それに伴って総獲得利益表示部１６４の表示は「０２７５０ｐｔ」まで増加している。また、最終ラウンドの大当り遊技用演出として、味方キャラクタが敵キャラクタを倒す演出が表示されているため、大当り遊技終了後の遊技状態が、遊技者にとって比較的有利な遊技状態（状態Ｃ、高確低ベース状態）へ移行することが遊技者に示されている。
【０４１０】
図８３（ｇ）は、図８２（ｆ）に示す大当り遊技（１５Ｒ第３大当り遊技）の最終ラウンド（１５ラウンド）終了後のエンディング期間を示している。表示画面７ａには、大当り遊技が終了したこと、大当り遊技終了後の遊技状態が遊技者に有利な状態Ｃ（高確低ベース状態）に移行すること、大当り遊技（１５Ｒ第３大当り遊技）における獲得遊技利益は「０２２００ｐｔ」であったこと、特定状態の総獲得遊技利益が「０２９００ｐｔ」となったことが示されている。図８３（ｈ）は、図８３（ｇ）から状態Ｃに移行し、所定回数の演出図柄（特別図柄）の変動表示を行った場面を示している。図８３（ｈ）では、図８２（ａ）から続く特定状態（連荘状態）が継続しており、表示画面７ａの中央下部に示される総獲得利益表示部１６４には「Ｔ：０３５００ｐｔ」の表示がなされており、前述した複数回の大当り遊技及びその間に実行された状態Ｃにおける総獲得遊技利益が「０３５００ｐｔ」であることが示されている。
【０４１１】
図８３（ｉ）は、図８３（ｈ）から所定回数の演出図柄（特別図柄）の変動表示を実行した後であって、所定回数の大当り遊技を経て、所定の演出図柄（特別図柄）の変動表示の結果が大当りとなり、大当り図柄（「７７７」）が停止表示した場面を示している。尚、図８３（ｉ）においても、図８２（ａ）から続く特定状態（連荘状態）が継続している。図８３（ｊ）は、図８３（ｉ）に示す大当りに係る大当り遊技（１５Ｒ第３大当り遊技）を実行中であって、１２ラウンド目のラウンド遊技の実行場面を示している。獲得利益表示部１６６の表示は「０１８５０ｐｔ」となり、総獲得利益表示部１６４の表示は「０９９５０ｐｔ」まで増加している。
【０４１２】
図８３（ｋ）は、図８３（ｊ）と同じ大当り遊技における同じ１２ラウンド目であって、図８３（ｊ）から所定時間経過した場面を示している。図８３（ｋ）に示すように、実行中の大当り遊技における獲得遊技利益が「０１９００ｐｔ」となり、これにより、特定状態における総獲得遊技利益が「１００００ｐｔ」となった場面を示している。この本パチンコ遊技機１において、総獲得遊技利益が「１００００ｐｔ」となることは、特定状態が長期間継続し、多量の遊技利益（賞球）を獲得できた目安とされている。すなわち、遊技者にとって有利な状況となっている。そのため、当該有利状況を遊技者に示すため、表示画面７ａの略中央部に、特定利益表示部１６７を設けている。
【０４１３】
総獲得利益表示部１６４に表示される獲得利益が「１００００ｐｔ」となったのに応じて特定利益表示部１６７を設け、当該特定利益表示部１６７に、総獲得遊技利益の量が特定量を超えた（特定量となった）ことを示す「１００００ｐｔＯＶＥＲ」の表示を行う。また、特定利益表示部１６７には、「１００００ｐｔＯＶＥＲ」の表示と共に、キャラクタＤ１５６（特定キャラクタ）を表示している。これにより、遊技者に特定状態（連荘状態）が継続して、多量の遊技利益を獲得できたこと、すなわち、獲得利益として「１００００ｐｔ」獲得したことは、遊技者に有利な状況であることを容易に認識可能としている。
【０４１４】
尚、前述したように、キャラクタＤ１５６（特定キャラクタ）は、比較的大当り信頼度の高い予告演出として用いられているキャラクタで、更にその表示態様も当該予告演出と同様の走る人間のシルエットを模した表示態様であるため、遊技者は、容易に同様のキャラクタであることを認識可能である。このように、大当り信頼度の高い遊技演出で用いられるキャラクタ（特定キャラクタ）と同様のキャラクタを用いることで、現在の遊技状況、すなわち、「１００００ｐｔＯＶＥＲ」の遊技利益を獲得した状況が、遊技者にとって有利な状況であることを容易に把握可能としている。また、第６予告演出１５５に出現する全てのキャラクタを用いてもよいが、本実施例ではキャラクタＤのみを共通キャラクタとして用いている。すなわち、両場面において少なくとも一部のキャラクタが共通していれば足りる。
【０４１５】
また、特定利益表示部１６７の表示態様（「１００００ｐｔＯＶＥＲ」及び特定キャラクタ）を遊技者により確実に認識させるため、総獲得遊技利益が１００００ｐｔとなったときから、特定時間（本実施例では「４ｓ」）継続して表示する。その間に、総獲得利益表示部１６４の表示が「Ｔ：１００００ｐｔ」を超えた場合にも、特定利益表示部１６７の表示態様は、「１００００ｐｔＯＶＥＲ」のまま維持する（特定キャラクタも同様に表示を継続する）。また、特定利益表示部１６７の表示態様を、遊技者により確実に認識させるため、特定利益表示部１６７で表示する利益量（「１００００ｐｔ」）を、総獲得利益表示部１６４で表示する利益量（「１００００ｐｔ」）よりも、大きいサイズで表示する。また、特定利益表示部１６７で表示する利益量（「１００００ｐｔ」）を、獲得利益表示部１６６で表示する利益量（「０１９００ｐｔ」）よりも、大きいサイズで表示する。
【０４１６】
また、特定利益表示部１６７を表示する契機となる特定量（「１００００」ｐｔ）は、最も遊技利益を獲得可能な大当り遊技であっても、１回の大当り遊技では獲得不能な量に設定する。また、本実施例では、状態Ｃにおいても獲得遊技利益の増加が可能であるため、１回の大当り遊技及び状態Ｃが長期間継続すること（すなわち、小当り遊技を多数回発生させること）によっても特定量の遊技利益を獲得することが可能ではあるが、通常は、複数回の大当り遊技を発生させることで、特定量の遊技利益を獲得することとなる。従って、１回の大当り遊技によって得られる遊技利益だけでは特定量の遊技利益を獲得することは不可能であるが、複数回の大当り遊技を発生させることで特定量の遊技利益を獲得することは可能であるといえる。
【０４１７】
また、図８３（ｋ）では、大当り遊技中に、総獲得遊技利益の量が特定量（「１００００ｐｔ」）を超えた場合について説明した。一方、本実施例のパチンコ遊技機では、大当り遊技中ではなく、特定状態であって、大当り遊技以外の状態（高確低ベース状態、高確高ベース状態、低確高ベース状態）で総獲得遊技利益の量が特定量（「１００００ｐｔ」）を超える場合もある。図８３（ｌ）はそのような場面を示すもので、大当り遊技終了後の遊技状態が状態Ｃにあるときに、小当り遊技の発生によって総獲得遊技利益の量が特定量（「１００００ｐｔ」）を超えた場面を示している。図８３（ｌ）に示すように、表示画面７ａの中央下部には、総獲得利益表示部１６４が設けられ、「Ｔ：１００００ｐｔ」の表示がなされ、総獲得遊技利益が「１００００ｐｔ」となったことを示している。
【０４１８】
また、これに応じて、図８３（ｋ）と同様に、表示画面７ａの略中央部には、特定利益表示部１６７が設けられる。そして、当該特定利益表示部１６７に、総獲得遊技利益の量が特定量を超えた（特定量となった）ことを示す「１００００ｐｔＯＶＥＲ」の表示を行う。また、特定利益表示部１６７には、「１００００ｐｔＯＶＥＲ」の表示と共に、キャラクタＤ１５６（特定キャラクタ）を表示している。これにより、遊技者に特定状態（連荘状態）が継続して、多量の遊技利益を獲得できたこと、すなわち、獲得利益として「１００００ｐｔ」獲得したことは、遊技者に有利な状況であることを容易に認識可能としている。また、状態Ｃで総獲得遊技利益が「１００００ｐｔ」となった場合も、大当り遊技中と同様に、特定利益表示部１６７の表示態様（「１００００ｐｔＯＶＥＲ」及び特定キャラクタ）を遊技者により確実に認識させるため、総獲得遊技利益が１００００ｐｔとなったときから、特定時間（本実施例では「４ｓ」）継続して表示する。
【０４１９】
以上説明した通り、本実施例２のパチンコ遊技機１では、複数の有利な状況において、共通のキャラクタを表示することで、大当り信頼度の高い状況や多量の遊技利益を獲得できた状況等の遊技者に有利な状況で出現するキャラクタ（特定キャラクタ）の出現頻度を高めることが可能となる。また、このように複数の有利な状況で特定キャラクタを出現させることで、一方の場面で当該特定キャラクタを見た遊技者は、先の有利な状況で特定キャラクタを見た経験から、他方の場面で特定キャラクタを見たときに、直感的に、現在の状況が有利な状況である可能性があることを認識することが可能となる。このように、多種多様な遊技演出を備える遊技機において、特定キャラクタを適切な場面で出現させることで、遊技者に、遊技演出の意味する内容（大当り信頼度や有利な程度等）を効率的に知らしめる（認識させる）ことが可能となる。これにより、遊技者は遊技機への理解度を容易とし、遊技興趣を高めることが可能となる。
【０４２０】
［演出モードの移行態様］
次に、図８４を用いて、実施例２のパチンコ遊技機１において、各遊技状態において実行される演出モード（演出態様）を説明する。尚、大当りの種類や大当り終了後に移行する遊技状態の種類等については実施例１と同様である（図６等を参照）。電源投入後の初期状態での遊技状態は低確低ベース状態とされ、演出モードは、図８６（ａ）に示す「通常演出モード１８１（第３特定演出モード）」に設定される。複数の演出モードから所定の演出モードを設定する手段を、「演出モード設定手段」ともいう。本実施例２では、「演出モード設定手段」はサブ制御部９０に設けられている。
【０４２１】
通常演出モード（低確低ベース状態）での遊技（特別図柄当否判定、特別図柄・演出図柄の変動表示等）の実行中に、特別図柄当否判定（第１特別図柄当否判定）の結果が大当りとなると、大当り特別図柄（大当り演出図柄）が停止表示し、大当り遊技が実行される。尚、実施例１で説明した通り、実施例２も同様に、低確低ベース状態では、左遊技領域に遊技球を発射して第１特別図柄の変動表示（第１特別図柄当否判定）を主体とする遊技性となっており、高確高ベース状態・高確低ベース状態・低確高ベース状態では、右遊技領域に遊技球を発射して第２特別図柄の変動表示（第２特別図柄当否判定）を主体とする遊技性となっている。
【０４２２】
通常演出モード（低確低ベース状態）で発生しうる第１特別図柄当否判定の結果としての大当りは、４Ｒ第１大当りと４Ｒ第２大当りである。第１特別図柄当否判定の結果が、４Ｒ第１大当りとなった場合の所定割合で（例えば、４Ｒ第１大当りとなった場合の５０％）、当該大当りとなった際又は／及び大当り遊技中に、当該大当り遊技後の演出モード（遊技状態）がスーパー演出モード（高確低ベース状態）となることを遊技者に報知する（示唆する）『第１ボーナス（４Ｒ第１大当り遊技）』が実行される。第１ボーナス（第１ボーナス演出）が実行されると、遊技者は、大当り遊技後に遊技者に有利な遊技状態に移行することを容易に認識できるため、安心感を持って遊技を行うことが可能となる。すなわち、大当り遊技に伴って、第１ボーナス（第１ボーナス演出）が実行されると、当該大当り遊技終了後は必ずスーパー演出モード（高確低ベース状態）に移行する。尚、スーパー演出モードの演出態様は、図８６（ｂ）及び（ｃ）に示す２種類（複数種類）とされる。
【０４２３】
また、第１特別図柄当否判定の結果が、４Ｒ第１大当りとなった場合の所定割合（残りの割合、例えば、４Ｒ第１大当りとなった場合の５０％）、及び、４Ｒ第２大当りとなった場合、『第２ボーナス（４Ｒ第１大当り遊技）』が実行される。第２ボーナス（第２ボーナス演出）では、当該大当りとなった際又は／及び大当り遊技中に、当該大当り遊技後の演出モード（遊技状態）が、カウント演出モード（低確高ベース状態）に移行することを遊技者に報知する（示唆する）演出が行われる。しかしながら、第２ボーナスが実行された場合であっても、第１特別図柄当否判定の結果が４Ｒ第１大当りであった場合には、当該大当り遊技終了後の演出モードが、カウント演出モードでなく、スーパー演出モード（高確低ベース状態）に移行する。尚、第１特別図柄当否判定から移行しうるカウント演出モード（第１カウント演出モード）の演出態様は、図８６（ｄ）に示す態様とされる。
【０４２４】
すなわち、大当り遊技に伴って、第２ボーナス（第２ボーナス演出）が実行された場合には、当該大当り遊技終了後の演出モードが、スーパー演出モード（高確低ベース状態）に移行する場合（４Ｒ第１大当りであったとき）と、カウント演出モード（低確高ベース状態）に移行する場合（４Ｒ第２大当りであったとき）と、を有している。また、第２ボーナスからスーパー演出モードに移行する場合には、大当り遊技中又は大当り遊技終了の際に、スーパー演出モードに移行することを示す昇格演出を行い、遊技興趣を高めることが可能である。従って、遊技者は第２ボーナス演出が実行された場合も、昇格演出の発生に期待して、有利な遊技状態への期待感を喪失することなく、長期間高い遊技興趣を維持することが可能となる。
【０４２５】
高確低ベース状態で実行されるスーパー演出モードには、実施例１と同様に、複数の演出モードが設けられており、大当り遊技中等の所定のタイミングで、何れかの演出モードを遊技者が演出ボタンを用いて選択可能となっている（図８６（ｆ）を参照）。また、選択可能な演出モードとして、第１スーパー演出モード１８２（第１演出モード、特定演出モード）と、第２スーパー演出モード１８３を有している。これらのスーパー演出モードの実行中は、遊技状態が高確低ベース状態に設定されており、実施例１で説明したように、小当り遊技によって獲得遊技利益の量を増加させることが可能な遊技者に有利な遊技状態である。また、次回の大当り（第１ボーナス、第３ボーナス、又は、第４ボーナス）が発生するまで、スーパー演出モード（高確低ベース状態）が継続する。
【０４２６】
低確高ベース状態で実行される第１カウント演出モード（カウント演出モード、第２演出モード）は、所定回数（１００回）の特別図柄（演出図柄）の変動表示を終了するまで大当りにならない場合、遊技状態が通常演出モードに移行する。これにより、遊技状態が低確高ベース状態から低確低ベース状態（遊技者に最も不利な遊技状態）に移行してしまう。前述した通り、スーパー演出モード１８２、１８３（高確低ベース状態）及び第１カウント演出モード（低確高ベース状態）では、第２特別図柄の変動時間が時短状態となり、右遊技領域に遊技球を発射して第２特別図柄の変動表示（第２特別図柄当否判定）を主体とする遊技性となる。
【０４２７】
そして、スーパー演出モード１８２、１８３又は第１カウント演出モードにおいて、第２特別図柄当否判定の結果が、１５Ｒ第３大当りとなった場合、『第３ボーナス（１５Ｒ第３大当り遊技）』が実行される。この第３ボーナスは、獲得可能な遊技利益が最も多く且つ大当り遊技終了後の遊技状態がスーパー演出モードに設定される、遊技者に最も有利な大当りである。従って、第３ボーナス（第３ボーナス演出）が実行されると、遊技者は、大当り遊技後に遊技者に有利な遊技状態（スーパー演出モード、高確低ベース状態）に移行することを容易に認識できるため、安心感を持って遊技を行うことが可能となる。すなわち、大当り遊技に伴って、第３ボーナス（第３ボーナス演出）が実行されると、当該大当り遊技終了後は必ずスーパー演出モード（高確低ベース状態）に移行する。
【０４２８】
また、スーパー演出モード１８２、１８３又は第１カウント演出モードにおいて、第２特別図柄当否判定の結果が、４Ｒ第４大当りとなった場合、『第１ボーナス（４Ｒ第４大当り遊技）』が実行される。４Ｒ第４大当り遊技と４Ｒ第２大当り遊技とは、同様の大当り遊技（大入賞口の開放回数、開放時間等）であるので、同じ演出態様の第１ボーナス演出が実行される。また前述した通り、第１ボーナス演出によって、大当り遊技後は、遊技者に有利な遊技状態に移行することが容易に認識できるため、安心感を持って遊技を行うことが可能となる。
【０４２９】
また、スーパー演出モード１８２、１８３又は第１カウント演出モードにおいて、第２特別図柄当否判定の結果が、２Ｒ第５大当り、２Ｒ第６大当り、２Ｒ第７大当り、又は、２Ｒ第８大当りとなった場合、『第４ボーナス（２Ｒ第５大当り遊技、２Ｒ第６大当り遊技、２Ｒ第７大当り遊技、又は、２Ｒ第８大当り遊技）』が実行される。第４ボーナス（第４ボーナス演出）では、当該大当りとなった際又は／及び大当り遊技中に、当該大当り遊技後の演出モード（遊技状態）が、カウント演出モード（低確高ベース状態）に移行することを遊技者に報知する（示唆する）演出が行われる。しかしながら、第４ボーナスが実行された場合であっても、第２特別図柄当否判定の結果が２Ｒ第５大当り又は２Ｒ第６大当りであった場合には、当該大当り遊技終了後の演出モードが、一旦はカウント演出モード（第２カウント演出モード）に移行するものの、特別図柄（演出図柄）の変動表示が所定回数（５０回又は１００回）を経過すると（その間に大当りにならなければ）、演出モードが、スーパー演出モード（高確低ベース状態、第２特定演出モード）に移行する。すなわち、カウント演出モードが高確高ベース状態で実行され、当該カウント演出モードが第２カウント演出モードである場合には、その後、遊技状態が高確低ベース状態に移行すると共に、演出モードがスーパー演出モード（第２特定演出モード）に移行する。尚、前述した演出モードを移行する回数である「５０回」又は「１００回」を特定回数ともいう。
【０４３０】
一方で、第２特別図柄当否判定の結果が２Ｒ第７大当り又は２Ｒ第８大当りであった場合には、当該大当り遊技終了後の演出モードが、カウント演出モード（第２カウント演出モード）に移行し、特別図柄（演出図柄）の変動表示が所定回数（５０回又は１００回）を経過すると（その間に大当りにならなければ）、演出モードが、通常演出モード（低確低ベース状態）に移行する。すなわち、カウント演出モード（第２カウント演出モード）が低確高ベース状態で実行され、その後、遊技状態が低確低ベース状態に移行すると共に、演出モードが通常演出モードに移行する。尚、第２特別図柄当否判定から移行しうるカウント演出モード（第２カウント演出モード）の演出態様は、図８６（ｅ）に示す態様とされる。
【０４３１】
また、スーパー演出モードにおいて、第４ボーナス（２Ｒ第５大当り、２Ｒ第６大当り、２Ｒ第７大当り、又は、２Ｒ第８大当り）となった場合には、当該大当り遊技後に必ず、第２カウント演出モードに移行するため（更に、獲得可能な遊技利益の量も少ないため）、第４ボーナスは、第１ボーナスや第２ボーナスと比較して、不利な大当りとされている。逆に、第３ボーナス及び第１ボーナスは、当該大当り遊技後に必ずスーパーモードに移行するため（更に獲得可能な遊技利益の量も多い、特に第３ボーナスは多い）、有利な大当りとされている。
【０４３２】
ここで、第１特別図柄当否判定の結果に基づいて移行する第１カウント演出モード１８４が、所定回数の特別図柄（演出図柄）の変動表示に基づいて、通常演出モードにのみ移行する。これに対して、第２特別図柄当否判定の結果に基づいて移行する第２カウント演出モード１８５は、所定回数の特別図柄（演出図柄）の変動表示に基づいて、通常演出モード１８１に移行する場合とスーパー演出モード１８２、１８３に移行する場合とを有している点で、両者は異なっている。
【０４３３】
一方、第１カウント演出モード１８４（第１特定演出モード）と、第２カウント演出モード１８５（第１特定演出モード）との演出態様は、何れも演出モード表示部１７１に、共通の演出モード名称である「カウントモード」を表示し、背景キャラクタ１７２も共通のキャラクタ（雲の背景）を表示している。相違点は、表示画面７ａの一部領域に、両者で異なる画像（表示部）を設けている。具体的には、第２カウント演出モード１８５では、表示画面７ａ右上に、カウント演出モードを残期間を示す残回数表示部を設けている。第１カウント演出モード１８４にはこのような表示部を設けていない点で両演出モードの表示態様は異なっている。このように、両演出モードの表示態様の違いはわずかであるので、遊技者は演出モードを区別しにくい。これにより、遊技者は、第１カウント演出モード１８４であっても、スーパーモードへの移行を期待させて長期間高い遊技興趣を維持させたり、第２カウント演出モード１８５からスーパーモードに移行した際に、遊技者に驚きを与え、遊技興趣を高めたりすることが可能となる。
【０４３４】
また、演出モードの名称が共通する演出モードである「カウントモード（１８４、１８５）」を、「第１特定演出モード」という。すなわち、第１カウント演出モード１８４及び第２カウント演出モード１８５は、「第１特定演出モード」に相当する。大当り遊技終了後の演出モードが「カウントモード」に設定される。当該カウントモード（第１特定演出モード）は、特別図柄当否判定の結果が大当りとなることなく、演出図柄の変動表示回数が予め定められた回数（所定回数）になると、他の演出モードに移行する。この大当りになることなく移行する移行先の演出モードは、通常演出モード（第３特定演出モード）と、スーパー演出モード（第２特定演出モード）と、がある。より具体的には、実行中のカウントモードが、第１カウント演出モードのときは、通常演出モードだけに移行する。また、実行中のカウントモードが、第２カウント演出モードのときは、通常演出モードに移行する場合と、スーパー演出モードに移行する場合とがある。
【０４３５】
前述した通り、第１特別図柄当否判定の結果に基づいてカウントモード（第１特定演出モード）が設定される場合、当該カウントモードは第１カウント演出モード（第１特定演出モード）であり、第２特別図柄当否判定の結果に基づいてカウントモード（第１特定演出モード）が設定される場合、当該カウントモードは第２カウント演出モード（第１特定演出モード）である。また、前述した通り、第１カウント演出モードは、特別図柄当否判定の結果が大当りとなることなく、演出図柄の変動表示回数が予め定められた回数（１００回）になると、通常演出モード（第３特定演出モード）に移行する。また、第２カウント演出モードは、特別図柄当否判定の結果が大当りとなることなく、演出図柄の変動表示回数が予め定められた回数（５０回又は１００回）になると、通常演出モード（第３特定演出モード）に移行する場合と、スーパー演出モード（第２特定演出モード）に移行する場合とがある。
【０４３６】
すなわち、大当り遊技の終了後に設定された演出モードがカウントモード（第１特定演出モード）に設定された場合、当該カウントモードが、特定回数の演出図柄（識別情報）の変動表示に基づいて、スーパー演出モード（第２特定演出モード）に移行する可能性は、遊技状態によって異なる。具体的には、演出モードが、カウントモードから（大当り遊技を経ることなく）スーパー演出モードに移行する可能性は、第２遊技状態（低確高ベース状態、高確高ベース状態、又は、高確低ベース状態）において特別図柄当否判定の結果が大当り（特定結果）となって大当り遊技が実行され、当該大当り遊技終了後にカウントモードに設定された場合の方が、第１遊技状態（低確低ベース状態）において特別図柄当否判定の結果が大当り（特定結果）となって大当り遊技が実行され、当該大当り遊技終了後にカウントモードに設定された場合よりも高い。
【０４３７】
これは、本パチンコ遊技機が、第２遊技状態（低確高ベース状態、高確高ベース状態、高確低ベース状態）では、第２特別図柄当否判定を主体とした遊技とされ、第１遊技状態（低確低ベース状態）では、第１特別図柄当否判定を主体とした遊技としているからである。従って、演出モードが、カウントモードから（大当り遊技を経ることなく）スーパー演出モードに移行する可能性は、第２特別図柄当否判定において大当りとなって大当り遊技が実行され、当該大当り遊技終了後にカウントモードに設定された場合の方が、第１特別図柄当否判定の結果が大当り（特定結果）となって大当り遊技が実行され、当該大当り遊技終了後にカウントモードに設定された場合よりも高いともいえる。
【０４３８】
また、本実施例では、第１特別図柄当否判定の結果によって設定されたカウントモードは、全て第１カウント演出モードであり、（大当り遊技を経ることなく）スーパー演出モードに移行する可能性は、「０」に設定されている。このような態様に変えて、第１特別図柄当否判定の結果によって設定されたカウントモードからも、（大当り遊技を経ることなく）スーパー演出モードに移行する場合を有するものとしてもよい。このような場合においても、第２特別図柄当否判定の結果に基づいて設定されたカウントモードの方が、第１特別図柄当否判定の結果に基づいて設定されたカウントモードよりも、（大当り遊技を経ることなく）スーパー演出モードに移行する可能性を高くすることができる。また、更に他の態様として、第１特別図柄当否判定の結果に基づいて設定されたカウントモードの方が、第２特別図柄当否判定の結果に基づいて設定されたカウントモードよりも、（大当り遊技を経ることなく）スーパー演出モードに移行する可能性を高くしてもよい。
【０４３９】
以上説明したように、本実施例２では、遊技状態の移行に応じて、図８４に示すボーナス演出及び演出モードが実行され、遊技演出を多様化・多彩化し、遊技の飽きを防止し、遊技興趣をたかめることを可能とする。
【０４４０】
［各演出モードの遊技演出］
次に、図８５乃至図８７を用いて、各演出モードにおいて実行される遊技演出（リーチ演出やキャラクタ演出）について説明する。図８５に示す通り、通常演出モード１８１（第３演出モード）、第１スーパー演出モード１８２（第１演出モード、特定演出モード）、第２スーパー演出モード１８３、カウント演出モード（第２演出モード、第１カウント演出モード１８４、第２カウント演出モード１８５）で、演出態様（表示態様）が異なる遊技演出を有している。また、通常演出モード１８１では、４種類（複数）の遊技演出（リーチ演出）を実行可能としており、これら４種類の遊技演出には夫々大当り信頼度が設定されている。大当り信頼度とは、該当する遊技演出（例えば、サンダーリーチ）が実行された場合に、当該遊技演出と共に変動表示する演出図柄（特別図柄）が大当り図柄で停止表示する可能性を示している。すなわち、大当り（第１ボーナス又は第２ボーナス）となる可能性（大当り遊技の実行可能性）を示している。
【０４４１】
また、第１特別図柄当否判定を主体とする通常演出モードで実行される各遊技演出は、異なるキャラクタを出現可能としており、ＳリーチではキャラクタＳ、ＴリーチではキャラクタＴ、サンダーリーチではキャラクタＡ（図７８（ｃ）、（ｄ）等を参照）、全回転リーチではキャラクタＹを出現させている。これらの出現キャラクタや演出態様を見ることで、遊技者は、実行される遊技演出の大当り信頼度を容易に把握することが可能となる。もちろん、これらの遊技演出において図８５に示すキャラクタ以外にも共通又は相違する他のキャラクタを表示（出現）させてもよい。
【０４４２】
また、図８５に示す通り、第２特別図柄当否判定を主体とする第１スーパー演出モード１８２、第２スーパー演出モード１８３、カウント演出モード１８４、１８５においても夫々異なる遊技演出を実行可能としている。ここで、これらの演出モードにおける遊技演出の信頼度を「有利大当り信頼度」としている。これは単なる「大当り信頼度」と異なり、有利な大当り、すなわち、スーパーモードが継続することとなる第３ボーナス又は第１ボーナスとなる可能性（１５Ｒ第３大当り又は４Ｒ第４大当りとなる可能性）を示している。スーパー演出モードにおいて、獲得可能な遊技利益が少なく、大当り遊技終了後の演出モードがカウント演出モードに移行する大当りは、例え大当りであっても、遊技者にとって不利な大当り（現状よりも不利になる大当り）であるため、「有利大当り信頼度」として、これら不利な大当りを除く有利な大当りとなる可能性を示している。
【０４４３】
具体的に、第１スーパー演出モード１８２で実行されうるキャラＡ対決リーチ１９１は、キャラクタＸ及びキャラクタＡが出現して対決する演出態様の遊技演出とされ、有利大当り信頼度は、第１スーパー演出モード１８２で実行されうる遊技演出の中で最低の「１％」とされている。すなわち、第１スーパー演出モード１８２でキャラＡ対決リーチ１９１が実行された場合には、当該演出図柄の変動表示の結果が大当りとなる可能性は非常に低い。そのため、キャラＡ対決リーチ１９１が実行された場合には、遊技者は大当りを期待するよりも、不利大当りにならない、すなわち、特別図柄当否判定の結果が外れであることを期待して、遊技を行う。
【０４４４】
また、キャラＧ対決リーチ１９２は、キャラクタＸ及びキャラクタＧが出現して対決する演出態様の遊技演出とされ、有利大当り信頼度は、「１０％」とされている。また、キャラＨ対決リーチ１９３は、キャラクタＸ及びキャラクタＨが出現して対決する演出態様の遊技演出とされ、有利大当り信頼度は、「３０％」とされている。また、キャラＩ対決リーチ１９４は、キャラクタＸ及びキャラクタＩが出現して対決する演出態様の遊技演出とされ、有利大当り信頼度は、第１スーパー演出モード１８２で実行されうる遊技演出の中で最高の「５０％」とされている。また、前述の対決リーチは、味方キャラクタＸが、敵キャラクタＡ、Ｇ、Ｈ、又はＩを倒せば、有利大当りとなる。負けた場合は不利大当りとなり、引き分けの場合は特別図柄当否判定の結果が外れとなり、遊技状態が継続する。また、第１カウント演出モード１８４及び第２カウント演出モード１８５は、共通の遊技演出を実行するものとする。これにより、何れのカウント演出モードかを判別するのがより困難となる。尚、各演出モードにおいて、図８５に定める以外の遊技演出（予告演出、先読み演出、リーチ演出、キャラクタ演出）を設けてもよい。
【０４４５】
［各演出モードの演出態様］
図８６（ａ）は、通常演出モード１８１の演出態様を示す図である。通常演出モード１８１では背景キャラクタ１７２として、山と木を模したキャラクタが表示されている。尚、通常演出モードでは当該通常演出モードであることを示す演出モード表示部１７１を設けていない。そのため、背景キャラクタや演出モード表示部１７１がないことから通常演出モードであることを把握する。図８６（ｂ）は、遊技者がスーパー演出モードのうち、第１スーパー演出モード１８２を選択した場合の、当該第１スーパー演出モード１８２の演出態様を示す図である。表示画面７ａには、背景キャラクタ１７２として、太陽を模したキャラクタが表示され、演出モード表示部１７１に「第１スーパーモード」の表示を行うことで、遊技者に実行する演出モードを明示している。
【０４４６】
また、図８６（ｃ）は、遊技者がスーパー演出モードのうち、第２スーパー演出モード１８３を選択した場合の、当該第２スーパー演出モード１８３の演出態様を示す図である。表示画面７ａには、背景キャラクタ１７２として、月を模したキャラクタが表示され、演出モード表示部１７１に「第２スーパーモード」の表示を行うことで、遊技者に実行する演出モードを明示している。また、図８６（ｄ）は、演出モードが第１カウント演出モード１８４に設定された場合の当該第１カウント演出モード１８４の演出態様を示す図である。表示画面７ａには、背景キャラクタ１７２として、雲を模したキャラクタが表示され、演出モード表示部１７１に「カウントモード」の表示を行うことで、遊技者に実行する演出モードを示している。
【０４４７】
また、図８６（ｅ）は、演出モードが第２カウント演出モード１８５に設定された場合の当該第２カウント演出モード１８５の演出態様を示す図である。表示画面７ａには、背景キャラクタ１７２として、第１カウント演出モード１８４と同じ（共通の）雲を模したキャラクタが表示され、演出モード表示部１７１にも、第１カウント演出モード１８４と同じ「カウントモード」の表示を行っている。これにより、遊技者に実行する演出モードを示している。また、表示画面７ａ右上には、第１カウント演出モード１８４になはい残回数表示部１７３が設けられており、第２カウント演出モード１８５の残り期間を示している。第１カウント演出モード１８４の実行期間（大当りが発生しない場合の最長期間として）は、特別図柄の変動表示の回数が１００回で固定された期間であるところ、第２カウント演出モード１８５の実行期間（大当りが発生しない場合の最長期間として）は、特別図柄の変動表示の回数が５０回の場合と１００回の場合との複数の期間を有している。
【０４４８】
そのため、第２カウント演出モード１８５では、残期間を遊技者に分かり易く示したり、残期間の増加演出等を行って遊技興趣を高めるため、このような表示部を設けている。このような表示態様の違いが、第１カウント演出モード１８４と第２カウント演出モード１８５との相違点であり、その他の構成、出現キャラクタ、実行可能な遊技演出等は共通している。そのため、演出モードがカウントモードに設定された場合、本パチンコ遊技機に接した期間の短い遊技者は、当該カウントモードが第１カウント演出モードであるのか、第２カウント演出モードであるのかを識別するのが困難である。
【０４４９】
また、図８６（ｆ）は、演出モードがスーパー演出モードに設定される際に、遊技者によって、第１スーパー演出モード１８２と第２スーパー演出モード１８３とから何れかの演出モードを選択可能な演出モード選択画面１８６を示している。演出モードがスーパー演出モードに設定される前の大当り遊技中の所定時期に演出モード選択期間が設けられている（実施例１と同様）。
【０４５０】
［特定演出モードの遊技演出］
次に、図８７を用いて、本実施例２のパチンコ遊技機１が有する複数の演出モードのうち、特定の演出モード（具体的には、第１スーパー演出モード）における遊技演出（リーチ演出、キャラクタ演出）の演出態様（実行態様）について説明する。遊技状態が高確低ベース状態に設定される場合、遊技者の演出ボタン操作（遊技者の選択）によって、複数の演出モード（第１スーパー演出モード、第２スーパー演出モード）のうち、任意の演出モードを選択可能としている。前述したように、これらの演出モードは、実行される演出モードによって遊技演出が異なっている。そのため、遊技者は自身の好みに応じて、任意の演出モードを選択したり、異なる演出モードに切り替えたりすることで、遊技の飽きを防止したり、遊技興趣を高めたりすることが可能となる。
【０４５１】
図８５及び図８７等に示すように、第１スーパー演出モード１８２では、他の演出モードと異なる特徴的な演出態様の遊技演出が実行される。具体的に、キャラＡ対決リーチ、キャラＧ対決リーチ、キャラＨ対決リーチ、及び、キャラＩ対決リーチ（これらを総じて、単に「対決リーチ」ともいう）の４種類（複数）の遊技演出（リーチ演出）を実行可能としている。これらの遊技演出は、味方キャラクタ（キャラクタＸ）と、敵キャラクタ（キャラクタＡ、Ｇ、Ｈ、又は、Ｉ）と、が対決し、その対決の結果によって、遊技者に有利な判定結果となるかどうかを示している。すなわち、実行する遊技演出によって、大当り遊技終了後の遊技状態がスーパー演出モードに設定される遊技者に有利な大当り遊技（第１ボーナス又は第３ボーナス）を実行するかどうか示している。
【０４５２】
また、各遊技演出において、表示画面７ａ上部には、対決の結果を示唆する選択肢表示部１７９が設けられており、対決の結果は、選択肢表示部１７９に表示された結果の何れかとなる。選択肢表示部１７９に表示される選択肢として、［勝利］、［継続］、［敗北］の３種類が用意されており、対決リーチの結果が［勝利］となった場合（結果表示部１７８に［勝利］が表示された場合）、遊技者に有利な大当りとなり、第３ボーナス又は第１ボーナス（大当り遊技）が実行され、大当り遊技終了後の演出モードがスーパー演出モードに設定される。尚、スーパー演出モードにおける遊技状態は、遊技者に有利な高確低ベース状態である。
【０４５３】
対決リーチの結果が［継続］となった場合（結果表示部１７８に［継続］が表示された場合）は、特別図柄当否判定の結果が外れであり、大当り遊技が実行されることなく、当該対決リーチ終了後も第１スーパー演出モードが継続する。そして、その後も第１スーパー演出モードにおいて、特別図柄（演出図柄）の変動表示が継続して実行される。対決リーチの結果が［敗北］となった場合（結果表示部１７８に［敗北］が表示された場合）、遊技者に不利な大当りとなり、第４ボーナス（大当り遊技）が実行され、大当り遊技終了後の演出モードが第２カウント演出モード１８５に設定される。尚、前述した通り、第２カウント演出モードにおける遊技状態は、低確高ベース状態のときと、高確低ベース状態のときとがある。
【０４５４】
また、第１スーパー演出モード１８５において実行可能な遊技演出は複数設定されており、これら複数の遊技演出のうち、選択肢表示部１７９に［敗北］の選択肢が表示されうる遊技演出は、敵キャラクタとしてキャラクタＡが出現するキャラクタＡ対決リーチ１９１（第１特別遊技演出）のみとされている。すなわち、第１スーパー演出モード１８５で遊技を実行している状況では、当該キャラＡ対決リーチ１９１を経ることなく、実行中の演出モードが第１スーパー演出モード１８５から第２カウント演出モード１８５に移行することはない。従って、高確低ベース状態の第１スーパー演出モード１８５において、遊技者に不利な大当りである２Ｒ第７大当り及び２Ｒ第８大当りとなる場合は、必ずキャラクタＡ対決リーチ１９１が実行される。尚、第２カウント演出モードからスーパー演出モードに昇格しうる２Ｒ第５大当り及び２Ｒ第６大当りとなる場合も、必ずキャラクタＡ対決リーチ１９１が実行される。すなわち、第１スーパー演出モードにおいて第４ボーナス（図８４参照）が実行され、大当り遊技終了後の演出モードが第２カウント演出モードに移行する場合は、必ずキャラクタＡ対決リーチ１９１が実行される。
【０４５５】
図８７（ａ）は、第１スーパー演出モード１８５における所定の演出図柄の変動表示に伴って、キャラＡ対決リーチ演出１９１（第１特別遊技演出）が実行された場面を示している。表示画面７ａ左部には実行中の演出モードが第１スーパー演出モード１８５であることを示す太陽を模した背景キャラクタ１７２が表示されている。また、表示画面略中央部には対決リーチで対決する味方キャラクタのキャラクタＸ１７４と敵キャラクタのキャラクタＡ１４４が表示されている。また、表示画面の左右上部には、リーチ態様の演出図柄が表示されている（リーチ態様を構成する左右の演出図柄「２」が表示されている）。また、表示画面上部には、選択肢表示部１７９が設けられ、対決リーチの結果となりうる選択肢が表示されている。図８７（ａ）に示す通り、キャラＡ対決リーチ演出では、選択肢表示部の選択肢として［継続］と［敗北］が表示されている。
【０４５６】
本実施例２のキャラＡ対決リーチ演出（第１特別遊技演出）では、選択肢として必ず［敗北］が表示される。また、選択肢として［勝利］が表示されない。従って、キャラＡ対決リーチ演出は、遊技者にとってかなり不利な状況を示すリーチ演出とされている。従って、遊技者は、結果表示部１７８に［継続］が表示されること、すなわち、特別図柄当否判定の結果が外れであり、第１スーパー演出モードが継続することに期待して遊技を行う。また、図には示していないが、本実施例２では、選択肢として［勝利］を表示しないものの、対決結果として［敗北］が表示された後に、逆転演出を実行して遊技者に有利な有利大当りとする演出も有している。
【０４５７】
尚、本実施例２の他の態様として、キャラＡ対決リーチ演出（第１特別遊技演出）において、［勝利］の選択肢を表示したり、［敗北］を表示しない場合があってもよい。また、［勝利］、［継続］、［敗北］の３個の選択肢を表示したり、何れか１個だけの選択肢を表示したり（この場合は表示されている選択肢で確定する）してもよい。
【０４５８】
図８７（ｂ）は、図８７（ａ）の場面から所定時間経過後の場面を示すもので、キャラＡ対決リーチ演出の対決結果として、結果表示部に［継続］が表示された場面を示している。また、表示画面中央部には、外れリーチ演出図柄［２３２］が表示され、リーチ演出の結果、外れとなったことが示されている。また、キャラクタＸとキャラクタＡの対決は引き分けであったことを示す［ドロー］の文字が表示されている。これにより、第１スーパー演出モードが終了する（第４ボーナスが実行されて第２カウント演出モードに移行する）ことなく、その後も第１スーパー演出モードが継続することを示している。すなわち、特別図柄当否判定の結果が外れの場合に実行されたキャラＡ対決リーチ演出であることを示す。
【０４５９】
図８７（ｃ）は、図８７（ａ）の場面から所定時間経過後の場面を示すもので、キャラＡ対決リーチ演出の対決結果として、結果表示部に［敗北］が表示された場面を示している。また、表示画面中央部には、外れリーチ演出図柄［２１２］が表示され、リーチ演出の結果、遊技者に有利な有利大当りとならなかったことが示されている。尚、演出図柄としては、［２１２］の外れリーチ演出図柄（３桁同一でない演出図柄）を表示しているが、特別図柄当否判定の結果は大当り（２Ｒ第５大当り、２Ｒ第６大当り、２Ｒ第７大当り又は２Ｒ第８大当り）となっている。また、キャラクタＸとキャラクタＡの対決は、キャラクタＡが勝利した（キャラクタＸが敗北した）ことを示す演出が表示されている。これにより、第１スーパー演出モードが終了する（第４ボーナスが実行されて第２カウント演出モードに移行する）ことを示している。すなわち、特別図柄当否判定の結果が比較的遊技者に不利な不利大当り（２Ｒ第５大当り、２Ｒ第６大当り、２Ｒ第７大当り又は２Ｒ第８大当り）の場合に実行されたキャラＡ対決リーチ演出であることを示す。
【０４６０】
尚、前述した通り、キャラＡ対決リーチ演出が実行されて結果表示部に［敗北］が表示された場合は、原則として（ほとんどの場合）、第４ボーナスが実行されて第２カウント演出モードに移行する。しかしながら、レアケース（かなり低い可能性で）、図８７（ｃ）の敗北演出の後に逆転演出を実行し、有利大当りとなったことを示す演出を行う場合がある。この場合には第３ボーナス（又は第１ボーナス）が実行され、その後スーパー演出モードに移行する。図８５の表において、キャラＡ対決リーチの有利大当り信頼度が０％でなく、１％となっているのは、このようなレアケースを有しているからである。また、このような態様に変えて、キャラＡ対決リーチ演出を実行した場合の有利大当り信頼度を０％に設定してもよい。
【０４６１】
図８７（ｄ）は、第１スーパー演出モード１８５における所定の演出図柄の変動表示に伴って、キャラＧ対決リーチ演出１９２（第２特別遊技演出）が実行された場面を示している。表示画面７ａ左部には実行中の演出モードが第１スーパー演出モード１８５であることを示す太陽を模した背景キャラクタ１７２が表示されている。また、表示画面略中央部には対決リーチで対決する味方キャラクタのキャラクタＸ１７４と敵キャラクタのキャラクタＧ１９２が表示されている。また、表示画面の左右上部には、リーチ態様の演出図柄が表示されている（リーチ態様を構成する左右の演出図柄「２」が表示されている）。また、表示画面上部には、選択肢表示部１７９が設けられ、対決リーチの結果となりうる選択肢が表示されている。図８７（ｄ）に示す通り、キャラＧ対決リーチ演出（第２特別遊技演出）では、キャラＡ対決リーチ演出（第１特別遊技演出）と異なり、選択肢表示部の選択肢として［勝利］と［継続］が表示されており、［敗北］が表示されていない。
【０４６２】
すなわち、本実施例２のキャラＧ対決リーチ演出（第２特別遊技演出）では、選択肢として［敗北］が表示されることはない。また、選択肢として［勝利］が必ず表示される。従って、キャラＧ対決リーチ演出は、遊技者にとってかなり有利な状況（当該遊技演出の結果として不利大当りとなることはないこと）を示すリーチ演出とされている。従って、遊技者は、結果表示部１７８に［勝利］が表示されること、すなわち、特別図柄当否判定の結果が有利大当りとなり、当該大当り遊技終了後は第１スーパー演出モードが継続することに期待して遊技を行う。また、例え、［勝利］が表示されず［継続］が表示された場合であっても、第１スーパー演出モードはその後も継続するため、遊技者は安心感を持って遊技を行うことができる。また、図には示していないが、［勝利］のみ（選択肢１個）を表示するパターンを有していてもよい。
【０４６３】
図８７（ｅ）は、図８７（ｄ）の場面から所定時間経過後の場面を示すもので、キャラＧ対決リーチ演出の対決結果として、結果表示部に［勝利］が表示された場面を示している。また、表示画面中央部には、当り（有利大当り）リーチ演出図柄［２２２］が表示され、リーチ演出の結果、当り（有利大当り）となったことが示されている。また、味方キャラクタであるキャラクタＸが敵キャラクタであるキャラクタＧに勝利したことを示す演出画像が表示されている。これにより、有利大当りとなり、大当り遊技（第３ボーナス又は第１ボーナス）が実行され、当該大当り遊技終了後は再度第１スーパー演出モードに設定されることを示している。すなわち、特別図柄当否判定の結果が有利大当り（１５Ｒ第３大当り又は４Ｒ第４大当り）の場合に実行されたキャラＧ対決リーチ演出であることを示す。
【０４６４】
また、図８７（ｆ）は、図８７（ｄ）の場面から所定時間経過後の場面を示すもので、キャラＧ対決リーチ演出の対決結果として、結果表示部に［継続］が表示された場面を示している。また、表示画面中央部には、外れリーチ演出図柄［２３２］が表示され、リーチ演出の結果、外れとなったことが示されている。また、キャラクタＸとキャラクタＧの対決は引き分けであったことを示す［ドロー］の文字が表示されている。これにより、第１スーパー演出モードが終了する（第４ボーナスが実行されて第２カウント演出モードに移行する）ことなく、その後も第１スーパー演出モードが継続することを示している。すなわち、特別図柄当否判定の結果が外れの場合に実行されたキャラＧ対決リーチ演出であることを示す。
【０４６５】
図８７（ｇ）は、第１スーパー演出モード１８５における所定の演出図柄の変動表示に伴って、キャラＨ対決リーチ演出１９３（第２特別遊技演出）が実行された場面を示している。また、表示画面略中央部には対決リーチで対決する味方キャラクタのキャラクタＸ１７４と敵キャラクタのキャラクタＨ１７６が表示されている。また、図８７（ｇ）に示す通り、選択肢表示部１７９には、キャラＧ対決リーチ演出と同様に、選択肢として［勝利］と［継続］が表示されており、［敗北］が表示されていない。
【０４６６】
すなわち、本実施例２のキャラＨ対決リーチ演出（第２特別遊技演出）では、キャラＧ対決リーチ演出と同様に、選択肢として［敗北］が表示されることはない。また、選択肢として［勝利］が必ず表示される。従って、キャラＨ対決リーチ演出（第２特別遊技演出）は、遊技者にとってかなり有利な状況（当該遊技演出の結果として不利大当りとなることはないこと）を示すリーチ演出とされている。また、図示は省略するが、キャラＨ対決リーチ演出の結果は、図８７（ｅ）又は図８７（ｆ）と同様に、［勝利］となった場合は有利大当りを実行してその後第１スーパー演出モードを再度設定し、［継続］となった場合は大当り遊技を実行することなく第１スーパー演出モードを継続する。
【０４６７】
図８７（ｈ）は、第１スーパー演出モード１８５における所定の演出図柄の変動表示に伴って、キャラＩ対決リーチ演出１９４（第２特別遊技演出）が実行された場面を示している。また、表示画面略中央部には対決リーチで対決する味方キャラクタのキャラクタＸ１７４と敵キャラクタのキャラクタＩ１７７が表示されている。また、図８７（ｈ）に示す通り、選択肢表示部１７９には、キャラＧ対決リーチ演出と同様に、選択肢として［勝利］と［継続］が表示されており、［敗北］が表示されていない。
【０４６８】
すなわち、本実施例２のキャラＩ対決リーチ演出（第２特別遊技演出）では、キャラＧ対決リーチ演出と同様に、選択肢として［敗北］が表示されることはない。また、選択肢として［勝利］が必ず表示される。従って、キャラＩ対決リーチ演出（第２特別遊技演出）も同様に、遊技者にとってかなり有利な状況（当該遊技演出の結果として不利大当りとなることはないこと）を示すリーチ演出とされている。また、図示は省略するが、キャラＩ対決リーチ演出の結果は、図８７（ｅ）又は図８７（ｆ）と同様に、［勝利］となった場合は有利大当りを実行してその後第１スーパー演出モードを再度設定し、［継続］となった場合は大当り遊技を実行することなく第１スーパー演出モードを継続する。
【０４６９】
以上説明したように、第１スーパー演出モード（第１演出モード、特定演出モード）では、キャラＧ対決リーチ演出、キャラＨ対決リーチ演出、キャラＩ対決リーチ演出の何れが実行された場合にも、選択肢として［敗北］が表示されることはなく、その結果、結果表示部に［敗北］が表示されることはない。すなわち、第１スーパー演出モードでは、キャラＡ対決リーチ演出だけが、遊技者に不利な不利大当りとなる可能性を有しており、キャラＡ対決リーチ演出を除く、他の遊技演出（キャラＧ対決リーチ演出、キャラＨ対決リーチ演出、キャラＩ対決リーチ演出）は遊技者に不利な不利大当りとなる可能性を有していない。
【０４７０】
これにより、キャラＡ対決リーチ演出以外の遊技演出（第２特別遊技演出）が実行された場合、その時点で不利大当りとなる可能性が排除され、遊技者の安心感を高めると共に、キャラＡ対決リーチ演出以外の遊技演出（第２特別遊技演出）が実行された場合の有利大当りへの期待感を高めることが可能となる。尚、図８５に示すように、これらキャラＧ対決リーチ演出、キャラＨ対決リーチ演出、キャラＩ対決リーチ演出は、有利大当り信頼度となる可能性（有利大当り信頼度）が異なっており、キャラＩ対決リーチ演出が最も有利大当り信頼が高く設定されている。
【０４７１】
また、キャラＡ対決リーチ演出が実行された場合でも不利大当りとならない［継続］の選択肢を有すると共に、僅かの可能性ではあるが、有利大当りとなる可能性も有している。これにより、キャラＡ対決リーチ演出（第１特別遊技演出）が実行された場合の不利大当りへの緊張感を高めて遊技興趣を高めると共に、第１スーパー演出モードの継続や有利大当りへの期待感を高めて高い遊技興趣を長期間維持することが可能となる。
【０４７２】
また、第１スーパー演出モードでは、キャラクタＡの出現する遊技演出を、遊技者にとって、最も不利な遊技演出とすることで、第１スーパー演出モードにおけるキャラクタＡ（特定キャラクタ）の価値を低く設定している。一方で、前述したように、通常演出モードで実行可能な遊技演出であって、キャラＡ対決リーチ演出と共通のキャラクタＡが出現する「特定リーチ演出」は、大当り信頼度も比較的高く設定されると共に、大当りとなれば必ず有利大当りとなる（高確低ベース状態且つスーパー演出モードに設定される）遊技演出に設定されている。
【０４７３】
すなわち、通常演出モード（第３演出モード）で実行される特定リーチ演出（図７８及び図７９等を参照、第３特別遊技演出）と、第１スーパー演出モードで実行されるキャラＡ対決リーチ演出（図８７等を参照、第１特別遊技演出）と、は何れもキャラクタＡの出現する遊技演出（リーチ演出）であるものの、当該遊技演出の遊技者にとっての価値（遊技者に有利な結果となる可能性、有利大当り信頼度）が全く異なるものとなっている。これにより、実行する演出モード（通常演出モード、第１スーパー演出モード）や遊技状態（低確低ベース状態、高確低ベース状態）によって、同じキャラクタＡの出現する遊技演出の価値（大当り信頼度、有利大当り信頼度、遊技者に有利な結果となる可能性）を異ならせている。またこれにより、演出モードや遊技状態によって、キャラクタＡの出現する遊技演出（リーチ演出）が実行された場合の遊技者のドキドキ感（緊張感）を高めると共に、遊技演出を多様化し、遊技への飽きを防止することが可能となる。
【０４７４】
また、スーパー演出モードで実行可能な演出モードを、遊技者が任意に選択可能としたことで、第１スーパー演出モードのような演出態様が好みでない場合には、第２スーパー演出モードを選択して遊技を行うことができる。これにより、遊技者の好みに応じった遊技演出を提供でき、多様な遊技者の遊技興趣を高めることが可能となる。尚、第１スーパー演出モードでは、特定の遊技演出（キャラＡ対決リーチ）が実行されたときのみ不利大当りとなる可能性を有し、その他の遊技演出が実行された場合には不利大当りとなる可能性を排除することで、何れの遊技演出が実行されるかに最重点をおく演出態様とした。
【０４７５】
一方、第２スーパー演出モードでは、複数の遊技演出（Ｊリーチ、Ｋリーチ、Ａリーチ、Ｌリーチ）の何れを実行した場合にも、有利大当りとなる可能性も不利大当りとなる可能性も有しており、実行される遊技演出によって有利大当りとなる可能性を異ならせている。これにより、これら複数の遊技演出のうち、何れの遊技演出が実行された場合でも、有利大当りへの期待感を一定程度もって遊技演出を見ることができる。逆に、これら複数の遊技演出のうち、何れの遊技演出が実行された場合でも、不利大当りとなってしまう不安感を一定程度もって遊技演出を見ることができる。またこれにより、遊技者のドキドキ感（緊張感）を高めると共に、遊技興趣を高めることが可能となる。
【０４７６】
［遊技利益獲得演出の他の実行態様］
次に、図８８乃至図９４を用いて、実施例２の遊技利益獲得演出の他の実行態様について説明する。前述した通り、遊技利益獲得演出は、遊技状態が特定状態にあるときに、当該特定状態において、どれくらいの量の遊技利益を獲得したかを示す演出である。特定状態（特定期間）とは、所謂連荘状態（連荘期間）であり、低確低ベース状態（状態Ａ）において、大当りとなったときから、再度遊技状態が低確低ベース状態となるまで（大当り遊技状態を除く）の状態をいう。この特定状態において獲得した遊技利益の量を示す演出である。また、後述する遊技利益獲得演出の他の実行態様では、特定状態（特定期間）において獲得した総獲得遊技利益と、特定状態（特定期間）のうちの単位期間（１回の大当り遊技を含む期間）において獲得した単位獲得遊技利益と、を遊技状況に応じて、第１画像表示装置７（第２表示装置）、第２画像表示装置７１（第１表示装置）、及び／又は、第３画像表示装置７２（第１表示装置）に、夫々表示する。
【０４７７】
すなわち、分離配置された複数の表示装置に、異なる期間の獲得遊技利益量を夫々表示し、遊技状況に応じて表示させる表示装置を異ならせる。尚、分離配置された複数の表示装置は、少なくとも遊技領域の内外に夫々１個以上設けることが好適である。これにより、遊技者は、所望の期間に獲得した遊技利益を、遊技状況に応じて、容易且つ確実に把握することが可能となる。尚、「遊技状況に応じて表示する」とは、低確高ベース状態、高確高ベース状態高確低ベース状態等の遊技状態に応じて表示したり、通常演出モード、第１スーパー演出モード、第２スーパー演出モード、第１カウント演出モード、第２カウント演出モード等の演出モードに応じて表示したりすることを意味する。尚、第２画像表示装置７１の表示画面７１ａや第３画像表示装置７２の表示画面７２ａは、リーチ演出を実行する際等、遊技状況に応じて、演出図柄８を表示する場合もあるので、表示画面７１ａを第２演出図柄表示部、表示画面７２ａを第３演出図柄表示部ともいう。
【０４７８】
図８８（ａ）は、低確低ベース状態（通常状態）において演出図柄（第１特別図柄）の変動表示を実行中の場面を示している。図８８（ａ）に示す通り、低確低ベース状態（通常状態）では、遊技領域３の略中央に設けられる画像表示装置７（第１画像表示装置、第１演出表示装置）の表示画面７ａ（第１表示画面）には、演出図柄８を表示する演出図柄表示領域７ｂ（演出図柄表示部）や演出保留（第１演出保留９ａ又は第２演出保留９ｂ）を表示する演出保留表示領域（第１演出保留表示領域９ｃ又は第２演出保留表示領域９ｄ）が設けられている。また、遊技領域３の（図８８紙面左側の）外側領域（第１外側領域）に設けられる第２画像表示装置７１の表示画面７１ａ（第２表示画面）には、電源投入時からの、若しくは、電源投入後に大当り遊技を実行していれば、前回の大当り遊技終了からの、演出図柄の変動表示回数を表示する第１変動回数表示部２０３（第１ボーナス間変動回数表示部、実行期間表示部）が設けられている。
【０４７９】
ここでは、前回の大当り遊技終了から７８回の演出図柄の変動表示が終了したことが示されている（現在は７９回目の変動表示を実行中）。また、遊技領域３の（図８８紙面右側の）外側領域（第２外側領域）に設けられる第３画像表示装置７２の表示画面７２ａ（第３表示画面）には、現在の演出モードを示す演出モード表示部１７１が設けられている。そして、現在の演出モードが通常演出モード１８１であることを示す「通常モード」の文字が表示されている。
【０４８０】
図８８（ｂ）は、図８８（ａ）と同じ演出図柄８の変動表示の実行途中において、リーチ演出（遊技演出）として、前述した「サンダーリーチ（特定リーチ演出）」が実行された場面を示している。この際（リーチ演出実行の際）、演出モード表示部１７１や第１演出保留表示部９ｃや当該変動表示部９ｅは消去され、第１表示画面、第２表示画面、及び、第３表示画面の３個の表示画面（略全体）を用いて遊技演出（リーチ演出）を表示する。しかしながら、図８８（ｂ）等に示すように、このような他の表示部（演出モード表示部１７１、演出保留表示部、当該変動表示部、後述する総獲得利益表示部や第２獲得利益表示部等）が一時的に表示されなくなるような状況であっても、第１変動回数表示部２０３は消去されることなく、表示を維持する。これにより、遊技者にどのような遊技状況であっても、前回の大当り遊技からの遊技期間（電源投入からの遊技期間）を明確に報知することが可能となる。
【０４８１】
またこれにより、遊技者は、自身が大当り遊技を経ることなくどの程度の期間遊技したかを確認し、遊技への投資が過度になることを防止することが可能となる。また、遊技者が遊技をしていない状況においても（デモンストレーション画像表示中等）、第１変動回数表示部２０３は消去されることなく、表示を維持される。これにより、他の遊技者は、遊技機を選択する際の参考情報とすることが可能となる。また、島設備等にこれらの遊技情報を表示しない場合にも、遊技機に常時表示することで、明確且つ確実に報知することが可能となる。
【０４８２】
図８８（ｃ）は、図８８（ｂ）と同じ演出図柄８の変動表示の結果を示すもので、図８８（ｂ）に示すリーチ演出の結果が大当りとなって、大当り演出図柄（「７７７」）を停止表示する場面を示す。また、ボーナス種表示部２０１には、大当り種別が遊技者に有利な第１ボーナスであることを報知する「第１ボーナス」の文字が表示される。通常状態（低確低ベース状態）では第１特別図柄当否判定で実行されるため、ここでいう遊技者に有利な大当り種別とは４Ｒ第１大当りをいう。尚、遊技者に有利な第１ボーナス（大当り）とは、大当り遊技終了後の演出モード（遊技状態）が、スーパー演出モード（高確低ベース状態）に移行することを意味する。またこの際も、第１変動回数表示部２０３は消去されることなく、表示を維持する。
【０４８３】
図８９（ｄ）は、図８８（ｃ）で示される大当りに基づく大当り遊技（４Ｒ第１大当り遊技）の実行中（３Ｒ目）の場面を示す。通常状態から大当り遊技を実行することに基づいて、特別期間（連荘期間）を開始する。そして、当該特別期間中において、当該特別期間中に獲得した遊技利益を表示する総獲得利益表示部１６４（第２利益情報表示部）と、第２獲得利益表示部２０４（第１利益情報表示部）と、を設ける。尚、特別期間は、大当り遊技を除く期間で遊技状態が再度通常状態（低確低ベース状態）に設定されると終了するものとする。図８９（ｄ）に示すように、大当り遊技中の遊技状況において、遊技領域内に設けられる第１画像表示装置７の表示画面７ａ（第１表示画面）の上部中央には特別期間において獲得した遊技利益の総数を示す総獲得利益表示部１６４が設けられている（Ｔ：００３５０ｐｔ）。これは、特別期間において３５０球の遊技球が払い出されたことを意味している。
【０４８４】
また、表示画面７ａの下部右には実行中の大当り遊技において獲得した遊技利益の総数を示す第２獲得利益表示部２０４が設けられている（３５０／６００）。これは、本大当り遊技において払い出される予定の遊技球数（賞球数）の最大数が６００であり、現在３５０球の遊技球が払い出されたことを意味している。尚、初当り（通常状態において発生した大当り）における大当り遊技中においては、総獲得利益表示部１６４に表示される値と、第２獲得利益表示部２０４に表示される値とが、同じ値となるため、何れか一方のみを表示してもよいし、本実施例のように両方を表示してもよい。また、本実施例では、初当りのときのみ、「大当り遊技において払い出される予定の遊技球数（賞球数）の最大数」を表示し、その後は、実際に払い出された遊技球数だけを表示する。また、表示画面７ａの上部左には、実行中の大当り遊技のラウンド数を示している（３Ｒ：３ラウンド目）。
【０４８５】
また、表示画面７ａの上部右には、遊技球の発射方向（発射領域）を示す発射方向表示部１６２が設けられている。また、表示画面７ａの略中央部（その他の表示領域）には、所定のキャラクタ絵柄や背景絵柄等の大当り遊技用演出が表示される。また、第２表示画面７１ａには、第１変動回数表示部２０３が、消去されることなく表示されている。これにより、大当り遊技中も、前回の大当り遊技から今回の大当り遊技までに、第１変動回数表示部２０３に表示される値（７８回）の演出図柄の変動表示（特別図柄当否判定）を要したことが容易に確認できる。また、第２表示画面７１ａのその他の表示領域、及び、第３表示画面７２ａには、所定のキャラクタ絵柄や背景絵柄等の大当り遊技用演出が表示される。
【０４８６】
図８９（ｅ）は、図８９（ｄ）に示す大当り遊技が終了した後に設定された高確低ベース状態において、所定回数の演出図柄の変動表示を実行した場面を示している。具体的に、第１変動回数表示部２０３の表示（１４回）から、図８９（ｄ）に示す大当り遊技が終了した後、１４回の演出図柄の変動表示を実行したことを把握できる。尚、図８９（ｄ）に示す大当り遊技終了後の遊技状態が高確低ベース状態に設定されているので（低確低ベース状態に設定されていないので）、特別期間は継続中である。ここで、本実施例２では、前述した通り、スーパー演出モードの演出モードとして、第１スーパー演出モード１８２と第２スーパー演出モード１８３とを有しており、予め定められた選択期間における遊技者の選択により、何れかの演出モードを選択することが可能となっている。高確低ベース状態における演出モードの選択期間及び選択方法は、実施例１と同様であるので、説明を省略する。第２表示画面７１ａには、遊技者が選択した演出モードを表示する第２演出モード表示部２０２（選択モード表示部）と、実行中の演出モードを表示する演出モード表示部１７１（第１演出モード表示部）と、を有している。
【０４８７】
演出モード表示部１７１には、スーパー演出モードであることを示す「スーパー演出モード」の文字が表示され、第２演出モード表示部２０２には、スーパー演出モードの演出モードとして第１スーパー演出モードを選択したことを示す「第１ＳＭ」の文字が表示される。また、高確低ベース状態（第１スーパー演出モード）の遊技状況において、表示画面７ａの下部には、特別期間（第２期間）において獲得した遊技利益の総数を示す総獲得利益表示部１６４（第２利益情報表示部）が設けられている（Ｔ：００７２０ｐｔ）。これは、特別期間において７２０球の遊技球が払い出されたことを意味している。図８９（ｄ）に示す場面から大当り遊技の残り期間、及び、第１スーパー演出モードの１４回転の期間で３７０球の遊技球が追加で払い出されている。
【０４８８】
また、表示画面７ａの略中央部には、飛行機を模したキャラクタ絵柄等の第１スーパー演出モード用演出が表示されている。表示画面７ａの下部右には、第２演出保留表示部９ｄが設けられている。また、第３表示画面７２ａには、第２獲得利益表示部２０４（第１利益情報表示部）が設けられている。この第２獲得利益表示部２０４には、図８９（ｄ）に示す大当り遊技で獲得した遊技利益に、図８９（ｅ）に示す当該大当り遊技終了後の高確低ベース状態で（小当り遊技によって）獲得した遊技利益を加算した遊技利益を表示する。すなわち、第２獲得利益表示部２０４には、１回の大当り遊技の期間と、当該大当り遊技から次の大当り遊技が発生するまで期間と、で獲得した遊技利益の総量を表示する。この１回の大当り遊技の開始から次の大当り遊技が開始するまでの期間を、単位特別期間（第１期間）ともいい、この単位特別期間に獲得した遊技利益を単位遊技利益（第１利益情報）ともいう。
【０４８９】
また、図８９（ｅ）に示すように、第２獲得利益表示部２０４には、単位遊技利益が表示されると共に、前回の大当り（大当り遊技）の種別が表示される（第１Ｂ：第１ボーナス）。これにより、単位特別期間において、どの種の大当り遊技とその後の遊技状態とでどの程度の遊技利益を獲得したかを容易に把握することができる。また、単位遊技利益の表示（値）の変化（増加）は、図８９（ｅ）に示す第１スーパー演出モードが継続する限り継続し、小当り遊技の発生によって遊技利益（賞球）が付与される（払い出される）と、表示画面７ａの総獲得利益表示部１６４の値と、第３表示画面７２ａの第２獲得利益表示部２０４の値とが、連動して（同じ数だけ）増加する。
【０４９０】
尚、図８９（ｅ）に示す場面では、特別期間において、１回目の単位特別期間であるため、総獲得利益表示部１６４の値と、第２獲得利益表示部２０４の値と、が一致する。特別期間が長期間継続し、大当り遊技が複数回発生することに応じて単位特別期間が複数発生すると、これらの値が相違することとなる。
【０４９１】
図８９（ｆ）は、図８９（ｅ）に示す第１スーパー演出モード（高確低ベース状態）が継続して、前回の大当り遊技（図８９（ｄ））終了から２９回目の演出図柄の変動表示の実行中の場面を示している。図８９（ｆ）に示す通り、２９回目の演出図柄の変動表示でリーチ演出が発生している。第１スーパー演出モード（高確低ベース状態）でリーチ演出が発生すると、表示画面７ａ、第２表示画面７１ａ、第３表示画面７２ａに夫々表示されていた第２演出モード表示部２０２、演出モード表示部１７１、総獲得利益表示部１６４、第２演出保留表示部９ｄ、発射方向表示部１６２、第２獲得利益表示部２０４が、当該表示画面７ａ、第２表示画面７１ａ、第３表示画面７２ａから非表示となる（消去される）。そして表示画面７ａ、第２表示画面７１ａ、及び第３表示画面７２ａの全ての表示画面で、リーチ演出を表示する。尚、リーチ演出中も、第１変動回数表示部２０３は消去されることなく、表示を維持する。
【０４９２】
図９０（ｇ）は、図８９（ｆ）と同じ演出図柄８の変動表示の結果を示すもので、図８９（ｆ）に示すリーチ演出の結果が大当りとなって、大当り演出図柄（「７７７」）を停止表示した場面を示す。また、ボーナス種表示部２０１には、大当り種別が遊技者に有利な第３ボーナスであることを報知する「第３ボーナス」の文字が表示される。第１スーパー演出モード（高確低ベース状態）では第２特別図柄当否判定が実行されるため、ここでいう遊技者に有利な大当り種別とは１５Ｒ第３大当りをいう。その他、４Ｒ第４大当りも比較的遊技者に有利な大当りである。尚、遊技者に有利な第３ボーナス（大当り）とは、獲得可能な遊技利益が最大の大当り遊技であって、大当り遊技終了後の演出モード（遊技状態）が、スーパー演出モード（高確低ベース状態）に移行することを意味する。またこの際も、第１変動回数表示部２０３は消去されることなく、表示を維持する。
【０４９３】
図９０（ｈ）は、図９０（ｇ）で示される大当りに基づく大当り遊技（１５Ｒ第３大当り遊技）の実行中（１３Ｒ目）の場面を示す。図８９（ｄ）で示す大当り遊技の開始に伴って開始した特別期間の継続中である。図９０（ｈ）に示すように、大当り遊技中の遊技状況において、表示画面７ａの上部中央には特別期間において獲得した遊技利益の総数を示す総獲得利益表示部１６４が設けられている（Ｔ：０２８５０ｐｔ）。これは、特別期間において２８５０球の遊技球が払い出されたことを意味している。具体的には、図８９（ｄ）に示す前回の大当り遊技で獲得した遊技利益と、今回の大当り遊技が実行されるまでの第１スーパー演出モード（高確低ベース状態）の２８回転の間に小当り遊技で獲得した遊技利益と、を加算した遊技利益に、図９０（ｈ）で第２獲得利益表示部２０４に示される遊技利益を加えると、総獲得利益表示部１６４の値（Ｔ：０２８５０ｐｔ）となる。
【０４９４】
また、表示画面７ａの下部右には実行中の大当り遊技（図９０（ｈ））において獲得した遊技利益の総数を示す第２獲得利益表示部２０４が設けられている（０１９５０ｐｔ）。これは、実行中の大当り遊技において、現在１９５０球の遊技球が払い出されたことを意味している。図９０（ｈ）等に示すように、本実施例では、高確低ベース状態等の演出図柄の変動表示中と、大当り遊技中とで、総獲得利益表示部１６４及び第２獲得利益表示部２０４を表示する表示装置を異ならせている。これにより、遊技状況に応じて、適切な位置に利益表示部を設定し、遊技者に所望の期間に獲得した遊技利益を的確且つ確実に報知し、遊技者が把握可能ととしている。
【０４９５】
図９０（ｉ）は、図９０（ｈ）で示す大当り遊技終了後の演出モード（遊技状態）がスーパー演出モード（高確低ベース状態）に設定され、当該スーパー演出モード（高確低ベース状態）において２２回の演出図柄の変動表示を実行した場面（２３回目の演出図柄の変動表示の実行中の場面）を示している。第２表示画面７１（ａ）に示す通り、演出モードはスーパー演出モードに設定されており、遊技者の選択によって、第２スーパー演出モードが設定されている（第２ＳＭ：第２スーパー演出モード）。
【０４９６】
また、図９０（ｉ）に示す場面は、前述した通り、２回目の単位特別期間の実行中であるため、第３表示画面７２ａには、複数の第２獲得利益表示部２０４が設けられている。第３表示画面７２ａの最上部には、実行中の単位特別期間における獲得遊技利益が示されている（第３Ｂ、２９６０ｐｔ）。これにより、今回の単位特別期間で発生した大当り遊技は第３ボーナスであり、今回の単位特別期間で現在２９６０個の遊技利益の付与がなされていることを把握できる。また、その下（直下）には、前回の単位特別期間における獲得遊技利益が示されている（第１Ｂ、２８、８８５ｐｔ）。尚、単位特別期間が終了すると、第２獲得利益表示部２０４に第２変動回数表示部２０５（第２ボーナス間変動回数表示部、期間情報表示部）が付加（付記）される。そして、当該付加情報をみることで、単位特別期間において、大当り遊技終了後から次回の大当り遊技発生までにどのくらいの期間がかかったか（南海の変動回数を要したか）を把握可能となっている。尚、これにより、前回の単位特別期間で発生した大当り遊技は第１ボーナスであり、大当り遊技間の演出図柄の変動表示の回数（特別図柄当否判定の回数）は２８回（期間情報）であり、前回の単位特別期間で８８５個の遊技利益を獲得したことを把握できる。
【０４９７】
また、図９０（ｉ）に示すように、特別期間において複数回の大当り遊技が発生することにより、単位特別期間が複数となった場合、第３表示画面７２ａに複数の第２獲得利益表示部２０４が表示される。この場合、実行中（継続中）の単位特別期間に対応する第２獲得利益表示部２０４は、既に終了した単位特別期間に対応する第２獲得利益表示部２０４よりも目立つように表示される。具体的には、現在実行中のものを終了したものよりも、大きいサイズで表示したり、実行中のものに終了したものにはない装飾（絵柄の付加、囲み枠の付加等）を施したり、太字で表示したりすることができる。
【０４９８】
また、表示画面７ａ下部には、総獲得利益表示部１６４が設けられ、特別期間全体、すなわち、全ての単位特別期間を足した期間に獲得した遊技利益の量が表示されている（Ｔ：０３８４５ｐｔ）。具体的に、第３表示画面７２ａの２個の第２獲得利益表示部２０４
に表示される２９６０と８８５を加算すると、総獲得利益表示部１６４に表示される値（３８４５）となる。また、実行中の単位特別期間に対応する第２獲得利益表示部２０４に表示される単位遊技利益の表示（値）の変化は、スーパー演出モードが継続する限り継続する。従って、小当り遊技の発生によって遊技利益（賞球）が付与されると、表示画面７ａの総獲得利益表示部１６４の値の増加に連動して、第３表示画面７２ａの実行中の単位特別期間に対応する（最上部の）第２獲得利益表示部２０４の値が同じ数だけ増加する。尚、下部の終了した単位特別期間に対応する第２獲得利益表示部２０４の値は既に確定しているので、変化しない。
【０４９９】
図９１（ｊ）は、図９０（ｉ）に示す第２スーパー演出モード（高確低ベース状態）が継続して、前回の大当り遊技（図９０（ｈ））終了から４５回目の演出図柄の変動表示が終了した場面を示している。具体的に、図９１（ｊ）に示す通り、４５回目の演出図柄の変動表示でリーチ演出が発生し、当該リーチ演出における対決演出において味方キャラクタが敵キャラクタに敗北し、遊技者に不利な大当りとなった場面を示している。図示は省略するが、この後、当該大当りに基づいて遊技者に不利な大当り遊技（第４ボーナス）が実行され、当該大当り遊技終了後の遊技状態が、低確高ベース状態又は高確高ベース状態となり、遊技者に有利な遊技状態である高確低ベース状態が終了してしまう。
【０５００】
また、第４ボーナス（２Ｒ第５大当り遊技、２Ｒ第６大当り遊技、２Ｒ第７大当り遊技、又は、２Ｒ第８大当り遊技）においても、遊技利益を獲得可能であるが、他の大当り遊技に比して少量である。そのため、大当り遊技の実行中も、他の大当り遊技と比して遊技者にその実行を認識困難に表示する。また、第４ボーナスに係る大当り遊技を含む単位特別期間については、対応する第２獲得利益表示部２０４に獲得利益を表示しない。これにより、遊技者に、第４ボーナス（２Ｒ第５大当り遊技、２Ｒ第６大当り遊技、２Ｒ第７大当り遊技、又は、２Ｒ第８大当り遊技）の発生を気づきにくくし、遊技興趣の低下を極力防止することを可能とする。また、第４ボーナスに係る大当り遊技において遊技利益を獲得した場合には、第２獲得利益表示部２０４に加算することなく（表示することなく）、総獲得利益表示部１６４にだけ表示してもよい。また、第４ボーナスに係る大当り遊技において獲得した遊技利益を前回の単位特別期間に獲得したものとして、前回の単位特別期間に対応する第２獲得利益表示部２０４に加算してもよい。本実施例では、第４ボーナスに係る大当り遊技において遊技利益を獲得した場合には、第２獲得利益表示部２０４及び総獲得利益表示部１６４の何れにも加算表示しないこととしている。
【０５０１】
図９１（ｋ）に示す場面は、図９1(ｊ）に示す遊技者に不利な大当りとなったことに基づいて、遊技者に不利な大当り遊技が実行され、当該大当り遊技終了後に演出モードとしてカウント演出モードが設定された場面を示している。前述した通り、第２特別図柄当否判定の結果が不利な大当り（２Ｒ第５大当り、２Ｒ第６大当り、２Ｒ第７大当り、又は、２Ｒ第８大当り）となり、当該大当り遊技終了後に設定されるカウント演出モードは、第２カウント演出モードである。また、第１特別図柄当否判定の結果が不利な大当り（４Ｒ第２大当り）となり、当該大当り遊技終了後に設定されるカウント演出モードは、第１カウント演出モードである。図９１（ｋ）に示すように、第２カウント演出モード１８５では、表示画面７ａの上部に残期間表示部２０６が設けられており、当該残期間表示部２０６に演出図柄の変動表示回数（特別図柄当否判定）の残り回数を表示することで、第２カウント演出モードの残り期間を把握しながら遊技を行うことができる。
【０５０２】
一方、第１カウント演出モード１８４では、当該第１カウント演出モードの終了間際（例えば、終了前５回）を除き、第１カウント演出モードの残り期間（回数）を表示する残期間表示部２０６を有していない（図９４（ｅ）及び（ｆ））。この点が、第１カウント演出モード１８４と第２カウント演出モード１８５とで表示態様が一部異なる点である。また、演出モード（遊技状態）がカウントモード（低確高ベース状態又は高確高ベース状態）に設定されている遊技状況で、表示画面７ａの下部には総獲得利益表示部１６４が設けられている。また、第３表示画面７２ａには、３個（複数）の第２獲得利益表示部２０４が設けられている。現在はカウントモードの進行中であるため、最上部の第２獲得利益表示部２０４にはカウントモードを示す「Ｃモード」の文字が表示される。前述したように、カウントモードを設定する大当り遊技、及び、カウントモード（低確高ベース状態又は高確高ベース状態）では、獲得可能な遊技利益が少量であるため、第２獲得利益表示部２０４に獲得利益を表示しない。
【０５０３】
また、第３表示画面７２ａの最上部の第２獲得利益表示部２０４は現在進行中の単位特別期間を示しており、その下の第２獲得利益表示部２０４は既に終了した前回の単位特別期間を示しており、更にその下の第２獲得利益表示部２０４は既に終了した前々回の単位特別期間を示している。本実施例では、第３表示画面７２ａに最大３個の第２獲得利益表示部２０４を表示可能可能とし、４回以上の大当り遊技（単位特別期間）が発生した場合には、古いものから順に消去するものとしている。尚、第３表示画面７２ａに表示可能な第２獲得利益表示部２０４は４個以上の任意の数であってもよい。
【０５０４】
図９１（ｌ）は、図９１（ｋ）に示すカウントモード（低確高ベース状態又は高確高ベース状態）が継続して、前回の大当り遊技（図９１（ｊ））終了から４０回目の演出図柄の変動表示の結果が、大当りとなった場面を示している。図９２（ｍ）は、図９１（ｌ）で示される大当りに基づく大当り遊技（１５Ｒ第３大当り遊技）の実行中（１０Ｒ目）の場面を示す。図８９（ｄ）で示す大当り遊技の開始に伴って開始した特別期間の継続中である。図９２（ｍ）に示すように、大当り遊技中の遊技状況において、表示画面７ａの上部中央には特別期間において獲得した遊技利益の総数を示す総獲得利益表示部１６４が設けられている（Ｔ：０５３８５ｐｔ）。また、表示画面７ａの下部右には実行中の大当り遊技（図９２（ｍ））において獲得した遊技利益の総数を示す第２獲得利益表示部２０４が設けられている（０１４５０ｐｔ）。
【０５０５】
図９２（ｎ）は、図９２（ｍ）で示す大当り遊技終了後の演出モード（遊技状態）がスーパー演出モード（高確低ベース状態）に設定され、当該スーパー演出モード（高確低ベース状態）において４回の演出図柄の変動表示を実行した場面（５回目の演出図柄の変動表示の実行中の場面）を示している。第２表示画面７１ａに示す通り、遊技者の選択によって、第１スーパー演出モードが設定されている（第１ＳＭ）。
【０５０６】
また、図９０（ｎ）に示す場面は、特別期間における４回目の単位特別期間の実行中であるため、第３表示画面７２ａに表示可能な第２獲得利益表示部２０４の個数をオーバーしている。そのため、最も古い第２獲得利益表示部２０４を削除し、最上部に新たに実行中の単位特別期間に対応する第２獲得利益表示部２０４を設けている（第３Ｂ、２３５０ｐｔ）。また、その下の第２獲得利益表示部２０４に表示される「Ｃモード」から、カウントモード中の引き戻し（大当り発生）により、特別期間が継続されたことを把握することが可能となる。以上説明した流れで、遊技状況に応じて、所定の表示画面に、総獲得利益表示部１６４及び第２獲得利益表示部２０４が表示される。
【０５０７】
図９３（ａ）は、通常状態（低確低ベース状態）において大当りとなって、大当り演出図柄（「６６６」）が停止表示した場面を示している。表示画面７ａのボーナス種表示部２０１には「第２ボーナス」の表示がなされる。第２ボーナスは、大当り遊技中に実行される遊技演出（対決演出）の結果に応じて、当該大当り遊技終了後の演出モード（遊技状態）がスーパー演出モード（高確低ベース状態）に設定される場合と、カウントモード（低確高ベース状態）に設定される場合とがある。この場合のカウントモードは、第１カウント演出モード１８４である。
【０５０８】
図９３（ｂ）は、図９３（ａ）に示す大当りに基づいて実行される大当り遊技（第２ボーナス）を示している。大当り遊技の最終ラウンド中又は最終ラウンド終了に伴って、味方キャラクタが敵キャラクタを倒す勝利演出が実行され、当該大当り遊技終了後がスーパー演出モード（高確低ベース状態）に設定されることが示されている。図９３（ｃ）は、図９３（ｂ）に示す大当り遊技の終了後に第１スーパー演出モード（高確低ベース状態）が設定され、当該第１スーパー演出モード（高確低ベース状態）において、所定回数（１４回）の演出図柄の変動表示（特別図柄当否判定）を実行した場面を示している。
【０５０９】
図９４（ｄ）は、図９３（ａ）に示す大当りに基づいて実行される大当り遊技（第２ボーナス）を示している。大当り遊技の最終ラウンド中又は最終ラウンド終了に伴って、敵キャラクタが味方キャラクタを倒す敗北演出が実行され、当該大当り遊技終了後がカウント演出モード（低確高ベース状態）に設定されることが示されている。図９４（ｅ）は、図９４（ｄ）に示す大当り遊技の終了後にカウントモード（低確高ベース状態）が設定され、当該カウントモード（低確高ベース状態）において、所定回数（３５回）の演出図柄の変動表示（特別図柄当否判定）を実行した場面を示している。前述した通り、図９４（ｅ）に示すカウントモードは第１カウント演出モード１８４であるところ、当該第１カウント演出モード１８４の終了間際（残り５回以内の所定回数）となるまでは、表示画面７ａに残期間表示部が設定されない。これは、第２カウント演出モードにおいて設定される実行期間が５０回又は１００回の２種類あるのに対して、第１カウント演出モードで設定される実行期間は１００回の１種類のみであることにもよる。
【０５１０】
図９４（ｆ）は、図９４（ｅ）に示すカウントモードから所定回数の演出図柄の変動表示を実行し、カウントモードを進行させた場面を示している。第２表示画面７１ａの第１変動回数表示部２０３に示すように、前回の大当り遊技終了から９６回の演出図柄の変動表示（特別図柄当否判定）を実行しており、カウントモードは実行中の変動表示を除いて残り３回の演出図柄の変動表示を行うと終了する。このカウントモードの終了時期が近いことを示すため、本実施例では、残り回数が３回になると、表示画面７ａに残期間表示部２０６を設け、ラスト３回、ラスト２回、ラスト１回の表示を行う。これにより、カウントモードの終了時期を遊技者に明確に事前報知することが可能となる。
【０５１１】
以上説明した通り、遊技状況に応じて、特別期間（連荘期間）のうちの異なる期間に獲得した遊技利益量を、分離配置した複数の表示装置に夫々表示するため、遊技者は所望の期間（特別期間又は単位特別期間）に獲得した遊技利益を容易且つ確実に把握することが可能となる。また、遊技状況に応じて、表示する表示装置を変化することで、遊技利益を容易且つ確実に把握することが可能となる。
【実施例３】
【０５１２】
次に、図９５乃至図１０２を用いて、実施例３のパチンコ遊技機１について説明する。前述した実施例のパチンコ遊技機１では、遊技状態によって、左遊技領域３Ａ（第１遊技領域、第１発射領域）に遊技球を発射して遊技を行う左打ち遊技を行う場合と、右遊技領域３Ｂ（第２遊技領域、第２発射領域）に遊技球を発射して遊技を行う右打ち遊技を行う場合と、がある。具体的には、低確低ベース状態は左打ち遊技によって遊技を進行し、低確高ベース状態、高確高ベース状態、高確低ベース状態、大当り遊技状態は右打ち遊技によって遊技を進行するものとしている。そして、これら遊技状態が変化するときに（変化に際して、変化する場面において）、遊技者に遊技球の発射方向（発射領域）を報知するため、発射方向報知演出（発射領域報知演出、指示演出、発射領域指示演出）を実行する。本実施例は、左打ち遊技を行う遊技状態から右打ち遊技を行う遊技状態に変化する場面や、右打ち遊技を行う遊技状態において特定条件（大当り）が成立して右打ち遊技を継続する場面や、右打ち遊技を行う遊技状態から左打ち遊技を行う遊技状態に変化する場面等において行う、発射方向報知演出の演出態様を多様化するものである。
【０５１３】
本実施例のパチンコ遊技機１は、実施例１及び２と同様のスペックで構成されており、低確低ベース状態は左打ち遊技によって遊技を進行し、低確高ベース状態、高確高ベース状態、高確低ベース状態、大当り遊技状態は右打ち遊技によって遊技を進行するものとしている。演出モードにおいては、通常演出モードは左打ち遊技によって遊技を進行し、スーパー演出モード、第１カウント演出モード、第２カウント演出モード、及び、各種ボーナス中の演出モードは右打ち遊技によって遊技を進行する。また、右打ち遊技を行う場合の遊技状態（演出モード）は、左打ち遊技を行う場合の遊技状態（演出モード）よりも、種類数が多く設定されている。これら遊技状態（演出モード）の種類を、遊技者が事前に把握しやすいように報知するため、又は、遊技者がある程度、事前に種類を推測できるように報知するため、演出態様の異なる複数の発射方向報知演出を設けている。
【０５１４】
すなわち、右打ち遊技を報知する発射方向報知演出の方が、左打ち遊技を報知する発射方向報知演出よりも、種類が多く設定されている。これにより、右打ち遊技が実行される場合に、遊技者は、その後どの遊技状態（演出モード）が実行されるかを、推測しながら（認識しながら）遊技を進行する。これにより、遊技興趣を高める。
【０５１５】
図９５及び図９６は、前述した第１ボーナス又は第３ボーナスが実行される際に実行される第１発射方向報知演出２１１（第１指示演出）を示す。すなわち、第１発射方向報知演出２１１は、大当り遊技終了後に遊技者に有利な高確低ベース状態（スーパー演出モード、第２特定演出モード）に移行することが確定している場合に、実行される。これにより、この第１発射方向報知演出２１１をみた遊技者は、以後の遊技が自身に有利となることを認識し、遊技興趣を高めることが可能となる。
【０５１６】
図９５（ａ）は、左打ち遊技を行う遊技状態（低確低ベース状態）において、特別図柄当否判定（第１特別図柄当否判定）の結果が大当り（特定結果）となり、演出図柄（特別図柄）が第１ボーナスを示す大当り図柄（「７７７」）で停止表示した場面を示す。図９５（ｂ）は、図９５（ａ）に続いて実行される遊技演出で、大当り（第１ボーナス）確定後、大当り遊技開始前に開始する第１発射方向報知演出２１１である。第１発射方向報知演出２１１の開始時期は、大当り図柄の確定停止後、大当り遊技開始前の所定タイミングである。また、第１発射方向報知演出２１１の終了時期は、第１発射方向報知演出２１１で示す発射方向に遊技球が発射されたことを確認されたとき（例えば、大当り遊技が開始するとき、遊技球が開始ゲート２９を通過したとき等）とする。また、終了時期は、大当り遊技開始して所定時間経過したタイミングとしてもよい。
【０５１７】
前述したように第１発射方向報知演出２１１は、大当り遊技終了後が、遊技者にとって（最も）有利な遊技状態（有利であることを示す演出モード）に移行することを報知する報知演出でもある。そのため、第１画像表示装置７の表示画面７ａ（中表示部）、第２画像表示装置７１の表示画面７１ａ（左表示部）、及び第３画像表示装置７２の表示画面７２ａ（右表示部）の３個の表示装置の表示画面を用いて、発射方向報知演出を実行する。図９５（ｂ）乃至（ｄ）に示すように、第１発射方向報知演出２１１は、文字画像２１１ａと絵画像２１１ｂとで構成されている。第１発射方向報知演出２１１を構成する文字画像２１１ａは、３個の表示装置のうちの、主たる演出用表示装置である第１画像表示装置７の表示画面７ａに表示される。第１画像表示装置７は、演出図柄の変動表示（確定停止表示）や演出保留の表示やリーチ演出等の遊技演出を、他の演出用表示装置である第２画像表示装置７１及び第３画像表示装置７２よりも、主体となって表示される。従って、第１画像表示装置７を主演出表示装置、第２画像表示装置７１及び第３画像表示装置７２を副演出表示装置ともいう。
【０５１８】
発射方向（発射領域）を文字によって遊技者に直接伝える文字画像を、遊技者が最も注目する主演出表示装置である第１画像表示装置７に表示することで、遊技者に、発射方向を確実に認識させることが可能となる。またこれにより、遊技者が発射方向を誤って、不測の不利益が生じることを極力防止することが可能となる。また、文字画像２１１ａと共に、特定キャラクタ１４４（絵画像２１１ｂ）を表示することで、演出効果を高め、趣向性の高い遊技演出を提供する。
【０５１９】
また、第１発射方向報知演出２１１を構成する絵画像２１１ｂは３個の表示装置全てを用いて表示している。絵画像２１１ｂは、３個の表示装置の表示領域（７１ａ、７ａ、７２ａ）を用いて、弧状（半円状）の演出画像からなっている。また、時間の経過に伴って、弧上を、左から右方向へ（第２表示画面７１ａ→第１表示画面７ａ→第３表示画面７２ａ）、方向示唆画像２１１ｃ（弧状画像の上側の複数の略三角形画像）を繰り返し走らせることで、遊技者に発射方向が右方向であることを示唆し、遊技者に発射方向を認識させることが可能となる。図９５（ｂ）、（ｃ）及び図９６（ｄ）は、時系列に進む場面を示す図である。図９５（ｂ）では、方向示唆画像２１１ｃが、第２表示画面７１ａ及び第１表示画面７ａに表示されており、図９５（ｃ）では、方向示唆画像２１１ｃが右方向に移動して、第１表示画面７ａに表示されている。また、図９６（ｄ）では、方向示唆画像２１１ｃが更に右方向に移動して、第１表示画面７ａ及び第３表示画面７２ａに表示されている。以後も、時間経過に伴って図９５（ｂ）、（ｃ）及び図９６（ｄ）の発射方向報知演出を繰り返す。
【０５２０】
前述したように、文字画像２１１ａは、遊技者に発射方向を確実に伝えるため、第１画像表示装置７の表示画面７ａに表示し、絵画像２１１ｂは、有利な大当りとなったことを遊技者に伝えるため、他の大当りよりも多くの表示装置（３個の表示装置）を用いて、派手に、目立つように表示を実行する。これにより、遊技興趣を高め、多量の遊技利益の獲得に対する遊技者の期待感を高めることを可能とする。図９６（ｅ）は、遊技者が、第１発射方向報知演出２１１にしたがって、右遊技領域３Ｂ（第２遊技領域）に遊技球を発射して、遊技球が開始ゲート２９を通過することで、図９５（ａ）で示した大当り遊技（第１ボーナス）が開始された場面を示す。図９６（ｅ）に示す大当り遊技中は、表示画面７ａの右上に第５発射方向報知演出２１５が表示される。第５発射方向報知演出２１５は、第１発射方向報知演出２１１によって開始した大当り遊技中に実行されるものであり、ピンク色（第１特定表示態様）で表示される。
【０５２１】
また、第１発射方向報知演出２１１に従って右打ち遊技を行うことで大当り遊技を開始し、その後も右打ち遊技を継続するだけであるため、第５発射方向報知演出２１５は比較的小さいサイズで確認的に表示されている。尚、第１発射方向報知演出２１１では、大当り遊技を伴う他の発射方向報知演出と異なり、開始ゲート２９の通過を示唆する絵画像を設けていない。また、文字画像の文字表現も異なっている。また、特定キャラクタ１４４を表示する。これにより、他と異なる特別な発射方向報知演出であることを認識させ、遊技者にとって（最も）有利な大当りが発生したことを遊技者に示すことが可能となる。
【０５２２】
図９７及び図９８は、前述した第２ボーナスが実行される際に実行される第２発射方向報知演出２１２（第２指示演出）を示す。すなわち、第２発射方向報知演出２１２は、大当り遊技終了後に、高確低ベース状態（スーパー演出モード、第２特定演出モード）に移行する場合と、低確高ベース状態（カウントモード（第１カウント演出モード））に移行する場合と、がある第２ボーナスのときに実行される。尚、低確高ベース状態（第１カウント演出モード）は、低確低ベース状態（通常演出モード）よりは有利であるが、高確低ベース状態（スーパー演出モード）よりは不利な遊技状態（演出モード）である。これにより、この第２発射方向報知演出２１２をみた遊技者は、以後の遊技が自身に有利となるに期待して、緊張感を高め、遊技興趣を高めることが可能となる。
【０５２３】
また、第２発射方向報知演出２１２の実行後に、低確高ベース状態（カウントモード）に移行するか、高確低ベース状態（スーパー演出モード）に移行するかは、遊技者が第２発射方向報知演出２１２に従って右打ち遊技を行うことで開始される、大当り遊技（第２ボーナス）中の遊技演出によって報知される。例えば、大当り遊技中に実行されるバトル演出（目的達成演出）において、味方キャラクタが敵キャラクタを倒せば（目的を達成すれば）大当り遊技終了後の遊技状態（演出モード）が高確低ベース状態（スーパー演出モード）に設定される。一方、大当り遊技中に実行されるバトル演出（目的達成演出）において、味方キャラクタが敵キャラクタに敗北すれば（目的を達成できなければ）大当り遊技終了後の遊技状態（演出モード）が低確高ベース状態（カウントモード）に設定される。
【０５２４】
図９７（ａ）は、左打ち遊技を行う遊技状態（低確低ベース状態）において、特別図柄当否判定（第１特別図柄当否判定）の結果が大当り（特定結果）となり、演出図柄（特別図柄）が第２ボーナスを示す大当り図柄（「６６６」）で停止表示した場面を示す。図９７（ｂ）は、図９７（ａ）に続いて実行される遊技演出で、大当り（第２ボーナス）確定後、大当り遊技開始前に開始する第２発射方向報知演出２１２である。第２発射方向報知演出２１２の開始時期は、第１発射方向報知演出２１１と同様に、大当り図柄の確定停止後、大当り遊技開始前の所定タイミングである。また、第２発射方向報知演出２１２の終了時期は、第１発射方向報知演出２１１と同様とする。
【０５２５】
前述したように第２発射方向報知演出２１２は、大当り遊技終了後が、遊技者にとって（最も）有利な高確低ベース状態（スーパー演出モード）に移行する場合と、高確低ベース状態よりは不利な低確高ベース状態（カウントモード）に移行する場合と、があることを報知する報知演出でもある。すなわち、第１発射方向報知演出２１１と比較すると、不利な報知演出であるため、第１画像表示装置７の表示画面７ａ（中表示部）及び第３画像表示装置７２の表示画面７２ａ（右表示部）の２個の表示装置の表示画面を用いて、発射方向報知演出を実行する。第２発射方向報知演出２１２は、第１発射方向報知演出２１１よりも、発射方向報知演出に用いる表示装置の数を少なくしている。
【０５２６】
これにより、第２発射方向報知演出２１２は、第１発射方向報知演出２１１と比較すると、遊技者にとって不利な報知演出であることを示している。また、遊技者は、使用する表示装置の数が異なるので、発射方向報知演出の違いを明確に認識することができる。また、右打ち遊技を報知するため、第２画像表示装置７１の表示画面７１ａ（左表示部）ではなく、遊技領域の右よりに設けられている第１画像表示装置７の表示画面７ａ（中表示部）及び第３画像表示装置７２の表示画面７２ａ（右表示部）の２個の表示装置の表示画面を用いて、発射方向報知演出を実行する。
【０５２７】
図９７（ｂ）、（ｃ）及び図９８（ｄ）に示すように、第２発射方向報知演出２１２は、文字画像２１２ａと絵画像２１２ｂとで構成されている。また、図９７（ｂ）等に示すように、第２発射方向報知演出２１２は、第１発射方向報知演出２１１と異なり、文字画像２１２ａと絵画像２１２ｂとを重畳表示している。一方、第１発射方向報知演出２１１は、文字画像２１１ａと絵画像２１１ｂとを重ならないように表示している。この表示位置関係においても、報知演出の表示態様が異なっている。
【０５２８】
第２発射方向報知演出２１２を構成する文字画像２１２ａは、第１発射方向報知演出２１１と同様に、３個の表示装置のうちの、主たる演出用表示装置である第１画像表示装置７の表示画面７ａに表示される。発射方向（発射領域）を文字によって遊技者に直接伝える文字画像を、遊技者が最も注目する主演出表示装置である第１画像表示装置７に表示することで、遊技者に、発射方向を確実に認識させることが可能となる。
【０５２９】
また、第２発射方向報知演出２１２を構成する絵画像２１２ｂは、中及び右側の２個の表示装置を用いて表示している。絵画像２１２ｂは、２個の表示装置の表示領域（７ａ、７２ａ）を用いて、右方向（右遊技領域）を示すカーブした矢印の演出画像からなっている。当該演出画像は、図９７（ｂ）等に示すように、第１画像表示装置７の表示画面７ａの上方から中央に向けて下方にのび、そこから右上方向にのび、第３画像表示装置７２の表示画面７２ａまでのびる、カーブした矢印の形状（矢印画像）となっている。
【０５３０】
また、時間の経過に伴って、矢印画像を、左から右方向へ（第１表示画面７ａ→第３表示画面７２ａ）、方向示唆画像２１２ｃ（斜線で示す個所）を繰り返し走らせることで、遊技者に発射方向が右方向であることを示唆し、発射方向を遊技者に認識させることが可能となる。図９７（ｂ）、（ｃ）及び図９８（ｄ）は、時系列に進む場面を示す図である。図９７（ｂ）では、方向示唆画像２１２ｃが、第１表示画面７ａの左方（矢印の始端側）に表示されており、図９７（ｃ）では、方向示唆画像２１２ｃが右方向に移動して、第１表示画面７ａの右方（矢印の中ほど）に表示されている。また、図９８（ｄ）では、方向示唆画像２１２ｃが更に右方向に移動して、第３表示画面７２ａに表示されている。以後も、時間経過に伴って図９７（ｂ）、（ｃ）及び図９８（ｄ）の発射方向報知演出を繰り返す。
【０５３１】
前述したように、文字画像２１２ａは、遊技者に発射方向を確実に伝えるため、第１発射方向報知演出２１１と同様に、第１画像表示装置７の表示画面７ａに表示する。そして、絵画像２１２ｂは、比較的有利な状態になる場合と比較的不利な状態になる場合とがあることを示すべく、比較的有利な状態になることが確定している第１発射方向報知演出よりも少ない数の表示装置（２個の表示装置）を用いて、目立つように表示を実行する。これにより、以後の遊技に対する遊技者の緊張感・期待感を高めると共に、遊技興趣を高める。また、多量の遊技利益の獲得に対する遊技者の期待感を高めることを可能とする。また、第１発射方向報知演出２１１と第２発射方向報知演出２１２とは、同じく右方向への発射を報知する演出であるが、発射方向報知演出に用いる表示装置の使用個数が異なると共に、絵画像２１２ａと絵画像２１２ｂの表示態様（表示形態、右方向を示す画像の進行角度、右方向を示す画像の進行径路）も異なっている。
【０５３２】
図９８（ｅ）は、遊技者が、第２発射方向報知演出２１２にしたがって、右遊技領域３Ｂ（第２遊技領域）に遊技球を発射して、遊技球が開始ゲート２９を通過することで、図９７（ａ）で示した大当り遊技（第２ボーナス）が開始された場面を示す。図９８（ｅ）に示す大当り遊技中は、表示画面７ａの右上に第６発射方向報知演出２１６が表示される。第６発射方向報知演出２１６は、第２発射方向報知演出２１２によって開始した大当り遊技中に実行されるものであり、第５発射方向報知演出２１５と同じ表示態様とされ、ピンク色（第１特定表示態様）で表示される。
【０５３３】
また、第２発射方向報知演出２１２に従って右打ち遊技を行うことで大当り遊技を開始し、その後も右打ち遊技を継続するだけであるため、第６発射方向報知演出２１６は比較的小さいサイズで確認的に表示されている。尚、第２発射方向報知演出２１２では、第１発射方向報知演出２１１と異なり、開始ゲート２９の通過を示唆する絵画像である入球示唆画像２１２ｄを設けている。また、第１発射方向報知演出２１１と第２発射方向報知演出２１２とは、文字画像の文字表現も異なっている。また、特定キャラクタ１４４を表示しない。これにより、他と異なる特別な発射方向報知演出であることを認識させ、遊技者にとって第２ボーナスが発生したことを遊技者に示すことが可能となる。
【０５３４】
図９９及び図１００は、前述した第４ボーナスが実行される際に実行される第３発射方向報知演出２１３（第３指示演出）を示す。すなわち、第３発射方向報知演出２１３は、大当り遊技終了後に、カウントモード（第２カウント演出モード）に移行する第４ボーナスのときに実行される。また、前述した通り、第４ボーナスは、第２特別図柄当否判定の結果が、２Ｒ第５大当り、２Ｒ第６大当り、２Ｒ第７大当り、２Ｒ第８大当り、のときに実行される。また、第２カウント演出モードは、低確高ベース状態の場合と、高確高ベース状態と、があり、高確高ベース状態であれば、所定回数の変動表示が経過すると、遊技者に有利な高確低ベース状態に移行することとなる。しかしながら、第２カウント演出モードのうち、多くの場合は低確高ベース状態であり（７／９）、高確高ベース状態である可能性は２／９に設定されている。また、遊技者に比較的有利な右打ち遊技から遊技者に不利な左打ち遊技（通常状態）に戻る場合、必ず、このカウントモード（第２カウント演出モード）を経由して戻る。
【０５３５】
そのため、カウントモード（第２カウント演出モード）は遊技者にとって有利な遊技状態が終了することを報知する不利な演出モードであると認識されている。実際に、３種類の右打ち報知演出（第１発射方向報知演出２１１、第２発射方向報知演出２１２、第３発射方向報知演出２１３）のうちで、不利な状態となる可能性が最もの高いボーナスの発生を報知する演出である。これにより、この第３発射方向報知演出２１３をみた遊技者は、有利な遊技状態の終わりが近付いていることを認識し、カウントモードからスーパー演出モードに昇格するか、若しくは、高ベース状態のカウントモード中に再度大当りを発生させることに期待して、緊張感を高め、遊技興趣を高めることが可能となる。
【０５３６】
図９９（ａ）は、右打ち遊技を行う遊技状態（高確低ベース状態）において、特別図柄当否判定（第２特別図柄当否判定）の結果が大当り（２Ｒ第５大当り、２Ｒ第６大当り、２Ｒ第７大当り又は２Ｒ第８大当り）となり、演出図柄（特別図柄）が第４ボーナスを示す図柄（「２１２」）で停止表示した場面を示す。第４ボーナスは、第１ボーナス、第２ボーナス及び第３ボーナスと比較して、大当り遊技中の大入賞口の開放時間が短く設定され、獲得可能な遊技利益も少なく設定されている。そのため、第１ボーナス、第２ボーナス及び第３ボーナスのように、３桁同一の演出図柄を停止表示するのではなく、３桁のうち、少なくとも１個の図柄が他と異なる組合せの演出図柄を停止表示している。すなわち、外れ時と同様の演出図柄（外れ演出図柄）を停止表示し、遊技者には大当りとなったことを積極的に報知しない。このとき、特別図柄は大当りを示す図柄で停止表示している。このような外れ演出図柄の停止表示と、戦いに敗北する敗北演出によって、その後の演出モード（遊技状態）が不利な演出モード（遊技状態）に移行すること、若しくは、不利な大当りとなってしまったこと等を報知する。
【０５３７】
図９９（ｂ）は、図９９（ａ）に続いて実行される遊技演出で、大当り（第４ボーナス）確定後、大当り遊技開始前に開始する第３発射方向報知演出２１３である。第３発射方向報知演出２１３の開始時期は、第１発射方向報知演出２１１と同様に、大当り図柄（特別図柄）の確定停止後、大当り遊技開始前の所定タイミングである。また、第３発射方向報知演出２１３の終了時期は、第１発射方向報知演出２１１と異なり、大当り遊技（第４ボーナス）の終了後とする。
【０５３８】
前述したように第３発射方向報知演出２１３は、大当り遊技終了後が、遊技者にとって比較的不利な低確高ベース状態（カウントモード）に移行する場合と、所定回数の変動表示の後に有利な高確低ベース状態に昇格しうる高確高ベース状態（カウントモード）に移行する場合と、があることを報知する報知演出でもある。但し、低確高ベース状態の可能性の方が、高確高ベース状態の可能性よりも高い。すなわち、第１発射方向報知演出２１１及び第２発射方向報知演出２１２と比較すると、不利な報知演出であるため、第１画像表示装置７の表示画面７ａ（中表示部）の１個の表示装置の表示画面を用いて、発射方向報知演出を実行する。第３発射方向報知演出２１３は、第１発射方向報知演出２１１及び第２発射方向報知演出２１２よりも、発射方向報知演出に用いる表示装置の数を少なくしている。これにより、第３発射方向報知演出２１３は、第１発射方向報知演出２１１及び第２発射方向報知演出２１２と比較すると、遊技者にとって不利な報知演出であることを示している。また、遊技者は、使用する表示装置の数が異なるので、発射方向報知演出の違いを明確に認識することができる。
【０５３９】
図９９（ｂ）、（ｃ）及び図１００（ｄ）に示すように、第３発射方向報知演出２１３は、文字画像２１３ａと絵画像２１３ｂとで構成されている。また、図９９（ｂ）等に示すように、第３発射方向報知演出２１３は、第１発射方向報知演出２１１と同様に、文字画像２１３ａと絵画像２１３ｂとを重ならないように表示している。一方、文字画像２１３ａの文字は文字画像２１２ａと同様であるが、第２発射方向報知演出２１２は、文字画像２１２ａと絵画像２１２ｂとを重畳表示しているのに対して、第３発射方向報知演出２１３は、文字画像２１３ａと絵画像２１３ｂとを重畳表示しない。この表示位置関係においても、報知演出の表示態様が異なっている。
【０５４０】
第３発射方向報知演出２１３を構成する文字画像２１３ａは、第１発射方向報知演出２１１及び第２発射方向報知演出２１２と同様に、３個の表示装置のうちの、主たる演出用表示装置である第１画像表示装置７の表示画面７ａに表示される。発射方向（発射領域）を文字によって遊技者に直接伝える文字画像を、遊技者が最も注目する主演出表示装置である第１画像表示装置７に表示することで、遊技者に、発射方向を確実に認識させることが可能となる。すなわち、第１発射方向報知演出２１１、第２発射方向報知演出２１２及び第３発射方向報知演出２１３の何れも、文字画像を、第１画像表示装置７の表示画面７ａに表示する。また、何れも文字画像を、第２画像表示装置７１の表示画面７１ａ及び第３画像表示装置７２の表示画面７２ａに表示しない。
【０５４１】
また、第３発射方向報知演出２１３を構成する絵画像２１３ｂは、略中央部の１個の表示装置（第１画像表示装置７の表示画面７ａ）だけを用いて表示している。絵画像２１３ｂは、１個の表示装置の表示領域（７ａ）を用いて、右方向（右遊技領域）を示すカーブした矢印の演出画像からなっている。当該演出画像は、図９９（ｂ）等に示すように、第１画像表示装置７の表示画面７ａの左下方から右上方に向かって上方に膨らむ弧を描いてのびる、カーブした矢印の形状（矢印画像）となっている。
【０５４２】
また、時間の経過に伴って、矢印画像を、左から右方向へ、方向示唆画像２１３ｃ（黒で示す個所）を繰り返し走らせることで、遊技者に発射方向が右方向であることを示唆し、発射方向を遊技者に確実に認識させることが可能となる。図９９（ｂ）、（ｃ）及び図１００（ｄ）は、時系列に進む場面を示す図である。図９９（ｂ）では、方向示唆画像２１３ｃが、第１表示画面７ａの左下方（矢印の始端側）に表示されており、図９９（ｃ）では、方向示唆画像２１３ｃが右方向に移動して、第１表示画面７ａの中央近辺（矢印の中ほど）に表示されている。また、図１００（ｄ）では、方向示唆画像２１３ｃが更に右方向に移動して、第１表示画面７ａの右上方（矢印の終端側）に表示されている。以後も、時間経過に伴って図９９（ｂ）、（ｃ）及び図１００（ｄ）の発射方向報知演出を繰り返す。
【０５４３】
前述したように、文字画像２１３ａは、遊技者に発射方向を確実に伝えるため、第１発射方向報知演出２１１及び第２発射方向報知演出２１２と同様に、第１画像表示装置７の表示画面７ａに表示する。そして、絵画像２１３ｂは、比較的不利な演出モードであるカウントモードに移行することが確定しており、第１発射方向報知演出２１１及び第２発射方向報知演出２１２よりも少ない数の表示装置（１個の表示装置）を用いて、分かり易く表示を実行する。尚、カウントモードは、有利状態（右打ち遊技）を終了して、左打遊技による通常演出モードに移行し得る演出モードである。
【０５４４】
これにより、以後の遊技における遊技者の有利状態の終了に対する緊張感や、カウントモード中の大当りの引き戻しに対する期待感を高めると共に、遊技興趣を高める。また、第１発射方向報知演出２１１、第２発射方向報知演出２１２及び第３発射方向報知演出２１３は、何れも右方向への発射を報知する演出であるが、発射方向報知演出に用いる表示装置の使用個数が夫々異なると共に、絵画像２１２ａと絵画像２１２ｂの表示態様（表示形態、右方向を示す画像の進行角度、右方向を示す画像の進行径路）も異なっている。
【０５４５】
図１００（ｅ）は、遊技者が、第３発射方向報知演出２１３にしたがって、右遊技領域３Ｂ（第２遊技領域）に遊技球を発射して、遊技球が開始ゲート２９を通過し、且つ、図９９（ａ）で発生した大当り遊技（第４ボーナス）が終了した後に、カウントモード（第２カウント演出モード）が開始された場面を示す。第４ボーナスは、大入賞口の開放時間が他のボーナスと比較して短期間に設定されており、多量の遊技利益の獲得を予定していないボーナスであるため、大当り遊技の終了まで、図９９（ｂ）、（ｃ）及び図１００（ｄ）に示す第３発射方向報知演出２１３を継続し、大当り遊技が終了すると、図１００（ｅ）に示すカウントモードを表示する。
【０５４６】
図１００（ｅ）に示すカウントモード中は、表示画面７ａの右上に第７発射方向報知演出２１７が表示される。第７発射方向報知演出２１７は、第３発射方向報知演出２１３によって開始した大当り遊技終了後の演出モード中に実行されるものであり、第５発射方向報知演出２１５及び第６発射方向報知演出２１６と異なる表示態様とされ、青色（第２特定表示態様）で表示される。
【０５４７】
また、第３発射方向報知演出２１３に従って右打ち遊技を行うことで大当り遊技を開始し、その後も右打ち遊技を継続するだけであるため、第７発射方向報知演出２１７は比較的小さいサイズで確認的に表示されている。尚、第３発射方向報知演出２１３では、第１発射方向報知演出２１１と異なり、開始ゲート２９の通過を示唆する絵画像である入球示唆画像２１２ｄを設けている。また、第１発射方向報知演出２１１と第３発射方向報知演出２１３とは、文字画像の文字表現も異なっている。また、特定キャラクタ１４４を表示しない。これにより、他と異なる特別な発射方向報知演出であることを認識させ、遊技者にとって不利な演出モードに移行すること（第４ボーナスが発生したこと）を遊技者に示すことが可能となる。
【０５４８】
前述した第１発射方向報知演出２１１、第２発射方向報知演出２１２及び第３発射方向報知演出２１３は、全て同じ発射方向である右遊技領域３Ｂ（第２遊技領域）への発射を促す報知演出であった。次に、右打ち遊技から左打ち遊技に変化する際の発射報知演出、すなわち、これらと異なる左遊技領域３Ａ（第１遊技領域）への発射を促す報知演出について説明する。左打ち報知演出は、右打ち報知演出よりも、種類数が少なく、１個のみ設定されている。これは、左打ち遊技によって遊技を進行する遊技状態が低確低ベース状態の１個の遊技状態しかないことも理由にある。
【０５４９】
図１０１及び図１０２は、前述したカウントモード（第１カウント演出モード、第２カウント演出モード）が終了し、通常演出モードに移行する際に実行される第４発射方向報知演出２１４（第４指示演出）を示す。すなわち、第４発射方向報知演出２１１は、大当り遊技終了後に設定されたカウントモードが終了して（低確高ベース状態が終了し）、演出モードが通常演出モードに移行することが確定している場合に、実行される。これにより、この第４発射方向報知演出２１４をみた遊技者は、有利状態が終了し、以後の遊技が通常状態（低確低ベース状態）となることを認識する。
【０５５０】
図１０１（ａ）は、右打ち遊技を行うカウントモード（低確高ベース状態）において、予め設定された回数（５０回目）の特別図柄当否判定（第２特別図柄当否判定）の結果が外れ（非特定結果）となり、演出図柄（特別図柄）が外れを示す図柄（「３５７」）で停止表示した場面を示す。図１０１（ｂ）は、図１０１（ａ）に続いて実行される遊技演出で、カウントモードの終了と連荘中に獲得した遊技利益の総数を表示する場面を示す。また、図１０１（ｃ）は、図１０１（ｂ）に続いて実行される遊技演出で、演出モードを通常演出モードに戻すと共に、第４発射方向報知演出２１４を実行する場面である。
【０５５１】
第４発射方向報知演出２１４の開始時期は、カウントモードにおいて予め定められた回数（特定回数）の変動表示が実行され、カウントモードの終了条件が成立した後の所定タイミングである。本実施例では、カウントモードの終了条件が成立した後であって、カウントモード終了の報知演出、及び、獲得遊技利益報知演出、を終えた後に、第４発射方向報知演出２１４を表示する。また、第４発射方向報知演出２１４の終了時期は、第４発射方向報知演出２１４で示す発射方向に遊技球が発射されたことを確認されたとき（例えば、所定の入球口への入球が検知されたとき）とする。尚、終了時期は、第１特別図柄の変動表示が所定回数（少なくとも１回）実行されることとしてもよいし、第４発射方向報知演出２１４の開始から所定時間経過することとしてもよい。
【０５５２】
前述したように第４発射方向報知演出２１１は、通常状態（低確低ベース状態、通常演出モード）となり、発射方向をこれまでの右方向から左方向に変更することを報知する報知演出である。そのため、第１画像表示装置７の表示画面７ａ（中表示部）、第２画像表示装置７１の表示画面７１ａ（左表示部）、及び第３画像表示装置７２の表示画面７２ａ（右表示部）の３個の表示装置の表示画面を用いて、発射方向報知演出を実行する。図１０１（ｃ）、図１０２（ｄ）、（ｅ）に示すように、第４発射方向報知演出２１４は、文字画像２１４ａと絵画像２１４ｂとで構成されている。第４発射方向報知演出２１１を構成する文字画像２１１ａは、３個の表示装置のうちの、主たる演出用表示装置である第１画像表示装置７の表示画面７ａ、第２画像表示装置７１の表示画面７１ａ、及び、第３画像表示装置７２の表示画面７２ａに表示される。
【０５５３】
発射方向（発射領域）を文字によって遊技者に直接伝える文字画像２１４ａを、遊技者が最も注目する主演出表示装置である第１画像表示装置７を含む、３個全ての表示装置に表示することで、遊技者に、発射方向の変化を確実に認識させることが可能となる。また、第４発射方向報知演出２１４は、これまで右打ち遊技であった状態から左打ち遊技に切り替えるため、発射方向をより目立たせるため、３個全ての表示装置を用いて表示する。また、遊技状態が、遊技者にとって最も不利な低確低ベース状態となるため、遊技者に誤った発射方向に発射させ、不測の不利益が生じることを確実に防止する必要がある。仮に、このような誤発射がおこった場合には、遊技者は遊技興趣を低下させ、遊技者が遊技を終了してしまうおそれがある。
【０５５４】
また、第４発射方向報知演出２１４を構成する絵画像２１４ｂは、文字画像２１４ａと同様に、３個の表示装置全てを用いて表示している。絵画像２１４ｂは、３個の表示装置の表示領域（７２ａ、７ａ、７１ａ）を用いて、帯状（所定幅をもった直線状）の演出画像からなっている。また、時間の経過に伴って、帯上を、右から左方向へ（第３表示画面７２ａ→第１表示画面７ａ→第２表示画面７１ａ）、方向示唆画像２１４ｃ（帯状画像内の矢印、文字画像自体）を繰り返し走らせることで、遊技者に発射方向が左方向であることを示唆し、遊技者に発射方向を認識させることが可能となる。具体的に、帯と重畳配置される文字画像２１４ａ（「左に戻して下さい」）が、右から左方向に帯上をスクロール表示される。また、帯状画像内の矢印はその場で点滅表示している。
【０５５５】
図１０１（ｃ）及び図１０２（ｄ）、（ｅ）は、時系列に進む場面を示す図であり、方向示唆画像２１４ｃである文字画像２１４ａが、第３表示画面７２ａから第１表示画面７ａへ、第１表示画面７ａから第２表示画面７１ａへと左方向に移動して表示されている（左方向にスクロール表示）。以後も、時間経過に伴って図１０１（ｃ）及び図１０２（ｄ）、（ｅ）の発射方向報知演出を繰り返す。
【０５５６】
前述したように、文字画像２１４ａは、遊技者に発射方向を確実に伝えるため、第１画像表示装置７の表示画面７ａを含む、３個の表示装置の表示画面に表示し、絵画像２１１ｂも同様に、他の発射方向報知演出の中で最も多くの表示装置を使用する報知演出と同様の３個の表示装置を用いて、目立つように表示を実行する。これにより、遊技者に発射方向が変化したことを確実に認識させることが可能となる。図１０２（ｅ）は、第４発射方向報知演出２１４に従って遊技球を左遊技領域に発射させ、遊技球が第１始動口２０に入球し、演出図柄（第１特別図柄）が変動表示を開始した場面を示す。変動表示の開始後も、所定時間は第４発射方向報知演出２１４の表示を維持する。また、図１０２（ｆ）は、図１０２（ｅ）につづく場面で、演出図柄が所定時間変動表示を継続したところで、第４発射方向報知演出２１４の表示を終了した場面を示す。
【０５５７】
前述したように、左打ち遊技の実行を報知する発射方向報知演出の数は、右打ち遊技の実行を報知する発射方向報知演出の数よりも少なく設定されている。また、右打ち遊技の実行を報知する発射方向報知演出は、複数種類（３種類以上）設定されており、これらは何れも表示態様が異なっている。また、これらは、発射方向を示す文字画像や、絵画像や、文字画像と絵画像との位置関係や、報知演出に使用する表示装置の個数等が異なり、多数の発射方向報知演出を設けたとしても、遊技者は、これらを容易に識別することが可能となる。また、大当りの種類（演出モードの種類）に対応させて、発射方向報知演出を異ならせているので、遊技者は、発射方向報知演出をみることで、その後の遊技状態や演出モードを推測、把握することが可能となる。またこれにより、遊技興趣を高めることが可能となる。
【０５５８】
尚、前述した発射方向（発射領域）を指示するための指示演出を実行する副制御基板９０（サブ制御部）を「発射領域指示手段」という。また、前述した第１ボーナス及び第３ボーナスを「第１特別遊技」、第２ボーナスを「第２特別遊技」、第４ボーナスを「第３特別遊技」ともいう。また、演出モード（通常演出モード、カウントモード、スーパー演出モード等）を設定する副制御基板９０（サブ制御部）を「演出モード設定手段」ともいう。また、カウントモードを「第１特定演出モード」、スーパー演出モードを「第２特定演出モード」、通常演出モードを「第３特定演出モード」ともいう。
【実施例４】
【０５５９】
次に、図１０３乃至図１０５を用いて、実施例４のパチンコ遊技機１について説明する。本実施例では、演出図柄（特別図柄）の変動表示の回数（実行回数）を表示する一態様について説明する。図１０３（ａ）は、スーパー演出モード（第２スーパー演出モード）の実行中の一場面を示している。第２画像表示装置７１の表示画面７１ａには、前回の大当り遊技終了後からの演出図柄（特別図柄）の変動表示の回数を示す第１変動回数表示部２０３（「第１ボーナス間変動回数表示部」や「実行期間表示部」や「変動回数表示部」ともいう）が設けられている。第１変動回数表示部２０３には「２２回」と表示されており、大当り遊技終了後から２２回の演出図柄の変動表示が行われ、現在、画像表示装置７の表示画面７ａ（第１表示画面）で２３回目の演出図柄（特別図柄）の変動表示（単に、「変動表示」ともいう）が実行中であることを示している。
【０５６０】
図１０３（ｂ）は、図１０３（ａ）で示す第２スーパー演出モードの継続中の場面で、図１０３（ａ）に示す場面から更に２３回の変動表示を行い、第２スーパー演出モードにおける４６回目の変動表示を行っている場面である。図１０３（ｂ）に示すように、第１表示画面７ａ、第２表示画面７１ａ及び第３表示画面７２ａを用いて所定のリーチ演出２２１（遊技演出、特定遊技演出）が実行されている。本例に示すリーチ演出２２１を実行するとき、第１表示画面７ａ（第１表示部）、第２表示画面７１ａ（第２表示部）及び第３表示画面７２ａ（図１０３（ａ）で示す場面）でそれまで表示していた遊技情報のうち、一部の遊技情報を表示したままとし、他の遊技情報を非表示としている。これにより、リーチ演出２２１（遊技演出）の表示領域を確保して視認性を高め、より趣向性の高い遊技演出を実行することを可能とする。
【０５６１】
図１０３（ｂ）に示すリーチ演出２２１（特定遊技演出）を実行する場合の表示したままの遊技情報として、第２表示画面７１ａに表示される第１変動回数表示部２０３（変動回数表示部）がある。また、非表示とする遊技情報として、第１表示画面７ａに表示される発射方向表示部１６２、第２演出保留表示領域９ｄ（演出保留表示領域）、総獲得利益表示部（第２利益情報表示部）１６４、第２表示画面７１ａに表示される第２演出モード表示部（選択モード表示部）２０２、演出モード表示部（第１演出モード表示部）１７１、第３表示画面に表示される第２獲得利益表示部２０４（第１利益情報表示部）、第２変動回数表示部２０５（第２ボーナス間変動回数表示部、期間情報表示部）がある。
【０５６２】
このように、リーチ演出２２１を行う場合、遊技領域の略中央部に設けられ、遊技者が常時注視して遊技を行う第１表示画面７ａからは、リーチ演出２２１に用いる演出図柄以外の遊技情報を非表示とし、リーチ演出２２１の表示を優先的に行う。また、リーチ演出２２１は、第１画像表示装置７１の表示画面７ａと共に、第１画像表示装置７の周囲（遊技領域の外方、遊技領域外）に設けられる第２画像表示装置７１の表示画面７１ａ及び第３画像表示装置７２の表示画面７２ａにおいても実行される。そして、サブ的に設けられる画像表示装置の表示画面（第２画像表示装置７１の表示画面７１ａ又は／及び第３画像表示装置７２の表示画面７２ａ）に、一部遊技情報の表示を残し、リーチ演出の実行中も当該遊技情報を確認可能としている。
【０５６３】
このように、リーチ演出２２１の実行中も表示したままとする遊技情報（第１変動回数表示部２０３）を、主となる演出表示装置である第１画像表示装置７の周囲（遊技領域の外方、遊技領域外）に設けられるサブ的表示装置に表示する。これにより、リーチ演出２２１の視認性を極力阻害することなく、遊技状況を常時確認することを可能とする。尚、第２表示画面７１ａ上では、第１変動回数表示部２０３及びリーチ演出２２１の両方が表示され、両者が重畳して（重畳的に）表示される場合には、第１変動回数表示部２０３がリーチ演出２２１に優先して手前側に表示される。これにより、第１変動回数表示部２０３はリーチ演出によって視認性を阻害されることなく、遊技者は、常時遊技状況を確認することができる。尚、図１０３（ｂ）は、リーチ演出２２１の結果、敗北演出が実行される場面を示しており、敗北演出によって前述した第４ボーナスが発生することを示している。
【０５６４】
図１０３（ｃ）は、図１０３（ｂ）に示すリーチ演出で敗北演出が確定して、演出図柄の変動表示が確定（「２１２」）すると共に、特別図柄が第４ボーナスの実行を示す大当り図柄が確定停止した場面を示している。第１変動回数表示部２０３には、図１０３（ｂ）で示す演出図柄の変動表示が確定したことにより、「４６回」の表示がなされている。また、第１表示画面７ａには、右遊技領域へ遊技球を発射して開始ゲート２９に遊技球を通過（入球）させることを示唆（指示）する第３発射方向報知演出２１３が実行されている。このように、大当り確定後、開始ゲート２９に遊技球が通過する前の遊技状態（大当り待機状態）においても、第２表示画面７１ａ上において第１変動回数表示部２０３は表示状態とされている。
【０５６５】
図１０４（ｄ）は、図１０３（ｃ）に示す場面から、遊技者が右遊技領域に遊技球を発射して開始ゲート２９に遊技球を通過させて大当り遊技（第４ボーナス）を実行し、第４ボーナス終了後に、第２カウント演出モードが設定された場面を示している。第１変動回数表示部２０３に表示される数字（表示回数、回数）は、大当り遊技が実行されることに基づいて初期化（「０」にリセット）される。また、表示回数を「０」にリセットするタイミングは、大当り遊技終了のタイミングとしている。また、リセット表示タイミングは、大当り遊技終了に基づいて行ってもよいし、大当り遊技終了後に設定される演出モードが表示されることに基づいて行ってもよい。尚、図１０４（ｄ）では、大当り遊技（第４ボーナス）終了後の１回目の変動表示が実行されているため、第１変動回数表示部２０３には「０回」が表示され、残期間表示部２０６には「４９回」が表示される。すなわち、第１変動回数表示部２０３の表示は、変動表示が確定する毎に表示が更新（加算）され、残期間表示部２０６の表示は、変動表示が開始する毎に表示が更新（減算）される。
【０５６６】
図１０４（ｄ）に示す（第４ボーナス終了後に設定される）第２カウント演出モード（低確高ベース状態又は高確高ベース状態）は、前述したように、（特別図柄当否判定の結果が大当りとなることなく）演出図柄の変動表示が５０回（１００回の場合もある）実行されると終了し、他の演出モードに移行する。尚、第２カウント演出モードの遊技状態が低確高ベース状態であった場合には、演出図柄の変動表示が５０回（特定回数）実行されることに基づいて通常演出モードに移行し、高確高ベース状態であった場合には、演出図柄の変動表示が５０回（特定回数）実行されることに基づいてスーパー演出モードに移行する。
【０５６７】
本例に示す第２カウント演出モードは、第２表示画面７１ａに、前述と同様に第１変動回数表示部２０３を表示し、第１表示画面７ａ上に、実行中の第２カウント演出モード（特別演出モード）の残期間を把握・認識可能な残期間表示部２０６を表示する。これにより、第２カウント演出モード（特別演出モード）の実行中において、当該実行中の演出モード（遊技状態）の残期間（変動表示の残回数）を把握すると共に、前回の大当り遊技からの変動表示の回数（特別図柄当否判定の回数）を把握することができる。尚、第１変動回数表示部２０３に表示する回数は、第１特別図柄の変動表示の回数と第２特別図柄の変動表示の回数とを加算した回数とされている。また、第１表示画面７ａ、第２表示画面７１ａ及び第３表示画面７２ａには、図１０４（ｄ）に示す各種遊技情報が表示される。
【０５６８】
図１０４（ｅ）は、図１０４（ｄ）の第２カウント演出モードが継続して実行されている場面で、第２カウント演出モードにおける５回目の変動表示の実行中の場面を示している。この場面においても、第１変動回数表示部２０３及び残期間表示部２０６がともに表示されている。図１０４（ｆ）は、図１０４（ｄ）及び図１０４（ｅ）に示す第２カウント演出モードが継続して実行されている場面で、第２カウント演出モードにおける３６回目の変動表示で、リーチ演出２２１が実行された場面を示している。図１０３（ｂ）で説明したのと同様に、リーチ演出は、第１表示画面７ａ、第２表示画面７１ａ及び第３表示画面７２ａで実行される。そして、図１０４（ｅ）に示す、それまでに表示されたいた遊技情報は、一部が表示を維持され、その他は非表示とされる。これにより、リーチ演出２２１（遊技演出、特定遊技演出）の表示領域を確保して視認性を高め、より趣向性の高い遊技演出を実行することを可能とする。
【０５６９】
図１０３（ｂ）に示すリーチ演出２２１（特定遊技演出）を実行する場合の、表示を維持する遊技情報として、第２表示画面７１ａに表示される第１変動回数表示部２０３（変動回数表示部）がある。また、非表示とする遊技情報として、第１表示画面７ａに表示される発射方向表示部１６２、第２演出保留表示領域９ｄ（演出保留表示領域）、総獲得利益表示部（第２利益情報表示部）１６４、演出モード表示部（第１演出モード表示部）１７１、残期間表示部２０６、第３表示画面に表示される第２獲得利益表示部２０４（第１利益情報表示部）、第２変動回数表示部２０５（第２ボーナス間変動回数表示部、期間情報表示部）がある。このように、第２カウント演出モード（特別演出モード）において、リーチ演出２２１（特定遊技演出）が発生すると、実行中の第２カウント演出モードの残期間を示す残期間表示部２０６は非表示とし、第２カウント演出モード開始からの演出図柄（特別図柄）の変動表示の実行回数を示す第１変動回数表示部２０３は表示を維持する。
【０５７０】
図１０３（ｂ）と同様に、リーチ演出２２１を行う場合、遊技領域の略中央部に設けられ、遊技者が常時注視して遊技を行う第１表示画面７ａからは、リーチ演出２２１に用いる演出図柄以外の遊技情報を非表示とし、リーチ演出２２１の表示を優先的に行う。また、リーチ演出２２１は、第１画像表示装置７１の表示画面７ａと共に、第１画像表示装置７の周囲（遊技領域の外方、遊技領域外）に設けられる第２画像表示装置７１の表示画面７１ａ及び第３画像表示装置７２の表示画面７２ａにおいても実行される。そして、サブ的に設けられる画像表示装置の表示画面（第２画像表示装置７１の表示画面７１ａ又は／及び第３画像表示装置７２の表示画面７２ａ）に、一部遊技情報の表示を残し、リーチ演出の実行中も当該遊技情報を確認可能としている。
【０５７１】
このように、リーチ演出２２１の実行中も表示したままとする遊技情報（第１変動回数表示部２０３）を、主となる演出表示装置である第１画像表示装置７の周囲（遊技領域の外方、遊技領域外）に設けられるサブ的表示装置に表示する。これにより、リーチ演出２２１の視認性を極力阻害することなく、遊技状況を常時確認することを可能とする。また、実行中の演出モード（第２カウント演出モード）の残期間の表示がなくなったとしても、当該演出モードの開始からの変動表示の回数を表示する第１変動回数表示部２０３の表示を維持する。これにより、残期間表示部２０６が非表示であっても、第１変動回数表示部２０３の表示を確認することで、実行中の演出モード（第２カウント演出モード）の残期間を把握（推測）することが可能となる。
【０５７２】
尚、図１０４（ｆ）に示すように、第２表示画面７１ａ上では、第１変動回数表示部２０３及びリーチ演出２２１の両方が表示され、両者が重畳して（重畳的に）表示される場合には、第１変動回数表示部２０３がリーチ演出２２１に優先して手前側に表示される。これにより、第１変動回数表示部２０３はリーチ演出によって視認性を阻害されることなく、遊技者は、常時遊技状況を確認することができる。尚、図１０３（ｂ）は、リーチ演出２２１の結果、敗北演出が実行される場面を示しており、敗北演出によって前述した第４ボーナスが発生することを示している。
【０５７３】
図１０５（ｇ）は、図１０４（ｆ）に示す変動表示と同じ変動表示において、リーチ演出２２１の結果が大当り（第１ボーナス、「７７７」）となることが示された場面である。このときも第２表示画面７１ａには第１変動回数表示部２０３（確定停止前なので「３５回」を表示）が表示されており、第１表示画面７ａでは残期間表示部２０６が非表示のままとなっている。また、第１表示画面７ａ、第２表示画面７１ａ及び第３表示画面７２ａで大当りを示す演出を実行している。
【０５７４】
図１０５（ｈ）は、図１０５（ｇ）で実行中の演出図柄（特別図柄）の変動表示が確定停止表示して大当り（第１ボーナス、「７７７」）が確定し、大当り待機状態となった場面を示している。図１０５（ｈ）に示すように、第１表示画面７ａ、第２表示画面７１ａ及び第３表示画面７２ａで、第１発射方向報知演出２１１が実行されている。大当り待機状態においても、第２表示画面７１ａに第１変動回数表示部２０３が表示されており、図１０５（ｇ）に示す変動表示が確定したことにより、第１変動回数表示部２０３には「３６回」の表示がなされている。
【０５７５】
また、第２表示画面７１ａ上では、第１変動回数表示部２０３及び第１発射方向報知演出２１１の両方が表示され、両者が重畳して（重畳的に）表示される場合には、第１変動回数表示部２０３が第１発射方向報知演出２１１に優先して手前側に表示される。これにより、遊技者は、大当り待機状態においても、前回の大当り遊技終了後からの変動表示の回数を把握することが可能となる。
【０５７６】
図１０５（ｉ）は、図１０４（ｈ）に示す大当り待機状態において遊技者が右遊技領域に遊技球を発射して開始ゲート２９に遊技球を通過させることで大当り遊技（第１ボーナス）を開始した場面を示している。大当り遊技中においても第２表示画面７１ａに第１変動回数表示部２０３が表示されており、大当り遊技中も、前回の大当り遊技終了後からの変動表示の回数を把握することが可能となる。
【実施例５】
【０５７７】
次に、図１０６乃至図１１１を用いて、実施例５のパチンコ遊技機１について説明する。本実施例５では、パチンコ遊技機１で行われる各種のリーチ演出と前兆演出について説明する。ここで、図１０６は、低確低ベース状態のときに行われる演出の流れを例示する説明図である。図１０７は、前兆演出の実行条件について説明するための説明図である。図１０８，１０９は、前兆演出の具体例を示す画面図である。図１１０は、演出制御用ＲＡＭ９１３の構成例を示すブロック図である。図１１１は、前兆演出パターン設定処理を例示するフローチャートである。
【０５７８】
［低確低ベース状態における演出の流れについて］
まず、図１０６に基づいて、低確低ベース状態における演出の流れについて説明する。低確低ベース状態で遊技が制御されているときに第１始動口２０に遊技球が入賞すると第１特別図柄当否判定が実行される。そして、第１特別図柄判定が実行されると、第１特別図柄表示器４１ａにおいて、第１特別図柄が変動表示され、第１特別図柄当否判定の結果を示す第１特別図柄が停止表示される。これに対して、第１表示画面７ａでは、第１特別図柄の変動表示が開始されるのに伴い、演出図柄表示領域７ｂ（図３参照）における３つの図柄列の変動表示が開始される（図１０６（Ａ）参照）。具体的には、演出図柄表示領域７ｂには、「１」〜「９」の数字が下から上へ縦方向に連続して記された演出図柄の図柄列の一部が横方向に３列表示されており、第１特別図柄の変動表示が開始されるのに伴い、これらの図柄列が上から下へスクロールするように、３つの図柄列のスクロール表示が開始される（例えば、図１０８（Ａ）参照）。
【０５７９】
ここで、第１特別図柄の変動表示開始時に行われた第１特別図柄当否判定の結果が「ハズレ」であり、リーチ演出を実行しないことが決定されている場合、第１特別図柄の変動表示の終盤でバラケ目（例えば「４５８」）を示す３つの演出図柄を擬似停止させ、第１特別図柄としてハズレ図柄が停止表示されるのに伴ってこれら３つの演出図柄を本停止させるハズレ報知演出（図１０６（Ｂ）参照）が行われる。ここで、「擬似停止」とは、演出図柄をほとんど移動させずにその場で揺動させることを言い、「本停止」とは、演出図柄を完全に静止させることを言う。
【０５８０】
一方、第１特別図柄当否判定の結果が「大当たり」である場合や、「ハズレ」であるもののリーチ演出を行うことが決定されている場合、第１特別図柄の変動表示中に、例えば、演出図柄表示領域７ｂの左列に所定の左図柄（例えば４図柄）を擬似停止させ、続いて、演出図柄表示領域７ｂの右列に左図柄と同じ演出図柄を示す右図柄（例えば４図柄）を擬似停止させるリーチ前演出が行われる。そして、このようなリーチ前演出の結果として、同一の左図柄および右図柄が擬似停止するとリーチ成立となる（図１０６（Ｃ）参照）。
【０５８１】
なお、本実施形態のパチンコ遊技機１では、このようなリーチ成立前のリーチ前演出として、いわゆる擬似連演出が行われる場合がある。この擬似連演出は、１回の特別図柄の変動表示中に、演出図柄表示領域７ｂにおいて演出図柄が複数回変動表示されたように見せ掛ける演出である。リーチ成立前にこの擬似連演出が実行される場合、例えば以下のような演出表示が行われる。
【０５８２】
すなわち、図には示されていないが、第１特別図柄の変動表示が開始されてから所定時間が経過すると、例えば、先ずは左図柄（例えば４図柄）が擬似停止し、続いて、右図柄とは異なる右図柄（例えば１図柄）が擬似停止し、その後に、擬似連演出の実行を報知する中図柄として中列に７図柄が擬似停止する。
【０５８３】
なお、本実施形態では、中列に７図柄を擬似停止させることによって擬似連演出の実行を報知する場合について説明するが、他の実施形態では、例えば「ＮＥＸＴ」といった擬似連演出を遊技者が認識可能な特殊図柄を中列に擬似停止させることによって、擬似連演出の実行を報知するようにしてもよい。
【０５８４】
上記のように、左図柄および右図柄として互いに異なる演出図柄が擬似停止した後に、中列に７図柄が擬似停止すると、擬似１連目の変動演出に続く擬似２連目の変動演出が開始される。具体的には、擬似２連目の変動演出の開始を示唆する「×２」の文字が第１表示画面７ａの中央領域に大きく表示された後に、この「×２」の文字が第１表示画面７ａの左上方の領域に小さく表示され、これに伴い、３つの図柄列のスクロール表示が再開される。なお、後述する図１０９（Ｆ）には、第１特別図柄の１回の変動表示中に２回の擬似連演出が開始されるのに伴い、擬似３連目の変動演出の開始を示唆する「×３」の文字が第１表示画面７ａの左上方の領域に小さく表示された状態が例示されている。
【０５８５】
なお、詳細な説明は省略するが、本実施形態のパチンコ遊技機１は、擬似連演出が実行された場合の方が、擬似連演出が実行されない場合に比べて、大当たり信頼度が高くなるように構成されている。また、同一変動内で擬似連演出が２回実行された場合（擬似３連目まで発展してリーチ演出が実行される場合）の方が、同一変動内で擬似連演出が１回しか実行されない場合（擬似２連目まで発展してリーチ演出が実行される場合）に比べて、大当たり信頼度が高くなるように構成されている。
【０５８６】
なお、ここまで、リーチ成立前に７図柄を中列に擬似停止させて擬似連演出を実行する「リーチ前擬似連」が行われる場合を例に説明したが、左図柄および右図柄として同一の演出図柄を擬似停止させた後に７図柄を中列に擬似停止させて擬似連演出を実行する「リーチ後擬似連」が行われる場合もある。
【０５８７】
図１０６の説明に戻り、今回の第１特別図柄の変動表示中にリーチ演出を実行する変動演出パターンが設定されている場合は、第１特別図柄の変動表示が開始されてから所定時間が経過すると、例えば、先ずは左列に左図柄（例えば２図柄）が擬似停止し、続いて左図柄と同じ右図柄（例えば２図柄）が右列に擬似停止してリーチが成立する（図１０６（Ｃ）参照）。なお、図には示されていないが、右図柄が擬似停止した後に（右図柄と同じ）左図柄が擬似停止してリーチが成立する場合や、同一の左図柄および右図柄が同時に擬似停止してリーチが成立する場合もある。
【０５８８】
このように、左図柄および右図柄として同一の演出図柄が擬似停止してリーチが成立すると、これらの演出図柄（リーチ図柄）と同一の演出図柄が中列に停止することを遊技者に期待させる所定のリーチ演出が行われる。本実施例５では、低確低ベース状態における第１特別図柄の変動表示に伴って実行され得るリーチ演出として、ノーマルショートリーチ（図１０６（Ｄ）参照）、ノーマルロングリーチ（図１０６（Ｆ）参照）、第１ＳＰリーチ（図１０６（Ｇ）参照）、第２ＳＰリーチ（図１０６（Ｈ）参照）、及びＳＰＳＰリーチ（図１０６（Ｊ）参照）の５種類のリーチ演出が用意されている。
【０５８９】
ノーマルショートリーチ（図１０６（Ｄ）参照）は、上記５種類のリーチ演出の中で大当たり信頼度が最も低いリーチ演出である（例えば、大当たり信頼度：約２％）。このノーマルショートリーチは、後述するノーマルロングリーチに比べて演出実行時間が短いリーチ演出であり、リーチが成立すると、先ずはノーマルショートリーチが行われる。このノーマルショートリーチが行われる場合、リーチが成立すると中列の図柄列のスクロール速度が徐々に低下していき、リーチを形成する左図柄および右図柄の間にリーチ図柄と同じ中図柄またはリーチ図柄とは異なる中図柄を擬似停止させる中図柄列のスクロール表示が行われる。
【０５９０】
ここで、ノーマルショートリーチ（図１０６（Ｄ）参照）で当落を報知する変動演出パターンが設定されている場合、ノーマルショートリーチにて当落報知演出（図１０６（Ｅ）参照）が行われる。具体的には、今回の第１特別図柄当否判定の結果が「大当たり」である場合には、リーチ図柄と同じ中図柄を有効ライン上に擬似停止させることでゾロ目（例えば「２２２」）の演出図柄を擬似停止させた後に、これらの演出図柄をそのまま本停止させる当たり報知演出が行われる。一方、今回の第１特別図柄当否判定の結果が「ハズレ」である場合には、リーチ図柄と異なる中図柄を有効ライン上に擬似停止させることでリーチハズレ目（例えば「２３２」）の演出図柄を擬似停止させた後に、これらの演出図柄をそのまま本停止させるハズレ報知演出が行われる。
【０５９１】
一方、ノーマルショートリーチから他のリーチ演出に発展する変動演出パターンが設定されている場合には、以下のような演出が行われる。例えば、ノーマルショートリーチ（図１０６（Ｄ）参照）からノーマルロングリーチ（図１０６（ｆ）参照）に発展してノーマルロングリーチにて当落を報知する変動演出パターンが設定されている場合、ノーマルショートリーチの終盤でノーマルロングリーチへの発展を示唆する発展示唆演出が行われると共に中列の図柄列の高速スクロールが再開されて、ノーマルロングリーチへとリーチ演出が発展する。このノーマルロングリーチでは、例えば、第１表示画面７ａの中央領域にて所定のキャラクタが図柄揃いを期待させる演出表示が行われる。
【０５９２】
なお、ノーマルロングリーチは、上記５種類のリーチ演出の中でノーマルショートリーチの次に大当たり信頼度が低いリーチ演出であり（例えば、大当たり信頼度：約５％）、大抵の場合、ノーマルロングリーチから他のリーチ演出に発展せずにノーマルロングリーチにてハズレ報知演出（図１０６（Ｅ）参照）が行われるが、今回の第１特別図柄当否判定の結果が大当たりであれば、ノーマルロングリーチにて当たり報知演出（図１０６（Ｅ）参照）が行われる場合もある。また、ノーマルロングリーチから他のリーチ演出に発展する変動演出パターンが設定されている場合には、ノーマルロングリーチから第１ＳＰリーチ（図１０６（Ｇ）参照）またはＳＰＳＰリーチ（図１０６（Ｊ）参照）にリーチ演出が発展することになる。
【０５９３】
ここで、第１ＳＰリーチ（図１０６（Ｇ）参照）は、ノーマルロングリーチの次に大当たり信頼度が低いリーチ演出であり（例えば、大当たり信頼度：約１１％）、ノーマルロングリーチから第１ＳＰリーチに発展する場合、以下のような演出表示が行われる。すなわち、リーチ図柄と同じ中図柄が有効ライン上を通過した後に中列の図柄列の高速スクロールが再開され、演出図柄表示領域７ｂに擬似停止しているリーチ図柄（左図柄および右図柄）が、リーチ状態を維持したまま縮小されつつ、第１表示画面７ａの左上方の領域および右上方の領域へとそれぞれ移動する。そして、第１表示画面７ａの中央領域にて、大当たりを期待させる所定の演出表示が行われる。
【０５９４】
このように、第１ＳＰリーチに発展した場合、この第１ＳＰリーチにて当落を報知する当落報知演出（図１０６（Ｉ）参照）が行われる場合と、第１ＳＰリーチからＳＰＳＰリーチ（図１０６（Ｊ）参照）に発展する場合とがある。
【０５９５】
一方、本実施例５のパチンコ遊技機１では、上記のリーチ演出の流れの他に、ノーマルショートリーチ（図１０６（Ｄ）参照）からノーマルロングリーチを経由せずに上記の第１ＳＰリーチ（図１０６（Ｇ）参照）に発展する場合や、ノーマルショートリーチから第２ＳＰリーチ（図１０６（Ｈ）参照）に発展する場合がある。
【０５９６】
ここで、第２ＳＰリーチ（図１０６（Ｈ）参照）は、第１ＳＰリーチよりも大当たり信頼度が若干高いリーチ演出であり（例えば、大当たり信頼度：約１２％）、ノーマルショートリーチから第２ＳＰリーチに発展する場合、以下のような演出表示が行われる。すなわち、リーチ図柄と同じ中図柄が有効ライン上を通過した後に中列の図柄列の高速スクロールが再開され、演出図柄表示領域７ｂに擬似停止しているリーチ図柄（左図柄および右図柄）が、リーチ状態を維持したまま縮小されつつ、第１表示画面７ａの左上方の領域および右上方の領域へとそれぞれ移動する。そして、第１表示画面７ａの中央領域にて、大当たりを期待させる所定の演出表示が行われる。
【０５９７】
このように、第１ＳＰリーチと第２ＳＰリーチとは、同様の画面構成にて大当たりを期待させる演出表示が行われるが、これらのリーチ演出は、その演出内容が互いに異なっている。具体的には、第１ＳＰリーチ（図１０６（Ｇ）参照）では、自キャラが敵キャラの攻撃を防ぎ切ったら大当たりとなり、逆に、自キャラが敵キャラの攻撃を防ぎ切れなければハズレとなる演出表示が行われる。一方の第２ＳＰリーチ（図１０６（Ｈ）参照）はミッション演出として構成されており、自キャラがミッションに成功すると大当たりとなり、逆に、自キャラがミッションに失敗するとハズレとなる演出表示が行われる。
【０５９８】
第１ＳＰリーチや第２ＳＰリーチに発展した場合、これらのリーチ演出の大当たり信頼度が相対的に低いことから、当落報知演出（図１０６（Ｉ）参照）としてハズレ報知演出の方が当たり報知演出よりも実行され易い。このため、第１ＳＰリーチや第２ＳＰリーチに発展した場合は、遊技者は、第１ＳＰリーチ（又は第２ＳＰリーチ）がハズレたと見せ掛けてＳＰＳＰリーチ（図１０６（Ｊ）参照）に発展することを期待することになる。
【０５９９】
ここで、ＳＰＳＰリーチ（図１０６（Ｊ）参照）は、上記５種類のリーチ演出の中で最も大当たり信頼度が高いリーチ演出である。本実施例５では、リーチが成立してＳＰＳＰリーチに直接発展する場合（図１０６（Ｃ）及び（Ｊ）参照）と、ノーマルショートリーチ（図１０６（Ｄ）参照）からノーマルロングリーチ（図１０６（Ｆ）参照）を経由してＳＰＳＰリーチに発展する場合と、ノーマルショートリーチから第１ＳＰリーチ（図１０６（Ｇ）参照）を経由してＳＰＳＰリーチに発展する場合と、ノーマルショートリーチから第２ＳＰリーチ（図１０６（Ｈ）参照）を経由してＳＰＳＰリーチに発展する場合とがある。
【０６００】
本実施例５では、４種類のＳＰＳＰリーチが用意されており、ＳＰＳＰリーチに発展すると、先ずは、ＳＰＳＰリーチの種類を報知するタイトル表示が行われる。例えば、自キャラが敵キャラＡとバトルするＳＰＳＰリーチ（Ａバトル）に発展することを示唆するタイトル表示が行われる。なお、ＳＰＳＰリーチの開始時に行われるタイトル表示では、タイトル表示を構成する文字が白色で表示される場合と、赤色で表示される場合と、虹色で表示される場合とがある。
【０６０１】
一方、タイトル表示が行われてからＳＰＳＰリーチの終盤に差し掛かるまでは、自キャラと敵キャラ（ここでは、敵キャラＡ）とが攻防を繰り返す様子を表す演出表示が行われる。そして、ＳＰＳＰリーチの終盤に差し掛かると、第１演出ボタン６３ａの操作を遊技者に促す第１演出ボタン操作促進演出が行われる。具体的には、第１演出ボタン６３ａを模した第１演出ボタン画像と、第１演出ボタン６３ａの操作が有効な有効期間の残り時間を示す有効期間ゲージとが表示される。
【０６０２】
この第１演出ボタン操作促進演出では、有効期間中の遊技者が第１演出ボタン６３ａを操作したタイミング、又は、第１演出ボタン６３ａが操作されることなく有効期間が終了したタイミングで、第１表示画面７ａ、第２表示画面７１ａ、及び第３表示画面７２ａに表示されている演出画像に所定のカットイン画像を重畳表示させるカットインと呼ばれる演出が行われる。このカットインは、大当たり信頼度がどの程度であるかを示唆する予告演出であって、本実施形態では、緑色のカットイン画像を重畳表示させる緑カットインが行われる場合と、赤色のカットイン画像を重畳表示させる赤カットインが行われる場合と、金色のカットイン画像を重畳表示させる金カットインが行われる場合とがある。
【０６０３】
このようにカットインが発生してＳＰＳＰリーチの終盤になると、第２演出ボタン６３ｂの操作を遊技者に促す第２演出ボタン操作促進演出（例えば、図１０８（Ａ）参照）が行われる。この第２演出ボタン操作促進演出の有効期間中には、第２演出ボタン６３ｂを模した第２演出ボタン画像と、「押せ！」という第２演出ボタン６３ｂの操作内容を示す文字と、有効期間の残り時間を示す有効期間ゲージとが表示される。なお、本実施例５では、第２演出ボタン画像として、小さい第２演出ボタン６３ｂを示す第２演出ボタン画像が表示される場合と、中程度の大きさの第２演出ボタン６３ｂを示す第２演出ボタン画像が表示される場合（図１０８（Ａ）参照）と、大きい第２演出ボタン６３ｂを示す第２演出ボタン画像が表示される場合とがある。
【０６０４】
このような第２演出ボタン操作促進演出の有効期間中に遊技者が第２演出ボタン６３ｂを操作した場合、その操作に応じた操作対応演出として、当落報知演出（図１０６（Ｋ）参照）が行われる。すなわち、今回の第１特別図柄当否判定の結果が大当たりである場合には、自キャラが敵キャラに勝利する様子を表す勝利演出と、ゾロ目を示す演出図柄を擬似停止させてから本停止させる当たり報知演出とが行われる。一方、今回の第１特別図柄当否判定の結果がハズレである場合には、自キャラが敵キャラに敗北する様子を表す敗北演出と、リーチハズレ目を示す演出図柄を擬似停止させてから本停止させるハズレ報知演出とが行われる。
【０６０５】
なお、第２演出ボタン操作促進演出の有効期間中に表示される第２演出ボタン画像が示す第２演出ボタン６３ｂの大きさは大当たり信頼度に対応しており、中程度の大きさの第２演出ボタン６３ｂを示す第２演出ボタン画像が表示される場合の方が、小さい第２演出ボタン６３ｂを示す第２演出ボタン画像が表示される場合に比べて、操作対応演出として当たり報知演出が実行され易いという特徴がある。また、小さい第２演出ボタン６３ｂを示す第２演出ボタン画像が表示される場合の方が、中程度の大きさの第２演出ボタン６３ｂを示す第２演出ボタン画像が表示される場合に比べて、操作対応演出としてハズレ報知演出が実行され易いという特徴がある。
【０６０６】
また、大きい第２演出ボタン６３ｂを示す第２演出ボタン画像は、今回の第１特別図柄当否判定の結果が当たりである場合には表示され得る一方で、ハズレである場合には表示されないという特徴がある。このため、大きい第２演出ボタン６３ｂを示す第２演出ボタン画像を表示する第２演出ボタン操作促進演出は、大当たり信頼度が１００％の予告演出と言える。
【０６０７】
［前兆演出について］
次に、図１０７を参照しつつ、実施例５のパチンコ遊技機１で実行される前兆演出について説明する。ところで、低確低ベース状態における第１特別図柄の変動表示中に、例えば、ノーマルロングリーチ、第１ＳＰリーチ、第２ＳＰリーチ、ＳＰＳＰリーチといったノーマルショートリーチに比べて大当たり信頼度が高いリーチ演出が行われたにも拘わらず当たり報知演出が実行されないといった状況が長く続いてしまうと、大当たりに対する遊技者の期待感が低下してしまい、結果として、遊技機の稼働率が低下してしまう可能性がある。そこで、このような問題を解決すべく、例えば、大当たりを期待させる演出を頻繁に行うことが考えられるが、大当たりに繋がる可能性が極めて低い状況下でこのような演出を頻繁に行うのは逆効果であり、却って遊技者に不快感を与えてしまうおそれがある。
【０６０８】
そこで、本実施例５のパチンコ遊技機１では、ノーマルショートリーチ以外のリーチ演出でハズレ報知演出が実行された場合において、このハズレ報知演出が実行された時点で保留されている第１特別図柄当否判定の権利の中に、当たり報知演出が行われるか、或いは、大当たりに繋がる可能性がある変動演出が行われることになるものが含まれていることを条件として、大当たり遊技が実行されることを遊技者に期待させる前兆演出（期待演出の一例）を実行することとしている。具体的には、以下の通りである。
【０６０９】
すなわち、ノーマルロングリーチにおいてハズレ報知演出が実行された場合（図１０７（Ａ）参照）、第１ＳＰリーチにおいてハズレ報知演出が実行された場合（図１０７（Ｂ）参照）、又は第２ＳＰリーチにおいてハズレ報知演出が実行された場合（図１０７（Ｃ）参照）、これら３つのハズレ報知演出のいずれかが実行された時点で保留されている第１特別図柄当否判定の権利の中に、対応する第１特別図柄の変動表示中に２回の擬似連演出が行われて変動演出が擬似３連目に発展するもの（図１０７（Ｅ）参照）が含まれていることを条件として、前兆演出を実行することとしている。このように、前兆演出が行われた後に変動演出が擬似３連目まで発展すると（図１０７（Ｅ）参照）、図１０７（Ｆ）及び（Ｇ）に例示されるように、大抵の場合、最終的にＳＰリーチ以上のリーチ演出（第１ＳＰリーチ、第２ＳＰリーチ、又はＳＰＳＰリーチ）に発展して、当たり報知演出（又はハズレ報知演出）が実行されることになる。
【０６１０】
また、図１０７（Ａ）〜（Ｃ）に例示されるように、上記３つのハズレ報知演出のいずれかが実行された場合において、これら３つのハズレ報知演出のいずれかが実行された時点で保留されている第１特別図柄当否判定の権利の中に、対応する第１特別図柄の変動表示中に、擬似連演出が実行されることなくＳＰＳＰリーチに発展して当たり報知演出（又はハズレ報知演出）が実行されることになるもの（図１０７（Ｈ）、（Ｊ）、（Ｇ）参照）、又は、擬似２連目からＳＰＳＰリーチに発展して当たり報知演出（又はハズレ報知演出）が実行されることになるもの（図１０７（Ｉ）、（Ｊ）、（Ｇ）参照）が含まれていることを条件として、前兆演出を実行することとしている。
【０６１１】
これらの構成から明らかなように、上記３つのハズレ報知演出のいずれかの実行に応じて前兆演出が実行された場合、ハズレ報知演出が実行された時点で保留されている第１特別図柄当否判定が行われたことに応じて、変動演出が擬似３連目に発展する場合（大当たり信頼度：約１５％）があることから、前兆演出と擬似連演出との相乗効果によって、大当たりに対する遊技者の期待感を効果的に向上させることが可能である。
【０６１２】
また、上記３つのハズレ報知演出のいずれかの実行に応じて前兆演出が実行された場合、ハズレ報知演出が実行された時点で保留されている第１特別図柄当否判定が行われたことに応じて、変動演出が擬似３連目に発展しなかったとしても、高信頼度のリーチ演出であるＳＰＳＰリーチが実行されることから、前兆演出とこれらのリーチ演出との相乗効果によって、大当たりに対する遊技者の期待感を効果的に向上させることが可能である。なお、本実施例５では、変動演出が擬似３連目に発展せずにＳＰＳＰリーチに発展する場合を例に説明するが、高信頼度のリーチ演出であれば発展先のリーチ演出はＳＰＳＰリーチに限らず、例えば、変動演出が擬似３連目に発展しなかった場合に、高信頼度のリーチ演出である（ＳＰＳＰリーチとは異なる）特殊リーチに発展する場合があってもよい。
【０６１３】
このように、本実施例５のパチンコ遊技機１では、ノーマルロングリーチ、第１ＳＰリーチ、又は第２ＳＰリーチにおいてハズレ報知演出が実行された場合に、そのハズレ報知演出の実行時点で保留されている（最大で４つの）第１特別図柄当否判定の権利の中に、第１特別図柄当否判定が行われたことに応じて（大当たり遊技が実行される可能性が相対的に高いことを示唆する）「示唆演出」が実行される場合に、前兆演出を実行することとしている。
【０６１４】
加えて、本実施例５のパチンコ遊技機１では、図１０７（Ｋ）〜（Ｍ）に例示されるように、低確低ベース状態における第１特別図柄の変動表示に伴ってＳＰＳＰリーチにおいてハズレ報知演出が実行された場合（図１０７（Ｋ）参照）、このハズレ報知演出が実行された時点で保留されている第１特別図柄当否判定の権利の中に、対応する第１特別図柄の変動表示中に当たり報知演出が実行されることになるものが含まれていることを条件として、前兆演出を実行するという構成が併せて採用されている。言い換えれば、ＳＰＳＰリーチ演出においてハズレ報知演出が実行されたことに応じて前兆演出が発生すれば、保留内での大当たりが確定するという構成が採用されている。このため、前兆演出は、大当たり遊技が実行されることを遊技者に期待させる期待演出として機能するだけでなく、大当たり遊技が実行されることを確定的に報知する確定報知演出として機能する場合がある。
【０６１５】
これらの構成が採用されていることによって、遊技者に対して、どのリーチ演出でハズレ報知演出が実行されたかに注目させることができ、また、前兆演出が開始された後は、遊技者は大当たりを期待しつつ、保留されていた第１特別図柄当否判定が実行されたことに応じて行われる変動演出で、その変動演出が擬似何連目まで発展するか（擬似連演出が何回実行されるか）に注目しながら遊技を楽しむことができる。
【０６１６】
なお、いずれかのリーチ演出において当たり報知演出が実行された場合には、「大当たり」を報知するゾロ目の演出図柄が擬似停止してから本停止して、その「大当たり」に応じた大当たり遊技が実行されることになる。このため、仮に、上記の当たり報知演出が実行された時点で保留されている第１特別図柄当否判定の権利の中に、当たり報知演出が実行されることになるものや、上記３種類の「示唆演出」のいずれかが実行されることになるものが含まれていたとしても、前兆演出を実行する必要性は低いと言える。このため、本実施例５では、当たり報知演出が実行された時点で（前兆演出の後に行われる当たり報知演出または示唆演出に関する）前兆演出の実行条件を満たしていたとしても、前兆演出を実行しないという構成が採用されている。
【０６１７】
ところで、バラケ目を示す演出図柄を擬似停止させてから本停止させるハズレ報知演出と、リーチハズレ目を示す演出図柄を擬似停止させてから本停止させるハズレ報知演出とを比較した場合、前者の方が後者よりも出現率が高い。このため、バラケ目を示す演出図柄を擬似停止させてから本停止させるハズレ報知演出が実行された場合にも前兆演出を実行可能にしてしまうと、前兆演出の出現率が高くなり過ぎてしまい、結果として、前兆演出が出現したとしても遊技者が大当たりを期待し難いといった問題が生じる可能性がある。このため、本実施例５では、バラケ目を示す演出図柄を擬似停止させてから本停止させるハズレ報知演出が実行された時点で（前兆演出の後に行われる当たり報知演出または示唆演出に関する）前兆演出の実行条件を満たしていたとしても、前兆演出を実行しないという構成も併せて採用されている。
【０６１８】
（前兆演出の具体例）
図１０８，１０９は、ＳＰＳＰリーチの終盤でハズレ報知演出が実行され、このハズレ報知演出が実行された時点で保留されている第１特別図柄当否判定の権利の中に、大当たり遊技を実行すると判定されることになるものが含まれている場合に実行される前兆演出の具体例を示す画面図である。図１０８，１０９に基づく以下の説明では、説明の便宜上、第１特別図柄当否判定が保留されていることを示す第１演出保留９ａを単に「保留アイコン」と呼び、この保留アイコンが表示される表示領域を（第１演出保留表示領域９ｃに代えて）保留アイコン表示領域９ｃと呼ぶものとする。また、第１特別図柄および第１演出図柄８の変動表示中であることを示唆する変動示唆画像としての「当該アイコン」が当該アイコン表示領域９ｅ（例えば図６８（Ａ）参照）に表示されるものとして説明を行う。
【０６１９】
低確低ベース状態における第１特別図柄の変動表示中において、カットインが発生してＳＰＳＰリーチの終盤になると、第２演出ボタン操作促進演出が行われる（図１０８（Ａ）参照）。図１０８（Ａ）には、当該アイコン表示領域９ｅに赤アイコンが表示された状態で、第２演出ボタン操作促進演出の有効期間中に、中程度の大きさの第２演出ボタン６３ｂを示す第２演出ボタン画像と、「押せ！」という第２演出ボタン６３ｂの操作内容を示す文字と、有効期間の残り時間を示す有効期間ゲージとが第１表示画面７ａに表示された様子が例示されている。
【０６２０】
今回の第１特別図柄当否判定の判定結果が「ハズレ」である場合、この第２演出ボタン操作促進演出の有効期間中に第２演出ボタン６３ｂが操作されたことに応じて、例えば、「３４３」のリーチハズレ目を示す３つの演出図柄が所定時間（例えば５秒間）擬似停止してからそのまま本停止する（図１０８（Ｂ）参照）。これに伴い、当該アイコン表示領域９ｅに表示されていた当該アイコン（ここでは赤アイコン）が第１表示画面７ａから消去される。
【０６２１】
「３４３」のリーチハズレ目を示す３つの演出図柄が本停止してから所定の確定時間（例えば０．６秒）が経過すると、１つ目の保留アイコンに対応する第１特別図柄当否判定が実行され、これに伴い、保留アイコン表示領域９ｃに表示されている各保留アイコンに対するシフト処理が行われる。具体的には、図１０８（Ｃ）に例示されるように、保留アイコン表示領域９ｃに表示されている１つ目の保留アイコン（ここでは白アイコン）が当該アイコンとして当該アイコン表示領域９ｅにシフトされると共に、保留アイコン表示領域９ｃに表示されている残り２つの保留アイコンが（保留アイコン表示領域９ｃ内で）当該アイコン表示領域９ｅ側にシフトする。そして、第１特別図柄当否判定が実行されたことに応じて第１特別図柄の変動表示が開始されるのに伴い、３つの図柄列のスクロール表示が開始される（図１０８（Ｃ）参照）。
【０６２２】
このように、ＳＰＳＰリーチにおいてハズレ報知演出が実行された変動の次の変動が開始されると、上述した前兆演出が開始される（図１０８（Ｄ）参照）。具体的には、図１０８（Ｄ）に例示されるように、心電図を模した心電図画像が第１表示画面７ａに表示されると共に、「ピコーン」といった心電図画像の表示を演出する前兆演出音がスピーカ６７から出力される。そして、この前兆演出は、図には表れていないが、所定の時間間隔（例えば２秒間隔）で繰り返し実行される。
【０６２３】
ここで、図１０８（Ｃ）に例示される当該アイコンに対応する第１特別図柄当否判定の判定結果が「ハズレ」であり、第１特別図柄の変動パターンとして、第１特別図柄の変動時間が相対的に短い（例えば４秒）変動パターンが設定されている場合、図１０８（Ｅ）に例示されるように、左４図柄、中５図柄、及び右３図柄が同時に擬似停止する。具体的には、上方から移動してきた左４図柄、中５図柄、及び右３図柄が、第１表示画面７ａの上下方向における略中央の位置で移動を終了して上下に揺動し、これに伴い、左４図柄を構成する「４」の数字、中５図柄を構成する「５」の数字、及び右３図柄を構成する「３」の数字が、スクロール方向を軸方向として反時計回りに同時に１回転する（図１０８（Ｅ）参照）。そして、第１特別図柄の停止表示に伴い、バラケ目を示すこれら３つの演出図柄がそのまま本停止する（図１０８（Ｆ）参照）。
【０６２４】
「４５３」のバラケ目を示す３つの演出図柄が本停止してから所定の確定時間（例えば０．６秒）が経過すると、１つ目の保留アイコンに対応する第１特別図柄当否判定が実行され、これに伴い、保留アイコン表示領域９ｃに表示されている各保留アイコンに対するシフト処理が行われる。具体的には、図１０８（Ｆ）及び（Ｇ）に例示されるように、保留アイコン表示領域９ｃに表示されている１つ目の保留アイコン（白アイコン）が当該アイコンとして当該アイコン表示領域９ｅにシフトされると共に、保留アイコン表示領域９ｃに表示されている残り１つの保留アイコンが当該アイコン表示領域９ｅ側にシフトして１つ目の保留アイコンとして表示される。そして、第１特別図柄当否判定が実行されたことに応じて第１特別図柄の変動表示が開始されるのに伴い、３つの図柄列のスクロール表示が開始される（図１０８（Ｇ）参照）。
【０６２５】
この（ＳＰＳＰリーチでハズレ報知演出が実行された後の）２つ目の図柄変動中にも、１つ目の図柄変動中と同様に、前兆演出が行われる（図１０８（Ｈ）参照）。なお、図１０８（Ｉ）には、左８図柄が擬似停止した後に、右２図柄が擬似停止するタイミングで前兆演出が行われている様子が例示されている。
【０６２６】
ＳＰＳＰリーチでハズレ報知演出が実行された後の２つ目の図柄変動中において、右２図柄が擬似停止してから所定時間が経過すると、中１図柄が擬似停止し（図１０９（Ａ）参照）、その後、左８図柄、中１図柄、及び右２図柄がそのまま本停止する（図１０９（Ｂ）参照）。そして、このようにして２つ目の図柄変動が終了すると、３つ目の図柄変動が開始される。具体的には、「８１２」のバラケ目を示す３つの演出図柄が本停止してから所定の確定時間（例えば０．６秒）が経過すると、１つ目の保留アイコンに対応する第１特別図柄当否判定が実行され、これに伴い、保留アイコン表示領域９ｃに表示されている１つ目の保留アイコン（白アイコン）が当該アイコンとして当該アイコン表示領域９ｅにシフトされる（図１０９（Ｂ）及び（Ｃ）参照）。そして、第１特別図柄当否判定が実行されたことに応じて第１特別図柄の変動表示が開始されるのに伴い、３つの図柄列のスクロール表示が開始される（図１０９（Ｃ）参照）。
【０６２７】
このように、ＳＰＳＰリーチにおいてハズレ報知演出が実行された後の３つ目の図柄変動中においても、上述したのと同様に、前兆演出が断続的に実行される（図１０９（Ｄ）及び（Ｅ）参照）。なお、図１０９には表れていないが、ここでの前兆演出は、３つ目の図柄変動が開始されてから１回目の擬似連演出が実行されるまで継続する。
【０６２８】
なお、この３つ目の図柄変動が開始される際に行われた第１特別図柄当否判定の判定結果が「大当たり」であることから、例えば、２回の擬似連演出が実行されて擬似３連目の変動演出が開始されたタイミングで、当該アイコンが白アイコンから赤飛翔アイコン（赤色の飛行機を模した当該アイコン）に変化し（図１０９（Ｆ）参照）、この擬似３連目でＳＰＳＰリーチのＣバトルへと発展する（図１０９（Ｇ）参照）。そして、Ｃバトルの終盤における第２演出ボタン操作促進演出（図１０９（Ｈ）参照）の有効期間中に第２演出ボタン６３ｂが操作されたことに応じて、当たり報知演出が実行される（図１０９（Ｉ）参照）。図１０９（Ｉ）には、「１１１」のゾロ目を示す３つの演出図柄が擬似停止した様子が例示されており、所定時間が経過すると、これら３つの演出図柄がそのまま本停止する。
【０６２９】
ここまで、ＳＰＳＰリーチにおいてハズレ報知演出が実行された後の１つ目の図柄変動、２つ目の図柄変動、及び（当たり報知演出が行われる）３つ目の図柄変動に亘って前兆演出を行う場合を例に説明したが、３つ目の図柄変動が、当たり報知演出が行われる図柄変動であることを遊技者が容易に認識できるように、例えば、１つ目の図柄変動と２つ目の図柄変動では前兆演出の時間間隔を例えば２秒間に固定する一方で、３つ目の図柄変動では、前兆演出が実行される時間間隔を前兆演出の終了タイミングが近づくに連れて徐々に短くしていくようにしてもよい。
【０６３０】
なお、図には示されていないが、ノーマルロングリーチ、第１ＳＰリーチ、又は第２ＳＰリーチにおけるハズレ報知演出に応じて開始される前兆演出も、このハズレ報知演出が行われた図柄変動の次の図柄変動が開始されるのに伴って開始される。そして、例えば、（上記ハズレ報知演出が行われた後の）２つ目の図柄変動において、擬似３連目でＳＰリーチ以上のリーチ演出が実行される場合（図１０７（Ｅ）及び（Ｆ）参照）には、１回目の擬似連演出が実行されるまで前兆演出が断続的に実行され、擬似２連目でＳＰＳＰリーチ（又は特殊リーチ）が実行される場合（図１０７（Ｉ）及び（Ｊ）参照）には、１回目の擬似連演出が実行されるまで前兆演出が断続的に実行され、擬似連演出無しでＳＰＳＰリーチ（又は特殊リーチ）が実行される場合（図１０７（Ｈ）及び（Ｊ）参照）には、リーチ成立まで前兆演出が断続的に実行される。
【０６３１】
（演出制御用ＲＡＭ９１３の構成例）
図１１０は、演出制御用マイコン９１を構成する演出制御用ＲＡＭ９１３の記憶領域と各記憶領域に記憶される情報について説明するためのブロック図である。演出制御用マイコン９１は、主制御基板８０からの変動開始コマンドを受信すると、演出図柄を用いる変動演出の変動演出パターンを設定する。具体的には、受信した変動開始コマンドを解析し、その解析結果に基づいて、演出図柄の変動態様、リーチ演出の有無、擬似連演出の有無、リーチ図柄を構成する演出図柄の種類、リーチ演出の種類や内容、擬似連演出の内容、停止表示される演出図柄の種類等を設定する。
【０６３２】
図１１０（Ａ）に例示されるように、演出制御用ＲＡＭ９１３には、変動演出パターン設定処理で設定された変動演出パターンを一時的に記憶する記憶領域として、当該変動演出パターン記憶領域９１３０が設けられている。また、演出制御用ＲＡＭ９１３には、主制御基板８０からの特図１始動入球コマンドを受信した場合に、その特図１始動入球コマンドに含まれている情報を記憶する記憶領域として、特図１・第１保留記憶領域９１３１、特図１・第２保留記憶領域９１３２、特図１・第３保留記憶領域９１３３、及び特図１・第４保留記憶領域９１３４が設けられている。また、演出制御用ＲＡＭ９１３には、第１特別図柄当否判定の保留数を記憶する領域として、特図１・保留数記憶領域９１３５が設けられている。
【０６３３】
特図１・第１保留記憶領域９１３１〜特図１・第４保留記憶領域９１３４は、特図１始動入球コマンドに含まれている情報を記憶する記憶領域であって、図１１０（Ｂ）に例示されるように、当否判定結果および変動パターン情報が記憶される。当否判定結果は、事前判定結果として特図１始動入球コマンドに含まれている情報であって、第１特別図柄当否判定の判定結果が「大当たり」であるか否かを示す情報である。また、変動パターン情報は、事前判定結果として特図１始動入球コマンドに含まれている情報であって、第１特別図柄の変動パターンを示す情報である。
【０６３４】
本実施例５のパチンコ遊技機１では、低確低ベース状態における第１特別図柄の変動表示中に第１始動口２０に遊技球が入賞して第１特別図柄当否判定の権利が保留されると、遊技制御用マイコン８１は、事前判定処理を実行する。具体的には、遊技制御用マイコン８１は、第１始動口２０に遊技球が入賞したことに応じて大当たり乱数を取得し、取得した大当たり乱数に基づいて、第１特別図柄の変動表示開始時に行われる第１特別図柄当否判定における大当たり判定処理に先立って同様の大当たり判定処理を行い、第１特別図柄当否判定が実行された場合に「大当たり」と判定されることになるか否かを事前に判定する。また、大当たり乱数と一緒に取得した変動パターン乱数に基づいて、第１特別図柄の変動表示開始時に行われる変動パターン選択処理と同様の処理を行い、第１特別図柄当否判定が実行された場合にどの変動パターンが選択されることになるかを事前に判定する。
【０６３５】
遊技制御用マイコン８１は、このような事前判定処理を実行すると、第１特別図柄当否判定の判定結果が「大当たり」であるか否かを示す情報（当否判定結果）や、第１特別図柄の変動パターンを示す変動パターン情報などの事前判定結果を含む特図１始動入球コマンドを副制御基板９０に送信する。これに対して、副制御基板９０の演出制御用マイコン９１は、主制御基板８０からの特図１始動入球コマンドを受信する毎に、図１１０（Ｂ）に例示される２つの情報（特図１始動入球コマンドに含まれる当否判定結果および変動パターン情報）を、特図１・第１保留記憶領域９１３１から順に、特図１・第１保留記憶領域９１３１〜特図１・第４保留記憶領域９１３４のいずれかに格納する。
【０６３６】
例えば、特図１・第１保留記憶領域９１３１〜特図１・第４保留記憶領域９１３４のいずれにも情報が記憶されていない状態で特図１始動入球コマンドを受信した場合、その特図１始動入球コマンドに含まれている２つの情報が特図１・第１保留記憶領域９１３１に格納される。また、例えば、特図１・第１保留記憶領域９１３１および特図１・第２保留記憶領域９１３２に情報が記憶された状態で特図１始動入球コマンドを受信した場合、その特図１始動入球コマンドに含まれている２つの情報が特図１・第３保留記憶領域９１３３に格納される。
【０６３７】
また、演出制御用マイコン９１は、保留されていた第１特別図柄当否判定に係る変動開始コマンドを受信すると、特図１・第１保留記憶領域９１３１〜特図１・第４保留記憶領域９１３４に記憶されている情報をシフトさせる。例えば、特図１・第１保留記憶領域９１３１〜特図１・第３保留記憶領域９１３３のそれぞれに情報が記憶された状態で変動開始コマンドを受信すると、特図１・第１保留記憶領域９１３１に記憶されている情報を消去して特図１・第２保留記憶領域９１３２に記憶されている情報を特図１・第１保留記憶領域９１３１にシフトさせ、特図１・第３保留記憶領域９１３３に記憶されている情報を特図１・第２保留記憶領域９１３２にシフトさせる。
【０６３８】
また、演出制御用マイコン９１は、特図１始動入球コマンドを受信する毎に、特図１・保留数記憶領域９１３５に記憶されている第１特別図柄当否判定の保留数を「１」加算した値に更新し、第１特別図柄当否判定に係る変動開始コマンドを受信する毎に、第１特別図柄当否判定の保留数を「１」減算した値に更新する。
【０６３９】
（前兆演出を実現するための処理について）
続いて、前兆演出を実現するために演出制御用マイコン９１が実行する処理の一例について説明する。図には示されていないが、演出制御用マイコン９１は、変動演出パターン設定処理によって変動演出パターンを設定すると、その変動演出パターンを示す変動演出パターン情報を当該変動演出パターン記憶領域９１３０に格納する。その際、前回の図柄変動に係る変動演出パターン情報が記憶されている場合には、その変動演出パターン情報が新たな変動演出パターン情報に書き換えられる。
【０６４０】
演出制御用マイコン９１は、例えば、リーチハズレ目の停止表示（本停止）を指示する変動演出終了コマンドをサブ出力バッファにセットした際に、以下の処理を実行する。具体的には、リーチハズレ目の停止表示を指示する変動演出終了コマンドをサブ出力バッファにセットした場合、当該変動演出パターン記憶領域９１３０に記憶されている変動演出パターンに基づいて、どのリーチ演出においてハズレ報知演出が実行されたかを特定する。ここで、ノーマルロングリーチにおいてハズレ報知演出が実行されたことを特定した場合には、演出制御用ＲＡＭ９１３に記憶されているノーマルロングリーチハズレ・フラグを「ＯＮ」に設定し、第１ＳＰリーチ（又は第２ＳＰリーチ）においてハズレ報知演出が実行されたことを特定した場合には、演出制御用ＲＡＭ９１３に記憶されているＳＰリーチハズレ・フラグを「ＯＮ」に設定する。また、ＳＰＳＰリーチにおいてハズレ報知演出が実行されたことを特定した場合には、演出制御用ＲＡＭ９１３に記憶されているＳＰＳＰリーチハズレ・フラグを「ＯＮ」に設定する。
【０６４１】
その一方で、演出制御用マイコン９１は、変動開始コマンドを受信したことに基づいて実行される予告演出設定処理において、以下の処理を実行する。すなわち、図１１１に例示されるように、演出制御用マイコン９１は、ＳＰＳＰリーチハズレ・フラグが「ＯＮ」に設定されているか否かに基づいて、前回の図柄変動ではＳＰＳＰリーチにおいてハズレ報知演出が実行されたか否かを判定する（ステップＳ６０００）。ここで、前回の図柄変動でＳＰＳＰリーチにおいてハズレ報知演出が実行されたと判定した場合（ステップＳ６０００：ＹＥＳ）、今回の図柄変動が大当たりに繋がるか否かを特定する（ステップＳ６００１）。具体的には、当該変動演出パターン記憶領域９１３０に記憶されている情報が示す変動演出パターンが、最終的に当たり報知演出を実行する変動演出パターンであるか否かに基づいて、今回の図柄変動が大当たりに繋がるか否かを特定する。
【０６４２】
続いて、演出制御用マイコン９１は、保留内の「大当たり」の有無を特定する（ステップＳ６００２）。具体的には、特図１・第１保留記憶領域９１３１〜特図１・第３保留記憶領域９１３３の中に、「大当たり」を示す当否判定結果が記憶されている記憶領域があるか否かに基づいて、保留内の「大当たり」の有無を特定する。
【０６４３】
そして、演出制御用マイコン９１は、ステップＳ６００１の特定結果と、ステップＳ６００２の特定結果とに基づいて、「大当たり」となるものが含まれているか否かを判定する（ステップＳ６００３）。言い換えれば、今回の変動演出と、今回の変動演出を開始する時点で保留されている最大で３つの第１特別図柄当否判定に係る変動演出とに関して、最終的に当たり報知演出が実行されることになるものが含まれているか否かを判定する。ここで、「大当たり」となるものが含まれていないと判定された場合（ステップＳ６００３：ＮＯ）、一連の前兆演出パターン設定処理が終了して、他の予告演出に係る設定処理が実行される。
【０６４４】
一方、演出制御用マイコン９１は、「大当たり」となるものが含まれていると判定した場合（ステップＳ６００３：ＹＥＳ）、前兆演出の設定情報を演出制御用ＲＡＭ９１３の所定領域にセットする（ステップＳ６００４）。具体的には、例えば、今回の図柄変動が「大当たり」に繋がることをステップＳ６００１の処理で特定した場合には、今回の変動演出の開始に伴って前兆演出を開始すると共に、今回の変動演出中において１回目の擬似連演出が実行されるまで（又は、擬似連演出が実行されない場合にはリーチが成立するまで）その前兆演出を断続的に継続させる前兆演出の演出パターンを、前兆演出の設定情報として演出制御用ＲＡＭ９１３にセットする。また、保留内に「大当たり」があることをステップＳ６００２の処理で特定した場合には、今回の変動演出の開始に伴って前兆演出を開始すると共に、保留されている第１特別図柄当否判定が実行された場合に「大当たり」と判定されたことに応じて行われる変動演出中において１回目の擬似連演出が実行されるまで（又は、擬似連演出が実行されない場合にはリーチが成立するまで）その前兆演出を継続させる前兆演出の演出パターンを、前兆演出の設定情報として演出制御用ＲＡＭ９１３にセットする。
【０６４５】
このように、演出制御用ＲＡＭ９１３にセットされた前兆演出の設定情報は、変動演出開始コマンドに含まれて、演出制御用マイコン９１が実行するコマンド送信処理によって、画像制御基板１００および音声制御基板１０６に送信される。これにより、演出制御用マイコン９１によって演出パターンが設定された前兆演出が、画像制御基板１００および音声制御基板１０６によって実現されることになる。加えて、ＳＰＳＰリーチ演出においてハズレ報知演出が実行された後に前兆演出が実行された場合には、そのハズレ報知演出が実行された時点における保留内で大当たりが確定するという図１０７（Ｋ）〜（Ｍ）に基づいて上述した構成が実現されることになる。
【０６４６】
一方、演出制御用マイコン９１は、前回の図柄変動ではＳＰＳＰリーチにおけるハズレ報知演出が実行されていないと判定した場合（ステップＳ６０００：ＮＯ）、演出制御用ＲＡＭ９１３に記憶されているＳＰリーチハズレ・フラグが「ＯＮ」に設定されているか否かに基づいて、前回の図柄変動ではＳＰリーチにおいてハズレ報知演出が実行されたか否かを判定する（ステップＳ６００５）。ここで、前回の図柄変動ではＳＰリーチにおけるハズレ報知演出が実行されていないと判定した場合（ステップＳ６００５：ＮＯ）、演出制御用ＲＡＭ９１３に記憶されているノーマルロングリーチハズレ・フラグが「ＯＮ」に設定されているか否かに基づいて、前回の図柄変動ではノーマルロングリーチにおいてハズレ報知演出が実行されたか否かを判定する（ステップＳ６００６）。ここで、前回の図柄変動ではノーマルロングリーチにおけるハズレ報知演出が実行されていないと判定された場合（ステップＳ６００６：ＮＯ）、一連の前兆演出パターン設定処理が終了して、他の予告演出に係る設定処理が実行される。
【０６４７】
演出制御用マイコン９１は、前回の図柄変動ではＳＰリーチにおいてハズレ報知演出が実行されたと判定した場合（ステップＳ６００５：ＹＥＳ）、又は、前回の図柄変動ではノーマルロングリーチにおいてハズレ報知演出が実行されたと判定した場合（ステップＳ６００６：ＹＥＳ）、これらのハズレ報知演出が実行された時点で保留されていた第１特別図柄当否判定の権利に関して、変動演出パターンを特定する（ステップＳ６００７）。具体的には、特図１・第１保留記憶領域９１３１〜特図１・第３保留記憶領域９１３３に記憶されている変動パターン情報に基づいて、保留されている第１特別図柄当否判定が実行された場合に選択されることになる第１特別図柄の変動パターンを特定する。そして、特定した変動パターンに対応する変動演出パターン決定テーブルを参照して、その変動演出パターン決定テーブルに基づいて変動演出パターンを選択した場合に、擬似連演出が実行されるか否か、擬似連演出が実行される場合には擬似何連目まで発展するか、最終的にＳＰＳＰリーチに発展するか否か、最終的に特殊リーチに発展するか否か等を特定する。演出制御用マイコン９１は、このように保留内の変動演出パターンを特定すると、その特定結果に基づいて以下の処理を実行する。
【０６４８】
演出制御用マイコン９１は、ステップＳ６００７の処理に続いて、保留されている（最大で３つの）第１特別図柄当否判定の権利の中に、実際に第１特別図柄当否判定が実行されたことに応じて行われる第１特別図柄の変動表示に伴って、擬似３連目まで発展する変動演出が行われるものが含まれているか否かを判定する（ステップＳ６００８）。ここで、擬似３連目まで発展する変動演出が行われるものが含まれていないと判定した場合（ステップＳ６００８：ＮＯ）、すなわち、いずれの変動演出でも擬似連演出が実行されないか、或いは、擬似連演出が実行されるものの擬似２連目までしか発展しない場合、保留されている（最大で３つの）第１特別図柄当否判定の権利の中に、実際に第１特別図柄当否判定が実行されたことに応じて行われる第１特別図柄の変動表示に伴って、最終的にＳＰＳＰリーチに発展する変動演出が行われるものが含まれているか否かを判定する（ステップＳ６００９）。
【０６４９】
演出制御用マイコン９１は、最終的にＳＰＳＰリーチに発展する変動演出が行われるものが含まれていないと判定した場合（ステップＳ６００９：ＮＯ）、保留されている（最大で３つの）第１特別図柄当否判定の権利の中に、実際に第１特別図柄当否判定が実行されたことに応じて行われる第１特別図柄の変動表示に伴って、最終的に特殊リーチに発展する変動演出が行われるものが含まれているか否かを判定する（ステップＳ６０１０）。
【０６５０】
演出制御用マイコン９１は、擬似３連目まで発展する変動演出が行われるものが含まれていると判定した場合（ステップＳ６００８：ＹＥＳ）、擬似３連目に発展しないものの最終的にＳＰＳＰリーチに発展する変動演出が行われるものが含まれていると判定した場合（ステップＳ６００９：ＹＥＳ）、又は、擬似３連目に発展しないものの最終的に特殊リーチに発展する変動演出が行われるものが含まれていると判定した場合（ステップＳ６０１０：ＹＥＳ）、前兆演出の設定情報を演出制御用ＲＡＭ９１３の所定領域にセットする（ステップＳ６０１１）。具体的には、保留されている（最大で３つの）第１特別図柄当否判定の権利の中に、実際に第１特別図柄当否判定が実行されたことに応じて行われる第１特別図柄の変動表示に伴って擬似３連目まで発展する変動演出が行われるものが含まれている場合、今回の変動演出の開始に伴って前兆演出を開始すると共に、上記擬似３連目まで発展する変動演出において１回目の擬似連演出が実行されるまでその前兆演出を継続させる前兆演出の演出パターンを、前兆演出の設定情報として演出制御用ＲＡＭ９１３にセットする。
【０６５１】
また、演出制御用マイコン９１は、保留されている（最大で３つの）第１特別図柄当否判定の権利の中に、実際に第１特別図柄当否判定が実行されたことに応じて行われる第１特別図柄の変動表示に伴って、擬似３連目に発展することなくＳＰＳＰリーチに発展する変動演出が行われるものが含まれている場合、今回の変動演出の開始に伴って前兆演出を開始すると共に、上記ＳＰＳＰリーチに発展する変動演出において１回目の擬似連演出が実行されるまで（又は、擬似連演出が実行されない場合にはリーチ成立まで）その前兆演出を継続させる前兆演出の演出パターンを、前兆演出の設定情報として演出制御用ＲＡＭ９１３にセットする。
【０６５２】
このように、演出制御用ＲＡＭ９１３にセットされた前兆演出の設定情報は、変動演出開始コマンドに含まれて、演出制御用マイコン９１が実行するコマンド送信処理によって、画像制御基板１００および音声制御基板１０６に送信される。これにより、演出制御用マイコン９１によって演出パターンが設定された前兆演出が、画像制御基板１００および音声制御基板１０６によって実現されることになる。加えて、ノーマルロングリーチハズレの後に前兆演出が実行された場合、又は、第１ＳＰリーチ（又は第２ＳＰリーチ）ハズレの後に前兆演出が実行された場合には、擬似３連目まで発展する変動演出が実行されるか、或いは、擬似２連目以下からＳＰＳＰリーチに発展する変動演出が実行されるという、図１０７（Ａ）〜（Ｇ）に基づいて上述した構成が実現されることになる。
【０６５３】
ここまでの説明から明らかなように、本実施例５のパチンコ遊技機１では、演出制御用マイコン９１は、低確低ベース状態における第１特別図柄（及び演出図柄）の変動表示中に行われるＳＰＳＰリーチによってハズレ報知演出が実行され、且つ、このハズレ報知演出が実行された時点で、当たり報知演出が実行されることになる第１特別図柄当否判定の権利が保留されている場合に、大当たり遊技が実行されることを期待させる前兆演出（期待演出の一例）を実行する（図１０７（Ｋ）〜（Ｍ）参照）。
【０６５４】
また、演出制御用マイコン９１は、低確低ベース状態における第１特別図柄（及び演出図柄）の変動表示中に行われるリーチ演出（本実施例５では、ノーマルロングリーチ、第１ＳＰリーチ、又は第２ＳＰリーチ）によってハズレ報知演出が実行され、且つ、第１特別図柄当否判定が行われると（大当たり遊技が実行される可能性が相対的に高いことを示唆する）示唆演出として、同一変動内における２回の擬似連演出（擬似３連目に発展する変動演出）、又はＳＰＳＰリーチが実行されることになる第１特別図柄当否判定の権利が、上記ハズレ報知演出が実行された時点で保留されている場合に、大当たり遊技が実行されることを期待させる前兆演出（期待演出の一例）を実行する（図１０７（Ａ）〜（Ｊ）参照）。
【０６５５】
なお、前兆演出を実行する場合に保留アイコンの表示態様を変化させるアイコン変化演出を実行すると、前兆演出がどの保留アイコンに対応する図柄変動まで継続するかを遊技者が容易に認識できてしまうだけでなく、アイコン変化演出の対象となる保留アイコンを遊技者が注視することによって、前兆演出の演出効果が低下する可能性がある。このため、本実施例５のパチンコ遊技機１では、前兆演出が実行される場合には、前兆演出が開始されてから終了するまでの間はアイコン変化演出の実行を制限して、前兆演出が終了した後に、アイコン変化演出の実行を許可することとしている（図１０９（Ｅ）及び（Ｆ）参照）。
【０６５６】
（前兆演出による作用効果）
本実施例５のパチンコ遊技機１によれば、低確低ベース状態における第１特別図柄の変動表示中にＳＰＳＰリーチによってハズレ報知演出が実行され、且つ、このハズレ報知演出が実行された時点で、当たり報知演出が実行されることになる第１特別図柄当否判定の権利が保留されている場合に、大当たり遊技が実行されることを遊技者に期待させる前兆演出が実行される場合がある。このため、ハズレ報知演出が実行された場合に前兆演出が実行されることを遊技者に期待させることが可能であり、大当たり遊技が実行されることに対する遊技者の期待感が低下するのを効果的に抑制することが可能である。また、前兆演出を発生させるためには、第１特別図柄当否判定の権利を保留させる必要があることから、前兆演出の発生を期待する遊技者が遊技球の打ち出しを一時的に停止するいわゆる止め打ちを行うのを抑制することが可能である。
【０６５７】
ところで、ＳＰＳＰリーチとＳＰＳＰリーチ以外のリーチ演出（ＳＰリーチ等の他のリーチ演出）とを比較した場合、ＳＰＳＰリーチの方が他のリーチ演出よりも当たり報知演出が実行され易い。このため、ＳＰＳＰリーチにおいてハズレ報知演出が実行された場合には、他のリーチ演出においてハズレ報知演出が実行されるよりも、大当たり遊技が実行されることに対する遊技者の期待感が低下し易いと考えられる。これに対して、本実施例５のパチンコ遊技機１によれば、ＳＰＳＰリーチによってハズレ報知演出が実行され、且つ、当たり報知演出が実行されることになる第１特別図柄当否判定の権利が保留されている場合に、前兆演出が実行される。このため、前兆演出が実行されることを遊技者に期待させて、ＳＰＳＰリーチによってハズレ報知演出が実行されることによる期待感の著しい低下を効果的に抑制することが可能である。
【０６５８】
また、本実施例５のパチンコ遊技機１によれば、ノーマルロングリーチ、第１ＳＰリーチ、又は第２ＳＰリーチといった所定のリーチ演出によってハズレ報知演出が実行され、且つ、第１特別図柄当否判定が行われると（大当たり遊技が実行される可能性が相対的に高いことを示唆する）示唆演出が実行されることになる第１特別図柄当否判定の権利が保留されている場合に、大当たり遊技が実行されることを期待させる前兆演出が実行される。このため、ハズレ報知演出が実行された場合に前兆演出が実行されることを遊技者に期待させることが可能であり、大当たり遊技が実行されることに対する遊技者の期待感が低下するのを効果的に抑制することが可能である。
【０６５９】
ところで、ＳＰＳＰリーチとＳＰＳＰリーチ以外の他のリーチ演出（例えば、ノーマルロングリーチ、第１ＳＰリーチ、又は第２ＳＰリーチ）とを比較した場合、ＳＰＳＰリーチの方が他のリーチ演出よりも当たり報知演出が実行され易い。このため、他のリーチ演出が実行されたとしても、遊技者は、大当たり遊技が実行されることを期待し難いと考えられる。これに対して、本実施例５のパチンコ遊技機１によれば、他のリーチ演出によってハズレ報知演出が実行され、且つ、示唆演出が実行されることになる第１特別図柄当否判定の権利が保留されている場合に、前兆演出が実行される。このため、前兆演出を実行することによって、大当たり遊技が実行されることに対する遊技者の期待感を効果的に向上させることが可能である。
【０６６０】
（前兆演出に関する変形例）
なお、前兆演出に関して以下の構成を採用してもよい。
すなわち、本実施例５では、上記の「示唆演出」が、擬似３連目に発展する変動演出（図１０７（Ｅ）参照）、ＳＰＳＰリーチ（図１０７（Ｊ）参照）である場合について説明したが、「示唆演出」は、大当たり遊技が実行される可能性が相対的に高いことを示唆する演出であれば本実施例５で例示したものに限定されるものではなく、例えば、多数のキャラクタが表示画面７ａ上を所定方向に移動する様子を表す演出表示を行う群予告等であってもよい。
【０６６１】
また、本実施例５では、図１０７（Ａ）〜（Ｃ），（Ｋ）に例示されるいずれかのハズレ報知演出が行われた図柄変動の次の図柄変動が開始される時点で、その図柄変動と、その図柄変動が開始される時点で保留されている最大で３つの第１特別図柄当否判定の権利に対応する最大で３つの図柄変動との計４変動のいずれかが前兆演出の実行条件を満たす場合に、前兆演出を実行する場合について説明した。これに対して、本実施例５では、上記いずれかのハズレ報知演出が行われた図柄変動の次の図柄変動の開始に伴って前兆演出を開始する構成が採用されていることから、ハズレ報知演出が行われてから前兆演出が開始されるまでの間に、第１特別図柄当否判定に係る権利が更に１つ保留される可能性がある。このため、他の実施例では、上記いずれかのハズレ報知演出が行われた図柄変動の次の図柄変動が開始される時点で、その図柄変動と、その図柄変動が開始される時点で保留されている最大で４つの第１特別図柄当否判定の権利に対応する最大で４つの図柄変動との計５変動のいずれかが前兆演出の実行条件を満たす場合に、前兆演出を実行するという構成を採用してもよい。
【０６６２】
また、ノーマルショートリーチが、ノーマルロングリーチ、第１ＳＰリーチ、第２ＳＰリーチに比べて出現率が高いため、本実施例５では、ノーマルショートリーチにおいてハズレ報知演出が実行された場合には、前兆演出を実行しない場合を例に説明した。これに対して、他の実施例では、ノーマルショートリーチにおいてハズレ報知演出が実行された場合に、上記ステップＳ６００７以降の処理を行い、前兆演出の実行条件を満たせば、前兆演出を実行するようにしてもよい。このように、ノーマルショートリーチにおいてハズレ報知演出が実行された場合にも前兆演出を実行可能にすることで、前兆演出の出現率を向上し、大当たり遊技が実行されることに対する遊技者の期待感を更に向上させることが可能である。
【０６６３】
また、本実施例５では、所定のリーチ演出においてハズレ報知演出が行われた次の変動開始時から前兆演出を開始させる場合を例に説明したが、他の実施形態では、次の変動が開始される前に前兆演出を開始させるようにしてもよい。例えば、所定のリーチ演出の終盤でリーチハズレ目を示す３つの演出図柄が擬似停止してからそのまま本停止する過程において、３つの演出図柄が擬似停止している間に前兆演出を開始させたり、或いは、３つの演出図柄が本停止するのと同時に前兆演出を開始させたりしてもよい。
【０６６４】
これらの構成を採用する場合、前兆演出を実行するために以下のような処理を実行することが考えられる。すなわち、例えば、演出制御用マイコン９１は、ＳＰＳＰリーチの終盤でリーチハズレ目を示す３つの演出図柄が擬似停止している期間中の所定のタイミングで、特図１・第１保留記憶領域９１３１〜特図１・第４保留記憶領域９１３４のいずれかに「大当たり」を示す当否判定結果が記憶されているか否かを判定し、肯定判定した場合に、前兆演出の実行を指示する前兆演出開始コマンドを画像制御基板１００および音声制御基板１０６に送信する。また、例えば、演出制御用マイコン９１は、ノーマルロングリーチ、第１ＳＰリーチ、又は第２ＳＰリーチといった他のリーチ演出の終盤でリーチハズレ目を示す３つの演出図柄が擬似停止している期間中の所定のタイミングで、特図１・第１保留記憶領域９１３１〜特図１・第４保留記憶領域９１３４に記憶されている変動パターン情報に関して、上記ステップＳ６００７と同様の処理を行って、各保留に対応する変動演出パターンを特定する。そして、上記ステップＳ６００８〜Ｓ６０１０と同様の処理を行い、前兆演出の実行条件を満たした場合に、前兆演出の実行を指示する前兆演出開始コマンドを画像制御基板１００および音声制御基板１０６に送信する。
【０６６５】
このような構成を採用すれば、所定のリーチ演出においてハズレ報知演出が実行された変動と、その変動よりも後に行われる変動との間で演出に係る連続性（関連性）が向上して、より効果的な前兆演出を実行することが可能である。
【０６６６】
また、本実施例５では、第１表示画面７ａおよびスピーカ６７を用いて前兆演出を行う場合を例に説明したが、前兆演出に使用する演出手段はこれに限らず、例えば、第１表示画面７ａの前方に所定間隔を隔てて配置された導光板と、第１表示画面７ａと、スピーカ６７とを用いて前兆演出を行うようにしてもよい。また、本実施例５では、前兆演出が、第１表示画面７ａに心電図画像を表示すると共にスピーカ６７から前兆演出音を出力する演出（図１０８（Ｄ）参照）を断続的に繰り返す演出である場合を例に説明したが、前兆演出は、他の演出であってもよい。例えば、前兆演出は、前兆演出の実行条件を満たしたことを条件として、通常のＢＧＭに代えて前兆演出専用ＢＧＭをスピーカ６７から出力する演出や、第１表示画面７ａに表示される背景画像を前兆演出専用の背景画像に変化させる演出、第１表示画面７ａに表示されている演出画像の表示態様を変化させる演出等であってもよい。
【０６６７】
また、本実施例５では、前兆演出の実行条件を満たした場合には必ず前兆演出を実行する場合を例に説明したが、他の実施形態では、前兆演出の実行条件を満たした場合の一部に関して前兆演出を実行するようにしてもよい。例えば、前兆演出の実行条件を満たした場合に、前兆演出を実行するか否かを決定するために乱数を用いた演出抽選を行い、その抽選結果に応じて前兆演出を実行することが考えられる。
【０６６８】
［他の態様］
前述した実施例では、演出図柄表示部に表示される演出図柄８Ｌ、８Ｃ、８Ｒを、遊技状態に応じて、当該遊技状態で遊技の主体として設定されている特別図柄（後述の第１特別図柄又は第２特別図柄）の変動表示に同期して変動表示するものとした。すなわち、演出図柄表示部に１の演出図柄（３桁）を表示し、遊技状態に応じて第１特別図柄及び第２特別図柄の一方に同期させることで、第１特別図柄に同期している場合と、第２特別図柄に同期している場合と、を有している。このような態様に変えて、第１演出図柄と第２演出図柄とを表示し、第１演出図柄の変動表示を第１特別図柄の変動表示に同期させ、第２演出図柄を第２特別図柄の変動表示に同期させて変動表示を行うものとしてもよい。また、第１演出図柄及び第２演出図柄の両方を表示する場合には、遊技状態で遊技の主体として設定されている特別図柄（一方の特別図柄）に対応する演出図柄を大きく表示し（主体として表示し）、遊技の主体とされない特別図柄（他方の特別図柄）に対応する演出図柄を小さく表示してもよい。具体的には、１／５以下の表示面積とされている。また、常時、第１演出図柄及び第２演出図柄の両方を表示するのではなく、遊技状態や遊技状況に応じて、第１演出図柄及び第２演出図柄の両方を表示する場合と、第１演出図柄及び第２演出図柄の一方（主体となる図柄）を表示する場合とがあってもよい。
【０６６９】
また、前述の遊技機の構成に対して、遊技球が入球可能な入球可能状態と、遊技球が入球不能な入球不能状態とに変化可能な「可変入球口」と、第１当否判定又は第２当否判定の結果が当りになると可変入球口を入球可能状態とする特別遊技を実行可能な「特別遊技実行手段」と、を備えるものとすることができる。また、「第２始動口」を、第１態様と第１態様よりも遊技球の入球可能性が高い第２の態様とに変化可能な可変式始動口としてもよい。また、可変式始動口への遊技球の入球頻度が所定の頻度の遊技状態（第１の遊技状態）と、当該遊技状態よりも可変式始動口への遊技球の入球頻度が高い遊技状態（第２の遊技状態）とに設定する「遊技状態設定手段」とを備えるものとすることができる。ここで、「所定の頻度」には０を含むものとする。
【０６７０】
また、前述した実施例では、１ラウンドにおける第１大入賞口又は第２大入賞口の開放回数を１回としているが、１ラウンドにおける第１大入賞口又は第２大入賞口の開放回数を複数回としてもよいし、異なる開放回数のラウンドを有するようにしてもよい。また、本実施例では、第１特図保留及び第２特図保留が同時変動可能な制御処理となっているが、第２特図保留を第１特図保留に優先して消化する制御処理、所謂特図２優先の制御処理や、第１特図保留を第２特図保留に優先して消化する制御処理、所謂特図１優先の制御処理としてもよい。また、第１特図保留の消化と第２特図保留の消化とに優先順位を設定せず、第１特図保留及び第２特図保留のうち、最も古く記憶されたものから順に消化する制御処置、所謂入球順（記憶順）消化の制御処理としてもよい。
【０６７１】
また、確率設定手段を備えていない（高確率状態のない）タイプのパチンコ遊技機であって、内部に特定領域を有し、遊技球が入球可能な入球可能状態と遊技球が入球不能な入球不能状態とに変化可能な大入賞口を備え、大入賞口は、始動口への入球に基づく当否判定の結果が小当りとなると所定時間入球可能状態とされ、この入球可能状態となった大入賞口に遊技球が入球し、特定領域を遊技球が通過すると、大当りとなり大当り遊技が実行され、所定の特典が付与されるパチンコ遊技機にも適用される。このパチンコ遊技機は所謂１種２種混合機と呼ばれ、始動口への入球に基づく当否判定の結果が大当りになると、特定領域への通過を要せず、大当り遊技が実行される。また、特典としては、始動口への遊技球の入球頻度を高くする高ベース状態を発生することが挙げられる。また、第１始動口と第２始動口とを有し、第２始動口への入球頻度を高める高ベース状態を発生するものとすることができる。本発明はこれらあらゆるタイプの遊技機に適用することができる。
【０６７２】
また、前述の実施例では、確率変動機能の非作動・作動により、大当り確率を低確率（第１確率）または高確率（第２確率）に設定可能としていたが、大当り確率の種類（数）はこれに限定されるものではなく、例えば、低確率（第１確率）よりも高く高確率（第２確率）よりも低い中確率（第３確率）等、３種類以上の確率を設定可能としてもよい。さらに、第１低確率と第１高確率（第１確率条件）、第２低確率と第２高確率（第２確率条件）、第３低確率と第３高確率（第３確率条件）など、低確率と高確率との関係を定めた複数種の確率条件を設け、当該複数種の確率条件のうちの何れかを、例えば、遊技機の電源投入時に任意に設定可能（選択可能）としてもよい。
【０６７３】
また、前述の実施例では、始動入球に基づく事前判定について、特図保留記憶部に記憶した最新の取得乱数値（取得情報）を読み出して、当該読み出した取得乱数値（取得情報）を判定(事前判定)するものとしていたが（「始動入球時処理（S205）」。図１１、図１３等を参照）、事前判定の手法はこれに限定されるものではない。例えば、特図保留記憶部に加え、事前判定の対象となる取得情報（つまり、始動入球に基づいて取得された取得情報）を記憶する領域（取得情報記憶手段）を主制御部やサブ制御部のＲＡＭに設け、当該記憶領域（事前判定用記憶部）に記憶した取得情報を判定(事前判定)するものとしてもよい。この場合、事前判定の結果を主制御部やサブ制御部のＲＡＭに記憶することで、事前判定に用いた取得情報（別の記憶領域に記憶した取得情報）を消去することも可能である。あるいは、特図保留記憶部に記憶した取得情報について事前判定するのではなく、始動入球に基づいて取得された取得情報について事前判定するものとしてもよい。つまり、取得情報を特図保留記憶部に記憶する前に事前判定するようにしてもよい。この場合、特図保留記憶部と別に、事前判定の対象となる取得情報を記憶する領域を設ける必要はなく、また、特図保留記憶部に記憶した取得情報を事前判定のために読み出す必要もない。
【０６７４】
また、前述の実施例では、演出モードＤ（状態Ｃ、特定遊技状態）において、小当り保留が３個以上連続して記憶されている状況下で特定期間が開始された場合、その特定期間中は、小当り用大入賞口等への入球に基づいて賞球数画像Ｓの表示および賞球カウント画像Ｃ２の加算表示（第２利益演出）が行われ、特定期間が終了すると、その賞球カウント画像Ｃ２により示された獲得賞球数が、賞球カウント画像Ｃ１の獲得賞球数（通算の獲得賞球数、総獲得賞球数）に加算（合算）される演出が行われるものとなっていた。これに対し、特定期間中に新たな第２特図保留（第３始動口２６への入球）が発生し、その保留が事前判定（保留先読み）により小当り保留であると判定された場合、現在実行中の特定期間が延長されるように構成してもよい。例えば、小当り保留が連続して４個記憶されている状況下で特定期間が開始され、その開始後、小当り保留が２個消化されたとする。このとき、特図２保留球数は「２」となる。その状況下で、新たな第２特図保留が発生して特図２保留球数が「３」となり、その保留が小当り保留であると事前判定された場合、特定期間カウンタ（S5005参照）を「＋１」（１加算）する。これにより、新たに発生した（記憶された）小当り保留が消化されて当該小当り保留に係る小当り遊技が完了するまで、特定期間が延長される。あるいは、同じように特定期間が開始された後、小当り保留が２個消化されて特図２保留球数が「２」となった状況下で、特図２保留球数「３」に対応する第２特図保留と、特図２保留球数「４」に対応する第２特図保留とが立て続けに発生したとする。そして、特図２保留球数「３」に対応する第２特図保留は外れ保留であり、特図２保留球数「４」に対応する第２特図保留が小当り保留であると事前判定されたとする。この場合、特定期間カウンタ（S5005参照）を「＋２」（２加算）することで、特図２保留球数「４」に対応する小当り保留が消化されて小当り変動および小当り遊技が完了するまで、特定期間が延長されるようにすることができる。このように、特定期間の開始後に、その特定期間が延長されるようにすることで、賞球数画像Ｓの表示と賞球カウント画像Ｃ２の加算表示（第２利益演出）が行われる期間が延びることとなるため、利益演出の演出効果をより高めることが可能となる。
【０６７５】
また、前述の実施例では、（１）小当り保留が３個以上連続して記憶されていること、（２）特定期間の開始抽選に当選すること、の２つの条件を、特定期間の開始条件としていたが、特定期間の開始条件はこれに限定されるものではない。例えば、連続ではないものの複数（例えば２個以上）の小当り保留が記憶されていることや、連続しているか否かに関わらず所定数以上（例えば３個以上）の小当り保留が記憶されていることを特定期間の開始条件としてもよい。この場合、特定期間の開始条件が実施例に比して緩和され、特定期間がより発生しやすい（開始されやすい）ものとなる。また、特定期間の開始条件を前述した（１）と（２）のうち（１）だけとしてもよい。
【０６７６】
また、前述の実施例では、状態Ｃ（高確低ベース状態）の設定契機となる大当りが発生した場合、状態Ｃに移行する前に、その状態Ｃの演出モードを選択するためのモード選択期間が発生するものとなっており、その大当りが４Ｒ大当り（４Ｒ第１大当り、４Ｒ第４大当り）である場合には、大当り遊技のエンディング期間中にモード選択期間が発生し、１５Ｒ大当り（１５Ｒ第３大当り）である場合には、所定のラウンド遊技（本実施例では１４Ｒ開始〜１５Ｒ途中）にてモード選択期間が発生するものとしていた。これに対し、状態Ｃの設定契機となる大当りのラウンド数が、例えば１０ラウンドの１種類である場合、その１０Ｒ大当りが発生したときの遊技状態が状態Ａ（左打ち遊技）であればエンディング期間中にモード選択期間が発生し、状態Ｂ又はＣ（右打ち遊技）であれば所定のラウンド遊技（例えば、９Ｒ開始〜１０Ｒ途中）にてモード選択期間が発生するようにしてもよい。このうち、後者の場合には、モード選択期間が発生する前のラウンドで、次ラウンドからモード選択期間が開始される旨の報知（選択期間開始前報知）を行うするようにしてもよい。また、大当り遊技中のラウンド遊技にてモード選択期間を発生させる場合の発生時期、すなわち、モード選択期間となるラウンドは実施例に限定されるものではなく、例えば、５Ｒ開始〜６Ｒ終了までとしたり、最終ラウンドのみとしたりする等、どのラウンドで発生させてもよい。さらに、大当りのエンディング期間中にモード選択期間を発生させる場合、エンディング期間開始前の最終ラウンドのラウンド演出にて、このあとモード選択期間が開始される旨の報知（選択期間開始前報知）行うようにしてもよい。
【０６７７】
また、前述の実施例では、モード選択期間での演出モード選択（演出モードＣ又はＤの選択）を、演出ボタンの操作に基づいて実行可能としていた。これに対し、モード選択期間での演出モード選択を、予め定められた複数の演出モードの中から何れかがサブ制御側の抽選等により自動的に選択されるようにしてもよい。この場合、例えば、モード選択期間の開始に伴い、画像表示装置の表示画面上に、複数の演出モードをルーレット状に区分けして示すルーレット画像（モード選択画面の一態様）を表示し、そのうちの一の演出モードがルーレット抽選により決定（選択）される演出（ルーレット演出）を、モード選択期間中の演出（モード選択演出）として行うようにしてもよい。また、本実施例では、状態Ｃの演出モードを２種類（演出モードＣとＤ）としていたが、３種類以上として、その中から一の演出モードを選択可能としてもよい。
【０６７８】
また、前述の実施例で示した演出図柄の変動表示に係る態様（変動態様、停止態様、リーチ演出の態様等）、状態Ｃ（演出モードＣ、Ｄ）での小当りに伴い実行される演出（小当り先読み演出、第１利益演出、第２利益演出等）の態様、演出モードＤにおける予告演出（予告画像の表示）の態様、モード選択期間に係る報知画面やモード選択画面の態様等、各種演出の態様はあくまでも一例であり、本発明に係る演出の態様は実施例に限定されるものではない。
【０６７９】
また、前述の実施例では、演出モードＤにおいて予告画像を表示する場合、画像表示装置７の表示画面７ａ（予告画像表示領域Ｕ）に予告画像を表示するものとしていた。これに対し、第２画像表示装置７１の表示画面７１ａや第３画像表示装置７２の表示画面７２ａなど、当該遊技機が備える他の画像表示装置に予告画像を表示するように構成してもよい。さらに、液晶表示器からなる画像表示装置の他に、ドット表示器やドラム表示器等の他の演出用の表示手段（演出表示装置）を設け、その表示手段を用いて前述の演出モードＤでの予告画像の表示に相当する予告演出を実行可能に構成してもよい。
【０６８０】
また、前述の実施例では、前面枠５１（パチンコ遊技機１）の前面に第２画像表示装置７１及び第３画像表示装置７２を設け、そのうち第２画像表示装置７１については前面枠５１に対して回動可能としていたが、第３画像表示装置７２についても同様に回動可能として、初期状態（第１状態）と、視認窓５１ａの側（前面枠５１の内側）へ傾倒した傾倒状態（第２状態）とを採り得るようにしてもよい。こうすれば、当該遊技機の右側に隣接するホール設備（ＣＲユニット、球貸機、その他台間設備）や遊技機（枠開放）との関係についても支障を来すことのないようにすることが可能となる。
【０６８１】
また、前述の実施例では、遊技盤側（遊技領域の内側）にメイン液晶（主表示装置）として１つの画像表示装置７（盤側表示手段）を設け、遊技機枠側（遊技領域の外側）にサブ液晶（副表示装置）として２つの画像表示装置７１、７２（枠側表示手段）を設けるものとしていたが、サブ液晶（副表示装置）を遊技盤２の側に設けてもよい。この場合、前述の実施例で示した２つのサブ液晶（第２画像表示装置７１、第３画像表示装置７２）に代えて、盤側表示手段として２つのサブ液晶をメイン液晶（第１画像表示装置７）の左右に設けたり、第２画像表示装置７１及び第３画像表示装置７２のうち一方（左サブ液晶または右サブ液晶）に代えて遊技盤側に一のサブ液晶を設けたりすることができる。あるいは、前述の実施例で示した２つのサブ液晶（第２画像表示装置７１、第３画像表示装置７２）を備えつつ、さらに遊技盤側に１又は２以上のサブ液晶を設けることも可能である。これによっても、複数の画像表示装置によるインパクトのある種々の演出表示が可能となる。
【０６８２】
また、前述の実施例では、遊技盤側（遊技領域の内側）に設けられる表示装置（第１画像表示装置７）および遊技機枠側（遊技領域の外側）に設けられる表示装置（第２画像表示装置７１及び第３画像表示装置７２）を、すべて液晶表示装置（液晶表示器）からなる画像表示装置としていたが、表示装置の種類は液晶に限られるものではなく、例えば、ドラム表示器やドット表示器、７セグ表示器等を用いることも可能である。さらに、主表示装置と副表示装置からなる複数の表示装置には、種類が異なるものを混在させてもよい。具体的に、例えば、前述の実施例で示した第１乃至第３画像表示装置のうち、第１画像表示装置７をドラム表示器又は７セグ表示器とし、第２画像表示装置７１及び第３画像表示装置７２を実施例と同様に液晶表示器としてもよい。あるいは、第１画像表示装置７を実施例と同様に液晶表示器とし、第２画像表示装置７１及び第３画像表示装置７２の一方又は両方をドット表示器としてもよい。これにより、表示方式が異なる複数の表示装置による多彩な演出表示が可能となり、遊技興趣を高めることが可能となる。
【０６８３】
また、前述の実施例では、演出図柄８の変動表示および停止表示は、原則として、遊技盤２（遊技領域３）の略中央に位置する表示画面７ａ（メイン液晶）で行いつつ（図５４〜図５８、図６７〜図７３、図７４（ａ）、図７５、図７６を参照）、全回転演出の実行に際して、左側の表示画面７１ａ（左サブ液晶）に左図柄（演出図柄８Ｌ）、中央の表示画面７ａ（メイン液晶）に中図柄（演出図柄８Ｃ）、右側の表示画面７２ａ（右サブ液晶）に右図柄（演出図柄８Ｒ）を表示するものとしていた（図７７の中段を参照）。つまり、変動表示を経て停止表示される演出図柄（停止演出図柄）は、原則、第１画像表示装置７に表示することとしつつ、全回転演出では、停止演出図柄のうち中図柄を第１画像表示装置７（表示画面７ａ）に表示し、左図柄及び右図柄を、それぞれ第２画像表示装置７１（表示画面７１ａ）及び第３画像表示装置７２（表示画面７２ａ）に表示するものとしていた。これに対し、全回転演出以外の変動演出においても、第２画像表示装置７１及び第３画像表示装置７２に、停止演出図柄の一部を表示するように構成してもよい。
【０６８４】
例えば、第１画像表示装置７にて演出図柄８の変動表示を開始した後、その画面上で左図柄と右図柄が停止（仮停止）してリーチ成立となった場合、そのリーチ状態を構成する左図柄及び右図柄（停止演出図柄の一部）を、それぞれ第２画像表示装置７１及び第３画像表示装置７２に表示する。その状態で、第１画像表示装置７にてリーチ演出表示を行った後、その第１画像表示装置７にて中図柄を停止（仮停止）表示した上で、それまで第２画像表示装置７１及び第３画像表示装置７２に表示していた左図柄及び右図柄を、第１画像表示装置７に移動させて中図柄の左右に並べて表示し、最終的に３つの演出図柄（停止演出図柄）を確定表示する。また、例えば、第１画像表示装置７にて演出図柄８が大当り態様（ゾロ目）で表示されたときの図柄種によって確変大当りであるか否かを示すものであって（例えば、赤図柄であれば確変大当り、赤図柄以外の図柄であればチャンス大当りなど）、確変大当りでない大当り態様が表示された場合に所謂「再抽選演出」を行う場合、その再抽選演出の実行に際して、前述の全回転演出のように中図柄を第１画像表示装置７に表示し、左図柄及び右図柄をそれぞれ第２画像表示装置７１及び第３画像表示装置７２に表示して、それら３つの図柄を各表示装置で同期させてスクロール表示することにより、再抽選演出を行う。このようなリーチ演出や再抽選演出のような演出態様（変動演出パターン）を設けることで、変動表示を経て停止表示される演出図柄８（停止演出図柄）の表示バリエーションが増え、変動演出を多様にすることが可能となる。
【０６８５】
また、前述した実施例では、第２画像表示装置７１及び第３画像表示装置７２（副表示装置）を、第１画像表示装置７（主表示装置）に比して小型の液晶表示装置とし、その表示画面を略正方形状のものとしていた（図１参照）。これに対し、第２画像表示装置７１及び第３画像表示装置７２（副表示装置）の大きさ（画面サイズ）を、実施例で示したものよりも大きいものとしてもよい。具体的には、第２画像表示装置７１及び第３画像表示装置７２を、その表示画面の上下方向（縦方向）の長さが、第１画像表示装置７（主表示装置）の表示画面７ａの上下方向（縦方向）の長さと略同じかそれよりも長い縦長矩形の画像表示装置（液晶表示装置）とし、これを前面枠５１の前面であって視認窓５１ａより左側と右側にそれぞれ設けてもよい。この場合においても、前面枠５１の前面左側に設けられる画像表示装置については、前述した実施例と同様に回動可能に軸支されるものとする。このような縦長矩形の画像表示装置を、副表示装置として遊技機枠側（前面枠）に設けることで、遊技者によりインパクトを与えるダイナミックな演出表示が可能となる。特に、遊技機枠側に設けられる副表示装置の表示画面の上下方向（縦方向）の長さを、遊技盤側に設けられる画像表示装置（主表示装置）の表示画面の上下方向（縦方向）の長さと略同じかそれよりも長くして、副表示装置を主表示装置の左右方向（水平方向）に並ぶように配置することで、主表示装置の表示画面上で展開される演出表示が、その左右に位置する副表示装置の何れか一方又は両方に拡張（拡大）するといった演出表示（水平（左右）方向へのワイド表示）が可能となる。
【０６８６】
具体的には、例えば、第１画像表示装置７（主表示装置）での演出図柄の変動表示（変動演出）の実行中であって、その実行中の変動演出の態様（変動演出パターン）が特定の態様である場合、その主表示装置の表示画面に表示されている背景画像（背景画面）の表示領域を、枠側の画像表示装置（副表示装置）の表示画面へ段階的に拡大（拡張）したり、その表示画面全体に一気に拡大（拡張）したりするといった演出が可能である。あるいは、主表示装置にて演出図柄８Ｌ、８Ｃ、８Ｒが変動表示を経て停止表示する際、その演出図柄を拡大表示し、３つの演出図柄８Ｌ、８Ｃ、８Ｒのうち左図柄および右図柄の一部又は全部をそれぞれ左右の副表示装置の表示画面に表示し、中図柄を主表示装置の表示画面に表示するといった演出も可能である。
【０６８７】
尚、遊技盤の略中央（遊技領域の内側）に位置する主表示装置（盤側表示装置）から、その左右（遊技領域の外側）に位置する副表示装置（枠側表示装置）へ表示内容（表示領域）が拡大（拡張）する演出による演出効果を得るには、副表示装置の表示画面の上下方向（縦方向）の長さを、少なくとも、主表示装置の表示画面の上下方向（縦方向）の長さの１／２以上とするのが望ましく、好ましくは２／３以上とすることのが望ましい。
【０６８８】
［その他］
以下、本明細書で開示した実施形態（実施例）に関連する発明を参考発明として開示しておく。
【０６８９】
（参考発明１）
従来、識別情報の変動表示を行う表示手段を備え、その変動表示の表示結果が特定表示結果となったことに基づいて、遊技者にとって有利な特別遊技が実行可能となる遊技機が知られている。この種の遊技機では、識別情報の変動表示を停止したときに表示（導出表示）される識別情報の表示態様によって、変動表示の結果を遊技者に示す（報知する）ことが可能とされている（例えば、特開２００８−３７０号公報を参照）。
【０６９０】
前述のような表示手段を備えた遊技機では、遊技者は、表示手段に表示される識別情報に注目して遊技を進めることとなる。しかしながら、遊技者にとっては、識別情報の変動表示が何度も繰り返されるうちに遊技に飽きを感じるようになってしまい、遊技に対する興味を持続させることが難しくなる。本参考発明１は、上記事情に鑑みてなされたものであり、その目的とするところは、識別情報の表示に関し、遊技者の興味を惹く新たな態様の表示を実現し、遊技興趣の向上を図ることにある。
【０６９１】
前述の課題を解決するための参考発明１−１の遊技機は、
所定条件の成立に基づいて識別情報の変動表示を行い、変動表示を停止したときの識別情報の表示態様により変動表示の結果を報知することが可能とされた遊技機であって、
識別情報の変動表示を実行可能な変動表示手段を備え、
前記変動表示手段は、
識別情報の変動表示を停止する際に所定の停止態様で変動表示を停止するものであり、
変動表示を停止することで表示される識別情報の表示態様によって、変動表示を停止する際の停止態様を異ならせることが可能である
ことを特徴とするものである。
【０６９２】
このような遊技機によれば、変動表示手段にて識別情報の変動表示が行われるなか、変動表示を停止する際、所定の停止態様で変動表示を停止する。そして、変動表示の停止により表示（導出表示）されることとなる識別情報の表示態様によって、その停止態様を異ならせることが可能となっている。このため、遊技者は、識別情報の変動表示が停止する際の停止態様に注目して、その後に表示（導出表示）される識別情報の表示態様を推測することが可能となる。これにより、変動表示が停止する際の停止態様に遊技者の興味を惹きつけて、遊技興趣の向上を図ることが可能となる。
【０６９３】
参考発明１−２の遊技機は、前述した参考発明１−１の遊技機において、
前記識別情報は複数の図柄で構成され、
識別情報の変動表示を停止する際の停止態様として、少なくとも、前記複数の図柄の停止順が所定の第１停止順とされる第１停止態様と、前記複数の図柄の停止順が前記第１停止順と異なる第２停止順とされる第２停止態様と、を有し、
変動表示を停止したときの識別情報の表示態様として、少なくとも、所定の特別遊技の実行契機となる第１表示態様と、前記所定の特別遊技と異なる他の特別遊技の実行契機となる第２表示態様と、特別遊技の実行契機とならない第３表示態様と、を有し、
前記変動表示手段は、
変動表示を停止することで表示される識別情報の表示態様が前記第１表示態様である場合、変動表示を前記第１停止態様で停止可能であり、
変動表示を停止することで表示される識別情報の表示態様が前記第２表示態様または前記第３表示態様である場合、変動表示を前記第２停止態様で停止可能である
ことを特徴とするものである。
【０６９４】
このような遊技機によれば、識別情報が複数の図柄によって構成されており、これら図柄の変動表示によって識別情報の変動表示が行われる。このような構成において、識別情報の変動表示を停止する際の停止態様、すなわち、複数の図柄の変動表示を停止する際の停止態様として、少なくとも、複数の図柄の停止順が第１停止順とされる第１停止態様と、第１停止順（第１停止態様）と異なる第２停止順とされる第２停止態様と、を有しており、また、変動表示を停止したときの識別情報（複数の図柄）の表示態様として、少なくとも、所定の特別遊技の実行契機となる第１表示態様と、その特別遊技とは異なる他の特別遊技の実行契機となる第２表示態様と、特別遊技の実行契機とならない第３表示態様と、を有している。そして、変動表示の停止により表示（導出表示）されることとなる識別情報（複数の図柄）の表示態様が第１表示態様である場合には、複数の図柄の変動表示を第１停止順（第１停止態様）で停止することが可能であり、第２表示態様または第３表示態様である場合には、複数の図柄の変動表示を第２停止順（第２停止態様）で停止することが可能となっている。このため、遊技者は、識別情報の変動表示が停止する際の停止態様を通じて、実行され得る特別遊技の種類やその実行有無、可能性等を推測することが可能となる。これにより、識別情報の変動表示が停止する際の停止態様に遊技者を注目させて、その後の特別遊技に対する期待感を煽ることが可能となる。
【０６９５】
参考発明１−３の遊技機は、前述した参考発明１−２の遊技機において、
変動表示を停止したときの識別情報の表示態様として、さらに、特別遊技の実行契機とならない第４表示態様を有し、
識別情報の変動表示を停止する際の停止態様として、さらに、前記複数の図柄の停止時期が略同じとされる第３停止態様を有し、
前記変動表示手段は、
変動表示を停止することで表示される識別情報の表示態様が第４表示態様である場合、変動表示を前記第２停止態様または前記第３停止態様で停止可能である
ことを特徴とするものである。
【０６９６】
このような遊技機によれば、識別情報（複数の図柄）の変動表示の停止により表示（導出表示）されることとなる識別情報（複数の図柄）の表示態様として、さらに、特別遊技の実行契機とならない第４表示態様を有しており、変動表示の停止により表示（導出表示）されることとなる識別情報（複数の図柄）の表示態様が第４表示態様である場合には、前述の第２停止態様または複数の図柄の停止時期（停止タイミング）が略同じとなる第３停止態様で、複数の図柄の変動表示を停止することが可能なっている。このため、特別遊技の実行契機とならない表示態様が導出表示される場合の変動表示の停止態様に、特別遊技の実行可能性がないことを直ぐに認識し得る態様（第３停止態様）を含めることが可能となる。これにより、識別情報の変動表示が停止する際の停止態様を多様にしつつ、遊技者の特別遊技の実行に対する期待感を徒に煽ることのないようにすることが可能となる。
【０６９７】
参考発明１−４の遊技機は、前述した参考発明１−２または参考発明１−３の遊技機において、
識別情報の変動表示を前記第１停止態様で停止するときに所定の演出表示を実行する
ことを特徴とするものである。
【０６９８】
このような遊技機によれば、識別情報の変動表示を第１停止態様で停止する場合、すなわち、変動表示を停止することで表示（導出表示）される識別情報の表示態様が第１表示態様である場合、これに合わせて所定の演出表示を実行するものとなっている。このため、識別情報が第１表示態様で表示（導出表示）されること、すなわち、第１表示態様の表示を契機とする特別遊技が実行されることを、遊技者に強調して示すことが可能となる。これにより、識別情報の変動表示が第１停止態様で停止する場合の演出効果を高めることが可能となる。
【０６９９】
参考発明１−５の遊技機は、前述した参考発明１−２から参考発明１−４の何れか一つの遊技機において、
識別情報の変動表示が行われるときの遊技状態を制御可能な状態制御手段を備え、
前記遊技状態として、少なくとも、第１遊技状態と第２遊技状態とを有し、
前記第２遊技状態は、前記第１遊技状態に比して、変動表示を停止することで表示される識別情報の表示態様が前記第１表示態様となる頻度が高い
ことを特徴とするものである。
【０７００】
このような遊技機によれば、識別情報の変動表示が行われるときの遊技状態として、少なくとも、第１遊技状態と第２遊技状態とを有しており、第２遊技状態は第１遊技状態に比べ、変動表示の停止により表示される識別情報の表示態様が第１表示態様となる頻度が高いものとなっている。つまり、第２遊技状態は第１表示態様に比べ、第１表示態様の表示を実行契機とする特別遊技（所定の特別遊技）の実行頻度が高いものとなっている。このため、第２遊技状態では、識別情報の変動表示が第１停止態様で停止する頻度が高くなる。これにより、第２遊技状態では、識別情報の変動表示が第１停止態様で停止されるか否かに遊技者を注目させて、第１表示態様の表示が契機となる特別遊技に対する期待感を煽ることが可能となる。
【０７０１】
参考発明１−６の遊技機は、前述した参考発明１−５の遊技機において、
前記識別情報を構成する図柄の種類として、少なくとも、第１図柄種と第２図柄種とを有し、
前記第１表示態様は、前記第１図柄種および前記第２図柄種のうち第２図柄種の図柄で構成され、
前記第１遊技状態にて前記第１図柄種に含まれる図柄の少なくとも一部が、前記第２遊技状態にて第２図柄種とされる
ことを特徴とするものである。
【０７０２】
このような遊技機によれば、識別情報を構成する図柄の種類として、少なくとも、第１図柄種と第２図柄種とを有しており、これら第１図柄種および第２図柄種のうち、第２図柄種の図柄によって第１表示態様が構成されており、第１遊技状態にて第１図柄種に含まれる図柄の少なくとも一部が、第２遊技状態にて第２図柄種とされるものとなっている。このため、第１遊技状態では第１図柄種の図柄であるために第１表示態様を構成し得ない図柄が、第２遊技状態になることで、第１表示態様を構成し得る図柄に変化することとなる。これにより、識別情報の変動表示が停止する際の停止態様だけでなく図柄種にも遊技者を注目させることが可能となる。
【０７０３】
以上の参考発明１によれば、識別情報の表示に関し、遊技者の興味を惹く新たな態様の表示を実現し、遊技興趣の向上を図ることが可能となる。
【０７０４】
（参考発明２）
従来、識別情報の変動表示の表示結果が特定表示結果になると可変入球口（例えば大入賞口）への遊技球の入球が可能となり、その可変入球口に遊技球が入球することに基づいて遊技者に所定の遊技利益（例えば賞球）が付与される遊技機が知られている。この種の遊技機において、可変入球口への遊技球の入球に応じて付与される遊技利益の量、すなわち遊技者が獲得することとなる遊技利益の量（獲得利益量）を、所定の表示領域に表示するものが知られている（例えば、特開２０１０−３５６６４号公報を参照）。
【０７０５】
しかしながら、前述したような獲得利益量の表示は既に多くの遊技機が採用しており、新鮮味に欠ける演出となっている。本参考発明２は、上記事情に鑑みてなされたものであり、その目的とするところは、獲得利益量を表示する演出として新規な態様の演出を実現し、遊技興趣の向上を図ることにある。
【０７０６】
前述の課題を解決するための参考発明２−１の遊技機は、
遊技球が入球不能な状態と入球可能な状態とに変化可能な可変入球口と、
前記可変入球口への入球に基づいて所定の遊技利益を付与可能な利益付与手段と、
前記利益付与手段により遊技利益が付与される場合の獲得利益量を表示する利益演出を実行可能な利益演出実行手段と、
遊技状態を制御可能な状態制御手段と、を備え、
前記状態制御手段は、制御条件の成立に基づいて遊技状態を特定遊技状態に制御可能であり、
前記利益演出実行手段は、少なくとも、前記特定遊技状態での前記可変入球口への入球に基づいて獲得利益量を加算表示する第１利益演出と、前記特定遊技状態における特定期間での前記可変入球口への入球に基づいて獲得利益量を加算表示する第２利益演出と、を実行可能である
ことを特徴とするものである。
【０７０７】
このような遊技機によれば、特定遊技状態に制御されているときに遊技球が可変入球口に入球し、これに応じて遊技者に所定の遊技利益が付与される場合に、その付与される遊技利益の量（獲得利益量）を表示する演出（利益演出）として、第１利益演出と第２利益演出の少なくとも２種類の演出が実行可能となっており、そのうち第２利益演出については、特定遊技状態中の特定期間に実行されるものとなっている。これにより、特定遊技状態における可変入球口への入球に基づいて実行される利益演出に遊技者の興味を惹きつけ、遊技興趣の向上を図ることが可能となる。
【０７０８】
参考発明２−２の遊技機は、前述した参考発明２−１の遊技機において、
前記利益演出実行手段は、前記特定期間以外の期間では前記第２利益演出を実行せず前記第１利益演出を所定の第１表示部で実行可能であるとともに、前記特定期間では前記第１利益演出を実行せず前記第２利益演出を所定の第２表示部で実行可能であり、
前記特定期間の終了後、該特定期間での前記第２利益演出により前記第２表示部に表示された獲得利益量を、前記第１表示部に表示される獲得利益量に加算表示する演出を実行可能である
ことを特徴とするものである。
【０７０９】
このような遊技機によれば、特定遊技状態中、特定期間以外の期間では、可変入球口への入球に基づいて第１利益演出が第１表示部にて実行され、特定期間では、可変入球口への入球に基づいて第２利益演出が第２表示部にて実行される。また、特定期間が終了すると、その特定期間にて実行された第２利益演出により加算表示された獲得利益量（第２表示部に表示された獲得利益量）を、第１利益演出が行われる第１表示部に表示される獲得利益量に加算表示（合算）する演出が実行される。これにより、特定遊技状態中の獲得利益量の表示態様に変化を持たせて、利益演出の演出効果を高めることが可能となる。
【０７１０】
参考発明２−３の遊技機は、前述した参考発明２−１または参考発明２−２の遊技機において、
取得条件の成立に基づいて取得された取得情報を記憶可能な取得情報記憶手段と、
取得情報に基づいて識別情報の変動表示を実行可能な識別情報表示手段と、
前記変動表示の実行前に取得情報が特定取得情報であるか否かの事前判定を実行可能な事前判定手段と、を備え、
前記変動表示の表示結果が特定表示結果となることに基づいて前記可変入球口への入球が可能となるものであり、
前記特定取得情報は、前記変動表示の表示結果として前記特定表示結果を導出する取得情報であり、
前記特定期間は、前記特定遊技状態での前記事前判定の結果、所定数の特定取得情報が前記取得情報記憶手段に記憶されていることとなった場合に開始可能な期間である
ことを特徴とするものである。
【０７１１】
このような遊技機によれば、取得条件の成立に基づいて取得された取得情報が記憶可能となっており、取得情報に基づいて識別情報の変動表示が実行可能となっている。変動表示の実行前には、取得情報が特定取得情報であるか否かの事前判定が実行可能となっており、取得情報が特定取得情報である場合、その特定取得情報に基づく変動表示の表示結果として特定表示結果が導出され、これを契機に可変入球口への入球が可能となる。そして、特定遊技状態における特定期間は、所定数の特定取得情報が記憶されている状況下で開始可能な期間となっている。つまり、所定数の特定取得情報を契機に可変入球口への入球が可能になることが確定している状況下で開始可能な期間となっている。これにより、特定遊技状態中、特定期間の開始に伴う第２利益演出の実行機会を確保して、利益演出の演出効果を高めることが可能となる。
【０７１２】
参考発明２−４の遊技機は、前述した参考発明２−３の遊技機において、
前記特定期間は、その開始の際に前記取得情報記憶手段に記憶されている特定取得情報を契機として前記可変入球口への入球が可能となった後に終了する
ことを特徴とするものである。
【０７１３】
このような遊技機によれば、特定期間の開始の際に記憶されている特定取得情報に基づく変動表示の実行を経て特定表示結果が導出され、これに基づいて可変入球口への入球が可能となった後、特定期間が終了する。これにより、特定期間中に第２利益演出が実行されることの確実性を増すことが可能となる。
【０７１４】
参考発明２−５の遊技機は、前述した参考発明２−３または参考発明２−４の遊技機において、
前記事前判定手段は、前記特定期間中も前記事前判定を実行可能であり、
前記特定期間中の前記事前判定により、新たに特定取得情報である旨の判定結果が得られたことに基づいて、前記特定期間が延長される
ことを特徴とするものである。
【０７１５】
このような遊技機によれば、特定期間中も事前判定が実行可能となっており、特定期間中に新たに取得された取得情報について事前判定が実行され、その取得情報が特定取得情報である旨の判定結果が得られた場合には、特定期間が延長されるものとなっている。これにより、第２利益演出が実行される期間が延びることとなるため、利益演出の演出効果をより高めることが可能となる。
【０７１６】
参考発明２−６の遊技機は、前述した参考発明２−３から参考発明２−５の何れか一つの遊技機において、
前記特定遊技状態において、前記事前判定により特定取得情報である旨の判定結果が得られたことに基づいて所定演出を実行可能であり、
所定演出を実行する場合、そのとき記憶されている特定取得情報の数によって、実行する所定演出の演出態様が異なる
ことを特徴とするものである。
【０７１７】
このような遊技機によれば、特定遊技状態において、取得情報が特定取得情報である旨の事前判定の結果が得られることに基づいて、所定演出が実行可能となっており、その所定演出の演出態様は、所定演出を実行するときの特定取得情報の記憶数によって異なるものとなっている。これにより、特定遊技状態中は利益演出と所定演出による演出効果を奏することが可能となり、その結果、特定遊技状態の興趣を高めることが可能となる。
【０７１８】
以上の参考発明２によれば、獲得利益量を表示する演出として新規な態様の演出を実現し、遊技興趣の向上を図ることが可能となる。
【０７１９】
（参考発明３）
従来、識別情報の変動表示を行い、その変動表示の表示結果が特定表示結果となることに基づいて特別遊技が実行可能となる遊技機が広く知られている。この種の遊技機において、複数の演出モードの何れかを手動入力操作により選択できるように構成したものが存在する（例えば特許文献１を参照）。演出モードの選択が可能となる時期としては、例えば、識別情報の変動表示中、待機画面（デモ画面）の表示中、特別遊技中（例えば大当り遊技中）など、様々な時期に設定することが可能である。また、特別遊技中に演出モードの選択が可能となる構成では、当該特別遊技後の演出モードが選択の対象とされるものがある（例えば、特開２００６−１７４９５６号公報を参照）。
【０７２０】
しかしながら、特別遊技後の演出モードを特別遊技中に選択可能とした従来の構成では、その選択可能な時期の発生態様やその発生を示す報知態様が画一的であり、新鮮味に欠けるという問題があった。本参考発明３は、上記事情に鑑みてなされたものであり、その目的とするところは、特別遊技後の演出モードの選択を新規な態様で行うものとし、遊技興趣の向上を図ることにある。
【０７２１】
前述の課題を解決するための参考発明３−１の遊技機は、
遊技球が入球不能な状態と入球可能な状態とに変化可能な可変入球口と、
識別情報の変動表示の表示結果が特定表示結果となることに基づいて特別遊技を実行可能な特別遊技実行手段と、を備え、
前記特別遊技は所定回数のラウンド遊技により構成され、
前記ラウンド遊技にて前記可変入球口への入球が可能となるように構成された遊技機であって、
識別情報の変動表示が行われるときの演出モードとして複数の演出モードを有し、
前記特別遊技の開始後の所定時期に、当該特別遊技が終了した後の演出モードを前記複数の演出モードの中から選択可能とする選択期間を発生可能な選択期間発生手段と、
前記特別遊技中の所定ラウンド遊技にて前記選択期間を発生させる場合に、当該所定ラウンド遊技の前のラウンド遊技にて選択期間開始前の報知を行う第１報知手段と、を備える
ことを特徴とするものである。
【０７２２】
このような遊技機によれば、特別遊技が開始された後の所定時期に、当該特別遊技が終了した後の演出モードを複数の演出モードの中から選択可能とする選択期間が発生可能となっており、その選択期間が当該特別遊技中の所定ラウンド遊技で発生する場合には、その所定ラウンド遊技の前のラウンド遊技にて、選択期間開始前の報知が行われるものとなっている。このため、特別遊技中の所定ラウンド遊技にて演出モード選択が可能になる（選択期間が発生する）ことを、それより前のラウンド遊技にて事前に報知した上で、演出モードの選択期間の発生（開始）を迎えるといった、新規な態様での演出モード選択が可能となる。これにより、特別遊技後の演出モードの選択に遊技者の興味を惹きつけることが可能となり、延いては遊技興趣の向上を図ることが可能となる。
【０７２３】
尚、選択期間における演出モードの選択には、例えば、遊技機に設けられた所定の入力手段を用いて遊技者が複数の演出モードの何れかを選択入力する手動選択や、複数の演出モードの何れかが自動的に選択される自動選択が含まれる。
【０７２４】
参考発明３−２の遊技機は、前述した参考発明３−１の遊技機において、
前記特別遊技中の所定ラウンド遊技にて前記選択期間を発生させる場合に、当該所定ラウンド遊技にて選択期間中の報知を行う第２報知手段と、
前記所定ラウンド遊技が終了して次のラウンド遊技が開始されると、選択期間終了前の報知を行う第３報知手段と、を備え、
前記選択期間は、前記第３報知手段による報知が行われるラウンド遊技中に終了する
ことを特徴とするものである。
【０７２５】
このような遊技機によれば、所定ラウンド遊技にて演出モードの選択期間が発生すると、その所定ラウンド遊技では選択期間中の報知が行われ、その後に所定ラウンド遊技が終了して次のラウンド遊技が開始されると、そのラウンド遊技（所定ラウンド遊技の次のラウンド遊技）では選択期間終了前の報知が行われる。そして、選択期間終了前の報知が行われるラウンド遊技中（所定ラウンド遊技の次のラウンド遊技中）に、選択期間が終了するものとなっている。このため、所定ラウンド遊技にて演出モードの選択期間が発生する場合には、その所定ラウンド遊技の前のラウンド遊技で行われる選択期間開始前の報知（第１報知手段による報知）と、その所定ラウンド遊技で行われる選択期間中の報知（第２報知手段による報知）と、その所定ラウンド遊技の次のラウンド遊技で行われる選択期間終了前の報知（第３報知手段による報知）により、特別遊技後の演出モードの選択を遊技者に促すことが可能となる。このように、複数のラウンド遊技に亘って特別遊技後の演出モードの選択を遊技者に促すといった新規な報知態様を採ることにより、演出モード選択に遊技者の興味を惹きつけることが可能となる。また、演出モードの選択期間は、所定ラウンド遊技の開始から次のラウンド遊技の途中までとなっており、選択期間の開始前から終了にかけて前述の報知が行われるので、遊技者が演出モードの選択期間の発生に気付かずに演出モード選択の機会を逸してしまうことのないようにすることが可能となる。
【０７２６】
参考発明３−３の遊技機は、前述した参考発明３−１または参考発明３−２の遊技機において、
識別情報の変動表示が行われるときの遊技状態を制御可能な状態制御手段を備え、
前記遊技状態として、少なくとも、第１遊技状態と、前記第１遊技状態よりも遊技者に有利な第２遊技状態と、を有し、
前記第１遊技状態にて前記変動表示の表示結果が特定表示結果となって前記特別遊技が実行される場合と、前記第２遊技状態にて前記変動表示の表示結果が特定表示結果となって前記特別遊技が実行される場合とで、前記選択期間の発生時期が異なる
ことを特徴とするものである。
【０７２７】
このような遊技機によれば、第１遊技状態にて変動表示の表示結果が特定表示結果となって特別遊技が実行される場合と、第１遊技状態よりも遊技者に有利な第２遊技状態にて変動表示の表示結果が特定表示結果となって特別遊技が実行される場合とで、演出モードの選択期間の発生時期が異なるものとなっている。これにより、特定表示結果が導出されたときの遊技状態によってその後の演出モード選択可能時期を異ならせるといった、新規な態様での演出モード選択が可能となり、演出モード選択が単調になるのを防ぐことが可能となる。
【０７２８】
参考発明３−４の遊技機は、前述した参考発明３−３の遊技機において、
前記第１遊技状態にて前記変動表示の表示結果が特定表示結果となって前記特別遊技が実行される場合、当該特別遊技を構成するラウンド遊技のすべてが終了した後に前記選択期間が発生するとともに選択期間中の報知が行われ、
前記第２遊技状態にて前記変動表示の表示結果が特定表示結果となって前記特別遊技が実行される場合、当該特別遊技中の所定ラウンド遊技にて前記選択期間が発生する
ことを特徴とするものである。
【０７２９】
このような遊技機によれば、第１遊技状態にて変動表示の表示結果が特定表示結果となって特別遊技が実行される場合には、当該特別遊技を構成するラウンド遊技のすべてが終了した後に演出モードの選択期間が発生して、選択期間中の報知が行われるものとなっている。他方、第１遊技状態よりも遊技者に有利な第２遊技状態にて変動表示の表示結果が特定表示結果となって特別遊技が実行される場合には、当該特別遊技中の所定ラウンド遊技にて演出モードの選択期間が発生するものとなっており、この場合、前述の第１報知手段による報知（選択期間開始前の報知）、第２報知手段による報知（選択期間中の報知）および第３報知手段による報知（選択期間終了前の報知）がそれぞれ行われることとなる。このため、第１遊技状態にて特定表示結果が導出されて特別遊技が実行される場合は、すべてのラウンド遊技の終了後に演出モード選択の機会を遊技者に与えることとなり、第２遊技状態にて特定表示結果が導出されて特別遊技が実行される場合は、すべてのラウンド遊技が終了するまでに演出モード選択の機会を遊技者に与えることとなる。これにより、特定表示結果が導出されたときの遊技状態が第１遊技状態であるのか第２遊技状態であるのかによって、演出モード選択の態様を異ならせることが可能となり、遊技者に違った印象を与えることが可能となる。
【０７３０】
参考発明３−５の遊技機は、前述した参考発明３−１から参考発明３−４の何れか一つの遊技機において、
前記特別遊技として複数種の特別遊技を有し、
実行される特別遊技の種類によって前記選択期間の発生時期が異なる
ことを特徴とするものである。
【０７３１】
このような遊技機によれば、変動表示の表示結果が特定表示結果となることに基づいて実行される特別遊技の種類によって、演出モードの選択期間の発生時期が異なるものとなっている。これにより、実行される特別遊技の種類によって演出モード選択可能時期を異ならせるといった、新規な態様での演出モード選択が可能となり、演出モード選択が単調になるのを防ぐことが可能となる。
【０７３２】
参考発明３−６の遊技機は、前述した参考発明３−５の遊技機において、
前記複数種の特別遊技として、少なくとも、第１特別遊技と、前記第１特別遊技よりもラウンド遊技の回数が多い第２特別遊技と、を有し、
前記第１特別遊技が実行される場合、当該第１特別遊技を構成するラウンド遊技のすべてが終了した後に前記選択期間が発生するとともに選択期間中の報知が行われ、
前記第２特別遊技が実行される場合、当該第２特別遊技中の所定ラウンド遊技にて前記選択期間が発生する
ことを特徴とするものである。
【０７３３】
このような遊技機によれば、特別遊技を構成するラウンド遊技の回数が相対的に少ない第１特別遊技が実行される場合には、当該第１特別遊技を構成するラウンド遊技のすべてが終了した後に演出モードの選択期間が発生して、選択期間中の報知が行われるものとなっている。他方、特別遊技を構成するラウンド遊技の回数が相対的に多い第２特別遊技が実行される場合には、当該第２特別遊技中の所定ラウンド遊技にて演出モードの選択期間が発生するものとなっており、この場合、前述の第１報知手段による報知（選択期間開始前の報知）、第２報知手段による報知（選択期間中の報知）および第３報知手段による報知（選択期間終了前の報知）がそれぞれ行われることとなる。このため、第１特別遊技（ラウンド遊技の回数が相対的に少ない特別遊技）が実行される場合は、すべてのラウンド遊技の終了後に演出モード選択の機会を遊技者に与えることとなり、第２特別遊技（ラウンド遊技の回数が相対的に多い特別遊技）が実行される場合は、すべてのラウンド遊技が終了するまでに演出モード選択の機会を遊技者に与えることとなる。これにより、第１特別遊技が実行される場合と第２特別遊技が実行される場合とで、演出モード選択の態様を異ならせることが可能となり、遊技者に違った印象を与えることが可能となる。
【０７３４】
以上の参考発明３によれば、特別遊技後の演出モードの選択を新規な態様で行うことにより、遊技興趣の向上を図ることが可能となる。
【０７３５】
（参考発明４）
また、特許文献１（特開２０１７−０５５８１１）では、第２始動口を可変式の始動口とし、低ベース状態においては入球頻度を低くし、高ベース状態においては入球頻度を高めることで、低ベース状態では第１始動口を狙って遊技し、高ベース状態では第２始動口を狙って遊技するものがあった。また、大当り遊技や高ベース状態になると、遊技領域の右側領域を狙って遊技する所謂右打ち遊技を行う遊技機があった。このような遊技機では、低ベース状態では、左打ち遊技を行い、一旦有利状態になると、当該有利状態が終了するまで右打ち遊技で遊技を行うものとし、有利状態の遊技にメリハリをつけるものであった。
【０７３６】
然しながら、特許文献１の遊技機では、各種入球口が単に右打ち領域に配されており、効率的な遊技を進行できているとはいいがたいものであった。前述の事情に鑑みて、従来の遊技機とは異なり、所定の遊技領域において、各種入球口を所定の位置に配することで、遊技性の多様化を可能にすると共に、遊技効率を高め且つ遊技興趣を高める遊技機を提供する。
【０７３７】
参考発明４−１の遊技機は、
遊技球が入球可能な特定始動口と、
第１状態と、前記第１状態よりも遊技球の入球可能性が高い第２状態とに変化可能な可変始動口と、
遊技球が入球可能な入球可能状態と遊技球が入球不能な入球不能状態とに変化可能な第１可変入球口と、
遊技球が入球可能な入球可能状態と遊技球が入球不能な入球不能状態とに変化可能な第２可変入球口と、
前記特定始動口への入球に基づいて変動表示する特定識別情報と、
前記可変始動口への入球に基づいて変動表示する識別情報と、
前記特定識別情報が特定態様で停止表示すると、前記可変始動口が第２状態となる特定遊技を実行する特定遊技実行手段と、
前記識別情報が特別態様で停止表示すると、前記第１可変入球口又は前記第２可変入球口が入球可能状態となる特別遊技を実行する特別遊技実行手段と、
を備えた遊技機であって
遊技領域の上流から特定始動口、第１可変入球口、可変始動口、第２可変入球口の順に配置したことを特徴とするものである。
【０７３８】
このような遊技機によれば、遊技領域の所定の個所に、特定始動口、第１可変入球口、可変始動口、第２可変入球口とを設けており、これらを遊技領域の上流から下流に、特定始動口、第１可変入球口、可変始動口、第２可変入球口の順に配置する。これにより、効率的な遊技の進行を可能とする。
【０７３９】
具体的に、遊技を円滑に進行するためには、まずは、特別遊技の実行に係る可変始動口を第２状態（開状態）とする必要があり、これに係る特定始動口を、これらの入球口のなかで最上流に配置する。これにより、まず可変始動口を第２状態（開状態）とする可能性を高める。また、特定始動口を入球（通過）した遊技球がその後も遊技領域を流下するゲートタイプ（ゲート２８）とすることで、その後の遊技も円滑に進行する。また、特定始動口の下流に第１可変入球口を配置したことで、特別遊技が実行された際の入球を迅速にし、短期間で多量の遊技球の獲得を可能にする。また、第１可変入球口を可変始動口よりも上流に設けることで、特別遊技中に第２状態となった可変始動口に遊技球が入球して、第１可変入球口への入球が阻害されるといった事態も防止することが可能となる。
【０７４０】
また、可変始動口を第１可変入球口の下流に配置することで、特別遊技において第１可変入球口が入球可能状態となっている場合を除き、第２状態の可変始動口に、流下する遊技球を他の入球口に優先して入球させることが可能となる。これにより、可変始動口が第２状態となっているにもかかわらず、当該可変始動口に入球しないといった事態を極力防止することが可能となる。また、第２可変入球口を可変始動口の下流に配置することで、可変始動口の第１状態と第２状態との変化に基づいて第２可変入球口への遊技球の入球頻度が変化することとなり、多様な遊技性を付加することが可能となる。これにより、円滑な遊技の進行を提供しつつ、遊技性の多様化を可能とする。
【０７４１】
また、参考発明４−２の遊技機は、参考発明４−１の遊技機において、
前記特別態様として、第１特別態様と第２特別態様とを有し、
前記特別遊技として、第１特別遊技と第２特別遊技とを有し、
前記識別情報が前記第１特別態様で停止表示すると、前記第１特別遊技が実行され、前記識別情報が前記第２特別態様で停止表示すると、前記第２特別遊技が実行され、
前記第１特別遊技は、前記第２特別遊技よりも獲得可能な遊技利益が多いものとされ、
前記第１可変入球口は前記第１特別遊技において入球可能状態となり、前記第２可変入球口は前記第２特別遊技において入球可能状態となることを特徴とするものである。
【０７４２】
このような遊技機によれば、特別遊技を実行することとなる識別情報の停止表示の態様として、第１特別態様と第２特別態様とを有し、特別遊技として、第１特別遊技と第２特別遊技とを有している。そして、第１特別遊技を第２特別遊技よりも獲得可能な遊技利益が多い特別遊技とし、第１特別遊技では第１可変入球口を入球可能状態（開状態）とし、第２特別遊技では第２可変入球口を入球可能状態とする。
【０７４３】
具体的に、まずは、可変始動口を第２状態（開状態）とするため、これに係る特定始動口を、これらの入球口のなかで最上流に配置している。次に、特定始動口の下流に第１可変入球口を配置したことで、遊技利益量の大きい第１特別遊技が実行された際の入球を迅速にし、短期間で多量の遊技球の獲得を可能にする。また、次に、可変始動口を第１可変入球口の下流に配置することで、特別遊技において第１可変入球口が入球可能状態となっている場合を除き、第２状態の可変始動口に、流下する遊技球を他の入球口に優先して入球させることが可能となる。また、遊技利益量の小さい第２特別遊技において入球可能状態となる第２可変入球口は、可変始動口の下流に配置し、多様な遊技性を付加することが可能となる。これにより、円滑な遊技の進行を提供しつつ、遊技性の多様化を可能とする。
【０７４４】
尚、第１特別態様と第２特別態様として、例えば、異なる停止図柄を例示できる。また、第１特別遊技と第２特別遊技として、例えば、実行態様（ラウンド数や開放時間や獲得可能な利益や開状態とする可変入球口）の異なる特別遊技を例示できる。
【０７４５】
また、参考発明４−３の遊技機は、参考発明４−２の遊技機において、
前記可変始動口への遊技球の入球頻度が所定頻度の第１遊技状態と、前記第１遊技状態よりも前記可変始動口への遊技球の入球頻度が高い第２遊技状態と、を設定可能な遊技状態設定手段を備え、
前記第２遊技状態において、遊技領域の上流側に配置される前記可変始動口に遊技球を入球させて、前記可変始動口よりも下流側に配置される前記第２可変入球口への入球を困難とすることで、
前記第２特別遊技が発生した際の前記第２可変入球口への遊技球の入球可能性を、前記第２遊技状態よりも前記第１遊技状態の方が高いことを特徴とするものである。
【０７４６】
このような遊技機によれば、可変始動口への遊技球の入球頻度が低い第１遊技状態と、当該第１遊技状態よりも入球頻度が高い第２遊技状態と、を設定可能とし、上流側に配置した可変始動口が第２状態（開状態）になることによって、下流側に配置した第２可変入球口への遊技球の入球を困難としている。これにより、第２特別遊技で第２可変入球口が入球可能状態（開状態）となった際に、第１遊技状態の方が、第２遊技状態よりも、第２可変入球口への遊技球の入球頻度が高いものとしている。またこれにより、第２特別遊技が発生した際の遊技状態によって、第２可変入球口への入球頻度を異ならせ、遊技性を多様化し、遊技興趣を高めることが可能となる。
【０７４７】
また、参考発明４−４の遊技機は、参考発明４−３の遊技機において、
前記可変始動口への入球によって獲得する遊技利益よりも、前記第２可変入球口への入球によって獲得する遊技利益の方が多いことを特徴とするものである。
【０７４８】
このような遊技機によれば、遊技球が入球したことによって獲得可能な遊技利益（例えば、遊技球が１球入球したことにより付与される賞球）を、可変始動口よりも第２可変入球口の方を多くする。前述したように、第２特別遊技が発生した際に、可変始動口が第２状態となり難い第１遊技状態では、流下してきた遊技球は下流側の第２可変入球口に入球し易く、可変始動口が第２状態となり易い第２遊技状態では、上流側の可変始動口に入球し易くなる。これにより、遊技者は、可変始動口よりも獲得可能な遊技利益が多くなる第２可変入球口への入球に期待し、第１遊技状態で第２特別遊技が発生することに期待し、遊技興趣を高める。また、これにより、第１遊技状態と第２遊技状態とで、同じ第２特別遊技が発生した際の、獲得可能な遊技利益を異ならせ、遊技性を多様化し、遊技興趣を高めることが可能となる。
【０７４９】
また、参考発明４−５の遊技機は、参考発明４−４の遊技機において、
前記第２特別遊技の実行に基づいて遊技状態は変化しないことを特徴とするものである。
【０７５０】
このような遊技機によれば、第２特別遊技の実行によって遊技状態を変化しない、すなわち、第２特別遊技実行前の遊技状態と第２特別遊技実行後の遊技状態を同じ遊技状態とする。これにより、第１遊技状態で第２特別遊技を実行可能な状態となれば、当該第１遊技状態において第２特別遊技の実行後も第１遊技状態が継続するため、複数回の第２特別遊技を発生させることで、より多くの遊技利益を獲得することが可能となる。
【０７５１】
また、参考発明４−６の遊技機は、参考発明４−２乃至参考発明４−５の遊技機において、
前記第１特別遊技は大当り遊技であり、前記第２特別遊技は小当り遊技であることを特徴とするものである。
【０７５２】
このような遊技機によれば、第１特別遊技は大当り遊技であり、第２特別遊技は小当り遊技である。
【０７５３】
また、参考発明４−７の遊技機は、参考発明４−１乃至参考発明４−６の遊技機において、
遊技球が入球可能な第１始動口と、
前記第１始動口への入球に基づいて変動表示する第１識別情報と、を備え、
前記第１識別情報と前記識別情報とを並行して変動表示可能であることを特徴とするものである。
【０７５４】
このような遊技機によれば、第１始動口への入球に基づいて変動表示する第１識別情報と、可変始動口への入球に基づいて変動表示する識別情報と、を並行して（同時に）変動表示可能とされる。これにより、第１識別情報と識別情報とを並行して（同時に）変動表示できる同時変動遊技機（同時変動機）において、円滑な遊技の進行を提供しつつ、遊技性の多様化を可能とする。
【０７５５】
本参考発明の遊技機によれば、円滑な遊技の進行を可能にしつつ、遊技性を多様化し、遊技興趣の向上を図ることが可能となる。
【０７５６】
（参考発明５）
また、特許文献１（特開２０１７−０５５８１１）では、遊技状態として、複数の遊技状態を有しており、大当り遊技の実行を契機として、通常状態から遊技者に有利な確変状態や時短状態に移行する遊技機となっている。また、有利状態において、図柄が所定回数変動表示する間に次回の大当り遊技が発生しない場合には、有利状態を終了させて、通常状態に戻るといった設定となっている。このような遊技機では、遊技状態の移行によって遊技の飽きを防止するといった一定の効果を発揮していた。
【０７５７】
然しながら、特許文献１の遊技機や従来の遊技機では、遊技状態の移行態様や移行後の遊技状態が画一的で、遊技興趣を高めるに至っていなかった。本参考発明は、前述の事情に鑑みてなされたものであり、遊技状態の移行態様に特徴を持たせることで、遊技性を多様化し、遊技興趣を高める遊技機を提供するものである。
【０７５８】
参考発明５−１の遊技機は、
遊技球が入球可能な第１始動口と、
第１状態と、前記第１状態よりも遊技球の入球可能性が高い第２状態とに変化可能な第２始動口と、
遊技球が入球可能な入球可能状態と遊技球が入球不能な入球不能状態とに変化可能な第１可変入球口と、
遊技球が入球可能な入球可能状態と遊技球が入球不能な入球不能状態とに変化可能な第２可変入球口と、
前記第１始動口への入球に基づいて変動表示する第１識別情報と、
前記第２始動口への入球に基づいて変動表示する第２識別情報と、
前記可変始動口への遊技球の入球頻度が所定頻度の第１遊技状態と、前記第１遊技状態よりも前記可変始動口への遊技球の入球頻度が高い第２遊技状態と、を設定可能な遊技状態設定手段と、
前記第１識別情報又は前記第２識別情報の変動表示の結果が特定結果となると、前記第１可変入球口又は前記第２可変入球口が入球可能状態となる特別遊技を実行する特別遊技実行手段と、
前記第１識別情報又は前記第２識別情報の変動表示の結果が特定結果となる確率として、所定確率と、前記所定確率よりも高い高確率と、を設定可能な確率設定手段と、を備えた遊技機であって、
前記特定結果として、第１特定結果を有し、
前記第１特定結果となると、前記特別遊技終了後の遊技状態が、前記高確率且つ前記第２遊技状態に設定され、当該遊技状態において、前記第１識別情報と前記第２識別情報との変動表示の回数が特定回数になると、遊技状態が前記高確率且つ前記第１遊技状態に変化する
ことを特徴とするものである。
【０７５９】
このような遊技機によれば、第１遊技状態と第２遊技状態とを設定可能な遊技状態設定手段と、所定確率と高確率とを設定可能な確率設定手段と、を備えている。そして、特別遊技終了後の遊技状態が、高確率且つ第２遊技状態に設定された場合、当該高確率且つ第２遊技状態において、第１識別情報と第２識別情報との変動表示の回数が特定回数になると、遊技状態が高確率且つ第２遊技状態から、高確率且つ第１遊技状態に変化する。これにより、遊技性を多様化し、遊技興趣を高めることが可能となる。
【０７６０】
また、参考発明５−２の遊技機は、参考発明５−１の遊技機において、
前記特定結果として、第２特定結果を有し、
前記第２特定結果となると、前記特別遊技終了後の遊技状態が、前記所定確率且つ前記第２遊技状態に設定され、当該遊技状態において、前記第１識別情報と前記第２識別情報との変動表示の回数が前記特定回数になると、遊技状態が前記所定確率且つ前記第１遊技状態に変化するものとされ、
前記特別遊技終了後の遊技状態が前記所定確率且つ前記第２遊技状態に設定された場合と、前記特別遊技終了後の遊技状態が前記高確率且つ前記第２遊技状態に設定された場合とで、共通の演出を実行することで、遊技状態が前記所定確率且つ前記第２遊技状態か前記高確率且つ前記第２遊技状態かを遊技者に認識困難とすることを特徴とするものである。
【０７６１】
このような遊技機によれば、特別遊技終了後の遊技状態が、所定確率且つ第２遊技状態に設定された場合、当該所定確率且つ第２遊技状態において、第１識別情報と第２識別情報との変動表示の回数が特定回数になると、遊技状態が所定確率且つ第２遊技状態から、所定確率且つ第１遊技状態に変化する。また、所定確率且つ第２遊技状態と高確率且つ第２遊技状態とで、共通の演出（例えば、背景演出が同じ、出現するキャラクタが同じ、モードが同じ等）を実行することで、遊技者が、所定確率且つ第２遊技状態か、高確率且つ第２遊技状態か、を認識困難としている。これにより、遊技性を多様化し、遊技興趣を高めることが可能となる。またこれにより、遊技者は共通の演出の実行中において、特定回数が経過の際に、遊技状態が高確率且つ第２遊技状態に変化することに期待し、遊技興趣を高めることが可能となる。
【０７６２】
また、参考発明５−３の遊技機は、参考発明５−１又は参考発明５−２の遊技機において、
前記高確率且つ前記第２遊技状態よりも、前記高確率且つ前記第１遊技状態の方が、獲得可能な遊技利益が多いことを特徴とするものである。
【０７６３】
このような遊技機によれば、高確率且つ第２遊技状態よりも、高確率且つ第１遊技状態の方が、獲得可能な遊技利益を多い遊技状態としている。これにより、遊技者は、特定回数の経過によって、遊技状態が高確率且つ第１遊技状態に変化することに期待し、遊技興趣を高める。
【０７６４】
また、参考発明５−４の遊技機は、参考発明５−１乃至参考発明５−３の遊技機において、
遊技領域の上流側に前記第２始動口を設け、前記第２始動口の下流側に前記第２可変入球口を設け、
前記高確率且つ前記第２遊技状態において、遊技領域の上流側に配置される前記第２始動口に遊技球を入球させて、前記第２始動口よりも下流側に配置される前記第２可変入球口への入球を困難とすることで、前記第２特別遊技が発生した際の前記第２可変入球口への遊技球の入球可能性を、前記高確率且つ前記第２遊技状態よりも前記高確率且つ前記第１遊技状態を高くしたことを特徴とするものである。
【０７６５】
このような遊技機によれば、遊技領域の上流側に第２始動口を設け、第２始動口の下流側に第２可変入球口を設ける。そして、上流側に配置した第２始動口が第２状態（開状態）になることによって、下流側に配置した第２可変入球口への遊技球の入球を困難としている。これにより、第２特別遊技で第２可変入球口が入球可能状態（開状態）となった際に、高確率且つ第１遊技状態の方が、高確率且つ第２遊技状態よりも、第２可変入球口への遊技球の入球頻度が高いものとしている。またこれにより、第２特別遊技が発生した際の遊技状態によって、第２可変入球口への入球頻度を異ならせ、遊技性を多様化し、遊技興趣を高めることが可能となる。
【０７６６】
また、参考発明５−５の遊技機は、参考発明５−１乃至参考発明５−４の遊技機において、
前記特別遊技として、第１特別遊技と第２特別遊技とを有し、
前記第１特別遊技は、当該第１特別遊技終了後の遊技状態を変化可能とし、
前記第２特別遊技は、当該第２特別遊技終了後の遊技状態を変化しないものとし、
前記第１可変入球口は前記第１特別遊技において入球可能状態となり、前記第２可変入球口は前記第２特別遊技において入球可能状態となることを特徴とするものである。
【０７６７】
このような遊技機によれば、第１可変入球口を入球可能状態とする第１特別遊技は、第１特別遊技終了後の遊技状態を変化可能とする。また、第２可変入球口を入球可能状態とする第２特別遊技は、第２特別遊技終了後の遊技状態を変化しないものとする。すなわち、第２特別遊技実行前の遊技状態と第２特別遊技実行後の遊技状態を同じ遊技状態とする。これにより、高確率且つ第１遊技状態になると、当該高確率且つ第１遊技状態において第２特別遊技の実行後も高確率且つ第１遊技状態が継続するため、複数回の第２特別遊技を発生させることで、より多くの遊技利益を獲得することが可能となる。
【０７６８】
本参考発明５の遊技機によれば、遊技性を多様化し、遊技興趣の向上を図ることが可能となる。
【０７６９】
（参考発明６）
参考発明６−１の遊技機は、
遊技球が入球可能な第１始動口と、
第１状態と、前記第１状態よりも遊技球の入球可能性が高い第２状態とに変化可能な第２始動口と、
遊技球が入球可能な入球可能状態と遊技球が入球不能な入球不能状態とに変化可能な第１可変入球口と、
遊技球が入球可能な入球可能状態と遊技球が入球不能な入球不能状態とに変化可能な第２可変入球口と、
前記第１始動口への入球に基づいて変動表示する第１識別情報と、
前記第２始動口への入球に基づいて変動表示する第２識別情報と、
前記可変始動口への遊技球の入球頻度が所定頻度の第１遊技状態と、前記第１遊技状態よりも前記可変始動口への遊技球の入球頻度が高い第２遊技状態と、を設定可能な遊技状態設定手段と、
前記第１識別情報又は前記第２識別情報の変動表示の結果が特定結果となると、前記第１可変入球口又は前記第２可変入球口が入球可能状態となる特別遊技を実行する特別遊技実行手段と、
前記第１識別情報又は前記第２識別情報の変動表示の結果が特定結果となる確率として、所定確率と、前記所定確率よりも高い高確率と、を設定可能な確率設定手段と、
所定の発射強度で遊技球を遊技領域に発射する発射装置と、を備えた遊技機であって、
前記第１始動口は、第１発射強度で発射した遊技球が入球可能な第１遊技領域に設けられ、
前記第２始動口は、前記第１発射強度と異なる第２発射強度で発射した遊技球が入球可能な第２遊技領域に設けられ、
前記特定結果として、第１特定結果を有し、
前記第１特定結果となると、前記特別遊技終了後の遊技状態が、前記高確率且つ前記第２遊技状態に設定され、当該遊技状態において、前記第１識別情報と前記第２識別情報との変動表示の回数が特定回数になると、遊技状態が前記高確率且つ前記第１遊技状態に変化し、
前記第１始動口への入球に基づく前記第１識別情報の変動表示の結果として、前記第１特定結果を有しておらず、
前記第２始動口への入球に基づく前記第２識別情報の変動表示の結果として、前記第１特定結果を有する
ことを特徴とするものである。
【０７７０】
このような遊技機によれば、第１遊技状態と第２遊技状態とを設定可能な遊技状態設定手段と、所定確率と高確率とを設定可能な確率設定手段と、を備えている。また、第１始動口は第１発射強度で入球可能な第１遊技領域に設けられており、第２始動口は、第２発射強度で入球可能な第２遊技領域に設けられている。そして、第１特定結果になると、特別遊技終了後の遊技状態が、高確率且つ第２遊技状態に設定された場合、当該高確率且つ第２遊技状態において、第１識別情報と第２識別情報との変動表示の回数が特定回数になると、遊技状態が高確率且つ第２遊技状態から、高確率且つ第１遊技状態に変化する。これにより、遊技性を多様化し、遊技興趣を高めることが可能となる。また、第１識別情報の変動表示の結果としては第１特定結果を有しておらず、第２識別情報の変動表示の結果として第１特定結果を有している。これにより、第１始動口に遊技球を入球させた場合と、第２始動口に遊技球を入球させた場合とで、異なる遊技性を提供でき、遊技性を多様化し、遊技興趣を高めることが可能となる。
【０７７１】
また、参考発明６−２の遊技機は、参考発明６−１の遊技機において、
前記特定結果として、第２特定結果を有し、
前記第２特定結果となると、前記特別遊技終了後の遊技状態が、前記所定確率且つ前記第２遊技状態に設定され、当該遊技状態において、前記第１識別情報と前記第２識別情報との変動表示の回数が前記特定回数になると、遊技状態が前記所定確率且つ前記第１遊技状態に変化するものとされ、
前記特別遊技終了後の遊技状態が前記所定確率且つ前記第２遊技状態に設定された場合と、前記特別遊技終了後の遊技状態が前記高確率且つ前記第２遊技状態に設定された場合とで、共通の演出を実行することで、遊技状態が前記所定確率且つ前記第２遊技状態か前記高確率且つ前記第２遊技状態かを遊技者に認識困難とするものであって、
前記第２始動口への入球に基づく前記第２識別情報の変動表示の結果として、前記第２特定結果を有することを特徴とするものである。
【０７７２】
このような遊技機によれば、第２識別情報の変動表示の結果として第２特定結果を有している。そして、特別遊技終了後の遊技状態が、所定確率且つ第２遊技状態に設定された場合、当該所定確率且つ第２遊技状態において、第１識別情報と第２識別情報との変動表示の回数が特定回数になると、遊技状態が所定確率且つ第２遊技状態から、所定確率且つ第１遊技状態に変化する。また、所定確率且つ第２遊技状態と高確率且つ第２遊技状態とで、共通の演出（例えば、背景演出が同じ、出現するキャラクタが同じ、モードが同じ等）を実行することで、遊技者が、所定確率且つ第２遊技状態か、高確率且つ第２遊技状態か、を認識困難としている。これにより、遊技性を多様化し、遊技興趣を高めることが可能となる。またこれにより、遊技者は共通の演出の実行中において、特定回数が経過の際に、遊技状態が高確率且つ第１遊技状態に変化することに期待し、遊技興趣を高めることが可能となる。
【０７７３】
また、参考発明６−３の遊技機は、参考発明６−１又は参考発明６−２の遊技機において、
前記特定結果として、第３特定結果を有し、
前記第３特定結果となると、前記特別遊技終了後の遊技状態が、前記高確率且つ前記第１遊技状態に設定され、当該遊技状態において、次に前記特定結果となるまで遊技状態を変化しないものとされ、
前記第１始動口への入球に基づく前記第１識別情報の変動表示の結果として、前記第３特定結果を有することを特徴とするものである。
【０７７４】
このような遊技機によれば、第１識別情報の変動表示の結果として第２特定結果を有している。そして、第３特定結果となって特別遊技終了後の遊技状態が、高確率且つ第１遊技状態に設定された場合、次に特定結果となるまで遊技状態を高確率且つ第１遊技状態で維持するものとしている。これにより、第１識別情報の変動表示の結果としては、高確率且つ第２遊技状態から特定回数の変動表示に基づいて高確率且つ第１遊技状態に変化するものを有しないと共に、特別遊技終了後から次回特定結果となるまで、高確率且つ第１遊技状態の遊技状態を保証するものを有している。またこれにより、第１識別情報の変動表示を伴う遊技においては、安心感をもって遊技を行うことを可能にすると共に、遊技性を多様化し、遊技興趣を高めることが可能となる。
【０７７５】
また、参考発明６−４の遊技機は、参考発明６−１乃至参考発明６−３の遊技機において、
前記高確率且つ前記第２遊技状態よりも、前記高確率且つ前記第１遊技状態の方が、獲得可能な遊技利益が多いことを特徴とするものである。
【０７７６】
このような遊技機によれば、高確率且つ第２遊技状態よりも、高確率且つ第１遊技状態の方が、獲得可能な遊技利益を多い遊技状態としている。これにより、遊技者は、特定回数の経過によって、遊技状態が高確率且つ第１遊技状態に変化することに期待し、遊技興趣を高める。
【０７７７】
また、参考発明６−５の遊技機は、参考発明６−１乃至参考発明６−４の遊技機において、
前記第２遊技領域の上流側に前記第２始動口を設け、前記第２始動口の下流側に前記第２可変入球口を設け、
前記高確率且つ前記第２遊技状態において、遊技領域の上流側に配置される前記第２始動口に遊技球を入球させて、前記第２始動口よりも下流側に配置される前記第２可変入球口への入球を困難とすることで、前記第２特別遊技が発生した際の前記第２可変入球口への遊技球の入球可能性を、前記高確率且つ前記第２遊技状態よりも前記高確率且つ前記第１遊技状態を高くしたことを特徴とするものである。
【０７７８】
このような遊技機によれば、第２遊技領域の上流側に第２始動口を設け、第２始動口の下流側に第２可変入球口を設ける。そして、上流側に配置した第２始動口が第２状態（開状態）になることによって、下流側に配置した第２可変入球口への遊技球の入球を困難としている。これにより、第２特別遊技で第２可変入球口が入球可能状態（開状態）となった際に、高確率且つ第１遊技状態の方が、高確率且つ第２遊技状態よりも、第２可変入球口への遊技球の入球頻度が高いものとしている。またこれにより、第２特別遊技が発生した際の遊技状態によって、第２可変入球口への入球頻度を異ならせ、遊技性を多様化し、遊技興趣を高めることが可能となる。
【０７７９】
また、参考発明６−６の遊技機は、参考発明６−１乃至参考発明６−５の遊技機において、
前記特別遊技として、第１特別遊技と第２特別遊技とを有し、
前記第１特別遊技は、当該第１特別遊技終了後の遊技状態を変化可能とし、
前記第２特別遊技は、当該第２特別遊技終了後の遊技状態を変化しないものとし、
前記第１可変入球口は前記第１特別遊技において入球可能状態となり、前記第２可変入球口は前記第２特別遊技において入球可能状態となることを特徴とするものである。
【０７８０】
このような遊技機によれば、第１可変入球口を入球可能状態とする第１特別遊技は、第１特別遊技終了後の遊技状態を変化可能とする。また、第２可変入球口を入球可能状態とする第２特別遊技は、第２特別遊技終了後の遊技状態を変化しないものとする。すなわち、第２特別遊技実行前の遊技状態と第２特別遊技実行後の遊技状態を同じ遊技状態とする。これにより、高確率且つ第１遊技状態になると、当該高確率且つ第１遊技状態において第２特別遊技の実行後も高確率且つ第１遊技状態が継続するため、複数回の第２特別遊技を発生させることで、より多くの遊技利益を獲得することが可能となる。
【０７８１】
本参考発明６の遊技機によれば、遊技性を多様化し、遊技興趣の向上を図ることが可能となる。
【０７８２】
（参考発明７）
また、参考発明７−１の遊技機は、
遊技球が入球可能な第１始動口と、
第１状態と、前記第１状態よりも遊技球の入球可能性が高い第２状態とに変化可能な第２始動口と、
遊技球が入球可能な入球可能状態と遊技球が入球不能な入球不能状態とに変化可能な第１可変入球口と、
遊技球が入球可能な入球可能状態と遊技球が入球不能な入球不能状態とに変化可能な第２可変入球口と、
前記第１始動口への入球に基づいて変動表示する第１識別情報と、
前記第２始動口への入球に基づいて変動表示する第２識別情報と、
前記可変始動口への遊技球の入球頻度が所定頻度の第１遊技状態と、前記第１遊技状態よりも前記可変始動口への遊技球の入球頻度が高い第２遊技状態と、を設定可能な遊技状態設定手段と、
前記第１識別情報又は前記第２識別情報の変動表示の結果が特定結果となると、前記第１可変入球口又は前記第２可変入球口が入球可能状態となる特別遊技を実行する特別遊技実行手段と、
前記第１識別情報又は前記第２識別情報の変動表示の結果が特定結果となる確率として、所定確率と、前記所定確率よりも高い高確率と、を設定可能な確率設定手段と、を備えた遊技機であって、
前記特定結果として、第１特定結果と、第４特定結果と、を有し、
前記第１特定結果となると、前記特別遊技終了後の遊技状態が、前記高確率且つ前記第２遊技状態に設定され、当該遊技状態において、前記第１識別情報と前記第２識別情報との変動表示の回数が第１回数になると、遊技状態が前記高確率且つ前記第１遊技状態に変化し、
前記第４特定結果となると、前記特別遊技終了後の遊技状態が、前記高確率且つ前記第２遊技状態に設定され、当該遊技状態において、前記第１識別情報と前記第２識別情報との変動表示の回数が第２回数になると、遊技状態が前記高確率且つ前記第１遊技状態に変化する
ことを特徴とするものである。
【０７８３】
このような遊技機によれば、第１遊技状態と第２遊技状態とを設定可能な遊技状態設定手段と、所定確率と高確率とを設定可能な確率設定手段と、を備えている。そして、第１特定結果となって、特別遊技終了後の遊技状態が高確率且つ第２遊技状態に設定された場合、当該高確率且つ第２遊技状態において、第１識別情報と第２識別情報との変動表示の回数が第１回数になると、遊技状態が高確率且つ第２遊技状態から、高確率且つ第１遊技状態に変化する。また、第４特定結果となって、特別遊技終了後の遊技状態が高確率且つ第２遊技状態に設定された場合、当該高確率且つ第２遊技状態において、第１識別情報と第２識別情報との変動表示の回数が第２回数になると、遊技状態が高確率且つ第２遊技状態から、高確率且つ第１遊技状態に変化する。これにより、遊技状態の変化タイミングを多様化して遊技興趣を長期間維持することが可能となる。またこれにより、遊技性を多様化し、遊技興趣を高めることが可能となる。
【０７８４】
尚、本態様では、第１識別情報と第２識別情報との変動表示の回数が第１回数又は第２回数になった場合に、遊技状態を高確率且つ第２遊技状態から高確率且つ第１遊技状態に変化するものとした。他の態様として、第１識別情報の変動表示回数は無関係に、第２識別情報の変動表示の回数が第１回数又は第２回数になった場合に、遊技状態を高確率且つ第２遊技状態から高確率且つ第１遊技状態に変化するものとしてもよい。また他の態様として、第２識別情報の変動表示回数は無関係に、第１識別情報の変動表示の回数が第１回数又は第２回数になった場合に、遊技状態を高確率且つ第２遊技状態から高確率且つ第１遊技状態に変化するものとしてもよい。
【０７８５】
また、参考発明７−２の遊技機は、参考発明７−１の遊技機において、
前記特定結果として、第２特定結果と、第５特定結果と、を有し、
前記第２特定結果となると、前記特別遊技終了後の遊技状態が、前記所定確率且つ前記第２遊技状態に設定され、当該遊技状態において、前記第１識別情報と前記第２識別情報との変動表示の回数が前記第１回数になると、遊技状態が前記所定確率且つ前記第１遊技状態に変化し、
前記第５特定結果となると、前記特別遊技終了後の遊技状態が、前記所定確率且つ前記第２遊技状態に設定され、当該遊技状態において、前記第１識別情報と前記第２識別情報との変動表示の回数が前記第２回数になると、遊技状態が前記所定確率且つ前記第１遊技状態に変化するものとされ、
前記特別遊技終了後の遊技状態が前記所定確率且つ前記第２遊技状態に設定された場合と、前記特別遊技終了後の遊技状態が前記高確率且つ前記第２遊技状態に設定された場合とで、共通の演出を実行することで、遊技状態が前記所定確率且つ前記第２遊技状態か前記高確率且つ前記第２遊技状態かを遊技者に認識困難とすることを特徴とするものである。
【０７８６】
このような遊技機によれば、第２特定結果となって、特別遊技終了後の遊技状態が所定確率且つ第２遊技状態に設定された場合、当該所定確率且つ第２遊技状態において、第１識別情報と第２識別情報との変動表示の回数が第１回数になると、遊技状態が所定確率且つ第２遊技状態から、所定確率且つ第１遊技状態に変化する。また、第５特定結果となって、特別遊技終了後の遊技状態が所定確率且つ第２遊技状態に設定された場合、当該所定確率且つ第２遊技状態において、第１識別情報と第２識別情報との変動表示の回数が第２回数になると、遊技状態が所定確率且つ第２遊技状態から、所定確率且つ第１遊技状態に変化する。また、所定確率且つ第２遊技状態と高確率且つ第２遊技状態とで、共通の演出（例えば、背景演出が同じ、出現するキャラクタが同じ、モードが同じ等）を実行することで、遊技者が、所定確率且つ第２遊技状態か、高確率且つ第２遊技状態か、を認識困難としている。これにより、遊技状態の変化タイミングを多様化して遊技興趣を長期間維持することが可能となる。またこれにより、遊技性を多様化し、遊技興趣を高めることが可能となる。またこれにより、遊技者は共通の演出の実行中において、第１回数が経過の際及び第２回数が経過の際に、遊技状態が高確率且つ第１遊技状態に変化することに期待し、遊技興趣を高めることが可能となる。
【０７８７】
また、参考発明７−３の遊技機は、参考発明７−２の遊技機において、
前記第２回数は前記第１回数よりも多い数であり、
前記第１回数で遊技状態が変化する場合よりも、前記第２回数で遊技状態が変化する場合の方が、遊技状態が前記高確率且つ前記第１遊技状態に変化する可能性が高いことを特徴とするものである。
【０７８８】
このような遊技機によれば、第２回数は第１回数よりも多い数とされ、遊技状態の変化タイミングが第１回数のときよりも、第２回数のときの方が、遊技状態が高確率且つ第１遊技状態に変化する可能性が高いものする。これにより、遊技者は、第１回数に到達する際に、遊技状態が変化することなく維持されることに期待して遊技を行い、遊技状態が第２遊技状態のまま第２回数に到達する際には、高確率且つ第１遊技状態に変化することへの期待感を高め、遊技を行う。これにより、第２遊技状態において、複数回の期待感を高めるポイントを有する。またこれにより、遊技性を多様化し、遊技興趣を高めることが可能となる。
【０７８９】
また、参考発明７−４の遊技機は、参考発明７−２の遊技機において、
前記第２回数は前記第１回数よりも多い数であり、
前記第２回数で遊技状態が変化する場合よりも、前記第１回数で遊技状態が変化する場合の方が、遊技状態が前記高確率且つ前記第１遊技状態に変化する可能性が高いことを特徴とするものである。
【０７９０】
このような遊技機によれば、第２回数は第１回数よりも多い数とされ、遊技状態の変化タイミングが第２回数のときよりも、第１回数のときの方が、遊技状態が高確率且つ第１遊技状態に変化する可能性が高いものする。これにより、遊技者は、第１回数に到達する際に、遊技状態が変化することに期待して遊技を行い、遊技状態が第２遊技状態のまま第２回数に到達する際には、可能性は第１回数のときよりも低いものの高確率且つ第１遊技状態に変化することに期待して、遊技を行う。これにより、第２遊技状態において、複数回の期待感を高めるポイントを有する。またこれにより、遊技性を多様化し、遊技興趣を高めることが可能となる。
【０７９１】
また、参考発明７−５の遊技機は、参考発明７−１乃至参考発明７−４の遊技機において、
前記高確率且つ前記第２遊技状態よりも、前記高確率且つ前記第１遊技状態の方が、獲得可能な遊技利益が多いことを特徴とするものである。
【０７９２】
このような遊技機によれば、高確率且つ第２遊技状態よりも、高確率且つ第１遊技状態の方が、獲得可能な遊技利益を多い遊技状態としている。これにより、遊技者は、特定回数の経過によって、遊技状態が高確率且つ第１遊技状態に変化することに期待し、遊技興趣を高める。
【０７９３】
また、参考発明７−６の遊技機は、参考発明７−１乃至参考発明７−５の遊技機において、
遊技領域の上流側に前記第２始動口を設け、前記第２始動口の下流側に前記第２可変入球口を設け、
前記高確率且つ前記第２遊技状態において、遊技領域の上流側に配置される前記第２始動口に遊技球を入球させて、前記第２始動口よりも下流側に配置される前記第２可変入球口への入球を困難とすることで、前記第２特別遊技が発生した際の前記第２可変入球口への遊技球の入球可能性を、前記高確率且つ前記第２遊技状態よりも前記高確率且つ前記第１遊技状態を高くしたことを特徴とするものである。
【０７９４】
このような遊技機によれば、遊技領域の上流側に第２始動口を設け、第２始動口の下流側に第２可変入球口を設ける。そして、上流側に配置した第２始動口が第２状態（開状態）になることによって、下流側に配置した第２可変入球口への遊技球の入球を困難としている。これにより、第２特別遊技で第２可変入球口が入球可能状態（開状態）となった際に、高確率且つ第１遊技状態の方が、高確率且つ第２遊技状態よりも、第２可変入球口への遊技球の入球頻度が高いものとしている。またこれにより、第２特別遊技が発生した際の遊技状態によって、第２可変入球口への入球頻度を異ならせ、遊技性を多様化し、遊技興趣を高めることが可能となる。
【０７９５】
また、参考発明７−７の遊技機は、参考発明７−１乃至参考発明７−４の遊技機において、
前記特別遊技として、第１特別遊技と第２特別遊技とを有し、
前記第１特別遊技は、当該第１特別遊技終了後の遊技状態を変化可能とし、
前記第２特別遊技は、当該第２特別遊技終了後の遊技状態を変化しないものとし、
前記第１可変入球口は前記第１特別遊技において入球可能状態となり、前記第２可変入球口は前記第２特別遊技において入球可能状態となることを特徴とするものである。
【０７９６】
このような遊技機によれば、第１可変入球口を入球可能状態とする第１特別遊技は、第１特別遊技終了後の遊技状態を変化可能とする。また、第２可変入球口を入球可能状態とする第２特別遊技は、第２特別遊技終了後の遊技状態を変化しないものとする。すなわち、第２特別遊技実行前の遊技状態と第２特別遊技実行後の遊技状態を同じ遊技状態とする。これにより、高確率且つ第１遊技状態になると、当該高確率且つ第１遊技状態において第２特別遊技の実行後も高確率且つ第１遊技状態が継続するため、複数回の第２特別遊技を発生させることで、より多くの遊技利益を獲得することが可能となる。
【０７９７】
本参考発明７の遊技機によれば、遊技性を多様化し、遊技興趣の向上を図ることが可能となる。
【０７９８】
（参考発明８）
また、参考発明８−１の遊技機は、
遊技球が入球可能な第１始動口と、
第１状態と、前記第１状態よりも遊技球の入球可能性が高い第２状態とに変化可能な第２始動口と、
遊技球が入球可能な入球可能状態と遊技球が入球不能な入球不能状態とに変化可能な第１可変入球口と、
遊技球が入球可能な入球可能状態と遊技球が入球不能な入球不能状態とに変化可能な第２可変入球口と、
前記第１始動口への入球に基づいて変動表示する第１識別情報と、
前記第２始動口への入球に基づいて変動表示する第２識別情報と、
前記可変始動口への遊技球の入球頻度が所定頻度の第１遊技状態と、前記第１遊技状態よりも前記可変始動口への遊技球の入球頻度が高い第２遊技状態と、を設定可能な遊技状態設定手段と、
前記第１識別情報又は前記第２識別情報の変動表示の結果が特定結果となると、前記第１可変入球口又は前記第２可変入球口が入球可能状態となる特別遊技を実行する特別遊技実行手段と、
前記第１識別情報又は前記第２識別情報の変動表示の結果が特定結果となる確率として、所定確率と、前記所定確率よりも高い高確率と、を設定可能な確率設定手段と、
前記第２識別情報の変動表示の時間を第１条件に基づいて決定する第１条件状態と、前記第２識別情報の変動表示の時間を第２条件に基づいて決定する第２条件状態と、を設定可能な第２識別情報変動時間決定手段と、を備えた遊技機であって、
前記第２条件状態は、前記第１条件状態よりも、決定される前記第２識別情報の変動表示の時間の平均時間が短くなるものとされ、
遊技状態として、前記所定確率且つ前記第１遊技状態且つ前記第１条件状態と、前記所定確率且つ前記第２遊技状態且つ前記第２条件状態と、前記高確率且つ前記第１遊技状態且つ前記第２条件状態と、前記高確率且つ前記第２遊技状態且つ前記第２条件状態と、を有する
ことを特徴とするものである。
【０７９９】
このような遊技機によれば、第１遊技状態と第２遊技状態とを設定可能な遊技状態設定手段と、所定確率と高確率とを設定可能な確率設定手段と、第１条件状態と第２識別情報の変動表示時間の平均時間が第１条件状態よりも短くなる第２条件状態とを設定可能な第２識別情報変動時間決定手段と、を備えている。また、遊技状態として、所定確率且つ第１遊技状態且つ第１条件状態と、所定確率且つ第２遊技状態且つ第２条件状態と、高確率且つ第１遊技状態且つ第２条件状態と、高確率且つ第２遊技状態且つ第２条件状態と、を有しており、第１条件状態が設定されている遊技状態では第２識別情報の変動表示時間は比較的長時間に設定され、第２条件状態が設定されている遊技状態では、第２識別情報の変動表示時間は比較的短時間に設定される。これにより、遊技状態を多様化すると共に、遊技性を多様化し、遊技興趣を高めることが可能となる。
【０８００】
また、参考発明８−２の遊技機は、参考発明８−１の遊技機において、
前記第２識別情報の変動表示の結果が特定結果となる場合の方が、前記第１識別情報の変動表示の結果が特定結果となる場合よりも、遊技者にとって有利となる可能性が高いことを特徴とするものである。
【０８０１】
このような遊技機によれば、第２識別情報の変動表示の結果が特定結果となる場合の方が、第１識別情報よりも、遊技者にとって有利となる可能性が高いものとする。例えば、特定結果となって実行される特別遊技によって得られる遊技利益を多くしたり、多くなる可能性を高くしたり、特別遊技終了後に有利状態となる可能性を高くしたりすることが可能である。これにより、遊技者は、第２識別情報の変動表示を多く実行できる状態、すなわち、第２識別情報の変動表示の時間が比較的短時間となる第２条件状態に設定されることに期待して遊技を行うこととなる。また、このような第２条件状態においても、複数の遊技状態を設定しており、遊技状態を多様化すると共に、遊技性を多様化し、遊技興趣を高めることが可能となる。
【０８０２】
また、参考発明８−３の遊技機は、参考発明８−１又は参考発明８−２の遊技機において、
遊技球が入球可能な第３始動口を備え、
前記第３始動口への入球に基づいて前記第２識別情報が変動表示することを特徴とするものである。
【０８０３】
このような遊技機によれば、遊技球の入球に基づいて第２識別情報が変動表示する第３始動口を備えるものとする。これにより、第２識別情報は、可変式の第２始動口と第３始動口との何れかに入球することによって変動表示することとなり、遊技興趣を高めることが可能となる。
【０８０４】
また、参考発明８−４の遊技機は、参考発明８−１又は参考発明８−２の遊技機において、
所定の発射強度で遊技球を遊技領域に発射する発射装置を備え、
前記第１始動口は、第１発射強度で発射した遊技球が入球可能な第１遊技領域に設けられ、
前記第２始動口、前記第１可変入球口、及び、前記第２可変入球口は、前記第１発射強度と異なる前記第２発射強度で発射した遊技球が入球可能な第２遊技領域に設けられ、
遊技状態が、前記所定確率且つ前記第１遊技状態且つ前記第１条件状態のときは、前記第１遊技領域に遊技球を発射することで、前記第１識別情報を変動表示させて遊技を行い、
遊技状態が、前記所定確率且つ前記第２遊技状態且つ前記第２条件状態、前記高確率且つ前記第１遊技状態且つ前記第２条件状態、又は、前記高確率且つ前記第２遊技状態且つ前記第２条件状態のときは、前記第２遊技領域に遊技球を発射することで、前記第２識別情報を変動表示させて遊技を行うことを特徴とするものである。
【０８０５】
このような遊技機によれば、第１始動口は、第１発射強度で入球可能な第１遊技領域に設け、第２始動口、第１可変入球口及び第２可変入球口は、第２発射強度で入球可能な第２遊技領域に設けられている。そして、遊技状態が、所定確率且つ第１遊技状態且つ第１条件状態のときは、第１遊技領域に遊技球を発射し第１識別情報を変動表示させて遊技を行うものとされる。また、遊技状態が、所定確率且つ第２遊技状態且つ第２条件状態、高確率且つ第１遊技状態且つ第２条件状態、又は、高確率且つ第２遊技状態且つ第２条件状態のときは、第２遊技領域に遊技球を発射し第２識別情報を変動表示させて遊技を行うものとされる。すなわち、第１条件状態のときは第１遊技領域に遊技球を発射して第１識別情報を変動表示させて遊技を行うものとし、第２条件状態のときは第２遊技領域に遊技球を発射して第２識別情報を変動表示させて遊技を行うものとしている。
【０８０６】
これにより、遊技状態を多様化すると共に、遊技性を多様化し、遊技興趣を高めることが可能となる。また、第２識別情報の変動表示の方が遊技者にとって有利の場合には、第２識別情報を変動表示することとなる第２条件状態が設定されることに期待して遊技を行うこととなる。また、このような第２条件状態においても、複数の遊技状態を設定しており、遊技状態を多様化すると共に、遊技性を多様化し、遊技興趣を高めることが可能となる。
【０８０７】
また、参考発明８−５の遊技機は、参考発明８−３の遊技機において、
所定の発射強度で遊技球を遊技領域に発射する発射装置を備え、
前記第１始動口は、第１発射強度で発射した遊技球が入球可能な第１遊技領域に設けられ、
前記第２始動口、前記第３始動口、前記第１可変入球口、及び、前記第２可変入球口は、前記第１発射強度と異なる第２発射強度で発射した遊技球が入球可能な第２遊技領域に設けられ、
遊技状態が、前記所定確率且つ前記第１遊技状態且つ前記第１条件状態のときは、前記第１遊技領域に遊技球を発射することで、前記第１識別情報を変動表示させて遊技を行い、
遊技状態が、前記所定確率且つ前記第２遊技状態且つ前記第２条件状態、前記高確率且つ前記第１遊技状態且つ前記第２条件状態、又は、前記高確率且つ前記第２遊技状態且つ前記第２条件状態のときは、前記第２遊技領域に遊技球を発射することで、前記第２識別情報を変動表示させて遊技を行うことを特徴とするものである。
【０８０８】
このような遊技機によれば、第１始動口は、第１発射強度で入球可能な第１遊技領域に設け、第２始動口、第３始動口、第１可変入球口及び第２可変入球口は、第２発射強度で入球可能な第２遊技領域に設けられている。そして、遊技状態が、所定確率且つ第１遊技状態且つ第１条件状態のときは、第１遊技領域に遊技球を発射し第１識別情報を変動表示させて遊技を行うものとされる。また、遊技状態が、所定確率且つ第２遊技状態且つ第２条件状態、高確率且つ第１遊技状態且つ第２条件状態、又は、高確率且つ第２遊技状態且つ第２条件状態のときは、第２遊技領域に遊技球を発射し第２識別情報を変動表示させて遊技を行うものとされる。すなわち、第１条件状態のときは第１遊技領域に遊技球を発射して第１識別情報を変動表示させて遊技を行うものとし、第２条件状態のときは第２遊技領域に遊技球を発射して第２識別情報を変動表示させて遊技を行うものとしている。
【０８０９】
これにより、遊技状態を多様化すると共に、遊技性を多様化し、遊技興趣を高めることが可能となる。また、第２識別情報の変動表示の方が遊技者にとって有利の場合には、第２識別情報を変動表示することとなる第２条件状態が設定されることに期待して遊技を行うこととなる。また、このような第２条件状態においても、複数の遊技状態を設定しており、遊技状態を多様化すると共に、遊技性を多様化し、遊技興趣を高めることが可能となる。
【０８１０】
また、参考発明８−６の遊技機は、参考発明８−１乃至参考発明８−５の遊技機において、
前記高確率且つ前記第２遊技状態且つ前記第２条件状態よりも、前記高確率且つ前記第１遊技状態且つ前記第２条件状態の方が、獲得可能な遊技利益が多いことを特徴とするものである。
【０８１１】
このような遊技機によれば、高確率且つ第２遊技状態且つ第２条件状態よりも、高確率且つ第１遊技状態且つ第２条件状態の方が、獲得可能な遊技利益を多い遊技状態としている。これにより、遊技者は、遊技状態が高確率且つ第１遊技状態且つ第２条件状態に設定されることに期待して遊技を進行し、遊技興趣を高める。
【０８１２】
また、参考発明８−７の遊技機は、参考発明８−１乃至参考発明８−６の遊技機において、
前記第２遊技領域の上流側に前記第２始動口を設け、前記第２始動口の下流側に前記第２可変入球口を設け、
前記高確率且つ前記第２遊技状態且つ前記第２条件状態において、前記第２遊技領域の上流側に配置される前記第２始動口に遊技球を入球させて、前記第２始動口よりも下流側に配置される前記第２可変入球口への入球を困難とすることで、前記第２可変入球口への遊技球の入球可能性を、前記高確率且つ前記第２遊技状態且つ前記第２条件状態よりも前記高確率且つ前記第１遊技状態且つ前記第２条件状態を高くしたことを特徴とすることを特徴とするものである。
【０８１３】
このような遊技機によれば、第２遊技領域の上流側に第２始動口を設け、第２始動口の下流側に第２可変入球口を設ける。そして、上流側に配置した第２始動口が第２状態（開状態）になることによって、下流側に配置した第２可変入球口への遊技球の入球を困難としている。これにより、第２特別遊技で第２可変入球口が入球可能状態（開状態）となった際に、高確率且つ第１遊技状態且つ第２条件状態の方が、高確率且つ第２遊技状態且つ第２条件状態よりも、第２可変入球口への遊技球の入球頻度が高いものとしている。またこれにより、第２特別遊技が発生した際の遊技状態によって、第２可変入球口への入球頻度を異ならせ、遊技性を多様化し、遊技興趣を高めることが可能となる。
【０８１４】
本参考発明８の遊技機によれば、遊技性を多様化し、遊技興趣の向上を図ることが可能となる。
【０８１５】
（参考発明９）
また、参考発明９−１の遊技機は、
遊技球が入球可能な第１始動口と、
第１状態と、前記第１状態よりも遊技球の入球可能性が高い第２状態とに変化可能な第２始動口と、
遊技球が入球可能な入球可能状態と遊技球が入球不能な入球不能状態とに変化可能な第１可変入球口と、
遊技球が入球可能な入球可能状態と遊技球が入球不能な入球不能状態とに変化可能な第２可変入球口と、
前記第１始動口への入球に基づいて変動表示する第１識別情報と、
前記第２始動口への入球に基づいて変動表示する第２識別情報と、
前記可変始動口への遊技球の入球頻度が所定頻度の第１遊技状態と、前記第１遊技状態よりも前記可変始動口への遊技球の入球頻度が高い第２遊技状態と、を設定可能な遊技状態設定手段と、
前記第１識別情報又は前記第２識別情報の変動表示の結果が特定結果となると、前記第１可変入球口又は前記第２可変入球口が入球可能状態となる特別遊技を実行する特別遊技実行手段と、
前記第１識別情報又は前記第２識別情報の変動表示の結果が特定結果となる確率として、所定確率と、前記所定確率よりも高い高確率と、を設定可能な確率設定手段と、を備えた遊技機であって、
遊技状態として、前記所定確率且つ前記第１遊技状態と、前記所定確率且つ前記第２遊技状態と、前記高確率且つ前記第１遊技状態と、前記高確率且つ前記第２遊技状態と、を有し、
前記第２可変入球口は、遊技状態が前記高確率且つ前記第１遊技状態になると遊技球の入球頻度が高くなる
ことを特徴とするものである。
【０８１６】
このような遊技機によれば、第１遊技状態と第２遊技状態とを設定可能な遊技状態設定手段と、所定確率と高確率とを設定可能な確率設定手段と、を備えている。また、遊技状態として、所定確率且つ第１遊技状態と、所定確率且つ第２遊技状態と、高確率且つ第１遊技状態と、高確率且つ第２遊技状態と、を有しており、そのうちの高確率且つ第１遊技状態になると第２可変入球口への入球頻度が高くなるものとする。これにより、遊技者は高確率且つ第１遊技状態の発生に期待して遊技を進行する。またこれにより、遊技状態を多様化すると共に、遊技性を多様化し、遊技興趣を高めることが可能となる。
【０８１７】
また、参考発明９−２の遊技機は、参考発明９−１の遊技機において、
所定の発射強度で遊技球を遊技領域に発射する発射装置を備え、
前記第１始動口は、第１発射強度で発射した遊技球が入球可能な第１遊技領域に設けられ、
前記第２始動口、前記第１可変入球口、及び、前記第２可変入球口は、前記第１発射強度と異なる第２発射強度で発射した遊技球が入球可能な第２遊技領域に設けられ、
遊技状態が、前記所定確率且つ前記第１遊技状態のときは、前記第１遊技領域に遊技球を発射することで、前記第１識別情報を変動表示させて遊技を行い、
遊技状態が、前記所定確率且つ前記第２遊技状態、前記高確率且つ前記第１遊技状態、又は、前記高確率且つ前記第２遊技状態のときは、前記第２遊技領域に遊技球を発射することで、前記第２識別情報を変動表示させて遊技を行う遊技機であって、
前記第２遊技領域に遊技球を発射することで、前記第２識別情報を変動表示させて遊技を行う遊技状態において、
前記第２可変入球口への遊技球の入球頻度は、前記所定確率且つ前記第２遊技状態、及び、前記高確率且つ前記第２遊技状態よりも、前記高確率且つ前記第１遊技状態の方が高いことを特徴とするものである。
【０８１８】
このような遊技機によれば、第１始動口は、第１発射強度で入球可能な第１遊技領域に設け、第２始動口、第１可変入球口及び第２可変入球口は、第２発射強度で入球可能な第２遊技領域に設けられている。そして、遊技状態が、所定確率且つ第１遊技状態のときは、第１遊技領域に遊技球を発射し第１識別情報を変動表示させて遊技を行うものとされる。また、遊技状態が、所定確率且つ第２遊技状態、高確率且つ第１遊技状態、又は、高確率且つ第２遊技状態のときは、第２遊技領域に遊技球を発射し第２識別情報を変動表示させて遊技を行うものとされる。また、第２遊技領域に遊技球を発射させて遊技を行う遊技状態、すなわち、所定確率且つ第２遊技状態、高確率且つ第１遊技状態、及び、高確率且つ第２遊技状態において、第２可変入球口への遊技球の入球頻度が最も高い遊技状態を、高確率且つ第１遊技状態としている。
【０８１９】
これにより、遊技者は、第２遊技領域に遊技球を発射させて遊技を行う遊技状態になると、当該遊技状態が、高確率且つ第１遊技状態であることに期待して遊技を進行する。これにより、遊技状態を多様化すると共に、遊技性を多様化し、遊技興趣を高めることが可能となる。
【０８２０】
また、参考発明９−３の遊技機は、参考発明９−１又は参考発明９−２の遊技機において、
前記第２遊技領域の上流側に前記第２始動口を設け、前記第２始動口の下流側に前記第２可変入球口を設け、
前記高確率且つ前記第２遊技状態において、遊技領域の上流側に配置される前記第２始動口に遊技球を入球させて、前記第２始動口よりも下流側に配置される前記第２可変入球口への入球を困難とすることで、前記第２特別遊技が発生した際の前記第２可変入球口への遊技球の入球可能性を、前記高確率且つ前記第２遊技状態よりも前記高確率且つ前記第１遊技状態を高くしたことを特徴とするものである。
【０８２１】
このような遊技機によれば、第２遊技領域の上流側に第２始動口を設け、第２始動口の下流側に第２可変入球口を設ける。そして、上流側に配置した第２始動口が第２状態（開状態）になることによって、下流側に配置した第２可変入球口への遊技球の入球を困難としている。これにより、第２特別遊技で第２可変入球口が入球可能状態（開状態）となった際に、高確率且つ第１遊技状態の方が、高確率且つ第２遊技状態よりも、第２可変入球口への遊技球の入球頻度が高いものとしている。またこれにより、第２特別遊技が発生した際の遊技状態によって、第２可変入球口への入球頻度を異ならせ、遊技性を多様化し、遊技興趣を高めることが可能となる。
【０８２２】
本参考発明９の遊技機によれば、遊技性を多様化し、遊技興趣の向上を図ることが可能となる。
【０８２３】
（参考発明１０）
従来、所定条件の成立に基づいて識別情報の変動表示を行い、当該変動表示の表示結果が特定表示結果になると、遊技者に所定の利益が付与され得る特別遊技が実行可能となる遊技機が広く知られている。この種の遊技機では、識別情報の変動表示中に、遊技者の期待感を高めるための様々な演出を行うことで、遊技興趣の向上が図られている。そのような演出として、例えば、現在実行中の識別情報の変動表示やその後に実行される識別情報の変動表示等に関する情報（例えば、表示結果が特定表示結果となる期待度（信頼度）、表示結果が導出されるまでの変動（演出）態様等）を表示（予告）する演出が知られている（例えば、特開２００２−２３９１２２号公報を参照）。
【０８２４】
しかしながら、前述したような識別情報の変動表示中に行われる演出は、既に多くの遊技機に採用されており、その演出態様も画一的となっている。このため、遊技興趣を高めることが難しくなってきている。本参考発明１０は、上記事情に鑑みてなされたものであり、その目的とするところは、識別情報の変動表示中に行われる演出として遊技者の興味を惹きつけることが可能な演出を実現し、遊技興趣の向上を図ることにある。
【０８２５】
前述の課題を解決するための参考発明１０−１の遊技機は、
識別情報の変動表示を実行可能な変動表示手段と、
識別情報の変動表示が行われるときの遊技状態を制御可能な状態制御手段と、
識別情報の変動表示の表示結果が特定表示結果となることに基づいて、所定の遊技利益が付与され得る特別遊技を実行可能な特別遊技実行手段と、
識別情報の変動表示中に、当該変動表示の終了後の遊技に関する情報を表示する情報表示演出を実行可能な情報表示演出実行手段と、を備え、
前記情報として、少なくとも、第１情報と第２情報と第３情報とを有し、
前記第１情報は、当該変動表示の終了後に特別遊技が実行される旨を示すものであり、
前記第２情報は、現在の遊技状態が当該変動表示の終了後も継続される旨を示すものであり、
前記第３情報は、当該変動表示の終了後に遊技状態が現在よりも不利な遊技状態となる旨を示すものであり、
前記情報表示演出実行手段は、前記情報表示演出の開始に際し、前記第１乃至第３情報のうち少なくとも２つの情報を表示可能である
ことを特徴とするものである。
【０８２６】
このような遊技機によれば、識別情報の変動表示中に、当該変動表示の終了後の遊技に関する情報を表示する情報表示演出を実行する場合、その情報表示演出の開始にあたり、当該変動表示の終了後に特別遊技が実行される旨を示す第１情報と、現在の遊技状態が当該変動表示の終了後も継続される旨を示す第２情報と、当該変動表示の終了後に遊技状態が現在よりも不利な遊技状態となる旨を示す第３情報とのうち、少なくとも２つの情報を表示することが可能となっている。このため、遊技者は、識別情報の変動表示中に情報表示演出が開始された場合、そのとき表示される情報の種類（内容）をもとに、後の遊技展開に関し択一的な推測が可能となる。これにより、情報表示演出の開始に際して表示される情報に遊技者の興味を惹きつけ、遊技興趣の向上を図ることが可能となる。
【０８２７】
参考発明１０−２の遊技機は、前述した参考発明１０−１の遊技機において、
前記情報表示演出実行手段は、前記情報表示演出の開始に際し、前記第１情報及び前記第２情報を表示する場合と、前記第２情報及び前記第３情報を表示する場合とがある
ことを特徴とするものである。
【０８２８】
このような遊技機によれば、情報表示演出の開始に際し、第１情報及び第２情報を表示する場合と、第２情報及び第３情報を表示する場合とがある。このため、遊技者は、情報表示演出の開始に際し、第１情報及び第２情報が表示された場合には、後の遊技展開が不利になる可能性はないと推測することができ、第２情報及び第３情報が表示された場合には、後の遊技展開が不利になる可能性を排除することができないこととなる。これにより、遊技者の期待と不安を掻き立てる演出効果を得ることが可能となる。
【０８２９】
参考発明１０−３の遊技機は、前述した参考発明１０−１または参考発明１０−２の遊技機において、
前記特別遊技として、少なくとも第１特別遊技と第２特別遊技とを有し、
前記遊技状態として、少なくとも第１遊技状態と第２遊技状態とを有し、
前記第２特別遊技は、前記第１特別遊技よりも付与可能な遊技利益が多い特別遊技であり、
前記第２遊技状態は、前記第２遊技状態よりも遊技者に有利な遊技状態であり、
前記状態制御手段は、前記第１特別遊技の終了後の遊技状態を前記第１遊技状態に制御し、前記第２特別遊技の終了後の遊技状態を前記第２遊技状態に制御するものであり、
前記情報表示演出実行手段は、前記第２遊技状態にて前記情報表示演出を実行可能であり、
前記第１情報は、当該変動表示の終了後に前記第２特別遊技が実行される旨を示すものであり、
前記第２情報は、現在の第２遊技状態が当該変動表示の終了後も継続される旨を示すものであり、
前記第３情報は、当該変動表示の終了後に遊技状態が前記第１遊技状態となる旨を示すものである
ことを特徴とするものである。
【０８３０】
このような遊技機によれば、特別遊技として、少なくとも第１特別遊技と第２特別遊技とを有し、遊技状態として、少なくとも第１遊技状態と第２遊技状態とを有し、第２特別遊技は、第１特別遊技よりも獲得可能な遊技利益が多い特別遊技となっており、第２遊技状態は、第１遊技状態よりも遊技者に有利な遊技状態となっている。また、第１特別遊技が終了した後の遊技状態は第１遊技状態となり、第２特別遊技が終了した後の遊技状態は第２遊技状態となる。そして、情報表示演出は第２遊技状態（有利状態）にて実行可能であり、その情報表示演出で表示する情報のうち、第１情報は、第２特別遊技が実行される旨を、第２情報は、現在の第２遊技状態が当該変動表示の終了後も継続される旨を、第３情報は、遊技状態が第１遊技状態となる旨を、それぞれ示すものとなっている。このため、情報表示演出により、第２遊技状態での遊技（識別情報の変動表示）を基準とした後の遊技に関する情報（遊技展開）を表示することとなる。これにより、第２遊技状態の遊技興趣の向上を図ることが可能となる。
【０８３１】
参考発明１０−４の遊技機は、前述した参考発明１０−３の遊技機において、
識別情報の変動表示中に変動演出を実行可能な変動演出実行手段を備え、
前記変動演出実行手段は、所定の変動演出パターンに基づいて変動演出を実行可能であり、
前記変動演出パターンとして、少なくとも、第１変動演出パターンと第２変動演出パターンと第３変動演出パターンとを有し、
識別情報の変動表示の表示結果が特定表示結果となることで前記第２特別遊技が実行可能となる場合、当該変動表示中に前記第１変動演出パターンに基づく変動演出を実行可能であり、
識別情報の変動表示の表示結果が特定表示結果となることで前記第１特別遊技が実行可能となる場合、当該変動表示中に前記第２変動演出パターンに基づく変動演出を実行可能であり、
識別情報の変動表示の表示結果が非特定表示結果となる場合、当該変動表示中に前記第３変動演出パターンに基づく変動演出を実行可能であり、
前記情報表示演出実行手段は、
前記第１変動演出パターンに基づく変動演出が実行される場合と、前記第３変動演出パターンに基づく変動演出が実行される場合に、前記第１情報及び前記第２情報を表示可能であり、
前記第２変動演出パターンに基づく変動演出が実行される場合に、前記第２情報及び前記第３情報を表示可能である
ことを特徴とするものである。
【０８３２】
このような遊技機によれば、識別情報の変動表示中に所定の変動演出パターンに基づく変動演出が実行可能となっており、変動演出パターンとして、少なくとも、第１変動演出パターンと第２変動演出パターンと第３変動演出パターンとを有している。識別情報の変動表示の表示結果が特定表示結果となることで第２特別遊技が実行可能となる場合、当該変動表示中に第１変動演出パターンに基づく変動演出を、識別情報の変動表示の表示結果が特定表示結果となることで第１特別遊技が実行可能となる場合、当該変動表示中に第２変動演出パターンに基づく変動演出を、識別情報の変動表示の表示結果が非特定表示結果となる場合、当該変動表示中に前記第３変動演出パターンに基づく変動演出を、それぞれ実行することが可能となっている。そして、識別情報の変動表示中に、第１変動演出パターンに基づく変動演出が実行される場合と、第３変動演出パターンに基づく変動演出が実行される場合とに、当該変動表示での情報表示演出の開始に際して第１情報及び第２情報を表示することが可能となっており、第２変動演出パターンに基づく変動演出が実行される場合に、当該変動表示での情報表示演出の開始に際して第２情報及び第３情報を表示することが可能となっている。このため、第２変動演出パターンに基づく変動演出が実行される場合には、第１情報及び第２情報を表示する情報表示演出は行われないこととなる。これにより、識別情報の変動表示中に実行される情報表示演出と変動演出との整合を図ることが可能となる。
【０８３３】
参考発明１０−５の遊技機は、前述した参考発明１０−１から参考発明１０−４の何れか一つの遊技機において、
前記情報表示演出実行手段は、前記情報表示演出の開始後、該情報表示演出による情報の表示態様を変化させることが可能である
ことを特徴とするものである。
【０８３４】
このような遊技機によれば、識別情報の変動表示中に情報表示演出が開始された後、その情報表示演出による情報の表示態様が変化し得るものとなっている。このため、遊技者は、識別情報の変動表示中に情報表示演出が開始された場合、その後の情報の表示態様によって、その後の遊技展開がどのようになるのかを認識することが可能となる。これにより、情報表示演出の開始後も当該情報表示演出に遊技者の興味を惹きつけることが可能となる。
【０８３５】
以上の参考発明１０によれば、識別情報の変動表示中に行われる演出として遊技者の興味を惹きつけることが可能な演出を実現し、遊技興趣の向上を図ることが可能となる。
【０８３６】
（参考発明１１）
従来、所定条件の成立に基づいて識別情報の変動表示を行い、当該変動表示の表示結果が特定表示結果になると、遊技者に所定の遊技利益が付与され得る特別遊技が実行可能となる遊技機が広く知られている。この種の遊技機では、識別情報の変動表示や特別遊技等の遊技の進行に伴って様々な演出を行うのが一般的である。このような遊技機において、識別情報の変動表示の表示結果が特定表示結果となるか否かを示す演出（リーチ演出等）を、所定のキャラクタによるキャラクタ演出として行うものがある（例えば、特開２０１６−１５４６５７号公報を参照）。
【０８３７】
しかしながら、リーチ演出等でキャラクタ演出を行う構成は既に多くの遊技機に採用されており、その実行態様も画一的となっている。このため、遊技興趣を高めることが難しくなってきている。本参考発明１１は、上記事情に鑑みてなされたものであり、その目的とするところは、キャラクタ演出の実行態様に特徴を持たせて、キャラクタ演出を備えた遊技機の遊技興趣の向上を図ることにある。
【０８３８】
前述の課題を解決するための参考発明１１−１の遊技機は、
識別情報の変動表示を実行可能な変動表示手段と、
識別情報の変動表示の表示結果が特定表示結果となることに基づいて、所定の遊技利益が付与され得る特別遊技を実行可能な特別遊技実行手段と、
所定の演出を実行可能な演出実行手段と、を備えた遊技機であって、
前記演出実行手段は、
前記演出として、所定の表示部に表示されるキャラクタによるキャラクタ演出を実行可能であり、
識別情報の変動表示に伴ってキャラクタ演出を実行する場合と、特別遊技に伴ってキャラクタ演出を実行する場合とがある
ことを特徴とするものである。
【０８３９】
このような遊技機によれば、所定の表示部に表示されるキャラクタによるキャラクタ演出を、識別情報の変動表示に伴って実行する場合と、特別遊技に伴って実行する場合とがある。これにより、識別情報の変動表示に伴う演出と特別遊技に伴う演出とに関連性を持たせることが可能となり、その結果、遊技興趣の向上を図ることが可能となる。
【０８４０】
参考発明１１−２の遊技機は、前述した参考発明１１−１の遊技機において、
遊技状態を制御可能な状態制御手段を備え、
前記状態制御手段は、前記識別情報の変動表示が行われるときの遊技状態を特定遊技状態に制御可能であり、
前記特定遊技状態になると前記所定の表示部に所定のキャラクタが表示され、
前記演出実行手段は、前記特定遊技状態にて前記所定の表示部に表示されるキャラクタによるキャラクタ演出を実行可能である
ことを特徴とするものである。
【０８４１】
このような遊技機によれば、識別情報の変動表示が行われるときの遊技状態が特定遊技状態になると、表示部に所定のキャラクタが表示され、そのキャラクタによるキャラクタ演出を、識別情報の変動表示に伴って実行する場合と、特別遊技に伴って実行する場合とがあるものとなる。これにより、特定遊技状態の遊技興趣を高めることが可能となる。
【０８４２】
参考発明１１−３の遊技機は、前述した参考発明１１−１または参考発明１１−２の遊技機において、
前記特定表示結果として、第１特定表示結果と第２特定表示結果とを有し、
前記特別遊技として、第１特別遊技と第２特別遊技とを有し、
前記識別情報の変動表示の表示結果が前記第１特定表示結果となることに基づいて、前記第１特別遊技が実行可能となり、
前記識別情報の変動表示の表示結果が前記第２特定表示結果となることに基づいて、前記第２特別遊技が実行可能となり、
前記第１特別遊技は、前記第２特別遊技よりも付与可能な遊技利益が多いものとされ、
前記演出実行手段は、
前記識別情報の変動表示の表示結果が前記第１特定表示結果となって前記第１特別遊技が実行可能となる場合、当該変動表示に伴ってキャラクタ演出を実行し、
前記識別情報の変動表示の表示結果が前記第２特定表示結果となって前記第２特別遊技が実行可能となる場合、当該第２特別遊技に伴ってキャラクタ演出を実行する
ことを特徴とするものである。
【０８４３】
このような遊技機によれば、識別情報の変動表示の表示結果が第１特定表示結果となって、遊技者に付与され得る遊技利益が相対的に多いものとされる第１特別遊技が実行可能となる場合には、当該変動表示に伴ってキャラクタ演出を実行し、識別情報の変動表示の表示結果が第２特定表示結果となって、遊技者に付与され得る遊技利益が相対的に少ないものとされる第２特別遊技が実行可能となる場合には、当該第２特別遊技に伴ってキャラクタ演出を実行する。これにより、第１特別遊技の実行契機となる（変動表示の表示結果が第１特定表示結果となる）識別情報の変動表示が行われる場合や、第２特別遊技が行われる場合の遊技興趣を高めることが可能となる。
【０８４４】
参考発明１１−４の遊技機は、前述した参考発明１１−３の遊技機において、
遊技球が入球不能な状態と入球可能な状態とに変化可能な第１可変入球口と、
遊技球が入球不能な状態と入球可能な状態とに変化可能な第２可変入球口と、を備え、
前記第１特別遊技では、前記第１可変入球口への遊技球の入球が可能となり、
前記第２特別遊技では、前記第２可変入球口への遊技球の入球が可能となり、
前記特定遊技状態では、前記特定遊技状態以外の遊技状態よりも、前記第２特別遊技に伴う前記第２可変入球口への遊技球の入球頻度が高くなり、
前記演出実行手段は、
前記特定遊技状態にて前記識別情報の変動表示の表示結果が前記第１特定表示結果となって前記第１特別遊技が実行可能となる場合、当該変動表示に伴ってキャラクタ演出を実行し、
前記特定遊技状態にて前記識別情報の変動表示の表示結果が前記第２特定表示結果となって前記第２特別遊技が実行可能となる場合、当該第２特別遊技に伴ってキャラクタ演出を実行する
ことを特徴とするものである。
【０８４５】
このような遊技機によれば、識別情報の変動表示の表示結果が第１特定表示結果となることで実行される第１特別遊技では、第１可変入球口への遊技球の入球が可能となり、識別情報の変動表示の表示結果が第２特定表示結果となることで実行される第２特別遊技では、第２可変入球口への遊技球の入球が可能となる、そして、特定遊技状態では、特定遊技状態以外の遊技状態よりも、第２特別遊技に伴う第２可変入球口への遊技球の入球頻度が高くなるものとなっている。これにより、第１特別遊技の実行契機となる（変動表示の表示結果が第１特定表示結果となる）識別情報の変動表示が実行され得る状況下で、第２特別遊技に伴う第２可変入球口への遊技球の入球とキャラクタ演出の実行に遊技者の興味を惹きつけて、特定遊技状態の遊技興趣を高めることが可能となる。
【０８４６】
参考発明１１−５の遊技機は、前述した参考発明１１−３または参考発明１１−４の遊技機において、
前記第１特別遊技は大当り遊技であり、前記第２特別遊技は小当り遊技である
ことを特徴とするものである。
【０８４７】
このような遊技機によれば、第１特別遊技は大当り遊技とされ、第２特別遊技は小当り遊技とされる。これにより、大当り遊技と小当り遊技を備えた遊技機の遊技興趣を高めることが可能となる。
【０８４８】
参考発明１１−６の遊技機は、前述した参考発明１１−３から参考発明１１−５の何れか一つの遊技機において、
前記識別情報の変動表示の表示結果が前記第１特定表示結果となる確率として、所定確率と、前記所定確率よりも高い高確率と、を設定可能な確率設定手段を備え、
前記識別情報の変動表示の表示結果が前記第２特定表示結果となる確率は、前記高確率よりも高い
ことを特徴とするものである。
【０８４９】
このような遊技機によれば、識別情報の変動表示の表示結果が第１特定表示結果となる確率（第１特別遊技の実行確率）として、所定確率と、所定確率よりも高い高確率と、を設定することが可能であり、識別情報の変動表示の表示結果が第２特定表示結果となる確率（第２特別遊技の実行確率）は、その高確率よりも高いものとなっている。このため、第２特別遊技が実行される可能性が高くなり、これに伴い第２特別遊技に伴うキャラクタ演出の実行可能性も高くなる。これにより、第２特別遊技が行われる場合の遊技興趣を高めることが可能となる。
【０８５０】
参考発明１１−７の遊技機は、前述した参考発明１１−６の遊技機において、
前記特定遊技状態では、前記識別情報の変動表示の表示結果が前記第１特定表示結果となる確率が前記高確率に設定される
ことを特徴とするものである。
【０８５１】
このような遊技機によれば、特定遊技状態では、識別情報の変動表示の表示結果が第１特定表示結果となる確率が高確率となるため、第２特別遊技に伴うキャラクタ演出の実行可能性が高い状況下で、識別情報の変動表示に伴うキャラクタ演出の実行に遊技者の興味を惹きつけることが可能となる。これにより、特定遊技状態の遊技興趣を高めることが可能となる。
【０８５２】
参考発明１１−８の遊技機は、前述した参考発明１１−１から参考発明１１−７の何れか一つの遊技機において、
前記所定の表示部に表示されるキャラクタとして、第１キャラクタと第２キャラクタとを有し、
前記キャラクタ演出として、第１キャラクタ演出と第２キャラクタ演出とを有し、
前記第１キャラクタ演出は、前記第１キャラクタ及び前記第２キャラクタによる第１演出と、該第１演出後の前記第１キャラクタ及び前記第２キャラクタによる第２演出と、を含む演出であり、
前記第２キャラクタ演出は、前記第１キャラクタ及び前記第２キャラクタによる演出であって前記第２演出を含まない演出であり、
前記演出実行手段は、
前記識別情報の変動表示に伴ってキャラクタ演出を実行する場合、前記第１キャラクタ演出を実行し、
前記特別遊技に伴ってキャラクタ演出を実行する場合、前記第２キャラクタ演出を実行する
ことを特徴とするものである。
【０８５３】
このような遊技機によれば、表示部には第１キャラクタと第２キャラクタが表示され、これら第１キャラクタと第２キャラクタによるキャラクタ演出が実行される。キャラクタ演出には、第１キャラクタ演出と第２キャラクタ演出とがあり、第１キャラクタ演出は、第１キャラクタ及び第２キャラクタによる第１演出と該第１演出後の第１キャラクタ及び第２キャラクタによる第２演出とを含む演出となっており、第２キャラクタ演出は、第１キャラクタ及び第２キャラクタによる演出であるものの第２演出を含まない演出となっている。そして、識別情報の変動表示に伴ってキャラクタ演出を実行する場合には第１キャラクタ演出を実行し、特別遊技に伴ってキャラクタ演出を実行する場合には第２キャラクタ演出を実行する。これにより、遊技の状況に適した態様でキャラクタ演出を実行することが可能となり、キャラクタ演出に遊技者の興味を惹きつけることが可能となる。
【０８５４】
以上の参考発明１１によれば、キャラクタ演出の実行態様に特徴を持たせて、キャラクタ演出を備えた遊技機の遊技興趣の向上を図ることが可能となる。
【０８５５】
（参考発明１２）
従来、所定条件の成立に基づいて識別情報の変動表示を行い、その変動表示の表示結果が特定表示結果となったことに基づいて、遊技者にとって有利な特別遊技が実行可能となる遊技機が知られている。この種の遊技機において、識別情報の変動表示やその他の表示を行うための表示手段を複数備えたものが存在する（例えば、特開２０１３−２４０３８１号公報を参照）。
【０８５６】
前述のような表示手段を複数備えた遊技機では、遊技者は、各表示手段の表示内容に注目して遊技を進めることとなる。しかしながら、表示手段を複数備える構成は既に多くの遊技機で採用されており、複数の表示手段による表示の態様も画一的になりつつある。このため、この種の遊技機の遊技興趣を高めることが難しくなってきている。本参考発明１２は、上記事情に鑑みてなされたものであり、その目的とするところは、複数の表示手段による表示の態様に特徴を持たせ、表示手段を複数備えた遊技機の遊技興趣の向上を図ることにある。
【０８５７】
前述の課題を解決するための参考発明１２−１の遊技機は、
識別情報の変動表示の表示結果が特定表示結果となることに基づいて、遊技者にとって有利な特別遊技が実行可能となる遊技機であって、
第１表示手段と、
第２表示手段と、
所定の変動開始条件の成立に基づいて、識別情報の変動表示を前記第１表示手段で開始可能な変動表示開始手段と、
識別情報の変動表示の表示結果が特定表示結果となる可能性を示唆する示唆表示を実行可能な示唆表示実行手段と、を備え、
前記示唆表示実行手段は、前記第１表示手段と前記第２表示手段の少なくとも一方で示唆表示を実行可能である
ことを特徴とするものである。
【０８５８】
このような遊技機によれば、所定の変動開始条件が成立すると識別情報の変動表示が第１表示手段で開始され、識別情報の変動表示の表示結果が特定表示結果となる可能性を示唆する示唆表示が、第１表示手段と第２表示手段の少なくとも一方で実行可能となっている。これにより、第１表示手段での識別情報の変動表示に加え、第１表示手段や第２表示手段による示唆表示に遊技者を注目させることが可能となる。
【０８５９】
参考発明１２−２の遊技機は、前述した参考発明１２−１の遊技機において、
遊技領域が形成された遊技盤を備え、
前記第１表示手段は、前記遊技領域の内側に設けられ、
前記第２表示手段は、前記遊技領域の外側に設けられる
ことを特徴とするものである。
【０８６０】
このような遊技機によれば、遊技盤に形成された遊技領域の内側に第１表示手段が設けられ、遊技領域の外側に第２表示手段が設けられるため、遊技領域の内外において広範な表示が可能となる。これにより、インパクトのある示唆表示が可能となる。
【０８６１】
参考発明１２−３の遊技機は、前述した参考発明１２−２の遊技機において、
前記第２表示手段は、前記遊技領域のうち左遊技領域の側に位置する左表示手段と、前記遊技領域のうち右遊技領域の側に位置する右表示手段とからなり、
前記示唆表示実行手段は、前記第２表示手段で示唆表示を実行する場合、前記左表示手段と前記右表示手段の少なくとも一方で示唆表示を実行可能である
ことを特徴とするものである。
【０８６２】
このような遊技機によれば、遊技領域の内側に設けられる第１表示手段と、遊技領域の外側であって左遊技領域の側に設けられる左表示手段（第２表示手段）と、遊技領域の外側であって右遊技領域の側に設けられる右表示手段（第２表示手段）との３つの表示手段のうち、少なくとも１つの表示手段により示唆表示が実行可能となる。これにより、示唆表示のバリエーションを増やして、示唆表示が行われる場合の興趣を高めることが可能となる。
【０８６３】
参考発明１２−４の遊技機は、前述した参考発明１２−３の遊技機において、
前記示唆表示実行手段は、前記第２表示手段で示唆表示を実行する場合、前記左表示手段と前記右表示手段とで異なる態様の示唆表示を実行可能である
ことを特徴とするものである。
【０８６４】
このような遊技機によれば、左表示手段と右表示手段とで異なる態様の示唆表示が実行可能となるため、左表示手段で実行される示唆表示と、右表示手段で実行される示唆表示の夫々に遊技者を注目させることが可能となる。これにより、遊技者の期待感を効果的に高めることが可能となる。
【０８６５】
参考発明１２−５の遊技機は、前述した参考発明１２−１から参考発明１２−４の何れか一つの遊技機において、
前記示唆表示実行手段が前記第２表示手段で示唆表示を実行しないとき、前記第２表示手段で他の所定表示を実行可能な所定表示実行手段を備える
ことを特徴とするものである。
【０８６６】
このような遊技機によれば、第２表示手段にて示唆表示が実行されないときは、その第２表示手段で他の所定表示が実行可能となっている。これにより、第２表示手段を有効に活用することが可能となる。
【０８６７】
参考発明１２−６の遊技機は、前述した参考発明１２−１から参考発明１２−５の何れか一つの遊技機において、
識別情報の変動表示の開始後、該変動表示の表示結果が特定表示結果となるか否かを示す特定表示を実行可能な特定表示実行手段を備え、
前記特定表示実行手段は、前記第１表示手段で特定表示を実行する場合と、前記第１表示手段と前記第２表示手段とで特定表示を実行する場合とがある
ことを特徴とするものである。
【０８６８】
このような遊技機によれば、識別情報の変動表示が第１表示手段で開始された後、その変動表示の表示結果が特定表示結果となるか否かを示す特定表示が、第１表示手段で実行される場合と、第１表示手段と第２表示手段とで実行される場合とがある。これにより、特定表示のバリエーションを増やして、特定表示が行われる場合の興趣を高めることが可能となる。
【０８６９】
参考発明１２−７の遊技機は、前述した参考発明１２−１から参考発明１２−６の何れか一つの遊技機において、
識別情報の変動表示を停止する際の停止識別情報の表示を実行可能な停止表示実行手段を備え、
前記停止表示実行手段は、前記第１表示手段で停止識別情報の表示を実行する場合と、前記第１表示手段と前記第２表示手段とで停止識別情報の表示を実行する場合とがある
ことを特徴とするものである。
【０８７０】
このような遊技機によれば、識別情報の変動表示が第１表示手段で開始された後、その変動表示が停止する際の停止識別情報の表示が、第１表示手段で実行される場合と、第１表示手段と第２表示手段とで実行される場合とがある。これにより、識別情報の変動表示が停止する際の停止識別情報の表示のバリエーションを増やして、停止識別情報が表示される際の興趣を高めることが可能となる。
【０８７１】
以上の参考発明１２によれば、複数の表示手段による表示の態様に特徴を持たせ、表示手段を複数備えた遊技機の遊技興趣の向上を図ることが可能となる。
【０８７２】
（参考発明１３）
また、前述の参考発明１２に係る課題を解決するための参考発明１３−１の遊技機は、
識別情報の変動表示の表示結果が特定表示結果となることに基づいて、遊技者にとって有利な特別遊技が実行可能となる遊技機であって、
第１表示手段と、
第２表示手段と、
所定の変動開始条件の成立に基づいて、識別情報の変動表示を前記第１表示手段で開始可能な変動表示開始手段と、
識別情報の変動表示に関連する演出表示を実行可能な演出表示実行手段と、を備え、
前記演出表示実行手段は、前記第１表示手段で演出表示を実行する場合と、前記第１表示手段と前記第２表示手段とで演出表示を実行する場合とがある
ことを特徴とするものである。
【０８７３】
このような遊技機によれば、所定の変動開始条件が成立すると、識別情報の変動表示が第１表示手段で開始され、識別情報の変動表示に関連する演出表示が、第１表示手段で実行される場合と、第１表示手段と第２表示手段とで実行される場合とがあるものとなっている。これにより、第１表示手段での識別情報の変動表示の開始を契機に、第１表示手段や第２表示手段による演出表示に遊技者を注目させることが可能となる。
【０８７４】
尚、「変動表示に関連する演出表示」とは、例えば、識別情報の変動表示を行う際の背景を変化させる演出表示や、当該変動表示の結果が特定表示結果となるか否かを示す演出表示、当該変動表示の結果が特定表示結果となる可能性の高低を示唆する演出表示など、識別情報の変動表示に関連する種々の演出表示を指す。
【０８７５】
参考発明１３−２の遊技機は、前述した参考発明１３−１の遊技機において、
前記演出表示を前記第１表示手段と前記第２表示手段とで実行する場合の態様として、当初から前記第１表示手段と前記第２表示手段とで実行する第１態様と、当初は前記第１表示手段で実行しその後に前記第２表示手段でも実行する第２態様と、を有し、
前記演出表示実行手段は、前記第１表示手段と前記第２表示手段とで演出表示を実行する場合、識別情報の変動表示が終了するまでに、前記第１態様に基づく演出表示と前記第２態様に基づく演出表示のいずれか一方を実行可能である
ことを特徴とするものである。
【０８７６】
このような遊技機によれば、変動表示に関連する演出表示を第１表示手段と第２表示手段とで実行する場合の態様として、当初から第１表示手段と第２表示手段とで演出表示を実行する第１態様と、当初は第１表示手段で演出表示を実行して後に第２表示手段でも演出表示を実行する第２態様と、を有している。そして、第１表示手段と第２表示手段とで演出表示が実行される場合、識別情報の変動表示が終了するまでに、第１態様に基づく演出表示と、第２態様に基づく演出表示のいずれか一方が実行され得るものとなっている。これにより、変動表示に関連する演出表示の実行態様が画一的になることのないようにして、変動表示に関連する演出表示が行われる場合の興趣を高めることが可能となる。
【０８７７】
参考発明１３−３の遊技機は、前述した参考発明１３−２の遊技機において、
前記第２態様に基づく演出表示は、前記第１表示手段で実行される演出表示の表示領域が段階的に前記第２表示手段に広がっていく態様の演出表示である
ことを特徴とするものである。
【０８７８】
このような遊技機によれば、変動表示に関連する演出表示が第２態様に基づいて実行される場合、すなわち、当初は第１表示手段で演出表示が実行され、その後に第２表示手段でも演出表示が実行される場合、その演出表示は、第１表示手段での演出表示の表示領域が段階的に第２表示手段に広がっていく態様となる。これにより、演出表示の表示領域が第１表示手段から第２表示手段にかけて徐々に拡大していくといった演出が可能となり、変動表示に関連する演出表示が行われる場合の興趣を高めることが可能となる。
【０８７９】
参考発明１３−４の遊技機は、前述した参考発明１３−１から参考発明１３−３の何れか一つの遊技機において、
遊技領域が形成された遊技盤を備え、
前記第１表示手段は、前記遊技領域の内側に設けられ、
前記第２表示手段は、前記遊技領域の外側に設けられる
ことを特徴とするものである。
【０８８０】
このような遊技機によれば、遊技盤に形成された遊技領域の内側に第１表示手段が設けられ、遊技領域の外側に第２表示手段が設けられるため、遊技領域の内外において広範な表示が可能となる。これにより、インパクトのある演出表示が可能となる。
【０８８１】
参考発明１３−５の遊技機は、前述した参考発明１３−４の遊技機において、
前記第２表示手段は、前記遊技領域のうち左遊技領域の側に位置する左表示手段と、前記遊技領域のうち右遊技領域の側に位置する右表示手段とからなり、
前記演出表示実行手段は、前記第２表示手段で演出表示を実行する場合、前記左表示手段と前記右表示手段の少なくとも一方で演出表示を実行可能である
ことを特徴とするものである。
【０８８２】
このような遊技機によれば、遊技領域の内側に設けられる第１表示手段と、遊技領域の外側であって左遊技領域の側に設けられる左表示手段（第２表示手段）と、遊技領域の外側であって右遊技領域の側に設けられる右表示手段（第２表示手段）との３つの表示手段のうちのいずれかにより演出表示が実行可能となる。これにより、演出表示のバリエーションを増やして、演出表示が行われる場合の興趣を高めることが可能となる。
【０８８３】
以上の参考発明１３によれば、複数の表示手段による表示の態様に特徴を持たせ、表示手段を複数備えた遊技機の遊技興趣の向上を図ることが可能となる。
【０８８４】
（参考発明１４）
従来、所定条件の成立に基づいて識別情報の変動表示を行い、その変動表示の表示結果が特定表示結果となったことに基づいて、遊技者にとって有利な特別遊技が実行可能となる遊技機が知られている。この種の遊技機において、遊技機の外郭を構成する枠体（前面枠）に可動役物（ギミック）やＬＥＤ、スピーカ、演出表示器等の演出手段を設け、これら演出手段を遊技の進行に伴って駆動させることで、演出効果を高めるようにしたものが存在する（例えば、特開２０１６−１９５９３４号公報を参照）。
【０８８５】
しかしながら、遊技機の枠体に演出手段を設けるにあたっては、例えば、遊技機が設置される島設備（ＣＲユニット、データ表示器等）や隣接して設置される他の遊技機との関係、前面枠の開閉等を考慮しなければならず、それらによる制約を伴うのが通常である。このため、枠体に演出手段を設けた遊技機は、その演出手段の設置態様が画一的になりやすく、目新しさに欠けるのが実情である。本参考発明１４は、上記事情に鑑みてなされたものであり、その目的とするところは、演出手段の設置態様に特徴を持たせ、目新しさを感じさせることが可能な遊技機を提供することにある。
【０８８６】
前述の課題を解決するための参考発明１４−１の遊技機は、
前面に遊技領域が形成された遊技盤と、
前記遊技盤の前面を覆い、前記遊技領域を前方から視認可能とする視認窓を有する前面枠と、を備え、
前記前面枠は、その一側端側が軸支されて開閉可能に設けられており、
前記前面枠の前面のうち前記一側端側には、所定の画像を表示可能な第１枠側表示手段が、前記視認窓側との間で回動可能に設けられている
ことを特徴とするものである。
【０８８７】
このような遊技機によれば、遊技盤の前面を覆う前面枠が、その一側端側が軸支されることにより、その一側端側の軸周りに開閉可能（回動可能）に設けられる。そして、前面枠の前面のうち当該前面枠が軸支される一側端側には、所定の画像を表示可能な第１枠側表示手段が、前面枠の視認窓側との間で回動可能に設けられている。遊技盤の前面に形成された遊技領域を視認可能とする前面枠の視認窓は、前面枠の軸支される側である一側端側よりも前面枠の内側（中央側）に位置するため、前面枠を開放する際に第１枠側表示手段を視認窓側へ回動させることにより、第１枠側表示手段を視認窓側（前面枠の内側）へ収めることが可能となる。また、前面枠を閉鎖する際には、前面枠を開放する際と逆の方向（前面枠の一側端側）へ第１枠側表示手段を回動させることにより、第１枠側表示手段を元の状態とすることが可能となる。このため、前面枠の前面のうち当該前面枠が軸支される側である一側端側に表示手段（第１枠側表示手段）を設けても、前面枠の開閉に支障を来すことがないので、前面枠の軸支される側である一側端側に表示手段（第１枠側表示手段）を設けるといった目新しい配置態様を採ることが可能となる。これにより、従来にはない目新しさを感じさせることが可能な遊技機を提供することが可能となる。
【０８８８】
参考発明１４−２の遊技機は、前述した参考発明１４−１の遊技機において、
前記第１枠側表示手段は、前記視認窓側へ回動していない初期状態にあるとき、その表示面が前方から視認可能となりつつ前記視認窓側へ傾斜した状態となるように構成されており、
前記第１枠側表示手段を前記初期状態に維持することが可能な維持手段を備える
ことを特徴とするものである。
【０８８９】
このような遊技機によれば、第１枠側表示手段は、視認窓側へ回動していない初期状態にあるとき、その表示面が前方から視認可能となりつつ視認窓側へ傾斜した状態となるように構成されており、その状態（初期状態）に第１枠側表示手段を維持することが可能となっている。第１枠側表示手段の表示面が視認窓側へ傾斜していることで、視認窓を介して遊技領域を視認しながら遊技を行う遊技者は、少ない視線移動で第１枠側表示手段の表示面（表示内容）を視認することが可能となり、こうした状態（初期状態）に第１枠側表示手段を保つことにより、前面枠を閉鎖して遊技を行うことが可能な状況下において、第１枠側表示手段の表示面（表示内容）の良好な視認性を確保することが可能となる。
【０８９０】
参考発明１４−３の遊技機は、前述した参考発明１４−２の遊技機において、
前記維持手段は、前記第１枠側表示手段を前記一側端側に付勢する付勢手段により構成されている
ことを特徴とするものである。
【０８９１】
このような遊技機によれば、第１枠側表示手段を初期状態に維持可能な維持手段が、第１枠側表示手段を一側端側（前面枠の軸支される側）に付勢する付勢手段により構成される。このため、第１枠側表示手段を視認窓側へ回動させることで、第１枠側表示手段の初期状態は解かれ、視認窓側への回動を解くことで、第１枠側表示手段は、付勢手段（維持手段）の作用により前面枠の一側端側へ付勢されて、初期状態に復帰することとなる。これにより、第１枠側表示手段を視認窓側へ回動させないときには、その第１枠側表示手段を自動的に初期状態とすることが可能となる。
【０８９２】
参考発明１４−４の遊技機は、前述した参考発明１４−１から参考発明１４−３の何れか一つの遊技機において、
前記前面枠の前面のうち前記一側端側と対向する他側端側には、所定の画像を表示可能な第２枠側表示手段が設けられている
ことを特徴とするものである。
【０８９３】
このような遊技機によれば、前面枠の前面のうち、第１枠側表示手段が設けられる一側端側と対向する他側端側に、所定の画像を表示可能な第２枠側表示手段が設けられる。これにより、前面枠の一側端側と他側端側の両側に表示手段が配置される斬新な枠体（前面枠）を備える遊技機とすることが可能となる。
【０８９４】
参考発明１４−５の遊技機は、前述した参考発明１４−４の遊技機において、
前記第２枠側表示手段は、その表示面が前方から視認可能となりつつ前記視認窓側へ傾斜した状態となるように構成されている
ことを特徴とするものである。
【０８９５】
このような遊技機によれば、第２枠側表示手段は、その表示面が前方から視認可能となりつつ視認窓側へ傾斜した状態となるように構成されている。これにより、視認窓を介して遊技領域を視認しながら遊技を行う遊技者は、第１枠側表示手段と同様に、少ない視線移動で第２枠側表示手段の表示面（表示内容）を視認することが可能となる。
【０８９６】
参考発明１４−６の遊技機は、前述した参考発明１４−１から参考発明１４−５の何れか一つの遊技機において、
前記遊技盤の裏側には、所定の画像を表示可能であって前記視認窓を介して前方から視認可能とされる盤側表示手段が設けられている
ことを特徴とするものである。
【０８９７】
このような遊技機によれば、遊技盤の裏側に、所定の画像を表示可能な盤側表示手段が設けられており、その盤側表示手段が前面枠の視認窓を介して前方から視認可能とされている。これにより、前面枠の前面（遊技領域の外側）に設けられる枠側表示手段と、遊技盤の裏側（遊技領域の内側）に設けられる盤側表示手段とを用いた様々な表示が可能となり、遊技興趣を高めることが可能となる。
【０８９８】
以上の参考発明１４によれば、演出手段の設置態様に特徴を持たせ、目新しさを感じさせることが可能な遊技機を提供することが可能となる。
【０８９９】
（参考発明１５）
従来の遊技機において、始動口への入球に基づいて、所定の大当り確率で当否判定を行うと共に図柄を変動表示し、当否判定の結果が大当りになると図柄を大当り図柄で停止表示し、大入賞口を開放する大当り遊技を実行するものがあった。また、図柄の変動表示に伴って遊技演出（リーチ演出やキャラクタ演出等）を実行し、当該遊技演出の実行態様によって当否判定の結果が大当りとなる可能性、すなわち、図柄が大当り図柄で停止表示する可能性を示していた。また、大当りとして、遊技者にとって比較的有利な大当りと比較的不利な大当りとの複数の大当りを有していた。また、遊技演出（リーチ演出やキャラクタ演出等）として、実行態様（演出態様）の異なる複数の遊技演出を有し、実行する遊技演出によって異なる大当り信頼度を示していた。これにより、大当り信頼度の高い遊技演出が実行された場合の遊技者の遊技興趣を高め、有利な大当りとなった場合には更に遊技興趣を高めていた。
【０９００】
従来の遊技機では、大当り信頼度の高い遊技演出が実行された場合に遊技興趣を高める一方で、当該遊技演出の結果、遊技者にとって比較的不利な大当りであった場合には、遊技興趣の低下を招く虞があった。本参考発明は、前述の事情に鑑みてなされたものであり、遊技への安心感を高めると共に、遊技興趣を高める遊技演出を実行することが可能な遊技機を提供するものである。
【０９０１】
前述の課題を解決するための参考発明１５−１の遊技機は、
所定条件の成立に基づいて識別情報を変動表示する識別情報表示手段と、
前記識別情報の変動表示に伴って遊技演出を実行可能な遊技演出実行手段と、
遊技球が入球可能な入球可能状態と、遊技球が入球不能な入球不能状態と、に変化可能な可変入球口と、
前記可変入球口を入球可能状態とする特別遊技を実行可能な特別遊技実行手段と、
前記特別遊技終了後の遊技状態を、第１遊技状態と第２遊技状態とに設定可能な遊技状態設定手段と、
を備え、
前記識別情報の変動表示の結果が特定結果となると前記特別遊技を実行可能な遊技機であって、
前記遊技演出として、第１特別遊技演出と、前記第１特別遊技演出と演出態様が異なる第２特別遊技演出とを有し、
前記第１遊技状態は、第２遊技状態よりも遊技者に有利な遊技状態とされ、
所定の遊技状態を示唆する演出モードとして、前記第１遊技状態を示唆する第１演出モードと、前記第２遊技状態を示唆する第２演出モードと、を有し、
前記第１演出モードにおいて前記第１特別遊技演出が実行されると、前記特別遊技を実行することなく前記第１演出モードを継続する場合と、前記特別遊技を実行して当該特別遊技終了後の演出モードを前記第２演出モードに設定する場合とを有し、
前記第１演出モードにおいて前記第２特別遊技演出が実行されると、前記特別遊技を実行して当該特別遊技終了後の演出モードを前記第１演出モードに設定する場合と、前記特別遊技を実行することなく前記第１演出モードを継続する場合とを有し、前記特別遊技を実行して当該特別遊技終了後の演出モードを前記第２演出モードに設定する場合を有していない
ことを特徴とするものである。
【０９０２】
このような遊技機によれば、遊技状態を示唆する演出モードとして、第１遊技状態を示唆する第１演出モードと、第２遊技状態を示唆する第２演出モードと、を有しており、第１遊技状態は第２遊技状態よりも遊技者に有利な遊技状態とされている。また、第１演出モードにおいて実行可能な遊技演出として、特定キャラクタが出現する第１特別遊技演出と、第１特別遊技演出と演出態様が異なる第２特別遊技演出とを有している。そして、第１演出モードにおいて識別情報の変動表示に伴って第１特別遊技演出を実行した場合には、特別遊技を実行することなく第１演出モードを継続するときと、特別遊技を実行し当該特別遊技終了後の演出モードを第２演出モードに設定するときと、がある。また、第１演出モードにおいて識別情報の変動表示に伴って第２特別遊技演出を実行した場合には、特別遊技を実行し当該特別遊技終了後の演出モードを第１演出モードに設定するときと、特別遊技を実行することなく第１遊技モードを継続するときとがあり、演出モードを第２演出モードに設定することはない。
【０９０３】
これにより、遊技者に比較的有利な第１遊技状態を示唆する第１演出モードにおいて、第２特別遊技演出が実行された場合には、演出モードが第２演出モードに移行することがないので、遊技者は安心感をもって遊技を行うことができる。また、第２特別遊技演出が実行された場合には、特別遊技が実行されてその後も第１演出モードが継続するか、特別遊技が実行されない場合であっても第１演出モードは継続するため、遊技者は、期待感をもって遊技を行うことが可能となる。また、第２演出モードに移行する場合がある第１特別遊技演出が実行された場合でも、特別遊技を実行しないが、第１演出モードは継続する場合を有しているため、遊技者の期待感を維持し、遊技興趣の低下を極力防止することが可能となる。
【０９０４】
また、参考発明１５−２の遊技機は、参考発明１５−１の遊技機において、
前記第１演出モードにおいて前記第１特別遊技演出を実行することを、前記演出モードが、前記第１演出モードから第２演出モードに移行するための条件とすることを特徴とするものである。
【０９０５】
このような遊技機によれば、演出モードが遊技者に有利な第１遊技状態を示唆する第１演出モードに設定されている場合、当該第１演出モードにおいて、第１特別遊技演出が実行されることを第２演出モードへの移行条件としている。これにより、第１特別遊技演出を介することなく、演出モードが第１演出モードから第２演出モードに移行することはないため、第１特別遊技演出以外の遊技演出が実行された場合の遊技者の安心感を高めると共に、第１特別遊技演出が実行された場合の緊張感を高め、メリハリのある遊技を提供することが可能となる。
【０９０６】
また、参考発明１５−３の遊技機は、参考発明１５−１又は参考発明１５−２の遊技機において、
前記特定結果として、第１特定結果と、前記第１特定結果よりも遊技者に不利な第２特定結果と、を有し、
前記遊技状態として第３遊技状態を有し、
前記第２遊技状態は、前記第３遊技状態よりも遊技者に有利な遊技状態とされ、
前記演出モードとして、前記第３遊技状態を示唆する第３演出モードを有し、
前記第１特別遊技演出は、特定キャラクタが出現するものとされ、
前記遊技演出として、前記特定キャラクタが出現する第３特別遊技演出を有し、
前記第３演出モードにおいて、前記識別情報の変動表示に伴って前記第３特別遊技演出が実行され、且つ、当該識別情報の変動表示の結果が前記特定結果となる場合、当該特定結果は前記第１特定結果となることを特徴とするものである。
【０９０７】
このような遊技機によれば、特別遊技を実行することとなる特定結果として、第１特定結果と、第１特定結果よりも不利な第２特定結果とを有し、遊技状態として、第２遊技状態よりも遊技者に不利な第３遊技状態を有している。また、演出モードとして、第３遊技状態を示唆する第３演出モードを有し、当該第３演出モードにおいて実行可能な遊技演出として、第１特別遊技演出で出現するキャラクタと共通の特定キャラクタが出現する第３特別遊技演出を有している。そして、記第３演出モードにおいて第３特別遊技演出が実行され、且つ、識別情報の変動表示の結果が特定結果となる場合、当該特定結果は、遊技者に有利な第１特定結果とされる。
【０９０８】
これにより、第１演出モードでは、特定結果となった場合でも不利な結果となる特定キャラクタを出現させる第１特別遊技演出が、第３演出モードでは、同様の特定キャラクタを出現させる第３特別遊技演出が、特定結果となった場合には有利な結果となる遊技演出に設定されている。すなわち、演出モードによって、同じ特定キャラクタが出現する遊技演出が、遊技者にとって価値の異なる遊技演出とされている。またこれにより、同じ特定キャラクタが出現する遊技演出への期待感を、演出モードによって異ならせ、遊技の飽きを防止し、遊技興趣を高めることを可能とする。
【０９０９】
また、参考発明１５−４の遊技機は、参考発明１５−３の遊技機において、
前記第３演出モードにおいて、前記識別情報の変動表示に伴って前記第３特別遊技演出が実行され、且つ、当該識別情報の変動表示の結果が前記特定結果となる場合、前記特別遊技終了後の遊技状態が前記第１遊技状態に設定されることを特徴とするものである。
【０９１０】
このような遊技機によれば、記第３演出モードにおいて第３特別遊技演出が実行され、且つ、識別情報の変動表示の結果が特定結果となる場合、特別遊技終了後の遊技状態を第１遊技状態に設定するものとする。これにより、第３演出モードにおける第３特別遊技演出の価値を高めると共に、第３演出モードにおいて特定キャラクタが出現する第３特別遊技演出が実行された際の遊技者の期待感を高めることが可能となる。またこれにより、同じ特定キャラクタが出現する遊技演出への期待感を、演出モードによって更に異ならせ、遊技の飽きを防止し、遊技興趣を高めることを可能とする。また、特別遊技終了後の演出モードを、第１遊技状態を示唆する第１演出モードに設定するものとしてもよい。
【０９１１】
第１演出モードにおいて第１特別遊技演出を実行した場合に、前記特別遊技を実行して当該特別遊技終了後の演出モードを前記第１演出モードに設定する場合を有するものとしてもよい。また、第１演出モードにおいて所定の遊技演出を実行した場合に、前記特別遊技を実行して当該特別遊技終了後の演出モードを前記第２演出モードに移行することがない当該所定の遊技演出を、複数種類有するものとしてもよい。また、「第１演出モードにおいて所定の遊技演出を実行した場合に、前記特別遊技を実行して当該特別遊技終了後の演出モードを前記第２演出モードに移行することがない当該所定の遊技演出」の数は、「第１演出モードにおいて所定の遊技演出を実行した場合に、前記特別遊技を実行して当該特別遊技終了後の演出モードを前記第２演出モードに移行する場合がある当該所定の遊技演出」の数よりも多いものとしてもい。
【０９１２】
本参考発明の遊技機によれば、遊技者の安心感を高め、遊技興趣を高める遊技演出を実行する遊技機の提供を図ることが可能となる。
【０９１３】
（参考発明１６）
従来の遊技機では、連荘中に獲得した賞球量が示されるものの、異なる期間に獲得した遊技利益量を、遊技者が容易に把握するのが困難であった。これにより、遊技興趣の低下を招く虞があった。本参考発明は、前述の事情に鑑みてなされたものであり、獲得した遊技利益量を、遊技者が把握容易に示すと共に、遊技興趣の低下を防止することが可能な遊技機を提供するものである。
【０９１４】
前述の課題を解決するための参考発明１６−１の遊技機は、
所定条件の成立に基づいて識別情報を変動表示する識別情報表示部と、
前記識別情報の変動表示の結果が特定結果となると遊技利益を獲得可能な特別遊技を実行可能な特別遊技実行手段と、
第１期間に獲得した遊技利益の量を示す利益情報を表示可能な第１利益情報表示部と、
第１期間よりも長い第２期間に獲得した遊技利益の量を示す利益情報を表示可能な第２利益情報表示部と、
遊技に関する所定の遊技情報を表示可能な第１表示装置と、（サブ液晶）
前記第１表示装置と別に設けられ、遊技に関する所定の遊技情報を表示可能な第２表示装置と、を備え、（メイン液晶）
前記第１表示装置に前記第１利益情報表示部を設け、前記第２表示装置に前記第２利益情報表示部を設ける
ことを特徴とするものである。
【０９１５】
このような遊技機によれば、第１期間に獲得した遊技利益の量を示す利益情報を表示可能な第１利益情報表示部と、第１期間よりも長い第２期間に獲得した遊技利益の量を示す利益情報を表示可能な第２利益情報表示部と、を備え、第１表示装置に第１利益情報表示部を設け、第１表示装置とは別に設けられる第２表示装置に第２利益情報表示部を設ける。これにより、異なる長さの期間で獲得した遊技利益を、異なる表示装置に表示することが可能となる。またこれにより、遊技者は、第１期間に獲得した遊技利益を確認したい場合には、第１表示装置を確認し、第２期間に獲得した遊技利益を確認したい場合には第２表示装置を確認すればよいので、所望の期間に獲得した遊技利益の把握が容易となる。
【０９１６】
また、参考発明１６−２の遊技機は、参考発明１６−１の遊技機において、
遊技領域に遊技球を発射して遊技を実行する遊技機であって、
前記第１表示装置は、遊技領域の外側に設けられ、
前記第２表示装置は、遊技領域の内側に設けられ、
所定の遊技状況において、前記第１表示装置に前記第１利益情報表示部が設けられ、前記第２表示装置に、前記第２利益情報表示部及び前記識別情報表示部が設けられることを特徴とするものである。
【０９１７】
このような遊技機によれば、所定の遊技状況において、第１利益情報表示部を設けた第１表示装置を遊技領域の外側に設け、第２利益情報表示部及び識別情報表示部を設けた第２表示装置を遊技領域の内側に設ける。これにより、遊技者は、遊技領域の内側領域に設けた第２表示装置で、識別情報及び第２期間に獲得した遊技利益を確認しながら遊技を行い、第１期間に獲得した遊技利益を確認する場合には、遊技領域の外側領域に設けた第１表示装置を見て確認することが可能となる。またこれにより、第１表示装置と第２表示装置とを遊技領域の内外領域に、明確に離間させて分離配置したので、遊技者は所望の期間（第１期間又は第２期間）に獲得した遊技利益を容易且つ確実に把握することが可能となる。
【０９１８】
また、参考発明１６−３の遊技機は、参考発明１６−１又は参考発明１６−２の遊技機において、
前記第２期間において複数回の特別遊技が発生した場合、
前記第１期間は、１回の特別遊技を含む期間とし、
前記第２期間は、前記複数回の特別遊技を含む期間とすることを特徴とするものである。
【０９１９】
このような遊技機によれば、第２期間において複数回の特別遊技が発生した場合には、第１期間は特別遊技を１回だけ含んで構成される期間とされ、第２期間は当該複数回の特別遊技の全て含んで構成される期間とされる。これにより、第２期間において複数回の特別遊技が発生した場合には、第２利益情報表示部には、その複数回の特別遊技で獲得した遊技利益の総量を含む利益情報が表示され、第１利益情報表示部には、そのうち１回の特別遊技で獲得した遊技利益を含む利益情報が表示される。これにより、遊技者は、所望の期間（第１期間又は第２期間）に獲得した遊技利益を容易且つ確実に把握することが可能となる。
【０９２０】
尚、「１回の特別遊技を含む期間」とは、１回の特別遊技の実行期間だけを第１期間としてもよいし、１回の特別遊技の実行期間に加えて、当該特別遊技終了後の所定の遊技状態（特別遊技を除く）を含んで第１期間としてもよい。また、「複数回の特別遊技を含む期間」も同様に、複数回の特別遊技の実行期間だけを第２期間としてもよいし、複数回の特別遊技の実行期間に加えて、当該複数回の特別遊技の間の遊技状態や当該複数回の特別遊技の最後の特別遊技終了後の所定の遊技状態（特別遊技を除く）を含んで第２期間としてもよい。
【０９２１】
また、参考発明１６−４の遊技機は、参考発明１６−１乃至参考発明１６−３の遊技機において、
遊技状態として、第１遊技状態と（高確低ベース状態）、前記第１遊技状態よりも遊技者に不利な第２遊技状態と（低確低ベース状態）、を有し、
前記第２期間は、前記特別遊技が実行されると開始し、前記特別遊技以外の期間において遊技状態が前記第２遊技状態に設定されると終了するものとされ、
前記第２期間において、複数回の前記特別遊技が発生した場合、前記第１利益情報表示部を複数設けることを特徴とするものである。
【０９２２】
このような遊技機によれば、遊技状態として、比較的有利な第１遊技状態と、比較的不利な第２遊技状態と、を有しており、第２期間は特別遊技が実行されると開始し、その後遊技状態が特別遊技以外の期間で第２遊技状態に設定されると終了するものとする。そして、第２期間に特別遊技が複数回発生した場合には、１回の特別遊技を含む期間に獲得した利益情報を表示する第１利益情報表示部を複数設けるものとする。すなわち、第２期間に特別遊技が複数回発生した場合には、夫々の特別遊技に対応する第１利益情報表示部を設けることが可能となる。これにより、遊技者は、第２期間に獲得した遊技利益の総量を把握すると共に、各回の特別遊技を含む第１期間に、どの程度の遊技利益を獲得したかを把握することが可能となる。尚、第２期間に獲得した利益情報を表示する第２利益情報表示部は１個だけ設けるものとしてもよい。
【０９２３】
また、参考発明１６−５の遊技機は、参考発明１６−１乃至参考発明１６−４の遊技機において、
前記識別情報の変動表示の結果が第２特定結果となると遊技利益を獲得可能な第２特別遊技を実行可能な第２特別遊技実行手段を備え、（小当り遊技実行手段）
前記第１遊技状態は、前記第２特別遊技の実行によって遊技利益を獲得可能な遊技状態とされ、
前記第１期間は、前記第１特別遊技及び当該第１特別遊技終了後に設定される前記第１遊技状態が終了するまでの期間とされ、
前記第１利益情報表示部には、前記第１特別遊技で獲得した遊技利益、及び、前記第１遊技状態において前記第２特別遊技で獲得した遊技利益の量を示す利益情報を表示することを特徴とするものである。
【０９２４】
このような遊技機によれば、第１遊技状態は、第２特別遊技の実行によって遊技利益を獲得可能な遊技状態とされる。また、第１期間は、第１特別遊技及び当該第１特別遊技終了後に設定される第１遊技状態が終了するまでの期間とされる。そして、第１利益情報表示部には、第１特別遊技で獲得した遊技利益に、当該第１特別遊技につづく第１遊技状態において第２特別遊技で獲得した遊技利益を加えた利益情報を表示するものとする。これにより、第１利益情報表示部をみれば、１回の特別遊技及びその後に設定さされる第１遊技状態で獲得した遊技利益の量を示す利益情報を、確認することが可能となる。
【０９２５】
またこれにより、第２期間に複数回の特別遊技が発生した際に第１利益情報表示部を複数設ける場合には、各第１利益情報表示部に、各回の特別遊技及びその後の第１遊技状態を組合せとする利益情報を表示することが可能であるので、第２利益情報表示部に示される利益情報を、どのような過程を経て獲得したかを、容易且つ確実に把握することが可能となる。
【０９２６】
また、参考発明１６−６の遊技機は、参考発明１６−５の遊技機において、
前記第１利益情報表示部に、前記第１遊技状態の実行期間を示す期間情報を付加することを特徴とするものである。
【０９２７】
このような遊技機によれば、第１利益情報表示部に、第１遊技状態の実行期間を示す期間情報を付加するものとする。これにより、第１利益情報表示部に表示される利益情報について、特別遊技につづく第１遊技状態の実行期間の長さがどの程度であったかを把握することが可能となる。これにより、第１利益情報表示部に表示される利益情報、すなわち、１回の特別遊技及び当該特別遊技終了後の第１遊技状態において獲得した遊技利益をを示す利益情報が、どのような過程を経て当該利益情報となったかを、容易且つ確実に把握することが可能となる。
【０９２８】
例えば、所定の第１利益情報表示部に表示される利益情報が他の第１利益情報表示部に表示される利益情報より多い（又は少ない）量を示す場合に、第１利益情報表示部に付加される期間情報を見ることで、第２特別遊技によって遊技利益を獲得可能な第１遊技状態の期間の長短によるものであることを、推測することが可能となる。また、第２期間において複数回の特別遊技が発生する場合に、特別遊技間の第１遊技状態がどの程度の期間継続すれば、どの程度の遊技利益を獲得できるかを把握することが可能となる。
【０９２９】
本参考発明の遊技機によれば、獲得した遊技利益量を、遊技者が把握容易に示し、遊技興趣の低下を防止する遊技機の提供を図ることが可能となる。
【０９３０】
尚、「識別情報の変動表示の結果が特定結果となると遊技利益を獲得可能な特別遊技を実行可能な特別遊技実行手段」において、特定結果を大当り（大当り図柄の停止）とし、特別遊技を大当り遊技とし、特別遊技実行手段を大当り遊技実行手段とすることができる。また、「識別情報の変動表示の結果が第２特定結果となると遊技利益を獲得可能な第２特別遊技を実行可能な第２特別遊技実行手段」において、第２特定結果を小当り（小当り図柄の停止）とし、第２特別遊技を小当り遊技とし、第２特別遊技実行手段を小当り遊技実行手段とすることができる。
【０９３１】
また、第１遊技状態を高確低ベース状態とし、第２遊技状態を低確低ベース状態（通常状態）とすることができる。そして、第２期間を、第２遊技状態において大当り遊技の実行に基づいて開始し、その後、大当り遊技以外の期間で遊技状態が第２遊技状態（低確低ベース状態）に設定されると終了するものとしてもよい。また、第３遊技状態（低確高ベース状態）や第４遊技状態を設けてもよい（高確高ベース状態）。この場合も、第２期間開始後に第３遊技状態や第４遊技状態となった場合も、第２期間を継続し、大当り遊技以外の期間で遊技状態が第２遊技状態（低確低ベース状態）に設定されると終了するものとする。すなわち、この第２期間を「連荘期間（特別期間）」ともいう。
【０９３２】
また、第２利益情報表示部には、第２期間に発生した大当り遊技及び小当り遊技で獲得した遊技利益の総量を表示し、第１利益情報表示部には、第２期間において、大当り遊技及び当該大当り遊技の次の大当り遊技が発生するまでに小当り遊技で獲得した遊技利益を表示することができる。また、第１利益情報表示部及び／又は第２利益情報表示部に表示する遊技利益から、特定の大当り遊技で獲得した遊技利益を表示しない（加算しない）、すなわち、特定の大当り遊技で獲得した遊技利益を除外するものとしてもよい。例えば、獲得可能な遊技利益量が少ない大当り遊技（本実施例の２Ｒ第５大当り遊技、２Ｒ第６大当り遊技、２Ｒ第７大当り遊技、２Ｒ第８大当り遊技）を、第１利益情報表示部及び／又は第２利益情報表示部の表示対象から除外してもよい。これにより、遊技者にこのような遊技者に比較的不利な大当り遊技が発生したことを気づきにくくすることが可能となる。
【０９３３】
また、所定の遊技状況（例えば、高確低ベース状態、小当り遊技中）では、遊技領域外の第１表示装置に第１利益情報表示部を設け、遊技領域内の第２表示装置に第２利益情報表示部を設ける場合がある。また、他の遊技状況（大当り遊技中）では、遊技領域外の第１表示装置に第１利益情報表示部を設け、遊技領域内の第２表示装置に第１利益情報表示部及び第２利益情報表示部を設ける場合がある。また、また、更に他の遊技状況（リーチ演出中、キャラクタ演出中）では、第１表示装置及び／又は第２表示装置にそれまで表示していた第１利益情報表示部及び／又は第２利益情報表示部を消して、第１表示装置及び第２表示装置に、第１利益情報表示部及び第２利益情報表示部の何れも表示しない場合がある。これにより、リーチ演出等（特定演出）を遊技者に見やすくし、判定結果を遊技者に把握容易に報知することが可能となる。尚、遊技状況として、これらと異なる状況を当てはめることも可能である。
【０９３４】
（参考発明１７）
従来の遊技機では、大当り信頼度の高い遊技演出が実行された場合に遊技興趣を高める一方で、当該遊技演出の結果、遊技者にとって比較的不利な大当りであった場合には、遊技興趣の低下を招く虞があった。
【０９３５】
本参考発明は、前述の事情に鑑みてなされたものであり、遊技興趣を高める遊技演出を実行することが可能な遊技機を提供するものである。
【０９３６】
前述の課題を解決するための参考発明１７−１の遊技機は、
所定条件の成立に基づいて識別情報を変動表示する識別情報表示手段と、
前記識別情報の変動表示に伴って遊技演出を実行可能な遊技演出実行手段と、
遊技球が入球可能な入球可能状態と、遊技球が入球不能な入球不能状態と、に変化可能な可変入球口と、
前記可変入球口を入球可能状態とする特別遊技を実行可能な特別遊技実行手段と、を備え、
前記識別情報の変動表示の結果が特定結果となると前記特別遊技を実行可能な遊技機であって、
前記識別情報の変動表示の結果が特定結果である場合、当該識別情報の変動表示中に所定の識別情報をリーチ態様とし、その後、当該所定の識別情報を当り態様で停止表示し、前記識別情報の変動表示の結果が特定結果でない場合、当該識別情報の変動表示中に所定の識別情報をリーチ態様とし、その後、当該所定の識別情報を外れ態様で停止表示するものとされ、
前記遊技演出として、第１遊技演出を含む複数の遊技演出を有し、
前記識別情報として、第１識別情報を含む複数の識別情報を有し、
前記識別情報の変動表示に伴って前記第１遊技演出を実行する場合、当該識別情報の変動表示において、前記第１識別情報で前記リーチ態様となるものとされ、
当該識別情報の変動表示の結果が特定結果であると、前記第１識別情報を前記当り態様で停止表示し、当該識別情報の変動表示の結果が特定結果でないと、前記第１識別情報の前記リーチ態様を前記外れ態様で停止表示する
ことを特徴とするものである。
【０９３７】
このような遊技機によれば、識別情報として第１識別情報を含む複数の識別情報を有し、当該識別情報の変動表示に伴って実行される遊技演出として第１遊技演出を含む複数の遊技演出を有している。そして、第１遊技演出を実行する場合であって識別情報の変動表示の結果が特定結果である場合には、第１識別情報でリーチ態様を構成する演出を実行し、その後に第１識別情報を当り態様で停止表示するものとする。これにより、第１遊技演出が実行されて特定結果となる場合には、第１識別情報で当り態様となる。またこれにより、第１遊技演出が実行された場合の遊技者の安心感を高めると共に、遊技興趣を高めることが可能となる。
【０９３８】
また、参考発明１７−２の遊技機は、参考発明１７−１の遊技機において、
前記特定結果として、第１特定結果と、第２特定結果と、を有し、
前記第１特定結果は、第２特定結果よりも遊技者に有利なものであって、
前記第１識別情報を前記当り態様で停止表示する場合、前記識別情報の変動表示の結果は前記第１特定結果であることを特徴とするものである。
【０９３９】
このような遊技機によれば、特定結果として遊技者にとって比較的有利な第１特定結果と、第１特定結果よりも不利な第２特定結果とを有している。そして、第１識別情報を当り態様で停止表示する場合、すなわち、第１遊技演出を実行する場合は、遊技者にとって比較的有利な第１特定結果としている。これにより、遊技者は、第１遊技演出の実行に期待し、第１遊技演出が実行されると遊技興趣を高めることが可能となる。
【０９４０】
また、参考発明１７−３の遊技機は、参考発明１７−２の遊技機において、
前記遊技演出として、第２遊技演出を有し、
前記識別情報として、第２識別情報を有し、
前記第２識別情報を前記当り態様で停止表示する場合、前記識別情報の変動表示の結果は前記第２特定結果である場合を有し、
前記識別情報の変動表示に伴って前記第２遊技演出を実行する場合、当該識別情報の変動表示において、前記第１識別情報で前記リーチ態様となるときと、前記第２識別情報で前記リーチ態様となるときと、を有し、
前記第１識別情報で前記リーチ態様となるときであって、当該識別情報の変動表示の結果が特定結果であると、前記第１識別情報を前記当り態様で停止表示し、当該識別情報の変動表示の結果が特定結果でないと、前記第１識別情報の前記リーチ態様を前記外れ態様で停止表示し、
前記第２識別情報で前記リーチ態様となるときであって、当該識別情報の変動表示の結果が特定結果であると、前記第２識別情報を前記当り態様で停止表示し、当該識別情報の変動表示の結果が特定結果でないと、前記第２識別情報の前記リーチ態様を前記外れ態様で停止表示することを特徴とするものである。
【０９４１】
このような遊技機によれば、遊技演出として第１遊技演出と第２遊技演出とを有し、識別情報として第１識別情報と第２識別情報とを有している。そして、第２遊技演出を実行する場合であって識別情報の変動表示の結果が特定結果である場合には、第１識別情報でリーチ態様を構成する演出を実行して、その後に第１識別情報を当り態様で停止表示するときと、第２識別情報でリーチ態様を構成する演出を実行して、その後に第２識別情報を当り態様で停止表示するときとを有している。また、第２識別情報を当り態様で停止表示する場合は、遊技者にとって比較的不利な第２特定結果としている。これにより、第２遊技演出が実行される場合には、特定結果となる場合であっても、当該特定結果が第１特定結果のときと第２特定結果のときとがある。これにより、遊技者は、第１遊技演出が実行されることに期待し、第２遊技演出が実行された場合には、第１特定結果であることに期待して、遊技を行い、遊技興趣を高めることが可能となる。
【０９４２】
また、参考発明１７−４の遊技機は、参考発明１７−１乃至参考発明１７−３の遊技機において、
前記識別情報の変動表示に伴って前記第１遊技演出を実行する場合において、当該識別情報の変動表示において、前記第２識別情報で前記リーチ態様となった場合、
当該第２識別情報を前記第１識別情報に変化させる変化演出を実行し、前記第１識別情報で前記リーチ態様とすることを特徴とするものである。
【０９４３】
このような遊技機によれば、第１遊技演出の実行中に第２識別情報でリーチ態様となった場合には、当該第２識別情報を第１識別情報に変化させる変化演出を実行して、第１識別情報によるリーチ態様に変化させる。これにより、第１遊技演出が実行された場合には、第２識別情報によるリーチ態様が発生したとしても、変化演出によって遊技興趣を高めると共に、第１遊技演出に対する遊技者の安心感を高めることが可能となる。
【０９４４】
また、参考発明１７−５の遊技機は、参考発明１７−４の遊技機において、
前記変化演出は、前記第２識別情報を表示する第１表示位置とは異なる第２表示位置で実行され、
前期変化演出の後に、前記第１識別情報を前記第１表示位置に前記リーチ態様で表示することを特徴とするものである。
【０９４５】
このような遊技機によれば、変化演出は、第２識別情報をリーチ態様で表示する第１表示位置から第２表示位置に移動して実行される。そして、変化演出によって第２識別情報から第１識別情報に変化した当該第１識別情報を、第１表示位置に移動してリーチ態様で表示する。これにより、変化演出を第１表示位置から移動して実行することで、当該変化演出の発生を遊技者に気付きやすくすることが可能となる。またこれにより、遊技者は変化演出の発生に気づき、遊技興趣を高めることが可能となる。
【０９４６】
また、参考発明１７−６の遊技機は、参考発明１７−５の遊技機において、
前記識別情報を表示する識別情報表示領域において、前記第２表示位置は、前記第１表示位置よりも、前記識別情報表示領域の中央位置に近いことを特徴とするものである。
【０９４７】
このような遊技機によれば、変化演出が実行される第２表示位置は、第１表示位置よりも識別情報表示領域の中央位置に近いものとする。これにより、変化演出を目立たせ、当該変化演出の発生を遊技者に気付きやすくすることが可能となる。またこれにより、遊技者は変化演出の発生に気づき、遊技興趣を高めることが可能となる。
【０９４８】
また、参考発明１７−７の遊技機は、参考発明１７−５又は参考発明１７−６の遊技機において、
前記変化演出において前記第２表示位置に表示される前記第１識別情報は、変化前の前記第１表示位置に表示される前記第２識別情報よりも大きいことを特徴とするものである。
【０９４９】
このような遊技機によれば、変化演出で第２表示位置に表示する変化後の第１識別情報を、変化演出実行前に第１表示位置に表示する第２識別情報よりも大きく表示する。これにより、変化演出を目立たせ、当該変化演出の発生を遊技者に気付きやすくすることが可能となる。またこれにより、遊技者は変化演出の発生に気づき、遊技興趣を高めることが可能となる。
【０９５０】
本参考発明の遊技機によれば、遊技興趣を高める遊技演出を実行する遊技機の提供を図ることが可能となる。
【０９５１】
（参考発明１８）
従来の遊技機において、始動口への入球に基づいて、所定の大当り確率で当否判定を行うと共に図柄を変動表示し、当否判定の結果が大当りになると図柄を大当り図柄で停止表示し、大入賞口を開放する大当り遊技を実行するものがあった。また、図柄の変動表示に伴って遊技演出（リーチ演出やキャラクタ演出等）を実行し、当該遊技演出の実行態様によって当否判定の結果が大当りとなる可能性、すなわち、図柄が大当り図柄で停止表示する可能性を示していた。また、大当り遊技によって獲得した賞球量を表示することで、複数回の大当り遊技が短期間で実行される連荘が発生した場合に、当該連荘中にどのくらいの賞球量を獲得したかを示す演出を行う遊技機があった。これにより、遊技演出によって大当り発生への期待感を高めると共に、大当り遊技において獲得した賞球量を把握することで、遊技興趣を高めていた。
【０９５２】
前述したような遊技機では、大当り遊技によって獲得した賞球量が示されるものの、その獲得量が相対的に多いのか少ないのかを把握するのが困難であった。これにより、遊技への不信感をもち、遊技興趣の低下を招く虞があった。
【０９５３】
本参考発明は、前述の事情に鑑みてなされたものであり、獲得した遊技利益量を示しつつ、遊技興趣の低下を防止することが可能な遊技機を提供するものである。
【０９５４】
前述の課題を解決するための参考発明１８−１の遊技機は、
所定条件の成立に基づいて識別情報を変動表示する識別情報表示手段と、
前記識別情報の変動表示の結果が特定結果となると所定量の遊技利益を獲得可能な特別遊技を実行する特別遊技実行手段と、
前記識別情報の変動表示に伴って、所定の遊技演出を実行可能な遊技演出実行手段と、
獲得した遊技利益の量を示す利益情報を表示可能な利益情報表示部と、を備え、
前記遊技演出として、第１遊技演出と、第２遊技演出と、を有し、
前記第１遊技演出は、前記第２遊技演出よりも前記特別遊技の実行可能性として高い可能性を示すものとされ、
前記第１遊技演出には、特定キャラクタが表示され、
前記特定キャラクタは、前記利益情報表示部に表示される利益情報が特定量となった際に表示される
ことを特徴とするものである。
【０９５５】
このような遊技機によれば、識別情報の変動表示に伴って実行されるものであって、特別遊技の実行可能性を示す第１遊技演出及び第２遊技演出を有している。また、第１遊技演出は、第２遊技演出よりも、特別遊技の実行可能性として高い可能性を示す遊技演出であり、特定キャラクタを表示する遊技演出である。また、獲得した遊技利益の量を示す利益情報を表示する利益情報表示部を備え、利益情報表示部に表示される利益情報が特定量となった場合にも、特定キャラクタが表示されるものとする。これにより、利益情報が特定量となったタイミングで、比較的高い特別遊技実行可能性を示す第１遊技演出で用いられる特定キャラクタを表示することで、遊技者に多くの遊技利益を獲得できたことを報知し、遊技者は多くの遊技利益を獲得できたことを容易に認識することが可能となる。
【０９５６】
また、参考発明１８−２の遊技機は、参考発明１８−１の遊技機において、
前記利益情報表示部は、１回の前記特別遊技で獲得した遊技利益に基づいて前記特定量の利益情報を表示不能とされ、複数回の前記特別遊技で獲得した遊技利益に基づいて前記特定量の利益情報を表示可能であることを特徴とするものである。
【０９５７】
このような遊技機によれば、１回の特別遊技で獲得した遊技利益だけでは、特定量の利益情報が表示されることはなく、複数回の特別遊技で獲得した遊技利益であれば特定量の利益情報を表示可能としている。これにより、特定量の利益情報は１回の特別遊技で獲得可能な遊技利益を超える量に設定されており、利益情報表示部に利益情報が表示されているときであって、特定キャラクタが表示されたときの遊技者の遊技興趣を高めることが可能となる。
【０９５８】
また、参考発明１８−３の遊技機は、参考発明１８−１又は参考発明１８−２の遊技機において、
前記第１遊技演出で表示される前記特定キャラクタ、及び、前記利益情報表示部に表示される利益情報が特定量となった際に表示される前記特定キャラクタは、同じ形状のキャラクタを含んで構成されることを特徴とするものである。
【０９５９】
このような遊技機によれば、第１遊技演出で表示される特別遊技の実行可能性を示す特定キャラクタと、獲得した遊技利益に基づいて表示さえる利益情報が特定量となったことを示す特定キャラクタと、を同じ形状を含んで構成している。すなわち、これらの両場面で表示される特定キャラクタを、単に同一キャラクタとするだけでなく、形状も同じ表示態様としている。またこれにより、遊技者は、両場面で出現する特定キャラクタが、何れも同じ特定キャラクタであって、何れの場面でも同様に、遊技者に有利な状況が発生していることを容易に（直感的に）認識することが可能となる。
【０９６０】
また、参考発明１８−４の遊技機は、参考発明１８−１乃至参考発明１８−３の遊技機において、
前記第１遊技演出で表示される前記特定キャラクタは、前記識別情報の変動表示の実行中に表示され、
前記利益情報表示部に表示される利益情報が特定量となった際に表示される前記特定キャラクタは、前記特別遊技の実行中に表示されることを特徴とするものである。
【０９６１】
このような遊技機によれば、第１遊技演出で表示される特定キャラクタは識別情報の変動表示の実行中に表示され、利益情報が特定量となった際に表示される特定キャラクタは特別遊技の実行中に表示される。これにより、識別情報の変動表示中及び特別遊技の実行中の何れも、特定キャラクタを出現可能とし、特定キャラクタの出現時期を増加させることが可能となる。またこれにより、異なる遊技状況であっても特定キャラクタを出現可能とし、遊技興趣を長期間維持することが可能となる。
【０９６２】
本参考発明の遊技機によれば、獲得した遊技利益量を示しつつ、遊技興趣の低下を防止する遊技機の提供を図ることが可能となる。
【０９６３】
（参考発明１９）
また、参考発明１９−１の遊技機は、
所定条件の成立に基づいて当否判定を実行可能な当否判定手段と、
前記当否判定の結果に基づいて識別情報を変動表示する識別情報表示手段と、
所定の遊技状態を設定可能な遊技状態設定手段と、
所定の遊技状態において、所定の演出態様の演出モードを設定可能な演出モード設定手段と、
遊技者に有利な特別遊技を実行可能な特別遊技実行手段と、を備え、
前記当否判定の結果が特定結果となると前記特別遊技を実行可能な遊技機であって、
前記遊技状態として、第１遊技状態（低確低ベース状態）と、前記第１遊技状態よりも遊技者に有利な第２遊技状態（高確低ベース状態）と、を有し、
前記演出モードとして、第１演出態様を実行する（と共に、遊技者に有利な遊技状態であることを示唆しない）第１特定演出モードと、前記第１演出態様と異なる第２演出態様を実行すると共に、遊技者に有利な遊技状態であること（前記第２遊技状態であること）を示唆する第２特定演出モードと、を有し、
前記第１遊技状態において前記特定結果となって前記特別遊技が実行された場合、及び、前記第２遊技状態において前記特定結果となって前記特別遊技が実行された場合、の何れの場合も、当該特別遊技終了後の遊技状態において、前記演出モードを前記第１特定演出モードに設定可能とし、
前記演出モードが前記第１特定演出モードに設定された場合、前記識別情報の変動表示が特定回数実行されることに基づいて、（特別遊技を経ることなく）他の演出モードに移行可能とされ、
前記特別遊技終了後に設定された前記第１特定演出モードが、前記特定回数の前記識別情報の変動表示に基づいて前記第２特定演出モードに移行する可能性は、
前記第２遊技状態において前記特定結果となって前記特別遊技が実行され、当該特別遊技終了後に前記第１特定演出モードに設定された場合の方が、前記第１遊技状態において前記特定結果となって前記特別遊技が実行され、当該特別遊技終了後に前記第１特定演出モードに設定された場合よりも高い
ことを特徴とするものである。
【０９６４】
このような遊技機によれば、所定の遊技状態において、所定の演出態様の演出モードを設定する演出モード設定手段を備える。また、遊技状態として、少なくとも、第１遊技状態と、当該第１遊技状態よりも遊技者に有利な第２遊技状態と、を有すると共に、演出モードとして、少なくとも、第１演出態様を実行する第１特定演出モードと、第２演出態様を実行すると共に遊技者に有利な遊技状態（例えば、第２遊技状態）であることを示唆する第２特定演出モードと、を有している。
【０９６５】
そして、第１遊技状態において当否判定の結果が特定結果となって特別遊技が実行された場合、及び、第２遊技状態において当否判定の結果が特定結果となって特別遊技が実行された場合、の何れの場合も、特別遊技終了後の遊技状態において、第１特定演出モードを設定可能としている。また、この第１特定演出モードは、識別情報の変動表示が特定回数実行されると、他の演出モードに移行可能とされている。
【０９６６】
そして、第２遊技状態において特定結果となって実行された特別遊技の終了後に設定された第１特定演出モードが、特定回数の識別情報の変動表示に基づいて第２特定演出モードに移行する可能性は、第１遊技状態において特定結果となって実行された特別遊技の終了後に設定された第１特定演出モードが、特定回数の識別情報の変動表示に基づいて第２特定演出モードに移行する可能性よりも高い。
【０９６７】
これにより、同じ第１特定演出モードであっても、移行過程によって、その後に移行する演出モードが異なることとなり、演出モードの移行態様を多様化し、遊技興趣を高めることが可能となる。また、第２遊技状態から移行した第１特定演出モードの方が、第１遊技状態から移行した第１特定演出モードよりも期待できるため、同じ第１特定演出モードであっても、異なる期待感をもって遊技を行うことを可能とする。
【０９６８】
また、参考発明１９−２の遊技機は、参考発明１９−１の遊技機において、
前記演出モードとして、前記第１演出態様及び前記第２演出態様と異なる第３演出態様を実行する第３特定演出モードを有し、
前記第３特定演出モードは、遊技状態が前記第１遊技状態であることを示唆する演出モードであり、
前記第２特定演出モードは、遊技状態が前記第２遊技状態であることを示唆する演出モードであることを特徴とするものである。
【０９６９】
このような遊技機によれば、第３演出態様の第３特定演出モードを実行することで、遊技状態が第１遊技状態であることを示唆し、第２演出態様の第２特定演出モードを実行することで、遊技状態が、第１遊技状態よりも遊技者に有利な第２遊技状態であることを示唆する。これにより、演出モードとして第２特定演出モードが実行されると、遊技者は、期待感を高めると共に、遊技興趣を高めることが可能となる。
【０９７０】
また、参考発明１９−３の遊技機は、参考発明１９−１又は参考発明１９−２の遊技機において、
前記遊技状態として、第３遊技状態（低確高ベース状態）と、第４遊技状態（高確高ベース状態）と、を有し、
前記第３遊技状態は、当該第３遊技状態において前記特定回数の前記識別情報の変動表示が行われると前記第１遊技状態に移行するものとされ、前記第４遊技状態は、当該第４遊技状態において前記特定回数の前記識別情報の変動表示が行われると前記第２遊技状態に移行するものとされ、
前記第３遊技状態と前記第４遊技状態との何れの遊技状態でも、前記演出モードとして前記第１特定演出モードを実行可能とし、
前記第４遊技状態で前記第１特定演出モードを実行していた場合に、前記特定回数の前記識別情報の変動表示に基づいて前記第２特定演出モードに移行し、前記第３遊技状態で前記第１特定演出モードを実行していた場合に、前記特定回数の前記識別情報の変動表示に基づいて前記第２特定演出モードに移行しないことを特徴とするものである。
【０９７１】
このような遊技機によれば、遊技状態として、第３遊技状態と第４遊技状態とを有している。そして、第３遊技状態は、当該第３遊技状態において、識別情報の変動表示が特定回数行われることに基づいて、遊技状態が第３遊技状態から第１遊技状態に移行し、第４遊技状態は、当該第４遊技状態において、識別情報の変動表示が特定回数行われることに基づいて、遊技状態が第４遊技状態から第２遊技状態に移行するものする。また、第１特定演出モードを実行する第４遊技状態において、識別情報の変動表示を特定回数行うことに基づいて、演出モードを、第１特定演出モードから第２特定演出モードに移行する。また第１特定演出モードを実行する第３遊技状態において、識別情報の変動表示を特定回数行うことに基づいて、演出モードを、第１特定演出モードから第２特定演出モードに移行しないものとする。
【０９７２】
すなわち、第４遊技状態且つ第１特定演出モードの場合、識別情報の変動表示を特定回数行うことに基づいて、演出モードを遊技者に有利な第２遊技状態であることを示す第２特定演出モードに移行可能とするが、第３遊技状態且つ第１特定演出モードの場合、識別情報の変動表示を特定回数行うことに基づいて、演出モードを第２特定演出モードに移行不能としている。これにより、同じ第１特定演出モードが実行される場合でも、当該第１特定演出モードを実行中の遊技状態が、第３遊技状態か第４遊技状態かによって、その後に移行可能な演出モードを異ならせている。これにより、演出モードを多様化し、遊技興趣を高めることが可能となる。
【０９７３】
また、参考発明１９−４の遊技機は、参考発明１９−３の遊技機において、
第１の態様と、前記第１の態様よりも遊技球の入球可能性が高い第２の態様と、に変化可能な可変入球口と、
所定頻度状態（低ベース状態）と、前記所定頻度状態よりも前記可変入球口への入球頻度が高い高頻度状態（高ベース状態）と、に設定可能な入球頻度設定手段と、
前記当否判定手段が前記特定結果と判定する確率を、所定確率と、前記所定確率よりも高い高確率と、に設定可能な確率設定手段と、を備え、
前記第１遊技状態は、前記所定頻度状態且つ前記所定確率に設定される遊技状態であり、前記第２遊技状態は、前記所定頻度状態且つ前記高確率に設定される遊技状態であることを特徴とするものである。
【０９７４】
このような遊技機によれば、可変入球口と、可変入球口への遊技球の入球頻度を変化可能な入球頻度設定手段と、当否判定の確率を変化可能な確率設定手段と、を備えている。そして、第１遊技状態を、所定頻度状態且つ所定確率に設定された遊技常態とし、第２遊技状態を所定頻度状態且つ高確率に設定された遊技状態とする。これにより、第２遊技状態は、当否判定が実行されると高い確率で特定結果と判定されるため、第１遊技状態と比較して特別遊技が実行されやすい遊技状態となる。これにより、遊技者の特別遊技への期待感を高め、遊技興趣を高めることが可能となる。
【０９７５】
また、参考発明１９−５の遊技機は、参考発明１９−４の遊技機において、
前記第３遊技状態は、前記高頻度状態且つ前記所定確率（低確高ベース状態）に設定される遊技状態であり、前記第４遊技状態は、前記高頻度状態且つ前記高確率（高確高ベース状態）に設定される遊技状態であることを特徴とするものである。
【０９７６】
このような遊技機によれば、第３遊技状態を高頻度状態且つ所定確率に設定された状態とし、第４遊技状態を高頻度状態且つ高確率に設定された状態とする。すなわち、第３遊技状態及び第４遊技状態を何れも高頻度状態とし、当否判定の確率が異なる遊技状態とする。これにより、第１特定演出モードが実行された場合の遊技状態が第４遊技状態であれば、特定回数の識別情報の変動表示に基づいて第２特定演出モードを実行する第２遊技状態に移行し、遊技者に有利な遊技状態となる。またこれにより、遊技興趣を高めることが可能となる。
【０９７７】
また他の態様として、第２遊技状態において特定結果となって特別遊技が実行され、当該特別遊技終了後に設定された第１特定演出モードは、特定回数の識別情報の変動表示に基づいて（特別遊技を経ることなく）第２特定演出モードに移行可能とし、
第１遊技状態において特定結果となって特別遊技が実行され、当該特別遊技終了後に設定された第１特定演出モードは、特定回数の識別情報の変動表示に基づいて（特別遊技を経ることなく）第２特定演出モードに移行しないものとしてもよい。
【０９７８】
また、他の態様として、第２遊技状態において特別遊技が実行されて当該特別遊技終了後に設定された第１特定演出モードから第２特定演出モードに移行する可能性は、第１遊技状態において特別遊技が実行されて当該特別遊技終了後に設定された第１特定演出モードから第２特定演出モードへの移行する可能性よりも高いものとしてもよい。
【０９７９】
また、第２遊技状態は、第１遊技状態、第３遊技状態及び第４遊技状態よりも、遊技者にとって有利な遊技状態であるといえる。また、当否判定の結果が特定結果となる可能性が高い（高確率に設定される）第２遊技状態は、当否判定の結果が特定結果となる可能性が低い（所定確率に設定される）第１遊技状態及び第３遊技状態よりも、遊技者にとって有利な遊技状態であるといえる。
【０９８０】
また、当否判定の結果が第２特定結果（小当り）となると第２特別遊技（小当り遊技）を実行可能とされ、第２遊技状態は、第１遊技状態、第３遊技状態、及び、第４遊技状態と比較して、小当り遊技の実行頻度（小当りの発生頻度）が高いものとしてもよい。
【０９８１】
（参考発明２０）
また、参考発明２０−１の遊技機は、
所定条件の成立に基づいて第１当否判定を実行可能な第１当否判定手段と、
所定条件の成立に基づいて第２当否判定を実行可能な第２当否判定手段と、
前記第１当否判定の結果又は前記第２当否判定の結果に基づいて、識別情報を変動表示する識別情報表示手段と、
所定の遊技状態を設定可能な遊技状態設定手段と、
所定の遊技状態において、所定の演出態様の演出モードを設定可能な演出モード設定手段と、
遊技者に有利な特別遊技を実行可能な特別遊技実行手段と、を備え、
前記第１当否判定又は前記第２当否判定の結果が特定結果となると、前記特別遊技を実行可能な遊技機であって、
前記演出モードとして、第１演出態様を実行する（と共に、遊技者に有利な遊技状態であることを示唆しない）第１特定演出モードと、前記第１演出態様と異なる第２演出態様を実行すると共に、遊技者に有利な遊技状態であること（前記第２遊技状態であること）を示唆する第２特定演出モードと、を有し、
前記第１当否判定の結果が前記特定結果となって前記特別遊技が実行された場合、及び、前記第２当否判定の結果が前記特定結果となって前記特別遊技が実行された場合、の何れの場合も、当該特別遊技終了後の遊技状態において、前記演出モードを前記第１特定演出モードに設定可能とし、
前記演出モードが前記第１特定演出モードに設定された場合、前記識別情報の変動表示が特定回数実行されることに基づいて、（特別遊技を経ることなく）他の演出モードに移行可能とされ、
前記特別遊技終了後に設定された前記第１特定演出モードが、前記特定回数の前記識別情報の変動表示に基づいて前記第２特定演出モードに移行する可能性は、
前記第２当否判定の結果が前記特定結果となって前記特別遊技が実行され、当該特別遊技終了後に前記第１特定演出モードに設定された場合の方が、前記第１当否判定の結果が前記特定結果となって前記特別遊技が実行され、当該特別遊技終了後に前記第１特定演出モードに設定された場合よりも高い
ことを特徴とするものである。
【０９８２】
これにより、同じ第１特定演出モードであっても、第１特定演出モードが設定される過程によって、その後に第２特定演出モードに移行する可能性が異なることとなり、演出モードの移行態様を多様化し、遊技興趣を高めることが可能となる。また、第２当否判定の結果によって第１特定演出モードが設定された場合の方が、第１当否判定の結果によって第１特定演出モードが設定された場合よりも、第２特定演出モードへの移行を期待できる。そのため、同じ第１特定演出モードであっても、異なる期待感をもって遊技を行うことを可能とする。
【０９８３】
また、「識別情報表示手段」として、第１当否判定（第１特別図柄当否判定）の結果に基づいて識別情報を変動表示する第１識別情報表示手段と、第２当否判定（第２特別図柄当否判定）の結果に基づいて識別情報を変動表示する第２識別情報表示手段と、を有するものとしてもよい。また、前記遊技状態として、第１遊技状態（低確低ベース状態）と、第１遊技状態よりも遊技者に有利な第２遊技状態（高確低ベース状態）と、を有してもよい。
【０９８４】
また、参考発明２０−２の遊技機は、参考発明２０−１の遊技機において、
前記演出モードとして、前記第１演出態様及び前記第２演出態様と異なる第３演出態様を実行する第３特定演出モードを有し、
前記演出モードが前記第１特定演出モードに設定された場合、前記識別情報の変動表示が前記特定回数実行されることに基づいて、前記演出モードが、前記第２特定演出モードに移行する場合と、前記第３特定演出モードに移行する場合と、を有し、
前記第２特定演出モードを実行する際の遊技状態は、前記第３特定演出モードを実行する際の遊技状態よりも、遊技者に有利な遊技状態であることを特徴とするものである。
【０９８５】
これにより、第１特定演出モードで遊技を行う際、遊技者は、特別遊技が実行されるか、若しくは、演出モードが第２特定演出モードに移行することに期待して遊技を行うこととなり、演出モードの移行態様を多様化し、遊技興趣を高めることが可能となる。
【０９８６】
また、参考発明２０−３の遊技機は、参考発明２０−２の遊技機において、
前記遊技状態として、第１遊技状態（低確低ベース状態）と、前記第１遊技状態よりも遊技者に有利な第２遊技状態（高確低ベース状態）と、前記第１遊技状態よりも遊技者に有利な第３遊技状態（低確高ベース状態）と、前記第１遊技状態よりも遊技者に有利な第４遊技状態（高確高ベース状態）と、を有し、
前記第１特定演出モードは、遊技状態が前記第３遊技状態又は前記第４遊技状態のときに実行される演出モードであり、
前記第２特定演出モードは、遊技状態が前記第２遊技状態であることを示唆する演出モードであり、
前記第３特定演出モードは、遊技状態が前記第１遊技状態であることを示唆する演出モードであることを特徴とする請求項２に記載の遊技機。
【０９８７】
また、参考発明２０−４の遊技機は、参考発明２０−３の遊技機において、
前記第３遊技状態は、当該第３遊技状態において前記特定回数の前記識別情報の変動表示が行われると前記第１遊技状態に移行するものとされ、前記第４遊技状態は、当該第４遊技状態において前記特定回数の前記識別情報の変動表示が行われると前記第２遊技状態に移行するものとされ、
前記第３遊技状態と前記第４遊技状態との何れの遊技状態でも、前記演出モードとして前記第１特定演出モードを実行可能とし、
前記第４遊技状態で前記第１特定演出モードを実行していた場合に、前記特定回数の前記識別情報の変動表示に基づいて前記第２特定演出モードに移行し、前記第３遊技状態で前記第１特定演出モードを実行していた場合に、前記特定回数の前記識別情報の変動表示に基づいて前記第２特定演出モードに移行しない
ことを特徴とする請求項３に記載の遊技機。
【０９８８】
また、参考発明２０−５の遊技機は、参考発明２０−３又は参考発明２０−４の遊技機において、
第１の態様と、前記第１の態様よりも遊技球の入球可能性が高い第２の態様と、に変化可能な可変入球口と、
所定頻度状態と、前記所定頻度状態よりも前記可変入球口への入球頻度が高い高頻度状態と、に設定可能な入球頻度設定手段と、
前記当否判定手段が前記特定結果と判定する確率を、所定確率と、前記所定確率よりも高い高確率と、に設定可能な確率設定手段と、を備え、
前記第１遊技状態は、前記所定頻度状態且つ前記所定確率に設定される遊技状態であり、前記第２遊技状態は、前記所定頻度状態且つ前記高確率に設定される遊技状態であることを特徴とする請求項３又は請求項４に記載の遊技機。
【０９８９】
また、参考発明２０−６の遊技機は、参考発明２０−５の遊技機において、
前記第３遊技状態は、前記高頻度状態且つ前記所定確率に設定される遊技状態であり、前記第４遊技状態は、前記高頻度状態且つ前記高確率に設定される遊技状態であることを特徴とする請求項５に記載の遊技機。
【０９９０】
また、他の態様として、前記第２当否判定の結果が前記特定結果となって前記特別遊技が実行され、当該特別遊技終了後に前記第１特定演出モードに設定された場合は、前記特別遊技終了後に設定された前記第１特定演出モードが、前記特定回数の前記識別情報の変動表示に基づいて前記第２特定演出モードに移行可能とし、
前記第１当否判定の結果が前記特定結果となって前記特別遊技が実行され、当該特別遊技終了後に前記第１特定演出モードに設定された場合は、前記特別遊技終了後に設定された前記第１特定演出モードが、前記特定回数の前記識別情報の変動表示に基づいて前記第２特定演出モードに移行不能としてもよい。
【０９９１】
また、前記第１当否判定の結果が前記特定結果となって前記特別遊技が実行され、当該特別遊技終了後に前記第１特定演出モードに設定された場合は、前記特別遊技終了後に設定された前記第１特定演出モードが、前記特定回数の前記識別情報の変動表示に基づいて前記第２特定演出モードに移行不能とし、第３特定演出モードに移行するものとしてもよい。
【０９９２】
また、特定回数として、第１特定回数（５０回）、第２特定回数（１００回）、第３特定回数（１５０回）等の複数の回数を設定してもよい。また、第１特定演出モードと第２特定演出モードとは演出モードの名称が異なる。また、有利演出モード（第２特定演出モード）に移行可能な演出モードと、有利演出モードに移行しない演出モードとを、同じ名称の演出モード（第１特定演出モード）とする。
【０９９３】
（参考発明２１）
従来の遊技機において、始動口への入球に基づいて、所定の大当り確率で当否判定を行うと共に図柄を変動表示し、当否判定の結果が大当りになると図柄を大当り図柄で停止表示し、大入賞口を開放する大当り遊技を実行するものがあった。また、遊技状態として、当否判定の確率や所定の始動口への入球頻度が異なる複数の遊技状態を有し、遊技状態によって、遊技球の発射領域を変更して遊技を行うものがあった（例えば、特許文献：２０１４−１６１６１５）。
【０９９４】
また、このような遊技機では、遊技状態によって、遊技者が発射すべき遊技領域（発射領域）を示すため、発射領域の指示報知を行っていた。例えば、所謂左打ちによって遊技を進行する低確低ベース状態で、大当りとなると、「右打ち！」等の報知をして、所謂右打ちによって遊技を進行する状態となる。遊技者は、この「右打ち！」の指示報知に従って発射領域を変更することで、不利益を受けることなく、遊技を進行することが可能となる。また、大当り遊技終了後に設定される遊技状態が、右打ちのまま行うものであれば、大当り終了後に再度「右打ち！」の指示報知を行って、右打ちでの遊技を継続することを指示報知する。遊技者はこれらの指示報知に従って遊技を進行することで、遊技状態によって発射領域を変更するような複雑な遊技性の遊技機であっても、混乱したり、不利益を受けたりすることなく、遊技を進行することができる。
【０９９５】
前述したような遊技機では、遊技状態が変化する毎に発射領域の指示報知を行うため、遊技者は当該指示に従って遊技を行えばよく、初心者であっても容易に遊技を行うことができる。しかしながら、だれでも容易に遊技を行うことができるために、長時間遊技を行うと、遊技に飽き、遊技興趣の低下を招く虞があった。
【０９９６】
本参考発明２１は、前述の事情に鑑みてなされたものであり、発射領域の指示報知演出を多様化し、遊技興趣を高めることが可能な遊技機を提供するものである。
【０９９７】
前述の課題を解決するための参考発明２１−１の遊技機は、
遊技球を発射する発射領域として、第１発射領域と、第２発射領域と、を有し、
遊技球の発射領域を指示するための指示演出を実行する発射領域指示手段と、
所定条件の成立に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、を備えた遊技機であって、
前記特別遊技として、第１特別遊技（第１ボーナス）と、第２特別遊技（第２ボーナス）と、第３特別遊技（第４ボーナス）と、を有し、
同じ発射領域（第２発射領域、右打ち領域）を指示する前記指示演出として、第１指示演出と、第２指示演出と、第３指示演出と、を有し、
前記第１特別遊技が実行される場合は前記第１指示演出を実行し、前記第２特別遊技が実行される場合は前記第２指示演出を実行し、前記第３特別遊技が実行される場合は前記第３指示演出を実行する
ことを特徴とするものである。
【０９９８】
このような遊技機によれば、遊技球の発射領域として、第１発射領域と、第２発射領域とを有し、遊技球の発射領域を指示する指示演出を実行する発射領域指示手段を備えている。また、特別遊技として、第１特別遊技と、第２特別遊技と、第３特別遊技と、を有し、同じ発射領域（例えば、第２発射領域）を指示する指示演出として、第１指示演出と、第２指示演出と、第３指示演出と、を有し、第１特別遊技が実行される場合は第１指示演出を実行し、第２特別遊技が実行される場合は第２指示演出を実行し、第３特別遊技が実行される場合は第３指示演出を実行する。これにより、実行される特別遊技の種類によって、異なる演出態様の指示演出が実行されるため、遊技演出を多様化し、遊技興趣を高めることが可能となる。
【０９９９】
また、特定結果として、第１特定結果と、第２特定結果と、第３特定結果と、を有し、第１特定結果の場合は第１指示演出を実行し、第２特定結果の場合は第２指示演出を実行し、第３特定結果の場合は第３指示演出を実行するものとしてもよい。また、第１特定結果の場合は第１特別遊技が実行され、第２特定結果の場合は第２特別遊技が実行され、第３特定結果の場合は第３特別遊技が実行されるものとしてもよい。
【１０００】
また、第１特別遊技（第１ボーナス）の終了後はスーパー演出モードが実行され、第２特別遊技（第２ボーナス）の終了後はスーパー演出モードが実行される場合と第１カウント演出モードが実行される場合とがあり、第３特別遊技（第４ボーナス）の終了後は第２カウント演出モードが実行されるものとしてもよい。また、第１特別遊技と、第２特別遊技と、第３特別遊技とは、特別遊技終了後の演出モードが異なるものとしてもよいし、特別遊技終了後の遊技状態が異なるものとしてもよいし、特別遊技において獲得可能な遊技利益が異なるものとしてもよい。また、指示演出の種類によって、特別遊技やその後の遊技状態を予測することを可能にする。
【１００１】
また、参考発明２１−２の遊技機は、参考発明２１−１の遊技機において、
所定の遊技状態において、所定の演出態様の演出モードを設定可能な演出モード設定手段を備え、
前記演出モードとして、第１演出態様を実行する第１特定演出モードと、前記第１演出態様と異なる第２演出態様を実行すると共に、前記第１特定演出モードよりも遊技者に有利な遊技状態であることを示唆する第２特定演出モードと、を有し、
前記第１特別遊技の終了後は前記第２特定演出モードを設定し、前記第２特別遊技の終了後は前記第１特定演出モードを設定する場合と前記第２特定演出モードを設定する場合とがあり、前記第３特別遊技の終了後は前記第１特定演出モードを設定することを特徴とするものである。
【１００２】
このような遊技機によれば、所定の遊技状態において実行される演出モードとして、第１演出態様を実行する第１特定演出モードと、第２演出態様を実行すると共に第１特定演出モードよりも遊技者に有利な遊技状態であることを示唆する第２特定演出モードと、を有する。そして、第１特別遊技の終了後は第２特定演出モードを設定し、第２特別遊技の終了後は第１特定演出モードを設定する場合と第２特定演出モードを設定する場合とがあり、第３特別遊技の終了後は第２特定演出モードを設定する。すなわち、遊技者は、第１特定演出モードよりも、第２特定演出モードが実行されることに期待して遊技を行う。
【１００３】
また、特別遊技は、第２特定演出モードが設定される可能性が高い順、すなわち、第１特別遊技、第２特別遊技、第３特別遊技の順（第１特別遊技＞第２特別遊技＞第３特別遊技）で遊技者にとって期待感の高い（有利な）特別遊技となる。これにより、指示演出においては、第１特別遊技の際に実行される第１指示演出、第２特別遊技の際に実行される第２指示演出、第３特別遊技の際に実行される第３指示演出の順（第１指示演出＞第２指示演出＞第３指示演出）で遊技者にとって期待感の高い（有利な）指示演出となる。またこれにより、遊技者は、何れの指示演出が実行されたかによって、以後の特別遊技や演出モードを予測することが可能となり、遊技演出を多様化すると共に、趣向性の高い遊技性を提供することが可能となる。
【１００４】
また、参考発明２１−３の遊技機は、参考発明２１−１又は参考発明２１−２の遊技機において、
前記指示演出を表示可能な複数の表示部を備え、
前記第１指示演出は、前記第２指示演出よりも多い数の表示部に表示され、前記第２指示演出は前記第３指示演出よりも多い数の表示部に表示されることを特徴とするものである。
【１００５】
このような遊技機によれば、指示演出を表示するための表示部として、複数の表示部を備え、第１指示演出は第２指示演出よりも多い数の表示部を用いて表示され、第２指示演出は第３指示演出よりも多い数の表示部を用いて表示される。すなわち、指示演出によって、異なる個数の表示部を用いて演出する。これにより、遊技者は、実行中の指示演出を明確に区別することが可能となり、実行される指示演出によって、以後の特別遊技や演出モードを予測することが可能となる。また、遊技者にとって期待感の高い指示演出を多くの表示部を用いて演出することで、遊技者の期待感を煽り、遊技興趣を高めることが可能となる。
【１００６】
尚、複数の表示部は、別体に構成された（分離配置された）複数の表示装置としてもよい。また、１の表示装置の表示領域を、複数の表示部に区分して、夫々を表示部としてもよい。
【１００７】
また、参考発明２１−４の遊技機は、参考発明２１−１乃至参考発明２１−３の遊技機において、
前記複数の表示部として、遊技領域の略中央部に設けられる中表示部と、前記中表示部の左側に設けられる左表示部と、前記中表示部の右側に設けられる右表示部と、を有し、
前記第１指示演出、前記第２指示演出及び前記第３指示演出は、夫々発射領域を示す絵画像と、発射領域を示す文字画像と、を組合せて構成され、
前記第１指示演出、前記第２指示演出及び前記第３指示演出は、何れも、文字画像を前記中表示部に表示することを特徴とするものである。
【１００８】
このような遊技機によれば、複数の表示部として、中表示部、中表示部の左右に設けられる左表示部及び右表示部とを有している。また、指示演出（第１指示演出、第２指示演出及び第３指示演出）は、夫々、発射領域を示す絵画像と、発射領域を示す文字画像と、を組合せて構成している。そして、第１指示演出、第２指示演出及び第３指示演出は、何れも指示演出を構成する画像のうち、発射領域を示す文字画像を、遊技領域の略中央部の中表示部に表示する。すなわち、何れの指示演出も中表示部を用いて表示される。
【１００９】
これにより、指示演出の表示態様が異なる場合であっても、全ての遊技演出の文字画像を、共通して、遊技者は最も注目しやすい中表示部に表示しており、遊技者が容易且つ確実に文字画像を把握することを可能としている。また、指示演出によって使用する表示部の個数を変化する場合は、指示演出を構成する発射領域を示す絵画像等を表示する表示部の個数を変化させることができる。尚、発射領域を示す文字画像についても、少なくとも中表示部に表示すれば、これに加えて他の表示部（左表示部や右表示部）に表示してもよい。
【１０１０】
また、参考発明２１−５の遊技機は、参考発明２１−４の遊技機において、
前記第１指示演出は、前記左表示部、前記中表示部及び前記右表示部の３個の表示部に表示し、
前記第２指示演出は前記中表示部及び前記右表示部の２個の表示部に表示し、
前記第３指示演出は前記中表示部の１個の表示部に表示することを特徴とするものである。
【１０１１】
このような遊技機によれば、第１指示演出は中表示部に加えて左表示部及び右表示部の３個の表示部を用いて表示し、第２指示演出は中表示部に加えて右表示部の２個の表示部を用いて表示し、第３指示演出は中表示部の１個の表示部に表示する。これにより、指示演出によって、異なる個数の表示部を用いて演出し、遊技者は、実行中の指示演出を明確に区別することが可能となる。また、実行される指示演出によって、以後の特別遊技や演出モードを予測することが可能となる。
【１０１２】
本参考発明２１の遊技機によれば、発射領域の指示報知演出を多様化し、遊技興趣を高める遊技機の提供を図ることが可能となる。
【１０１３】
また、他の態様として、第１指示演出、第２指示演出、及び、第３指示演出と異なる発射領域（第１発射領域、左打ち領域）を指示する指示演出として、第４指示演出を有し、
第１指示演出、第２指示演出、及び、第３指示演出は、第２発射領域への発射を指示する指示演出であり、
第４指示演出は、第１発射領域への発射を指示する指示演出であるものとしてもよい。
【１０１４】
また、第１指示演出、第２指示演出、及び、第３指示演出（第２発射領域への発射指示）は（がなされる際の遊技状態は）、第４指示演出（がなされる際の遊技状態）よりも有利な遊技状態においてなされる。すなわち、第２発射領域に遊技球を発射して遊技を行う状態は、第１発射領域に遊技球を発射して遊技を行う状態よりも遊技者にとって有利な遊技状態であるといえる。
【１０１５】
第２発射領域への発射を指示する指示演出として、表示態様（演出態様）の異なる指示演出を３種類有し、第１発射領域への発射を指示する指示演出として、１種類有している。すなわち、第２発射領域への発射を指示する指示演出の種類の方が、第１発射領域への発射を指示する指示演出の種類よりも多い。これは、第２発射領域へ発射をする場合の、遊技状態の種類の方が、第１発射領域へ発射をする場合の遊技状態の種類よりも多いからである。ちなみに、第２発射領域（第２遊技領域）へ発射して遊技を行う場合の遊技状態として、低確高ベース状態、高確高ベース状態、高確低ベース状態の３種類を有しており、指示演出の数と一致している。また、第１発射領域（第１遊技領域）へ発射して遊技を行う場合の遊技状態として、低確低ベース状態の１種類を有しており、指示演出の数と一致している。
【１０１６】
また、第４指示演出は、複数の表示部を用いて表示される。より具体的には、第４指示演出は、左表示部、中表示部及び右表示部の３個の表示部に表示される。また、第４指示演出は、発射領域を示す絵画像と、発射領域を示す文字画像と、を組合せて構成され、第４指示演出は、文字画像及び絵画像の何れも左表示部、中表示部及び右表示部の３個の表示部に表示する。これは、発射領域を、第２発射領域（第２遊技領域）から第１発射領域（第１遊技領域）に変更する（戻す）必要があり、すなわち、それまでの発射領域から発射方向を変更する必要があるため、遊技者により明確に発射領域を指示するため、このような表示態様としている。
【１０１７】
また、第１指示演出、第２指示演出、及び、第３指示演出（第２発射領域への発射指示）は（がなされる際の遊技状態は）、第４指示演出（がなされる際の遊技状態）よりも有利な遊技状態においてなされる。すなわち、第２発射領域に遊技球を発射して遊技を行う状態は、第１発射領域に遊技球を発射して遊技を行う状態よりも遊技者にとって有利な遊技状態であるといえる。従って、第１発射領域への発射を指示する第４指示演出は、それまでの遊技状態よりも、その後の遊技状態の方が、遊技者にとって不利になる（通常モードに戻る）場合に実行される。
【１０１８】
そのため、遊技者の遊技興趣を低下させないよう、第４指示演出を構成する文字画像は、「丁寧な言葉による指示」で構成している。具体的には、「左打ちに戻してください」としている。これにより、遊技興趣の低下を極力防ぎ、遊技の続行意欲を高める（低下させない）ことが可能となる。また、表示部の使用枚数が多いため、丁寧な長い文章による指示を可能としている。
【１０１９】
一方で、第１指示演出、第２指示演出、及び、第３指示演出は、これら指示演出の後の遊技状態の有利度合は異なるものの、何れも、第２発射領域への発射を指示する指示演出であり、第１発射領域へ発射して遊技を行う遊技状態よりは有利である。そのため、第４指示演出と比較すると、何れも「命令言葉（口調）による指示」で構成している。具体的には、「右打ち！」や「右を狙え」としている。これによって、短い文字（文章）で、簡潔且つ的確に指示内容を伝えることを可能にしつつ、遊技興趣を低下させない。また、前述したように、第１指示演出、第２指示演出、及び、第３指示演出の指示演出によって、表示部の使用枚数を異ならせても（少なくしても）、明確に指示内容（発射領域）を遊技者に伝えることを可能とする。
【１０２０】
また、第１指示演出、第２指示演出、第３指示演出、及び、第４指示演出は、互いに、指示演出の色を異ならせてもよい。また、互いに指示演出を構成する指示演出の大きさを異ならせてもよい。また、互いに指示演出を構成する発射領域を示す絵画像の向きを異ならせてもよい。「発射領域を示す絵画像の向き」とは、例えば、絵画像が矢印で構成される場合には、矢印の向きが異なっている。具体的に、第１指示演出、第２指示演出、第３指示演出は、何れも第２発射領域（第２遊技領域）への発射を指示するため、右方向を示している。
【１０２１】
但し、全て、形状を異ならせることで向き（角度、形状）が異なっており、矢印で、例えば、右斜め上を刺すことで右打ちを指示したり、右斜め下を刺すことで右打ちを指示したり、まっすぐ右方向を刺すことで右打ちを指示したり、一旦下方向から右斜め上方向にカーブさせて右打ちを指示したり、左下から右斜め上方向に進み右斜め下方向に、半円弧状のルートで右打ちを指示したりすることができる。またこれらは、矢印でなくとも、前述したルートに沿って光演出を進行させることで、遊技者が発射方向をイメージできるような指示演出を行ってもよい。
【１０２２】
このように、第１指示演出、第２指示演出、第３指示演出、及び、第４指示演出の表示態様（大きさ、使用する表示部の数、色、形状、演出等）を異ならせることで、これらのうち何れの指示演出が実行されたかを遊技者が明確に認識できるようにすることができる。また、指示演出の実行態様を多様化し、遊技興趣を高めることが可能となる。また、指示演出によって、その後の遊技状態や大当り遊技等の有利度合を遊技者に把握させ、遊技興趣を高めることが可能となる。
【１０２３】
（参考発明２２）
従来の遊技機（例えば、特開２０１６−８３５３６）では、実行中の演出モードにおいて、図柄の変動表示を実行するごとに、表示する数字を減算し、遊技者は、演出モードの終了時期を容易に把握できる。しかしながら、当該演出モードが終了すると、残回数表示部の表示も終了し、図柄の変動表示をどの程度の期間実行したかを把握するのが困難となっていた。また、単純に多数の遊技情報を同時に表示するのでは、リーチ演出等の遊技演出の視認性を妨害してしまい、遊技興趣の低下につながる虞があった。
【１０２４】
本発明は、前述の事情に鑑みてなされたものであり、遊技演出の視認性を極力確保しながら、容易に遊技状況を把握することが可能な遊技機を提供するものである。
【１０２５】
前述の課題を解決するための参考発明２２−１の遊技機は、
所定条件の成立に基づいて識別情報を変動表示する識別情報表示手段と、
所定の演出態様の演出モードを設定可能な演出モード設定手段と、
所定の遊技演出を実行する遊技演出実行手段と、
前記識別情報の変動表示の結果が特定結果となると、遊技者に有利な特別遊技を実行可能な特別遊技実行手段と、を備えた遊技機であって、
前記識別情報と、前記演出モード設定手段が設定した演出モードの演出態様と、前記遊技演出実行手段が実行する遊技演出と、を少なくとも表示する第１表示部と、
前記前記遊技演出実行手段が実行する遊技演出を少なくとも表示する第２表示部と、を有し、
前記演出モードとして、特別演出モードを有し、
前記特別演出モードは、前記特別遊技終了後に設定されると共に、特定回数の前記識別情報の変動表示を実行することに基づいて終了するものであり、
前記識別情報の変動表示の実行回数を表示する変動回数表示部と、
前記特別演出モードが終了するまでの前記識別情報の変動表示の残り回数を表示する残変動回数表示部と、を有し、
前記残変動回数表示部は、前記第１表示部に表示され、前記変動回数表示部は、前記第２表示部に表示される
ことを特徴とするものである。
【１０２６】
このような遊技機によれば、識別情報と、演出モード設定手段が設定した演出モードの演出態様と、遊技演出実行手段が実行する遊技演出と、を少なくとも表示する第１表示部と、遊技演出実行手段が実行する遊技演出を少なくとも表示する第２表示部と、を有している。また、特別遊技終了後に設定され、特定回数の識別情報の変動表示に基づいて終了する特別演出モードを有している。また、識別情報の変動表示の実行回数を表示する変動回数表示部と、特別演出モードが終了するまでの識別情報の変動表示の残り回数を表示する残変動回数表示部と、を有し、第１表示部に残変動回数表示部を表示し、第２表示部に変動回数表示部を表示する。これにより、識別情報の変動した回数を認識可能な変動回数表示部と、特別演出モードの残回数と、を別々の表示部で、夫々認識することが可能となる。またこれにより、遊技者は、遊技の状況（進行状況）を正確かつ確実に把握することが可能となる。
【１０２７】
また、参考発明２２−２の遊技機は、参考発明２２−１の遊技機において、
前記第１表示部は遊技領域の略中央部に設けられ、前記第２表示部は前記第１表示部の周囲の所定の位置に設けられることを特徴とするものである。
【１０２８】
このような遊技機によれば、識別情報と、演出モード設定手段が設定した演出モードの演出態様と、遊技演出実行手段が実行する遊技演出と、残変動回数表示と、を表示する第１表示部を遊技者が認識しやすい遊技領域の略中央部に設ける。また、遊技演出実行手段が実行する遊技演出と、変動回数表示部と、を表示する第２表示部をサブ的な位置となる第１表示部の周囲の所定の位置に設ける。これにより、実行中の特別演出モードの残期間を、遊技領域の略中央部で認識しやすく表示すると共に、周囲の第２表示部に変動回数表示部を表示することで識別情報の変動した回数を認識することも可能となる。またこれにより、遊技者は、遊技の状況（進行状況）を正確かつ確実に把握することが可能となる。
【１０２９】
また、参考発明２２−３の遊技機は、参考発明２２−１又は参考発明２２−２の遊技機において、
前記特別演出モードが、前記特定回数の前記識別情報の変動表示を実行することに基づいて終了して他の演出モードに移行した場合、前記残変動回数表示部は表示を終了し、前記変動回数表示部は他の演出モードに移行した後も前記識別情報の変動表示の実行回数の表示を継続することを特徴とするものである。
【１０３０】
このような遊技機によれば、特別演出モードが終了して他の演出モードに移行した場合、第１表示部から残変動回数表示部は表示を終了し、変動回数表示部は特別演出モードが終了した後も継続して表示する。これにより、特別演出モードの実行中は、識別情報の変動回数及び残期間を把握することが可能となると共に、特別演出モードの終了後は、特別演出モードにおける変動回数を加えた所定タイミングからの識別情報の変動回数を把握することが可能となる。
【１０３１】
また、参考発明２２−４の遊技機は、参考発明２２−１乃至参考発明２２−３の遊技機において、
前記変動回数表示部に表示される回数は、前記特別遊技が終了することに基づいて、初期化されることを特徴とするものである。
【１０３２】
このような遊技機によれば、変動回数表示部に表示される回数は、特別遊技が終了することに基づいて初期化する。これにより、変動回数表示部に、前回の特別遊技からの識別情報の変動表示回数を表示し、把握することが可能となる。また、特別遊技が終了することに基づいて初期化するため、特別遊技の実行中に、前回の特別遊技から識別情報の変動表示が何回実行されたかを把握することが可能となる。
【１０３３】
また、参考発明２２−５の遊技機は、参考発明２２−１乃至参考発明２２−４の遊技機において、
前記遊技演出として、特定遊技演出を有し、
前記特別演出モードにおいて前記特定遊技演出を実行する場合、前記特定遊技演出は、前記第１表示部及び前記第２表示部に表示されるものであって、
前記第１表示部では、前記特定遊技演出を優先表示して前記残変動回数表示部を非表示とし、前記第２表示部では、前記変動回数表示部を優先表示して、前記特定遊技演出及び前記変動回数表示部を表示することを特徴とするものである。
【１０３４】
このような遊技機によれば、特別演出モードにおいて特定遊技演出を実行する場合、当該特定遊技演出は第１表示部及び第２表示部の両方に表示される。また、特別演出モードにおいて、第１表示部では残変動回数表示部よりも特定遊技演出を優先表示し、第２表示部では特定遊技演出よりも変動回数表示部を優先表示する。これにより、遊技領域の略中央部に設けられる第１表示部では、残変動回数表示部を非表示として特定遊技演出を優先して見せることで、趣向性の高い遊技演出を実行し、遊技興趣を高めることが可能となる。
【１０３５】
また、第１表示部の周囲に設けられる第２表示部では、変動回数表示部の表示を行ったまま、その他の表示領域に特定遊技演出を表示する。これにより、特定遊技演出を、第１表示部の表示領域及び第２表示部の表示領域によって、趣向性の高い遊技演出を実行することが可能となる。また、特定遊技演出の実行中も変動回数表示部を表示したままとすることで、特定遊技演出の実行中も変動回数の把握をすることが可能となる。また、変動回数表示部は、第１表示部の周囲に設けられる第２表示部に表示されるので、特定遊技演出の視認性が阻害されることを極力防止することが可能となる。
【１０３６】
本参考発明２２の遊技機によれば、遊技演出の視認性を極力確保しながら、容易に遊技状況を把握することが可能な遊技機の提供を図ることが可能となる。
【１０３７】
（参考発明２３）
また、参考発明２３−１の遊技機は、
遊技者に有利な特別遊技を実行するか否かの判定を行う判定手段と、
前記判定が行われると、所定の図柄表示手段に図柄を変動表示させてから前記判定の結果を示す図柄を停止表示させる図柄表示制御手段と、
前記判定手段によって前記特別遊技を実行すると判定されたことを示す図柄が前記図柄表示手段に停止表示された場合に、当該特別遊技を実行する特別遊技実行手段と、
前記判定の権利を所定数まで保留可能な保留手段と、
演出の実行を制御する演出制御手段とを備え、
前記演出制御手段は、
前記判定手段の判定結果を報知する演出として、前記図柄の変動表示中に、前記特別遊技が実行されることを報知する当たり報知演出、又は前記特別遊技が実行されないことを報知するハズレ報知演出を実行し、
前記図柄の変動表示中に行われる所定のリーチ演出によって前記ハズレ報知演出が実行され、且つ、前記当たり報知演出が実行されることになる判定の権利が前記保留手段によって保留されている場合に、前記特別遊技が実行されることを期待させる期待演出を実行可能であることを特徴とするものである。
【１０３８】
このような遊技機によれば、所定のリーチ演出によってハズレ報知演出が実行され、且つ、当たり報知演出が実行されることになる判定の権利が保留されている場合に、特別遊技が実行されることを期待させる期待演出が実行される場合がある。このため、ハズレ報知演出が実行された場合に期待演出が実行されることを遊技者に期待させることが可能であり、特別遊技が実行されることに対する遊技者の期待感が低下するのを効果的に抑制することが可能である。
【１０３９】
また、参考発明２３−２の遊技機は、参考発明２３−１の遊技機において、
前記演出制御手段は、
第１リーチ演出と、当該第１リーチ演出よりも前記当たり報知演出が実行され易い第２リーチ演出とを実行可能であり、
前記所定のリーチ演出として前記第２リーチ演出を実行することを特徴とするものである。
【１０４０】
ところで、第１リーチ演出と第２リーチ演出とを比較した場合、第２リーチ演出の方が第１リーチ演出よりも当たり報知演出が実行され易いため、第２リーチ演出においてハズレ報知演出が実行された場合には、第１リーチ演出においてハズレ報知演出が実行されるよりも、特別遊技が実行されることに対する遊技者の期待感が低下し易いと考えられる。これに対して、上記の遊技機によれば、第２リーチ演出によってハズレ報知演出が実行され、且つ、当たり報知演出が実行されることになる判定の権利が保留されている場合に、期待演出が実行される場合がある。このため、期待演出が実行されることを遊技者に期待させて、第２リーチ演出によってハズレ報知演出が実行されることによる期待感の著しい低下を効果的に抑制することが可能である。
【１０４１】
また、参考発明２３−３の遊技機は、
遊技者に有利な特別遊技を実行するか否かの判定を行う判定手段と、
前記判定が行われると、所定の図柄表示手段に図柄を変動表示させてから前記判定の結果を示す図柄を停止表示させる図柄表示制御手段と、
前記判定手段によって前記特別遊技を実行すると判定されたことを示す図柄が前記図柄表示手段に停止表示された場合に、当該特別遊技を実行する特別遊技実行手段と、
前記判定の権利を所定数まで保留可能な保留手段と、
演出の実行を制御する演出制御手段とを備え、
前記演出制御手段は、
前記判定手段の判定結果を報知する演出として、前記図柄の変動表示中に、前記特別遊技が実行されることを報知する当たり報知演出、又は前記特別遊技が実行されないことを報知するハズレ報知演出を実行し、
前記特別遊技が実行される可能性が相対的に高いことを示唆する示唆演出を前記図柄の変動表示中に実行可能であり、
前記図柄の変動表示中に行われる所定のリーチ演出によって前記ハズレ報知演出が実行され、且つ、前記判定が行われると前記示唆演出が実行されることになる判定の権利が前記保留手段によって保留されている場合に、前記特別遊技が実行されることを期待させる期待演出を実行可能であることを特徴とするものである。
【１０４２】
このような遊技機によれば、所定のリーチ演出によってハズレ報知演出が実行され、且つ、判定が行われると示唆演出が実行されることになる判定の権利が保留されている場合に、特別遊技が実行されることを期待させる期待演出が実行される場合がある。このため、ハズレ報知演出が実行された場合に期待演出が実行されることを遊技者に期待させることが可能であり、特別遊技が実行されることに対する遊技者の期待感が低下するのを効果的に抑制することが可能である。
【１０４３】
また、参考発明２３−４の遊技機は、参考発明２３−３の遊技機において、
前記演出制御手段は、
第１リーチ演出と、当該第１リーチ演出よりも前記当たり報知演出が実行され易い第２リーチ演出とを実行可能であり、
前記所定のリーチ演出として前記第１リーチ演出を実行することを特徴とするものである。
【１０４４】
ところで、第１リーチ演出と第２リーチ演出とを比較した場合、第２リーチ演出の方が第１リーチ演出よりも当たり報知演出が実行され易いため、第１リーチ演出が実行されたとしても、遊技者は、特別遊技が実行されることを期待し難いと考えられる。これに対して、上記の遊技機によれば、第１リーチ演出によってハズレ報知演出が実行され、且つ、示唆演出が実行されることになる判定の権利が保留されている場合に、期待演出が実行される場合がある。このため、期待演出を実行することによって、特別遊技が実行されることに対する遊技者の期待感を効果的に向上させることが可能である。
【１０４５】
尚、前述した参考発明１乃至参考発明２３の２以上の任意の発明を組合せてもよい。
【符号の説明】
【１０４６】
１  パチンコ遊技機、７ｂ  演出図柄表示領域（演出図柄表示部）、８  演出図柄、２０  第１始動口、２１  第２始動口、３０  第１大入賞口、３５  第２大入賞口、３９  特定領域、４１ａ  第１特別図柄表示器（第１特別図柄表示部）、４１ｂ  第２特別図柄表示器（第２特別図柄表示部）、８０  主制御基板（主制御部）、９０  副制御基板（副制御部）、１００  画像制御基板（画像制御部）、１０３ａ  第３演出保留表示器、１０３ｂ  第４演出保留表示器。
【図１】
2020171416.tif 000003
【図２】
2020171416.tif 000004
【図３】
2020171416.tif 000005
【図４】
2020171416.tif 000006
【図５】
2020171416.tif 000007
【図６】
2020171416.tif 000008
【図７】
2020171416.tif 000009
【図８】
2020171416.tif 000010
【図９】
2020171416.tif 000011
【図１０】
2020171416.tif 000012
【図１１】
2020171416.tif 000013
【図１２】
2020171416.tif 000014
【図１３】
2020171416.tif 000015
【図１４】
2020171416.tif 000016
【図１５】
2020171416.tif 000017
【図１６】
2020171416.tif 000018
【図１７】
2020171416.tif 000019
【図１８】
2020171416.tif 000020
【図１９】
2020171416.tif 000021
【図２０】
2020171416.tif 000022
【図２１】
2020171416.tif 000023
【図２２】
2020171416.tif 000024
【図２３】
2020171416.tif 000025
【図２４】
2020171416.tif 000026
【図２５】
2020171416.tif 000027
【図２６】
2020171416.tif 000028
【図２７】
2020171416.tif 000029
【図２８】
2020171416.tif 000030
【図２９】
2020171416.tif 000031
【図３０】
2020171416.tif 000032
【図３１】
2020171416.tif 000033
【図３２】
2020171416.tif 000034
【図３３】
2020171416.tif 000035
【図３４】
2020171416.tif 000036
【図３５】
2020171416.tif 000037
【図３６】
2020171416.tif 000038
【図３７】
2020171416.tif 000039
【図３８】
2020171416.tif 000040
【図３９】
2020171416.tif 000041
【図４０】
2020171416.tif 000042
【図４１】
2020171416.tif 000043
【図４２】
2020171416.tif 000044
【図４３】
2020171416.tif 000045
【図４４】
2020171416.tif 000046
【図４５】
2020171416.tif 000047
【図４６】
2020171416.tif 000048
【図４７】
2020171416.tif 000049
【図４８】
2020171416.tif 000050
【図４９】
2020171416.tif 000051
【図５０】
2020171416.tif 000052
【図５１】
2020171416.tif 000053
【図５２】
2020171416.tif 000054
【図５３】
2020171416.tif 000055
【図５４】
2020171416.tif 000056
【図５５】
2020171416.tif 000057
【図５６】
2020171416.tif 000058
【図５７】
2020171416.tif 000059
【図５８】
2020171416.tif 000060
【図５９】
2020171416.tif 000061
【図６０】
2020171416.tif 000062
【図６１】
2020171416.tif 000063
【図６２】
2020171416.tif 000064
【図６３】
2020171416.tif 000065
【図６４】
2020171416.tif 000066
【図６５】
2020171416.tif 000067
【図６６】
2020171416.tif 000068
【図６７】
2020171416.tif 000069
【図６８】
2020171416.tif 000070
【図６９】
2020171416.tif 000071
【図７０】
2020171416.tif 000072
【図７１】
2020171416.tif 000073
【図７２】
2020171416.tif 000074
【図７３】
2020171416.tif 000075
【図７４】
2020171416.tif 000076
【図７５】
2020171416.tif 000077
【図７６】
2020171416.tif 000078
【図７７】
2020171416.tif 000079
【図７８】
2020171416.tif 000080
【図７９】
2020171416.tif 000081
【図８０】
2020171416.tif 000082
【図８１】
2020171416.tif 000083
【図８２】
2020171416.tif 000084
【図８３】
2020171416.tif 000085
【図８４】
2020171416.tif 000086
【図８５】
2020171416.tif 000087
【図８６】
2020171416.tif 000088
【図８７】
2020171416.tif 000089
【図８８】
2020171416.tif 000090
【図８９】
2020171416.tif 000091
【図９０】
2020171416.tif 000092
【図９１】
2020171416.tif 000093
【図９２】
2020171416.tif 000094
【図９３】
2020171416.tif 000095
【図９４】
2020171416.tif 000096
【図９５】
2020171416.tif 000097
【図９６】
2020171416.tif 000098
【図９７】
2020171416.tif 000099
【図９８】
2020171416.tif 000100
【図９９】
2020171416.tif 000101
【図１００】
2020171416.tif 000102
【図１０１】
2020171416.tif 000103
【図１０２】
2020171416.tif 000104
【図１０３】
2020171416.tif 000105
【図１０４】
2020171416.tif 000106
【図１０５】
2020171416.tif 000107
【図１０６】
2020171416.tif 000108
【図１０７】
2020171416.tif 000109
【図１０８】
2020171416.tif 000110
【図１０９】
2020171416.tif 000111
【図１１０】
2020171416.tif 000112
【図１１１】
2020171416.tif 000113